(57)【要約】【課題】転部材と遊技球との間の吸着が解除され難くできる遊技機を提供すること。【解決手段】回転部材に遊技球を転動させて送球する第２転動部３８１ｃは、回転部材３７０の軸よりも、重力方向上側に位置される。これにより、回転部材３７０と遊技球との吸着位置を、回転部材の回転軸に対して重力方向上側にすることができる。従って、遊技球を回転部材３７０の重力方向上側の半円部分に乗せることができ、回転部材３７０と遊技球との吸着部分にかかる負荷を軽減することができる。その結果、回転部材３７０と吸着した先行する遊技球に後行する遊技球が吸着した際に、回転部材３７０と先行する遊技球との吸着が解除されることを抑制できる。【選択図】図７９
2020203214.tif 000002
【特許請求の範囲】
【請求項１】
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、
前記回転部材の外周面に並設されると共に遊技球が転動される転動面を備え、その転動面が前記回転部材の回転軸よりも重力方向上方に位置することを特徴とする遊技機。
【請求項２】
前記回転部材を挟んで前記転動面と反対側において前記回転部材の外周面に並設されると共に前記回転部材の外周面に吸着されて送球された遊技球を受け取る受取面を備え、その受取面が前記回転部材の回転軸よりも重力方向上方に位置することを特徴とする請求項１記載の遊技機。
【請求項３】
前記受取面は、前記回転部材から離間する方向へ向けて下降傾斜して形成されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（特許文献１）。
【先行技術文献】
【特許文献】
【０００３】
【特許文献１】特開２０１２−２３１８９０号公報
【発明の概要】
【発明が解決しようとする課題】
【０００４】
しかしながら、上述した遊技機では、回転部材と遊技球との間の吸着が解除されるという問題点があった。
【０００５】
本発明は、上記例示した問題点を解決するためになされたものであり、回転部材と遊技球との間の吸着が解除され難くできる遊技機を提供することを目的とする。
【課題を解決するための手段】
【０００６】
この目的を達成するために請求項１記載の遊技機は、回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球するものであり、前記回転部材の外周面に並設されると共に遊技球が転動される転動面を備え、その転動面が前記回転部材の回転軸よりも重力方向上方に位置する。
【０００７】
請求項２記載の遊技機は、請求項１記載の遊技機において、前記回転部材を挟んで前記転動面と反対側において前記回転部材の外周面に並設されると共に前記回転部材の外周面に吸着されて送球された遊技球を受け取る受取面を備え、その受取面が前記回転部材の回転軸よりも重力方向上方に位置する。
【０００８】
請求項３記載の遊技機は、請求項１又は２に記載の遊技機において、前記受取面は、前記回転部材から離間する方向へ向けて下降傾斜して形成される。
【発明の効果】
【０００９】
請求項１記載の遊技機によれば、回転部材と遊技球との間の吸着を解除され難くできる。
【００１０】
請求項２記載の遊技機によれば、請求項１記載の遊技機の奏する効果に加え、遊技球が受取面で跳ねることを抑制できる。
【００１１】
請求項３記載の遊技機によれば、請求項２記載の遊技機の奏する効果に加え、受取面へ遊技球をスムーズに送球することができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の正面斜視図である。
【図６】遊技盤の分解正面斜視図である。
【図７】遊技盤の分解背面斜視図である。
【図８】可動入球役物装置の正面図である。
【図９】可動入球役物装置の背面図である。
【図１０】可動入球役物装置正面の斜視図である。
【図１１】可動入球役物装置の背面斜視図である。
【図１２】可動入球役物装置の分解正面斜視図である。
【図１３】可動入球役物装置の分解背面斜視図である。
【図１４】センターフレームの分解正面斜視図である。
【図１５】センターフレームの分解背面斜視図である。
【図１６】（ａ）から（ｃ）は、センターフレームの部分拡大背面図である。
【図１７】（ａ）から（ｃ）は、センターフレームの部分拡大正面図である。
【図１８】（ａ）は、第１状態におけるセンターフレームの部分拡大正面図であり、（ｂ）は、第３状態におけるセンターフレームの部分拡大正面図である。
【図１９】（ａ）は、中間部材の正面図であり、（ｂ）は、中間部材の背面図であり、（ｃ）は、図１９（ａ）のＸＩＸｃ−ＸＩＸｃ線における中間部材の断面図である。
【図２０】（ａ）は、中間部材の分解正面斜視図であり、図２０（ｂ）は、中間部材の分解背面斜視図である。
【図２１】（ａ）は、センターフレームおよび中間部材の正面図であり、（ｂ）は、センターフレームおよび中間部材の側面図であり、（ｃ）は、図２１（ａ）のＸＸＩｃ−ＸＸＩｃ線におけるセンターフレームおよび中間部材の部分拡大断面図である。
【図２２】（ａ）から（ｃ）は、センターフレームおよび中間部材の正面図である。
【図２３】（ａ）から（ｃ）は、センターフレームおよび中間部材の部分拡大断面図である。
【図２４】（ａ）から（ｃ）は、センターフレームおよび中間部材の断面図である。
【図２５】（ａ）は、後方部材の正面図であり、（ｂ）は、後方部材の背面図であり、（ｃ）は、図２５（ａ）のＸＸＶｃ−ＸＸＶｃ線における後方部材の断面図である。
【図２６】後方部材の分解正面斜視図である。
【図２７】後方部材の分解背面斜視図である。
【図２８】（ａ）から（ｃ）は、図２５のＸＸＶＩＩＩ−ＸＸＶＩＩＩ線における後方部材の断面図である。
【図２９】（ａ）から（ｃ）は、後方部材の断面図である。
【図３０】（ａ）は、中間部材および後方部材の正面図であり、（ｂ）は、中間部材および後方部材の側面図である。
【図３１】（ａ）は、図３０（ａ）のＸＸＸＩａ−ＸＸＸＩａ線における中間部材および後方部材の断面図であり、（ｂ）は、図３０（ｂ）のＸＸＸＩｂ−ＸＸＸＩｂ線における中間部材および後方部材の断面図である。
【図３２】中間部材および後方部材の断面図である。
【図３３】中間部材および後方部材の断面図である。
【図３４】中間部材および後方部材の断面図である。
【図３５】中間部材および後方部材の断面図である。
【図３６】中間部材および後方部材の断面図である。
【図３７】中間部材および後方部材の断面図である。
【図３８】中間部材および後方部材の断面図である。
【図３９】中間部材および後方部材の断面図である。
【図４０】中間部材および後方部材の断面図である。
【図４１】中間部材および後方部材の断面図である。
【図４２】中間部材および後方部材の断面図である。
【図４３】中間部材および後方部材の断面図である。
【図４４】中間部材および後方部材の断面図である。
【図４５】中間部材および後方部材の断面図である。
【図４６】中間部材および後方部材の断面図である。
【図４７】中間部材および後方部材の断面図である。
【図４８】中間部材および後方部材の断面図である。
【図４９】中間部材および後方部材の断面図である。
【図５０】中間部材および後方部材の断面図である。
【図５１】中間部材および後方部材の断面図である。
【図５２】（ａ）は、背面ベースの正面図であり、（ｂ）は、背面ベースの側面図である。
【図５３】背面ベースの分解正面斜視図である。
【図５４】背面ベースの分解背面斜視図である。
【図５５】（ａ）から（ｃ）は、図５２のＬＶ−ＬＶ線における背面ベースの断面図である。
【図５６】（ａ）は、可変ユニットの正面図であり、（ｂ）は、可変ユニットの上面図である。
【図５７】可変ユニットの本体部の分解正面斜視図である。
【図５８】可変ユニットの本体部の分解背面斜視図である。
【図５９】振分部の上面図である。
【図６０】振分部の上面図である。
【図６１】振分部の上面図である。
【図６２】可変ユニットの上面図である。
【図６３】可変ユニットの上面図である。
【図６４】可変ユニットの上面図である。
【図６５】（ａ）から（ｃ）は、可変ユニットの上面図である。
【図６６】可変ユニットの回転送球部の分解正面斜視図である。
【図６７】可変ユニットの回転送球部の分解背面斜視図である。
【図６８】（ａ）は、回転体の側面図であり、（ｂ）は、回転体の上面図であり、（ｃ）は、図６８（ｂ）のＬＸＶＩＩＩｃ−ＬＸＶＩＩＩｃ線における回転体の断面図であり、（ｄ）は、図６８（ｂ）のＬＸＶＩＩＩｄ−ＬＸＶＩＩＩｄ線における回転体の断面図である。
【図６９】（ａ）から（ｃ）は、図５６（ａ）のＬＸＩＸ−ＬＸＩＸ線における変位ユニットの断面模式図である。
【図７０】（ａ）から（ｃ）は、変位ユニットの部分上面図である。
【図７１】（ａ）は、可変ユニットおよび背面ベースの正面図であり、（ｂ）は、可変ユニットおよび背面ベースの上面図である。
【図７２】（ａ）から（ｃ）は、可変ユニットおよび背面ベースの上面図である。
【図７３】（ａ）から（ｃ）は、図７２（ａ）のＬＸＸＩＩＩ−ＬＸＸＩＩＩ線における可変ユニットおよび背面ベースの断面図である。
【図７４】（ａ）から（ｃ）は、図７１（ｂ）のＬＸＸＩＶ−ＬＸＸＩＶ線における可変ユニットおよび背面ベースの断面図である。
【図７５】（ａ）は、ストッパ部が変位前の状態における可変ユニットおよび背面ベースの断面図であり、（ｂ）は、ストッパ部が変位後の状態における可変ユニットおよび背面ベースの断面図である。
【図７６】可変ユニットおよび背面ベースの上面図である。
【図７７】可変ユニットおよび背面ベースの上面図である。
【図７８】可変ユニットおよび背面ベースの上面図である。
【図７９】（ａ）から（ｃ）は、可変ユニットおよび背面ベースの断面図である。
【図８０】可変ユニットおよび背面ベースの断面図である。
【図８１】（ａ）は、入賞口ユニットの正面図であり、（ｂ）は、入賞口ユニットの背面図である。
【図８２】入賞口ユニットの分解正面斜視図である。
【図８３】入賞口ユニットの分解背面斜視図である。
【図８４】（ａ）は、可変入賞装置の正面図であり、（ｂ）は、可変入賞装置の上面図である。
【図８５】（ａ）は、可変入賞装置の分解正面斜視図であり、（ｂ）は、可変入賞装置の分解背面斜視図である。
【図８６】（ａ）は、入賞口ユニットの正面図であり、（ｂ）は、入賞口ユニットの上面図である。
【図８７】（ａ）及び（ｂ）は、図８６の範囲ＬＸＸＸＶＩＩにおける入賞口ユニットの部分正面図である。
【図８８】（ａ）は、入賞口ユニットの上面図であり、（ｂ）は、図８８（ａ）のＬＸＸＸＶＩＩＩｂ−ＬＸＸＸＶＩＩＩｂ線における入賞口ユニットの断面図であり、図８８（ｃ）は、図８１（ａ）のＬＸＸＸＶＩＩＩｃ−ＬＸＸＸＶＩＩＩｃ線における入賞口ユニットの断面図である。
【図８９】（ａ）から（ｃ）は、入賞口ユニットの断面図である。
【図９０】（ａ）から（ｃ）は、入賞口ユニットの断面図である。
【図９１】（ａ）は、第２実施形態における可変ユニットの正面図であり、（ｂ）は、可変ユニットの上面図であり、（ｃ）は、図９１（ｂ）のＸＣＩｃ−ＸＣＩｃ線における可変ユニットの断面図である。
【図９２】可変ユニットの分解正面斜視図である。
【図９３】可変ユニットの分解背面斜視図である。
【図９４】（ａ）は、磁石の正面図であり、（ｂ）は、磁石の上面図であり、（ｃ）は、磁石の側面図である。
【図９５】（ａ）から（ｃ）は、可変ユニットの上面図である。
【図９６】（ａ）は、図９５（ａ）のＸＣＶＩａ−ＸＣＶＩａ線における可変ユニット２３６０の断面模式図であり、（ｂ）は、図９５（ｂ）のＸＣＶＩｂ−ＸＣＶＩｂ線における可変ユニットの断面模式図であり、（ｃ）は、図９５（ｃ）のＸＣＶＩｃ−ＸＣＶＩｃ線における可変ユニットの断面模式図である。
【図９７】（ａ）は、第３実施形態における回転体の側面図であり、（ｂ）は、回転体の上面図であり、（ｃ）は、図９７（ｂ）のＸＣＶＩＩｃ−ＸＣＶＩＩｃ線における断面図であり、（ｄ）は、図９７（ｂ）のＸＣＶＩＩｄ−ＸＣＶＩＩｄ線における断面図である。
【図９８】（ａ）及び（ｂ）は、可変ユニットの断面図である。
【図９９】（ａ）は、第４実施形態における回転体の側面図であり、（ｂ）は、回転体の上面図であり、（ｃ）は、図９９（ｂ）のＸＣＩＸｃ−ＸＣＩＸｃ線における回転体の断面図であり、（ｄ）は、図９９（ｂ）のＸＣＩＸｄ−ＸＣＩＸｄ線における回転体の断面図である。
【図１００】可変ユニットおよび背面ベースの断面図である。
【図１０１】可変ユニットおよび背面ベースの断面図である。
【図１０２】可変ユニットおよび背面ベースの断面図である。
【図１０３】第５実施形態における回転体の分解斜視正面図である。
【図１０４】（ａ）は、回転体の側面図であり、（ｂ）は、回転体の上面図であり、（ｃ）は、図１０４（ｂ）のＣＩＶｃ−ＣＩＶｃ線における回転体の断面図であり、（ｄ）は、図１０４（ｂ）のＣＩＶｄ−ＣＩＶｄ線における回転体の断面図である。
【図１０５】可変ユニットおよび背面ベースの断面図である。
【図１０６】可変ユニットおよび背面ベースの断面図である。
【図１０７】（ａ）は、第６実施形態における入賞口ユニットの正面図であり、（ｂ）は、入賞口ユニットの背面図である。
【図１０８】入賞口ユニットの分解斜視正面図である。
【図１０９】第７実施形態における入賞口ユニットの正面図である。
【図１１０】入賞口ユニットの分解斜視正面図である。
【図１１１】（ａ）から（ｃ）は、図１０９のＣＸＩ−ＣＸＩ線における入賞口ユニットの断面図である。
【図１１２】第８実施形態における入賞口ユニットの分解斜視正面図である。
【図１１３】（ａ）は、経路部材の正面図であり、（ｂ）は、図１１３（ａ）のＣＸＩＩＩｂ−ＣＸＩＩＩｂ線における経路部材の断面図である。
【図１１４】（ａ）は、経路部材の正面図であり、（ｂ）は、経路部材の断面図である。
【図１１５】（ａ）は、経路部材の正面図であり、（ｂ）は、経路部材の断面図である。
【図１１６】（ａ）は、経路部材の正面図であり、（ｂ）は、経路部材の断面図である。
【図１１７】第９実施形態における入賞口ユニットの正面図である。
【図１１８】入賞口ユニットの分解斜視正面図である。
【図１１９】（ａ）および（ｂ）は、経路部材の正面図である。
【図１２０】（ａ）及び（ｂ）は、経路部材の正面図である。
【図１２１】（ａ）及び（ｂ）は、入賞口ユニットの正面図である。
【図１２２】（ａ）及び（ｂ）は、入賞口ユニットの正面図である。
【図１２３】（ａ）は、第１０実施形態における経路切替部材の上面図であり、（ｂ）は、経路切替部材の正面図であり、（ｃ）は、経路切替部材の分解斜視正面図である。
【図１２４】（ａ）は、経路切替部材および各経路の上面図であり、（ｂ）は、図１２４（ａ）の矢印ＣＸＸＩＶｂ方向視における経路切替部材および各経路の側面図であり、（ｃ）は、図１２４（ａ）の矢印ＣＸＸＩＶｃ方向視における経路切替部材および各経路の側面図である。
【図１２５】（ａ）は、経路切替部材および各経路の上面図であり、（ｂ）は、経路切替部材および各経路の側面図である。
【図１２６】（ａ）は、経路切替部材および各経路の上面図であり、（ｂ）は、経路切替部材および各経路の側面図である。
【図１２７】（ａ）は、経路切替部材および各経路の上面図であり、（ｂ）は、経路切替部材および各経路の側面図である。
【図１２８】（ａ）は、経路切替部材および各経路の上面図であり、（ｂ）は、経路切替部材および各経路の側面図である。
【図１２９】（ａ）は、経路切替部材および各経路の上面図であり、（ｂ）は、経路切替部材および各経路の側面図である。
【図１３０】（ａ）は、経路切替部材および各経路の上面図であり、（ｂ）は、経路切替部材および各経路の側面図である。
【図１３１】第１１実施形態における入賞口ユニットの正面図である。
【図１３２】入賞口ユニットの分解斜視正面図である。
【図１３３】入賞口ユニットの分解斜視背面図である。
【図１３４】（ａ）及び（ｂ）は、図１３１のＣＸＸＸＩＶ−ＣＸＸＸＩＶ線における入賞口ユニットの断面図である。
【図１３５】（ａ）及び（ｂ）は、入賞口ユニットの断面図である。
【図１３６】（ａ）（ｃ）は、入賞口ユニットの断面図である。
【図１３７】（ａ）は、可変板の変位量の時間変化を示すタイムチャートであり、（ｂ）は、第１実施形態における可変板の変位量の時間変化を示すタイムチャートである。
【図１３８】（ａ）は、回転体の側面図であり、（ｂ）は、回転体の上面図であり、（ｃ）は、図１３８（ｂ）のＣＸＸＸＶＩＩＩｃ−ＣＸＸＸＶＩＩＩｃ線における回転体の断面図であり、（ｄ）は、図１３８（ｂ）のＣＸＸＸＶＩＩＩｄ−ＣＸＸＸＶＩＩＩｄ線における回転体の断面図である。
【発明を実施するための形態】
【００１３】
以下、本発明の実施形態について、添付図面を参照して説明する。まず、図１から図９０を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口２６，２７，２８，６３等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された遊技球を遊技盤１３の正面領域まで誘導する発射レール（図示せず）等が取り付けられている。
【００１６】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１７】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１８】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された遊技球が球発射ユニット１１２ａ（図４参照）へと案内される。また、上皿１７の上面には、枠ボタン２２が設けられている。この枠ボタン２２は、例えば、第３図柄表示装置（図示せず）で表示される演出のステージを変更したり、スーパーリーチの演出内容を変更したりする場合などに、遊技者により操作される。
【００１９】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて遊技球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に遊技球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった遊技球を貯留するための下皿５０が上面を開放した略箱状に形成されている。下皿５０の右側には、球を遊技盤１３の正面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には遊技球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で遊技球が発射され、これにより遊技者の操作に対応した飛び量で遊技盤１３の正面へ遊技球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された遊技球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から遊技球が自然落下して排出される。この球抜きレバー５２の操作は、通常、下皿５０の下方に下皿５０から排出された遊技球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、２つの一般入賞口６３、比較的大型の可動入球役物装置３００、その可動入球役物装置３００の左下方位置に配設される左始動入賞口２６、中央位置に配設される中始動入賞口２８、右下方位置に配設される右始動入賞口２７を備え、その周縁部が内枠１２（図１参照）の裏面側に取り付けられる。
【００２６】
ベース板６０は光透過性の樹脂材料からなり、その正面側からベース板６０の後面側に配設された各種構造体を遊技者に視認させることが可能に形成される。
【００２７】
一般入賞口６３、左始動入賞口２６、右始動入賞口２７、中始動入賞口２８、可動入球役物装置３００は、ルータ加工によってベース板６０に形成された貫通穴に配設され、遊技盤１３の正面側からタッピングネジ等により固定されている。
【００２８】
遊技領域内に放り込まれた遊技球は、その流下の過程で無作為に普通入賞口６３に入球したり、左始動入賞口２６、中始動入賞口２８又は右始動入賞口２７に入球したり、あるいは作動時（開放時）の可動入球役物装置３００に入球したりする。
【００２９】
各入賞口に入球した遊技球は遊技盤１３に形成された貫通穴を通じて遊技盤１３の裏側へ回収される。
【００３０】
一方、可動入球役物装置３００内に流入した遊技球は、さらにその内部で流下や転動、上昇等の過程を経て振り分け動作が行われた後に排出され、遊技盤１３の裏側へ回収される。なお、可動入球役物装置３００内での振り分け動作については、別の図面を参照しながら後述する。
【００３１】
可動入球役物装置３００は、特定の条件が満たされた場合（例えば、左始動入賞口２６、中始動入賞口２８又は右始動入賞口２７に遊技球が入球した場合であって、所定の特別図柄が小当たりの態様で停止表示された場合）に作動し、遊技球の流入を可能にする。すなわち可動入球役物装置３００は、遊技領域の上部位置に設けられた羽部３１２（いわゆる羽根部材）を有しており、この羽部３１２は、例えばソレノイド３１７（図１４参照）を用いたリンク機構の働きにより、盤面に沿って所定角度だけ往復回転する。
【００３２】
羽部３１２は、略直立した状態にあり、可動入球役物装置３００への遊技球の流入は常に不能となっている。可動入球役物装置３００が作動すると、羽部３１２がその基端部を中心として遊技領域内の左右方向へ倒れるようにして変位することで可動入球役物装置３００への遊技球の流入を可能にする。羽部３１２は遊技領域内の上部位置、特に遊技球が最初に打ち込まれる位置の近くにあることから、可動入球役物装置３００の作動時に遊技領域内に打ち込まれた遊技球は、上部位置の釘に誘導されて容易に羽部３１２に到達し、そのまま羽部３１２に案内されて可動入球役物装置３００に流入する。
【００３３】
可動入球役物装置３００は、規定の条件が満たされた場合（可動入球役物装置３００の内部に設けられたいずれかの特定領域を遊技球が通過した場合）にも作動し、可動入球役物装置３００への入球を可能にする。なお、可動入球役物装置３００内の特定領域についてはさらに後述する。
【００３４】
また、可動入球役物装置３００内には、後述する可変板３５２（図１２参照）が配置されている。可変板３５２は、遊技球をノーマルルートに誘導するかスペシャルルートに誘導するかの振り分け動作を行う。遊技球がノーマルルートに誘導されれば、その後に大当りとなる確率は低いが、遊技球がスペシャルルートに誘導されれば、遊技球がノーマルルートに誘導された場合と比較してその後に大当りとなる確率が高くなる。
【００３５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００３６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された遊技球が流下する領域）である。
【００３７】
２本のレール６１，６２は、球発射ユニット１１２ａ（図４参照）から発射された遊技球を遊技盤１３上部へ案内するために設けられたものである。内レール６１の先端部分（図２の左上部）には戻り球防止部材６８が取り付けられ、一旦、遊技盤１３の上部へ案内された遊技球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された遊技球は、返しゴム６９に当たって、勢いが減衰されつつ中央部側へ跳ね返される。
【００３８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、左右始動入賞口２６，２７へ入賞したか、中始動入賞口２８へ入賞したかに応じて使い分けられるように構成されている。具体的には、球が、左右始動入賞口２６，２７へ入賞した場合には、第１図柄表示装置３７Ａが作動し、一方で、球が、中始動入賞口２８へ入賞した場合には、第１図柄表示装置３７Ｂが作動するように構成されている。
【００３９】
また、第１図柄表示装置３７Ａ，３７Ｂは、ＬＥＤにより、パチンコ機１０が時短中か通常中であるかを点灯状態により示したり、変動中であるか否かを点灯状態により示したり、停止図柄が小当たりに対応した図柄かを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００４０】
尚、本パチンコ機１０では、第１センサ３１１ｂへ入賞があったことを契機として抽選（可動入球役物装置３００を流下する遊技球が特定領域を通るか否かの抽選）が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１６Ｒ大当たり、７Ｒ大当たり、３Ｒ大当たり、が用意されている。第１図柄表示装置３７Ａ，３７Ｂには、大当たりである場合はその大当たり種別に応じた図柄が示される。
【００４１】
ここで、「１６Ｒ大当たり」とは、最大ラウンド数が１６ラウンドの大当たりのことであり、「７Ｒ大当たり」とは、最大ラウンド数が７ラウンドの大当たりのことであり、「３Ｒ大当たり」とは、最大ラウンド数が３ラウンドの大当たりのことである。
【００４２】
１ラウンドとは、大当たりの賞球個数を区切る単位のことである。本実施形態では、１ラウンドの間は、羽部３１２が傾倒し、第１センサ３１１ｂ（図１４参照）が開放され、３０秒間経過するか、遊技球が１０個第１センサ３１１ｂを通過すると終了となる。第１センサ３１１ｂを遊技球が１個通過することにより１０個の賞球があるので、１ラウンドごとに、約１００個の賞球を得ることができる。
【００４３】
なお、本実施形態では、１ラウンド目は、遊技球がＶ入賞部材３８２（図１０参照）を通過することで終了となるので、１ラウンド目は賞球が無い。即ち、３Ｒ大当たりでは、最大で約２００個の賞球が、７Ｒ大当たりでは、最大で約６００個の賞球が、１６Ｒ大当たりでは、最大で約１５００個の賞球が得られる。
【００４４】
時短状態（時短中）とは、大当たり確率がそのままで第２図柄の当たり確率のみがアップして中始動入賞口２８へ遊技球が入賞し易い遊技の状態のことをいう。一方、パチンコ機１０が通常中とは、時短中でない遊技の状態（第２図柄の当たり確率がアップしていない状態）である。
【００４５】
時短中は、第２図柄の当たり確率がアップするだけではなく、中始動入賞口２８に付随する可変入賞装置６５０の可変板６５２が開放される時間も変更され、通常中と比して長い時間が設定される。可変入賞装置６５０の可変板６５２が開放された状態（開放状態）にある場合は、その可変入賞装置６５０の可変板６５２が閉鎖された状態（閉鎖状態）にある場合と比して、中始動入賞口２８へ遊技球が入賞しやすい状態となる。よって、時短中は、中始動入賞口２８へ遊技球が入賞し易い状態となり、羽部３１２を開放状態にし易くすることができる。
【００４６】
なお、時短中において、中始動入賞口２８に付随する可変入賞装置６５０の可変板６５２の開放時間を変更するのではなく、または、その開放時間を変更することに加えて、１回の当たりで可変入賞装置６５０の可変板６５２が開放する回数を通常中よりも増やす変更を行うものとしてもよい。また、時短中において、第２図柄の当たり確率は変更せず、中始動入賞口２８に付随する可変入賞装置６５０の可変板６５２が開放される時間および１回の当たりで可変入賞装置６５０の可変板６５２が開放する回数の少なくとも一方を変更するものとしてもよい。また、時短中において、中始動入賞口２８に付随する可変入賞装置６５０の可変板６５２が開放される時間や、１回の当たりで可変入賞装置６５０の可変板６５２を開放する回数は変更せず、第２図柄の当たり確率だけを、通常中と比してアップするよう変更するものであってもよい。
【００４７】
遊技領域には、球が入賞することにより５個から１５個の遊技球が賞球として払い出される複数の一般入賞口６３が配設されている。また、遊技領域の中央部分には、可動入球役物装置３００が配設されている。可動入球役物装置３００には、左右始動入賞口２６，２７及び中始動入賞口２８への入賞（始動入賞）をトリガとして、第１図柄表示装置３７Ａ，３７Ｂにおける変動表示と同期させながら、開閉動作する羽部３１２と、スルーゲート６７の遊技球の通過をトリガとして第２図柄を変動表示するＬＥＤで構成される第２図柄表示装置（図示せず）とが設けられている。また、可動入球役物装置３００には、外周を囲むようにして、センターフレーム８６が配設されている。
【００４８】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第２図柄の変動表示後に「×」の図柄が停止表示される。
【００４９】
パチンコ機１０は、第２図柄表示装置における変動表示が所定図柄（本実施形態においては「○」の図柄）で停止した場合に、中始動入賞口２８に付随された可変入賞装置６５０の可変板６５２が所定時間だけ作動状態となる（開放される）よう構成されている。
【００５０】
第２図柄の変動表示にかかる時間は、遊技状態が通常中の場合よりも、時短中の方が短くなるように設定される。これにより、時短中は、第２図柄の変動表示が短い時間で行われるので、当たり抽選を通常中よりも多く行うことができる。よって、当たり抽選において当たりとなる機会が増えるので、中始動入賞口２８の可変入賞装置６５０の可変板６５２が開放状態となる機会を遊技者に多く与えることができる。よって、時短中は、中始動入賞口２８へ遊技球が入賞しやすい状態とすることができる。
【００５１】
なお、時短中において、当たり確率を高める、１回に当たりに対する可変入賞装置６５０の可変板６５２の開放時間や開放回数を増やすなど、その他の方法によっても、時短中に中始動入賞口２８へ遊技球が入賞しやすい状態としている場合は、第２図柄の変動表示にかかる時間を遊技状態にかかわらず一定としてもよい。一方、第２図柄の変動表示にかかる時間を、時短中において通常中よりも短く設定する場合は、当たり確率を遊技状態にかかわらず一定にしてもよいし、また、１回の当たりに対する可変入賞装置６５０の可変板６５２の開放時間や開放回数を遊技状態にかかわらず一定にしてもよい。
【００５２】
スルーゲート６７は、可動入球役物装置３００の左右において遊技盤に組み付けられ、遊技盤に発射された遊技球の一部が通過可能に構成されている。スルーゲート６７を遊技球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００５３】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、可動入球役物装置３００の下方に左右対称に配設されている。
【００５４】
なお、第２図柄の変動表示は、本実施形態のように、第２図柄表示装置において複数のランプの点灯と非点灯を切り換えることにより行うものの他、第１図柄表示装置３７Ａ，３７Ｂ及び可動入球役物装置３００の一部を使用して行うようにしても良い。同様に、第２図柄保留ランプの点灯を可動入球役物装置３００の一部で行うようにしても良い。また、スルーゲート６７の遊技球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可動入球役物装置３００の左右に限定されるものではなく、例えば、可動入球役物装置３００の上方でも良い。また、第１図柄表示装置３７Ａ，３７Ｂにより保留球数が示されるので、第２図柄保留ランプにより点灯表示を行わないものとしてもよい。
【００５５】
可動入球役物装置３００の左右下方には、球が入賞し得る左右始動入賞口２６，２７が配設されている。この左右始動入賞口２６，２７へ遊技球が入賞すると遊技盤１３の裏面側に設けられる左始動入賞口スイッチ２１０ａ、右始動入賞口スイッチ２１０ｂがオンとなり、その左始動入賞口スイッチ２１０ａ、右始動入賞口スイッチ２１０ｂのオンに起因して主制御装置１１０（図４参照）で抽選がなされ、その抽選結果に応じた表示が第１図柄表示装置３７Ａで示されると共に、羽部３１２が所定回数（本実施形態では１回）開放し、所定期間後（本実施形態では０．５秒後）閉鎖される。
【００５６】
一方、左右始動入賞口２６，２７の正面視中央側には、球が入賞し得る中始動入賞口２８が配設されている。この中始動入賞口２８へ遊技球が入賞すると遊技盤１３の裏面側に設けられる中始動入賞口スイッチ（図示せず）がオンとなり、その中始動入賞口スイッチ）のオンに起因して主制御装置１１０（図４参照）で抽選がなされ、その抽選結果に応じた表示が第１図柄表示装置３７Ｂで示されると共に、羽部３１２が所定回数（本実施形態では２回）開放と閉鎖とを繰り返す（開放する期間は０．５秒で、１回目と２回目との間隔は２秒間）。
【００５７】
各始動入賞口２６，２７，２８は、１／１で小当たりとなるように抽選を行っている。そのため、本実施形態において、各始動入賞口２６，２７，２８を遊技球が通過することによる大当たりの抽選は無い。その抽選後、ランダムに選択されたオープニング期間（１〜５秒間）後に、羽部３１２が所定回数の開放と閉鎖とを繰り替えす。
【００５８】
また、左右始動入賞口２６，２７および中始動入賞口２８は、それぞれ、球が入賞すると５個の遊技球が賞球として払い出される入賞口の１つにもなっている。なお、本実施形態においては、左右始動入賞口２６，２７へ遊技球が入賞した場合に払い出される賞球数と中始動入賞口２８へ遊技球が入賞した場合に払い出される賞球数とを同じに構成したが、左右始動入賞口２６，２７へ遊技球が入賞した場合に払い出される賞球数と中始動入賞口２８へ遊技球が入賞した場合に払い出される賞球数とを異なる数、例えば、左右始動入賞口２６，２７へ遊技球が入賞した場合に払い出される賞球数を３個とし、中始動入賞口２８へ遊技球が入賞した場合に払い出される賞球数を５個として構成してもよい。
【００５９】
中始動入賞口２８には可変入賞装置６５０が付随されている。この可変入賞装置６５０の可変板６５２は開閉可能に構成されており、通常は可変入賞装置６５０の可変板６５２が閉鎖状態（縮小状態）となって、球が中始動入賞口２８へ入賞しにくい状態となっている。一方、スルーゲート６７への遊技球の通過を契機として行われる第２図柄の変動表示の結果、「○」の図柄が第２図柄表示装置に表示された場合、可変入賞装置６５０の可変板６５２が開放状態（拡大状態）となり、球が中始動入賞口２８へ入賞しやすい状態となる。
【００６０】
上述した通り、時短中は、通常中と比して第２図柄の当たり確率が高く、また、第２図柄の変動表示にかかる時間も短いので、第２図柄の変動表示において「○」の図柄が表示され易くなって、可変入賞装置６５０の可変板６５２が開放状態（拡大状態）となる回数が増える。更に、時短中は、可変入賞装置６５０の可変板６５２が開放される時間も、通常中より長くなる。よって、時短中は、通常時と比して、中始動入賞口２８へ遊技球が入賞しやすい状態を作ることができる。
【００６１】
大当たりとなった場合に選定される大当たりの種別として１６Ｒ大当たりとなる確率は、中始動入賞口２８へ遊技球が入賞した場合のほうが左右始動入賞口２６，２７へ遊技球が入賞した場合よりも高く設定されている（可動入球役物装置３００に複数個の遊技球をまとめて入球させ易くされている）。一方、左右始動入賞口２６，２７は、中始動入賞口２８にあるような電動役物は有しておらず、球が常時入賞可能な状態となっている。
【００６２】
可動入球役物装置３００の上部には第１センサ３１１ｂが配設されている。パチンコ機１０においては、左右始動入賞口２６，２７又は中始動入賞口２８への入賞後、可動入球役物装置３００に入球した遊技球がＶ入賞部材３８２を通過したことに起因して大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を可動入球役物装置３００の一部に表示させて、大当たりの発生が示される。その後、球が入賞し易い特別遊技状態（大当たり、大当たり遊技）に遊技状態が遷移する。この特別遊技状態として、通常時には閉鎖されている羽部３１２が、所定時間（例えば、３０秒経過するまで、或いは、球が１０個入賞するまで）開放される。
【００６３】
この羽部３１２は、所定時間が経過すると閉鎖され、その閉鎖後、再度、その羽部３１２が所定時間開放される。この羽部３１２の開閉動作は、最高で例えば１５回（初回ラウンドを除く１６ラウンド分）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６４】
なお、上記した形態に特別遊技状態は限定されるものではない。羽部３１２とは別に開閉される大開放口を遊技領域に設け、第１図柄表示装置３７Ａ，３７Ｂにおいて大当たりに対応したＬＥＤが点灯した場合に、羽部３１２が所定時間開放され、その羽部３１２の開放中に、球が第１センサ３１１ｂ内へ入賞することを契機として羽部３１２とは別に設けられた大開放口が所定時間、所定回数開放される遊技状態を特別遊技状態として形成するようにしても良い。また、第１センサ３１１ｂは１つに限るものではなく、１つ若しくは２以上の複数（例えば３つ）を配置しても良く、また配置位置も可動入球役物装置３００の上側に限らず、例えば、左右始動入賞口２６，２７の下方でも良い。
【００６５】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００６６】
遊技盤１３には、アウト口７１が設けられている。遊技領域を流下する遊技球であって、いずれの入賞口２６，２７，２８，６３にも入賞しなかった遊技球は、アウト口７１を通って図示しない球排出路へと案内される。また、可動入球役物装置３００に入球した遊技球も含めて、遊技領域内に打ち込まれた全ての遊技球は遊技盤１３の裏側へ回収される。回収された遊技球は、図示されていないアウト通路アセンブリを通じてパチンコ機１０の裏側から枠外へ排出され、さらに図示しない島設備の補給経路に合流する。
【００６７】
遊技盤１３には、球の落下方向を適宜分散、調整等するために多数の釘が植設されているとともに、風車等の各種部材（役物）とが配設されている。
【００６８】
本実施形態における遊技機の遊技の一例について説明する。本実施形態の遊技の目的は、Ｖ入賞部材３８２に遊技球を通過させて、特別遊技状態へ遊技状態を移行して、賞球を得ることである。そのために、遊技者は、センターフレーム８６の上面部を遊技球が滑り落ちるように遊技球の強さを調整して発射する。これにより、遊技球が多数の釘に当たりながら各始動入賞口２６，２７，２８に入球すると、羽部３１２が開放する。このときに、タイミング良く遊技球を可動入球役物装置３００に入球させることができれば、その後行する遊技球の流下の態様によって遊技球がＶ入賞部材３８２を通過するので、遊技者は遊技球の流下を視認して、大当たりを得ることができるか、はずれとなるかを実際の遊技球の動きを見ながら楽しむことができる。
【００６９】
即ち、大当たりを得る第１条件は、羽部３１２を開放させることであり、第２条件は、可動片１９０ｂが開放した時に遊技球を可動入球役物装置３００に入球させることである。
【００７０】
そのため、遊技球をセンターフレーム８６までは届かせない打ち方（いわゆる「ちょろ打ち」）や、返しゴム６９まで届かせる打ち方（いわゆる「右打ち」）は、本実施形態で大当たりを得るためには、不利となる。
【００７１】
なお、後述するように、本実施形態では、可動入球役物装置３００に遊技球を２個同時に入球させると大当たりを得やすい構造が採用されている。そのため、遊技者は、遊技球をセンターフレーム８６の上端部（三角に尖った頂点部分）へ目がけて発射することで、遊技球を左右にばらけさせ、可動片１９０ｂの開放時に左右から１個ずつ、合わせて２個入球することを狙い、これにより、大当たりを得やすいように遊技を行うことができる。
【００７２】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７４】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７５】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により遊技球の払出を行う払出装置１３３とを備えている。タンク１３０には、遊技ホールの島設備から供給される遊技球が逐次補給され、払出装置１３３により必要個数の遊技球の払い出しが適宜行われる。タンクレール１３１には、当該タンクレール１３１に振動を付加するためのバイブレータ１３４が取り付けられている。
【００７７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７８】
次に、図４を参照して、本パチンコ機１０の電気的構成について説明する。図４は、パチンコ機１０の電気的構成を示すブロック図である。
【００７９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、第１図柄表示装置３７Ａ，３７Ｂにおける表示の設定、第２図柄表示装置における表示結果の抽選といったパチンコ機１０の主要な処理を実行する。
【００８０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００８１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図４参照）によって電源遮断時に実行され、ＲＡＭ２０３に書き込まれた各値の復帰は電源投入時の立ち上げ処理（図４参照）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理が即座に実行される。
【００８３】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、第１センサ３１１ｂの羽部３１２の下辺を軸として左右へ向けて開閉回転駆動するための大開放口ソレノイド２０９ａや可変入賞装置６５０の可変板６５２を駆動するための電動役物ソレノイド２０９ｂ又はモータなどからなる各種ソレノイド・モータ２０９が接続され、ＭＰＵ２０１は、入出力ポート２０５を介してこれらに対し各種コマンドや制御信号を送信する。
【００８４】
各種スイッチ２０８とは異なるスイッチであって、遊技者に与える利益に直接的に関与する各種直接スイッチ２１０は、入出力ポート２０５を介さず、直接ＭＰＵ２０１に接続される。
【００８５】
各種ソレノイド・モータ２０９は、少なくとも、第１センサ３１１ｂの羽部３１２の下辺を軸として左右へ向けて開閉回転駆動するためのソレノイド３１７、可変入賞装置６５０の可変板６５２を開閉駆動するためのソレノイド６５５、回転体３７２Ｒ，３７２Ｌを回転駆動する駆動モータ３７６Ｒ、を備える。
【００８６】
なお、各種直接スイッチ２１０には、図示しない左始動入賞口スイッチ、右始動入賞口スイッチ、中始動入賞口スイッチが含まれる。
【００８７】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８８】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８９】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９０】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９１】
発射制御装置１１２は、主制御装置１１０により遊技球の発射の指示がなされた場合に、操作ハンドル５１の回動操作量に応じた遊技球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで遊技球が発射される。
【００９２】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる７セグ表示器の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００９３】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００９４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、各種ソレノイド・モータ２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９５】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００９６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９７】
次いで、図５から図７を参照して、遊技盤１３の概略構成について説明する。図５は、遊技盤１３の正面斜視図であり、図６は、遊技盤１３の分解正面斜視図であり、図７は、遊技盤１３の分解背面斜視図である。
【００９８】
図５から図７に示すように、遊技盤１３は、透明な可撓性材料の樹脂からなるベース板６０の中央部の開口６０ａの内部に配設される可動入球役物装置３００と、その可動入球役物装置３００の重力方向下側に位置すると共にベース板６０に配設される入賞口ユニット６００と、ベース板６０の背面側に配置される照射ユニット９００と、を主に備える。
【００９９】
可動入球役物装置３００は、正面視におけるベース板６０の中央部に貫通形成される開口６０ａの内部に正面側から挿入される。可動入球役物装置３００は、開口６０ａよりも大きい外形の縁部を備え、その縁部がベース板６０の正面と当接して配設される。これにより、可動入球役物装置３００をベース板６０に対して前後方向に位置決めして配設できる。なお、可動入球役物装置３００の詳細な説明は後述する。
【０１００】
入賞口ユニット６００は、上述した各始動入賞口２６，２７，２８を備えるユニットであり、可動入球役物装置３００の重力方向下側に位置し、ベース板６０に配設される。なお、入賞口ユニット６００の詳細な説明は後述する。
【０１０１】
照射ユニット９００は、正面視略矩形の枠状態から形成されており、その外形が、ベース板６０の正面視における外形よりも小さく形成される。これにより、ベース板６０を介して照射ユニット９００を遊技者が直接視認することを不能とできる。
【０１０２】
また、照射ユニット９００の内部には、ＬＥＤを備えた基盤（図示せず）が配設されており、ＬＥＤから照射される光が正面側（遊技者側）に照射される。上述したように、ベース板６０は、透明な可撓性材料の樹脂で形成されるので、照射ユニット９００のＬＥＤから照射される光をベース板６０を介して遊技者側に照射できる。
【０１０３】
次いで、図８から図９０を参照して、可動入球役物装置３００、入賞口ユニット６００の詳細構成を説明する。まず、図８から図８０を参照して、可動入球役物装置３００について説明する。
【０１０４】
初めに、図８から図１３を参照して、可動入球役物装置３００の全体構成について説明する。図８は、可動入球役物装置３００の正面図であり、図９は、可動入球役物装置３００の背面図である。図１０は、可動入球役物装置３００の正面斜視図であり、図１１は、可動入球役物装置３００の背面斜視図である。図１２は、可動入球役物装置３００の分解正面斜視図であり、図１３は、可動入球役物装置３００の分解背面斜視図である。
【０１０５】
図８から図１３に示すように、可動入球役物装置３００は、正面視略矩形の枠状態に形成されるセンターフレーム３１０と、そのセンターフレーム３１０の背面側の重力方向上側に重ね合される中間部材３３０と、その中間部材３３０の背面側に配設される後方部材３５０と、センターフレーム３１０の背面側に配設される可変ユニット３６０と、その可変ユニット３６０及び後方部材３５０の背面側を覆う様態で配設される背面ベース３９０と、その背面ベース３９０の背面側に配設される制御基板４１０とを主に備えて形成される。
【０１０６】
可動入球役物装置３００は、枠状態のセンターフレーム３１０の内側を通じて背面側に配設される中間部材３３０、後方部材３５０及び可変ユニット３６０を遊技者が視認可能とされる（図８参照）。
【０１０７】
次に、図１４及び図１５を参照して、センターフレーム３１０の詳細な構成を説明する。図１４は、センターフレーム３１０の分解正面斜視図であり、図１５は、センターフレーム３１０の分解背面斜視図である。
【０１０８】
図１４及び図１５に示すように、センターフレーム３１０は、正面視枠状に形成される枠体３１１と、枠体３１１の正面側の重力方向上側に回転可能に軸支される羽部３１２と、枠体３１１の正面側を覆う様態で配設され枠体３１１との間に羽部３１２を介設する上部正面カバー３１３と、羽部３１２を回転させるための駆動力を発生させるソレノイド３１７と、そのソレノイド３１７の駆動力を羽部３１２に伝達する軸部３１５と、ソレノイド３１７を収容する背面カバー３１６と、その背面カバー３１６の背面側に覆設されてソレノイド３１７が背面カバー３１６から抜け出ることを抑制する通気カバー３１８とを主に備えて形成される。
【０１０９】
枠体３１１は、正面視枠状態に形成されると共に、重力方向上側の正面に背面側に向かって凹設される凹部３１１ａと、その凹部３１１ａの重力方向下側の縁部に配設される一対の第１センサ３１１ｂと、その一対の第１センサ３１１ｂの間に形成される上方傾斜部３１１ｃと、重力方向下側の内周面に形成される下降傾斜部３１１ｄと、その下降傾斜部３１１ｄの両端部に遊技球が通過可能な大きさに開口される回収孔３１１ｅと、凹部３１１ａに正面側から背面側に亘って貫通形成される貫通孔３１１ｆとを主に備えて形成される。
【０１１０】
凹部３１１ａは、後述する上部正面カバー３１３との対向間に遊技球が通過可能な間隙を形成するための凹みであり、凹設寸法が遊技球の直径よりも大きく設定される。また、凹部３１１ａは、正面視において左右方向（図８左右方向）両端に向かうに従って重力方向下側（図８下側）に湾曲する三日月形状に形成される。これにより、凹部３１１ａの縁部に流下した遊技球を、その湾曲形状に沿って枠体３１１の外側に転動させつつ流下させることができる。
【０１１１】
上方傾斜部３１１ｃは、枠体３１１の左右方向中央部に位置すると共に、凹部３１１ａの他側の縁部（凹部３１１ａの正面と枠体３１１の正面とを連結する面）に形成される。上方傾斜部３１１ｃは、枠体３１１の中央部から左右方向両端部に向かうに従って重力方向下側に傾斜して形成される。これにより、凹部３１１ａ（枠体３１１）と上部正面カバー３１３との対向間に遊技球が送球されると、送球された遊技球は、上方傾斜部３１１ｃの上面を重力により転動して、上方傾斜部３１１ｃの終端（左右の両端部）から落下する。
【０１１２】
第１センサ３１１ｂは、内部に遊技球が通過可能な大きさの開口の第１検出孔３１１ｂ１が形成される。第１センサ３１１ｂは、第１検出孔３１１ｂ１の内部に遊技球を通過することで遊技球の通過を検知できる。
【０１１３】
第１センサ３１１ｂは、上方傾斜部３１１ｃの左右方向両端部の外側に第１検出孔３１１ｂ１が重力方向に開口する様態で配置されると共に、上方傾斜部３１１ｃの下降傾斜端よりも下方に位置して配設される。よって、上述したように、上方傾斜部３１１ｃを転動する遊技球は、上方傾斜部３１１ｃの終端まで転動して上方傾斜部３１１ｃから落下すると、第１センサ３１１ｂの第１検出孔３１１ｂ１の内部を通過する。これにより、第１センサ３１１ｂで凹部３１１ａと上部正面カバー３１３との対向間に送球された遊技球を検出できる。
【０１１４】
貫通孔３１１ｆは、内部に後述する軸部３１５の回転軸３１５ａが挿通される孔であり、凹部３１１ａの他側に正面から背面に亘って貫通されると共に、その内径が回転軸３１５ａの外径よりも大きく形成される。
【０１１５】
下降傾斜部３１１ｄは、後述する可変ユニット３６０の上部を送球される遊技球が、可変ユニット３６０の正面から落下した際に、その遊技球を受け止めて回収孔３１１ｅに送球する面であり、センターフレーム３１０の他側の内周面に形成される。下降傾斜部３１１ｄは、左右方向略中央位置から外側に向かうに従って重力方向下側に傾斜して形成される。よって、下降傾斜部３１１ｄの上部に送球された遊技球をその傾斜に沿って下降傾斜部３１１ｄの終端位置まで転動させることができる。
【０１１６】
回収孔３１１ｅは、上述したように下降傾斜部３１１ｄに送球される遊技球が次に送球される孔であり、球の外径よりも大きい開口に形成されると共に、下降傾斜部３１１ｄの左右方向両端に形成される。よって、上述したように、下降傾斜部３１１ｄの上部を転動する遊技球は、下降傾斜部３１１ｄの終端まで転動して下降傾斜部３１１ｄから落下すると、回収孔３１１ｅの内部に送球される。
【０１１７】
羽部３１２は、正面視略三角形に形成され、その厚みが遊技球の直径と略同一に設定される。また、羽部３１２は、背面側の他側（重力方向下側）に正面側に向かって円形に凹設される軸支孔３１２ａが形成される。
【０１１８】
軸支孔３１２ａは、後述する軸部３１５の回転軸３１５ａが内嵌される孔であり、回転軸３１５ａの外径と略同一もしくは小さい内径に形成される。これにより、軸部３１５の回転軸３１５ａが回転されると、軸支孔３１２ａを軸として羽部３１２を回転変位させることができる。なお、羽部３１２の動作についての詳しい説明は後述する。
【０１１９】
上部正面カバー３１３は、枠体３１１の正面側に遊技球の流下経路を形成するための板であり、枠体３１１の凹部３１１ａの正面と遊技球の直径よりも大きい隙間を隔てて配設される。これにより、凹部３１１ａと上部正面カバー３１３との対向間に遊技球が流下可能な隙間が形成される。また、上部正面カバー３１３は、透明な板状体で形成されており、遊技者から凹部３１１ａと上部正面カバー３１３との対向間を流下する遊技球を視認可能とできる。
【０１２０】
上部正面カバー３１３は、一側（重力方向上側）が湾曲する半円弧状に形成されると共に、一側端部の背面側に突出する膨出部３１３ａを備える。
【０１２１】
膨出部３１３ａは、上部正面カバー３１３の重力方向上方から流下する遊技球が、凹部３１１ａと上部正面カバー３１３との対向間に侵入することを防止するための突出部であり、一対に配設される羽部３１２の対向間の上部に形成される。また、羽部３１２が第１状態（羽部３１２が回転変位されず、先端部Ａ１を軸支孔３１２ａの重力方向上側に位置する状態）に位置する際には、羽部３１２と膨出部３１３ａとの隙間が遊技球の直径よりも小さく設定されており、遊技盤１３の正面側を流下する遊技球が凹部３１１ａと上部正面カバー３１３との対向間に侵入できない状態とされる（図１７（ａ）参照）。
【０１２２】
ソレノイド３１７は、羽部３１２に駆動力を付与する駆動手段であり、ピストン変位する軸部３１７ａと、その軸部３１７ａの重力方向下側に形成される伝達部３１７ｂとを主に備えて形成される。
【０１２３】
軸部３１７ａは、円柱形状に形成されると共に、一側がソレノイド３１７の内部に挿通される。軸部３１７ａは、その軸方向が重力方向と平行に配設されており、ソレノイド３１７に電力が付与されると、重力方向上側に変位してソレノイド３１７の内部に引き込まれる。即ち、軸部３１７ａは、重力方向にピストン運動することができる。
【０１２４】
伝達部３１７ｂは、軸部３１７ａの他側から内部に開口３１７ｂ１を有したＤ字状に突出して形成される。伝達部３１７ｂの開口３１７ｂ１は、正面側から背面側に亘って開口して形成されており、内部に後述する可変軸３１５ｂが挿入される。よって、軸部３１７ａが重力方向にピストン運動すると、伝達部３１７ｂに挿入された可変軸３１５ｂが重力方向に変位される。
【０１２５】
軸部３１５は、ソレノイド３１７の駆動力を羽部３１２に伝達する軸であり、正面側の一端に配設されて羽部３１２に連結される回転軸３１５ａと、背面側の一端に配設されてソレノイド３１７に係合される可変軸３１５ｂと、回転軸３１５ａ及び可変軸３１５ｂを連結する連結部３１５ｃとを主に備えて形成される。
【０１２６】
回転軸３１５ａは、上述したように、羽部３１２を回転させる駆動力を伝達する軸であり、正面側の一端が枠体３１１の貫通孔３１１ｆの背面側から挿入されて正面側に突出されると共に、枠体３１１の正面側から突出した端部に羽部３１２の軸支孔３１２ａが外嵌される。
【０１２７】
可変軸３１５ｂは、上述したように背面側の端部がソレノイド３１７の伝達部３１７ｂに挿入されており、ソレノイド３１７の駆動により変位される。
【０１２８】
連結部３１５ｃは、回転軸３１５ａと可変軸３１５ｂとを連結する連結部分であり、回転軸３１５ａの背面側の端部と可変軸３１５ｂの正面側の端部とが連結される。回転軸３１５ａと可変軸３１５ｂとは、互いの軸が平行となる様態で連結される。即ち、回転軸３１５ａと可変軸３１５ｂとは、偏心する位置で連結部３１５ｃにより連結される。これにより、可変軸３１５ｂが重力方向に変位されると、その変位が連結部３１５ｃにより回転軸３１５ａに伝達され、回転軸３１５ａが回転変位する。その結果、羽部３１２を回転変位させることができる。
【０１２９】
背面カバー３１６は、内部にソレノイド３１７を配設するための板であり、枠体３１１の重力方向上側の一側の背面を覆設する様態で配設されると共に、背面側にソレノイド３１７を配設する凹設部３１６ａと、その凹設部３１６ａの重力方向下側に開口３１６ｂと、が形成される。
【０１３０】
凹設部３１６ａは、内部にソレノイド３１７を配設するための凹みであり、ソレノイド３１７と対向する位置に凹設される。凹設部３１６ａの凹設深さは、ソレノイド３１７の前後方向の厚み寸法と略同一に設定されており、背面カバー３１６の背面側とソレノイド３１７の背面側とが略一致する位置に配設される。よって、背面カバー３１６の背面側に板状体から形成される通気カバー３１８が覆設されることで、背面カバー３１６からソレノイド３１７が脱落不能とされる。
【０１３１】
開口３１６ｂは、ソレノイド３１７の伝達部３１７ｂに軸部３１５の可変軸３１５ｂを係合させるための開口であり、可変軸３１５ｂの変位領域よりも大きい開口に形成される。これにより、背面カバー３１６の背面側に配設されるソレノイド３１７の駆動力を軸部３１５に伝達することができる。
【０１３２】
次いで、図１６及び図１７を参照して、羽部３１２の変位動作について説明する。図１６の（ａ）から（ｃ）は、センターフレーム３１０の部分拡大背面図であり、図１７の（ａ）から（ｃ）は、センターフレーム３１０の部分拡大正面図である。
【０１３３】
なお、図１６（ａ）及び図１７（ａ）は、羽部３１２の変位前の第１状態が、図１６（ｃ）及び図１７（ｃ）は、羽部３１２の変位後の第３状態が、図１６（ｂ）及び図１７（ｂ）は、第１状態から第３状態への変位途中の中間位置における状態の第２状態が、それぞれ図示される。また、図１７では、羽部３１２の軸支孔３１２ａと反対側の端部を先端部Ａ１として説明する。
【０１３４】
さらに、図１６（ａ）から図１６（ｃ）では、通気カバー３１８が、図１７（ａ）から図１７（ｃ）では、上部正面カバー３１３が、それぞれ透明視された状態が図示される。また、図１６及び図１７では、回転軸３１５ａが破線で図示される。
【０１３５】
図１６（ａ）及び図１７（ａ）に示すように、第１状態ではソレノイド３１７の軸部３１７ａが重力方向下側に突出した状態で配設される。これにより、伝達部３１７ｂの開口３１７ｂ１に挿通される可変軸３１５ｂが回転軸３１５ａよりも重力方向下側に位置した状態とされる。この場合、回転軸３１５ａを外嵌する羽部３１２の先端部Ａ１は、軸支孔３１２ａ（回転軸３１５ａ）の重力方向上側（図１７（ａ）上側）、且つ、一対の羽部３１２の対向間の内側に位置する。
【０１３６】
図１６（ａ）及び図１７（ａ）に示す状態から、ソレノイド３１７に電力が付与されて軸部３１７ａが重力方向上方に変位すると、図１６（ｂ）及び図１７（ｂ）に示す第２状態とされる。
【０１３７】
図１６（ｂ）及び図１７（ｂ）に示すように、第２状態では、軸部３１７ａが重力方向上側に変位してソレノイド３１７の内部に収容される分、軸部３１５の可変軸３１５ｂが、回転軸３１５ａの軸を中心に回転しつつ重力方向上側に変位される。可変軸３１５ｂが回転変位されると、その回転変位が連結部３１５ｃを介して回転軸３１５ａに伝達されて回転軸３１５ａが回転される。これにより、羽部３１２が軸支孔３１２ａを軸に回転変位される。
【０１３８】
第２状態では、羽部３１２の先端部Ａ１は、一対の羽部３１２の対向間の外側に位置すると共に、先端部Ａ１と上部正面カバー３１３の膨出部３１３ａとの隙間が遊技球の外径よりも大きくされる。即ち、第２状態では、枠体３１１の凹部３１１ａと上部正面カバーとの対向間に重力方向上側から流下される遊技球を流入可能とされる。
【０１３９】
なお、第２状態とは、第１状態から第３状態への変位における中間位置である。即ち、羽部３１２の変位は、上述した第１状態の位置と後述する第３状態の位置とを一連の動作として行われる。
【０１４０】
図１６（ｂ）及び図１７（ｂ）に示す状態から、ソレノイド３１７に電力が付与され続けて、軸部３１７ａが重力方向上側にさらに変位すると、図１６（ｃ）及び図１７（ｃ）に示す第３状態とされる。
【０１４１】
図１６（ｂ）及び図１７（ｂ）に示すように、第３状態では、上述した第２状態よりもさらに軸部３１７ａが重力方向上側に変位してソレノイド３１７の内部に収容される。これにより、軸部３１５の可変軸３１５ｂが、回転軸３１５ａの軸を中心にさらに回転しつつ重力方向上側に変位される。可変軸３１５ｂが回転変位されると、上述した第１状態から第２状態への変位と同様に、可変軸３１５ｂの回転変位が連結部３１５ｃを介して回転軸３１５ａに伝達されて回転軸３１５ａが更に回転される。従って、羽部３１２が軸支孔３１２ａを軸に第２状態よりもさらに回転変位される。
【０１４２】
第３状態では、羽部３１２の先端部Ａ１は、一対の羽部３１２の対向間の外側に位置すると共に、先端部Ａ１と軸支孔３１２ａ（回転軸３１５ａ）とを結ぶ仮想線Ｓ１が、重力方向に対して略４５度左右方向外側に傾斜する状態とされる。これにより、遊技盤１３の上方を流下する遊技球を羽部３１２で受け止め可能な領域が拡大されるので、枠体３１１の凹部３１１ａと上部正面カバー３１３との対向間に遊技球を流入させやすくできる。
【０１４３】
次に、図１８を参照して、第１状態および第３状態における遊技盤１３を流下する遊技球について説明する。図１８（ａ）は、第１状態におけるセンターフレーム３１０の部分拡大正面図であり、図１８（ｂ）は、第３状態におけるセンターフレーム３１０の部分拡大正面図である。
【０１４４】
図１８（ａ）に示すように、第１状態では、羽部３１２の先端部Ａ１と上部正面カバー３１３の膨出部３１３ａとの隙間が遊技球の直径よりも小さくされるので、枠体３１１の凹部３１１ａと上部正面カバー３１３との対向間に遊技球が流入不可能とされる。
【０１４５】
よって、センターフレーム３１０の上方から流下する遊技球は、枠体３１１の凹部３１１ａと上部正面カバー３１３との対向間に流入することなく、センターフレーム３１０（可動入球役物装置３００）の左右方向両側を流下する。
【０１４６】
一方、第３状態では、上述したように羽部３１２の先端部Ａ１と軸支孔３１２ａとを結ぶ仮想線Ｓ１は、重力方向に対して略４５度傾斜する様態とされる。よって、図１８（ｂ）に示すように、枠体３１１の凹部３１１ａと上部正面カバー３１３との対向間に遊技球が流入可能とされる。
【０１４７】
従って、センターフレーム３１０の上方から流下して、羽部３１２の上方に衝突する遊技球は、羽部３１２によって枠体３１１の凹部３１１ａと上部正面カバー３１３との対向間に転動して送球される。
【０１４８】
次いで、図１９及び図２０を参照して、中間部材３３０の詳細な構成について説明する。図１９（ａ）は、中間部材３３０の正面図であり、図１９（ｂ）は、中間部材３３０の背面図であり、図１９（ｃ）は、図１９（ａ）のＸＩＸｃ−ＸＩＸｃ線における中間部材３３０の断面図である。図２０（ａ）は、中間部材３３０の分解正面斜視図であり、図２０（ｂ）は、中間部材３３０の分解背面斜視図である。
【０１４９】
図１９及び図２０に示すように、中間部材３３０は、正面視略矩形に形成される本体部３３１と、その本体部３３１の左右方向外側の両側に配設され本体部３３１の内側を照射する装飾基盤３３２とを主に備えて形成される。
【０１５０】
本体部３３１は、センターフレーム３１０の枠体３１１の凹部３１１ａと上部正面カバー３１３との対向間に送球された遊技球を第１センサ３１１ｂの重力方向下側で拾って背面側に送球するための板であり、正面側の略中央位置から突出してその先端が第１検出孔３１１ｂ１（第１センサ３１１ｂ）の重力方向下側に配置される受部３３１ａと、その受部３３１ａの重力方向下側に位置して、受部３３１ａから送球される遊技球を複数の流路に案内する案内部３３１ｂとを主に備えて形成される。
【０１５１】
また、本体部３３１は、透明な可撓性材料から形成される。これにより、本体部３３１の左右方向外側に配設する装飾基盤３３２から照射される光を本体部３３１の内側に照射することができる。
【０１５２】
受部３３１ａは、正面視において重力方向上側（図１９（ａ）上下方向上側）が開放する断面略Ｕ字状に形成される。受部３３１ａの正面側の突出先端は、センターフレーム３１０の枠体３１１の開口内部に挿入されると共に、枠体３１１の第１検出孔３１１ｂ１（第１センサ３１１ｂ）の重力方向下側に位置して配設される。これにより、上述したように、枠体３１１（センターフレーム３１０）の第１検出孔３１１ｂ１を通過する遊技球を受部３３１ａの内面（Ｕ字状の内側部分）に落下させることできる。
【０１５３】
また、受部３３１ａは、重力方向下側の底面が正面側から背面側に向かうに従って下降傾斜して形成される（図１９（ｃ）参照）。これにより、受部３３１ａに落下した遊技球を、その下降傾斜に沿って転動させて本体部３３１の背面側に送球することができる。
【０１５４】
案内部３３１ｂは、受部３３１ａの重力方向下側（図１９（ｂ）上下方向下側）に本体部３３１の背面側から突出して形成される。案内部３３１ｂは、重力方向下側が開放した大小２つのＵ字形状を遊技球の直径よりも大きい所定の間隔を隔てて突設して形成される。
【０１５５】
案内部３３１ｂの小形のＵ字に形成される内側案内部３３１ｂ１は、その上面が左右方向略中央位置から外側に向かって下降傾斜して形成される。これにより、内側案内部３３１ｂ１の上部に送球される遊技球を、内側案内部３３１ｂ１の上面を左右方向に転動させることができる。
【０１５６】
案内部３３１ｂの大形のＵ字に形成される外側案内部３３１ｂ２は、上述したように、内側案内部３３１ｂ１と遊技球の直径よりも大きい間隔を備えて形成される。これにより、内側案内部３３１ｂ１と外側案内部３３１ｂ２との対向間に遊技球を案内することができる。内側案内部３３１ｂ１と外側案内部３３１ｂ２との対向間に案内される遊技球は、その対向間を流下して後述する本体部３８０の第１転動部３８１ａに送球される。
【０１５７】
外側案内部３３１ｂ２の左右方向（図１９（ｂ）左右方向）外側には、本体部３３１の背面側から突出する立設壁３３１ｃが重力方向に延設される。立設壁３３１ｃは、外側案内部３３１ｂ２と遊技球の直径よりも大きい間隔を隔てて形成される。これにより、外側案内部３３１ｂ２の上面に送球されて、外側案内部３３１ｂ２の上面から落下する遊技球を外側案内部３３１ｂ２と立設壁３３１ｃとの対向間に送球して、流下させることができる。
【０１５８】
次に、図２１及び図２３を参照して、センターフレーム３１０から中間部材３３０への遊技球の送球を説明する。図２１（ａ）は、センターフレーム３１０及び中間部材３３０の正面図であり、図２１（ｂ）は、センターフレーム３１０及び中間部材３３０の側面図であり、図２１（ｃ）は、図２１（ａ）のＸＸＩｃ−ＸＸＩｃ線におけるセンターフレーム３１０及び中間部材３３０の部分拡大断面図である。図２２（ａ）から図２２（ｃ）は、センターフレーム３１０及び中間部材３３０の正面図である。図２３（ａ）から図２３（ｃ）は、センターフレーム３１０及び中間部材３３０の部分拡大断面図である。
【０１５９】
なお、図２１から図２３では、センターフレーム３１０及び中間部材３３０が組み合わされた状態が図示される。また、図２２及び図２３では、第３状態（羽部３１２を軸支孔３１２ａを中心に回転させた状態）におけるセンターフレーム３１０が図示され、図２３（ａ）から図２３（ｃ）では、図２１（ｃ）の断面図と対応する断面が図示される。さらに、図２２及び図２３では、球の送球される遷移状態が図示される。
【０１６０】
図２１（ａ）から図２１（ｃ）に示すように、センターフレーム３１０及び中間部材３３０が組み合わされた状態では、中間部材３３０の受部３３１ａの突出先端がセンターフレーム３１０の上部正面カバー３１３の正面と重力方向における位置が略一致する。即ち、受部３３１ａは、第１センサ３１１ｂと重力方向に対向する位置まで突設される。よって、上述したように、第１センサ３１１ｂの内部を通過して流下する遊技球を、受部３３１ａに落下させることができる。
【０１６１】
図２２（ａ）及び図２３（ａ）に示すように、第３状態における羽部３１２では、センターフレームの重力方向上側から流下する遊技球が、羽部３１２と当接して、２の羽部３１２の対向間に送球される。これにより、図２２（ｂ）及び図２３（ｂ）に示すように、球が、枠体３１１の凹部３１１ａと上部正面カバー３１３との対向間に送球される。
【０１６２】
図２２（ｂ）及び図２３（ｂ）に示すように、上部正面カバー３１３と枠体３１１の凹部３１１ａとの対向間に送球される遊技球は、凹部３１１ａの重力方向下側縁部に配設した第１センサ３１１ｂの内側案内部３３１ｂ１の内部を通過して図２２（ｃ）及び図２３（ｃ）に示す受部３３１ａの内側に送球される。
【０１６３】
図２２（ｃ）及び図２３（ｃ）に示すように、第１センサ３１１ｂの内側案内部３３１ｂ１の重力方向下側には、受部３３１ａの湾曲部分（正面視Ｕ字状の湾曲部分）が位置される。これにより、受部３３１ａに落下した遊技球が、反発して跳ね返ることを抑制できる。その結果、受部３３１ａの内側を転動する遊技球の転動速度が遅くなることを抑制できる。
【０１６４】
次に、図２４を参照して、受部３３１ａの上面を転動する遊技球について説明する。図２４（ａ）から図２４（ｃ）は、センターフレーム３１０及び中間部材３３０の断面図である。なお、図２４（ａ）から図２４（ｃ）は、受部３３１ａの上面を転動する遊技球の遷移状態が図示される。また、図２４（ａ）から図２４（ｃ）は、図２１（ｃ）の断面と対応する。
【０１６５】
図２４（ａ）から図２４（ｃ）に示すように、受部３３１ａの上面に送球される遊技球は、基部側（背面側）に向かう下降傾斜により、受部３３１ａの上面を転動して受部３３１ａの基部側に転動する。この際、上述したように、第１センサ３１１ｂの内側案内部３３１ｂ１の重力方向下側には、受部３３１ａの湾曲部分が位置するので、内側案内部３３１ｂ１から流下する遊技球を受部３３１ａの湾曲部分に衝突させることができる。これにより、重力方向に流下する遊技球に、左右方向へ変位を付与することができる。従って、受部３３１ａの上面を流下する遊技球の転動を受部３３１ａの基部に向かう転動だけでなく、左右方向へ転動させることができ、遊技者に遊技球の転動状態を長く見せて遊技者の興趣を向上することができる。
【０１６６】
また、湾曲部分は平坦面よりも剛性が高くなるので、受部３３１ａの上面への遊技球の流下位置を湾曲部分とすることで、受部３３１ａの上面へ遊技球が落下した際に受部３３１ａがその衝撃により破損することを抑制できる。
【０１６７】
次に、図２５から図２７を参照して、後方部材３５０について説明する。図２５（ａ）は、後方部材３５０の正面図であり、図２５（ｂ）は、後方部材３５０の背面図であり、図２５（ｃ）は、図２５（ａ）のＸＸＶｃ−ＸＸＶｃ線における後方部材３５０の断面図である。図２６は、後方部材３５０の分解正面斜視図であり、図２７は、後方部材３５０の分解背面斜視図である。
【０１６８】
図２５から図２７に示すように、後方部材３５０は、正面視略台形の板状体から形成される背面本体部３５１と、その背面本体部３５１の中央部に前後方向に開口する開口３５１ｂの内側に変位可能に配設される可変板３５２と、可変板３５２を間に挟む様態で背面本体部３５１に取着されて可変板３５２の変位に伴ってその内部に遊技球が送球される入賞部材３５３と、入賞部材３５３に取着され入賞部材３５３の内部の遊技球の送球経路を形成する装飾部材３５４と、装飾部材３５４に取着されると共に装飾部材３５４を介して遊技者側に光を照射する発光部材３５５と、可変板３５２に駆動力を付与するソレノイド３５６と、装飾部材３５４との間にソレノイド３５６を介した状態で取着されソレノイド３５６を脱落不能に保持するカバー部材３５７とを主に備えて形成される。
【０１６９】
背面本体部３５１は、正面側に断面Ｕ字状に突出する立設部３５１ａと、立設部３５１ａの内側に形成されると共に正面から背面に亘って開口する開口３５１ｂと、開口３５１ｂの左右方向両外側に位置すると共に後述する可変板３５２の軸部３５２ａを保持する軸受部３５２ｆと、開口３５１ｂの重力方向下側に正面から背面に亘って開口し開口３５１ｂから背面側に送球される遊技球を前方に案内する連結孔３５１ｃと、背面本体部３５１の重力方向下側端部に前方から背面に向かって凹設される第１凹部３５１ｄ及び第２凹部３５１ｅとを主に備えて形成される。
【０１７０】
背面本体部３５１は、中間部材３３０（本体部３３１）の受部３３１ａを転動する（中間部材３３０を送球される）遊技球を、重力方向下側へ流下させる部材であり、中間部材３３０の背面側と遊技球の直径よりも大きい間隔を空けて中間部材３３０に取着される。これにより、中間部材３３０と背面本体部３５１との対向間に遊技球を流下させることができる。
【０１７１】
また、背面本体部３５１は、正面視における外形が中間部材３３０の外形と略同一もしくは小さく形成される。これにより、組み上げた状態の可動入球役物装置３００のセンターフレーム３１０よりも正面視外側に部材が突出することを抑制して、可動入球役物装置３００をベース板６０の開口６０ａに取着する際に前方から可動入球役物装置３００を挿入するのみで配置することができ、可動入球役物装置３００のベース板６０への取り付けを簡易に行うことができる。
【０１７２】
立設部３５１ａは、正面視において下側が開放するＵ字状に形成される。立設部３５１ａは、その対向間の幅寸法が小さい第１立設部３５１ａ１と、その第１立設部３５１ａ１よりも対向間の距離寸法が大きい第２立設部３５１ａ２と、を備える。
【０１７３】
第１立設部３５１ａ１は、左右両側の対向間の距離寸法が中間部材３３０の受部３３１ａの左右両側の対向間の距離寸法と略同一に設定され、左右両側の端部が受部３３１ａの左右両側の端部と前後方向に対向する位置に配設される。また、第１立設部３５１ａ１の上方端部の重力方向の高さ位置は、受部３３１ａの上端一致と略同一に設定される。これにより、中間部材３３０の受部３３１ａの上面を転動して送球される遊技球を、中間部材３３０と背面本体部３５１との対向間に流下させることができると共に、立設部３５１ａの内側に流下させることができる。
【０１７４】
第２立設部３５１ａ２は、第１立設部３５２ａ１の重力方向下側の端部と連結して形成される。第２立設部３５１ａ２の対向間の距離寸法は、開口３５１ｂの長手方向寸法と略同一に設定され、開口３５１ｂの内側に配設される可変板３５２が可変した際に、可変板３５２の長手方向外側を遊技球が流下することを抑制できる。これにより、可変板３５２を変位させた際に、背面本体部と３５１と中間部材３３０との対向間を流下する遊技球を開口３５１ｂに確実に送球させることができる。
【０１７５】
開口３５１ｂは、中間部材３３０及び背面本体部３５１の対向間を流下する遊技球を背面本体部３５１の背面側に送球可能にするための開口であり、正面視横長矩形に形成されると共にその短手方向の幅寸法が遊技球の直径よりも大きく設定される。また、上述したように、開口３５１ｂは、第２立設部３５１ａ２の左右の対向間に形成される。
【０１７６】
連結孔３５１ｃは、開口３５１ｂの内部を通過して背面本体部の背面側に送球された遊技球を後述する入賞部材３５３を介して正面側に送球する孔であり、開口３５１ｂの重力方向下方に位置すると共に、球の直径よりも大きい矩形状に開口して形成される。また、連結孔３５１ｃは、左右方向に並んで２つ並設される。
【０１７７】
第１凹部３５１ｄは、連結孔３５１ｃから背面本体部３５１の正面側に送球された遊技球が、上述した中間部材３３０の内側案内部の上面に案内されて流下する経路であり、背面本体部３５１の重力方向下側端部に位置すると共に、背面側に向かって凹設される。
【０１７８】
また、第１凹部３５１ｄは、中間部材３３０に背面本体部３５１（後方部材３５０）が配置された際に、正面視において中間部材３３０の内側案内部３３１ｂ１と外側案内部３３１ｂ２との対向間に位置して形成される。よって、内側案内部３３１ｂ１と外側案内部３３１ｂ２との対向間を流下する遊技球の流下方向を背面側に変位させることができる。これにより、中間部材３３０と背面本体部３５１との対向間を送球される遊技球が、後述する可変ユニット３６０に流下される際に、重力方向への流下速度を遅くすることができる。従って、可変ユニット３６０に遊技球が送球される際に、可変ユニット３６０と衝突して遊技球が跳ねることを抑制でき、後方部材３５０から可変ユニット３６０への送球を安定させることができる。
【０１７９】
第２凹部３５１ｅは、中間部材３３０及び後方部材３５０の対向間を流下する遊技球が、中間部材３３０の外側案内部３３１ｂ２の上面に案内されて流下する経路であり、第１凹部３５１ｄの左右方向外側に位置すると共に、背面側に向かって凹設される。
【０１８０】
また、第２凹部３５１ｅは、中間部材３３０に背面本体部３５１（後方部材３５０）が配置された際に、正面視において中間部材３３０の外側案内部３３１ｂ２と立設壁３３１ｃとの対向間に位置して形成される。よって、外側案内部３３１ｂ２と立設壁３３１ｃとの対向間を流下する遊技球の流下方向を背面側に変位させることができる。これにより、中間部材３３０と背面本体部３５１との対向間を送球される遊技球が、後述する可変ユニット３６０に流下される際に、重力方向への流下速度を遅くすることができる。従って、可変ユニット３６０に遊技球が送球される際に、可変ユニット３６０と衝突して遊技球が跳ねることを抑制でき、後方部材３５９から可変ユニット３６０への送球を安定させることができる。
【０１８１】
可変板３５２は、上述したように、中間部材３３０と背面本体部３５１（後方部材３５０）との対向間を流下する遊技球を背面本体部３５１の開口３５１ｂの内部に送球するための案内部材であり、背面本体部３５１の開口３５１ｂの内側に回転可能な状態で配設される。
【０１８２】
可変板３５２は、透明な可撓性材料から形成される。また、可変板３５２は、背面本体部３５１の開口３５１ｂの内部に配設されると共に正面視横長矩形の板状体に形成される板部３５２ｄと、板部３５２ｄの長手方向両端から突出して回転可能に軸支される軸部３５２ａと、その軸部３５２ａから径方向外側に突出して可変板３５２が変位する際に背面本体部３５１と係合して可変板３５２の変位量を規制する第１突起３５２ｂと、その第１突起３５２ｂと径方向に異なる方向に突出して、後述する駆動手段のソレノイド３５６の駆動力を伝達する第２突起３５２ｃとを主に備えて形成される。
【０１８３】
板部３５２ｄは、回転変位して中間部材３３０と背面本体部３５１との対向間を流下する遊技球を開口３５１ｂに案内する板状体であり、正面視における外形が開口３５１ｂよりも小さい横長矩形に形成される。
【０１８４】
また、板部３５２ｄは、変位前の状態において中間部材３３０と対向する正面部３５２ｄ２と、回転軸（軸部３５２ａ）と反対側の端部から中間部材３３０側に膨出する膨出部３５２ｄ１とを備える。なお、膨出部３５２ｄ１及び正面部３５２ｄ２の詳しい説明は後述する。
【０１８５】
軸部３５２ａは、板部３５２ｄを回転変位可能に軸支される軸部であり、板部３５２ｄの長手方向両端の重力方向下側の一端から突出形成される。軸部３５２ａは、背面本体部３５１の軸受部３５１ｆの内側に配置され、背面側から後述する入賞部材３５３が配設されることで、背面本体部３５１と入賞部材３５３との間に回転可能に保持される。これにより、可変板３５２は、背面本体部３５１に対して回転変位可能とされる。
【０１８６】
第１突起３５２ｂは、可変板３５２は回転変位した際に、背面本体部３５１と当接して可変板３５２の回転時の変位量を規制する突起であり、左右両端の軸部３５２ａから径方向に突出して形成される。また、両端の軸部３５２ａの第１突起３５２ｂの突出方向は、軸部３５２ａの軸方向視において略同一に設定される。
【０１８７】
さらに、一方の第１突起３５２ｂ（本実施形態では、正面視右側の第１突起３５２ｂ）が、後述するソレノイド３５６の伝達部３５６ａと係合される。これにより、ソレノイド３５６の駆動力を可変板３５２に伝達できる。よって、ソレノイド３５６の駆動力により可変板３５２を軸部３５２ａの軸周りに回転させることができる。
【０１８８】
また、一方の第１突起３５２ｂの軸部３５２ａには、第２突起３５２ｃが軸部３５２ａから径方向に突出して形成される。軸部３５２ａの軸方向視において、第１突起３５２ｂと第２突起３５２ｃとは、軸周りに所定の隙間を有して形成され、その隙間にソレノイド３５６の伝達部３５６ａの先端部が挿入される。これにより、ソレノイド３５６から駆動力が付与されて伝達部３５６ａが変位することで、可変板３５２を軸部２５２ａの軸周りに回転させることができる。なお、可変板３５２の動作の詳しい説明は後述する。
【０１８９】
入賞部材３５３は、可変板３５２が変位して背面本体部３５１の開口３５１ｂの内部に送球された遊技球が流下する経路を形成する部材であり、背面本体部３５１の開口３５１ｂに連結される連結孔３５３ａと、その連結孔３５３ａの内縁に下方に向かって開口する第２検出孔３５３ｂと、第２検出孔３５３ｂと一端が連結されると共に他端が正面側に開口する前側開口３５３ｃと、背面側に形成される第１乱反射部３５３ｄと、ソレノイド３５６の伝達部３５６ａが挿通される貫通孔３５３ｅと、第１乱反射部３５３ｄの縁部から立設する立設壁３５３ｆとを主に備えて形成される。
【０１９０】
連結孔３５３ａは、背面本体部３５１の開口３５１ｂの正面視における外形と略同一の外形に貫通形成されると共に、開口３５１ｂと対向する位置に形成される。これにより、開口３５１ｂの内部に送球される遊技球を連結孔３５３ａの内部に送球させることができる。
【０１９１】
第２検出孔３５３ｂは、球の通過を検知するセンサで形成される孔であり、球の直径よりも大きい内径で形成される。第２検出孔３５３ｂは、連結孔３５３ａの重力方向下側の内縁部に形成されると共に、重力方向に開口して形成される。これにより、連結孔３５３ａの内部に送球される遊技球を第２検出孔３５３ｂを通過させて送球できると共に、第２検出孔３５３ｂを通過する際に、センサによりその球数を検知することで、開口３５１ｂを通過する球数を計測できる。
【０１９２】
前側開口３５３ｃは、第２検出孔３５３ｂに送球される遊技球を、背面本体部３５１の連結孔３５１ｃの内部に遊技球を送球するための孔であり、開口の一端が第２検出孔３５３ｂに連結され、他端が背面本体部３５１の連結孔３５１ｃに背面側から連結される。よって、背面本体部３５１の開口３５１ｂの内部に送球される遊技球を、第２検出孔３５３ｂを介して前側開口３５３ｃの内側を通過させて、背面本体部３５１の連結孔３５１ｃから排出できる。
【０１９３】
第１乱反射部３５３ｄは、後述する発光部材３５５のＬＥＤ３５５ａから照射される光を乱反射させて前方に出射させる乱反射面であり、透明な可撓性材料から形成されると共に複数の凹凸面で形成される。発光部材３５５のＬＥＤ３５５ａから照射される光を複数の凹凸面に入射させることにより、第１乱反射部３５３ｄの正面側から遊技者側に出射される光の進行方向が分散され、第１乱反射部３５３ｄを効率よく光らせることができる。
【０１９４】
貫通孔３５３ｅは、ソレノイド３５６の伝達部３５６ａを背面側から正面側に挿通させる開口であり、正面視において伝達部３５６ａの外形よりも大きい縦長矩形に形成されると共に、ソレノイド３５６の伝達部３５６ａと対向する位置に貫通形成される。
【０１９５】
立設壁３５３ｆは、発光部材３５５のＬＥＤ３５５ａから照射される光が外側に逃げることを抑制する壁であり、その立設高さが装飾部材３５４に当接する位置に設定される。よって、ＬＥＤ３５５ａから第１乱反射部３５３ｄ側に照射される光が、立設壁３５３ｆから外側に逃げることを抑制することができる。
【０１９６】
装飾部材３５４は、正面視略矩形の板状体に形成されると共に、正面視における外形が入賞部材３５３の外形と略同一とされる。装飾部材３５４は、後述する発光部材３５５と対向する面に形成される第２乱反射部３５４ｂと、入賞部材３５３の第１乱反射部３５３ｄと対向する位置に貫通形成される開口３５４ａと、ソレノイド３５６の伝達部３５６ａと対向する位置に貫通形成される貫通孔３５４ｃとを主に備えて形成される。
【０１９７】
開口３５４ａは、発光部材３５５のＬＥＤ３５５ａから発光される光を入賞部材３５３の第１乱反射部３５３ｄに直接照射させるための開口であり、正面視における第１乱反射部３５３ｄの外形と略同一の矩形に開口されると共に、第１乱反射部３５３ｄと対向する位置に形成される。
【０１９８】
第２乱反射部３５４ｂは、背面側に配設される発光部材３５５のＬＥＤ３５５ａから照射される光を乱反射させて前方に出射させる乱反射面であり、透明な可撓性材料から形成されると共に複数の凹凸が形成される。これにより、発光部材３５５のＬＥＤ３５５ａから出射される光を複数の凹凸に入射させることにより、第２乱反射部３５４ｂの正面側から出射される光の進行方向が分散され、第２乱反射部３５４ｂを効率よく発光させることができる。
【０１９９】
貫通孔３５４ｃは、ソレノイド３５６の伝達部３５６ａを背面側から正面側に挿通させる開口であり、正面視において伝達部３５６ａの外形よりも大きい縦長矩形に形成されると共に、ソレノイド３５６の伝達部３５６ａと対向する位置に貫通形成される。
【０２００】
発光部材３５５は、正面側（装飾部材３５４と対向する側）に光を照射する発光手段のＬＥＤ３５５ａが搭載されており、装飾部材３５４の背面側に取着される。これにより、第１乱反射部３５３ｄ及び第２乱反射部３５４ｂに光を照射することができる。
【０２０１】
ソレノイド３５６は、可変板３５２に駆動力を伝達する伝達部３５６ａを備える。ソレノイド３５６は、上述したように、可変板３５２に回転の駆動力を付与する駆動手段であり、電力が付与されることで、伝達部３５６ａが重力方向に変位される。
【０２０２】
伝達部３５６ａは、入賞部材３５３の貫通孔３５３ｅ及び装飾部材３５４の貫通孔３５４ｃの内部を挿通されて、可変板３５２の第１突起３５２ｂ及び第２突起３５２ｃとの間に配置される。よって、伝達部３５６ａが変位すると、可変板３５２が軸部３５２ａの軸周りに回転される。
【０２０３】
次に、図２８及び図２９を参照して、可変板３５２の変位様態を詳しく説明する。図２８（ａ）から図２８（ｃ）は、図２５のＸＸＶＩＩＩ−ＸＸＶＩＩＩ線における後方部材３５０の断面図である。図２９（ａ）から図２９（ｃ）は、後方部材３５０の断面図である。なお、図２８（ａ）及び図２９（ａ）は第１回転状態の可変板３５２が、図２８（ｂ）及び図２９（ｂ）は、第２回転状態の可変板３５２が、図２８（ｃ）及び図２９（ｃ）は、第３回転状態の可変板３５２が、それぞれ図示される。また、図２９（ａ）から図２９（ｃ）は、図２５（ｃ）の断面と対応する。
【０２０４】
図２８（ａ）に示すように、ソレノイド３５６の伝達部３５６ａが重力方向下方に位置する第１回転状態では、伝達部３５６ａが可変板３５２の第２突起３５２ｃの一側と当接すると共に、第２突起３５２ｃの他側と背面本体部３５１の背面側とが当接した状態とされる。即ち、第２突起３５２ｃが、伝達部３５６ａと背面本体部３５１との間に挟持された状態とされる。これにより、可変板３５２が軸部３５２ａの軸周りにぐらついて回転変位することを抑制できる。
【０２０５】
図２９（ａ）に示すように、第１回転状態における可変板３５２は、軸部３５２ａに対して膨出部３５２ｄ１が重力方向上側に位置されると共に、正面部３５２ｄ２が背面本体部３５１の開口３５１ｂを覆う（塞ぐ）様態とされる。なお、この場合、開口３５１ｂの重力方向上側の端面と可変板３５２との最短の距離寸法Ｌ１は、球の直径よりも小さく設定される。これにより、中間部材３３０と背面本体部３５１との対向間に送球される遊技球は、開口３５１ｂの内部に送球されず、可変板３５２の前方を流下様態とされる。
【０２０６】
また、第１回転状態では、正面部３５２ｄ２が軸部３５２ａから離間するに従って前方に傾斜する様態とされると共に、背面本体部３５１の正面の平面上に膨出部３５２ｄ１の先端部分が位置される。
【０２０７】
図２８（ａ）及び図２９（ａ）に示す状態から、ソレノイド３５６に電力が付与されて、伝達部３５６ａが重力方向上方に変位して、伝達部３５６ａが全変位量の半分変位された図２８（ｂ）及び図２９（ｂ）に示す第２回転状態では、伝達部３５６ａが可変板３５２の第１突起３５２ｂと当接して第１突起３５２ｂを軸部３５２ａの軸周りに回転させる。これにより、可変板３５２が軸部３５２ａの軸周りに回転される。
【０２０８】
図２９（ｂ）に示すように、第２回転状態における可変板３５２は、膨出部３５２ｄ１が、軸部３５２ａに対して正面側に位置されると共に、正面部３５２ｄ２の正面側への上方傾斜の傾斜角度が第１回転状態よりも小さくされる。なお、この場合、開口３５１ｂの重力方向上側の端面と可変板３５２との最短の距離寸法Ｌ２は、球の直径よりも小さく設定される。
【０２０９】
図２８（ｂ）及び図２９（ｂ）に示す状態から、ソレノイド３５６に電力が付与され続けて、伝達部３５６ａが、重力方向上方に変位して、伝達部３５６ａが、終端まで変位された図２８（ｃ）及び図２９（ｃ）に示す第３回転状態では、伝達部３５６ａが可変板３５２の第１突起３５２ｂと当接して第１突起３５２ｂを軸部３５２ａの軸周りにさらに回転させる。これにより、可変板３５２が第２回転状態よりもさらに軸部３５２ａの軸周りに回転される。
【０２１０】
また、図２８（ｃ）に示すように、第３回転状態では、伝達部３５６ａと第１突起３５２ｂの一端が当接すると共に、中間部材３３０と第１突起３５２ｂの他端が当接する様態とされる。即ち、第１突起３５２ｂは、背面本体部３５１と伝達部３５６ａとの間に挟まれた状態とされる。これにより、可変板３５２が軸部３５２ａの軸周りにぐらついて回転変位することを抑制できる。
【０２１１】
図２９（ｃ）に示すように、第３回転状態における可変板３５２は、軸部３５２ａに対して膨出部３５２ｄ１が正面側に位置される。この場合、開口３５１ｂの重力方向上側の端面と可変板３５２との最短の距離寸法Ｌ３は、球の直径よりも大きく設定される。これにより、中間部材３３０と背面本体部３５１との対向間に送球される遊技球は、開口３５１ｂの内部に送球される。
【０２１２】
また、第３回転状態では、正面部３５２ｄ２の反対面が、軸部３５２ａから離間するに従って上方に位置する上方傾斜とされる。よって、板部３５２ｄの上方に送球される遊技球を背面本体部３５１の開口３５１ｂの内部に送球することができる。
【０２１３】
よって、第１乱反射部３５３ｄと発光手段との間の距離が、第２乱反射部３５４ｂと発光手段との間の距離よりも大きくされ、可変板３５２と第２乱反射部３５４ｂとの対向間が遊技球の第１の流下経路とされるので、可変板３５２、第１乱反射部３５３ｄおよび第２乱反射部３５４ｂからなるユニットの小型化を図ることができる。即ち、遊技者に視認させる光の態様を異ならせるために形成された可変板３５２および第２乱反射部３５４ｂの間の空間を、遊技球の第１の流下経路とすることで、デッドスペースを有効に活用でき、流下経路のための空間を別途確保する必要がない。よって、その分、ユニットの小型化を図ることができる。
【０２１４】
次いで、図３０及び図３１を参照して、中間部材３３０及び後方部材３５０の詳しい説明をする。図３０（ａ）は、中間部材３３０及び後方部材３５０の正面図であり、図３０（ｂ）は、中間部材３３０及び後方部材３５０の側面図である。図３１（ａ）は、図３０（ａ）のＸＸＸＩａ−ＸＸＸＩａ線における中間部材３３０及び後方部材３５０の断面図であり、図３１（ｂ）は、図３０（ｂ）のＸＸＸＩｂ−ＸＸＸＩｂ線における中間部材３３０及び後方部材３５０の断面図である。
【０２１５】
図３０及び図３１に示すように、ＬＥＤ３５５ａと第２乱反射部３５４ｂとの対向間の距離寸法Ｌ４は、ＬＥＤ３５５ａと第１乱反射部３５３ｄとの対向間の距離寸法Ｌ５よりも小さく設定される（Ｌ４＜Ｌ５）。また、第２乱反射部３５４ｂの光透過方向に、可変板３５２が配設される。
【０２１６】
ここで、遊技者から視認可能な位置に変位可能に配設され変位位置に応じて遊技球の流下経路を切り替える変位部材（可変板３５２）を備えた遊技機が知られている。この場合、透明な可撓性材料から形成される透過部材の正面側に変位部材を配設し、透過部材の背面から光を照射することで、透過部材を透過した光と共に変位部材を遊技者に視認させ、変位部材に着目させるという技術も知られている。しかしながら、従来の上述した技術では、変位部材が光を透過しない非透過性材料から形成されるため、その変位部材の大きさの分、遊技者に視認させる光の領域（面積）が減少され、演出効果が阻害される。
【０２１７】
これを受け、変位部材（可変板３５２）を透明な可撓性材料から形成することで、透過部材に加え、変位部材を透過する光も遊技者に視認可能として、遊技者に視認させる光の領域（面積）を確保する技術を開発した（本出願時において未公知）。しかしながら、変位部材を透明な可撓性材料から形成した場合には、かかる変位部材の位置を遊技者が特定し難いという問題点のあることが判明した。
【０２１８】
これに対し、本実施形態によれば、光を発光可能に形成される１又は複数の発光手段（ＬＥＤ３５５ａ）が発光面を正面側へ向けて搭載される基板部材（発光部材３５５）と、その基板部材の正面側に配設され光透過材料から形成される第１透過部材（第１乱反射部３５３ｄ）および第２透過部材（第２乱反射部３５４ｂ）とを備え、変位部材が透明な可撓性材料から形成されると共に前記第２透過部材の正面側に配設され、第２透過部材と基板部材との間の距離が、第１透過部材と基板部材との間の距離と異なる距離に設定されるので、遊技者に視認させる光の領域（面積）を確保しつつ、変位部材の位置を遊技者に特定させやすくできる。
【０２１９】
即ち、第１透過部材（第１乱反射部３５３ｄ）と第２透過部材（第２乱反射部３５４ｂ）とで発光手段（ＬＥＤ３５５ａ）からの距離が異なるため、第１透過部材および第２透過部材をそれぞれ透過する際の光の拡散の態様を異ならせことができる。よって、第１透過部材を透過して遊技者に視認させる光の態様と、第２透過部材透過して遊技者に視認させる光の態様とを異ならせることができる。その結果、第２透過部材の正面側に配設される変位部材（可変板３５２）の位置を遊技者に特定させやすくできる。
【０２２０】
また、ここで、発光部材３５５と、その発光部材３５５（ＬＥＤ３５５ａ）の光照射側に透明な可撓性材料から形成される第１乱反射部３５３ｄおよび第２乱反射部３５４ｂと、遊技領域を流下する遊技球を第１送球経路ＫＲ１または第２送球経路ＫＲ２のどちらかに案内する可変板３５２と、を備える遊技機では、可変板３５２を遊技者に認識させやすくするために、第２の発光部材を配設して、その第２の発光部材の光の色を変更する、又は、照射角度を変更する等して、可変板３５２の位置を遊技者に視認させやすくする必要があった。そのため、第２の発光部材を備える分、部品点数が多くなり製造工程が複雑化するという問題点があった。
【０２２１】
これに対し、本実施形態では、発光部材３５５（ＬＥＤ３５５ａ）と第２乱反射部３５４ｂとの対向間の距離寸法Ｌ４が、ＬＥＤ３５５ａと第１乱反射部３５３ｄとの対向間の距離寸法Ｌ５と異なる距離寸法に形成されると共に、第２乱反射部３５４ｂの前方に可変板３５２が配設される。これにより、第１乱反射部３５３ｄと第２乱反射部３５４ｂから出射される光の態様（量）を異ならせることができるので、遊技者からの可変板３５２の視認性を向上することができる。
【０２２２】
即ち、発光部材３５５から遠方に配設される第１乱反射部３５３ｄほど、発光部材３５５のＬＥＤ３５５ａの光が外側に拡散する分、透過される光の量が少なくなるところ、第１乱反射部３５３ｄおよび第２乱反射部３５４ｂが、発光手段との対向間の距離がそれぞれ異なる距離に配設されるので、第１乱反射部３５３ｄおよび第２乱反射部３５４ｂを透過する光の明暗を第１乱反射部３５３ｄおよび第２乱反射部３５４ｂで異ならせることができる。よって、遊技者は、光透過側に配設される可変板３５２を光の明暗により認識することができる。
【０２２３】
従って、新たに第２の発光部材を配設することなく、１の発光部材３５５からの発光で可変板３５２とその可変板３５２の周囲とのそれぞれを遊技者に認識させることができる。その結果、新たに第２の発光部材を配設する必要がなく、部品点数が多くなることを抑制して、製造工程を簡素化できる。
【０２２４】
さらに、第１乱反射部３５３ｄ及び第２乱反射部３５４ｂには、背面側に凹凸が形成されるので、ＬＥＤ３５５ａから発光される第１乱反射部３５３ｄおよび第２乱反射部３５４ｂを透過する光を、凹凸により拡散させやすくできる。この場合、第１乱反射部３５３ｄと第２乱反射部３５４ｂとでＬＥＤ３５５ａからの距離が異なるため、第１乱反射部３５３ｄを透過する光の拡散の態様と、第２乱反射部３５４ｂを透過する光の拡散の態様とを異ならせることができる。よって、第１乱反射部３５３ｄを透過して遊技者に視認させる光の態様と、第２乱反射部３５４ｂ透過して遊技者に視認させる光の態様との相違をより大きくできる。その結果、第２乱反射部３５４ｂの正面側に配設される可変板３５２の位置を遊技者に特定させやすくできる。
【０２２５】
また、第１乱反射部３５３ｄに形成される凹凸と第２乱反射部３５４ｂに形成される凹凸とが略同一とされるので、ＬＥＤ３５５ａから光が発光されていない状態では、第１乱反射部３５３ｄと第２乱反射部３５４ｂ（可変板３５２を透過して視認される第２乱反射部３５４ｂ）とを同一の外観として遊技者に視認させることができる。即ち、ＬＥＤ３５５ａの発光後は異なる外観（光の態様）となる第１乱反射部３５３ｄと第２乱反射部３５４ｂとを、ＬＥＤ３５５ａの発光前には同一の外観としておけることで、第１乱反射部３５３ｄと第２乱反射部３５４ｂとの外観（光の態様）が異なる（相違した）ものとなる演出を引き立たせることができる。
【０２２６】
なお、第１乱反射部３５３ｄと第２乱反射部３５４ｂとで凹凸が同一であっても、第１乱反射部３５３ｄと第２乱反射部３５４ｂとでＬＥＤ３５５ａからの距離が異なるため、第１乱反射部３５３ｄおよび第２乱反射部３５４ｂをそれぞれ透過する際の光の拡散の態様を異ならせことができる。即ち、第１乱反射部３５３ｄを透過して遊技者に視認させる光の態様と、第２乱反射部３５４ｂ透過して遊技者に視認させる光の態様とを異ならせることができる。
【０２２７】
さらに、可変板３５２は、第１乱反射部３５３ｄと略面一となる位置に配置可能とされるので、可変板３５２と第１乱反射部３５３ｄとを一体的に視認させ、ＬＥＤ３５５ａから発光され遊技者に視認させる光の領域（面積）をより大きな領域として視認させることができる。
【０２２８】
また、入賞部材３５３の第１乱反射部３５３ｄの縁部には、装飾部材３５４側に立設する立設壁３５３ｆが形成され、その立設壁３５３ｆの下端側の先端面が、装飾部材３５４の第２乱反射部３５４ｂの一端と当接して配設される。これにより、第２乱反射部３５４ｂを透過する発光部材３５５のＬＥＤ３５５ａの光が、第１乱反射部３５３ｄに侵入することを抑制して、第１乱反射部３５３ｄおよび第２乱反射部３５４ｂの光の明暗をより大きくすることができる。
【０２２９】
即ち、発光部材３５５の近傍に配設される第２乱反射部３５４ｂを透過する光のうち、発光部材３５５の遠方に配設される第１乱反射部３５３ｄに向かう光を、立設壁３５３ｆに侵入させることで、第１乱反射部３５３ｄに侵入し難くして、第１乱反射部３５３ｄおよび第２乱反射部３５４ｂの光の明暗をより大きくすることができる。よって、１の発光手段からの発光で可変板３５２とその可変板３５２の周囲とのそれぞれを遊技者に認識させ易くできる。
【０２３０】
言い変えると、第１乱反射部３５３ｄと第２乱反射部３５４ｂとを連結する立設壁３５３ｆを備えるので、第１乱反射部３５３ｄまたは第２乱反射部３５４ｂのうちの一方（ＬＥＤ３５５ａとの間の距離が小さい方）を透過した光が、第１乱反射部３５３ｄまたは第２乱反射部３５４ｂのうちの他方（ＬＥＤ３５５ａとの間の距離が大きい方）とＬＥＤ３５５ａとの間へ侵入することを立設壁３５３ｆｆにより抑制できる。その結果、第１乱反射部３５３ｄと第２乱反射部３５４ｂとで、それらを透過して遊技者に視認させる光の態様（特に、明暗）を異ならせやすくできる。その結果、第２乱反射部３５４ｂの正面側に配設される変位部材の位置を遊技者に特定させやすくできる。
【０２３１】
また、立設壁３５３ｆの背面には、凹凸が非形成とされるので、第１乱反射部３５３ｄおよび第２乱反射部３５４ｂ（可変板３５２を透過して視認される第２乱反射部３５４ｂ）と立設壁３５３ｆとを異なる外観として遊技者に視認させることができる。これにより、立設壁３５３ｆを利用して、第１透過部材と第２乱反射部３５４ｂとの境界を明確とでき、その結果、第２乱反射部３５４ｂの正面側に配設される可変板３５２の位置を遊技者に特定させやすくできる。
【０２３２】
さらに、本実施形態では、第１乱反射部３５３ｄとＬＥＤ３５５ａとの距離が、第２乱反射部３５４ｂとＬＥＤ３５５ａとの距離よりも大きくされ、第１乱反射部３５３ｄが重力方向上側に配置されるので、ＬＥＤ３５５ａが破損することを抑制できる。
【０２３３】
即ち、ＬＥＤ３５５ａとの間の距離が小さい（狭い）側では、ＬＥＤ３５５ａら発生した熱により空間内の温度が高くなり、ＬＥＤ３５５ａの破損するおそれが高くなる。これに対し、ＬＥＤ３５５ａとの間の距離が小さい側（狭い）側における空間内の温度が高くされた空気を、その重力方向上方に位置する空間（即ち、ＬＥＤ３５５ａとの間の距離が大きい（広い）側の空間）へ上昇させて逃がすことができる。その結果、上記距離が小さい（狭い）側におけるＬＥＤ３５５ａの破損を抑制できる。
【０２３４】
また、本実施形態では、第１乱反射部３５３ｄと発光部材３５５（ＬＥＤ３５５ａ）との対向間に装飾部材３５４の開口３５４ａを介する空間が形成される。これにより、発光部材３５５のＬＥＤ３５５ａの光の照射に伴う熱を第１乱反射部３５３ｄとＬＥＤ３５５ａとの対向間に逃がすことができる。従って、発光部材３５５に熱が溜まることを抑止することができる。その結果、発光部材３５５が破損することを抑制できる。
【０２３５】
即ち、第１乱反射部３５３ｄは、第２乱反射部３５４ｂよりも発光部材３５５との対向間の距離寸法が大きく設定されるので、第１乱反射部３５３ｄと発光部材３５５との対向間の空気を移動しやすくできる。これにより、第１乱反射部３５３ｄと発光部材３５５との対向間の空気を移動させて、発光部材３５５の熱を外に逃がすことができる。また、温められる空気は上昇し易いところ、発光部材３５５と対向間の距離が大きくされる第１乱反射部３５３ｄが重力方向上側に配設されるので、発光部材３５５により温められた空気を効率よく外側に排出して、発光部材３５５を効率よく冷却することができる。その結果、発光部材３５５が破損することを抑制できる。
【０２３６】
可変板３５２は膨出部３５２ｄ１を備えるので、可変板３５２を透過する光に陰影をつけて、その光の陰影の変位により可変板３５２が変位したことを遊技者に認識させることができる。
【０２３７】
即ち、膨出部３５２ｄ１は、光透過側に半円状に膨出して形成されるので、可変板３５２から出射される光の進行方向を部分的に変化させることができる。これにより、可変板３５２を透過して遊技者側に出射される光のうち、膨出部３５２ｄ１から出射される光の量を少なくして、可変板を透過する光に陰影をつけることができる。また、膨出部３５２ｄ１は、可変板３５２の軸部３５２ａから遠方の端部に形成されるので、可変板３５２の変位に伴って遊技者側に照射される光の陰影を変位させることができる。その結果、遊技者は、可変板３５２から出射される光の陰影の変位を視認することで、可変板３５２の変位を認識することができる。
【０２３８】
言い変えると、可変板３５２は、基端側が回転可能に軸支された板状体として形成されると共に、先端側に板厚を大きくした膨出部３５２ｄ１が形成されるので、可変板３５２を透過して遊技者に視認される光のうち、膨出部３５２ｄ１を透過して遊技者に視認される光を、膨出部３５２ｄ１を除く他の部分を透過して遊技者に視認される光と異ならせることができる。また、可変板３５２が基端側を中心として回転されるに伴って、先端側（膨出部３５２ｄ１）を透過して視認される光の位置を変位させることができる。即ち、可変板３５２の先端側（膨出部３５２ｄ１）を透過して視認される光の位置が変位されることを利用して、可変板３５２の変位（回転）動作を遊技者に認識させやすくできる。
【０２３９】
さらに、膨出部３５２ｄ１は、その断面が円弧状に湾曲して形成されるので、かかる膨出部３５２ｄ１をレンズとして機能させる（即ち、膨出部３５２ｄ１に入射された光を屈折させて発散または集束させる（本実施形態では、膨出部３５２ｄ１に入射された光を集束させることで、光の強度（明度）が強くされた線上の光として視認させる））ことができる。これにより、可変板３５２を透過して遊技者に視認される光のうち、膨出部３５２ｄ１を透過して遊技者に視認される光と、膨出部３５２ｄ１を除く他の部分を透過して遊技者に視認される光との相違をより明確とすることができる。その結果、可変板３５２の変位（回転）動作を遊技者に認識させやすくできる。
【０２４０】
中間部材３３０の受部３３１ａの基部は、重力方向（図３１（ａ）上下方向）の高さ位置が第１回転状態における可変板３５２の重力方向略中央位置と略同一の高さ位置に設定される。
【０２４１】
第１送球経路ＫＲ１は、中間部材３３０の外側案内部３３１ｂ２の左右方向外側に配置される背面本体部３５１の第２凹部３５１ｅの内側の第３送球経路ＫＲ３と連結される。第２送球経路ＫＲ２は、中間部材３３０の内側案内部３３１ｂ１及び外側案内部３３１ｂ２の対向間に形成される第４送球経路ＫＲ４に連結される。
【０２４２】
次いで、図３２から図４３を参照して第１送球経路ＫＲ１から第４送球経路ＫＲ４を送球される遊技球について説明する。図３２から図３４は、中間部材３３０及び後方部材３５０の断面図である。
【０２４３】
なお、図３２から図３４及び図３８から図４０は、図３１（ａ）の断面と対応し、図３５から図３７及び図４１から図４３は、図３１（ｂ）の断面と対応する。また、図３２から図３４及び図３５から図３７は、第１送球経路ＫＲ１及び第３送球経路ＫＲ３を送球される遊技球の遷移状態が図示され、図３８から図４０及び図４１から図４３では、第２送球経路ＫＲ２及び第４送球経路ＫＲ４を送球される遊技球の遷移状態が図示される。
【０２４４】
図３２及び図３５に示すように、後方部材３５０の可変板３５２が第１回転状態の場合に、中間部材３３０の受部３３１ａの上部を転動して送球される遊技球は、第１送球経路ＫＲ１に送球される。即ち、中間部材３３０の受部３３１ａの上部を転動して送球される遊技球は、中間部材３３０と背面本体部３５１との対向間の隙間に流下される。
【０２４５】
図３２及び図３５に示す状態から、第１送球経路ＫＲ１を流下する遊技球は、中間部材３３０の外側案内部３３１ｂ２の上面に流下し、図３３及び図３６に示すように、外側案内部３３１ｂ２の上面を転動して、第３送球経路ＫＲ３に送球される。なお、上述したように、外側案内部３３１ｂ２は、左右方向中央部から外側に向かうに従って、下降傾斜して形成されるので、正面視において、第１送球経路ＫＲ１の左側を流下する遊技球は左側の第３送球経路ＫＲ３に送球され、第１送球経路ＫＲ１の右側を流下する遊技球は右側の第３送球経路ＫＲ３に送球される。
【０２４６】
図３３及び図３６に示す状態から、第３送球経路ＫＲ３に送球される遊技球は、図３４及び図３７に示すように、第３送球経路ＫＲ３を流下して、後述する背面ベース３９０を介して可変ユニット３６０に送球される。
【０２４７】
図３８及び図４１に示すように、後方部材３５０の可変板３５２が第３回転状態の場合に、中間部材３３０の受部３３１ａの上部を転動して送球される遊技球は、第２送球経路ＫＲ２に送球される。即ち、中間部材３３０の受部３３１ａの上部を転動して送球される遊技球は、後方部材３５０の可変板３５２の上部を転動して、第２送球経路ＫＲ２に送球される。
【０２４８】
図３８及び図４１に示す状態から、第３送球経路ＫＲ３を流下する遊技球は、入賞部材３５３の第２検出孔３５３ｂの内部を通過して、図３９及び図４２に示すように、前側開口３５３ｃから排出され第４送球経路ＫＲ４に送球される。
【０２４９】
この場合、上述したように、中間部材３３０の受部３３１ａの基部は、重力方向（図３１（ａ）上下方向）の高さ位置が第１回転状態における可変板３５２の重力方向略中央位置と略同一の高さ位置に設定されるので、中間部材３３０と背面本体部３５１との対向間を流下する第１送球経路ＫＲ１と背面本体部３５１の開口３５１ｂの内側を送球させる第２送球経路ＫＲ２とを可変板３５２の変位状態で経路を変更する際の中間部材３３０及び後方部材３５０の重力方向の距離寸法を小さくできる。
【０２５０】
即ち、中間部材３３０の受部３３１ａを転動する遊技球を、背面側に配設される可変板３５２で第１送球経路ＫＲ１と第２送球経路ＫＲ２とに振り分ける際に、第３状態において可変板３５２の軸部３５２ａから遠方の端部を受部３３１ａの基部よりも低くすることで、可変板３５２の配設位置を重力方向に高くすることができる。その結果、中間部材３３０及び後方部材３５０の重力方向の距離寸法を小さくすることができる。
【０２５１】
図３９及び図４２に示す状態から、第４送球経路ＫＲ４に送球される遊技球は、図４０及び図４３に示すように、第４送球経路ＫＲ４の中間部材３３０の内側案内部３３１ｂ１の上面を転動して送球され、後述する回転送球部３７０に送球される。なお、上述したように、内側案内部３３１ｂ１は、左右方向中央部から外側に向かうに従って、下降傾斜して形成されるので、正面視において、第２送球経路ＫＲ２の左側を流下する球（左側の第２検出孔３５３ｂを通過して左側の前側開口３５３ｃから排出される球）は左側の第４送球経路ＫＲ４に送球され、第２送球経路ＫＲ２の右側を流下する球（右側の第２検出孔３５３ｂを通過して右側の前側開口３５３ｃから排出される球）は右側の第４送球経路ＫＲ４に送球される。
【０２５２】
次に、図４４から図５１を参照して、中間部材３３０の受部３３１ａを転動して第１送球経路ＫＲ１及び第２送球経路ＫＲ２に送球される遊技球について説明する。図４４及び図４５は、中間部材３３０及び後方部材３５０の断面図である。なお、図４４及び図４５は、図３１（ａ）の断面に対応する。
【０２５３】
図４４及び図４５に示すように、中間部材３３０の受部３３１ａの上面を転動して送球される遊技球は、背面側に転動して可変板３５２と当接して第１送球経路ＫＲ１に送球される。
【０２５４】
この場合、上述したように、第１回転状態における可変板３５２は、正面部３５２ｄ２が、軸部３５２ａから離間するに従って前方に傾倒して配置されるので、受部３３１ａから第１送球経路ＫＲ１に送球される遊技球を、正面部３５２ｄ２に衝突させて下方に流下させやすくできる。
【０２５５】
また、膨出部３５２ｄ１の正面部３５１ｄ２と連結される部分は、受部３３１ａの基端よりも遊技球の半径分上方に位置されるので、球が受部３３１ａを勢いよく転動する際には、球を膨出部３５２ｄ１に衝突させて下方に流下させることができる。この際、比較的送球の勢いが付いた遊技球を、板部３５２ｄから膨出する膨出部３５２ｄ１に衝突させることで、板部３５２ｄの破損を抑制できる。即ち、球の転動速度が比較的速い場合には、膨出する分、剛性の高い膨出部３５２ｄ１と衝突させることで、板部３５２ｄの破損を防ぐことができる。
【０２５６】
次いで、図４６から図５１を参照して可変板３５２が第１回転状態から第３回転状態へ変位する際に、球が中間部材３３０の受部３３１ａの上面を転動して送球される場合について説明する。図４６から図５１は、中間部材３３０及び後方部材３５０の断面図である。なお、図４６から図４８及び図４９から図５１は、図３１（ａ）の断面に対応する。また、図４６から図４８及び図４９から図５１では、可変板３５２が第１回転状態から第３回転状態に変位する際の遊技球の転動状態が図示される。
【０２５７】
ここで、上述したように、第３状態において可変板３５２の軸部３５２ａから遠方の端部を受部３３１ａの基部よりも低くすると、受部３３１ａの基部と変位動作中の可変板３５２との間に遊技球を挟み込んで不具合を起こす可能性があった。
【０２５８】
これに対し、本実施形態では、図４６及び図４９に示すように、中間部材３３０の受部３３１ａの基部が、重力方向（図３１（ａ）上下方向）の高さ位置が第１回転状態における可変板３５２の重力方向略中央位置と略同一の高さ位置に設定されるので、変位途中の可変板３５２が受部３３１ａとの間に遊技球を挟み込んだ際の遊技球と膨出部３５２ｄ１との当接位置を受部３３１ａの基端と遊技球の中心とを連結する仮想線Ｓ２で分割する遊技球の正面側または背面側のどちらか一方とすることができ、球が受部３３１ａの基部と可変板３５２との間に挟まることを抑制できる。
【０２５９】
即ち、図４６から図４８に示すように、仮想線Ｓ２で分割される遊技球の正面側と膨出部３５２ｄ１とが当接する場合には、膨出部３５２ｄ１の正面部３５２ｄ２との連結側が遊技球と衝突する。よって、膨出部３５２ｄ１の湾曲面を利用して、図４８に示すように、球を第１送球経路ＫＲ１に送球することができる。
【０２６０】
一方、図４９から図５１に示すように、仮想線Ｓ２で分割される遊技球の背面側と膨出部３５２ｄ１とが当接する場合には、膨出部３５２ｄ１の軸部３５２ａから離間する側の湾曲面と当接される。これにより、受部３３１ａから落下しようとする遊技球を可変板３５２の変位を利用して、正面側に押し戻すことができる。これにより、可変板３５２を第３回転状態に変位させて、球を第２送球経路ＫＲ２に案内できる。
【０２６１】
次いで、図５２から図５４を参照して、背面ベース３９０の詳細な説明をする。図５２（ａ）は、背面ベース３９０の正面図であり、図５２（ｂ）は、背面ベース３９０の側面図である。図５３は、背面ベース３９０の分解正面斜視図である。図５４は、背面ベース３９０の分解背面斜視図である。
【０２６２】
図５２から図５４に示すように、背面ベース３９０は、背面側に配置される板状体の背面板３９１と、背面板３９１の重力方向下側の一端に配置され背面板３９１との対向間に駆動手段のソレノイド３９７を保持する保持部材３９２と、その保持部材３９２の両端に締結される２の円環部材３９４と、その２の円環部材３９４の対向間の外側に配設されるストッパ部３９６とを主に備えて形成される。
【０２６３】
背面板３９１は、正面視略台形の板状体から形成される。背面板３９１は、上述した後方部材３５０の背面側を覆設する板であり、後方部材３５０の正面視における外形と略同一の外形に形成される。
【０２６４】
ソレノイド３９７は、後述するストッパ部３９６に駆動力を付与する駆動手段であり、ストッパ部３９６に駆動力を伝達する伝達部３９７ａを備える。また、ソレノイド３９７は、２のストッパ部３９６の背面側にそれぞれ配設される。
【０２６５】
伝達部３９７ａは、ソレノイド３９７に電力が供給されることで、重力方向に変位する突起であり、後述するストッパ部３９６の第１係合部３９６ａ及び第２係合部３９６ｂの間に挿入される。
【０２６６】
保持部材３９２は、正面視横長矩形に形成され、長手方向の両端部に正面側に凹設される凹部３９２ａと、凹部３９２ａに正面から背面に亘って貫通形成される開口３９２ｂと、を備えて形成される。
【０２６７】
凹部３９２ａは、内側にソレノイド３９７を挿入する凹みであり、ソレノイド３９７の外形形状に凹設される。よって、凹部３９２ａにソレノイド３９７を挿入した後に保持部材３９２を背面板３９１に取着することで、ソレノイド３９７を脱落不能に保持できる。
【０２６８】
開口３９２ｂは、ソレノイド３９７の伝達部３９７ａを前方に挿通させる開口であり、伝達部３９７ａよりも大きい正面視縦長矩形の開口に形成される。よって、凹部３９２ａの内側にソレノイド３９７を配置すると、ソレノイド３９７の伝達部３９７ａが正面側に突出される。
【０２６９】
円環部材３９４は、第３送球経路ＫＲ３から遊技球が送球される送球部であり、側面視略円環形状に形成され、軸心に貫通する軸支孔３９４ａを備える。軸支孔３９４ａは、後述する軸Ｂ１を回転可能に保持する孔であり、軸Ｂ１の外径よりも大きい内径に形成される。
【０２７０】
軸Ｂ１は、円柱状に形成され、一端が上述したように、円環部材３９４の軸支孔３９４ａに挿入されると共に、他端が後述するストッパ部３９６の軸孔３９６ｃに外嵌される。よって、軸Ｂ１は、ストッパ部３９６の回転変位に伴って、軸支孔３９４ａに対して回転変位することができる。
【０２７１】
ストッパ部３９６は、回転変位することで後述する可変ユニット４６０の送球経路ＫＲ６を送球不能にする送球経路遮断手段であり、側面視略三角形状に形成され、２の円環部材３９４の対向間の外側に配設される。
【０２７２】
また、ストッパ部３９６は、円環部材３９４の軸方向に略円形状に貫通する軸孔３９６ｃと、その軸孔３９６ｃの軸から径方向外側に突出する第１係合部３９６ａ及び第２係合部３９６ｂとを主に備えて形成される。
【０２７３】
第１係合部３９６ａは、上述したソレノイド３９７の伝達部３９７ａと係合して、ソレノイド３９７の駆動力が伝達される突起であり、伝達部３９７ａの重力方向上側に位置して配設される。
【０２７４】
第２係合部３９６ｂは、第１係合部３９６ａと同様に、ソレノイド３９７の伝達部３９７ａと係合して、ソレノイド３９７の駆動力が伝達される突起であり、伝達部材３９７ｂの重力方向下側に位置して配設される。
【０２７５】
なお、第１係合部３９６ａと第２係合部３９６ｂとは、軸孔３９６ｃの軸周りに所定の隙間を備えて形成されており、突出先端側の互いの距離寸法は、ソレノイド３９７の伝達部３９７ａの上下方向寸法よりも大きく設定される。これにより、第１係合部３９６ａと第２係合部３９６ｂとの間にソレノイド３９７の伝達部３９７ａを挿入して、ストッパ部３９６に駆動力を伝達することができる。
【０２７６】
次に、図５５を参照して、ストッパ部３９６の遷移について説明する。図５５（ａ）から図５５（ｃ）は、図５２のＬＶ−ＬＶ線における背面ベース３９０の断面図である。なお、図５５の（ａ）から図５５（ｃ）では、ストッパ部３９６の遷移状態が図示される。また、図５５では、ストッパ部３９６の軸孔３９６ｃから遠方の端部を端部Ａ２の符号を付して説明する。
【０２７７】
図５５（ａ）に示すように、ソレノイド３９７の伝達部３９７ａが下方に位置する第１遮断状態では、伝達部３９７ａが、ストッパ部３９６の第２係合部３９６ｂと当接して、ストッパ部３９６の端部Ａ２が上方に変位する（図５５（ａ）では、軸孔３９６ｃの軸周りに端部Ａ２が右回転する）方向に駆動力が作用される。これにより、端部Ａ２が軸孔３９６ｃよりも重力方向上側に位置される。
【０２７８】
図５５（ａ）に示す状態から、ソレノイド３９７の伝達部３９７ａが上方に変位され、図５５（ｂ）に示す伝達部３９７ａが全変位量の中間位置まで変位される第２遮断状態では、伝達部３９７ａが、ストッパ部３９６の第１係合部３９６ａと当接して、ストッパ部３９６の端部Ａ２が下方に変位する（図５５（ｂ）では、軸孔３９６ｃの軸周りに端部Ａ２が左回転する）方向に駆動力が作用される。これにより、端部Ａ２が、第１遮断状態よりも軸孔３９６ｃと重力方向の高さが近くされる。
【０２７９】
図５５（ｂ）に示す状態から、ソレノイド３９７の伝達部３９７ａが更に上方に変位され、図５５（ｃ）に示す伝達部３９７ａが終端まで変位された第３遮断状態では、伝達部３９７ａが、ストッパ部３９６の第１係合部３９６ａと当接して、ストッパ部３９６の端部Ａ２が下方に変位する（図５５（ｂ）では、軸孔３９６ｃの軸周りに端部Ａ２が左回転する）方向に駆動力が作用される。この場合、端部Ａ２が、軸孔３９６ｃの軸の重力方向の高さと略同一の高さ位置に変位される。
【０２８０】
一方、第３遮断状態から第１遮断状態に変位する際には、ソレノイド３９７の伝達部３９７ａが第２係合部３９６ｂを下方に押し下げることで、先端部Ａ１が軸孔３９６ｃの軸周りに押し上げられる。
【０２８１】
次いで、図５６から図５８を参照して、可変ユニット３６０の本体部３８０について説明する。図５６（ａ）は、可変ユニット３６０の正面図であり、図５６（ｂ）は、可変ユニット３６０の上面図である。図５７は、可変ユニット３６０の本体部３８０の分解正面斜視図である。図５８は、可変ユニット３６０の本体部３８０の分解背面斜視図である。
【０２８２】
可変ユニット３６０は、第３送球経路ＫＲ３及び第４送球経路ＫＲ４から送球された遊技球を正面側に送球する経路を備える本体部３８０と、回転する回転体に遊技球を吸着させて遊技球を送球する回転送球部３７０とを主に備えて形成される。
【０２８３】
本体部３８０は、上述したセンターフレーム３１０の重力方向下側の一側の背面に配置され、センターフレーム３１０の中央開口を通じて遊技者から視認可能とされる（図８参照）。本体部３８０は、上面に遊技球の転動面が形成される上面ベース３８１と、その上面ベース３８１に対向して配設される第１下面ベース３８３と、上面ベース３８１及び第１下面ベース３８３との間に一端が軸支されて変位可能に配置されるＶ入賞部材３８２と、そのＶ入賞部材３８２に駆動力を付与する第１駆動モータＭ１と、その第１駆動モータＭ１の駆動力をＶ入賞部材３８２に伝達する第１伝達手段３８４と、本体部３８０に回転可能に配設される振分部３８９と、その振分部３８９に駆動力を付与する第２駆動モータＭ２と、その第２駆動モータＭ２の駆動力を振分部３８９に伝達する第２伝達手段３８７とを主に備えて形成される。
【０２８４】
上面ベース３８１は、上述したように、第３送球経路ＫＲ３および第４送球経路ＫＲ４から送球される遊技球を送球される転動面を備える板部材であり、上面視略矩形の板状体から形成される。上面ベース３８１は、背面側から正面側に亘って凹設される２の第１転動部３８１ａと、その第１転動部３８１ａの背面側を取り囲んで立設される立設部３８１ｂと、転動部３８１ａの前後方向中央部から分岐して凹設される第２転動部３８１ｃと、その第２転動部３８１ｃの正面側に回転体３７２Ｒ，３７２Ｌとを挟む位置に形成される第３転動部３８１ｄと、その第３転動部３８１ｄと隣り合って形成されると共に第１転動部３８１ａが連結される第４転動部３８１ｅと、第２転動部３８１ｃの基部側の第１転動部３８１ａを挟んだ位置に動重力方向に開口される軸支孔３８１ｆとを主に備えて形成される。
【０２８５】
第１転動部３８１ａは、第４送球経路ＫＲ４を送球される遊技球が送球される送球経路であり、第４送球経路ＫＲ４から遊技球が送球される背面側の端部から正面側に向かって下降傾斜して形成される。これにより、第４送球経路ＫＲ４を送球される遊技球を正面側に送球する第５送球経路ＫＲ５が形成される。
【０２８６】
また、上述したように第４送球経路ＫＲ４は、左右方向に２つに分流されており、第１転動部３８１ａは、２の第４送球経路ＫＲ４の重力方向下側にそれぞれ形成される。これにより、それぞれの第４送球経路ＫＲ４が、それぞれの第５送球経路ＫＲ５と連結される。
【０２８７】
２の第１転動部３８１ａは、それぞれ正面側に延設されると共に、第４転動部３８１ｅと連結される手前で合流して、１の転動面とされる。
【０２８８】
立設部３８１ｂは、第４送球経路ＫＲ４から送球される遊技球を、第１転動部３８１ａに案内する壁であり、立設先端部（重力方向上側端部）が、上述する中間部材３３０の案内部３３０ｂと当接して配設される。これにより、第４送球経路ＫＲ４を流下する遊技球を確実に第１転動部３８１ａの第５送球経路ＫＲ５に送球できる。
【０２８９】
第２転動部３８１ｃは、背面側から正面側にかけて延設される第１転動部３８１ａの略中央位置から、上面ベース３８１の外側に延設される面であり、第１転動部３８１ａよりも下方に形成されると共に、上面ベース３８１の外側に向かうに従って下降傾斜して形成される。よって、第１転動部３８１ａの上部を転動して正面側に送球される遊技球を、後述する振分部３８９に衝突させて第２転動部３８１ｃに送球させることができる。
【０２９０】
また、第２転動部３８１ｃは、上述したように左右方向外側に向かうに従って下降傾斜して形成されるので、第２転動部３８１ｃに送球される遊技球は、第１転動部３８１ａから離間する方向に転動して送球される。即ち、第２転動部３８１ｃにより、球が送球される第６送球経路ＫＲ６が形成される。
【０２９１】
第２転動部３８１ｃは、延設方向と直交する方向の中央位置が凹んだ形状に形成されており、第２転動部３８１ｃを転動する遊技球が揺れ動きにくくされる。これにより、第６送球経路ＫＲ６を送球される遊技球を安定させることができる。
【０２９２】
第３転動部３８１ｄは、後述する回転体３７２Ｒ，３７２Ｌにより送球される遊技球を受ける面であり、回転体３７２Ｒ，３７２Ｌの隣りに形成されると共に、第４転動部３８１ｅ（正面側）に向かって下降傾斜して形成される。よって、回転体３７２Ｒ，３７２Ｌから第３転動部３８１ｄの上面に送球される遊技球は、第３転動部３８１ｄの上面を転動して第４転動部３８１ｅに送球される。即ち、第３転動部３８１ｄにより、第４転動部３８１ｅに遊技球を送球する第７送球経路ＫＲ７が形成される。
【０２９３】
第４転動部３８１ｅは、第３転動部３８１ｄ及び第１転動部３８１ａを転動される遊技球を、正面側に落下させるための傾斜面であり、第３転動部３８１ｄ及び第１転動部３８１ａよりも重力方向において低い位置に形成されると共に、正面側に向かって下降傾斜して形成される。これにより、第３転動部３８１ｄ及び第１転動部３８１ａから送球される遊技球を第４転動部３８１ｅの上面にスムーズに転動させて、第４転動部３８１ｅの正面側に転動させることができる。即ち、第４転動部３８１ｅにより、第１転動部３８１ａ及び第３転動部３８１ｄから送球される遊技球を本体部３８０の正面側に流下させる第８送球経路ＫＲ８が形成される。
【０２９４】
軸支孔３８１ｆは、本体部３８０の両側に形成される２の第２転動部３８１ｃの対向間中間位置に重力方向に貫通して形成される。
【０２９５】
Ｖ入賞部材３８２は、上面ベース３８１の第４転動部３８１ｅから正面側に送球される遊技球の一部をＶ入賞部材３８２の内部に送球する球受部であり、上方に配置される上面ベース３８１側が開放する箱状体に形成される。Ｖ入賞部材３８２は、重力方向下側に突出して形成される軸部３８２ｃと、その軸部３８２ｃを中心に半円形に突出する湾曲部３８２ｂとを主に備えて形成される。
【０２９６】
軸部３８２ｃは、第１駆動モータＭ１からの駆動力を伝達する伝達手段の一部に連結される軸部であり、略箱形状に形成されるＶ入賞部材３８２の底面から重力方向下側に突出して形成される。よって、Ｖ入賞部材３８２は、第１駆動モータＭ１から駆動力が付与されることで、軸部３８２ｃを軸に回転変位できる。
【０２９７】
湾曲部３８２ｂは、Ｖ入賞部材３８２が軸部３８２ｃを軸に回転した際に、本体部３８０の正面側に隙間が形成されることを抑制する突出部であり、Ｖ入賞部材３８２の周方向両側に軸部３８２ｃの軸を中心とする円形に突出して形成される。
【０２９８】
第１下面ベース３８３は、上面ベース３８１の下面に覆設されると共に、正面側の一部が重力方向下側に凹設された凹部３８３ａを備える。
【０２９９】
凹部３８３ａは、上面ベース３８１と第１下面ベース３８３との間からＶ入賞部材３８２を突出させるための開口を形成する凹みであり、Ｖ入賞部材３８２の重力方向の高さ寸法よりも大きい凹設深さに設定される。これにより、上面ベース３８１と第１下面ベース３８３との対向間にＶ入賞部材３８２を配置した際に、凹部３８３ａを介してＶ入賞部材３８２の一部を突出させることができる。
【０３００】
第１伝達手段３８４は、第１駆動モータＭ１に連結される第１ギヤ３８４ａと、Ｖ入賞部材３８２の軸支孔３８１ｆに連結される第２ギヤ３８４ｂとから形成される。また、第１伝達手段３８４は、第１下面ベース３８３と対向して配設されるカバー板３８５に覆設されて保持される。
【０３０１】
第１ギヤ３８４ａは、円形に形成されると共に、外周面にギヤ歯３８４ａ１が刻設される。第２ギヤ３８４ｂは、上面視略扇状に形成される。また、第２ギヤ３８４ｂは、外周面に第１ギヤ３８４ａと歯合するギヤ歯３８４ｂ１が刻設されると共に、ギヤ歯３８４ｂ１の軸側に重力方向に貫通する貫通孔３８４ｂ２が形成される。
【０３０２】
貫通孔３８４ｂ２は、Ｖ入賞部材３８２の軸部３８２ｃに外嵌する孔であり、軸部３８２ｃの直径と略同一の内径または小さい内径に形成される。よって、第１駆動モータＭ１が回転されると、第１ギヤ３８４ａから駆動力が第２ギヤ３８４ｂに伝達され、第２ギヤ３８４ｂの軸部３８２ｃに外嵌される軸部３８２ｃが回転されてＶ入賞部材３８２が回転される。
【０３０３】
振分部３８９は、上面ベース３８１の軸支孔３８１ｆに挿通可能な軸部３８９ａと、軸部３８９ａの基部から径方向外側に扇状に膨出する経路切替部３９０ｂとを主に備えて形成される。また、振分部３８９は、２の第２転動部３８１ｃの間に配設される。
【０３０４】
経路切替部３９０ｂは、振分部３８９の変位に伴って、扇状に膨出した一部が第５送球経路ＫＲ５上に位置される。これにより、第５送球経路ＫＲ５を送球する遊技球を第２転動部３８１ｃに送球させることができる。なお、振分部３８９の詳しい説明は後述する。
【０３０５】
軸部３８９ａは、先端が上面ベース３８１の軸支孔３８１ｆに挿通されると共に、第２伝達手段３８７の一部に連結される。これにより、第２駆動モータＭ２に駆動力が付与されると、伝達手段３８７を介して軸部３８９ａが回転される。
【０３０６】
第２伝達手段３８７は、第２駆動モータＭ２に連結される第１ギヤ３８７ａと、振分部３８９の軸部３８９ａに連結される第２ギヤ３８７ｂとから形成される。また、第２伝達手段３８７は、上面ベース３８１と対向して配設される第２下面ベース３８８に覆設されて保持される。
【０３０７】
第１ギヤ３８７ａは、円形に形成されると共に、外周面にギヤ歯が刻設される。第２ギヤ３８７ｂは、上面視略扇状に形成される。また、第２ギヤ３８７ｂは、外周面に第１ギヤ３８７ａと歯合するギヤ歯３８７ｂ１が刻設されると共に、重力方向に貫通する貫通孔３８７ｂ２が形成される。
【０３０８】
貫通孔３８７ｂ２は、振分部３８９の軸部３８９ａに外嵌する孔であり、軸部３８９ａの直径と略同一の内径または軸部３８９ａの直径よりも小さい内径に形成される。よって、第２駆動モータＭ２が回転されると、駆動力が第１ギヤ３８７ａから第２ギヤ３８７ｂに伝達され、第２ギヤ３８７ｂの軸部３８９ａに外嵌される軸部３８９ａが回転されて振分部３８９が回転される。
【０３０９】
次に、図５９から図６１を参照して、振分部３８９の動作について説明する。図５９から図６１は、振分部３８９の上面図である。なお、図５９から図６１では、第２伝達手段３８７が破線で図示される。また、図５９は、図６０を初期位置として、振分部３８９が軸部３８９ａを軸に左回転された状態が、図６１は、図６０を初期位置として、振分部３８９が軸部３８９ａを軸に右回転された状態が、それぞれ図示される。
【０３１０】
図６０に示すように、第２ギヤ３８７ｂのギヤ歯３８７ｂ１が略中央位置で第１ギヤ３８７ａのギヤ歯と歯合する場合、振分部３８９の経路切替部３８９ｂは、左右方向中央線を中心に左右対称な状態とされる。
【０３１１】
次に、初期位置から、第２伝達手段３８７に回転の駆動力が伝達されて、図５９に示すように、振分部３８９が軸部３８９ａを軸に上面視左回転された状態では、経路切替部３８９ｂが、正面視右側に位置する状態とされる。
【０３１２】
この場合、経路切替部３８９ｂの左側端部と左側の第５送球経路ＫＲ５の左側端部までの距離寸法は、球の直径よりも小さくされる。よって、左側の第５送球経路ＫＲ５を送球される遊技球は、第５送球経路ＫＲ５を通過することができず、第６送球経路ＫＲ６に送球される。一方、振分部３８９の右側端部と右側の第５送球経路ＫＲ５の右側端部までの距離寸法は、球の直径よりも大きくされる。よって、右側の第５送球経路ＫＲ５を送球される遊技球は、第６送球経路ＫＲ６に送球されず第５送球経路ＫＲ５を送球され、第８送球経路ＫＲ８に送球される。
【０３１３】
図６１の状態（図５９と反対に回転した状態）では、経路切替部３８９ｂは、正面視左側に位置する状態とされる。
【０３１４】
この場合、経路切替部３８９ｂの右側端部と右側の第５送球経路ＫＲ５の右側端部までの距離寸法は遊技球の直径よりも小さくされる。よって、右側の第５送球経路ＫＲ５を送球される遊技球は、第５送球経路ＫＲ５を挿通することができず、第６送球経路ＫＲ６に送球される。一方、振分部３８９の左側端部と左側の第５送球経路ＫＲ５の左側端部までの距離寸法は、球の直径よりも大きくされる。よって、左側の第５送球経路ＫＲ５を送球される遊技球は、第６送球経路ＫＲ６に送球されず第５送球経路ＫＲ５を送球され、第８送球経路ＫＲ８に送球される。
【０３１５】
次に、図６２から図６４を参照して、振分部３８９が軸部３８９ａを軸に上面視左回転された状態の際に、２の第５送球経路ＫＲ５を流下する遊技球について説明する。
【０３１６】
図６２から図６４は、可変ユニット３６０の上面図である。なお、図６２から図６４では、流下する遊技球の遷移状態が図示される。
【０３１７】
図６２から図６４に示すように、振分部３８９が軸部３８９ａを軸に上面視左回転された状態では、２の送球経路ＫＲ５に遊技球が送球されると、一方の第５送球経路（図６２から図６４では、右側の第５送球経路ＫＲ５）を通過する遊技球は、経路切替部３８９ｂに干渉することなく第８送球経路ＫＲ８に送球される。
【０３１８】
一方、他方の第５送球経路ＫＲ５（図６２から図６４では、左側の第５送球経路ＫＲ５）を通過する遊技球は、経路切替部３８９ｂと干渉して、第６送球経路ＫＲ６に送球される。
【０３１９】
即ち、本実施形態では、振分部３８９を回転変位させることで、球の流下する経路を切替えることができ、遊技者に複数の遊技球の流下経路を見せることができ、遊技者の興趣を向上できる。
【０３２０】
次に、図６５を参照して、Ｖ入賞部材３８２の駆動を説明する。図６５（ａ）から図６５（ｃ）は、可変ユニット３６０の上面図である。なお、図６５（ａ）から図６５（ｃ）では、第１伝達手段３８４が破線で図示される。また、図６５（ａ）は、図６５（ｂ）を初期位置として、Ｖ入賞部材３８２が軸部３８２ｃを軸に右回転された状態が、図６５（ｃ）は、図６５（ｂ）を初期位置として、Ｖ入賞部材３８２が軸部３８２ｃを軸に左回転された状態が、それぞれ図示される。
【０３２１】
図６５（ａ）から図６５（ｃ）に示すように、Ｖ入賞部材３８２は、第１伝達手段３８４により、第１駆動モータＭ１の駆動力が伝達されると、その先端が軸部３８２ｃを軸に回転され、左右に変位される。
【０３２２】
これにより、第８送球経路ＫＲ８から正面側（図６５（ａ）から図６５（ｃ）下側）に落下する遊技球が、Ｖ入賞部材３８２の内側に入る位置を不規則とすることができるので、遊技者にＶ入賞部材３８２の内側に入るかどうかの期待感を最後まで持たせることができ、遊技者の興趣を向上することができる。
【０３２３】
次に、図６６及び図６７を参照して、可変ユニット３６０の回転送球部３７０について説明する。図６６は、可変ユニット３６０の回転送球部３７０の分解正面斜視図であり、図６７は、可変ユニット３６０の回転送球部３７０の分解背面斜視図である。
【０３２４】
回転送球部３７０は、本体部３８０の左右方向両側に分割して配設されており、両側に分割される回転送球部３７０を本体部３８０に挿通して連結する棒状態の連結棒３７１と、連結棒３７１の軸方向一端側（本体部に対して左右方向左側）に配設される左側回転送球部３７０Ｌと、連結棒３７１の軸方向他端側（本体部３８０に対して左右方向右）に配設される右側回転送球部３７０Ｒとを主に備えて形成される。
【０３２５】
なお、右側回転送球部３７０Ｒと左側回転送球部３７０Ｌとは、右側回転送球部３７０Ｒに駆動手段およびその駆動を伝達する伝達手段が配置されるのみであり、その他の形状は、重力方向の直線を軸心に線対称に形成されるので、左側回転送球部３７０Ｌの詳しい説明を省略する。また、左側回転送球部３７０Ｌの構成には、右側回転送球部３７０Ｒの構成に付与されるＲの符号をＬに変更して図示する。
【０３２６】
右側回転送球部３７０Ｒは、連結棒３７１の軸方向他端側に連結されて連結棒３７１の軸周りに回転可能な回転体３７２Ｒと、回転体３７２Ｒに駆動力を付与する駆動手段の駆動モータ３７６Ｒと、その駆動モータ３７６Ｒの駆動力を回転体に伝達する伝達手段３７７Ｒと、駆動モータ３７６Ｒを取着する内側カバー３７３Ｒと、内側カバー３７３Ｒと対向して配設されると共にその対向間に伝達手段３７７Ｒを脱落不能に保持する外側カバー３７４Ｒとを主に備えて形成される。
【０３２７】
回転体３７２Ｒは、本体部３８０側に配設される第１回転体３７２Ｒａと、その第１回転体３７２Ｒａと連結される第２回転体３７２Ｒｃと、その第２回転体３７２Ｒｃの内部に配設される磁力を有する磁石３７２Ｒｂとを備えて形成される。
【０３２８】
第１回転体３７２Ｒａは、連結棒３７１に連結されて回転する円柱状の回転体であり、軸に開口する貫通孔３７２Ｒａ１を備える。貫通孔３７２Ｒａ１は、連結棒３７１の他端を外嵌する開口であり、連結棒３７１の外形と略同一または連結棒３７１の外形よりも小さい内径に形成される。よって、第１回転体３７２Ｒａは、連結棒３７１を外嵌して連結される。
【０３２９】
第２回転体３７２Ｒｃは、第１回転体３７２Ｒａの外形と略同一の外形の円柱状に形成されると共に、第１回転体３７２Ｒａの同軸上に配設され第１回転体３７２Ｒａに取着される。
【０３３０】
また、第２回転体３７２Ｒｃは、外周面に遊技球を吸着して送球する部分であり、内部に後述する磁石３７２Ｒｂが挿入される凹部３７２Ｒｃ１と、その凹部３７２Ｒｃ１の径方向外側の外周面に凹設される溝部３７２Ｒｃ２とを備えて形成される。
【０３３１】
凹部３７２Ｒｃ１は、第２回転体３７２Ｒｃの第１回転体３７２Ｒａと取着される面に凹設されると共に、磁石３７２Ｒｂの外形と略同一の内形に形成される。よって、回転体３７２Ｒは、第２回転体３７２Ｒｃの凹部３７２Ｒｃ１に磁石３７２Ｒｂを挿入した後に、第２回転体３７２Ｒｃを第１回転体３７２Ｒａに取着することで、内部に磁石３７２Ｒｂを配設した状態で組み上げられる。
【０３３２】
磁石３７２Ｒｂは、円盤形状に形成され、平坦面を径方向外側に向けた状態で、第２回転体３７２Ｒｃの凹部３７２Ｒｃ１に挿入される。
【０３３３】
伝達手段３７７Ｒは、駆動モータ３７６Ｒの駆動力を回転体３７２Ｒに伝達するギヤ列であり、伝達ギヤ３７７Ｒａから３７７Ｒｃで構成される。先頭の伝達ギヤ３７７Ｒａは、駆動モータ３７６Ｒに連結されており、後端の伝達ギヤ３７７Ｒｃは、第２回転体Ｒｃ２に連結される。よって、駆動モータ３７６Ｒが回転されると、その駆動力は、伝達ギヤ３７７Ｒａから伝達ギヤ３７７Ｒｃに伝達されて回転体３７２Ｒが回転される。
【０３３４】
ここで、上述したように、回転体３７２Ｒは、連結棒３７１を連結されるので、左側回転送球部３７０Ｌの回転体３７２Ｌも同様に、連結棒３７１の一端に連結される。これにより、回転体３７２Ｒと回転体３７２Ｌとを同期して回転させることができる。
【０３３５】
内側カバー３７３Ｒは、本体部３８０を転動する遊技球を回収する開口を備えると共に、右側回転送球部３７０Ｒの伝達手段３７７Ｒを配置する板であり、第１回転体３７２Ｒａの軸方向に貫通する回収孔３７３Ｒａと、その回収孔３７３Ｒａの縁部から第１回転体３７２Ｒａの軸方向外側に突出する案内壁３７３Ｒｂと、第２回転体３７２Ｒｃと伝達ギヤ３７７Ｒｃとの軸上に開口される第１開口３７３Ｒｃと、駆動モータ３７６Ｒの軸上に開口される第２開口３７３Ｒｄとを主に備えて形成される。
【０３３６】
回収孔３７３Ｒａは、第５送球経路ＫＲ５を通過する遊技球を挿通させる開口であり、第５送球経路ＫＲ５の端部側に形成されると共に、球の直径よりも大きい内形に形成される。
【０３３７】
案内壁３７３Ｒｂは、回収孔３７３Ｒａの内側を挿通する遊技球を、重力方向下側に流下させる壁部であり、回収孔３７３Ｒａの縁部に突設されると共に、側面視において下側が開放するＵ字状に形成される。よって、連結棒３７１の軸方向外側から、外側カバー３７４Ｒが内側カバー３７３Ｒに覆設されると、案内壁３７３Ｒｂの対向間に遊技球を送球する経路の第６送球経路ＫＲ６を形成できる。
【０３３８】
第１開口３７３Ｒｃは、第２回転体３７２Ｒｃと伝達ギヤ３７７Ｒｃとを連結可能にする開口であり、第２回転体３７２Ｒｃの外径よりも大きい内径の円形に形成される。これにより、内側カバー３７３Ｒの外側に配置される伝達ギヤ３７７Ｒｃと第２回転体３７２Ｒｃとを連結させることができる。
【０３３９】
第２開口３７３Ｒｄは、駆動モータ３７６Ｒと伝達ギヤ３７７Ｒａとを連結可能にする開口であり、駆動モータ３７６Ｒの回転軸よりも大きい外形の円形に形成される。これにより、内側カバー３７３Ｒの外側に配置される伝達ギヤ３７７Ｒａと駆動モータ３７６Ｒとを連結することができる。
【０３４０】
外側カバー３７４Ｒは、内側カバー３７３Ｒの左右方向外側に配置される板部材であり、側面視における外形が内側カバー３７３Ｒと略同一に形成される。また、内側カバー３７３Ｒの外側から外側カバー３７４を覆設することで、上述した第６送球経路ＫＲ６が形成されると共に、外側カバー３７４Ｒと内側カバー３７３Ｒとの対向間に伝達手段３７７Ｒの各伝達ギヤ３７７Ｒａから３７７Ｒｃを回転可能に保持できる。
【０３４１】
次いで、図６８を参照して、回転体３７２Ｒの詳しい説明をする。図６８（ａ）は、回転体３７２Ｒの側面図であり、図６８（ｂ）は、回転体３７２Ｒの上面図であり、図６８（ｃ）は、図６８（ｂ）のＬＸＶＩＩＩｃ−ＬＸＶＩＩＩｃ線における回転体３７２Ｒの断面図であり、図６８（ｄ）は、図６８（ｂ）のＬＸＶＩＩＩｄ−ＬＸＶＩＩＩｄ線における回転体３７２Ｒの断面図である。なお、図６８（ａ）及び図６８（ｂ）では、磁石３７２Ｒｂの外形が破線で図示される。
【０３４２】
図６８に示すように、回転体３７２Ｒの第２回転体３７２Ｒｃに形成される溝部３７２Ｒｃ２は、回転体３７２Ｒの径方向視において略矩形に凹設され、その外形が磁石３７２Ｒｂの外形よりも大きく設定される。また、溝部３７２Ｒｃ２は、回転体３７２Ｒの径方向内側に位置する面が平坦面に形成される。
【０３４３】
次に、図６９及び図７０を参照して、回転体３７２Ｒの回転について説明する。図６９（ａ）から（ｃ）は、図５６（ａ）のＬＸＩＸ−ＬＸＩＸ線における変位ユニット５６０の断面模式図である。図７０（ａ）から（ｃ）は、変位ユニット５６０の部分上面図である。
【０３４４】
なお、図６９（ａ）では、第２回転体３７２Ｒｃの溝部３７２Ｒｃ２が第６送球経路ＫＲ６と隣合う状態が、図６９（ｂ）では第２回転体３７２Ｒｃの溝部３７２Ｒｃ２が上端に位置する状態が、図６９（ｃ）では第２回転体３７２Ｒｃの溝部３７２Ｒｃ２が送球経路ＫＲ７と隣合う状態がそれぞれ図示される。また、図７０（ａ）は図６９（ａ）に、図７０（ｂ）は図６９（ｂ）に、図７０（ｃ）は図６９（ｃ）に、それぞれ対応する状態が図示される。
【０３４５】
図６９（ａ）及び図７０（ａ）に示すように、第６送球経路ＫＲ６の第２転動部３８１ｃは、回転体３７２Ｒの回転軸よりも重力方向上側に配置される。よって、第６送球経路ＫＲ６と第２回転体３７２Ｒｃの溝部３７２Ｒｃ２とが隣合う場合には、溝部３７２Ｒｃ２の径方向内側の平坦面が上方に向かって正面側に傾斜する状態とされる。
【０３４６】
図６９（ａ）及び図７０（ａ）に示す状態から、駆動モータ３７６Ｒから駆動力が付与されると、回転体３７２Ｒは、右方向視（図６９方向視）において軸周りに左回転される。よって、図６９（ｂ）及び図７０（ｂ）に示す状態を介して図６９（ｃ）及び図７０（ｃ）に示す状態が形成される。
【０３４７】
図６９（ｃ）及び図７０（ｃ）に示すように、第７送球経路ＫＲ６の第３転動部３８１ｄ、回転体３７２Ｒの回転軸よりも重力方向上側に配設されると共に、第２転動部３８１ｃよりも上方に形成される。よって、第７送球経路ＫＲ７と第２回転体３７２Ｒｃの溝部３７２Ｒｃ２とが隣合う場合には、溝部３７２Ｒｃ２の径方向内側の平坦面が上方に向かって背面側に傾斜する状態とされる。
【０３４８】
次に、図７１を参照して可変ユニット３６０及び背面ベース３９０を組み合わせた状態を説明する。図７１（ａ）は、可変ユニット３６０及び背面ベース３９０の正面図であり、図７１（ｂ）は、可変ユニット３６０及び背面ベース３９０の上面図である。
【０３４９】
図７１（ａ）及び図７１（ｂ）に示すように、可変ユニット３６０は、背面ベース３９０の重力方向下側の一側に配設される。また、背面ベース３９０の２つの円環部材３９４は、第１転動部３８１ａの左右方向外側に配設される。
【０３５０】
また、円環部材３９４は、上述した第３送球経路ＫＲ３の下方に配設される。詳しく説明すると、第３送球経路ＫＲ３は、略円形に形成される円環部材３９４の第２転動部３９２ｃ側の側面に連結される。よって、第３送球経路ＫＲ３の内部を送球される遊技球は、円環部材３９４の上面に案内されて、正面側の第２転動部３８１ｃに送球することができる。上述したように、第４送球経路ＫＲ４は、第１転動部３８２ａにより形成される第５送球経路に連結される。即ち、第３送球経路ＫＲ３は、第６送球経路ＫＲ６に連結され、第４送球経路ＫＲ４は、第５送球経路ＫＲ５に連結される。
【０３５１】
次に図７２から図７４を参照して、第６送球経路を通過する遊技球について説明する。図７２（ａ）から図７２（ｃ）は、可変ユニット３６０及び背面ベース３９０の上面図であり、図７３（ａ）から図７３（ｃ）は、図７２（ａ）のＬＸＸＩＩＩ−ＬＸＸＩＩＩ線における可変ユニット３６０及び背面ベース３９０の断面図であり、図７４（ａ）から図７４（ｃ）は、図７１（ｂ）のＬＸＸＶＩ−ＬＸＸＶＩ線における可変ユニット３６０及び背面ベース３９０の断面図である。なお、図７２（ａ）から図７２（ｃ）、図７３（ａ）から図７３（ｃ）、図７４（ａ）から図７４（ｃ）では、それぞれ遊技球の遷移状態が図示される。
【０３５２】
図７２（ａ）、図７３（ａ）及び図７４（ａ）に示すように、第３送球経路ＫＲ３から送球される遊技球は、上述したように、円環部材３９４の上面に案内されて、第２転動部３８１ｃの上部に案内される。
【０３５３】
図７２（ｂ）、図７３（ｂ）及び図７４（ｂ）示すように、第２転動部３９２ｃの上部に転動される遊技球は、第２転動部３８１ｃの下降傾斜（図７４（ｂ）参照）によって転動され、第６送球経路ＫＲ６を送球される。
【０３５４】
図７２（ｃ）、図７３（ｃ）及び図７４（ｃ）示すように、第６送球経路ＫＲ６を終端まで送球される遊技球は、内側カバー３７３Ｒに形成される回収孔３７３Ｒａに送球され、内側カバー３７３Ｒと外側カバー３７４Ｒの対向間に形成される通路を流下して回収される。即ち、内側カバー３７３Ｒの回収孔３７３Ｒａは、第６送球経路ＫＲ６の終端に開口されており、回収孔３７３Ｒａの下端面が、第２転動部３８１ｃと略同一の高さもしくは少し低い位置に形成される。よって、第６送球経路ＫＲ６を送球される遊技球をスムーズに回収孔３７３Ｒａの内部に送球できる。
【０３５５】
また、第２転動部３８１ｃは、回転体３７２Ｒの回転軸の方向と略平行な方向へ遊技球を転動させる傾斜面として形成されるので、第２転動部３８１ｃを転動する遊技球の転動方向と、回転体３７２Ｒの回転に伴って送球される遊技球の送球方向とを略直交する方向とすることができる。その結果、遊技球の動きに変化を与えると共に、一度に視認可能な遊技球の数を確保して、遊技者の興趣を向上することができる。
【０３５６】
次に、図７５を参照して、背面ベース３９０のストッパ部３９６が変位された場合の説明をする。図７５（ａ）は、ストッパ部３９６が変位前の状態における可変ユニット３６０及び背面ベース３９０の断面図であり、図７５（ｂ）は、ストッパ部３９６が変位後の状態における可変ユニット３６０及び背面ベース３９０の断面図である。なお、図７５（ａ）及び図７５（ｂ）は、図７３（ａ）の断面と対応する。
【０３５７】
図７５（ａ）に示すように、ストッパ部３９６が変位前の状態では、上述したように、端部Ａ２が、軸孔３９６ｃの軸の重力方向上側に配置される。よって、第６送球経路ＫＲ６と内側カバー３７３Ｒの回収孔３７３Ｒａとが連通状態とされ、第６送球経路ＫＲ６を通過する遊技球を回収孔３７３Ｒａの内側を通過させて回収することができる。
【０３５８】
一方、図７５（ｂ）に示すように、ストッパ部３９６が変位された状態では、上述したように端部Ａ２が、軸孔３９６ｃの軸と重力方向の高さ位置が略同一の高さとされる。よって、第６送球経路ＫＲ６と回収孔３７３Ｒａとの間にストッパ部３９６が介する状態とされ、第６送球経路ＫＲ６と回収孔３７３Ｒａとが遮断された状態とされる。これにより、第６送球経路ＫＲ６を送球される遊技球は、ストッパ部３９６に当接して停止する状態とされる。
【０３５９】
よって、第２転動部３８１ｃにおける遊技球の転動を遮断するストッパ部３９６を備え、回転体３７２Ｒの磁石は、ストッパ部３９６により転動が遮断された遊技球を吸着可能な位置に配設されるので、第２転動部３８１ｃを転動する遊技球が回転体３７２Ｒに直接吸着される形態と、第２転動部３８１ｃを転動する遊技球がストッパ部３９６により遮られた後に回転体３７２Ｒに吸着される形態（即ち、ストッパ部３９６による遮断がなければ回転体３７２Ｒに吸着せずに通過したであろう遊技球がストッパ部３９６により遮断されたことで回転体３７２Ｒへ吸着可能となった形態）とを形成でき、その結果、遊技者の興趣を向上することができる。
【０３６０】
次に、図７６から図７９を参照して、回転体３７２Ｒによって送球される遊技球について説明する。図７６から図７８は、可変ユニット３６０及び背面ベース３９０の上面図であり、図７９（ａ）から図７９（ｃ）は、可変ユニット３６０及び背面ベース３９０の断面図である。
【０３６１】
なお、図７９（ａ）は図６９（ａ）の断面に、図７９（ｂ）は図６９（ｂ）の断面に、図７９（ｃ）は図６９（ｃ）の断面に、それぞれ対応する。また、図７６から図７８及び図７９（ａ）から図７９（ｃ）では、球の遷移状態が図示される。
【０３６２】
図７６及び図７９（ａ）に示すように、第２回転体３７２Ｒｃの溝部３７２Ｒｃ２が第６送球経路ＫＲ６と隣合う状態の際に、第６送球経路ＫＲ６を送球される遊技球は、第２回転体３７２Ｒｃの内部に配設する磁石３７２Ｒｂに吸着される。即ち、第２回転体３７２Ｒｃの溝部３７２Ｒｃ２の内面に遊技球が吸着した状態とされる。
【０３６３】
図７６及び図７９（ａ）に示す状態から、回転体３７２Ｒが回転されると、球が第２回転体３７２Ｒｃの磁石３７２Ｒｂに吸着された状態で回転体３７２Ｒが回転される。
【０３６４】
ここで、回転軸を水平方向へ向けた姿勢で回転可能に形成される略円柱状の回転部材（回転体３７２Ｒ，３７２Ｌ）と、その回転部材に配設され回転部材の外周面に遊技球を吸着させる磁石（３７２Ｒｂ）とを備え、外周面に遊技球が吸着された状態で回転部材が回転されることで、かかる遊技球を回転部材の回転方向へ向けて送球する遊技機が知られている。回転部材へ向けて２球の遊技球が連なって転動されると、先行する遊技球が回転部材の外周面に吸着されると共に、その先行する遊技球に後行する遊技球が吸着される場合がある。この場合、回転部材が回転されると、２球分の重さが作用することで、回転部材と先行する遊技球との間の吸着が解除されるという問題点があった。
【０３６５】
これに対し、本実施形態によれば、回転体３７２Ｒの外周面に並設されると共に遊技球が転動される第２転動部３８１ｃを備え、その第２転動部３８１ｃが回転部材の回転軸よりも重力方向上方に位置するので、例えば、回転体３７２Ｒへ向けて２球の遊技球が連なった状態で第２転動部３８１ｃを転動され、先行する遊技球が回転体３７２Ｒの外周面に吸着されると共に、その先行する遊技球に後行する遊技球が吸着された場合には、先行する遊技球を回転体３７２Ｒの外周面に乗せやすくできる。よって、回転体３７２Ｒと先行する遊技球との間の吸着を解除され難くできる。
【０３６６】
ここで、回転体３７２Ｒの外周面に吸着されて送球された遊技球は、回転体３７２Ｒを挟んで第２転動部３８１ｃと反対側において回転体３７２Ｒの外周面に並設される第３転動部３８１ｄに受け取られるところ、この際に遊技球が第３転動部３８１ｄで跳ねやすく、回転体３７２Ｒの外周面から第３転動部３８１ｄへ遊技球をスムーズに送球することが困難であるという問題点があった。
【０３６７】
これに対し、本実施形態では、第３転動部３８１ｄが回転体３７２Ｒの回転軸よりも重力方向上方に位置するので、遊技球が第３転動部３８１ｄで跳ねることを抑制して、回転体３７２Ｒの外周面から第３転動部３８１ｄへ遊技球をスムーズに送球することができる。即ち、回転体３７２Ｒの回転に伴って重力方向下方への変位成分が大きくなる前に（即ち、水平方向成分が比較的多い段階で）、第３転動部３８１ｄに遊技球を受け取らせることができるので、遊技球が第３転動部３８１ｄで跳ねることを抑制できる。また、第３転動部３８１ｄに遊技球を受け取らせる前に、かかる遊技球の吸着が解除されて、回転体３７２Ｒの外周面から第３転動部３８１ｄへ遊技球が落下することを抑制できる。この点からも、遊技球が第３転動部３８１ｄで跳ねることを抑制できる。
【０３６８】
また、第３転動部３８１ｄは、回転体３７２Ｒから離間する方向へ向けて下降傾斜して形成されるので、回転体３７２Ｒの外周面に吸着されその回転体３７２Ｒの回転に伴って送球される遊技球の送球方向を、第３転動部３８１ｄに受け取られた後行する遊技球の転動方向に近づけることができる。その結果、遊技球が第３転動部３８１ｄで跳ねることを抑制して、回転体３７２Ｒの外周面から第３転動部３８１ｄへ遊技球をスムーズに送球することができる。
【０３６９】
回転体３７２Ｒは、その外周面に凹設される溝部３７２Ｒｃ２を備え、磁石３７２Ｒｂは、溝部３７２Ｒｃ２の内面に遊技球を吸着させる位置に配設されるので、溝部３７２Ｒｃ２の内面（外周面との間の段差）で遊技球を支持することができる。その結果、例えば、回転体３７２Ｒへ向けて２球の遊技球が連なった状態で第２転動部３８１ｃを転動され、先行する遊技球が回転体３７２Ｒの外周面に吸着されると共に、その先行する遊技球に後行する遊技球が吸着された場合に、回転体３７２Ｒと先行する遊技球との間の吸着を解除され難くできる。
【０３７０】
また、溝部３７２Ｒｃ２の凹設深さは、その溝部３７２Ｒｃ２に遊技球が嵌った状態で、溝部３７２Ｒｃ２の底面に遊技球が当接可能となる寸法に設定されると共に、第２転動部３８１ｃ側よりも第３転動部３８１ｄ側が小さな寸法に設定されるので、回転体３７２Ｒの回転に伴って送球される遊技球が回転体３７２Ｒの回転方向にぐらついた際には、遊技球を溝部３７２Ｒｃ２から第３転動部３８１ｄ側へ転動（脱落）させやすくできる。即ち、遊技球の吸着が解除されて第２転動部３８１ｃへ逆戻りすることを抑制できる。
【０３７１】
次に、図７７及び図７９（ｂ）に示す状態を介して、図７８及び図７９（ｃ）に示す第２回転体３７２Ｒｃの溝部３７２Ｒｃ２が第７送球経路ＫＲ７と隣合う位置まで回転されると、溝部３７２Ｒｃ２の内面に吸着した遊技球は、第７送球経路ＫＲ７の第３転動部３８１ｄに引っ掛る。これにより、球は、第２回転体３７２Ｒｃの磁石３７２Ｒｂとの吸着が解除されて、第７送球経路ＫＲ７を送球される。
【０３７２】
ここで、回転体３７２Ｒと遊技球との吸着の解除を回転体の軸よりも重力方向下側ですると、回転体３７２Ｒの軸周りに遊技球の重力が作用しやすくなり、回転体３７２Ｒの回転速度が速くされる恐れがある。
【０３７３】
そのため、回転体３７２Ｒと遊技球との吸着を解除した際に、回転体３７２Ｒが有する運動エネルギーが高くなり、回転体３７２が第３転動部３８１ｄと衝突する際にバウンドするという問題点がある。または、回転体３７２と遊技球とを吸着した状態で、回転体３７２を回転させて回転体３７２Ｒの軸よりも重力方向下側に送球すると、遊技球を回転体３７２で支えることができなくなるために、回転体３７２と遊技球との吸着が解除され、遊技球が第３転動部３８１ｄに落下してバウンドするという問題点がある。
【０３７４】
これに対し、本実施形態では、第３転動部３８１ｄの基部は、回転体３７２の軸よりも重力方向上側に配設されるので、回転体３７２と遊技球との吸着の解除を回転体３７２の軸よりも重力方向上側ですることができる。これにより、回転体３７２と遊技球との吸着が解除された際に、遊技球がバウンドすることを抑制できる。
【０３７５】
また、第３転動部３８１ｄは、第２転動部３８１ｃから第３転動部３８１ｄに向かう方向に従って下降傾斜して形成されるので、回転体３７２の外周面に吸着して送球される遊技球の送球方向と第３転動部３８１ｄの転動方向とを略一致させることができる。よって、回転体３７２の外周面に吸着する遊技球は、回転体３７２の回転変位により回転方向への運動エネルギーを備えているので、第３転動部３８１ｄで回転体３７２と吸着を解除された際に、運動エネルギーが作用する方向へ動き易い。上述したように、回転体３７２の外周面に吸着して送球される遊技球の送球方向と第３転動部３８１ｄの転動方向とが略一致されるので、第３転動部３８１ｄに送球される遊技球を転動させやすくできる。その結果、第３転動部３８１ｄに送球される遊技球を転動させやすくできる。
【０３７６】
なお、第７送球経路ＫＲ７を送球される遊技球は、第３転動部３８１ｄの正面側への下降傾斜により正面側に転動して、第８送球経路ＫＲ８に送球される。
【０３７７】
よって、第６送球経路ＫＲ６を送球される遊技球を、回転体３７２Ｒの回転により第７送球経路ＫＲ７に送球することができる。従って、球の送球経路を複数個形成することができるので、遊技者の興趣を向上することができる。
【０３７８】
次に、図８０を参照して、第２回転体３７２Ｒｃの溝部３７２Ｒｃ２の内面に吸着される遊技球の吸着について詳しく説明する。図８０は、可変ユニット３６０及び背面ベース３９０の断面図である。なお、図８０は、図６９（ａ）の可変ユニット３６０及び背面ベース３９０の断面と対応する。また、図８０では、球が溝部３７２Ｒｃ２の内面に吸着された後に、少し回転された状態が図示される。さらに、図８０では、回転体３７２の回転方向と反対側の溝部３７２Ｒｃ２と第２回転体３７２Ｒｃとの連結部分に端部Ａ３の符号を付して図示される。
【０３７９】
図８０に示すように、回転する回転体の外周面に遊技球を吸着して送球する役物では、溝部３７２Ｒｃ２の内面に吸着した遊技球に、第６送球経路ＫＲ６を後から送球される遊技球が吸着する可能性がある。先行する遊技球に後行する遊技球が吸着すると、溝部３７２Ｒｃ２と先行する遊技球との吸着面に２つの遊技球の重力が作用する。その結果、先行する遊技球に後行する遊技球が吸着した際に先行する遊技球と溝部３７２Ｒｃ２との吸着が解除されるという問題点があった。
【０３８０】
これに対し、本実施形態では、図８０に示すように、溝部３７２Ｒｃ２の内周に吸着される遊技球は、端部Ａ３と当接する状態で送球される。これにより、球に重力方向の力が作用したとしても、端部Ａ３が遊技球を支えることで、球を重力方向に変位し難くでき遊技球が溝部３７２Ｒｃ２から落下することを抑制できる。よって、先行する遊技球に後行する遊技球が吸着した場合にも、先行する遊技球と溝部３７２Ｒｃ２との吸着が解除されること抑制できる。
【０３８１】
また、上述したように、第６送球経路ＫＲ６は、回転体３７２Ｒの回転軸よりも重力方向上側に形成されるので、溝部３７２Ｒｃ２の内面に吸着される遊技球を、端部Ａ３と当接し易くできる。その結果、溝部３７２Ｒｃ２と遊技球との吸着が解除されることを効果的に抑制できる。
【０３８２】
次いで、図８１から図９０を参照して、入賞口ユニット６００について説明する。初めに、図８１から図８３を参照して、入賞口ユニット６００の全体構成について説明する。図８１（ａ）は、入賞口ユニット６００の正面図であり、図８１（ｂ）は、入賞口ユニット６００の背面図である。図８２は、入賞口ユニット６００の分解正面斜視図であり、図８３は、入賞口ユニット６００の分解背面斜視図である。
【０３８３】
図８１から図８３に示すように、入賞口ユニット６００は、複数の入賞口２６，２７，２８を備える化粧板６１０と、化粧板６１０と対向して配設されその対向間に遊技球の流下経路を形成するベース板６３０と、そのベース板６３０との間に遊技球の送球経路を形成する経路部材６４０と、ベース板６３０に配設され、化粧板６１０とベース板６３０との対向間を流下する遊技球を入賞口２６，２７，２８のいずれかに案内する可変入賞装置６５０とを主に備えて形成される。
【０３８４】
化粧板６１０は、左始動入賞口２６を備える左カバー部材６１１と、右始動入賞口２７を備える右カバー部材６１２と、中始動入賞口２８を備える中央カバー部材６１３と、から形成される。
【０３８５】
なお、左カバー部材６１１と右カバー部材６１２とは、中央カバー部材６１３を挟んで対称に形成されており、その詳しい説明は、右カバー部材６１２のみとする。この場合、左始動入賞口２６は、右始動入賞口２７と対応する。
【０３８６】
右カバー部材６１２は、正面視において重力方向下側が半円状に湾曲する板状体から形成され、湾曲軸の近傍に右始動入賞口２７が突出形成される。
【０３８７】
中央カバー部材６１３は、正面視において上側が湾曲した半円形に形成されると共に、左カバー部材６１１と右カバー部材６１２の中央に配置される。中央カバー部材６１３は、湾曲軸の近傍から突出する案内板６１３ａと、湾曲軸を中心とする円弧状に突出する立設壁６１３ｂ，６１３ｃと、その立設壁６１３ｂ，６１３ｃの対向間に形成される中始動入賞口２８と、案内板６１３ａの両隣から突出するカバー側突起６１３ｄとを主に備えて形成される。
【０３８８】
案内板６１３ａは、中始動入賞口２８の内部を挿通される遊技球を後述する、ベース板６３０の貫通孔６３２ａに案内するための突起であり、貫通孔６３２ａより重力方向上側に配置される。また、案内板６１３ａは、突出先端に向かうに従ってその上面が下降傾斜して形成される。これにより、中始動入賞口２８の内部を通過して案内板６１３ａの上面に送球される遊技球を、ベース板６３０の背面側に転動させてベース板６３０の貫通孔６３２ａに送球することができる。
【０３８９】
さらに、案内板６１３ａは、基部側の上面に傾斜角度の大きい当接面６１３ａ１と、先端側の上面に当接面６１３ａ１よりも傾斜角度の小さい転動面６１３ａ２とを備えて形成される。
【０３９０】
当接面６１３ａ１は、中始動入賞口２８の内部に入賞される遊技球と当接させて、貫通孔６３２ａへの遊技球の送球を安定させる面であり、中始動入賞口２８の内部を送球される遊技球の重力方向下端部よりも正面側の外面と当接される。即ち、当接面６１３ａ１は、転動面６１３ａ２との連結部分から基部までの距離寸法が遊技球の半径よりも大きく設定されると共に、重力方向上側への寸法が遊技球の半径よりも大きく設定される。よって、中始動入賞口２８の内部を挿通される遊技球を転動面６１３ａ２に当接させることができる。これにより、中始動入賞口２８に送球される遊技球の重力方向の力の成分を、当接面６１３ａ１とのその衝突による反動で貫通孔６３２ａ側へ作用させることができる。その結果、中始動入賞口２８の内部に送球される遊技球を、ベース板６３０の貫通孔６３２ａにスムーズに案内できる。
【０３９１】
立設壁６１３ｂ，６１３ｃは、中始動入賞口２８を形成する壁部であり、中始動入賞口２８を挟んで対象に形成される。立設壁６１３ｂ，６１３ｃは、湾曲して形成される一側と、中央部に垂下して形成される他側とから形成される。中始動入賞口２８は、立設壁６１３ｂ，６１３ｃの他側の対向間に形成される。
【０３９２】
立設壁６１３ｂ，６１３ｃの一側は、中始動入賞口２８に挿通されず、遊技盤１３を流下する遊技球をアウト口７１に送球させるための遊技球の転動面である。立設壁６１３ｂ，６１３ｃの一側の上面に送球される遊技球を左右方向外側に流下させることができるので、立設壁６１３ｂ，６１３ｃの下側にスペースを形成することができる。
【０３９３】
カバー側突起６１３ｄは、後述する可変入賞装置６５０の可変板６５２の上部を転動する遊技球の速度を遅くするための突起であり、詳しい説明は後述する。
【０３９４】
ベース板６３０は、正面視横長矩形の板状に形成されると共に、化粧板６１０の各カバー部材６１１，６１２，６１３が配設される部分が背面側に向かって凹設される左凹部６３１、中央凹部６３２、右凹部６３３を備えて形成される。
【０３９５】
左凹部６３１は、左カバー部材６１１の左始動入賞口２６と対向する位置に形成される左貫通孔６３１ａと、その左貫通孔６３１ａよりも重力方向下側に位置すると共に、左凹部６３１の端部に貫通形成される第２貫通孔６３１ｂとを備えて形成される。
【０３９６】
左貫通孔６３１ａは、左始動入賞口２６の内部に送球された遊技球が流下する遊技球の経路であり、正面側から背面側に貫通して形成されると共に、内形が遊技球の外形よりも大きく形成される。これにより、左始動入賞口２６に送球される遊技球を、左貫通孔６３１ａを介して回収できる。
【０３９７】
第２貫通孔６３１ｂは、左始動入賞口２６の近傍を通過して流下する遊技球を挿通させる開口であり、左凹部６３１の下端に形成されると共に、後述する経路部材６４０の正面視左側の一端と対向する位置に形成される。これにより、左始動入賞口２６に送球されず、左凹部６３１と左カバー部材６１１との対向間を流下する遊技球を、第２貫通孔６３１ｂを経路部材６４０に送球できる。
【０３９８】
右凹部６３３は、右カバー部材６１２の右始動入賞口２７と対向する位置に形成される右貫通孔６３３ａと、その右貫通孔６３３ａよりも重力方向下側に位置すると共に、左凹部６３１の端部に貫通形成される第２貫通孔６３３ｂとを主に備えて形成される。
【０３９９】
右貫通孔６３３ａは、右始動入賞口２７の内部に送球された遊技球が流下する遊技球の経路であり、正面側から背面側に貫通して形成されると共に、内形が、球の外形よりも大きく形成される。これにより、右始動入賞口２７に送球される遊技球を、右貫通孔６３３ａを介して回収できる。
【０４００】
第２貫通孔６３３ｂは、右始動入賞口２７の近傍を通過して流下する遊技球を挿通させる開口であり、右凹部６３３の下端に形成されると共に、後述する経路部材６４０の正面視右側の他端と対向する位置に形成される。これにより、右始動入賞口２７に送球されず、右凹部６３３と右カバー部材６１２との対向間を流下する遊技球を、第２貫通孔６３３ｂを経路部材６４０に送球できる。
【０４０１】
よって、左右の凹部６３１，６３３と化粧板６１０との対向間に形成される遊技球の流下経路の開口が、左始動入賞口２６及び右始動入賞口２７よりも重力方向上方に位置し、左右の凹部６３１，６３３と化粧板６１０との対向間に形成される遊技球の流下経路の内部に左始動入賞口２６及び右始動入賞口２７が配設されるので、第２貫通孔６３１ｂ，６３３ｂへ流入された遊技球の一部を左始動入賞口２６及び右始動入賞口２７へ入球させることができる。即ち、左始動入賞口２６及び右始動入賞口２７へ入球せずに流下する遊技球を経路部材６４０へ確実に流入させることができる。その結果、第２の入球口へ入球する遊技者の期待を高めて、遊技の興趣の向上を図ることができる。
【０４０２】
中央凹部６３２は、ベース板６３０の左右方向略中央部に貫通形成される貫通孔６３２ａと、その貫通孔６３２ａの両隣に貫通形成される２つの挿通孔６３２ｃと、その挿通孔６３２ｃの上方に開口する連結孔６３２ｂと、貫通孔６３２ａの両隣に位置し中央カバー部材６１３側に突出するベース側突起６３２ｄとを主に備えて形成される。
【０４０３】
貫通孔６３２ａは、案内板６１３ａの上部を転動する遊技球を、内部に挿通させるための開口であり、球の外形よりも大きい開口に形成されると共に、上述したように中央カバー部材６１３の案内板６１３ａよりも重力方向下側に形成される。
【０４０４】
挿通孔６３２ｃは、上述したように貫通孔６３２ａの左右方向両隣に貫通形成される。また、挿通孔６３２ｃは、正面視横長矩形に形成されると共に、貫通孔６３２ａに向かうに従って下降傾斜して形成される。
【０４０５】
連結孔６３２ｂは、後述する、経路部材６４０を送球される遊技球がベース板６３０の正面側に排出される開口であり、挿通孔６３２ｃの外側（貫通孔６３２ａから離間した側）の上方に貫通形成される。
【０４０６】
ベース側突起６３２ｄは、挿通孔６３２ｃの内側を挿通して中央カバー部材６１３側に突出する可変入賞装置６５０の可変板６５２の上部を転動する遊技球の速度を遅くする突起であり、挿通孔６３２ｃの貫通孔６３２ａ側の上方に突出形成される。
【０４０７】
経路部材６４０は、正面視横長矩形に形成されると共に、ベース板６３０側が開放される略箱形状に形成される。経路部材６４０は、第２貫通孔６３１ｂ，６３３ｂと連結孔６３２ｂとを連結する経路を形成するための部材であり、正面視左側に形成されて第２貫通孔６３１ｂとベース板６３０の正面視左側の連結孔６３２ｂとを連結する第１経路６４１と、正面視右側に形成されて第２貫通孔６３３ｂとベース板６３０の正面視右側の連結孔６３２ｂとを連結する第２経路６４２とから形成される。
【０４０８】
経路部材６４０の第１経路６４１及び第２経路６４２は、互いに近づく方向に向かって下降傾斜して形成される。これにより、第２貫通孔６３１ｂから送球される遊技球を第１経路６４１を転動させて連結孔６３２ｂに送球できる。また、第２貫通孔６３３ｂから送球される遊技球を第２経路６４２を転動させて連結孔６３２ｂに送球できる。
【０４０９】
可変入賞装置６５０は、スライド変位可能な可変板６５２を備えて、ベース板６３０の背面側から取着される装置であり、可変板６５２が挿通孔６３２ｃに挿通された状態で配設される。
【０４１０】
次に、図８４及び図８５を参照して、可変入賞装置６５０について説明する。図８４（ａ）は、可変入賞装置６５０の正面図であり、図８４（ｂ）は、可変入賞装置６５０の上面図である。図８５（ａ）は、可変入賞装置６５０の分解正面斜視図であり、図８５（ｂ）は、可変入賞装置６５０の分解背面斜視図である。
【０４１１】
図８４及び図８５に示すように、可変入賞装置６５０は、ベース板６３０に連結される正面ベース６５１と、正面ベース６５１の内部を挿通してスライド変位可能な様態で配置される可変板６５２と、可変板６５２の基端に連結されて駆動手段の駆動力によって回転変位可能な伝達部材６５３と、伝達部材６５３の周囲に配設されるカバー部材６５４と、駆動手段のソレノイド６５５とを主に備えて形成される。
【０４１２】
正面ベース６５１は、正面視略横長矩形に形成されると共に、後述する可変板６５２の先端側が挿入される開口６５１ｂと、ベース板６３０の貫通孔６３２ａに連結される回収孔６５１ａとを主に備えて形成される。
【０４１３】
回収孔６５１ａは、ベース板６３０の貫通孔６３２ａに挿通された遊技球を回収する孔であり、貫通孔６３２ａの背面側に連結される。
【０４１４】
開口６５１ｂは、後述する可変板６５２がスライド変位する際にそのスライドを安定させ得るための開口であり、可変板６５２の正面視における外形よりも少し大きく形成される。
【０４１５】
２枚の可変板６５２は、上述したように上面に遊技球を転動させる板部材であり、先端が開口６５１ｂを介して、ベース板６３０の挿通孔６３２ｃに挿通される。即ち、可変板６５２は、互いが近づく方向に傾斜して形成される。これにより、可変板６５２の上面に遊技球が乗った際に、球を転動させて案内板６１３ａに遊技球を落下させることができる。
【０４１６】
また、可変板６５２は、重力方向に凹設される凹部６５２ａを備える。凹部６５２ａには、後述する伝達部材６５３の回転軸６５３ａが挿入されて、伝達部材６５３の変位が伝達される。これにより、可変板６５２に、駆動力が伝達されて可変板６５２がスライド変位される。
【０４１７】
伝達部材６５３は、板状体に形成されると共に、一端に形成される回転軸６５３ｃがカバー部材６５４に形成される軸孔６５４ａに連結される。また、伝達部材６５３は、回転軸６５３ａの中央部に突出形成される係合部６５３ｂを備え、その係合部６５３ｂがソレノイド６５５の突起６５５ａに係合される。よって、ソレノイド６５５が駆動されると、係合部６５３ｂが押し出され、伝達部材６５３が回転軸６５３ｃを軸に回転変位される。これにより、可変板６５２をスライド変位させることができる。
【０４１８】
よって、中始動入賞口２８の流下経路上の貫通孔６３２ａには、変位動作により貫通孔６３２ａの上流を流下する遊技球を貫通孔６３２ａへ入賞し易くする可変板６５２が配設されるので、左始動入賞口２６及び右始動入賞口２７に入賞せず、左始動入賞口２６及び右始動入賞口２７の近傍を流下して、経路部材６４０の内部に送球される遊技球が、貫通孔６３２ａに入賞する確率を向上することができる。
【０４１９】
また、可変板６５２は、貫通孔６３２ａを挟んだ両側に一対がそれぞれ貫通孔６３２ａへ向けて下降傾斜する姿勢で配設されるので、かかる可変板６５２が突出した状態が形成された場合には、貫通孔６３２ａの左右いずれの側から流下する遊技球に対しても、貫通孔６３２ａへ入球しやすくすることができる。よって、貫通孔６３２ａへ入球することに対する期待をより強く遊技者に持たせることができる。その結果、遊技の興趣の向上を図ることができる。
【０４２０】
ここで、貫通孔６３２ａへ遊技球が入球されやすくする構成として、遊技盤１３から突出する回転軸に基端側を回転可能に軸支させた一対の羽部材を貫通孔６３２ａに配設し、かかる羽部材が開放されることで、遊技球が貫通孔６３２ａへ案内されるもの（所謂チューリップ）が考えられる。しかし、かかる構成では、羽部材が回転（開閉）するためのスペースが遊技領域に必要となる。特に、羽部材が閉じた姿勢を形成するために、貫通孔６３２ａの上方にスペースが必要となる。そのため、上下方向に大型化して、他の部材（例えば、第１の入球口や液晶表示装置）の配設スペースが減少する。
【０４２１】
これに対し、本実施形態によれば、遊技盤１３の正面側へ突出可能かつ背面側へ没入可能に形成される板状の一対の可変板６５２が、貫通孔６３２ａを挟んだ両側に貫通孔６３２ａへ向けて下降傾斜する姿勢で配設されるので、上下方向に小型化を図ることができる。その結果、他の部材（例えば、第１の入球口や液晶表示装置）の配設スペースを確保できる。
【０４２２】
さらに、経路部材６４０の連結孔６３２ｂが、可変板６５２の重力方向上方に配設されるので、突出された可変板６５２を利用して、遊技球を貫通孔６３２ａへ入球しやすくすることができる。よって、貫通孔６３２ａへ入球することに対する期待をより強く遊技者に持たせることができる。その結果、遊技の興趣の向上を図ることができる。
【０４２３】
また、第２貫通孔６３１ｂ及び経路部材６４０と第２貫通孔６３３ｂ及び経路部材６４０とは、それぞれ１組ずつ形成され、２組のうちの一方の組の経路部材６４０の連結孔６３２ｂは、一対の可変板６５２のうちの一方の可変板６５２の重力方向上方に配設されると共に、他方の組の経路部材６４０の連結孔６３２ｂは、他方の可変板６５２の重力方向上方に配設されるので、一対の可変板６５２をそれぞれ利用して、遊技球を貫通孔６３２ａへ更に入球しやすくすることができる。よって、貫通孔６３２ａへ入球することに対する期待をより強く遊技者に持たせることができる。その結果、遊技の興趣の向上を図ることができる。
【０４２４】
なお、第２貫通孔６３１ｂ及び経路部材６４０と第２貫通孔６３３ｂ及び経路部材６４０とは、貫通孔６３２ａを挟んで左右両側に離間して配設される（例えば、貫通孔６３２ａが遊技領域の幅方向中央に位置されると共に、その貫通孔６３２ａを挟んで幅方向に対称に２組が配設される）ことが好ましい。左始動入賞口２６及び右始動入賞口２７に対し、遊技領域の幅方向一側または他側のいずれの側を流下する遊技球も、貫通孔６３２ａへ入球させやすくでき、貫通孔６３２ａへ入球することに対する期待をより強く遊技者に持たせることができるからである。
【０４２５】
また、可変板６５２の貫通孔６３２ａ側の縁部が、貫通孔６３２ａの重力方向下方の縁部と重力方向上方の縁部との間に位置するので、遊技球が遊技領域の幅方向へ送球（変位）される場合に、かかる遊技球を、突出された状態における可変板６５２の貫通孔６３２ａ側の縁部に当接させて、貫通孔６３２ａへ入球しやすくできる。即ち、遊技領域の幅方向一側から送球（変位）される遊技球が、貫通孔６３２ａの前方を通過して、幅方向他側へ送球（変位）される（遊技球が貫通孔６３２ａに入球せずに遊技領域の幅方向に逃げる）ことを抑制できる。
【０４２６】
次に、図８６及び図８７を参照して、入賞口ユニット６００の遊技球の送球経路について説明する。図８６（ａ）は、入賞口ユニット６００の正面図であり、図８６（ｂ）は、入賞口ユニット６００の上面図である。図８７（ａ）及び図８７（ｂ）は、図８６の範囲ＬＸＸＸＶＩＩにおける入賞口ユニット６００の部分正面図である。
【０４２７】
なお、図８７（ａ）では、可変入賞装置６５０の変位前の状態が図示され、図８７（ｂ）では、可変入賞装置６５０の変位後の状態が図示される。また、図８６及び図８７では、化粧板６１０が透明視された状態で図示される。図８６（ａ）では、経路部材６４０が破線で図示される。
【０４２８】
図８６（ａ）及び図８６（ｂ）に示すように、ベース板６３０の背面側に配設され経路部材６４０の第１経路６４１により、第２貫通孔６３１ｂと連結孔６３２ｂとが連結される。一方、経路部材６４０の第２経路６４２により、第２貫通孔６３３ｂと連結孔６３２ｂとが連結される。よって、左始動入賞口２６及び右始動入賞口２７に送球されず、各第２貫通孔６３１ｂ，６３３ｂに送球される遊技球は、経路部材６４０の内部を送球されて連結孔６３２ｂから排出される。
【０４２９】
この場合、図８７（ａ）に示すように、可変入賞装置６５０が駆動前の状態では、可変入賞装置６５０の可変板６５２がベース板６３０の中央凹部６３２よりも背面側に退避された状態となる。よって、連結孔６３２ｂから排出される遊技球は、下方に流下されて遊技盤１３に形成されるアウト口７１により回収される。
【０４３０】
一方、図８７（ｂ）示すように、可変入賞装置６５０が駆動された（可変板がスライド変位された）状態では、可変入賞装置６５０の可変板６５２がベース板６３０の中央凹部６３２よりも正面側に突出した状態とされる。よって、開口６５１ｂから排出される遊技球は、可変板６５２の上面に送球される。
【０４３１】
ここで、第１の入球口と、第２の入球口とを備えた遊技機が知られている。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０４３２】
これに対し、本実施形態によれば、左始動入賞口２６及び右始動入賞口２７に入球されず流下する遊技球の通路を形成する経路部材６４０と、遊技領域が正面側に形成される遊技盤１３と、その遊技盤１３の正面側へ突出可能かつ背面側へ没入可能に形成される板状の可変板６５２とを備え、経路部材６４０を通過した遊技球が、遊技盤１３の正面側へ突出された可変板６５２によって、貫通孔６３２ａへ誘導可能とされるので、左始動入賞口２６及び右始動入賞口２７に遊技球が入球しなかった場合でも、かかる遊技球の流下に注目させ、貫通孔６３２ａへ入球することに対する期待を遊技者に継続して持たせることができる。その結果、遊技の興趣の向上を図ることができる。
【０４３３】
また、可変板６５２が遊技盤１３の正面側へ突出可能かつ背面側へ没入可能に形成されるので、可変板６５２を機能させない状態では、遊技盤１３の背面側に没入させておくことで、その分、遊技盤１３の正面側にスペースを確保（遊技領域を拡大）できる。即ち、遊技領域における遊技球が移動可能な領域を拡大できる。
【０４３４】
なお、経路部材６４０としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０４３５】
また、可変板６５２が遊技盤１３の背面側へ没入された状態であっても、経路部材６４０を通過した遊技球が貫通孔６３２ａへ入球可能とされていることは当然可能である。この場合には、可変板６５２が没入されている状態よりも突出されている状態の方が貫通孔６３２ａへ入球しやすくされることが好ましい。可変板６５２の状態を着目させ、遊技の興趣の向上を図ることができるからである。
【０４３６】
また、上述したように、左始動入賞口２６及び右始動入賞口２７に遊技球が入賞した際に、羽部３１２の開閉により遊技球が可動入球役物装置３００の内部に流入する確率よりも、中始動入賞口２８に遊技球が入賞した際に、羽部３１２の開閉により遊技球が可動入球役物装置３００の内部に流入する確率の方が高く設定されるので、遊技者は、左始動入賞口２６及び右始動入賞口２７に入賞しない遊技球について、中始動入賞口２８に入賞することにさらに期待を持つことができる。その結果、遊技者の興趣を損なうことを抑制できる。
【０４３７】
即ち、左始動入賞口２６及び右始動入賞口２７への入球により遊技者に付与される利益よりも貫通孔６３２ａへの入球により遊技者に付与される利益の方が高い利益とされるので、左始動入賞口２６及び右始動入賞口２７に遊技球が入球しなかった場合でも、かかる遊技球が貫通孔６３２ａへ入球することに対する期待をより強く遊技者に持たせることができる。その結果、遊技の興趣の向上を図ることができる。
【０４３８】
なお、遊技者に付与される利益が高い形態としては、入球に伴い払い出される賞球が多い形態、第３の入球口（凹部３１１ａと上部正面カバー３１３との対向間）への入球を許容・規制する羽部３１２の開放時間が長くされる態様、羽部３１２の開放回数が多くされる態様、羽部３１２の開放範囲が大きくされる態様などが例示される。
【０４３９】
また、ベース板６０は、透明な可撓性材料から形成されるので、ベース板６０の背面側を流下する経路とベース板６０の正面側を流下する経路との２経路が交差する様態を遊技者に視認させることができる。よって、遊技者の興趣が損なわれることを抑制することができる。
【０４４０】
即ち、経路部材６４０は、左始動入賞口２６及び右始動入賞口２７に入球されずに流下する遊技球を受け入れる第２貫通孔６３１ｂ及び第２貫通孔６３３ｂと、その第２貫通孔６３１ｂ及び第２貫通孔６３３ｂから流入された遊技球を遊技領域へ流出させる連結孔６３２ｂとを備え、透明な可撓性材料から形成されるので、第２貫通孔６３１ｂ及び第２貫通孔６３３ｂから流入された遊技球が連結孔６３２ｂ（第２の入球口）へ向けて流下（通過）する態様を遊技者に視認させることができる。その結果、遊技の興趣の向上を図ることができる。
【０４４１】
次に、図８８を参照して、貫通孔６３２ａの周囲の構成について詳しく説明する。図８８（ａ）は、入賞口ユニット６００の上面図であり、図８８（ｂ）は、図８８（ａ）のＬＸＸＸＶＩＩＩｂ−ＬＸＸＸＶＩＩＩｂ線における入賞口ユニット６００の断面図であり、図８８（ｃ）は、図８１（ａ）のＬＸＸＸＶＩＩＩｃ−ＬＸＸＸＶＩＩＩｃ線における入賞口ユニット６００の断面図である。
【０４４２】
図８８（ａ）から図８８（ｃ）に示すように、貫通孔６３２ａの左右方向両端には、挿通孔６３２ｃが開口され、内部に可変入賞装置６５０の可変板６５２が挿入される。この場合、可変板６５２の貫通孔６３２ａ側の端部の高さは、貫通孔６３２ａの重力方向の高さの中間位置にと略同一に設定される。これにより、可変板６５２の貫通孔６３２ａ側の端部と、案内板６１３ａとの高さ距離を確保することができる。その結果、可変板６５２の上部を転動する遊技球が貫通孔６３２ａに送球される際に、案内板６１３ａまでの落下距離を確保することができるので、球を当接面６１３ａ１に当接させた際の衝撃力を確保でき、球を貫通孔６３２ａにスムーズに送球することができる。
【０４４３】
ベース板６３０の中央凹部６３２から突設される６３２ａのベース側突起６３２ｄは、貫通孔６３２ａから外方に向かって突出距離が小さくされる断面略三角形に形成される。中央カバー部材６１３に突設されるカバー側突起６１３ｄも同様に、貫通孔６３２ａから外側に向かって突出距離が小さくされる断面三角形に形成される。また、ベース側突起６３２ｄとカバー側突起６１３ｄとは、前後方向に異なる位置に形成されており、ベース側突起６３２ｄが、カバー側突起６１３ｄよりも貫通孔６３２ａ側に形成される。
【０４４４】
また、貫通孔６３２ａの重力方向下方の縁部から遊技盤の正面側へ張り出す案内板６１３ａを備え、その案内板６１３ａは、貫通孔６３２ａへ向けて下降傾斜して形成されるので、可変板６５２が突出された状態の場合だけでなく、可変板６５２が没入された状態であっても、左始動入賞口２６及び右始動入賞口２７に入球されず流下する（経路部材６４０を通過した）遊技球を、貫通孔６３２ａへ入球しやすくできる。よって、貫通孔６３２ａへ入球することに対する期待をより強く遊技者に持たせることができる。その結果、遊技の興趣の向上を図ることができる。
【０４４５】
次いで、図８９を参照して、中始動入賞口２８を挿通される遊技球について説明する。図８９（ａ）から図８９（ｃ）は、入賞口ユニット６００の断面図である。なお、図８９（ａ）から図８９（ｃ）は、図８８（ｂ）と対応する。また、図８９（ａ）から図８９（ｃ）は、それぞれの遷移状態が図示される。
【０４４６】
図８９（ａ）から図８９（ｃ）に示すように、中始動入賞口２８を挿通される遊技球は、案内板６１３ａの上面に流下された際に、可変入賞装置６５０の可変板６５２の貫通孔７６３２ａ側の端部と当接して貫通孔６３２ａに安定して送球することができる。
【０４４７】
ここで、流下する遊技球を案内板６１３ａで受け止めると衝突した際の衝撃により、球が左右方向にぶれて貫通孔６３２ａに入らない可能性がある。
【０４４８】
これに対し、本実施形態では、可変入賞装置６５０の可変板の貫通孔６３２ａ側の端部の高さ位置を貫通孔６３２ａの重力方向の中間位置と略同一に設定されるので、案内板６１３ａと衝突した衝撃で、球が左右方向にぶれた際に、可変板の側面に当接させて、球を貫通孔６３２ａにスムーズに送球することができる。
【０４４９】
次いで、図９０（ａ）から図９０（ｃ）を参照して、可変入賞装置６５０の可変板６５２の上部を送球される遊技球について説明する。図９０（ａ）から図９０（ｃ）では、入賞口ユニット６００の断面図である。なお、図９０（ａ）から図９０（ｃ）では、図８８（ｃ）と対応する。
【０４５０】
図９０（ａ）から図９０（ｃ）に示すように、経路部材６４０に送球されて、可変入賞装置６５０の可変板６５２の上部に送球される遊技球は、ベース板６３０の連結孔６３２ｂから排出される勢いで前方に転動されつつ、可変板６５２の傾斜により貫通孔６３２ａ側に転動されることで、中央カバー部材６１３のカバー側突起６１３ｄと当接する。これにより、球は、カバー側突起６１３ｄの突起形状により、背面側に案内されつつ可変板６５２の上部を貫通孔６３２ａ側に転動される。
【０４５１】
次に、カバー側突起６１３ｄにより背面側に送球されつつ、貫通孔６３２ａ側に転動する遊技球は、ベース側突起６３２ｄと当接される。これにより、球は、ベース側突起の６３２ｄの突起形状により、正面側に案内されつつ可変板６５２の上部を貫通孔６３２ａ側に転動されて、案内板６１３ａの上部に流下する。
【０４５２】
ここで、可変入賞装置６５０の可変板６５２の上部を転動する遊技球が、カバー側突起６１３ｄ及びベース側突起６３２ｄに当接しない様態であると、球の転動速度が速くなり、案内板６１３ａの上部への遊技球の送球が不安定となり、貫通孔６３２ａへの遊技球の送球が不安定となる恐れがあった。
【０４５３】
これに対し、本実施形態では、可変入賞装置６５０の可変板６５２の上部を転動する遊技球を、カバー側突起６１３ｄ及びベース側突起６３２ｄに当接させることで、球の転動速度を遅くすることができ、貫通孔６３２ａへの遊技球の送球を安定させることができる。
【０４５４】
また、本実施形態では、ベース側突起６３２ｄが、カバー側突起６１３ｄよりも貫通孔６３２ａ側に形成されるので、案内板６１３ａへ落下する遊技球を案内板６１３ａの当接面６１３ａ１に確実に当接させることができる。その結果、貫通孔６３２ａへの遊技球の送球を安定させることができる。
【０４５５】
さらに、案内板６１３ａの上面には、貫通孔６３２ａに近い側に位置する送球面と、その送球面に連設されると共に転動面６１３ａ２よりも貫通孔６３２ａに遠い側に位置する当接面６１３ａ１とが形成され、当接面６１３ａ１の貫通孔６３２ａへ向かう方向への下降傾斜の角度が、送球面の前記貫通孔６３２ａへ向かう方向への下降傾斜の角度よりも大きくされるので、当接面６１３ａ１の下降傾斜を利用して、貫通孔６３２ａへ遊技球をスムーズに入球させることができる。特に、スライド部材が没入された状態であっても、下降傾斜が大きくされている当接面６１３ａ１の傾斜を利用して、第１の入球口に入球されず流下する（通路部材を通過した）遊技球を、貫通孔６３２ａへ入球しやすくできる。
【０４５６】
次に、図９１から図９６を参照して、第２実施形態における可変ユニット２３６０について説明する。なお、上述した第１実施形態と同一の部分には同一の符号を付して、その説明は省略する。
【０４５７】
第１実施形態では、回転体３７２Ｒに配設される磁石３７２Ｒｂが、凹部３７２Ｒｃ１よりも小さく形成される場合を説明したが、第２実施形態における回転体２３７２Ｒに配設される磁石２３７２Ｒｂよりも大きく形成される。なお、上記第１実施形態と同一の部分には、同一の符号を付してその説明は省略する。
【０４５８】
図９１（ａ）は、第２実施形態における可変ユニット２３６０の正面図であり、図９１（ｂ）は、可変ユニット２３６０の上面図であり、図９１（ｃ）は、図９１（ｂ）のＸＣＩｃ−ＸＣＩｃ線における可変ユニット２３６０の断面図である。図９２は、可変ユニット２３６０の分解正面斜視図である。図９３は、可変ユニット２３６０の分解背面斜視図である。なお、図９１（ａ）及び図９１（ｂ）では、磁石２３７２Ｒｂの外形が破線で図示される。
【０４５９】
図９１から図９３に示すように、第２実施形態における回転体２３７２Ｒは、本体部３８０側に配設される第１回転体２３７２Ｒａと、その第１回転体２３７２Ｒａと連結される第２回転体２３７２Ｒｃと、その第２回転体２３７２Ｒｃ及び第１回転体２３７２Ｒａの内部に配設される磁石２３７２Ｒｂとを備えて形成される。
【０４６０】
第１回転体２３７２Ｒａは、連結棒３７１に連結されて回転する円柱状の回転体であり、軸に開口する貫通孔３７２Ｒａ１と、本体側に向かって凹設される凹部２３７２Ｒａ２とを主に備えて形成される。
【０４６１】
凹部２３７２Ｒａ２は、後述する磁石２３７２Ｒｂの本体部３８０側を収容する凹みであり、磁石２３７２Ｒｂの湾曲形状に対応する形状に凹設される。これにより、磁石２３７２Ｒｂを第１回転体２３７２の内側に収容できる。
【０４６２】
ここで、回転体２３７２Ｒの内部に配設する磁石２３７２Ｒｂにより、第２転動部３８１ｃを転動する遊技球は回転体２３７２Ｒの外周面に吸着させずに、回転体２３７２Ｒと遊技球との吸着位置では遊技球を回転体２３７２Ｒの外周面に吸着させるためには、回転体２３７２Ｒの径方向外側に作用する磁石２３７２Ｒｂの磁力を変更する必要がある。即ち、遊技球の転動速度を遅くする部分では、回転体２３７２Ｒの径方向外側に作用する磁力を比較的小さくすると共に、遊技球を回転体２３７２Ｒの外周面に吸着する部分では、回転体２３７２Ｒの径方向外側に作用する磁力を比較的大きくする必要がある。
【０４６３】
そのため、遊技球の転動速度を遅くする部分と回転体２３７２Ｒの外周面に遊技球を吸着する部分とでは、回転体２３７２Ｒの内部に配設する磁石２３７２Ｒｂを磁力の異なる２つの磁石２３７２Ｒｂを配設する、又は、吸着部分のみ径方向外側に突出する磁石２３７２Ｒｂを配設する必要があった。そのために、磁石２３７２Ｒｂを製造するコストが増加するという問題点があった。
【０４６４】
これに対し、第２実施形態によれば、磁石２３７２Ｒｂは、回転体２３７２Ｒの軸に対して径方向外側に同一距離離間する位置に配設され、回転体２３７２Ｒと遊技球との吸着位置には、径方向に凹む溝部２３７２Ｒｃ２が形成されるので、溝部２３７２Ｒｃ２が径方向に凹んで形成される分、吸着位置の外側に作用する磁力を比較的強くすることができる。これにより、磁石２３７２Ｒｂの形状を複雑化することなく、遊技球の転動速度を遅くする部分と遊技球を回転体２３７２Ｒの外周面に吸着する部分とを形成することができるので、製造コストが増加することを抑制できる。
【０４６５】
第２回転体２３７２Ｒｃは、第１回転体２３７２の外径路略同一の外形の円柱状に形成されると共に、第１回転体２３７２Ｒａの同軸上に配設され第１回転体３７２Ｒａに取着される。
【０４６６】
また、第２回転体３７２Ｒｃは、本体部３８０側から外側に向かって凹設される凹部３７２Ｒｃ１と、その凹部３７２Ｒｃ１の径方向外側の外周面に凹設される溝部２３７２Ｒｃ２と、を備えて形成される。
【０４６７】
溝部２３７２Ｒｃ２は、第１回転体３７２Ｒａ側に向かって、径方向の凹設距離が小さく形成される（図９１（ｃ）参照）。これにより、第１回転体２３７２Ｒａの外周面に吸着する遊技球が、回転体２３７２Ｒの外周面を転動されて、溝部２３７２Ｒｃ２の内部に受け入れられる際に、回転体２３７２Ｒから溝部２３７２Ｒｃ２に落下することを抑制できる。その結果、溝部２３７２Ｒｃ２に遊技球を安定して送球できる。なお、回転体２３７２Ｒの遊技球の送球については、後述する。
【０４６８】
次に、図９４を参照して磁石２３７２Ｒｂについて説明する。図９４（ａ）は、磁石２３７２Ｒｂの正面図であり、図９４（ｂ）は、磁石２３７２Ｒｂの上面図であり、図９４（ｃ）は、磁石２３７２Ｒｂの側面図である。
【０４６９】
図９４（ａ）から図９４（ｃ）に示すように、磁石２３７２Ｒｂは、側面視において、第１回転体２３７２Ｒａの回転軸と同軸の湾曲形状に形成される。また、磁石２３７２Ｒｂは、正面視左側（図９４（ａ）左側）に向かって回転体２３７２Ｒの回転方向に湾曲して形成される。
【０４７０】
以上のように構成される回転体２３７２Ｒは、次のように組み上げられる。初めに、磁石２３７２Ｒｂの一側を第１回転体２３７２Ｒａの凹部２３７２Ｒａ２の内側に挿入する。次に、第１回転体２３７２Ｒａの凹部２３７２Ｒａ２から突出した磁石２３７２Ｒｂを、第２回転体２３７２Ｒｃの凹部２３７２Ｒｃ１に挿入しつつ第１回転体２３７２Ｒａと第２回転体２３７２Ｒｃとを締結することで、回転体２３７２Ｒが組み上げられる。
【０４７１】
次に、図９５及び図９６を参照して回転体２３７２Ｒと遊技球との吸着を参照して説明する。図９５（ａ）から図９５（ｃ）は、可変ユニット２３６０の上面図である。図９６（ａ）は、図９５（ａ）のＸＣＶＩａ−ＸＣＶＩａ線における可変ユニット２３６０の断面模式図であり、図９６（ｂ）は、図９５（ｂ）のＸＣＶＩｂ−ＸＣＶＩｂ線における可変ユニット２３６０の断面模式図であり、図９６（ｃ）は、図９５（ｃ）のＸＣＶＩｃ−ＸＣＶＩｃ線における可変ユニット２３６０の断面模式図である。なお、図９５（ａ）から図９５（ｃ）では、球の遷移状態が図示される。また、図９５（ａ）から図９５（ｃ）では、磁石２３７２Ｒｂが破線で図示される。
【０４７２】
図９５（ａ）及び図９６（ａ）に示すように、第１回転体２３７２Ｒａ側の磁石２３７２Ｒｂが、第６送球経路ＫＲ６と隣合う際に、第６送球経路ＫＲ６に遊技球が送球されると、球は、磁石２３７２Ｒｂの磁力により第１回転体２３７２Ｒａの外周面に吸着される。
【０４７３】
図９５（ｂ）及び図９６（ｂ）に示すように、第１回転体２３７２Ｒａの外周面に遊技球が吸着された状態で、回転体２３７２Ｒが軸周りに回転されると、球は、自重により下方に変位しつつ、第６送球経路ＫＲ６を送球される。
【０４７４】
即ち、遊技球の転動を遅くする部分では、回転体２３７２Ｒの回転変位により、磁石２３７２Ｒｂが第２転動部３８１ｃと隣り合う位置に位置する際に、第２転動部３８１ｃを遊技球が転動することで、遊技球の転動を遅くすることができる。また、磁石２３７２Ｒｂは、回転体２３７２Ｒの回転方向の軸周りに屈曲して形成されるので、回転体２３７２Ｒの回転に伴って、磁石２３７２Ｒｂと第２転動部３８１ｃとが隣り合う位置を回転体２３７２Ｒの吸着位置側に変位させることができる。従って、磁石２３７２Ｒｂにより第２転動部３８１ｃを転動する速度を遅くされる遊技球を、回転体２３７２Ｒの回転変位に伴って、吸着位置の径方向外側に転動させることができる。これにより、第２転動部３８１ｃを転動する速度を遅くされた遊技球を、回転体２３７２Ｒに吸着させることができる。
【０４７５】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている。しかしながら、上述した従来の遊技機では、転動面を遊技球が揺れ動きながら転動するため、回転部材が回転され、その回転部材の吸着位置に対面可能なタイミングで遊技球が転動面を転動してきた場合でも、遊技球が吸着位置に吸着されにくいという問題点があった。
【０４７６】
これに対し、第２実施形態によれば、磁石２３７２Ｒｂは、回転体２３７２Ｒの外周面に遊技球が吸着される吸着位置と、吸着位置よりも転動面の上流側となる上流位置とに少なくとも配設されるので、上流位置に配設された磁石２３７２Ｒｂの磁力により、遊技球を回転体２３７２Ｒの外周面側に引き寄せておくことができ、転動面を遊技球が揺れ動きながら転動することを抑制できる。その結果、回転体２３７２Ｒが回転され、その回転体２３７２Ｒの吸着位置に対面可能なタイミングで遊技球が転動面を転動してきた場合に、遊技球を吸着位置へ吸着させやすくできる。
【０４７７】
なお、吸着位置に配設される磁石２３７２Ｒｂと上流位置に配設される磁石２３７２Ｒｂとは別体に形成されるもの（即ち、２個の磁石２３７２Ｒｂ）であっても良く、或いは、一体に形成されるもの（即ち、１個の磁石２３７２Ｒｂ）であっても良い。
【０４７８】
ここで、吸着位置では遊技球を回転体２３７２Ｒの外周面に吸着させる一方、上流位置では遊技球を回転体２３７２Ｒの外周面に吸着させないことが必要である。これを磁石２３７２Ｒｂの磁力の差により達成することは（即ち、吸着位置には磁力が強い磁石２３７２Ｒｂを、上流位置には磁力が弱い磁石２３７２Ｒｂを、それぞれ配設する）、磁力が異なる２種類の磁石２３７２Ｒｂを準備する必要があり、製品コストの増加を招く。
【０４７９】
これに対し、第２実施形態によれば、回転体２３７２Ｒは、その外周面に凹設され吸着位置とされる溝部２３７２Ｒｃ２を備えるので、１の磁石２３７２Ｒｂを回転体２３７２Ｒに埋設することで、溝部２３７２Ｒｃ２を利用して、吸着位置における磁石２３７２Ｒｂから遊技球までの距離（磁石２３７２Ｒｂから溝部２３７２Ｒｃ２の底面までの距離）を、上流位置における磁石２３７２Ｒｂから遊技球までの距離）磁石２３７２Ｒｂから回転体２３７２Ｒの外周面までの距離）よりも小さい寸法に設定できる。即ち、吸着位置では遊技球を回転体２３７２Ｒの外周面に吸着させる一方、上流位置では遊技球を回転体２３７２Ｒの外周面に吸着させないことが可能となる。よって、２種類の磁石２３７２Ｒｂを必要とせず、また、磁石２３７２Ｒｂの形状を複雑化する必要もないので、その分、製品コストの削減を図ることができる。
【０４８０】
また、吸着位置に遊技球が吸着されると、かかる遊技球を溝部２３７２Ｒｃ２によって保持することができる。よって、回転体２３７２Ｒの回転に伴って遊技球が送球される際に、回転体２３７２Ｒの回転方向に遊技球がぐらつくことを抑制でき、その結果、遊技球の吸着が解除されることを抑制できる。
【０４８１】
ここで、回転体２３７２Ｒの軸に沿って遊技球を送球する送球経路ＫＲ５が形成されると、遊技球の転動速度が速い、又は、遊技球が転動面をぐらつくために、遊技球を回転体２３７２Ｒに吸着できないという問題点があった。
【０４８２】
これに対し、本実施形態では、回転体２３７２Ｒの径方向外側には、遊技球を転動させて回転体２３７２Ｒの外周面に送球する第５送球経路ＫＲ５が形成され、その第５送球経路ＫＲ５は、回転体２３７２Ｒの軸方向に延設して形成され、磁石２３７２Ｒｂは、回転体２３７２Ｒと遊技球との吸着位置よりも第５送球経路ＫＲ５の上流側に延設されるので、第５送球経路ＫＲ５を転動する遊技球を回転体２３７２Ｒに配設する磁石２３７２Ｒｂの磁力により、遊技球の転動を遅くすると共に、遊技球の第２転動部３８１ｃのぐらつきを抑制して、遊技球を回転体２３７２Ｒに吸着させることができる。
【０４８３】
即ち、回転体２３７２Ｒに配設される磁石２３７２Ｒｂは、回転体２３７２Ｒと遊技球との吸着位置よりも、第２転動部３８１ｃの上流側に延設されるので、第２転動部３８１ｃに磁石の磁力を作用させることができる。これにより、第１送球面を転動する遊技球を磁石２３７２Ｒｂの作用により、回転体２３７２Ｒの外周面に引張ることで、その送球速度を遅くできると共に、第２転動部３８１ｃをぐらついて転動する遊技球のぐらつきを解消することができる。その結果、回転体２３７２Ｒと遊技球との吸着面に遊技球を吸着させることができる。
【０４８４】
また、第２転動部３８１ｃは、遊技球の転動方向に対する横幅が下流側に向かうに従って回転体２３７２Ｒの外周面と対向して配置される区画壁２３８１ｇが、回転体の外周面に近接される。即ち、第２転動部３８１ｃが下流側に向かって狭くされるので、第２転動部３８１ｃを転動する遊技球が、送球方向に対して左右に揺れ動く場合には、遊技球の転動に伴って揺れを抑制することができる。
【０４８５】
特に、第２実施形態では、回転体２３７２Ｒと遊技球との吸着位置よりも第２転動部３８１ｃの上流側には、回転体２３７２Ｒに配設する磁石２３７２Ｒｂの磁力が作用するので、磁石２３７２Ｒｂの磁力と共に第１送球面を転動する遊技球の揺れ動きを抑制することができるので、比較的短い転動距離で遊技球の揺れを抑制することができる。
【０４８６】
言い変えると、回転体２３７２Ｒの外周面と対向しつつ第２転動部３８１ｃから立設され遊技球の転動領域を区画する区画壁２３８１ｇを備え、回転体２３７２Ｒの外周面と区画壁２３８１ｇとの間の対向間隔は、第２転動部３８１ｃの下流側へ向かうに従って小さい寸法に設定されるので、上流位置における磁石による作用（磁力による引き寄せ）だけでなく、区画壁２３８１ｇによる案内によっても、第２転動部３８１ｃを遊技球が揺れ動きながら転動することを抑制できる。その結果、回転体２３７２Ｒが回転され、その回転体２３７２Ｒの吸着位置に対面可能なタイミングで遊技球が第２転動部３８１ｃを転動してきた場合に、遊技球を吸着位置へ吸着させやすくできる。
【０４８７】
さらに、第２転動部３８１ｃの上流側における溝部２３７２Ｒｃ２の端部は、回転体２３７２Ｒの外周面に連結されるので、遊技球の転動を遅くする部分の磁力により、回転体２３７２Ｒの軸方向に引き込まれる遊技球が、回転体２３７２Ｒの溝部２３７２Ｒｃ２の内側に転動する際に、バウンドすることを抑制できる。その結果、遊技球を溝部２３７２Ｒｃ２の内側にスムーズに吸着させることができる。
【０４８８】
また、第３転動部３８１ｄの回転軸方向に沿った長さ寸法が、回転体２８７２Ｒに配設される磁石の回転軸方向に沿った長さ寸法よりも大きな寸法に設定されるので、回転体２８７２Ｒの吸着位置ではない箇所に遊技球が吸着された状態で（即ち、上流位置における磁石に吸着された状態で）、回転体２８７２Ｒの回転に伴って遊技球が送球される場合でも、かかる遊技球を第３転動部３８１ｄに受け取らせることができる。
【０４８９】
図９５（ｃ）及び図９６（ｃ）に示すように、第１回転体２３７２Ｒａの外側に吸着された遊技球が、第５送球経路ＫＲ５を流下して、第２回転体２３７２Ｒｃの溝部２３７２Ｒｃ２に吸着されると、第１実施形態と同様に、溝部２３７２Ｒｃ２の内部に遊技球を吸着させつつ、回転体２３７２Ｒを回転させることで遊技球を第７送球経路ＫＲ７に遊技球を送球することができる。
【０４９０】
ここで、回転体２３７２Ｒの内側に配設される磁石２３７２Ｒｂが、回転体２３７２Ｒと遊技球との吸着位置よりも回転体２３７２Ｒの軸方向に延設され、第３転動部３８１ｄを転動する遊技球の送球方向が回転体２３７２Ｒの軸方向に沿って形成されるものでは、第３転動部３８１ｄを転動する遊技球が、回転体２３７２Ｒに配設される磁石２３７２Ｒｂの磁力の影響を受ける恐れがある。
【０４９１】
これに対し、第２実施形態によれば、回転体２３７２Ｒの径方向外側には、回転体２３７２Ｒを挟んで第２転動部３８１ｃと反対側に回転体２３７２Ｒと吸着する遊技球を離脱させると共に、遊技球を転動させて送球する第３転動部３８１ｄが形成され、その第３転動部３８１ｄは、第２転動部３８１ｃから第３転動部３８１ｄの方向に向かって下降傾斜して形成されるので、第３転動部３８１ｄにより、回転体２３７２Ｒとの吸着を解除された遊技球が、再び回転体２３７２Ｒに吸着されることを抑制できる。
【０４９２】
即ち、第３転動部３８１ｄにおける遊技球の送球方向が、回転体２３７２Ｒから径方向外側に離間する方向に形成される。これにより、第３転動部３８１ｄに送球された遊技球が、回転体２３７２Ｒの外周に再び吸着される又は、磁石２３７２Ｒｂの磁力が作用され、第３転動部３８１ｄを転動する速度が遅くされることを抑制できる。
【０４９３】
また、第３転動部３８１ｄは、回転体２３７２Ｒの軸方向の寸法よりも大きく形成されると共に、回転体２３７２Ｒと対向する位置に配設されるので、回転体２３７２Ｒの吸着位置以外の外周面に遊技球が吸着して、第３転動部３８１ｄに送球された場合に、第３転動部３８１ｄにより回転体２３７２Ｒと遊技球との吸着を解除して、遊技球を第３転動部３８１ｄに送球することができる。
【０４９４】
また、磁石２３７２Ｒｂは、上流位置に配設される部分の少なくとも一部が、吸着位置に配設される部分よりも回転体２３７２Ｒの回転方向前方側に配設されるので、吸着位置へ向けて第２転動部３８１ｃを転動する遊技球に対して、上流位置における磁石２３７２Ｒｂの磁力を遊技球に作用させやすくできる。即ち、遊技球を回転体２３７２Ｒの外周面側に引き寄せておき、第２転動部３８１ｃを遊技球が揺れ動きながら転動することを抑制できる。その結果、回転体２３７２Ｒが回転され、その回転体２３７２Ｒの吸着位置に対面可能なタイミングで遊技球が第２転動部３８１ｃを転動してきた場合に、遊技球を吸着位置へ吸着させやすくできる。
【０４９５】
さらに、溝部２３７２Ｒｃ２の底面は、上流位置側へ向けて上昇傾斜されると共に回転体２３７２Ｒの外周面に滑らかに連なり、少なくとも上流位置側において、溝部２３７２Ｒｃ２の底面に遊技球が当接可能に形成されるので、上流位置における磁石２３７２Ｒｂにより回転体２３７２Ｒの外周面側に引き寄せられた遊技球が、吸着位置における磁石２３７２Ｒｂにより溝部２３７２Ｒｃ２に嵌り込む際には、かかる遊技球の溝部２３７２Ｒｃ２への嵌り込みをスムーズに行わせることができる。即ち、遊技球が跳ねる（バウンドされる）ことを抑制して、遊技球を吸着位置（溝部２３７２Ｒｃ２）に吸着させやすくできる。
【０４９６】
次いで、図９７及び図９８を参照して、第３実施形態について説明する。なお、上述した各実施形態と同一の部分には同一の符号を付して、その説明は省略する。
【０４９７】
上記第１実施形態では回転体３７２Ｒの溝部３７２Ｒｃ２の径方向内側の面が径方向と直交する平面に形成される場合を説明したが、第３実施形態の溝部３３７２Ｒａ２は、径方向内側の面が径方向と直交する方向に対して傾斜して形成される場合を説明する。
【０４９８】
図９７（ａ）は、第３実施形態における回転体３３７２Ｒの側面図であり、図９７（ｂ）は、回転体３３７２の上面図であり、図９７（ｃ）は、図９７（ｂ）のＸＣＶＩＩｃ−ＸＣＶＩＩｃ線における断面図であり、図９７（ｄ）は、図９７（ｂ）のＸＣＶＩＩｄ−ＸＣＶＩＩｄ線における断面図である。図９８（ａ）及び図９８（ｂ）は、可変ユニット３６０の断面図である。なお、図９８（ａ）の断面は、図６９（ａ）の断面と対応し、図９８（ｂ）の断面は図６９（ｂ）の断面と対応する。
【０４９９】
図９７（ａ）から（ｄ）に示すように、第３実施形態における回転体３３７２Ｒは、本体部３８０側に配設される第１回転体３７２Ｒａと、その第１回転体３７２Ｒａと連結される第２回転体３３７２Ｒｃと、その第２回転体３３７２Ｒｃの内部に配設され第２回転体３３７２Ｒｃの外側に磁力を作用させる磁石３７２Ｒｂとを主に備えて形成される。
【０５００】
第２回転体３３７２Ｒｃは、第１回転体３７２Ｒａの外径と略同一の外径の円柱状に形成されると共に、第１回転体３７２Ｒａの同軸上に配設され第１回転体３７２Ｒａに取着される。
【０５０１】
第２回転体３７２Ｒｃは、外周面に遊技球を吸着して送球する送球部材であり、内部に磁石３７２Ｒｂが挿入される凹部３３７２Ｒｃ１と、その凹部３３７２Ｒｃ１の径方向外側の外周面に凹設される溝部３３７２Ｒｃ２とを主に備えて形成される。
【０５０２】
凹部３３７２Ｒｃ１は、第１回転体３７２Ｒａが取着される面に凹設されると共に、磁石３７２Ｒｂの外径と略同一の深さで凹設される。また、凹部３３７２Ｒｃ１は、側面視略矩形に凹設されると共に、２の対向する内面のうちの一方の対向する面が、後述する溝部３３７２Ｒｃ２の凹設先端面と平行に形成される。
【０５０３】
溝部３３７２Ｒｃ２は、第２回転体３３７２Ｒｃの径方向視略矩形に凹設されると共に、第２回転体３３７２Ｒｃを軸方向視した断面が略三角形に形成される。即ち、溝部３３７２Ｒｃ２は、第２回転体３３７２Ｒｃの回転方向側の凹設先端面が第２回転体３３７２Ｒｃの外周面に連結して形成される。
【０５０４】
上述したように、第２回転体３３７２Ｒｃの凹部３３７２Ｒｃ１は、溝部３３７２Ｒｃ２の凹設先端面と平行の内面を有して形成される。これにより、溝部３３７２Ｒｃ２の内部に配設される磁石３７２Ｒｂは、回転体３３７２Ｒの回転方向側の端部が径方向外側に部分的に位置する状態で配設される（図９７（ｃ）参照）。
【０５０５】
次に、図９８を参照して回転体３３７２Ｒの回転変位について説明する。図９８（ａ）及び（ｂ）に示すように、回転体３３７２Ｒの溝部３３７２Ｒｃ２が、第６送球経路ＫＲ６と隣合う位置に位置する際に、第６送球経路ＫＲ６を遊技球が送球されると、第１実施系と同様に回転体の内部に配設する磁石３７２Ｒｂにより、遊技球は、溝部３３７２Ｒｃ２に吸着される（図９８（ａ）参照）。
【０５０６】
図９８（ａ）に示す、遊技球を回転体３３７２Ｒに吸着した状態で回転体３３７２Ｒを連結棒３７１の軸を中心に回転変位すると、図９８（ｂ）に示すように、遊技球が回転体３３７２Ｒの溝部３３７２Ｒｃ２に吸着された状態で送球される。
【０５０７】
第３実施形態では、上述したように、溝部３３７２Ｒｃ２の第２回転体３３７２Ｒｃの回転方向側の凹設先端面が第２回転体３３７２Ｒｃの外周面に連結して形成されるので、遊技球を回転体３３７２Ｒの回転方向に外れやすくできる。
【０５０８】
即ち、溝部３３７２Ｒｃ２の回転方向側に階段状の段差が形成されないことで、溝部３３７２Ｒｃ２に吸着する遊技球を回転方向側に変位しやすくできる。これにより、回転体の溝部３３７２Ｒｃ２に吸着した遊技球が、遊技機本体の揺れなどにより、吸着が解除される際に、遊技球を後の送球経路の第７送球経路側に落下しやすくできる。その結果、回転体３３７２Ｒと遊技球との吸着が解除された際に、遊技球が第６送球経路に戻ることを抑制して、回転体３３７２Ｒの遊技球の送球を安定させることができる。
【０５０９】
また、この場合、回転体３３７２Ｒの各回転体３３７２Ｒａ，３３７２Ｒｃは、円柱形状に形成されるので、その外周面に沿って遊技球を第７送球経路ＫＲ７に送球することができる。これにより、回転体３３７２Ｒと遊技球との吸着が解除されて、遊技球を第７送球経路ＫＲ７に落下させる際に遊技球が自由落下する距離を小さくできるので、遊技球が第７送球経路ＫＲ７の第３転動部３８１ｄに落下する際の衝撃を小さくすることができる。その結果、遊技球が第３転動部３８１ｄとの衝突によって、跳ね上がることを抑制することができ、遊技球の送球を安定させることができる。
【０５１０】
さらに、第３実施形態では、磁石３７２Ｒｂの回転体３３７２Ｒの回転方向側の端部が径方向外側に部分的に位置する状態で配設されるので、その分、回転体３３７２Ｒの外側に作用する磁石の磁力を強くすることができる。その結果、回転体３３７２Ｒと遊技球との吸着が解除されることを抑制することができ、遊技球の送球をさらに安定させることができる。
【０５１１】
次いで、図９９から図１０１を参照して、第４実施形態における回転体４３７２Ｒについて説明する。なお、上述した各実施形態と同一の部分には同一の符号を付して、その説明は省略する。
【０５１２】
上記第１実施形態では、回転体３７２Ｒの溝部３７２Ｒｃ２に吸着した先行の遊技球に後から送球された後行の遊技球が吸着した際に、先行の遊技球が溝部３７２Ｒｃ２から脱落することを防止できる場合を説明したが、第４実施形態では回転体４３７２Ｒの溝部３７２Ｒｃ２に吸着した先行の遊技球に後から送球された後行の遊技球が吸着した際に、先行の遊技球および後行の遊技球が溝部３７２Ｒｃ２から脱落する場合を説明する。
【０５１３】
初めに、図９９を参照して、第４実施形態における回転体４３７２Ｒについて説明をする。図９９（ａ）は、第４実施形態における回転体４３７２Ｒの側面図であり、図９９（ｂ）は、回転体４３７２Ｒの上面図であり、図９９（ｃ）は、図９９（ｂ）のＸＣＩＸｃ−ＸＣＩＸｃ線における回転体４３７２Ｒの断面図であり、図９９（ｄ）は、図９９（ｂ）のＸＣＩＸｄ−ＸＣＩＸｄ線における回転体４３７２Ｒの断面図である。
【０５１４】
回転体４３７２Ｒは、本体部３８０側に配設される第１回転体３７２Ｒａと、その第１回転体３７２Ｒａと連結される第２回転体４３７２Ｒｃと、その第２回転体４３７２Ｒｃの内部に配設されると共に磁力を有する磁石３７２Ｒｂとを備えて形成される。
【０５１５】
第２回転体４３７２Ｒｃは、第１回転体３７２Ｒａの外形と略同一の外形の円柱状に形成されると共に、第１回転体３７２Ｒａの同軸上に配設され第１回転体３７２Ｒａに取着される。
【０５１６】
また、第２回転体４３７２Ｒｃは、外周面に遊技球を吸着して送球する部分であり、内部に後述する磁石３７２Ｒｂが挿入される凹部３７２Ｒｃ１と、その凹部３７２Ｒｃ１の径方向外側の外周面に凹設される溝部３７２Ｒｃ２と、その溝部３７２Ｒｃ２と所定の間隔を隔てた外周面に凹設される凹設部４３７２Ｒｃ５とを主に備えて形成される。
【０５１７】
凹設部４３７２Ｒｃ５は、回転体４３７２Ｒの径方外側に中心が位置する湾曲面（球面）として形成されると共に、湾曲面を形成する球体の半径は、遊技球の半径よりも大きい寸法に設定される。
【０５１８】
なお、第４実施形態において、溝部３７２Ｒｃ２と凹設部４３７２Ｒｃ５との間の所定の間隔は、回転体４３７２Ｒの回転方向と反対方向に、先行する遊技に後行する遊技球が吸着した際に、後行する遊技球が回転体４３７２Ｒの径方向外側端面（凹設部４３７２Ｒｃ５を除く外周面）と当接しない距離に設定される。
【０５１９】
次いで、図１００から図１０２を参照して、回転体４３７２Ｒに２球の遊技球が吸着した場合の説明をする。図１００から図１０２は、可変ユニット３６０及び背面ベース３９０の断面図である。
【０５２０】
なお、図１００から図１０２は、図６９（ａ）の可変ユニット３６０及び背面ベース３９０の断面に対応する。また、図１００から図１０２では、回転体４３７２Ｒが回転された際の遷移状態が順に図示される。
【０５２１】
図１００に示すように、第６送球経路ＫＲ６に遊技球が２球連続して送球される（後行する遊技球が先行する遊技球に連なって送球される）と、先行する遊技球は、溝部３７２Ｒｃ２の内周面に配設された磁石３７２Ｒｂの磁力により吸着され、溝部３７２Ｒｃ２の内面に吸着される。この場合、磁石３７２Ｒｂの磁力により、先行する遊技球が磁性を帯びるため、後行する遊技球が先行する遊技球に連なって送球されると、後行する遊技球が先行する遊技球に吸着される。
【０５２２】
また、図１００に示すように、後行する遊技球が、先行する遊技球に吸着して、第２転動部３８１ｃから持ち上げられる前には、後行する遊技球は、第２転動部３８１ｃに支持されているため凹設部４３７２Ｒｃ５の内側に案内されず、回転体４３７２Ｒの外周面よりも外側に位置される。
【０５２３】
図１０１に示すように、図１００の位置から回転体４３７２Ｒが回転されると、後行する遊技球が第２転動部３８１ｃから持ち上げられる。この場合、後行する遊技球は、自重により、先行する遊技球の外周面との吸着位置を変位させる。
【０５２４】
従って、後行する遊技球は、第２転動部３８１ｃから持ち上げられると、凹設部４３７２Ｒｃ５の内側に変位するので、後行する遊技球の重さをより先行する遊技球に作用させやすくできる。その結果、図１０２に示すように先行する遊技球と溝部３７２Ｒｃ２の内側との吸着を解除させやすくできる。
【０５２５】
また、上述したように後行する遊技球は、第２転動部３８１ｃから持ち上げられると、凹設部４３７２Ｒｃ５の内側に変位する。この場合、後行する遊技球の荷重をその持ち上げられた際の変位に伴って、先行する遊技球に作用させることができる。その結果、図１０２に示すように、先行する遊技球と溝部３７２Ｒｃ２内側との吸着を解除させやすくできる。
【０５２６】
先行する遊技球と溝部３７２Ｒｃ２の内側との吸着が解除された状態で、図１０１の位置から更に回転体４３７０が回転されると、先行する遊技球および後行する遊技球とが、第２転動部３８１ｃに落下される。なお、回転体５３７２Ｒから脱落した先行および後行する遊技球は、第２転動部３８１ｃの上面に落下し、第２転動部３８１ｃを転動する。従って、回転体５３７２Ｒから脱落した先行および後行する遊技球は、第２転動部３８１ｃを転動して、内側カバー３７３Ｒに形成される回収孔３７３Ｒａの内部に案内されて回収される。
【０５２７】
以上のように、第４実施形態では回転体４３７２Ｒの外周面に２球が吸着されると、その２球とも回転体４３７２Ｒの外周面から脱落させることができる。即ち、回転体４３７２Ｒの外周面に吸着されて第７送球経路ＫＲ７に遊技球が送球されると遊技者に有利となるところ、２球が吸着して送球された場合には遊技者にとって不利な状況とすることができるので、１球のみ吸着されるか２球目が吸着されるかで結果に相違を生じさせ、第６送球経路ＫＲ６を転動する遊技球を遊技者により注目をさせることができる。
【０５２８】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０５２９】
これに対し、第４実施形態によれば、回転体４３７２Ｒの磁石３７２Ｒｂに先行する遊技球が吸着されると共に先行する遊技球に後行する遊技球が磁着された場合に、回転体４３７２Ｒの磁石３７２Ｒｂと先行する遊技球との吸着を解除しやすくする解除手段を備えるので、これら先行する遊技球および後行する遊技球の両者が回転体４３７２Ｒの回転方向へ送球されることを抑制できる。
【０５３０】
即ち、先行する遊技球のみが回転体４３７２Ｒへ向けて転動され、回転体４３７２Ｒの外周面（磁石３７２Ｒｂ）に吸着された場合には、かかる先行する遊技球を回転体４３７２Ｒの回転方向へ送球できる一方、先行する遊技球に加え、後行する遊技球も回転体４３７２Ｒへ向けて転動され、先行する遊技球が回転体４３７２Ｒの外周面（磁石３７２Ｒｂ）に吸着されると共に先行する遊技球に後行する遊技球が吸着された場合には、これら先行する遊技球および後行する遊技球の両者を回転体４３７２Ｒの回転方向へ送球できないようにできるので、先行する遊技球が第２転動部３８１ｃ（第６送球経路ＫＲ６）を回転体４３７２Ｒへ向けて転動する際に、その先行する遊技球の後方に他の遊技球（即ち、後行する遊技球）が転動してきていないかを遊技者に懸念させる（ドキドキさせる）ことができる。その結果、遊技の興趣の向上を図ることができる。
【０５３１】
ここで、第４実施形態では、回転体４３７２Ｒの外周面に吸着されて回転体４３７２Ｒの回転方向へ送球された遊技球が入球するＶ入賞部材３８２と、回転体４３７２Ｒの外周面に吸着されなかった遊技球が入球する回収孔３７３Ｒａとを備え、少なくともＶ入賞部材３８２に遊技球が入球すると遊技者に利益が付与される、又は、Ｖ入賞部材３８２への入球により遊技者に付与される利益が回収孔３７３Ｒａへの入球により遊技者に付与される利益よりも高い利益とされるので、この点からも遊技の興趣の向上を図ることができる。
【０５３２】
即ち、遊技者は、Ｖ入賞部材３８２への入球により利益を得る、又は、回収孔３７３Ｒａへの入球の場合よりも高い利益を得ることを期待して、遊技球が回転体４３７２Ｒの外周面に吸着して回転体４３７２Ｒの回転方向へ送球されることを望み、また、利益が付与される機会をより多く得ることを期待して、より多くの遊技球が回転体４３７２Ｒの外周面に吸着して回転体４３７２Ｒの回転方向へ送球されることを望む。これに対し、先行する遊技球のみが回転体４３７２Ｒの外周面に吸着された場合には、かかる先行する遊技球を回転体４３７２Ｒの回転方向（Ｖ入賞部材３８２）へ送球できる一方で、回転体４３７２Ｒの外周面に吸着された先行する遊技球に後行する遊技球が吸着された場合には、後行する遊技球だけでなく、先行する遊技球も、回転体４３７２Ｒの回転方向へ送球されず、両者からＶ入賞部材３８２への入球の機会が失われることとなる。そのため、先行する遊技球が回転体４３７２Ｒへ向けて転動する際に、その先行する遊技球の後方に他の遊技球（即ち、後行する遊技球）が転動してきていないかを遊技者に懸念させやすく（ドキドキさせやすく）でき、その結果、遊技の興趣の向上を図ることができる。
【０５３３】
なお、遊技者に付与される利益が高い形態としては、入球に伴い払い出される賞球が多い形態、開閉可能に形成される羽部３１２の開閉により第３の入球口（凹部３１１ａと上部正面カバー３１３との対向間）への入球を許容・規制する羽部３１２の開放時間が長くされる態様、羽部３１２の開放回数が多くされる態様、羽部３１２の開放範囲が大きくされる態様などが例示される。
【０５３４】
また、解除手段は、回転体４３７２Ｒの外周面に凹設され、先行する遊技球に吸着された後行する遊技球を受け入れる凹設部４３７２Ｒｃ５として形成されるので、先行する遊技球の重力方向下方側に後行する遊技球を近づけることができ、その分、先行する遊技球に作用する後行する遊技球の重さのうちの重力方向成分を増加させやすくできる。よって、先行する遊技球と磁石３７２Ｒｂとの吸着を解除しやすくできる。
【０５３５】
即ち、先行する遊技球に後行する遊技球が吸着されている場合には、かかる後行する遊技球の重さを利用して、磁石３７２Ｒｂと先行する遊技球との吸着を解除する一方、先行する遊技球に後行する遊技球が吸着されていない場合には、磁石３７２Ｒｂと先行する遊技球との吸着が解除されないようにすることができる。また、このような切り替えを、後行する遊技球の重さを利用する手段、即ち、回転体４３７２Ｒの外周面に凹設された凹設部４３７２Ｒｃ５のみで達成できるので、切り替えのための変位部材や駆動源を設けることを不要とでき、その分、製品コストの削減を図ることができる。
【０５３６】
次いで、図１０３から図１０６を参照して、第５実施形態における回転体５３７２Ｒについて説明する。なお、上述した各実施形態と同一の部分には同一の符号を付して、その説明は省略する。
【０５３７】
上記第１実施形態では、回転体３７２Ｒの溝部３７２Ｒｃ２に吸着した先行の遊技球に後から送球された後行の遊技球が吸着した際に、先行の遊技球が溝部３７２Ｒｃ２から脱落することを防止できる場合を説明したが、第５実施形態では回転体５３７２Ｒの溝部５３７２Ｒｃ２に吸着した先行の遊技球に後から送球された後行の遊技球が吸着した際に、先行の遊技球および後行の遊技球が溝部５３７２Ｒｃ２から脱落する場合を説明する。
【０５３８】
なお、第５実施形態では、第１実施形態と同様に、右側回転送球部３７０Ｒと左側回転送球部３７０Ｌとは、右側回転送球部３７０Ｒに駆動手段およびその駆動を伝達する伝達手段が配置されるのみであり、その他の形状は、可変ユニット３６０の左右方向中央を中心に線対称に形成されるので、左側回転送球部３７０Ｌの回転体５３７２Ｌについての詳しい説明を省略する。
【０５３９】
図１０３は、第５実施形態における回転体５３７２Ｒの分解斜視正面図であり、図１０４（ａ）は、回転体５３７２Ｒの側面図であり、図１０４（ｂ）は、回転体５３７２Ｒの上面図であり、図１０４（ｃ）は、図１０４（ｂ）のＣＩＶｃ−ＣＩＶｃ線における回転体５３７２Ｒの断面図であり、図１０４（ｄ）は、図１０４（ｂ）のＣＩＶｄ−ＣＩＶｄ線における回転体５３７２Ｒの断面図である。
【０５４０】
図１０３及び図１０４に示すように、第５実施形態における回転体５３７２Ｒは、本体部３８０側に配設される第１回転体３７２Ｒａと、その第１回転体３７２Ｒａと連結される第２回転体５３７２Ｒｃと、その第２回転体５３７２Ｒｃの内部に配設される磁力を有する磁石３７２Ｒｂと、第２回転体５３７２Ｒｃの外縁に沿って配設される解除部材５３７２Ｒｄとを主に備えて形成される。
【０５４１】
第２回転体５３７２Ｒｃは、第１回転体３７２Ｒａの外径と略同一の外径の円柱状に形成されると共に、その軸が第１回転体３７２Ｒａの同軸上に配設され、第１回転体３７２Ｒａに取着される。
【０５４２】
また、第２回転体５３７２Ｒｃは、外周面に径方向内側に向かって凹設される溝部５３７２Ｒｃ２と、その溝部５３７２Ｒｃ２の径方向内側に形成されると共に、回転体５３７２Ｒｃの側面に凹設される凹部３７２Ｒｃ１と、その凹部３７２Ｒｃ１及び溝部５３７２Ｒｃ２の対向間および溝部５３７２Ｒｃ２と隣合う部分に切欠き形成される凹設部５３７２Ｒｃ３とを備えて形成される。
【０５４３】
溝部５３７２Ｒｃ２は、回転体３７２Ｒの径方向視において略矩形の外形に形成され、その外形が磁石３７２Ｒｂの外形よりも大きく設定される。また、溝部５３７２Ｒｃ２は、回転体３７２Ｒの径方向内側に位置する面が平坦面に形成されると共に、上述したように部分的に凹設部５３７２Ｒｃ３により切欠き形成される。
【０５４４】
凹設部５３７２Ｒｃ３は、後述する解除部材５３７２Ｒｄを回転体５３７２Ｒに切欠き形成した内側に収容する空間であり、その凹設形状が、解除部材５３７２Ｒｄの外形と略同一に形成される。
【０５４５】
解除部材５３７２Ｒｄは、外形が回転体５３７２Ｒの径方向視略Ｃ字状に形成される。解除部材５３７２Ｒｄは、溝部５３７２Ｒｃ２の内側に配置される解除部５３７２Ｒｄ１と、回転体５３７２Ｒの外周面に沿って配置される押圧部５３７２Ｒｄ２と、解除部５３７２Ｒｄ１及び押圧部５３７２Ｒｄ２との間に位置すると共に回転体５３７２Ｒの軸方向に貫通形成される貫通孔５３７２Ｒｄ３とを主に備えて形成される。
【０５４６】
解除部５３７２Ｒｄ１は、溝部５３７２Ｒｃ２の内側に切欠き形成された凹設部５３７２Ｒｃ３の内側に配置されると共に、回転体５３７２Ｒの外周側における面が溝部５３７２Ｒｃ２の平坦面と面一に配置される。これにより、溝部５３７２Ｒｃ２の内側に送球した遊技球を凹部３７２Ｒｃ１の内側に配置される磁石３７２Ｒｂの磁力で吸着することができる。
【０５４７】
押圧部５３７２Ｒｄ２は、回転体５３７２Ｒの外周面よりも径方向外側に突出して形成されると共に、その突出先端面が外側に凸となる湾曲形状に形成される。また、押圧部５３７２の突出先端面における曲面の半径は、回転体５３７２Ｒの半径よりも小さい寸法に設定される。よって、押圧部５３７２Ｒｄ２を回転体５３７２Ｒの径方向外側に突出させやすくできる。
【０５４８】
また、解除部材５３７２Ｒｄが変位されていない（押圧部５３７２Ｒｄ２が回転体５３７２Ｒに対して径方向内側に変位されていない）状態において、押圧部５３７２Ｒｄ２は、回転体５３２７Ｒの周方向における両端部が、回転体５３７２Ｒの外周面と連なる位置に設定される。即ち、回転体５３７２Ｒの凹設部５３７２Ｒｃ３と押圧部５３７２Ｒｄ２との間に径方向における段差をなくすことができる。その結果、遊技球が第２転動部３８１ｃを転動した際に、回転体５３７２Ｒの凹設部５３７２Ｒｃ３と押圧部５３７２Ｒｄ２との段差に遊技球が乗って回転体５３７２Ｒの回転により第３転動部３８１ｄに送球されることを抑制できる。
【０５４９】
貫通孔５３７２Ｒｄ３は、軸棒ＪＢ１が内側に挿入される貫通孔である。軸棒ＪＢは、解除部材５３７２Ｒｄを回転可能に保持する軸であり、解除部材５３７２Ｒｄの貫通孔５３７２Ｒｄ３に挿入されると共に、第２回転体５３７２Ｒｃの側面に凹設された軸孔５３７２Ｒｃ４の内側に一端が挿入されて他側が第１回転体３７２Ｒａの側面に挟持される。これにより、軸棒ＪＢ１は、組み上げられた回転体５３７２Ｒから脱落することを防止できると共に、解除部材５３７２Ｒｄを回転可能に軸支できる。
【０５５０】
次いで、図１０５及び図１０６を参照して、回転体５３７２Ｒの解除部材５３７２Ｒｄの動作について説明する。図１０５及び図１０６は、可変ユニット３６０及び背面ベース３９０の断面図である。
【０５５１】
なお、図１０５及び図１０６は、図６９の可変ユニット３６０及び背面ベース３９０の断面に対応する。また、図１０６では、図１０５に示す位置から回転体５３７２Ｒが少し回転された状態が図示される。
【０５５２】
図１０５に示すように、第６送球経路ＫＲ６に連続して遊技球が２球送球された際に、先行する遊技球が溝部５３７２Ｒｃ２の内面に吸着されると、先行する遊技球が磁石３７２Ｒｂの磁力により磁性を帯びて後行する遊技球をその外周面に吸着させる。
【０５５３】
先行する遊技球の外周面に後行する遊技球を吸着した状態で、回転体５３７２Ｒが回転されると、先行する遊技球は、回転体５３７２Ｒの外周面に吸着された状態で、上方に持ち上げられる。この際、後行する遊技球は、先行する遊技球との吸着位置を変位させ、回転体５３７２Ｒの外周面側に変位される。
【０５５４】
ここで、回転体５３７２Ｒに配設される解除部材５３７２Ｒｄの押圧部５３７２Ｒｄ２は、後行する遊技球が先行する遊技球に吸着して第２転動部３８１ｃから持ち上げられる際に後行する遊技球の外周面に突出先端が当接する形状に形成される。
【０５５５】
次いで、図１０６に示すように、図１０５の位置から回転体５３７２Ｒが回転されて、後行する遊技球が第２転動部３８１ｃから離間する（持ち上げられる）と、後行する遊技球の自重により、解除部材５３７２Ｒｄの押圧部５３７２Ｒｄ２が回転体５３７２Ｒの径方向内側に押圧される。
【０５５６】
この押圧部５３７２Ｒｄ２の変位により、解除部材５３７２Ｒｄが、貫通孔５３７２Ｒｄ３を軸心に回転変位される。よって、貫通孔５３７２Ｒｄ３を挟んで押圧部５３７２Ｒｄ２と反対側に形成される解除部５３７２Ｒｄ１が、回転体５３７２Ｒの径方向外側に変位される。
【０５５７】
これにより、溝部５３７２Ｒｃ２の内面に吸着された先行する遊技球が、解除部５３７２Ｒｄ１の変位に伴って溝部５３７２Ｒｃ２の内側から外側に押し出される。従って、先行する遊技球は、回転体５３７２Ｒから径方向外側に離間する位置に変位されるので、その分、回転体５３７２Ｒの内側に配設される磁石３７２Ｒｂから離間される。その結果、先行する遊技球を溝部５３７２Ｒｃ２の内面に吸着する磁力が弱められて、先行する遊技球が、回転体５３７２Ｒの外周面（溝部５３７２Ｒｃ２）から脱落する。
【０５５８】
この場合、上述したように、回転体５３７２Ｒに配設される解除部材５３７２Ｒｄの押圧部５３７２Ｒｄ２は、後行する遊技球が先行する遊技球に吸着して第２転動部３８１ｃから持ち上げられる際に後行する遊技球の外周面に突出先端が当接する形状に形成されるので、後行の遊技球が持ち上げられた際に、後行する遊技球が回転体５３７２Ｒに対して径方向内側へ変位する自重による力を最大とすることができる。
【０５５９】
その結果、後行する遊技球が先行する遊技球に吸着して第２転動部３８１ｃから持ち上げられた際に、解除部材５３７２Ｒｄを変位させやすくでき、先行する遊技球を回転体５３７２Ｒ（溝部５３７２Ｒｃ２）から脱落しやすくできる。
【０５６０】
なお、回転体５３７２Ｒから脱落した先行および後行する遊技球は、第２転動部３８１ｃの上面に落下し、第２転動部３８１ｃを転動する。従って、回転体５３７２Ｒから脱落した先行および後行する遊技球は、第２転動部３８１ｃを転動して、内側カバー３７３Ｒに形成される回収孔３７３Ｒａの内部に案内されて回収される。
【０５６１】
以上のように、第５実施形態では回転体５３７２Ｒの外周面に２球が吸着されると、回転体５３７２Ｒの外周面から脱落させることができる。即ち、回転体５３７２Ｒの外周面に吸着されて第７送球経路ＫＲ７に遊技球が送球されると遊技者に有利となるところ、２球が吸着された場合には遊技者にとって不利な状況とすることができるので、１球のみ吸着されるか２球が吸着されるかで結果に相違を生じさせ、第６送球経路ＫＲ６を転動する遊技球を遊技者により注目をさせることができる。
【０５６２】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０５６３】
これに対し、第５実施形態によれば、回転体５３７２Ｒの磁石３７２Ｒｂに先行する遊技球が吸着されると共に先行する遊技球に後行する遊技球が磁着された場合に、回転体５３７２Ｒの磁石３７２Ｒｂと先行する遊技球との吸着を解除しやすくする解除手段を備えるので、これら先行する遊技球および後行する遊技球の両者が回転体５３７２Ｒの回転方向へ送球されることを抑制できる。
【０５６４】
即ち、先行する遊技球のみが回転体５３７２Ｒへ向けて転動され、回転体５３７２Ｒの外周面（磁石３７２Ｒｂ）に吸着された場合には、かかる先行する遊技球を回転体５３７２Ｒの回転方向へ送球できる一方、先行する遊技球に加え、後行する遊技球も回転体５３７２Ｒへ向けて転動され、先行する遊技球が回転体５３７２Ｒの外周面（磁石３７２Ｒｂ）に吸着されると共に先行する遊技球に後行する遊技球が吸着された場合には、これら先行する遊技球および後行する遊技球の両者を回転体５３７２Ｒの回転方向へ送球できないようにできるので、先行する遊技球が回転体５３７２Ｒへ向けて転動する際に、その先行する遊技球の後方に他の遊技球（即ち、後行する遊技球）が転動してきていないかを遊技者に懸念させる（ドキドキさせる）ことができる。その結果、遊技の興趣の向上を図ることができる。
【０５６５】
ここで、第５実施形態では、回転体５３７２Ｒの外周面に吸着されて回転体５３７２Ｒの回転方向へ送球された遊技球が入球するＶ入賞部材３８２と、回転体５３７２Ｒの外周面に吸着されなかった遊技球が入球する回収孔３７３Ｒａとを備え、少なくともＶ入賞部材３８２に遊技球が入球すると遊技者に利益が付与される、又は、Ｖ入賞部材３８２への入球により遊技者に付与される利益が回収孔３７３Ｒａへの入球により遊技者に付与される利益よりも高い利益とされるので、この点からも遊技の興趣の向上を図ることができる。
【０５６６】
即ち、遊技者は、Ｖ入賞部材３８２への入球により利益を得る、又は、回収孔３７３Ｒａへの入球の場合よりも高い利益を得ることを期待して、遊技球が回転体５３７２Ｒの外周面に吸着して回転体５３７２Ｒの回転方向へ送球されることを望み、また、利益が付与される機会をより多く得ることを期待して、より多くの遊技球が回転体５３７２Ｒの外周面に吸着して回転体５３７２Ｒの回転方向へ送球されることを望む。これに対し、先行する遊技球のみが回転体５３７２Ｒの外周面に吸着された場合には、かかる先行する遊技球を回転体５３７２Ｒの回転方向（Ｖ入賞部材３８２）へ送球できる一方で、回転体５３７２Ｒの外周面に吸着された先行する遊技球に後行する遊技球が吸着された場合には、後行する遊技球だけでなく、先行する遊技球も、回転体５３７２Ｒの回転方向へ送球されず、両者からＶ入賞部材３８２への入球の機会が失われることとなる。そのため、先行する遊技球が回転体５３７２Ｒへ向けて転動する際に、その先行する遊技球の後方に他の遊技球（即ち、後行する遊技球）が転動してきていないかを遊技者に懸念させやすく（ドキドキさせやすく）でき、その結果、遊技の興趣の向上を図ることができる。
【０５６７】
なお、遊技者に付与される利益が高い形態としては、第４実施形態と同様であるので、その説明は省略する。
【０５６８】
解除手段は、回転体５３７２Ｒに変位可能に配設される解除部材５３７２Ｒｄを備え、解除部材５３７２Ｒｄは、先行する遊技球に吸着された後行する遊技球に当接されることで変位されると共にその変位により先行する遊技球と磁石３７２Ｒｂとの間の距離を拡大させるので、先行する遊技球に後行する遊技球が吸着されている場合には、かかる後行する遊技球の重さを利用して、磁石３７２Ｒｂと先行する遊技球との吸着を解除する一方、先行する遊技球に後行する遊技球が吸着されていない場合には、磁石３７２Ｒｂと先行する遊技球との吸着が解除されないようにすることができる。また、このような切り替えを、後行する遊技球の重さを利用して行うので、解除部材５３７２Ｒｄを変位させるための駆動源を設けることを不要とでき、その分、製品コストの削減を図ることができる。
【０５６９】
即ち、第５実施形態によれば、解除部材５３７２Ｒｄの切り替えをする付勢部材（例えば、ねじりバネ等）を配置する必要がない。例えば、解除部材５３７２Ｒｄの解除部５３７２Ｒｄ１が溝部５３７２Ｒｃ２よりも径方向外側に張り出し状態とされた場合でも、その溝部５３７２Ｒｃ２の内側に遊技球（先行する遊技球）を吸着する吸着動作により押圧して、解除部５３７２Ｒｄ１を回転体５３７２Ｒの径方向内側に変位させることができる。その結果、押圧部５３７２Ｒｄ２の突出先端を回転体５３７２Ｒの径方向外側に張り出し変位させることができる。よって、解除部材５３７２Ｒｄを変位させるための駆動源を設けることを不要とでき、その分、製品コストの削減を図ることができる。
【０５７０】
次いで、図１０７及び図１０８を参照して、第６実施形態における入賞口ユニット６６００について説明する。なお、上述した各実施形態と同一の部分には同一の符号を付して、その説明は省略する。
【０５７１】
上記第１実施形態では、ベース板６３０の左右に形成される第２貫通孔６３１ｂ，６３３ｂの内部に送球される遊技球が、そのままベース板６３０の背面に配設される経路部材６４０の内側に送球される場合を説明したが、第６実施形態では、ベース板６３０の左右に形成される第２貫通孔６３１ｂ，６３３ｂの内部に送球される遊技球が、ベース板６３０の背面に配設される経路部材６４０の内側に送球される前に、遊技球の通過を検出するセンサ装置ＳＥ１を通過する場合を説明する。
【０５７２】
図１０７（ａ）は、第６実施形態における入賞口ユニット６６００の正面図であり、図１０７（ｂ）は、入賞口ユニット６６００の背面図である。図１０８は、入賞口ユニット６６００の分解斜視正面図である。
【０５７３】
図１０７及び図１０８に示すように、第６実施形態の入賞口ユニット６６００には、ベース板６３０及び経路部材６４０の対向間にセンサ装置ＳＥ１が介設される。また、センサ装置ＳＥ１は、第２貫通孔６３１ｂ，６３３ｂの背面側の位置にそれぞれ配設される。
【０５７４】
センサ装置ＳＥ１は、遊技球の外径よりも大きく貫通形成される開口ＳＥ１ａが形成され、その開口ＳＥ１ａを前後方向に開口した状態でベース板６３０及び経路部材６４０の対向間に介節される。センサ装置ＳＥ１は、開口ＳＥ１ａの内側を遊技球を通過させることにより、その遊技球の通過を検知することができる。
【０５７５】
なお、入賞口ユニット６６００の内部を流下する遊技球は、左右で反対となるのみであるので、以下の説明では、遊技盤１３の左側を流下する遊技球についてのみ説明し、遊技盤１３の右側を流下する遊技球についての説明は省略する。
【０５７６】
次いで、遊技球が入賞口ユニット６６００の内部を流下した際の説明をする。遊技盤１３の遊技領域を流下する遊技球が、左側入賞口２６の近傍を流下して左凹部６３１及び左カバー部材６１１との対向間に流下すると、左凹部６３１の底面に案内されて第２貫通孔６３１ｂの内側に送球される。
【０５７７】
この場合、上述したように第２貫通孔６３１ｂの背面側には、センサ装置ＳＥ１が配設されるので、左凹部６３１及び左カバー部材６１１の対向間に流下した遊技球は、センサ装置ＳＥ１により検出された後に、経路部材６４０の内側に送球される。即ち、第６実施形態では、経路部材６４０の内側に送球される遊技球を検知することができる。
【０５７８】
よって、センサ装置ＳＥ１が遊技球を検知した後、所定の時間の経過後に可変入賞装置６５０の可変板６５２を正面側に突出させるように制御することで、経路部材６４０を通過する遊技球を可変板６５２の上部へ送球させやすくできる。その結果、経路部材６４０を通過する遊技球を貫通孔６３２ａに送球しやすくできる。
【０５７９】
例えば、上述した所定の時間を、遊技球が経路部材６４０の第１経路６４１を一端から他端まで転動する時間と略同一に設定することで、遊技球が、可変入賞装置６５０の可変板６５２の上部に送球されやすくできる。その結果、左側入賞口２６に入賞せず流下する遊技球に再び貫通孔６３２ａに入賞する可能性を与え易くできる。その結果、遊技者に遊技球の流下を下流側まで注目させることができ、遊技者に遊技球を注目させる時間を長くすることができる。
【０５８０】
このように、本実施形態によれば、経路部材６４０を流下する遊技球を検出するセンサ装置ＳＥ１と、可変板６５２を駆動する駆動手段とを備え、検出部材により遊技球が検出された場合に可変板６５２が駆動手段の駆動により遊技盤の正面側へ突出されるので、貫通孔６３２ａへ遊技球を入球しやすくできる。よって、左始動入賞口２６及び右始動入賞口２７に遊技球が入球しなかった場合でも、かかる遊技球の流下に注目させ、貫通孔６３２ａへ入球することに対する期待を遊技者に継続して持たせることができる。その結果、遊技の興趣の向上を図ることができる。
【０５８１】
なお、センサ装置ＳＥ１による遊技球の検出と、駆動手段による駆動（可変板６５２の突出）とは、同時に行われても良く、或いは、検出の後、所定時間の経過後に、駆動を開始しても良い。但し、後者の場合は、可変板６５２の突出位置に遊技球が到達する前に駆動（可変板６５２の突出動作）が完了していることが好ましい。遊技球を貫通孔６３２ａへ導く（入球させやすくする）可変板６５２の機能を確実に発揮させられるからである。
【０５８２】
また、例えば、センサ装置ＳＥ１を通過する遊技球の球数により、可変入賞装置６５０の可変板６５２が正面側に突出するように設定してもよい。この場合、左側入賞口２６に入らず近傍を流下する遊技球が所定の球数連続した際に、貫通孔６３２ａに入賞する可能性を遊技者に与えることができる。よって、遊技球を左側入賞口２６を狙って遊技盤１３の遊技領域に打出すことの価値を高めることができる。従って、遊技球を所定の箇所に狙った遊技盤１３の遊技領域への打出し動作を遊技者にさせることができるので、遊技球の流下する経路を遊技者に注目させやすくできる。その結果、遊技者に、より有利となる遊技盤１３の遊技領域への遊技球の打出し位置を探させることができ、遊技者に興趣を与えやすくできる。
【０５８３】
例えば、センサ装置ＳＥ１を５球の遊技球が通過した際に、可変入賞装置６５０の可変板６５２が正面側に突出するように設定する。この場合、左側入賞口２６に入らず近傍を流下する遊技球が５球連続した際に、少なくとも１球が貫通孔６３２ａに入賞する可能性を遊技者に与えることができる。
【０５８４】
この場合、センサ装置ＳＥ１に３球の遊技球（所定の球数よりも少ない球数）が通過した際に、４球目の遊技球が左側入賞口２６に遊技球が入賞した場合には、センサ装置ＳＥ１を通過した球数の集計をリセットしてもよい。これにより、入賞口２６及び貫通孔６３２ａに連続して遊技球が入賞することを抑制できる。よって、入賞口２６及び貫通孔６３２ａに遊技球が入賞した際に開放する羽部３１２が、連続して開放することを抑制できる。その結果、遊技者が有利ととなる羽部３１２の開放のタイミングを分散することができるので、遊技者の興趣が低下することを抑制できる。
【０５８５】
次いで、図１０９から図１１１を参照して、第７実施形態における入賞口ユニット７６００について説明する。なお、上述した各実施形態と同一の部分には同一の符号を付して、その説明は省略する。
【０５８６】
上記第１実施形態では、可変入賞装置６５０の可変板６５２が後方に位置した状態とされていると、貫通孔６３２ａに遊技球が入賞する可能性が低くされる場合を説明したが、第７実施形態では、可変入賞装置６５０の可変板６５２が後方に位置した状態とされる場合でも、遊技球が２球連なる場合には貫通孔６３２ａに入賞しやすく形成される。なお、可変板６５２が後方に位置した状態とは、可変板６５２が遊技盤１３の背面側に没入した状態である。
【０５８７】
初めに、図１０９及び図１１０を参照して、第７実施形態における入賞口ユニット７６００について説明する。図１０９は、第７実施形態における入賞口ユニット７６００の正面図である。図１１０は、入賞口ユニット７６００の分解斜視正面図である。
【０５８８】
図１０９及び図１１０に示すように、第７実施形態における入賞口ユニット７６００は、複数の入賞口２６，２７，２８を備える化粧板７６１０と、化粧板７６１０と対向して配設されその対向間に遊技球の流下経路を形成するベース板６３０と、そのベース板６３０との間に遊技球の送球経路を形成する経路部材６４０と、ベース板６３０に配設され、化粧板７６１０とベース板６３０との対向間を流下する遊技球を貫通孔６３２ａに案内する可変入賞装置６５０とを主に備えて形成される。
【０５８９】
化粧板７６１０は、左始動入賞口２６を備える左カバー部材６１１と、右始動入賞口２７を備える右カバー部材６１２と、中始動入賞口２８を備える中央カバー部材７６１３と、から形成される。
【０５９０】
中央カバー部材７６１３は、正面視において横長矩形の板状体から形成されると共に、左カバー部材６１１と右カバー部材６１２の中央に配置される。中央カバー部材７６１３には、正面側から背面側に亘って貫通される貫通孔７６１３ｅが形成される。
【０５９１】
貫通孔７６１３ｅは、中央カバー部材７６１３と対向して配設されるベース板６３０に形成される２つの連結孔６３２ｂのそれぞれの前方に形成される。連結孔６３２ｂは、正面視において左右方向（図１０９左右方向）に開口する幅寸法が、遊技球の外径よりも少し大きく形成されており、内部を遊技球が通過可能に形成される。
【０５９２】
また、貫通孔７６１３ｅは、その中心位置が連結孔６３２ｂの左右方向中央位置からベース板６３０に対して左右方向外側にずれた位置に形成されると共に、ベース板６３０側の内縁部の一部が連結孔６３２ｂの左右方向中央位置と前後方向に重なる位置に形成される。
【０５９３】
さらに、貫通孔７６１３ｅは、背面側から正面側に向かって凸の湾曲状（球状）に凹設される（即ち、貫通孔６３２ａから離間する方向へ向かうに従って凹設深さが深くされる）と共に、正面側における孔の内径が遊技球の外径よりも小さく設定される。即ち、貫通孔７６１３ｅの内部を遊技球が挿通しない大きさで貫通形成される。
【０５９４】
次いで、図１１１を参照して、入賞口ユニット７６００を流下する遊技球について説明する。図１１１（ａ）から図１１１（ｃ）は、図１０９のＣＸＩ−ＣＸＩ線における入賞口ユニット７６００の断面図である。
【０５９５】
図１１１（ａ）に示すように、経路部材６４０の内部を遊技球が２球連続して送球され、先行する遊技球が、連結孔６３２ｂの内部から中央カバー部材７６１３側に送球される。この場合、上述したように、貫通孔７６１３ｅは、その中心位置が連結孔６３２ｂの左右方向中央位置からベース板６３０に対して左右方向外側にずれた位置に形成されると共に、ベース板６３０側の内縁部の一部が連結孔６３２ｂの左右方向中央位置と前後方向に重なる位置に形成されるので、先行する遊技球は、貫通孔７６１３ｅの中心から左右に少しずれた位置に送球される。
【０５９６】
これにより、先行する遊技球は、図１１１（ｂ）に示すように、貫通孔７６１３ｅの内縁部に案内されて、貫通孔７６１３ｅの中心位置に左右方向（図１１１（ｂ）左右方向）の位置が変位される。また、この際に、貫通孔７６１３ｅは、中央カバー部材７６１３の背面側から正面側に向かって凸の湾曲状に（即ち、連結孔６３２ｂ側が開放された凹部として）凹設されるので、先行する遊技球をその内縁部に留めやすくできる。
【０５９７】
次に、先行する遊技球に連なって後行する遊技球が連結孔６３２ｂの内部から中央カバー部材７６１３側に送球されると、先行する遊技球が中央カバー部材７６１３に形成される貫通孔７６１３ｅの内縁部に案内されて、ベース板６３０に対して左右方向外側に変位された分、後行する遊技球を先行する遊技球のベース板６３０に対して中央側の球面に衝突させることができる。
【０５９８】
よって、後行する遊技球を先行する遊技球のベース板６３０の左右方向中央側の曲面（球面）に衝突させることができるので、その衝突により後行する遊技球に生じる反発力をベース板６３０の左右方向中央側（貫通孔６３２ａ側）に向けることができる。その結果、図１１１に示すように、後行する遊技球をベース板６３０の左右方向中央側（貫通孔６３２ａ側）に送球して、貫通孔６３２ａに入賞させることができる。
【０５９９】
なお、先行する遊技球は、自重により貫通孔７６１３ｅの内側から脱落すると共に、下方に流下して遊技盤１３に形成されるアウト口７１から回収される。
【０６００】
このように、第７実施形態では、左右の始動入賞口２６，２７に入賞せずにその近傍を流下する遊技球が２球以上あった場合に、経路部材６４０の内側を連続して通過させることで、後行する遊技球を貫通孔６３２ａに入賞させやすくできる。
【０６０１】
即ち、第１の入球口と、第２の入球口とを備えた遊技機が知られている。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０６０２】
これに対し、第７実施形態によれば、左右の始動入賞口２６，２７に入球されず流下する遊技球の通路を形成する経路部材６４０と、経路部材６４０を２球の遊技球が通過する場合には、２球よりも少ない数である１球の遊技球が経路部材６４０を通過する場合よりも、貫通孔６３２ａへ遊技球が入球しやすくする変更手段（貫通孔７６１３ｅ）とを備えるので、左右の始動入賞口２６，２７に遊技球が入球しなかった場合でも、かかる遊技球の流下に注目させ、貫通孔６３２ａへ入球することに対する期待を遊技者に継続して持たせることができる。特に、経路部材６４０を通過する遊技球の数によって貫通孔６３２ａへの入球のしやすさが変更される（始動入賞口２６，２７に入らず、その近傍を流下する遊技球が２球以上あった場合に、遊技者に有利な状況を演出することができる）ので、左右の始動入賞口２６，２７への入球に漏れた遊技球の数にも遊技者に着目させることができる。その結果、遊技の興趣の向上を図ることができる。
【０６０３】
なお、経路部材６４０としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０６０４】
また、変更手段は、経路部材６４０を通過する又は経路部材６４０から流出する先行する遊技球の流下を規制する規制手段を備え、その規制手段は、先行する遊技球に対し後行する遊技球が連続（連なる）する場合に、流下を規制された先行する遊技球に後行する遊技球を当接（衝突）させて、後行する遊技球の流下方向を貫通孔６３２ａへ向かわせるように形成されるので、遊技の興趣の向上を図ることができる。即ち、先行する遊技球のみが流下する場合よりも、先行する遊技球および後行する遊技球が流下する場合の方が貫通孔６３２ａに入球しやすくできる（経路部材６４０を通過する遊技球の数によって貫通孔６３２ａへの入球のしやすさを変更できる）ので、左右の始動入賞口２６，２７への入球に漏れた遊技球の数にも遊技者に着目させることができる。その結果、遊技の興趣の向上を図ることができる。
【０６０５】
さらに、規制手段は、経路部材６４０の出口に対面する壁面に凹設される貫通孔７６１３ｅとして形成されるので、経路部材６４０の出口から流出した先行する遊技球を貫通孔７６１３ｅに受け入れて、先行する遊技球の流下を一時的に規制することができる（即ち、後行する遊技球が衝突できるように先行する遊技球を一時的に保持できる）一方で、先行する遊技球の流下の規制の解除は、先行する遊技球がその自重により貫通孔７６１３ｅから脱落（流下）することで行うことができる。よって、規制手段の形状のみで先行する遊技球の流下の規制（保持）及び規制の解除を行うことができ、これらを切り替える（規制を解除する）ための動作機構を不要とできるので、構造を簡素化して、製品コストの削減を図ることができる。
【０６０６】
また、経路部材６４０の出口から流出した遊技球を貫通孔６３２ａへ案内する部材（例えば、貫通孔６３２ａへ向けて下降傾斜された転動面を備え、その転動面で遊技球を転動させることで、貫通孔６３２ａへ遊技球を入球させやすくする可変板６５２）が存在しない（可変板６５２が、貫通孔６３２ａへ案内可能な位置と案内不能は位置との間で変位可能に形成され、案内不能な位置に変位された）状態であっても、貫通孔７６１３ｅを利用して、後行する遊技球を貫通孔６３２ａへ入球させることができる。
【０６０７】
さらに、連結孔６３２ｂは、遊技球が転動する底面と、その底面の幅方向両側に対向して立設される側壁面とを備え、側壁面の対向間隔が遊技球の直径と略同等の寸法に設定されるので、経路部材６４０の出口から流出される遊技球の軌跡を略一定としやすくでき、かかる遊技球を規制手段（貫通孔７６１３ｅ）に確実に受け入れさせることができる。
【０６０８】
また、貫通孔７６１３ｅは、貫通孔６３２ａから離間する方向へ向かうに従って凹設深さが深くされるので、その貫通孔７６１３ｅへ受け入れた遊技球を凹設深さが深くされる方向（即ち、貫通孔６３２ａから離間する側）へ位置ずれさせて保持することができる。よって、貫通孔７６１３ｅに保持された先行する遊技球へ後行する遊技球が当接（衝突）した際には、かかる後行する遊技球を貫通孔６３２ａへ向かわせて入球しやすくできる。
【０６０９】
さらに、出没可能に形成され突出されることで経路部材６４０の出口と貫通孔７６１３ｅとの間であって重力方向下方となる位置に配設される可変板６５２を備え、可変板６５２は、突出された状態では、遊技球を前記貫通孔６３２ａへ誘導可能に形成されるので、貫通孔７６１３ｅに保持された先行する遊技球を、突出された可変板６５２を利用して、貫通孔６３２ａへ入球させることができる。即ち、先行する遊技球が貫通孔７６１３ｅから脱落（落下）されると、かかる先行する遊技球を、可変板６５２により受け止め、可変板６５２によって、貫通孔６３２ａへ誘導させることができる。その結果、先行する遊技球を貫通孔６３２ａへ入球させることができる。
【０６１０】
次いで、図１１２から図１１６を参照して、第８実施形態における入賞口ユニット８６００について説明をする。なお、上述した各実施形態と同一の部分には同一の符号を付して、その説明は省略する。
【０６１１】
上記第１実施形態では、可変入賞装置６５０の可変板６５２が後方に位置した状態において、貫通孔６３２ａに遊技球が入賞する可能性が低くされる場合を説明したが、第８実施形態では、可変入賞装置６５０の可変板６５２が後方に位置した状態においても、遊技球が２球連なって経路部材８６４０を送球された際に貫通孔６３２ａに入賞させやすくされる。
【０６１２】
図１１２は、第８実施形態における入賞口ユニット８６００の分解斜視正面図である。図１１３（ａ）は、経路部材８６４０の正面図であり、図１１３（ｂ）は、図１１３（ａ）のＣＸＩＩＩｂ−ＣＸＩＩＩｂ線における経路部材８６４０の断面図である。
【０６１３】
なお、図１１３では、経路部材８６４０に形成される収容部８６４３が省略されて図示される。また、図１１３では、経路部材８６４０の正面側に配設されるベース板６３０の連結孔６３２ｂ及び第２連結孔８６３２ｅが２点鎖線で図示される。
【０６１４】
図１１２及び図１１３に示すように、第８実施形態における入賞口ユニット８６００は、複数の入賞口２６，２７，２８を備える化粧板６１０と、化粧板６１０と対向して配設されその対向間に遊技球の流下経路を形成するベース板６３０と、そのベース板６３０との間に遊技球の送球経路を形成する経路部材８６４０と、ベース板８６３０に配設され、化粧板６１０とベース板６３０との対向間を流下する遊技球を入賞口２６，２７，２８のいずれかに案内する可変入賞装置６５０とを主に備えて形成される。
【０６１５】
第８実施形態におけるベース板８６３０には、２つの連結孔６３２ｂの中間位置に前後方向に貫通する第２連結孔８６３２ｅが形成される。第２連結孔８６３２ｅは、その開口の大きさが遊技球の直径よりも大きく形成され、遊技球が内部を通過可能とされる。
【０６１６】
経路部材８６４０は、正面視横長矩形に形成されると共に、ベース板８６３０側が開放される略箱形状に形成される。経路部材８６４０は、ベース板８６３０に形成される左右の第２貫通孔６３１ｂ，６３３ｂと連結孔６３２ｂ又は第２連結孔８６３２ｅとを連結する経路を形成するための部材であり、正面視左側に形成されて第２貫通孔６３１ｂ及びベース板６３０の正面視左側の連結孔６３２ｂ又は第２連結孔８６３２ｅを連結する第１経路８６４１と、正面視右側に形成されて第２貫通孔６３３ｂ及びベース板６３０の正面視右側の連結孔６３２ｂ又は第２連結孔８６３２ｅを連結する第２経路８６４２とから形成される。
【０６１７】
また、経路部材８６４０は、第１経路８６４１及び第２経路８６４２のそれぞれの経路途中に、第１経路８６４１を転動する遊技球をベース板８６３０の前方に送球する経路を連結孔６３２ｂ又は第２連結孔８６３２ｅに切り替える経路切替部材８６４４が配設される。
【０６１８】
経路切替部材８６４４は、経路部材８６４０の下面側に連続して形成される箱状の収容部８６４３の内部に収容される（図１１２参照）。また、収容部８６４３は、正面側（ベース板８６３０側）が開放した形状に形成される。これにより、化粧板６１０及びベース板８６３０を透明材量から形成することで、経路切替部材８６４４の経路の切替を遊技者から視認できる。その結果、遊技球の転動を注目させやすくでき、遊技者に興趣を与え易くできる。
【０６１９】
次いで、図１１３を参照して、経路切替部材８６４４の詳細な説明をする。なお、第１経路８６４１及び第２経路８６４２の経路上に形成されるそれぞれの経路切替部材８６４４は、左右対称に形成されるので、左側の経路切替部材８６４４のみを説明して、右側の経路切替部材８６４４の説明は省略する。
【０６２０】
経路切替部材８６４４は、第１経路８６４１の底面（遊技球が転動する面）と同一平面上に配置される可変板８６４４ａと、可変板８６４４ａの下方に一端が配置されると共に、中央部が収容部８６４３に回転可能に軸支される伝達部材８６４４ｂと、その伝達部材８６４４ｂの他端の上部に配置されると共に、中央部が収容部８６４３に軸支される規制部材８６４４ｃとを主に備えて形成される。
【０６２１】
可変板８６４４ａは、上面視矩形に形成されると共に一定の板厚を備える板部材から形成される。また、可変板８６４４ａは、その上面が第１経路８６４１の底面の一部を形成している（経路部材８６４０の底面と同一平面上に配置される）。即ち、可変板８６４４ａは、経路部材８６４０の底面と同様に経路部材８６４０の左右方向外側から左右方向中央側に向けて下降傾斜する姿勢で配置される。これにより、第１経路８６４１に送球された遊技球を下方に流下させることができる。
【０６２２】
可変板８６４４ａは、一端側に前後方向に貫通する貫通孔８６４４ａ２と、他端側の下面から円弧状に突出する当接板８６４４ａ１とを主に備えて形成される。
【０６２３】
貫通孔８６４４ａ２は、図示しない円柱状の棒部材が内部に挿通される。よって、その棒部材が収容部８６４３に取着されることで、可変板８６４４ａを回転可能な状態で経路部材８６４０に軸支することができる。また、可変板８６４４ａと収容部８６４３との間には、図示しない付勢ばねが配設されており、可変板８６４４ａは、通常の状態時において、その上面が経路部材８６４０の底面と面一な位置に配置される。
【０６２４】
伝達部材８６４４ｂは、角柱状に形成されており、一端側が可変板８６４４ａの当接板８６４４ａ１と当接して配置され、他端側が後述する規制部材８６４４ｃの他端側の底面に当接して配置される。
【０６２５】
また、伝達部材８６４４ｂは、中央位置を軸心に回転可能に収容部８６４３に配設されており、可変板８６４４ａが変位されることにより変位できる。
【０６２６】
規制部材８６４４ｃは、一方に延設される角柱状に形成されると共に、一端側と他端側とのそれぞれの上面から上方に突出する第１突起８６４４ｃ１及び第２突起８６４４ｃ２を備えて形成される。また、規制部材８６４４ｃは、その中間位置で回転可能な状態で収容部８６４３に配設される。これにより、規制部材８６４４ｃは、変位することで第１突起８６４４ｃ１及び第２突起８６４４ｃ２の位置を変位させることができる。
【０６２７】
第１突起８６４４ｃ１は、経路部材８６４０の第１経路８６４１に重力方向に貫通して形成される貫通孔の内部を挿通可能に配設される。また、第１突起８６４４ｃ１は、通常状態（可変板８６４４ａが変位前（第１経路８６４１と面一）の状態）において、図示しない付勢ばねにより、その先端が第１経路８６４１よりも上方に配置される。
【０６２８】
さらに、第１突起８６４１ｃ１の突出位置は、第１経路８６４１の下流（経路部材８６０の中央部）側の連結孔６３２ｂの側面と前後方向に重なる位置とされると共に、第１経路８６４１の前後方向中央位置とされる。これにより、第１経路８６４１を転動する遊技球を第１突起８６４１ｃ１に当接させて連結孔６３２ｂを挿通してベース板８６３０の前方に送球することができる。
【０６２９】
なお、第１突起８６４４ｃ１との先端面と対向する経路部材８６４０の内周面との距離寸法は、遊技球の外径よりも小さく設定されており、第１経路８６４１を流下する遊技球が第１突起８６４４ｃ１を乗り越えることが防止される。
【０６３０】
第２突起８６４４ｃ２は、経路部材８６４０の第１経路８６４１に切欠き形成される切欠き部分の内周面を通過可能に配設される。また、第２突起８６４４ｃ２は、通常の状態（可変板８６４４ａが変位前（第１経路８６４１と面一）の状態）において、その先端が第１経路８６４１と面一の状態で配置される。よって、通常の状態では、第１経路８６４１を転動する遊技球が第２突起８６４４ｃ２によって阻害されることを抑制できる。
【０６３１】
一方、規制部材８６４４ｃが変位されて、第２突起が８６４４ｃ２が、第１経路８６４１の上方へ配置されると、第２突起８６４４ｃ２の先端面が第１経路８６４１と面一に配置される。
【０６３２】
これにより、第１経路８６４１を転動する遊技球は、第２突起８６４４ｃ２に規制されず下方に流下でき、第２連結孔８６３２ｅを通過してベース板８６３０の前方に送球される。
【０６３３】
この場合、第２突起８６４４ｃ２の突出位置は、連結孔６３２ｂの背面側に設定されると共に、前後方向位置が、連結孔６３２ｂ側の端部に設定される。これにより、連結孔の一端と第２突起８６４４ｃ２との対向間の距離寸法を遊技球の外径よりも小さくして、第１経路８６４１を転動する遊技球が連結孔６３２ｂを挿通することを抑制できる。
【０６３４】
次いで、図１１４を参照して第１経路８６４１に遊技球が１球送球された際の遊技球の流下について説明する。図１１４（ａ）は、経路部材８６４０の正面図であり、図１１４（ｂ）は、経路部材８６４０の断面図である。
【０６３５】
なお、図１１４では、経路部材８６４０に形成される収容部８６４３が省略されて図示される。また、図１１４では、経路部材８６４０の正面側に配設されるベース板６３０の連結孔６３２ｂ及び第２連結孔８６３２ｅが２点鎖線で図示される。さらに、図１１４（ｂ）の断面図は、図１１２（ｂ）の断面図と対応する。
【０６３６】
図１１４に示すように、貫通孔６３１ｂ（図１１２参照）から経路部材８６４０へ１球の遊技球が送球されると、遊技球が第１経路８６４１の傾斜によって転動して連結孔６３２ｂ側に転動される。
【０６３７】
転動する遊技球は、第１経路８６４１から可変板８６４４ａの上部を転動して、連結孔６３２ｂ側に転動され、連結孔６３２ｂの背面側に突出する第１突起８６４４ｃ１に当接して、連結孔６３２ｂ側に送球される。即ち、第１経路８６４１内に１球の遊技球が送球された場合には、その遊技球を連結孔６３２ｂを通過させてベース板８６３０の前方に送球することができる。
【０６３８】
次いで、図１１５及び図１１６を参照して第１経路８６４１に２球の遊技球が連続して流下された場合の説明をする。図１１５（ａ）及び図１１６（ａ）は、経路部材８６４０の正面図であり、図１１５（ｂ）及び図１１６（ｂ）は、経路部材８６４０の断面図である。
【０６３９】
なお、図１１５及び図１１６では、経路部材８６４０に形成される収容部８６４３が省略されて図示される。また、図１１５では、経路部材８６４０の正面側に配設されるベース板６３０の連結孔６３２ｂ及び第２連結孔８６３２ｅが２点鎖線で図示される。さらに、図１１５（ｂ）及び図１１６（ｂ）の断面図は、図１１２（ｂ）の断面図と対応する。
【０６４０】
図１１５に示すように、通孔６３１ｂ（図１１２参照）から経路部材８６４０へ２球の遊技球が連続して送球されると、遊技球が第１経路８６４１の傾斜によって転動して連結孔６３２ｂ側に転動される。
【０６４１】
転動する遊技球は、第１経路８６４１から可変板８６４４ａの上部を転動する。この際に、可変板８６４４ａに取着される付勢ばねの付勢力よりも、転動する遊技球の重力の方が大きくされる。その結果、可変板８６４４ａに２球の遊技球が乗った際に、可変板８６４４ａを変位させることができる。
【０６４２】
可変板８６４４ａが変位されると、可変板８６４４ａの変位に伴って、可変板８６４４ａに形成される当接板８６４４ａ１が下方に変位される。従って、当接板８６４４ａ１の先端に当接される伝達部材８６４４ｂの一端が下方に変位され、伝達部材８６４４ｂが回転される。この伝達部材８６４４ｂの回転変位により、伝達部材８６４４ｂの他側が上方に変位され、その伝達部材８６４４ｂの他側の上方に配置される規制部材８６４４ｃの一側が上方に変位される。その結果、規制部材８６４４ｃの第１突起８６４４ｃ１が下方に変位すると共に、第２突起８６４４ｃ２が上方に変位される。
【０６４３】
第２突起８６４４ｃ２が上方に突出した状態では、上述したように遊技球が第１経路８６４１を転動して、第２連結孔８６３２ｅの背面側まで転動可能とされる。よって、２球の遊技球のうち、先行する遊技球を第２連結孔８６３２ｅからベース板８６３０の正面側に送球することができる。
【０６４４】
次に、図１１６に示すように、先行する遊技球が可変板８６４４ａの上部から、可変板８６４４ａよりも連結孔６３２ｂ側の第１経路８６４１に乗ると、可変板８６４４ａに取着される付勢ばねの付勢力が遊技球の重力よりも大きくなり、第２突起８６４４ｃ２を上方に位置した状態が解除され第１突起８６４４ｃ１を上方に位置する状態へと変位する。
【０６４５】
この場合、先行する遊技球は、第１突起８６４４ｃ１よりも、第２連結孔８６３２ｅ側の位置に転動しているので、上述したように第２連結孔８６３２ｅを通過させてベース板８６３０の前方に送球することができる。
【０６４６】
一方、後行する遊技球は、可変板８６４４ａの上部に位置されるので、第１突起８６４４ｃ１に当接して、連結孔６３２ｂ側に送球される。即ち、後行する遊技球は、連結孔６３２ｂを通過してベース板８６３０の前方に送球される。
【０６４７】
このように、遊技球を案内する案内手段は、経路部材８６４０を通過する遊技球が転動される可変板８６４４ａと、その可変板８６４４ａに連動可能に連結されると共に第１位置（図１１３（ａ）に示す位置）と第２位置（図１１５（ａ）に示す位置）との間で変位可能に形成され経路部材８６４０を通過する遊技球の進路を変更させる規制部材８６４４ｃとを備え、規制部材８６４４ｃが第２位置に変位された状態での遊技球の進路が、第１位置に変位された状態での遊技球の進路よりも貫通孔６３２ａへ入球しやすい進路とされ、可変板８６４４ａを第１の数の遊技球が転動する場合には、規制部材８６４４ｃが第２位置に変位されると共に、可変板８６４４ａを第１の数（本実施形態では、２球）よりも少ない第２の数（本実施形態では、１球）の遊技球が転動する場合には、規制部材８６４４ｃが第１位置に変位されるので、遊技の興趣の向上を図ることができる。
【０６４８】
即ち、第２の数の遊技球が流下する場合よりも、その第２の数よりも多い数である第１の数の遊技球が流下する場合の方が貫通孔６３２ａに入球しやすくできる（経路部材８６４０を通過する遊技球の数によって貫通孔６３２ａへの入球のしやすさを変更できる）ので、第１の入球口（左右の始動入賞口２６，２７）への入球に漏れた遊技球の数にも遊技者に着目させることができる。その結果、遊技の興趣の向上を図ることができる。
【０６４９】
また、規制部材８６４４ｃが前記可変板８６４４ａよりも下流側に配設されるので、所定の遊技球の行方（進路）を、その所定の遊技球に後行する遊技球の数および連なり具合と関係付けることができ、その結果、遊技の興趣の向上を図ることができる。即ち、後行する遊技球が連なっている場合（即ち、本実施形態では、３球以上の遊技球が連なっている場合）には、可変板８６４４ａを転動する遊技球の数が第１の数を維持している間は、規制部材８６４４ｃを第２位置に維持して、規制部材８６４４ｃに到達した各遊技球を貫通孔６３２ａへ入球しやすくできる一方、後行する遊技球の連なりが分断され、可変板８６４４ａを転動する遊技球の数が第２の数以下となった場合には、規制部材８６４４ｃを第１位置に変位させて、規制部材８６４４ｃに到達した各遊技球を上述した場合（規制部材８６４４ｃが第２位置に変位された場合）よりも貫通孔６３２ａへ入球し難くできる。よって、後行する遊技球の数およびその連なり具合にも遊技者に着目させることができる。その結果、遊技の興趣の向上を図ることができる。
【０６５０】
次いで、図１１７から図１２２を参照して第９実施形態における入賞口ユニット９６００について説明する。なお、上述した各実施形態と同一の部分には同一の符号を付して、その説明は省略する。
【０６５１】
上記第１実施形態では、可変入賞装置６５０の可変板６５２が後方に位置した状態において、貫通孔６３２ａに遊技球が入賞する可能性が低くされる場合を説明したが、第９実施形態では、可変入賞装置６５０の可変板６５２が後方に位置した状態においても、打遊技球が複数個経路部材９６４０を送球された際に、貫通孔６３２ａに入賞させやすくされる。
【０６５２】
図１１７は、第９実施形態における入賞口ユニット９６００の正面図であり、図１１８は、入賞口ユニット９６００の分解斜視正面図である。なお、図１１７では、化粧板６１０の図示が省略されると共に、背面側に配設される経路部材９６４０の外形が鎖線で図示される。
【０６５３】
図１１７及び図１１８に示すように、第９実施形態における入賞口ユニット９６００は、複数の入賞口２６，２７，２８を備える化粧板６１０と、化粧板６１０と対向して配設されその対向間に遊技球の流下経路を形成するベース板９６３０と、そのベース板９６３０との間に遊技球の送球経路を形成する経路部材９６４０と、ベース板９６３０に配設され、化粧板６１０とベース板９６３０との対向間を流下する遊技球を貫通孔６３２ａに案内する可変入賞装置６５０とを主に備えて形成される。
【０６５４】
第９実施形態におけるベース板９６３０には、２つの連結孔６３２ｂの中間位置に前後方向に貫通する第２連結孔８６３２ｅが形成される。また、第２連結孔８６３２ｅは、連結孔６３２ｂよりも下方に配置される。
【０６５５】
経路部材９６４０は、正面視横長矩形に形成されると共に、ベース板８６３０側が開放される略箱形状に形成される。経路部材８６４０は、ベース板８６３０に形成される第２貫通孔６３１ｂ，６３３ｂと連結孔６３２ｂ又は第２連結孔８６３２ｅを連結する経路を形成するための部材である。
【０６５６】
経路部材９６４０は、正面視左側に形成されて第２貫通孔６３１ｂ及びベース板９６３０の正面視左側の連結孔６３２ｂを連結する第１経路９６４１と、その第１経路９６４１の下側に形成され、第１経路９６４１及び第２連結孔８６３２ｅとを連結する第３経路９６４５と、正面視右側に形成されて第２貫通孔６３３ｂ及びベース板９６３０の正面視右側の連結孔６３２ｂを連結する第２経路９６４２と、その第２経路９６４２の下側に形成され、第２経路９６４２及び第２連結孔８６３２ｅを連結する第４経路９６４６とを主に備えて形成される。
【０６５７】
また、経路部材９６４０は、第１経路９６４１及び第２経路９６４２のそれぞれの経路途中に、第１経路９６４１又は第２経路９６４２を転動する遊技球の転動経路を第３経路又は９６４５第４経路９６４６に切り替える経路切替部材９６４４が配設される。
【０６５８】
次いで、図１１９を参照して経路部材９６４０について説明する。図１１９（ａ）及び図１１９（ｂ）は、経路部材９６４０の正面図である。なお、図１１９では、経路部材９６４０の前方に配置されるベース板９６３０の第２貫通孔６３１ｂ，６３３ｂと、連結孔６３２ｂと、第２連結孔８６３２ｅとが２点鎖線で図示される。
【０６５９】
図１１９に示すように、経路部材９６４０に配設される経路切替部材９６４４は、板状体から形成される可変板９６４４ａから構成される。可変板９６４４ａは、一端側（遊技球の転動方向終端側（連結孔６３２ｂ側））が回転可能な状態で経路部材９６４０に配設（軸支）されると共に、経路部材９６４０との間に図示しない付勢ばねが配置され、他端側が上方に付勢された状態で配置される。
【０６６０】
また、可変板９６４４ａは、その上面が第１経路９６４１又は第２経路９６４２の転動面と同一平面に位置する状態で配設される（図１１９（ａ）参照）。さらに、可変板９４４ａは、上面を転動する遊技球から付勢ばねの付勢力よりも大きい力が作用されると、回転され他端側を第３経路９６４５又は第４経路９６４６へ下降傾斜させた姿勢に変位できる（図１１９（ｂ）参照）。
【０６６１】
次いで、図１２０を参照して、経路部材９６４０に１球の遊技球が送球された場合の説明をする。図１２０（ａ）及び図１２０（ｂ）は、経路部材９６４０の正面図である。なお、図１２０では、経路部材９６４０の前方に配置されるベース板９６３０の第２貫通孔６３１ｂ，６３３ｂと、連結孔６３２ｂと、第２連結孔８６３２ｅとが２点鎖線で図示される。また、図１２０（ａ）及び図１２０（ｂ）では、経路部材９６４０の内側を遊技球が転動する際の遷移状態が順に図示される。
【０６６２】
さらに、以下では、第２貫通孔６３１ｂ，６３３ｂから送球される遊技球の転動は、転動方向が反対であるのみであるので、左側を転動する遊技球のみ説明をして、右側を転動する遊技球についての説明は省略する。
【０６６３】
図１２０（ａ）及び図１２０（ｂ）に示すように、第２貫通孔６３１ｂから経路部材９６４０の内側に送球される遊技球が、１球の場合は、第１経路９６４１及び可変板９６４４ａ上を転動して連結孔６３２ｂへ送球される。即ち、経路部材９６４０に１球の遊技球が送球された場合には、その遊技球を連結孔６３２ｂを通過させてベース板９６３０の正面側に送球することができる。
【０６６４】
次いで、図１２１及び図１２２を参照して、経路部材９６４０に２球の遊技球が送球された場合の説明をする。図１２１（ａ）及び図１２１（ｂ）は、入賞口ユニット９６００の正面図であり、図１２２（ａ）及び図１２２（ｂ）は、入賞口ユニット９６００の正面図である。なお、図１２１及び図１２２では、経路部材９６４０の前方に配置されるベース板９６３０の第２貫通孔６３１ｂ，６３３ｂと、連結孔６３２ｂと、第２連結孔８６３２ｅとが２点鎖線で図示される。また、図１２１から図１２２では、経路部材９６４０の内側を遊技球が転動する際の遷移状態が順に図示される。
【０６６５】
図１２２（ａ）及び図１２２（ｂ）に示すように、第２貫通孔６３１ｂから経路部材９６４０の内側に送球される遊技球が、２球以上送球されると、２球の遊技球が第１経路９６４１から可変板９６４４ａの上面へ転動された際に、可変板９６４４ａの他端側が下方に回転変位する。
【０６６６】
即ち、可変板９６４４ａを付勢する付勢力は、１球の遊技球が可変板９６４４ａの上面に作用させる荷重よりも大きく設定されると共に、２球の遊技球が上面に作用させる荷重よりも小さく設定される。これにより、可変板９６４４ａの上面を２球の遊技球が転動する場合にのみ、可変板９６４４ａを変位させることができる。
【０６６７】
可変板９６４４ａが変位されると、上述したように可変板９６４４ａの他端側が第３経路９６４５の上面に変位されて、遊技球を第３経路９６４５に送球することができる。
【０６６８】
図１２２（ａ）に示すように２球の遊技球が、第３経路９６４５に送球されると、可変板９６４４ａの上面にかかる荷重がなくなるため、付勢力により可変板９６４４ａが変位して他端側が上方へ（遊技球が送球される前の位置へ）変位する。
【０６６９】
これにより、図１２２（ｂ）に示すように、第３経路９６４５に送球された遊技球を第２連結孔８６３２側に送球可能な状態となる。その結果、２球の遊技球は、第３経路９６４５を転動して第２連結孔８６３２からベース板９６３０の正面側に送球される。
【０６７０】
即ち、経路部材９６４０に２球連続して遊技球が送球されると、２球とも第２連結孔８６３２を通過させてベース板９６３０の正面側に送球することができる。
【０６７１】
よって、第９実施形態では、左始動入賞口２６に入賞せず、その近傍を流下する遊技球が２球以上連続した場合に、２球とも入賞する可能性を与えることができる。その結果、遊技者に興趣を与え易くできる。
【０６７２】
次いで、図１２３から図１３０を参照して第１０実施形態における経路切替部材１０６７０について説明する。なお、上述した各実施形態と同一の部分には同一の符号を付して、その説明は省略する。
【０６７３】
上記第９実施形態では、第１経路９６４１と第３経路９６４５との経路の切り換えを遊技球の荷重で行う場合を説明したが、第１０実施形態では、第２経路１０６４２と第３経路１０６４３との経路の切替を経路切替部材１０６７０の変位と磁力とにより行う場合を説明する。
【０６７４】
初めに、図１２３を参照して経路切替部材１０６７０の構成について詳細な説明をする。図１２３（ａ）は、第１０実施形態における経路切替部材１０６７０の上面図であり、図１２３（ｂ）は、経路切替部材１０６７０の正面図であり、図１２３（ｃ）は、経路切替部材１０６７０の分解斜視正面図である。
【０６７５】
図１２３に示すように、経路切替部材１０６７０は、円柱状に形成されるベース部材１０６７１と、そのベース部材１０６７１の内部に配設される複数の磁石１０６７２とを主に備えて形成される。
【０６７６】
ベース部材１０６７１は、重力方向下側に配置されると共に、内部が凹設される下側ベース部材１０６７１ｂと、その下側ベース部材１０６７１ｂの上部に配置される上側ベース部材１０６７１ａとを主に備えて形成される。
【０６７７】
下側ベース部材１０６７１ｂは、その外周面に径方向内側に向かって凹設される溝部１０６７１ｂ１と、その溝部１０６７１ｂ１の内側に上面側から軸方向に凹設される凹部１０６７１ｂ２と、軸心に貫通形成される貫通孔１０６７１ｂ３とを主に備えて形成される。
【０６７８】
溝部１０６７１ｂ１は、下側ベース部材１０６７１ｂの外周面に周方向等間隔に複数箇所（本実施形態では、４箇所）に形成される。溝部１０６７１ｂ１は、後述する磁石１０６７２の磁力により遊技球をその内面に吸着する面であり、遊技球の外形よりも小さい幅で凹設される。
【０６７９】
凹部１０６７１ｂ２は、内部に後述する磁石１０６７２を収容する孔であり、磁石１０６７２の外形よりも大きい形状に凹設される。これにより、磁石１０６７２を内部に収容することができる。
【０６８０】
貫通孔１０６７１ｂ３は、後述する磁石１０６７２と共に図示しない駆動モータの軸が内嵌される孔である。貫通孔１０６７１ｂ３に駆動モータの軸が連結（内嵌）されることで、駆動モータの駆動力により経路切替部材１０６７０を回転させることができる。
【０６８１】
上側ベース部材１０６７１ａは、下側ベース部材１０６７１ｂの外径と略同一の外径に形成され、下側ベース部材１０６７１ｂの上部を覆って配置されることで、凹部１０６７１ｂ２に収容した磁石１０６７２が抜け出ることを防止できる。
【０６８２】
また、上側ベース部材１０６７１ａの軸心には貫通孔１０６７１ａ１が貫通形成される。貫通孔１０６７１ａ１と貫通孔１０６７１ｂ３とに駆動モータの軸が内嵌されることで、経路切替部材１０６７０の回転を安定させることができる。
【０６８３】
磁石１０６７２は、溝部１０６７１ｂ１の内側に形成される凹部１０６７１ｂ２に収容されることで、溝部１０６７１ｂ１の外周面に磁力を作用させることができる。これにより、経路切替部材１０６７０（溝部１０６７１ｂ１）の外周面に遊技球を吸着することができる。
【０６８４】
次いで、図１２４を参照して、経路切替部材１０６７０が配置された経路について説明をする。図１２４（ａ）は、経路切替部材１０６７０及び各経路１０６４１，１０６４２，１０６４５の上面図である。図１２４（ｂ）は、図１２４（ａ）の矢印ＣＸＸＩＶｂ方向視における経路切替部材１０６７０及び各経路１０６４１，１０６４２，１０６４５の側面図である。図１２４（ｃ）は、図１２４（ａ）の矢印ＣＸＸＩＶｃ方向視における経路切替部材１０６７０及び各経路１０６４１，１０６４２，１０６４５の側面図である。図１２４（ｄ）は、図１２４（ａ）の矢印ＣＸＸＩＶｄ方向視における経路切替部材１０６７０及び各経路１０６４１，１０６４２，１０６４５の側面図である。
【０６８５】
なお、図１２４（ａ）から図１２４（ｄ）では、各経路１０６４１，１０６４２，１０６４５が模式的に図示される。また、図１２４（ｄ）では、第２経路１０６４２及び第３経路１０６４５が鎖線で図示される。
【０６８６】
図１２４（ａ）から図１２４（ｄ）に示すように、第１経路１０６４１は、経路切替部材１０６７０の外周面に沿って湾曲して形成される。また、第１経路１０６４１は、溝部１０６７１ｂ１の上下方向（図１２３（ｂ）上下方向）中央位置から遊技球の略半径分下方に底面が位置して形成される。第１経路１０６４１の底面は、経路切替部材１０６７０側に向かって傾斜して形成されると共に、その転動方向の両端から重力方向上側に立設される壁部が形成される。これにより、第１経路１０６４１に送球された遊技球を経路切替部材１０６７０側に転動させることができる。
【０６８７】
また、第１経路１０６４１に立設される壁部は、経路切替部材１０６７０の外周面に沿う位置で非形成とされる。これにより、第１経路１０６４１を転動する遊技球を経路切替部材１０６７０の外周面に形成される溝部１０６４１ａ１の内面に吸着させることができる。
【０６８８】
なお、第１経路１０６４１の上流側は、入賞口ユニット６００のベース板６３０に貫通形成される第２貫通孔６３１ｂ，６３３ｂの背面側に連結される。よって、第２貫通孔６３１ｂ，６３３ｂの内部に送球された遊技球を第１経路１０６４１を転動させることで経路切替部材１０６７０に案内することができる。
【０６８９】
第２経路１０６４２は、第２経路１０６４２の始端側が経路切替部材１０６７０の周方向に第１経路１０６４１の終端側と所定の間隔を隔てて配置されると共に、経路切替部材１０６７０の外周面に沿って形成される。第２経路１０６４２及び第１経路１０６４１は、経路切替部材１０６７０の軸方向に同一の位置に形成される。
【０６９０】
なお、第２経路１０６４２が第１経路１０６４１よりも高い位置に形成されていても良く、この場合、後述するように後行する遊技球が先行する遊技球に吸着して先行する遊技球に垂下した際に、その吸着面にかかる後行する遊技球の荷重を作用させ難くできる。
【０６９１】
第３経路１０６４５は、第２経路１０６４２の重力方向下側（図１２４（ｄ）下側）に形成される。また、第３経路１０６４５の始端側は、第２経路１０６４２よりも経路切替部材１０６７０の周方向に延設して形成される。即ち、第３経路１０６４５はの始端側は、第２経路１０６４２の始端側よりも、第１経路１０６４１の終端側に近接される。
【０６９２】
なお、第２経路１０６４２の下流側（終端側）は、連結孔６３２ｂの背面側に連結され、第３経路の下流側（終端側）は、第２連結孔８６３２ｅに連結される。即ち、第２経路１０６４２よりも、第３経路１０６４５に送球される遊技球の方が貫通孔６３２ａに入賞する可能性を高くすることができる。
【０６９３】
また、経路切替部材１０６７０は、上述したように駆動モータに連結されており、駆動モータの駆動により回転変位される。経路切替部材１０６７０の回転方向は、上面視（図１２４（ａ）方向視）において左周りに回転される。
【０６９４】
次いで、図１２５及び図１２６を参照して、第１経路１０６４１に１球の遊技球が送球された場合の説明をする。図１２５（ａ）は、経路切替部材１０６７０及び各経路１０６４１，１０６４２，１０６４５の上面図であり、図１２５（ｂ）は、経路切替部材１０６７０及び各経路１０６４１，１０６４２，１０６４５の側面図である。図１２６（ａ）は、経路切替部材１０６７０及び各経路１０６４１，１０６４２，１０６４５の上面図であり、図１２６（ｂ）は、経路切替部材１０６７０及び各経路１０６４１，１０６４２，１０６４５の側面図である。
【０６９５】
なお、図１２５（ｂ）は、図１２４（ｂ）と対応し、図１２６（ｂ）は、図１２４（ｄ）と対応する。
【０６９６】
図１２５及び図１２６に示すように、第１経路１０６４１に遊技球が送球されると、遊技球は、第１経路１０６４１を転動して、経路切替部材１０６７０の外周面に沿って転動される。この場合、上述したように、経路切替部材１０６７０には、その外周面に溝部１０６７１ｂ１が形成されており、内部に配設される磁石１０６７２によりその外周面に遊技球を吸着可能に形成されるので、第１経路１０６４１を転動する遊技球を溝部１０６７１ｂ１の内面に吸着することができる。
【０６９７】
上述したように、経路切替部材１０６７０は、駆動モータにより回転変位されるので、溝部１０６７１ｂ１に遊技球を吸着させた状態で経路切替部材１０６７０を回転させることで、遊技球を第２経路１０６４２に送球することができる。
【０６９８】
なお、溝部１０６７１ｂ１に吸着された状態で第２経路１０６４２に運ばれた遊技球は、第２経路１０６４２の側面に形成される立設壁に当接することにより、溝部１０６７１ｂ１から脱落される。
【０６９９】
以上のように、第１経路１０６４１に遊技球が１球転動された場合は、遊技球を第２経路１０６４２に送球することができる。
【０７００】
なお、第１経路１０６４１を転動する遊技球が、溝部１０６７１ｂ１に吸着されなかった場合には、第１経路１０６４１の終端側および第２経路１０６４２の始端側の間に形成される隙間に遊技球が送球されて所定の回収経路に送球される。
【０７０１】
次いで、図１２７から図１３０を参照して、第１経路１０６４１に２球の遊技球が連続して送球（落下）された場合の説明をする。図１２７（ａ）、図１２８（ａ）、図１２９（ａ）及び図１３０（ａ）は、経路切替部材１０６７０及び各経路１０６４１，１０６４２，１０６４５の上面図であり、図１２７（ｂ）、図１２８（ｂ）、図１２９（ｂ）及び図１３０（ｂ）は、経路切替部材１０６７０及び各経路１０６４１，１０６４２，１０６４５の側面図である。
【０７０２】
なお、図１２７（ｂ）は図１２４（ｂ）と、図１２８（ｂ）は図１２４（ｃ）と、図１２９（ｂ）は図１２４（ｃ）と、図１３０（ｂ）は図１２４（ｃ）とそれぞれに対応する。また、図１２７から図１３０は、２球の遊技球が送球される遷移状態が順に図示される。
【０７０３】
初めに、図１２７（ａ）及び図１２７（ｂ）に示すように、第１経路１０６４１に２球の遊技球が連続して送球されると、先行する遊技球が、経路切替部材１０６７０の溝部１０６７１ｂ１の内面に吸着される。これにより、吸着された遊技球（先行する遊技球）が磁性を帯び、この先行する遊技球の外周面に後行する遊技球が吸着される。
【０７０４】
図１２８（ａ）及び図１２８（ｂ）に示すように、溝部１０６７１ｂ１の内側に先行する遊技球が吸着された状態で経路切替部材１０６７０が回転して、先行する遊技球が第１経路１０６４１及び第２経路１０６４２の隙間に位置されると、後行する遊技球が先行する遊技球の下側に宙づりにされた（吊り下げられた）状態とされる。
【０７０５】
図１２９（ａ）及び図１３０（ｂ）に示すように、後行する遊技球が先行する遊技球の下側に宙づりにされた状態で、経路切替部材１０６７０がさらに回転されると、先行する遊技球と後行する遊技球との間に、第２経路１０６４２の底面を形成する板の第１経路１０６４１側に形成される先端部１０６４２ａが差し込まれる。
【０７０６】
先端部１０６４２ａは、先細平板状に形成され、経路切替部材１０６７０の下面に吸着される遊技球（先行する遊技球）と、その遊技球に吸着されて下側に吊り下げられた遊技球（後行する遊技球）との間の吸着位置に先端が挿入される高さ位置に略水平な姿勢で配設されるので、経路切替部材１０６７０の下面に先行する遊技球が吸着されると共にそのの先行する遊技球に後行する遊技球が吸着されている場合には、これら遊技球どうしの吸着をスムーズに解除して、後行する遊技球（下側に吊り下げられた遊技球）のみを脱落させやすくできる。
【０７０７】
これにより、図１３０（ａ）及び図１３０（ｂ）に示すように、後行する遊技球は、先行する遊技球の外周面から脱落される。よって、先行する遊技球は第１経路１０６４１に、後行する遊技球は第２経路１０６４２に、それぞれ送球することができる。即ち、第１経路１０６４１に遊技球が連続して送球された場合に、１球は有利な経路に送球することができる。その結果、遊技者に興趣を与えることができる。
【０７０８】
このように、遊技球を案内する案内手段は、回転可能に形成される経路切替部材１０６７０と、その経路切替部材１０６７０に配設され遊技球を経路切替部材１０６７０の外面に垂下状態で吸着させる磁石１０６７２と、その磁石１０６７２によって経路切替部材１０６７０の外面に吸着された遊技球の経路切替部材１０６７０の回転に伴う軌跡上に位置することで遊技球に当接して経路切替部材１０６７０から遊技球を脱落させる先端部１０６４２ａとを備え、先端部１０６４２ａは、経路切替部材１０６７０の外面に吸着される１球目の（先行する）遊技球よりも重力方向下方に位置すると共に、経路切替部材１０６７０の外面に吸着されて送球される遊技球よりも、先端部１０６４２ａの当接により経路切替部材１０６７０から脱落された遊技球の方が、貫通孔６３２ａへ遊技球が入球しやすくされるので、遊技の興趣の向上を図ることができる。
【０７０９】
即ち、経路切替部材１０６７０の外面に１の遊技球のみが吸着される場合よりも、経路切替部材１０６７０の外面に吸着される遊技球に、１（又は２以上）の遊技球が更に吸着されている場合の方が、貫通孔６３２ａに入球しやすくできる（通路部材を通過する遊技球の数によって貫通孔６３２ａへの入球のしやすさを変更できる）ので、左右の始動入賞口２６，２７への入球に漏れた遊技球の数にも遊技者に着目させることができる。その結果、遊技の興趣の向上を図ることができる。
【０７１０】
特に、第１０実施形態では、複数の遊技球が経路切替部材１０６７０へ向けて転動される場合であっても、遊技球が連なっている場合には、経路切替部材１０６７０に先行する遊技球を吸着させると共にその先行する遊技球に後行する遊技球を吸着させやすく、少なくとも後行する遊技球を貫通孔６３２ａへ入球させやすくできる一方、遊技球どうしが所定の間隔を隔てている場合には、経路切替部材１０６７０に先行する遊技球を吸着させられるが、その先行する遊技球に後行する遊技球を吸着させられず、後行の遊技球も経路切替部材１０６７０（先行する遊技球とは別の磁石１０６７２）に吸着されることとなる。即ち、先行および後行の両者ともに貫通孔６３２ａへは入球され難くされる。よって、遊技球の数だけでなく、それらの連なり具合にも遊技者に着目させることができる。その結果、遊技の興趣の向上を図ることができる。
【０７１１】
また、第１０実施形態によれば、経路切替部材１０６７０の外面に垂下状態で遊技球を吸着させ、その垂下状態のままで遊技球を経路切替部材１０６７０の回転に伴って送球するので、吸着までの転動速度や転動方向、吸着位置などのばらつきを要因として、ぶらぶらと揺動する不安定な状態として、経路切替部材１０６７０から遊技球が脱落する形態も形成できる。即ち、１の遊技球のみが経路切替部材１０６７０に吸着されている場合（先端部１０６４２ａに当接されない場合）であっても、かかる遊技球が脱落され、貫通孔６３２ａへ入球させやすくなるという演出を行うことができる。
【０７１２】
さらに、経路切替部材１０６７０に遊技球が１球のみ吸着されている場合には、かかる遊技球へ先端部１０６４２ａが作用することを抑制して、その遊技球の吸着を維持しやすくできる。即ち、遊技球の経路切替部材１０６７０の外面への吸着状体が不安定であっても、遊技球が第２経路１０６４２の入口まで送球された際に、第３経路１０６４３に阻害されずに第２経路１０６４２に入れることができる。
【０７１３】
よって、１の遊技球のみが経路切替部材１０６７０に吸着され垂下されている（吊り下げられている）場合と、２以上の遊技球が経路切替部材１０６７０に吸着され連なって垂下されている場合とでの貫通孔６３２ａへの入球のしやすさの差をより明確とできる。これにより、遊技球の数やそれらの連なり具合を遊技者に更に着目させることができる。その結果、遊技の興趣の向上を図ることができる。
【０７１４】
次いで、図１３１から図１３７を参照して、第１１実施形態における可変入賞装置１１６５０について説明する。なお、上述した各実施形態と同一の部分には同一の符号を付して、その説明は省略する。
【０７１５】
上記第１実施形態では、連結孔６３２ｂと挿通孔６３２ｃとが離間して形成される場合を説明したが、第１１実施形態では、連結孔１１６３２ｂと挿通孔１１６３２ｃとが連結して形成される。
【０７１６】
初めに、図１３１から図１３３を参照して、第１１実施形態における入賞口ユニット１１６００の構成について説明する。図１３１は、第１１実施形態における入賞口ユニット１１６００の正面図である。図１３２は、入賞口ユニット１１６００の分解斜視正面図である。図１３３は、入賞口ユニット１１６００の分解斜視背面図である。なお、図１３１では、化粧板６１０の図示が省略されると共に、経路部材１１６４０の外形が鎖線で図示される。
【０７１７】
図１３１から図１３３に示すように、第１１実施形態における入賞口ユニット１１６００は、複数の入賞口２６，２７，２８を備える化粧板６１０と、化粧板６１０と対向して配設されその対向間に遊技球の流下経路を形成するベース板１１６３０と、そのベース板１１６３０との間に遊技球の送球経路を形成する経路部材１１６４０と、ベース板１１６３０に配設され、化粧板６１０とベース板１１６３０との対向間を流下する遊技球を貫通孔６３２ａに案内する可変入賞装置１１６５０とを主に備えて形成される。
【０７１８】
ベース板１１６３０の中央凹部６３２は、ベース板６３０の左右方向略中央部に貫通形成される貫通孔６３２ａと、その貫通孔６３２ａの両隣に貫通形成される２つの挿通孔１１６３２ｃと、その挿通孔１１６３２ｃの上方に連続して形成される連結孔１１６３２ｂとを主に備えて形成される。
【０７１９】
挿通孔１１６３２ｃは、後述する可変入賞装置１１６５０の可変板１１６５２が挿入される開口であり、正面視横長矩形に形成されると共に、貫通孔６３２ａに向かうに従って下降傾斜して形成される。
【０７２０】
連結孔１１６３２ｂは、後述する、経路部材１１６４０を送球される遊技球がベース板１１６３０の正面側に排出される開口であり、挿通孔１１６３２ｃの外側（貫通孔６３２ａから離間した側）の上部から連続して貫通形成される。
【０７２１】
経路部材１１６４０は、正面視横長矩形に形成されると共に、ベース板６３０側が開放される略箱形状に形成される。経路部材１１６４０は、第２貫通孔６３１ｂ，６３３ｂと連結孔１１６３２ｂとを連結する経路を形成するための部材であり、正面視左側に形成されて第２貫通孔６３１ｂとベース板６３０の正面視左側の連結孔１１６３２ｂとを連結する第１経路１１６４１と、正面視右側に形成されて第２貫通孔６３３ｂとベース板１１６３０の正面視右側の連結孔１１６３２ｂとを連結する第２経路１１６４２とから形成される。
【０７２２】
また、第１経路１１６４１及び第２経路１１６４２の左右方向中央側の底面には上下方向に切り欠かれた凹欠部１１６４７が形成される。凹欠部１１６４７の内側には、可変入賞装置１１６５０の可変板１１６５２が配置される。これにより、第１経路１１６４１及び第２経路１１６４２を転動する遊技球を、連結孔１１６３２ｂを通過させる前に可変板１１６５２の上部に送球することができる。
【０７２３】
可変入賞装置１１６５０の可変板１１６５２には、その先端側の上面に左右方向に延びる凹部１１６５２ａが前後方向に複数個が並設された状態で形成される。凹部１１６５２ａは、直線状に形成され、貫通孔６３２ａから遠い側と、貫通孔６３２ａから近い側とで、異なる方向に延設される。貫通孔６３２ａから遠い側の凹部１１６５２ａは、左右方向とに平行に形成される。一方、貫通孔６３２ａから近い側に形成される凹部１１６５２ａは、貫通孔６３２ａに向かう側ほど正面側に近づく方向に傾斜して形成される。
【０７２４】
次いで、図１３４を参照して、可変入賞装置１１６５０の変位について説明する。図１３４（ａ）及び図１３４（ｂ）は、図１３１のＣＸＸＸＩＶ−ＣＸＸＸＩＶ線における入賞口ユニット１１６００の断面図である。なお、図１３４（ａ）は変位前の、図１３４（ｂ）は変位後の、可変入賞装置１１６５０がそれぞれ図示される。また、図１３１では、化粧板６１０の図示を省略したが、図１３４では、化粧板６１０が図示される。
【０７２５】
図１３４（ａ）及び図１３４（ｂ）に示すように、変位前の可変入賞装置１１６５０の可変板１１６５２は、凹部１１６５２ａが第１経路１１６４１の端部と隣り合う位置に配置される。一方、変位後の可変入賞装置１１６５０の可変板１１６５２は、凹部１１６５２ａが、ベース板１１６３０の正面側に突出した位置に配置される。
【０７２６】
次いで、図１３５（ａ）及び図１３５（ｂ）を参照して、可変板１１６５２の上部に遊技球が乗った状態で、可変入賞装置１１６５０の可変板１１６５２が正面側に張出された場合の説明をする。
【０７２７】
図１３５（ａ）及び図１３５（ｂ）は、入賞口ユニット１１６００の断面図である。なお、図１３５（ａ）は図１３４（ａ）に、図１３５（ｂ）は図１３４（ｂ）に、それぞれ対応する。また、以下では、左右方向左側の遊技球の転動のみを説明し、右側の説明は省略する。
【０７２８】
図１３５（ａ）及び図１３５（ｂ）に示すように、背面側に退避した状態の可変板１１６５２の上部に遊技球が送球された際、可変板１１６５２が正面側に張りだした状態に変位されると、可変板１１６５２の変位に伴って、遊技球を前方に変位させることができる。
【０７２９】
この場合、可変板１１６５２の上面には、凹部１１６５２ａが形成されるので、可変板１１６５２と遊技球との摩擦力を大きくすることができるので、可変板１１６５２が変位した際に、遊技球が回転してその位置に留まることを抑制できる。従って、可変板１１６５２の変位に伴って遊技球を前方に変位させることができる。
【０７３０】
上述したように、可変板１１６５２の変位に伴って遊技球を正面側（ベース板１１６３０の正面側）に変位させることができるので、第１実施形態よりも遊技球を貫通孔６３２ａに入賞させやすくすることができる。
【０７３１】
即ち、可変板１１６５２が、経路部材１１６４０の連結孔６３２ｂに連なる底面（転動面）を形成するので、可変板１１６５２が突出さていない（即ち、没入された）状態であっても、遊技球を可変板１１６５２上に位置させることができ、その分、遊技球が可変板１１６５２上に位置する時間を確保できる。よって、経路部材１１６４０を通過した遊技球を、貫通孔６３２ａへ入球しやすくでき、貫通孔６３２ａへ入球することに対する期待をより強く遊技者に持たせることができる。その結果、遊技の興趣の向上を図ることができる。
【０７３２】
可変板１１６５２の経路部材１１６４０の底面を形成する上面には、その上面に位置する遊技球を貫通孔６３２ａへ向けて案内する凹部１１６５２ａが形成されるので、経路部材１１６４０を通過して没入状態にある可変板１１６５２の上面に遊技球が位置した状態から、かかる可変板１１６５２を突出させる際には、凹部１１６５２ａの作用により遊技球を貫通孔６３２ａへ向けて案内しつつ、突出させることができるので、遊技球を貫通孔６３２ａへ入球しやすくできる。
【０７３３】
なお、凹部１１６５２ａとしては、可変板１１６５２の突出方向先端へ向かうに従って貫通孔６３２ａに近接する方向へ延設されると共に上面に凸設または凹設される凸条や凹溝（又はこれらの組み合せ）が例示される。凸条や凹溝の断面形状は任意であり、矩形断面、多角形断面、円弧状断面（又はこれらを組み合わせた形状の断面）が例示される。
【０７３４】
次いで、図１３６（ａ）から図１３６（ｃ）を参照して、可変板１１６５２の上部に遊技球が乗った状態で、可変入賞装置１１６５０の可変板１１６５２が背面側に退避された場合の説明をする。
【０７３５】
図１３６（ａ）から図１３６（ｃ）は、入賞口ユニット１１６００の断面図である。なお図１３６（ａ）は図１３４（ｂ）に、図１３６（ｃ）は図１３４（ａ）に、それぞれ対応し、図１３６（ｂ）は、図１３６（ａ）及び図１３６（ｃ）の中間の位置が図示される。
【０７３６】
図１３６（ａ）から図１３６（ｃ）に示すように、可変板１１６５２の内側部分を遊技球が転動している際に、可変板１１６５２が背面側に変位されると、可変板１１６５２の内側部分に形成される凹部１１６５２ａの傾斜面により、遊技球を貫通孔６３２ａ側に変位させることができる。
【０７３７】
従って、可変板１１６５２の変位に伴って、遊技球を貫通孔６３２ａ側に変位させることができるので、貫通孔６３２ａに遊技球が入賞しやすくすることができる。
【０７３８】
次いで、図１３７を参照して可変板１１６５２が変位した際に、遊技球が可変板１１６５２から作用を受けることのできる時間について説明する。
【０７３９】
図１３７（ａ）は、可変板１１６５２の変位量の時間変化を示すタイムチャートであり、図１３７（ｂ）は、第１実施形態における可変板６５２の変位量の時間変化を示すタイムチャートである。
【０７４０】
なお、横軸において、「ｔ０」は、可変板１１６５２及び可変板６５２が、没入した状態から突出（正面側への前身）方向へのスライド変位を開始する時間であり、「ｔ５」は、没入（背面側への後退）方向へのスライド変位が完了して没入状態とされる時間を示す。また、縦軸において、「開放位置」は、可変板１１６５２及び可変板６５２が最大の突出位置までスライド変位されたことを示す。
【０７４１】
本実施形態では、上述したように、可変板１１６５２が経路部材１１６４０の転動面の一部を形成するので、可変板１１６５２が突出方向へのスライド変位を開始する際に、その可変板１１６５２上に遊技球が存在すれば（載っていれば）、その遊技球は可変板１１６５２から作用を受ける（貫通孔６３２ａに入球しやすくされる）ことができる。即ち、可変板１１６５２からの作用を遊技球へ図１３７（ａ）における時間ｔ０から与えることができる。なお、時間ｔ４は、時間ｔ３よりも時間ｔ０からの経過時間が短い時間とされる。
【０７４２】
また、上述したように、可変板１１６５２の上面には、複数の凹部１１６５２ａが形成されているので、可変板１１６５２が没入方向へスライド変位されている状態であっても、その可変板１１６５２の上面に遊技球が存在すれば（載っていれば）、その遊技球は可変板１１６５２（凹部１１６５２ａ）から作用を受ける（貫通孔６３２ａに入球しやすくされる）ことができる。即ち、図１３７（ａ）における時間ｔ３までの間、可変板１１６５２からの作用を遊技球へ与えることができる。
【０７４３】
一方、第１実施形態における可変板６５２では、遊技球は、可変板６５２が没入（後退）された状態にあると、かかる可変板６５２から作用を受ける（貫通孔６３２ａに入球しやすくされる）ことができず、可変板６５２の突出量が所定量（上面に遊技球が載れる突出量）に達した後、可変板６５２から作用を受けることができる。即ち、図１３７（ｂ）における時間ｔ２以降でなければ、可変板６５２からの作用を受けることができない。
【０７４４】
また、第１実施形態における可変板６５２のように、上面が閉滑面として形成されていると、可変板１１６５２が没入方向へスライド変位されている状態であると、その可変板６５２の上面に遊技球が存在していても（載っていても）、その遊技球は可変板６５２（上面）から作用を受ける（貫通孔６３２ａに入球しやすくされる）ことができない。この場合、遊技球は、可変板６５２の上面を転動することで、貫通孔６３２ａに入球しやすくされる。即ち、その転動の時間を確保する必要がある分、図１３７（ｂ）における時間ｔ４までの間しか、可変板６５２からの作用を遊技球を与えることができない。
【０７４５】
このように、本実施形態によれば、遊技球が可変板１１６５２から作用を受けることのできる時間を、第１実施形態の場合よりも長くできる（ｔ４−ｔ２＜ｔ３−ｔ０）。その結果、遊技球を貫通孔６３２ａに入球しやすくすることができる。
【０７４６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０７４７】
上記各実施形態において、１の実施形態の一部または全部を他の１又は複数の実施形態の一部または全部と入れ替えて又は組み合わせて、遊技機を構成しても良い。
【０７４８】
上記第１実施形態では、回転体３７２Ｒの溝部３７２Ｒｃ２の径方向内側の面が径方向と直交する平面に形成される場合を説明したが、必ずしもこれに限られるものではなく、溝部の径方向内側の面が径方向と直交する方向に対して傾斜して形成されていてもよい。
【０７４９】
上記第１及び第３実施形態では、回転体３７２Ｒ，３３７２Ｒの径方向視において、磁石３７２Ｒｂの外形は、第２回転体３７２Ｒｃ，３３７２Ｒｃの溝部３７２Ｒｃ２，３３７２Ｒｃ２よりも小さく形成される場合を説明したが、必ずしもこれに限られるものでなく、磁石３７２Ｒｂの外径は、第２回転体３７２Ｒｃ，３３７２Ｒｃの溝部３７２Ｒｃ２，３３７２Ｒｃ２よりも大きく形成されても良い。この場合、遊技球が溝部３７２Ｒｃ２に吸着される範囲を増加することができるので、遊技球が回転体３７２Ｒ，３３７２Ｒの外周面により吸着しやすい状態とすることができる。
【０７５０】
上記第１から第４実施形態では、回転体３７２Ｒ，２３７２Ｒ，３３７２Ｒ，４３７２Ｒの内部に磁石３７２Ｒｂ，２３７２Ｒｂが配設される場合を説明したが、必ずしもこれに限られるものではなく、磁石３７２Ｒｂ，２３７２Ｒｂは、回転体３７２Ｒ，２３７２Ｒ，３３７２Ｒ，４３７２Ｒの外周面と略一致する位置に配置されても良い。即ち、磁石３７２Ｒｂ，２３７２Ｒｂを露出した状態で配設しても良い。
【０７５１】
なお、磁石３７２Ｒｂ，２３７２Ｒｂの外周面は、第２回転体３７２Ｒｃ，２３７２Ｒｃ，３３７２Ｒｃ，４３７２Ｒｃの溝部３７２Ｒｃ２，２３７２Ｒｃ２，３３７２Ｒｃの凹設先端面と略一致して配設されることが好ましい。この場合、回転体３７２Ｒ，２３７２Ｒ，３３７２Ｒ，４３７２Ｒの回転により、第６送球経路ＫＲ６に送球された遊技球を磁石３７２Ｒｂ，２３７２Ｒｂに直接吸着して、第７送球経路ＫＲ７に送球することができる。よって、磁石３７２Ｒｂ，２３７２Ｒｂの吸着面を店舗の店員または遊技者に視認させることができるので、磁石が破損した場合には、店舗の店員または遊技者が即座に認識でき、パチンコ機１０の故障に即座に対応できる。
【０７５２】
上記第１から第３実施形態では、回転体３７２Ｒ，２３７２Ｒ，３３７２Ｒは、溝部３７２Ｒｃ２，２３７２Ｒｃ２，３３７２ｃが、第６送球経路ＫＲ６と隣合う位置に配設される際に、第６送球経路ＫＲ６を流下する遊技球が吸着される場合を説明したが、必ずしもこれに限られるものではない。例えば、ストッパ部３９６を変位させた状態として、第６送球経路を流下する遊技球を停止させて、その停止した遊技球を、回転体３７２Ｒ，２３７２Ｒ，３３７２Ｒを回転させて吸着させてもよい。この場合、ストッパ部３９６の変位により、回転体３７２Ｒ，２３７２Ｒ，３３７２Ｒと遊技球とが吸着する場合を形成することができるので、遊技者に回転体３７２Ｒ，２３７２Ｒ，３３７２Ｒの回転だけでなくストッパ部３９６の変位を見せることができる。これにより、遊技者に複数の送球形態を視認させることができるので、遊技者に興趣を与えることができる。
【０７５３】
上記第１実施形態では、入賞口ユニット６００に、可変板６５２が前後方向にスライド変位する可変入賞装置６５０が配設される場合を説明したが、必ずしもこれに限られるものではなく、可変板６５２が、一端を軸に回転変位するものであってもよい。この場合、遊技者側から可変板６５２の変位を視認しやすくできるので、遊技者は、可変板６５２の動きに合わせて遊技球を遊技領域に打出す動作といった遊技を行いやすくなる。よって、遊技者に興趣を与えることができる。
【０７５４】
上記第１実施形態では、経路部材６４０の重力方向下側に、可変入賞装置６５０の可変板６５２が配設される場合を説明したが、必ずしもこれに限られるものではない。例えば、可変入賞装置６５０の可変板６５２が、経路部材６４０の下端面の一部となるように形成してもよい。
【０７５５】
即ち、経路部材６４０の第１経路６４１及び第２経路６４２の一部が可変板６５２の上面となるように形成しても良い。この場合、可変板の６５２をその上面に遊技球が乗った状態でスライド変位させると、そのスライド変位に合わせて、遊技球を前方に変位させることができる。よって、スライド変位に合わせて、遊技球を貫通孔６３２ａに近づけることができるので、遊技球が貫通孔６３２ａに入賞（入球）する確率を高めることができる。なお、可変板６５２がスライド変位する際に、その上面に乗った遊技球が滑らないように、可変板６５２の上端面には、凹凸をつけて摩擦抵抗を増加することが好ましい。
【０７５６】
上記第９実施形態では、可変板９６４４ａが第２連結孔８６３２から離間する方向に向かって下降傾斜する場合を説明したが、必ずしもこれに限られるものではない。例えば、可変板９６６４４ａが、第２連結孔８６３２に近づく方向に向かって下降傾斜しても良い。
【０７５７】
この場合、第３経路９６４５及び第４経路９６４６に送球される遊技球を第２連結孔８６３２にスムーズに送球することができる。即ち、可変板９６４４ａの上を転動する遊技球の転動方向を第２連結孔８６３２ｅに向かう方向とすることができる。
【０７５８】
また、可変板９６４４ａの傾倒する方向が、入賞口ユニット９６００の背面側に向かって下降傾斜する構成でもよく、入賞口ユニット９６００の正面側に向かって下降傾斜する構成でもよい。
【０７５９】
上記第５実施形態では、回転体５３７２Ｒに配設した解除部材５３７２Ｒｄを変位させた際に、解除部材５３７２Ｒｄの一部を回転体５３７２Ｒの径方向外側に変位させることで、先行する遊技球と回転体５３７２Ｒとの吸着を解除する場合を説明したが、必ずしもこれに限られるものではない。
【０７６０】
図１３８を参照して説明する。図１３８（ａ）は、回転体１３５７２Ｒの側面図であり、図１３８（ｂ）は、回転体１３５７２Ｒの上面図であり、図１３８（ｃ）は、図１３８（ｂ）のＣＸＸＸＶＩＩＩｃ−ＣＸＸＸＶＩＩＩｃ線における回転体１３５７２Ｒの断面図であり、図１３８（ｄ）は、図１３８（ｂ）のＣＸＸＸＶＩＩＩｄ−ＣＸＸＸＶＩＩＩｄ線における回転体１３５７２Ｒの断面図である。
【０７６１】
図１３８に示すように、解除部材１３５７２Ｒｄを一端を軸に回転可能な状態で回転体１３５７２Ｒに配設すると共に、解除部材１３５７２Ｒｄに磁石３７２Ｒｂを配置する。
【０７６２】
解除部材１３５７２Ｒｄは、回転体１３５７２Ｒの外周面に凹設される溝部３７２Ｒｃ２の内周部分に延設して形成されると共に、その一部が回転体１３５７２Ｒの外周面よりも径方向外側に突出される押圧部５３７２Ｒｄ２を備える。
【０７６３】
磁石３７２ｂは、溝部３７２Ｒｃ２の径方向内側に位置すると共に、解除部材１３５７２Ｒｄの溝部３７２Ｒｃ２の内周部分に延設された部分に取着される。
【０７６４】
よって、押圧部５３７２Ｒｄ２が後行する遊技球により押圧された際に、磁石３７２Ｒｄが、回転体１３５７２Ｒの径方向内側に変位できる。その結果、回転体１３５７２Ｒの外周面に作用する磁石３７２Ｒｂの磁力が弱まるので、回転体１３５７２に吸着する先行する遊技球を脱落させることができる。
【０７６５】
上記第１実施形態では、溝部３７２Ｒｃ２の凹設深さが溝部３７２Ｒｃ２遊技球が嵌った状態で溝部３７２Ｒｃ２の底面に遊技球が当接される場合を説明したが、必ずしもこれに限られるものではない。例えば、溝部３７２Ｒｃ２の凹設深さは、その溝部３７２Ｒｃ２に遊技球が嵌った状態で、溝部３７２Ｒｃ２の底面に遊技球が非当接となる寸法に設定されてもよい。この場合、溝部３７２Ｒｃ２の内縁（溝部３７２Ｒｃ２の内面と回転体３７２Ｒの外周面との稜線）を遊技球に当接させることができる。よって、回転体３７２Ｒの回転に伴って遊技球が送球される際に、回転体３７２Ｒの回転方向に遊技球がぐらつくことを抑制でき、その結果、遊技球の吸着が解除されることを抑制できる。
【０７６６】
特に、回転体３７２Ｒの回転に伴って遊技球が送球される際には、遊技球（溝部３７２Ｒｃ２）が、重力方向最上方位置を通過する前後で、遊技球に作用する重力の垂直方向成分の方向が逆転するため、その逆転の反作用により遊技球が回転体３７２Ｒの回転方向にぐらつきやすい。これに対し、本実施形態によれば、溝部３７２Ｒｃ２の内縁（溝部３７２Ｒｃ２の内面と回転体３７２Ｒの外周面との稜線）を遊技球に当接させることができる、即ち、回転体３７２Ｒの回転方向の両側から遊技球を溝部３７２Ｒｃ２の内縁により挟み込むことができるので、回転体３７２Ｒの回転方向に遊技球がぐらつくことを抑制でき、その結果、遊技球の吸着が解除されることを抑制できる。
【０７６７】
上記第１実施形態では、第１乱反射部３５３ｄと第２乱反射部３５４ｂとのそれぞれの背面側に、複数のＬＥＤ３５５ａがそれぞれ配置される場合を説明したが、必ずしもこれに限られるものではない。例えば、第１乱反射部３５３ｄと第２乱反射部３５４ｂとを跨ぐ位置に１のＬＥＤ３５５ａが配置されていても良い。この場合、ＬＥＤ３５５ａの個数を少なくすることができるので、製造コストが高くなることを抑制できる。
【０７６８】
上記第１０実施形態では、経路切替部材１０６７０の外面に２球の遊技球が吸着（垂下）される場合を説明したが、必ずしもこれに限られるものではない。例えば、経路切替部材１０６７０の外面に３球の遊技球が吸着（垂下）されても良い。
【０７６９】
この場合、第２経路１０６４２の先端部１０６４２ａの上下方向位置を第１経路１０６４１よりも遊技球の直径分下方に位置して配置することで、先行する２球の遊技球を第２経路１０６４２に送球して、後行する１球の遊技球を第３経路に送球することができる。また、第２経路１０６４２の先端部１０６４２ａの上下方向位置を第１経路１０６４１と略同一とすることで、先行する１球の遊技球を第２経路１０６４２に送球して、後行する２球の遊技球を第３経路１０６４３へ送球することができる。即ち、複数の遊技球が経路切替部材１０６７０の外面に吸着（垂下）した際に、第２経路１０６４２に送球する球数を任意に設定することができ、設計の自由度を高めることができる。
【０７７０】
上記第１０実施形態では、経路切替部材１０６７０の外面に２球の遊技球が吸着（垂下）した際に、遊技球との間に先端部１０６４２ａを差し込んで分断する場合を説明したが必ずしもこれに限られるものではない。例えば、先行する遊技球に垂下する後行する遊技球の外面に当接する当接部材を当接させて、先行する遊技球と共に後行する遊技球を落下させてもよい。
【０７７１】
なお、先行する遊技球と共に後行する遊技球を落下させるための形状としては、経路切替部材１０６７０に形成する溝部１０６７１ｂ１の下端側を下側ベース部材１０６７１ｂ（経路切替部材１０６７０）の下面側に連結させて、溝部１０６７１ｂ１の下面と経路切替部材１０６７０の外周面との段差をなくすことが好ましい。経路切替部材１０６７０に形成する溝部１０６７１ｂ１の下端側を下側ベース部材１０６７１ｂ（経路切替部材１０６７０）の下面側に連結させることで、経路切替部材１０６７０の外面に吸着した先行する遊技球に後行する遊技球が吸着（垂下）した際に、先行する遊技球が溝部１０６７１ｂ１の下端面と当接することがなくなるので、先行する遊技球を下方に変位しやすくできる。よって、先行する遊技球と共に後行する遊技球を経路切替部材１０６７０の外面から落下させることができる。
【０７７２】
また、溝部１０６７１ｂ１を、下側ベース部材１０６７１ｂ（経路切替部材１０６７０）の外周面と同一の周面上に形成してもよい。この場合、経路切替部材１０６７０の外面に吸着した先行する遊技球に後行する遊技球が吸着（垂下）した際に、先行する遊技球が溝部１０６７１ｂ１の下端面と当接することがなくなるので、先行する遊技球を下方に変位しやすくできる。よって、先行する遊技球と共に後行する遊技球を経路切替部材１０６７０の外面から落下させることができる。
【０７７３】
さらに、溝部１０６７１ｂ１の内面（先行する遊技球が吸着する面）を重力方向下側に向けて径方向内側に傾斜させてもよい。溝部１０６７１ｂ１の内面（先行する遊技球が吸着する面）が重力方向下側に向けて径方向内側に傾斜することで、経路切替部材１０６７０の外面に吸着した先行する遊技球に後行する遊技球が吸着（垂下）した際に、先行する遊技球が下方に変位しやすくできる。よって、先行する遊技球と共に後行する遊技球を経路切替部材１０６７０の外面から落下させることができる。
【０７７４】
上記第１０実施形態では、経路切替部材１０６７０の外周面に遊技球が２球吸着される場合を説明したが、必ずしもこれに限られるものではない。例えば、３球の遊技球が吸着された場合には、その荷重により、先行する遊技球と経路切替部材１０６７０との吸着が解除されるように設定しても良い。または、先行する１球目の遊技球は、第２経路１０６４２に、２球目の遊技球は第３経路１０６４３に、３球目の遊技球は、回収口に送球するものであっても良い。
【０７７５】
上記第１から第３実施形態では、回転体３７２Ｒ，２３７２Ｒ，３３７２Ｒの外面に沿って延設される第２転動部３８１ｃが回転体３７２Ｒ，２３７２Ｒ，３３７２Ｒの軸よりも上方に形成される場合を説明したが、必ずしもこれに限られるものではない。例えば、第２転動部３８１ｃが回転体３７２Ｒ，２３７２Ｒ，３３７２Ｒの軸よりも下方に形成されても良い。この場合、先行する遊技球が回転体３７２Ｒ，２３７２Ｒ，３３７２Ｒの外面に吸着して、先行する遊技球に後行する遊技球が吸着した際に、先行する遊技球と回転体３７２Ｒ，２３７２Ｒ，３３７２Ｒの外面との吸着を解除しやすくできる。
【０７７６】
上記第１から第３実施形態では、回転体３７２Ｒ，２３７２Ｒ，３３７２Ｒに形成される溝部３７２Ｒｃ２，２３７２Ｒｃ２，３３７２Ｒｃ２が、凹設して形成される場合を説明したが、必ずしもこれに限られるものではない。例えば、溝部３７２Ｒｃ２，２３７２Ｒｃ２，３３７２Ｒｃ２が、回転体３７２Ｒ，２３７２Ｒ，３３７２Ｒの外周面と同一周面に形成されてもよい。
【０７７７】
この場合、先行する遊技球が回転体３７２Ｒ，２３７２Ｒ，３３７２Ｒの外面に吸着して、先行する遊技球に後行する遊技球が吸着した際に、先行する遊技球と回転体３７２Ｒ，２３７２Ｒ，３３７２Ｒの外面との吸着を解除しやすくできる。
【０７７８】
また、溝部３７２Ｒｃ２，２３７２Ｒｃ２，３３７２Ｒｃ２が、回転体３７２Ｒ，２３７２Ｒ，３３７２Ｒの外周面から突出して形成されてもよい。この場合、先行する遊技球が回転体３７２Ｒ，２３７２Ｒ，３３７２Ｒの外面に吸着して、先行する遊技球に後行する遊技球が吸着した際に、先行する遊技球を溝部３７２Ｒｃ２，２３７２Ｒｃ２，３３７２Ｒｃ２から移動させやすくできる。先行する遊技球と回転体３７２Ｒ，２３７２Ｒ，３３７２Ｒの外面との吸着を解除しやすくできる。
【０７７９】
上記第７実施形態では、貫通孔７６１３ｅが、中央カバー部材７６１３の背面から正面へ貫通形成される場合を説明したが必ずしもこれに限られるものではなく、中央カバー部材７６１３の背面に凹設されたものでも良い。また、凹設でなく、中央カバー部材７６１３の背面側から突出された部位で遊技球を保持するものでも良い。
【０７８０】
なお、この場合、先行する遊技球に後行する遊技球を衝突させた際に、後行する遊技球が、貫通孔６３２ａ側に反発するために、中央カバー部材７６１３とベース板６３０との対向間の間隔を２球の遊技球の直径寸法と略同一に設定するとすることが好ましい。
【０７８１】
上記第７実施形態では、連結孔６３２ｂの幅を遊技球の直径と略同一に設定したが必ずしもこれに限られるものではない。例えば、連結孔６３２ｂの幅を遊技球直径よりも十分に大きい寸法（例えば、遊技球２個分の直径寸法）に設定しても良い。
【０７８２】
この場合、貫通孔６３２ａと離間する側の貫通孔７６１３ｅの内縁部が、貫通孔６３２ａと離間する側の連結孔６３２ｂの側面と遊技球の半径分までの間でベース板６３０の左右方向にずれた位置に形成されることが好ましい。これによれば、貫通孔７６１３ｅの内縁部に送球される先行する遊技球に後行する遊技球を衝突させた際に、後行する遊技球を貫通孔６３２ａ側に反発させやすくできる。
【０７８３】
上記第７実施形態では、連結孔６３２ｂの左右方向における対向間の幅を遊技球の直径と略同一に設定する場合を説明したが必ずしもこれに限られるものではない。例えば、遊技球の直径よりも大きい値（例えば、遊技球の直径の１．２倍）に設定するしても良い。この場合、連結孔６３２ｂから遊技球を排出しやすくできるので、連結孔６３２ｂに遊技球が詰まることを抑制できる。
【０７８４】
この場合、貫通孔６３２ａと近接する側の貫通孔７６１３ｅの内縁部が、貫通孔６３２ａと近接する側の連結孔６３２ｂの側面と遊技球の半径分までの間でベース板６３０の左右方向にずれた位置に形成されることが好ましい。これによれば、貫通孔７６１３ｅの内縁部に送球される先行する遊技球に後行する遊技球を衝突させた際に、後行する遊技球を貫通孔６３２ａ側に反発させやすくできる。
【０７８５】
上記第７実施形態では、貫通孔７６１３ｅが略円形に形成される場合を説明したが、必ずしもこれに限られるものではない。例えば、貫通孔７６１３ｅがベース板６３０の左右方向に長い長穴状に形成されると共に、左右方向外側に向かって短手方向の幅寸法が大きく形成されるものであってもよい。この場合、連結孔６３２ｂから送球される遊技球を貫通孔７６１３ｅの内縁形状により左右方向に変位しやすくできる。よって、貫通孔７６１３ｅの配置に自由度を持たせることができるので、設計の自由度を向上できる。
【０７８６】
上記第８，９実施形態では、可変板８６４４ｂａ，９６４４ａの上部に乗る遊技球の球数が２球に設定されたが、必ずしもこれに限られるものではなく、例えば、可変板８６４４ｂａ，９６４４ａの板の長さを長くして２球の遊技球が上部に乗る場合と、３球の遊技球が上部に乗る場合とで、可変板８６４４ｂａ，９６４４ａの動作を切り替えても良い。即ち、可変板８６４４ｂａ，９６４４ａの動作を任意で設定できるので、設計の自由度を向上できる。
【０７８７】
上記第２実施形態では、磁石２３７２Ｒｂが、回転体２３７２Ｒの軸方向に螺旋状に曲がって形成される場合を説明したが、必ずしもこれに限られるものではない。例えば、直線状に形成される磁石でもよい。
【０７８８】
この場合、磁石２３７２Ｒｂを、第２転動部３８１ｃの上流側に向かうに従って回転体２３７２Ｒの回転方向に傾斜して配置することが好ましい。その結果、第２転動部３８１ｃを転動する遊技球を回転体２３７２Ｒの外周面に吸着させやすくできる。
【０７８９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７９０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７９１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７９２】
以下に、本発明の遊技機に加えて上述した実施形態に含まれる各種発明の概念を示す。
【０７９３】
＜可動入球役物装置３００を一例とする発明の概念について＞
遊技者から視認可能な位置に変位可能に配設され変位位置に応じて遊技球の流下経路を切り替える変位部材を備えた遊技機において、光を発光可能に形成される１又は複数の発光手段が発光面を正面側へ向けて搭載される基板部材と、その基板部材の正面側に配設され光透過材料から形成される第１透過部材および第２透過部材とを備え、前記変位部材が光透過性材料から形成されると共に前記第２透過部材の正面側に配設され、前記第２透過部材と前記基板部材との間の距離が、前記第１透過部材と前記基板部材との間の距離と異なる距離に設定されることを特徴とする遊技機Ａ１。
【０７９４】
ここで、遊技者から視認可能な位置に変位可能に配設され変位位置に応じて遊技球の流下経路を切り替える変位部材を備えた遊技機が知られている（特開平８−１３１６１２号公報）。この場合、光透過性材料から形成される透過部材の正面側に変位部材を配設し、透過部材の背面から光を照射することで、透過部材を透過した光と共に変位部材を遊技者に視認させ、変位部材に着目させるという技術も知られている。しかしながら、従来の上述した技術では、変位部材が光を透過しない非透過性材料から形成されるため、その変位部材の大きさの分、遊技者に視認させる光の領域（面積）が減少され、演出効果が阻害される。
【０７９５】
これを受け、本願出願人は、変位部材を光透過性材料から形成することで、透過部材に加え、変位部材を透過する光も遊技者に視認可能として、遊技者に視認させる光の領域（面積）を確保する技術を開発した（本出願時において未公知）。しかしながら、変位部材を光透過性材料から形成した場合には、かかる変位部材の位置を遊技者が特定し難いという問題点のあることが判明した。
【０７９６】
これに対し、遊技機Ａ１によれば、光を発光可能に形成される１又は複数の発光手段が発光面を正面側へ向けて搭載される基板部材と、その基板部材の正面側に配設され光透過材料から形成される第１透過部材および第２透過部材とを備え、変位部材が光透過性材料から形成されると共に第２透過部材の正面側に配設され、第２透過部材と基板部材との間の距離が、第１透過部材と基板部材との間の距離と異なる距離に設定されるので、遊技者に視認させる光の領域（面積）を確保しつつ、変位部材の位置を遊技者に特定させやすくできる。即ち、第１透過部材と第２透過部材とで発光手段からの距離が異なるため、第１透過部材および第２透過部材をそれぞれ透過する際の光の拡散の態様を異ならせことができる。よって、第１透過部材を透過して遊技者に視認させる光の態様と、第２透過部材透過して遊技者に視認させる光の態様とを異ならせることができる。その結果、第２透過部材の正面側に配設される変位部材の位置を遊技者に特定させやすくできる。
【０７９７】
なお、基板部材に複数の発光手段が搭載される場合、基板部材の領域のうちの第１透過部材と対面する第１の領域および第２透過部材と対面する第２の領域の両方に発光手段が搭載されている必要はなく、第１又は第２の領域のうちの少なくとも一方の領域に搭載されていれば足りる。また、第１の領域および第２の領域の両方の領域に重なる位置に発光手段が搭載されていても良い。
【０７９８】
遊技機Ａ１において、前記第１透過部材および第２透過部材には、正面または背面の少なくとも一方に凹凸が形成されることを特徴とする遊技機Ａ２。
【０７９９】
遊技機Ａ２によれば、遊技機Ａ１の奏する効果に加え、第１透過部材および第２透過部材には、正面または背面の少なくとも一方に凹凸が形成されるので、発光手段から発光される第１透過部材および第２透過部材を透過する光を、凹凸により拡散させやすくできる。この場合、第１透過部材と第２透過部材とで発光手段からの距離が異なるため、第１透過部材を透過する光の拡散の態様と、第２透過部材を透過する光の拡散の態様とを異ならせることができる。よって、第１透過部材を透過して遊技者に視認させる光の態様と、第２透過部材透過して遊技者に視認させる光の態様との相違をより大きくできる。その結果、第２透過部材の正面側に配設される変位部材の位置を遊技者に特定させやすくできる。
【０８００】
遊技機Ａ２において、前記第１透過部材に形成される凹凸と、前記第２透過部材に形成される凹凸とが略同一とされることを特徴とする遊技機Ａ３。
【０８０１】
遊技機Ａ３によれば、遊技機Ａ２の奏する効果に加え、第１透過部材に形成される凹凸と、第２透過部材に形成される凹凸とが略同一とされるので、発光手段から光が発光されていない状態では、第１透過部材と第２透過部材（変位部材を透過して視認される第２透過部材）とを同一の外観として遊技者に視認させることができる。即ち、発光手段の発光後は異なる外観（光の態様）となる第１透過部材と第２透過部材とを、発光手段の発光前には同一の外観としておけることで、第１透過部材と第２透過部材との外観（光の態様）が異なる（相違した）ものとなる演出を引き立たせることができる。
【０８０２】
なお、第１透過部材と第２透過部材とで凹凸が同一であっても、第１透過部材と第２透過部材とで発光手段からの距離が異なるため、第１透過部材および第２透過部材をそれぞれ透過する際の光の拡散の態様を異ならせことができる。即ち、第１透過部材を透過して遊技者に視認させる光の態様と、第２透過部材透過して遊技者に視認させる光の態様とを異ならせることができる。
【０８０３】
遊技機Ａ１からＡ３のいずれかにおいて、前記第１透過部材と前記第２透過部材とを連結する連結部材を備えることを特徴とする遊技機Ａ４。
【０８０４】
遊技機Ａ４によれば、遊技機Ａ１からＡ３のいずれかの奏する効果に加え、第１透過部材と第２透過部材とを連結する連結部材を備えるので、第１透過部材または第２透過部材のうちの一方（発光手段との間の距離が小さい方）を透過した光が、第１透過部材または第２透過部材のうちの他方（発光手段との間の距離が大きい方）と発光手段との間へ侵入することを連結部材により抑制できる。その結果、第１透過部材と第２透過部材とで、それらを透過して遊技者に視認させる光の態様（特に、明暗）を異ならせやすくできる。その結果、第２透過部材の正面側に配設される変位部材の位置を遊技者に特定させやすくできる。
【０８０５】
遊技機Ａ４において、前記第１透過部材および第２透過部材には、正面または背面の少なくとも一方に凹凸が形成され、前記連結部材の正面または背面には、凹凸が非形成とされることを特徴とする遊技機Ａ５。
【０８０６】
遊技機Ａ５によれば、遊技機Ａ４の奏する効果に加え、第１透過部材および第２透過部材には、正面または背面の少なくとも一方に凹凸が形成され、連結部材の正面または背面には、凹凸が非形成とされるので、第１透過部材および第２透過部材（変位部材を透過して視認される第２透過部材）と連結部材とを異なる外観として遊技者に視認させることができる。これにより、連結部材を利用して、第１透過部材と第２透過部材との境界を明確とでき、その結果、第２透過部材の正面側に配設される変位部材の位置を遊技者に特定させやすくできる。
【０８０７】
遊技機Ａ１からＡ５のいずれかにおいて、前記第１透過部材または第２透過部材のうちの一方と前記発光手段との間の距離が、前記第１透過部材または第２透過部材のうちの他方と前記発光手段との間の距離よりも大きくされ、前記一方が前記他方よりも重力方向上方に位置することを特徴とする遊技機Ａ６。
【０８０８】
遊技機Ａ６によれば、遊技機Ａ１からＡ５のいずれかの奏する効果に加え、第１透過部材または第２透過部材のうちの一方と発光手段との間の距離が、第１透過部材または第２透過部材のうちの他方と発光手段との間の距離よりも大きくされ、一方が他方よりも重力方向上方に位置するので、発光手段が破損することを抑制できる。
【０８０９】
即ち、発光手段との間の距離が小さい（狭い）側では、発光手段との間の距離が大きい（広い）側と比較して、空間が狭くなる分、発光手段から発生した熱により空間内の温度が高くなり、発光手段の破損するおそれが高くなる。これに対し、遊技機Ａ６によれば、発光手段との間の距離が小さい側（狭い）側における空間内の温度が高くされた空気を、その重力方向上方に位置する空間（即ち、発光手段との間の距離が大きい（広い）側の空間）へ上昇させて逃がすことができる。その結果、上記距離が小さい（狭い）側における発光手段の破損を抑制できる。
【０８１０】
遊技機Ａ６において、前記第１透過部材と前記発光手段との間の距離が、前記第２透過部材と前記発光手段との間の距離よりも大きくされ、前記変位部材と前記第２透過部材との対向間が遊技球の第１の流下経路とされることを特徴とする遊技機Ａ７。
【０８１１】
遊技機Ａ７によれば、遊技機Ａ６の奏する効果に加え、第１透過部材と発光手段との間の距離が、第２透過部材と発光手段との間の距離よりも大きくされ、変位部材と第２透過部材との対向間が遊技球の第１の流下経路とされるので、変位部材、第１透過部材および第２透過部材からなるユニットの小型化を図ることができる。即ち、遊技者に視認させる光の態様を異ならせるために形成された変位部材および第２透過部材の間の空間を、遊技球の第１の流下経路とすることで、デッドスペースを有効に活用でき、流下経路のための空間を別途確保する必要がない。よって、その分、ユニットの小型化を図ることができる。
【０８１２】
遊技機Ａ１からＡ７のいずれかにおいて、前記変位部材は、基端側が回転可能に軸支された板状体として形成されると共に、先端側に板厚を大きくした板厚部が形成されることを特徴とする遊技機Ａ８。
【０８１３】
遊技機Ａ５によれば、遊技機Ａ１からＡ７のいずれかの奏する効果に加え、変位部材は、基端側が回転可能に軸支された板状体として形成されると共に、先端側に板厚を大きくした板厚部が形成されるので、変位部材を透過して遊技者に視認される光のうち、板厚部を透過して遊技者に視認される光を、板厚部を除く他の部分を透過して遊技者に視認される光と異ならせることができる。また、変位部材が基端側を中心として回転されるに伴って、先端側（板厚部）を透過して視認される光の位置を変位させることができる。即ち、変位部材の先端側（板厚部）を透過して視認される光の位置が変位されることを利用して、変位部材の変位（回転）動作を遊技者に認識させやすくできる。
【０８１４】
遊技機Ａ８において、前記板厚部の正面または背面の少なくとも一方が断面円弧状に湾曲して形成されることを特徴とする遊技機Ａ９。
【０８１５】
遊技機Ａ９によれば、遊技機Ａ８の奏する効果に加え、板厚部の正面または背面の少なくとも一方が断面円弧状に湾曲して形成されるので、かかる板厚部をレンズとして機能させる（即ち、板厚部に入射された光を屈折させて発散または集束させる）ことができる。これにより、変位部材を透過して遊技者に視認される光のうち、板厚部を透過して遊技者に視認される光と、板厚部を除く他の部分を透過して遊技者に視認される光との相違をより明確とすることができる。その結果、変位部材の変位（回転）動作を遊技者に認識させやすくできる。
【０８１６】
遊技機Ａ８又はＡ９において、前記変位部材が前記第１透過部材と略面一となる位置に配置可能に形成されることを特徴とする遊技機Ａ１０。
【０８１７】
遊技機Ａ１０によれば、遊技機Ａ８又はＡ９の奏する効果に加え、変位部材が第１透過部材と略面一となる位置に配置可能に形成されるので、変位部材と第１透過部材とを一体的に視認させ、発光手段から発光され遊技者に視認させる光の領域（面積）をより大きな領域として視認させることができる。
【０８１８】
遊技機Ａ１０において、前記変位部材の正面へ向けて下降傾斜され遊技球が転動される転動部材を備え、その転動部材の下流端における高さ位置が、前記第１透過部材と略面一となる位置に配置された前記変位部材の板厚部における高さ位置よりも遊技球の半径分だけ低くされることを特徴とする遊技機Ａ１１。
【０８１９】
遊技機Ａ１１によれば、遊技機Ａ１０の奏する効果に加え、変位部材の正面へ向けて下降傾斜され遊技球が転動される転動部材を備え、その転動部材の下流端における高さ位置が、第１透過部材と略面一となる位置に配置された変位部材の板厚部における高さ位置よりも遊技球の半径分だけ低くされるので、転動部を転動して下流端から変位部材の正面へ向けて送球された遊技球を、板厚が大きくされることで強度が比較的高くされた変位部材の板厚部へ衝突させることができる。これにより、変位部材の破損を抑制できる。
【０８２０】
＜可変ユニット３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の外周面に並設されると共に遊技球が転動される転動面を備え、その転動面が前記回転部材の回転軸よりも重力方向上方に位置することを特徴とする遊技機Ｂ１。
【０８２１】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。回転部材へ向けて２球の遊技球が連なって転動されると、先行する遊技球が回転部材の外周面に吸着されると共に、その先行する遊技球に後行する遊技球が吸着される場合がある。この場合、回転部材が回転されると、２球分の重さが作用することで、回転部材と先行する遊技球との間の吸着が解除されるという問題点があった。
【０８２２】
これに対し、遊技機Ｂ１によれば、回転部材の外周面に並設されると共に遊技球が転動される転動面を備え、その転動面が回転部材の回転軸よりも重力方向上方に位置するので、例えば、回転部材へ向けて２球の遊技球が連なった状態で転動面を転動され、先行する遊技球が回転部材の外周面に吸着されると共に、その先行する遊技球に後行する遊技球が吸着された場合には、先行する遊技球を回転部材の外周面に載せやすくできる。よって、回転部材と先行する遊技球との間の吸着を解除され難くできる。
【０８２３】
遊技機Ｂ１において、前記回転部材を挟んで前記転動面と反対側において前記回転部材の外周面に並設されると共に前記回転部材の外周面に吸着されて送球された遊技球を受け取る受取面を備え、その受取面が前記回転部材の回転軸よりも重力方向上方に位置することを特徴とする遊技機Ｂ２。
【０８２４】
ここで、回転部材の外周面に吸着されて送球された遊技球は、回転部材を挟んで転動面と反対側において回転部材の外周面に並設される受取面に受け取られるところ、この際に遊技球が受取面で跳ねやすく、回転部材の外周面から受取面へ遊技球をスムーズに送球することが困難であるという問題点があった。
【０８２５】
これに対し、遊技機Ｂ２によれば、遊技機Ｂ１の奏する効果に加え、受取面が回転部材の回転軸よりも重力方向上方に位置するので、遊技球が受取面で跳ねることを抑制して、回転部材の外周面から受取面へ遊技球をスムーズに送球することができる。即ち、遊技機Ｂ２によれば、回転部材の回転に伴って重力方向下方への変位成分が大きくなる前に（即ち、水平方向成分が比較的多い段階で）、受取面に遊技球を受け取らせることができるので、遊技球が受取面で跳ねることを抑制できる。また、受取面に遊技球を受け取らせる前に、かかる遊技球の吸着が解除されて、回転部材の外周面から受取面へ遊技球が落下することを抑制できる。この点からも、遊技球が受取面で跳ねることを抑制できる。
【０８２６】
遊技機Ｂ２において、前記受取面は、前記回転部材から離間する方向へ向けて下降傾斜して形成されることを特徴とする遊技機Ｂ３。
【０８２７】
遊技機Ｂ３によれば、遊技機Ｂ２の奏する効果に加え、受取面は、回転部材から離間する方向へ向けて下降傾斜して形成されるので、回転部材の外周面に吸着されその回転部材の回転に伴って送球される遊技球の送球方向を、受取面に受け取られた後の遊技球の転動方向に近づけることができる。その結果、遊技球が受取面で跳ねることを抑制して、回転部材の外周面から受取面へ遊技球をスムーズに送球することができる。
【０８２８】
遊技機Ｂ１からＢ３のいずれかにおいて、前記回転部材は、その外周面に凹設される凹部を備え、前記磁石は、前記凹部の内面に前記遊技球を吸着させる位置に配設されることを特徴とする遊技機Ｂ４。
【０８２９】
遊技機Ｂ４によれば、遊技機Ｂ１からＢ３のいずれかの奏する効果に加え、回転部材は、その外周面に凹設される凹部を備え、磁石は、凹部の内面に遊技球を吸着させる位置に配設されるので、凹部の内面（外周面との間の段差）で遊技球を支持することができる。その結果、例えば、回転部材へ向けて２球の遊技球が連なった状態で転動面を転動され、先行する遊技球が回転部材の外周面に吸着されると共に、その先行する遊技球に後行する遊技球が吸着された場合に、回転部材と先行する遊技球との間の吸着を解除され難くできる。
【０８３０】
遊技機Ｂ４において、前記凹部の凹設深さは、その凹部に遊技球が嵌った状態で、凹部の底面に遊技球が非当接となる寸法に設定されることを特徴とする遊技機Ｂ５。
【０８３１】
遊技機Ｂ５によれば、遊技機Ｂ４の奏する効果に加え、凹部の凹設深さは、その凹部に遊技球が嵌った状態で、凹部の底面に遊技球が非当接となる寸法に設定されるので、凹部の内縁（凹部の内面と回転部材の外周面との稜線）を遊技球に当接させることができる。よって、回転部材の回転に伴って遊技球が送球される際に、回転部材の回転方向に遊技球がぐらつくことを抑制でき、その結果、遊技球の吸着が解除されることを抑制できる。
【０８３２】
特に、回転部材の回転に伴って遊技球が送球される際には、遊技球（凹部）が、重力方向最上方位置を通過する前後で、遊技球に作用する重力の垂直方向成分の方向が逆転するため、その逆転の反作用により遊技球が回転部材の回転方向にぐらつきやすい。これに対し、遊技機Ｂ５によれば、凹部の内縁（凹部の内面と回転部材の外周面との稜線）を遊技球に当接させることができる、即ち、回転部材の回転方向の両側から遊技球を凹部の内縁により挟み込むことができるので、回転部材の回転方向に遊技球がぐらつくことを抑制でき、その結果、遊技球の吸着が解除されることを抑制できる。
【０８３３】
遊技機Ｂ４において、前記回転部材を挟んで前記転動面と反対側において前記回転部材の外周面に並設されると共に前記回転部材の外周面に吸着されて送球された遊技球を受け取る受取面を備え、前記凹部の凹設深さは、その凹部に遊技球が嵌った状態で、凹部の底面に遊技球が当接可能となる寸法に設定されると共に、前記転動面側よりも前記受取面側が小さな寸法に設定されることを特徴とする遊技機Ｂ６。
【０８３４】
遊技機Ｂ６によれば、遊技機Ｂ４の奏する効果に加え、凹部の凹設深さは、その凹部に遊技球が嵌った状態で、凹部の底面に遊技球が当接可能となる寸法に設定されると共に、転動面側よりも受取面側が小さな寸法に設定されるので、回転部材の回転に伴って送球される遊技球が回転部材の回転方向にぐらついた際には、遊技球を凹部から受取面側へ転動（脱落）させやすくできる。即ち、遊技球の吸着が解除されて転動面へ逆戻りすることを抑制できる。
【０８３５】
遊技機Ｂ１からＢ６のいずれかにおいて、前記転動面は、前記回転部材の回転軸の方向と略平行な方向へ遊技球を転動させる傾斜面として形成されることを特徴とする遊技機Ｂ７。
【０８３６】
遊技機Ｂ７によれば、遊技機Ｂ１からＢ６のいずれかの奏する効果に加え、転動面は、回転部材の回転軸の方向と略平行な方向へ遊技球を転動させる傾斜面として形成されるので、転動面を転動する遊技球の転動方向と、回転部材の回転に伴って送球される遊技球の送球方向とを略直交する方向とすることができる。その結果、遊技球の動きに変化を与えると共に、一度に視認可能な遊技球の数を確保して、遊技者の興趣を向上することができる。
【０８３７】
遊技機Ｂ７において、前記転動面における遊技球の転動を遮断する遮断手段を備え、前記回転部材の磁石は、前記遮断手段により転動が遮断された遊技球に吸着可能な位置に配設されることを特徴とする遊技機Ｂ８。
【０８３８】
遊技機Ｂ８によれば、遊技機Ｂ７の奏する効果に加え、転動面における遊技球の転動を遮断する遮断手段を備え、回転部材の磁石は、遮断手段により転動が遮断された遊技球を吸着可能な位置に配設されるので、転動面を転動する遊技球が回転部材に直接吸着される形態と、転動面を転動する遊技球が遮断手段により遮られた後に回転部材に吸着される形態（即ち、遮断手段による遮断がなければ回転部材に吸着せずに通過したであろう遊技球が遮断手段により遮断されたことで回転部材へ吸着可能となった形態）とを形成でき、その結果、遊技者の興趣を向上することができる。
【０８３９】
＜可変ユニット２３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の外周面に並設されると共に前記回転部材の回転軸の方向と略平行な方向へ遊技球を転動させる転動面を備え、前記磁石は、前記回転部材の外周面に遊技球が吸着される吸着位置と、その吸着位置よりも前記転動面の上流側となる上流位置とに少なくとも配設されることを特徴とする遊技機Ｃ１。
【０８４０】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。しかしながら、上述した従来の遊技機では、転動面を遊技球が揺れ動きながら転動するため、回転部材が回転され、その回転部材の吸着位置に対面可能なタイミングで遊技球が転動面を転動してきた場合でも、遊技球が吸着位置に吸着されにくいという問題点があった。
【０８４１】
これに対し、遊技機Ｃ１によれば、磁石は、回転部材の外周面に遊技球が吸着される吸着位置と、吸着位置よりも転動面の上流側となる上流位置とに少なくとも配設されるので、上流位置に配設された磁石の磁力により、遊技球を回転部材の外周面側に引き寄せておくことができ、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８４２】
なお、吸着位置に配設される磁石と上流位置に配設される磁石とは別体に形成されるもの（即ち、２個の磁石）であっても良く、或いは、一体に形成されるもの（即ち、１個の磁石）であっても良い。
【０８４３】
遊技機Ｃ１において、前記回転部材は、その外周面に凹設され前記吸着位置とされる凹部を備えることを特徴とする遊技機Ｃ２。
【０８４４】
ここで、吸着位置では遊技球を回転部材の外周面に吸着させる一方、上流位置では遊技球を回転部材の外周面に吸着させないことが必要である。これを磁石の磁力の差により達成することは（即ち、吸着位置には磁力が強い磁石を、上流位置には磁力が弱い磁石を、それぞれ配設する）、磁力が異なる２種類の磁石を準備する必要があり、製品コストの増加を招く。
【０８４５】
これに対し、遊技機Ｃ２によれば、遊技機Ｃ１の奏する効果に加え、回転部材は、その外周面に凹設され吸着位置とされる凹部を備えるので、１の磁石を回転部材に埋設することで、凹部を利用して、吸着位置における磁石から遊技球までの距離（磁石から凹部の底面までの距離）を、上流位置における磁石から遊技球までの距離）磁石から回転部材の外周面までの距離）よりも小さい寸法に設定できる。即ち、吸着位置では遊技球を回転部材の外周面に吸着させる一方、上流位置では遊技球を回転部材の外周面に吸着させないことが可能となる。よって、２種類の磁石を必要とせず、また、磁石の形状を複雑化する必要もないので、その分、製品コストの削減を図ることができる。
【０８４６】
また、吸着位置に遊技球が吸着されると、かかる遊技球を凹部によって保持することができる。よって、回転部材の回転に伴って遊技球が送球される際に、回転部材の回転方向に遊技球がぐらつくことを抑制でき、その結果、遊技球の吸着が解除されることを抑制できる。
【０８４７】
なお、この場合、凹部の凹設深さは、その凹部に遊技球が嵌った状態で、凹部の底面に遊技球が非当接となる寸法に設定されることが好ましい。凹部の内縁（凹部の内面と回転部材の外周面との稜線）を遊技球に当接させ、遊技球のがたつきを抑制しやすくできるからである。但し、凹部の凹設深さは、その凹部に遊技球が嵌った状態で、凹部の底面に遊技球が当接される寸法であっても良い。
【０８４８】
遊技機Ｃ１又はＣ２において、前記磁石は、前記上流位置に配設される部分の少なくとも一部が、前記吸着位置に配設される部分よりも前記回転部材の回転方向前方側に配設されることを特徴とする遊技機Ｃ３。
【０８４９】
遊技機Ｃ３によれば、遊技機Ｃ１又はＣ２の奏する効果に加え、磁石は、上流位置に配設される部分の少なくとも一部が、吸着位置に配設される部分よりも回転部材の回転方向前方側に配設されるので、吸着位置へ向けて転動面を転動する遊技球に対して、上流位置における磁石の磁力を遊技球に作用させやすくできる。即ち、遊技球を回転部材の外周面側に引き寄せておき、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８５０】
遊技機Ｃ２又はＣ３において、前記凹部の底面は、前記上流位置側へ向けて上昇傾斜されると共に前記回転部材の外周面に滑らかに連なり、少なくとも前記上流位置側において、凹部の底面に遊技球が当接可能に形成されることを特徴とする遊技機Ｃ４。
【０８５１】
遊技機Ｃ４によれば、遊技機Ｃ２又はＣ３の奏する効果に加え、凹部の底面は、上流位置側へ向けて上昇傾斜されると共に回転部材の外周面に滑らかに連なり、少なくとも上流位置側において、凹部の底面に遊技球が当接可能に形成されるので、上流位置における磁石により回転部材の外周面側に引き寄せられた遊技球が、吸着位置における磁石により凹部に嵌り込む際には、かかる遊技球の凹部への嵌り込みをスムーズに行わせることができる。即ち、遊技球が跳ねる（バウンドされる）ことを抑制して、遊技球を吸着位置（凹部）に吸着させやすくできる。
【０８５２】
遊技機Ｃ１からＣ４のいずれかにおいて、前記回転部材の外周面と対向しつつ前記転動面から立設され遊技球の転動領域を区画する区画壁を備え、前記回転部材の外周面と前記区画壁との間の対向間隔は、前記転動面の下流側へ向かうに従って小さい寸法に設定されることを特徴とする遊技機Ｃ５。
【０８５３】
遊技機Ｃ５によれば、遊技機Ｃ１からＣ４のいずれかの奏する効果に加え、回転部材の外周面と対向しつつ転動面から立設され遊技球の転動領域を区画する区画壁を備え、回転部材の外周面と区画壁との間の対向間隔は、転動面の下流側へ向かうに従って小さい寸法に設定されるので、上流位置における磁石による作用（磁力による引き寄せ）だけでなく、区画壁による案内によっても、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８５４】
遊技機Ｃ１からＣ５のいずれかにおいて、前記回転部材を挟んで前記転動面と反対側において前記回転部材の外周面に並設されると共に前記回転部材の外周面に吸着されて送球された遊技球を受け取る受取面を備え、その受取面は、前記回転部材の外周面から離間する方向へ向けて下降傾斜して形成されることを特徴とする遊技機Ｃ６。
【０８５５】
遊技機Ｃ６によれば、遊技機Ｃ１からＣ５のいずれかの奏する効果に加え、回転部材を挟んで転動面と反対側において回転部材の外周面に並設されると共に回転部材の外周面に吸着されて送球された遊技球を受け取る受取面を備え、その受取面は、回転部材の外周面から離間する方向へ向けて下降傾斜して形成されるので、回転部材の外周面（吸着位置）に吸着されて送球された遊技球が受取面に受け取られると、その受取面の下降傾斜によって遊技球を転動させて、かかる遊技球を回転部材の外周面から速やかに引き離すことができる。即ち、上流位置における磁石に遊技球が吸着される、或いは、磁力の作用を受けることで、受取面における遊技球の転動が滞ることを抑制できる。
【０８５６】
遊技機Ｃ６において、前記受取面は、前記回転軸方向に沿った長さ寸法が、前記回転部材に配設される磁石の前記回転軸方向に沿った長さ寸法よりも大きな寸法に設定されることを特徴とする遊技機Ｃ７。
【０８５７】
遊技機Ｃ７によれば、遊技機Ｃ６の奏する効果に加え、受取面は、回転軸方向に沿った長さ寸法が、回転部材に配設される磁石の回転軸方向に沿った長さ寸法よりも大きな寸法に設定されるので、回転部材の吸着位置ではない箇所に遊技球が吸着された状態で（即ち、上流位置における磁石に吸着された状態で）、回転部材の回転に伴って遊技球が送球される場合でも、かかる遊技球を受取面に受け取らせることができる。
【０８５８】
＜入賞口ユニット６００を一例とする発明の概念について＞
第１の入球口と、その第１の入球口よりも遊技領域の下流側に配設される第２の入球口とを備えた遊技機において、前記第１の入球口に入球されず流下する遊技球の通路を形成する通路部材と、前記遊技領域が正面側に形成される遊技盤と、その遊技盤の正面側へ突出可能かつ背面側へ没入可能に形成される板状のスライド部材とを備え、前記通路部材を通過した遊技球が、前記遊技盤の正面側へ突出されたスライド部材によって、前記第２の入球口へ誘導可能とされることを特徴とする遊技機Ｄ１。
【０８５９】
ここで、第１の入球口と、第２の入球口とを備えた遊技機が知られている（例えば、特開２００５−０１３４９６号公報）。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０８６０】
これに対し、遊技機Ｄ１によれば、第１の入球口に入球されず流下する遊技球の通路を形成する通路部材と、遊技領域が正面側に形成される遊技盤と、その遊技盤の正面側へ突出可能かつ背面側へ没入可能に形成される板状のスライド部材とを備え、通路部材を通過した遊技球が、遊技盤の正面側へ突出されたスライド部材によって、第２の入球口へ誘導可能とされるので、第１の入球口に遊技球が入球しなかった場合でも、かかる遊技球の流下に注目させ、第２の入球口へ入球することに対する期待を遊技者に継続して持たせることができる。その結果、遊技の興趣の向上を図ることができる。
【０８６１】
また、スライド部材が遊技盤の正面側へ突出可能かつ背面側へ没入可能に形成されるので、スライド部材を機能させない状態では、遊技盤の背面側に没入させておくことで、その分、遊技盤の正面側にスペースを確保（遊技領域を拡大）できる。即ち、遊技領域における遊技球が移動可能な領域を拡大できる。
【０８６２】
なお、通路部材としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０８６３】
また、スライド部材が遊技盤の背面側へ没入された状態であっても、通路部材を通過した遊技球が第２の入球口へ入球可能とされていることは当然可能である。この場合には、スライド部材が没入されている状態よりも突出されている状態の方が第２の入球口へ入球しやすくされることが好ましい。スライド部材の状態を着目させ、遊技の興趣の向上を図ることができるからである。
【０８６４】
遊技機Ｄ１において、前記第１の入球口への入球により遊技者に付与される利益よりも前記第２の入球口への入球により遊技者に付与される利益の方が高い利益とされることを特徴とする遊技機Ｄ２。
【０８６５】
遊技機Ｄ２によれば、遊技機Ｄ１の奏する効果に加え、第１の入球口への入球により遊技者に付与される利益よりも第２の入球口への入球により遊技者に付与される利益の方が高い利益とされるので、第１の入球口に遊技球が入球しなかった場合でも、かかる遊技球が第２の入球口へ入球することに対する期待をより強く遊技者に持たせることができる。その結果、遊技の興趣の向上を図ることができる。
【０８６６】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０８６７】
遊技機Ｄ１又はＤ２において、前記通路部材は、前記第１の入球口に入球されずに流下する遊技球を受け入れる第１開口と、その第１開口から流入された遊技球を遊技領域へ流出させる第２開口とを備え、光透過性材料から形成されることを特徴とする遊技機Ｄ３。
【０８６８】
遊技機Ｄ３によれば、遊技機Ｄ１又はＤ２の奏する効果に加え、通路部材は、第１の入球口に入球されずに流下する遊技球を受け入れる第１開口と、その第１開口から流入された遊技球を遊技領域へ流出させる第２開口とを備え、光透過性材料から形成されるので、第１開口から流入された遊技球が第２開口（第２の入球口）へ向けて流下（通過）する態様を遊技者に視認させることができる。その結果、遊技の興趣の向上を図ることができる。
【０８６９】
遊技機Ｄ１からＤ３において、前記スライド部材は、前記第２の入球口を挟んだ両側に一対がそれぞれ前記第２の入球口へ向けて下降傾斜する姿勢で配設されることを特徴とする遊技機Ｄ４。
【０８７０】
遊技機Ｄ４によれば、スライド部材は、第２の入球口を挟んだ両側に一対がそれぞれ第２の入球口へ向けて下降傾斜する姿勢で配設されるので、かかるスライド部材が突出した状態が形成された場合には、第２の入球口の左右いずれの側から流下する遊技球に対しても、第２の入球口へ入球しやすくすることができる。よって、第２の入球口へ入球することに対する期待をより強く遊技者に持たせることができる。その結果、遊技の興趣の向上を図ることができる。
【０８７１】
ここで、第２の入球口へ遊技球が入球されやすくする構成として、遊技盤から突出する回転軸に基端側を回転可能に軸支させた一対の羽部材を第２の入球口に配設し、かかる羽部材が開放されることで、遊技球が第２の入球口へ案内されるもの（所謂チューリップ）が考えられる。しかし、かかる構成では、羽部材が回転（開閉）するためのスペースが遊技領域に必要となる。特に、羽部材が閉じた姿勢を形成するために、第２の入球口の上方にスペースが必要となる。そのため、上下方向に大型化して、他の部材（例えば、第１の入球口や液晶表示装置）の配設スペースが減少する。
【０８７２】
これに対し、遊技機Ｄ４によれば、遊技機Ｄ１からＤ３のいずれかの奏する効果に加え、遊技盤の正面側へ突出可能かつ背面側へ没入可能に形成される板状の一対のスライド部材が、第２の入球口を挟んだ両側に第２の入球口へ向けて下降傾斜する姿勢で配設されるので、上下方向に小型化を図ることができる。その結果、他の部材（例えば、第１の入球口や液晶表示装置）の配設スペースを確保できる。
【０８７３】
遊技機Ｄ４において、前記通路部材の第２開口が、前記スライド部材の重力方向上方に配設されることを特徴とする遊技機Ｄ５。
【０８７４】
遊技機Ｄ５によれば、遊技機Ｄ４の奏する効果に加え、通路部材の第２開口が、スライド部材の重力方向上方に配設されるので、突出されたスライド部材を利用して、遊技球を第２の入球口へ入球しやすくすることができる。よって、第２の入球口へ入球することに対する期待をより強く遊技者に持たせることができる。その結果、遊技の興趣の向上を図ることができる。
【０８７５】
遊技機Ｄ５において、前記第１の入球口および前記通路部材からなる組を２組備え、前記２組のうちの一方の組の通路部材の第２開口は、前記一対のスライド部材のうちの一方のスライド部材の重力方向上方に配設されると共に、他方の組の通路部材の第２開口は、他方のスライド部材の重力方向上方に配設されることを特徴とする遊技機Ｄ６。
【０８７６】
遊技機Ｄ６によれば、遊技機Ｄ５の奏する効果に加え、第１の入球口および通路部材からなる組を２組備え、２組のうちの一方の組の通路部材の第２開口は、一対のスライド部材のうちの一方のスライド部材の重力方向上方に配設されると共に、他方の組の通路部材の第２開口は、他方のスライド部材の重力方向上方に配設されるので、一対のスライド部材をそれぞれ利用して、遊技球を第２の入球口へ更に入球しやすくすることができる。よって、第２の入球口へ入球することに対する期待をより強く遊技者に持たせることができる。その結果、遊技の興趣の向上を図ることができる。
【０８７７】
なお、第１の入球口および通路部材からなる２組は、第２の入球口を挟んで左右両側に離間して配設される（例えば、第２の入球口が遊技領域の幅方向中央に位置されると共に、その第２の入球口を挟んで幅方向に対称に２組が配設される）ことが好ましい。第２の始動口に対し、遊技領域の幅方向一側または他側のいずれの側を流下する遊技球も、第２の入球口へ入球させやすくでき、第２の入球口へ入球することに対する期待をより強く遊技者に持たせることができるからである。
【０８７８】
遊技機Ｄ６において、前記スライド部材の前記第２の入球口側の縁部が、前記第２の入球口の重力方向下方の縁部と重力方向上方の縁部との間に位置することを特徴とする遊技機Ｄ７。
【０８７９】
遊技機Ｄ７によれば、遊技機Ｄ６の奏する効果に加え、スライド部材の第２の入球口側の縁部が、第２の入球口の重力方向下方の縁部と重力方向上方の縁部との間に位置するので、遊技球が遊技領域の幅方向へ送球（変位）される場合に、かかる遊技球を、突出された状態におけるスライド部材の第２の入球口側の縁部に当接させて、第２の入球口へ入球しやすくできる。即ち、遊技領域の幅方向一側から送球（変位）される遊技球が、第２の入球口を通過して、幅方向他側へ送球（変位）される（遊技球が第２の入球口に入球せずに遊技領域の幅方向に逃げる）ことを抑制できる。
【０８８０】
遊技機Ｄ４からＤ７のいずれかにおいて、前記第２の入球口の重力方向下方の縁部から前記遊技盤の正面側へ張り出す底面部を備え、その底面部は、前記第２の入球口へ向けて下降傾斜して形成されることを特徴とする遊技機Ｄ８。
【０８８１】
遊技機Ｄ８によれば、遊技機Ｄ４からＤ７のいずれかの奏する効果に加え、第２の入球口の重力方向下方の縁部から遊技盤の正面側へ張り出す底面部を備え、その底面部は、第２の入球口へ向けて下降傾斜して形成されるので、スライド部材が突出された状態の場合だけでなく、スライド部材が没入された状態であっても、第１の入球口に入球されず流下する（通路部材を通過した）遊技球を、第２の入球口へ入球しやすくできる。よって、第２の入球口へ入球することに対する期待をより強く遊技者に持たせることができる。その結果、遊技の興趣の向上を図ることができる。
【０８８２】
遊技機Ｄ８において、前記底面部の上面には、前記第２の入球口に近い側に位置する送球面と、その送球面に連設されると共に前記送球部よりも前記第２の入球口に遠い側に位置する当接面とが形成され、前記当接面の前記第２の入球口へ向かう方向への下降傾斜の角度が、前記送球面の前記第２の入球口へ向かう方向への下降傾斜の角度よりも大きくされることを特徴とする遊技機Ｄ９。
【０８８３】
遊技機Ｄ９によれば、遊技機Ｄ８の奏する効果に加え、底面部の上面には、第２の入球口に近い側に位置する送球面と、その送球面に連設されると共に送球部よりも第２の入球口に遠い側に位置する当接面とが形成され、当接面の第２の入球口へ向かう方向への下降傾斜の角度が、送球面の第２の入球口へ向かう方向への下降傾斜の角度よりも大きくされるので、当接面の下降傾斜を利用して、第２の入球口へ遊技球をスムーズに入球させることができる。特に、スライド部材が没入された状態であっても、下降傾斜が大きくされている当接面の傾斜を利用して、第１の入球口に入球されず流下する（通路部材を通過した）遊技球を、第２の入球口へ入球しやすくできる。
【０８８４】
遊技機Ｄ３において、前記通路部材の第１開口が、前記第１の入球口よりも重力方向上方に位置し、前記通路部材の内部に前記第１の入球口が配設されることを特徴とする遊技機Ｄ１０。
【０８８５】
遊技機Ｄ１０によれば、遊技機Ｄ３の奏する効果に加え、通路部材の第１開口が、第１の入球口よりも重力方向上方に位置し、通路部材の内部に第１の入球口が配設されるので、通路部材の第１開口へ流入された遊技球の一部を第１の入球口へ入球させることができる。即ち、第１の入球口へ入球せずに流下する遊技球を通路部材へ確実に流入させることができる。その結果、第２の入球口へ入球する遊技者の期待を高めて、遊技の興趣の向上を図ることができる。
【０８８６】
遊技機Ｄ１からＤ１０のいずれかにおいて、前記通路部材を流下する遊技球を検出する検出手段と、前記スライド部材を駆動する駆動手段とを備え、前記検出手段により遊技球が検出された場合に前記スライド部材が前記駆動手段の駆動により前記遊技盤の正面側へ突出されることを特徴とする遊技機Ｄ１１。
【０８８７】
遊技機Ｄ１１によれば、遊技機Ｄ１からＤ１０の奏する効果に加え、通路部材を流下する遊技球を検出する検出手段と、スライド部材を駆動する駆動手段とを備え、検出手段により遊技球が検出された場合にスライド部材が駆動手段の駆動により遊技盤の正面側へ突出されるので、第２の入球口へ遊技球を入球しやすくできる。よって、第１の入球口に遊技球が入球しなかった場合でも、かかる遊技球の流下に注目させ、第２の入球口へ入球することに対する期待を遊技者に継続して持たせることができる。その結果、遊技の興趣の向上を図ることができる。
【０８８８】
なお、検出手段による遊技球の検出と、駆動手段による駆動（スライド部材の突出）とは、同時に行われても良く、或いは、検出の後、所定時間の経過後に、駆動を開始しても良い。但し、後者の場合は、スライド部材の突出位置に遊技球が到達する前に駆動（スライド部材の突出動作）が完了していることが好ましい。遊技球を第２の入球口へ導く（入球させやすくする）スライド部材の機能を確実に発揮させられるからである。
【０８８９】
遊技機Ｄ１からＤ４のいずれかにおいて、前記スライド部材が、前記通路部材の前記第２開口に連なる底面を形成することを特徴とする遊技機Ｄ１２。
【０８９０】
遊技機Ｄ１２によれば、遊技機Ｄ１からＤ４のいずれかの奏する効果に加え、スライド部材が、通路部材の第２開口に連なる底面（転動面）を形成するので、スライド部材が突出さていない（即ち、没入された）状態であっても、遊技球をスライド部材上に位置させることができ、その分、遊技球がスライド部材上に位置する時間を確保できる。よって、通路部材を通過した遊技球を、第２の入球口へ入球しやすくでき、第２の入球口へ入球することに対する期待をより強く遊技者に持たせることができる。その結果、遊技の興趣の向上を図ることができる。
【０８９１】
遊技機Ｄ１２において、前記スライド部材の前記通路部材の底面を形成する上面には、前記上面に位置する遊技球を前記第２の入球口へ向けて案内する案内部が形成されることを特徴とする遊技機Ｄ１３。
【０８９２】
遊技機Ｄ１３によれば、遊技機Ｄ１２の奏する効果に加え、スライド部材の通路部材の底面を形成する上面には、その上面に位置する遊技球を第２の入球口へ向けて案内する案内部が形成されるので、通路部材を通過して没入状態にあるスライド部材の上面に遊技球が位置した状態から、かかるスライド部材を突出させる際には、案内部の作用により遊技球を第２の入球口へ向けて案内しつつ、突出させることができるので、遊技球を第２の入球口へ入球しやすくできる。
【０８９３】
なお、案内部としては、スライド部材の突出方向先端へ向かうに従って第２の入球口に近接する方向へ延設されると共に上面に凸設または凹設される凸条や凹溝（又はこれらの組み合せ）が例示される。凸条や凹溝の断面形状は任意であり、矩形断面、多角形断面、円弧状断面（又はこれらを組み合わせた形状の断面）が例示される。
【０８９４】
＜入賞口ユニット６００を一例とする発明の概念について＞
第１の入球口と、その第１の入球口よりも遊技領域の下流側に配設される第２の入球口とを備えた遊技機において、前記第１の入球口に入球されず流下する遊技球の通路を形成する通路部材と、前記通路部材を第１の数の遊技球が通過する場合には、前記第１の数よりも少ない数である第２の数の遊技球が前記通路部材を通過する場合よりも、前記第２の入球口へ遊技球が入球しやすくする変更手段とを備えることを特徴とする遊技機Ｅ１。
【０８９５】
ここで、第１の入球口と、第２の入球口とを備えた遊技機が知られている（例えば、特開２００５−０１３４９６号公報）。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０８９６】
これに対し、遊技機Ｅ１によれば、第１の入球口に入球されず流下する遊技球の通路を形成する通路部材と、通路部材を第１の数の遊技球が通過する場合には、第１の数よりも少ない数である第２の数の遊技球が通路部材を通過する場合よりも、第２の入球口へ遊技球が入球しやすくする変更手段とを備えるので、第１の入球口に遊技球が入球しなかった場合でも、かかる遊技球の流下に注目させ、第２の入球口へ入球することに対する期待を遊技者に継続して持たせることができる。特に、通路部材を通過する遊技球の数によって第２の入球口への入球のしやすさが変更されるので、第１の入球口への入球に漏れた遊技球の数にも遊技者に着目させることができる。その結果、遊技の興趣の向上を図ることができる。
【０８９７】
なお、通路部材としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０８９８】
また、第１の数は、１以上の整数であり、第２の数は、２以上の整数であって、かつ、第１の数よりも大きい数である。例えば、第１の数が１である場合には、第２の数は、２以上の数であり、第１の数が２である場合には、第２の数は、３以上の数である。
【０８９９】
遊技機Ｅ１において、前記第１の入球口への入球により遊技者に付与される利益よりも前記第２の入球口への入球により遊技者に付与される利益の方が高い利益とされることを特徴とする遊技機Ｅ２。
【０９００】
遊技機Ｅ１において、第２の入球口への入球により遊技者に付与される利益よりも第１の入球口への入球により遊技者に付与される利益の方が高い利益とされることを特徴とする遊技機Ｅ３。
【０９０１】
遊技機Ｅ２によれば、遊技機Ｅ１の奏する効果に加え、第１の入球口への入球により遊技者に付与される利益よりも第２の入球口への入球により遊技者に付与される利益の方が高い利益とされるので、第１の入球口に遊技球が入球しなかった場合でも、かかる遊技球が第２の入球口へ入球することに対する期待をより強く遊技者に持たせることができる。その結果、遊技の興趣の向上を図ることができる。
【０９０２】
一方、遊技機Ｅ３によれば、遊技機Ｅ１の奏する効果に加え、第２の入球口への入球により遊技者に付与される利益よりも第１の入球口への入球により遊技者に付与される利益の方が高い利益とされるので、通常は、第１の入球口を狙って遊技球を打ち出すところ、かかる第１の入球口への入球に漏れた遊技球を、第２の入球口へ入球可能として、救済することができる。特に、通路部材を通過する遊技球の数が所定数よりも多い場合（第２の数よりも第１の数である場合）に、第２の入球口へ入球しやすくされるので、第１の入球口へ入球することに対する期待と、第１の入球口への入球に漏れる（即ち、第２の入球口へ入球しやすくなる）ことに対する期待との相反する期待を遊技者に持たせることができる。その結果、遊技の興趣の向上を図ることができる。
【０９０３】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０９０４】
遊技機Ｅ１からＥ３のいずれかにおいて、前記変更手段は、前記通路部材を通過する又は前記通路部材から流出する第１の遊技球の流下を規制する規制手段を備え、その規制手段は、前記第１の遊技球に対し第２の遊技球が後行する場合に、流下を規制された前記第１の遊技球に前記第２の遊技球を当接させて、前記第２の遊技球の流下方向を前記第２の入球口へ向かわせるように形成されることを特徴とする遊技機Ｅ４。
【０９０５】
遊技機Ｅ４によれば、遊技機Ｅ１からＥ３のいずれかの奏する効果に加え、変更手段は、通路部材を通過する又は通路部材から流出する第１の遊技球の流下を規制する規制手段を備え、その規制手段は、第１の遊技球に対し第２の遊技球が後行する場合に、流下を規制された第１の遊技球に第２の遊技球を当接（衝突）させて、第２の遊技球の流下方向を第２の入球口へ向かわせるように形成されるので、遊技の興趣の向上を図ることができる。即ち、第１の遊技球のみが流下する場合よりも、第１の遊技球および第２の遊技球が流下する場合の方が第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９０６】
遊技機Ｅ４において、前記規制手段は、前記通路部材の出口に対面する壁面に凹設される凹部として形成されることを特徴とする遊技機Ｅ５。
【０９０７】
遊技機Ｅ５によれば、遊技機Ｅ４の奏する効果に加え、規制手段は、通路部材の出口に対面する壁面に凹設される凹部として形成されるので、通路部材の出口から流出した第１の遊技球を凹部に受け入れて、第１の遊技球の流下を一時的に規制することができる（即ち、後行する第２の遊技球が衝突できるように第１の遊技球を一時的に保持できる）一方で、第１の遊技球の流下の規制の解除は、第１の遊技球がその自重により凹部から脱落（流下）することで行うことができる。よって、規制手段の形状のみで第１の遊技球の流下の規制（保持）及び規制の解除を行うことができ、これらを切り替える（規制を解除する）ための動作機構を不要とできるので、構造を簡素化して、製品コストの削減を図ることができる。
【０９０８】
また、遊技機Ｅ４によれば、通路部材の出口から流出した遊技球を第２の入球口へ案内する部材（例えば、第２の入球口へ向けて下降傾斜された転動面を備え、その転動面で遊技球を転動させることで、第２の入球口へ遊技球を入球させやすくする部材）が存在しない（案内する部材が、第２の入球口へ案内可能な位置と案内不能は位置との間で変位可能に形成され、案内不能な位置に変位された）状態であっても、凹部を利用して、第２の遊技球を第２の入球口へ入球させることができる。
【０９０９】
遊技機Ｅ５において、前記通路部材の出口は、遊技球が転動する底面と、その底面の幅方向両側に対向して立設される側壁面とを備え、前記側辺面の対向間隔が遊技球の直径と略同等の寸法に設定されることを特徴とする遊技機Ｅ６。
【０９１０】
遊技機Ｅ６によれば、遊技機Ｅ５の奏する効果に加え、通路部材の出口は、遊技球が転動する底面と、その底面の幅方向両側に対向して立設される側壁面とを備え、側壁面の対向間隔が遊技球の直径と略同等の寸法に設定されるので、通路部材の出口から流出される遊技球の軌跡を略一定としやすくでき、かかる遊技球を規制手段（凹部）に確実に受け入れさせることができる。
【０９１１】
遊技機Ｅ５又はＥ６において、前記凹部は、前記第２の入球口から離間する方向へ向かうに従って凹設深さが深くされることを特徴とする遊技機Ｅ７。
【０９１２】
遊技機Ｅ７によれば、遊技機Ｅ５又はＥ６の奏する効果に加え、凹部は、第２の入球口から離間する方向へ向かうに従って凹設深さが深くされるので、その凹部へ受け入れた遊技球を凹設深さが深くされる方向（即ち、第２の入球口から離間する側）へ位置ずれさせて保持することができる。よって、凹部に保持された第１の遊技球へ第２の遊技球が当接（衝突）した際には、かかる第２の遊技球を第２の入球口へ向かわせて入球しやすくできる。
【０９１３】
遊技機Ｅ５からＥ７のいずれかにおいて、出没可能に形成され突出されることで前記通路部材の出口と前記凹部との間であって重力方向下方となる位置に配設されるスライド部材を備え、前記スライド部材は、突出された状態では、遊技球を前記第２の入球口へ誘導可能に形成されることを特徴とする遊技機Ｅ８。
【０９１４】
遊技機Ｅ８によれば、遊技機Ｅ５からＥ７のいずれかにおいて、出没可能に形成され突出されることで通路部材の出口と凹部との間であって重力方向下方となる位置に配設されるスライド部材を備え、スライド部材は、突出された状態では、遊技球を第２の入球口へ誘導可能に形成されるので、凹部に保持された第１の遊技球を、突出されたスライド部材を利用して、第２の入球口へ入球させることができる。即ち、第１の遊技球が凹部から脱落（落下）されると、かかる第１の遊技球を、スライド部材により受け止め、スライド部材によって、第２の入球口へ誘導させることができる。その結果、第１の遊技球を第２の入球口へ入球させることができる。
【０９１５】
遊技機Ｅ１からＥ３のいずれかにおいて、前記変更手段は、前記通路部材を通過する遊技球が転動される被転動手段と、その被転動手段に連動可能に連結されると共に第１位置と第２位置との間で変位可能に形成され前記通路部材を通過する遊技球の進路を変更させる進路変更手段とを備え、前記進路変更手段が前記第２位置に変位された状態での遊技球の進路が、前記第１位置に変位された状態での遊技球の進路よりも前記第２の入球口へ入球しやすい進路とされ、前記被転動手段を第１の数の遊技球が転動する場合には、前記進路変更手段が第２位置に変位されると共に、前記被転動手段を前記第１の数よりも少ない第２の数の遊技球が転動する場合には、前記進路変更手段が第１位置に変位されることを特徴とする遊技機Ｅ９。
【０９１６】
遊技機Ｅ９によれば、遊技機Ｅ１からＥ３のいずれかの奏する効果に加え、変更手段は、通路部材を通過する遊技球が転動される被転動手段と、その被転動手段に連動可能に連結されると共に第１位置と第２位置との間で変位可能に形成され通路部材を通過する遊技球の進路を変更させる進路変更手段とを備え、進路変更手段が第２位置に変位された状態での遊技球の進路が、第１位置に変位された状態での遊技球の進路よりも第２の入球口へ入球しやすい進路とされ、被転動手段を第１の数の遊技球が転動する場合には、進路変更手段が第２位置に変位されると共に、被転動手段を第１の数よりも少ない第２の数の遊技球が転動する場合には、進路変更手段が第１位置に変位されるので、遊技の興趣の向上を図ることができる。
【０９１７】
即ち、第２の数の遊技球が流下する場合よりも、その第２の数よりも多い数である第１の数の遊技球が流下する場合の方が第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９１８】
遊技機Ｅ９において、前記進路変更手段が前記被転動手段よりも下流側に配設されることを特徴とする遊技機Ｅ１０。
【０９１９】
遊技機Ｅ１０によれば、遊技機Ｅ９の奏する効果に加え、進路変更手段が被転動手段よりも下流側に配設されるので、所定の遊技球の行方（進路）を、その所定の遊技球に後行する遊技球の数および連なり具合と関係付けることができ、その結果、遊技の興趣の向上を図ることができる。即ち、後行する遊技球が連なっている場合には、被転動手段を転動する遊技球の数が第１の数を維持している間は、進路変更手段を第２位置に維持して、進路変更手段に到達した各遊技球を第２の入球口へ入球しやすくできる一方、後行する遊技球の連なりが分断され、被転動手段を転動する遊技球の数が第２の数以下となった場合には、進路変更手段を第１位置に変位させて、進路変更手段に到達した各遊技球を上述した場合（進路変更手段が第２位置に変位された場合）よりも第２の入球口へ入球し難くできる。よって、後行する遊技球の数およびその連なり具合にも遊技者に着目させることができる。その結果、遊技の興趣の向上を図ることができる。
【０９２０】
遊技機Ｅ１からＥ３のいずれかにおいて、前記変更手段は、回転可能に形成される回転部材と、その回転部材の外面側に配設され遊技球を前記回転部材の外面に垂下状態で吸着させる磁石と、その磁石によって前記回転部材の外面に吸着された遊技球の前記回転部材の回転に伴う軌跡上に位置することで前記遊技球に当接して前記回転部材から遊技球を脱落させる当接手段とを備え、前記当接手段は、前記回転部材の外面に吸着される遊技球よりも重力方向下方に位置すると共に、前記回転部材の外面に吸着されて送球される遊技球よりも、前記当接手段の当接により前記回転部材から脱落された遊技球の方が、前記第２の入球口へ遊技球が入球しやすくされることを特徴とする遊技機Ｅ１１。
【０９２１】
遊技機Ｅ１１によれば、遊技機Ｅ１からＥ３のいずれかの奏する効果に加え、変更手段は、回転可能に形成される回転部材と、その回転部材の外面側に配設され遊技球を回転部材の外面に垂下状態で吸着させる磁石と、その磁石によって回転部材の外面に吸着された遊技球の回転部材の回転に伴う軌跡上に位置することで遊技球に当接して回転部材から遊技球を脱落させる当接手段とを備え、当接手段は、回転部材の外面に吸着される遊技球よりも重力方向下方に位置すると共に、回転部材の外面に吸着されて送球される遊技球よりも、当接手段の当接により回転部材から脱落された遊技球の方が、第２の入球口へ遊技球が入球しやすくされるので、遊技の興趣の向上を図ることができる。即ち、回転部材の外面に１の遊技球のみが吸着される場合よりも、回転部材の外面に吸着される遊技球に、１又は２以上の遊技球が更に吸着されている場合の方が、第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９２２】
特に、遊技機Ｅ１１によれば、複数の遊技球が回転部材へ向けて転動される場合であっても、遊技球が連なっている場合には、回転部材に先行する遊技球を吸着させると共にその先行する遊技球に後行する遊技球を吸着させやすく、少なくとも後行する遊技球を第２の入球口へ入球させやすくできる一方、遊技球どうしが所定の間隔を隔てている場合には、回転部材に先行する遊技球を吸着させられるが、その先行する遊技球に後行する遊技球を吸着させられず、後行の遊技球も回転部材に吸着されることとなる。即ち、先行および後行の両者ともに第２の入球口へは入球され難くされる。よって、遊技球の数だけでなく、それらの連なり具合にも遊技者に着目させることができる。その結果、遊技の興趣の向上を図ることができる。
【０９２３】
また、遊技機Ｅ１１によれば、回転部材の外面に垂下状態で遊技球を吸着させ、その垂下状態のままで遊技球を回転部材の回転に伴って送球するので、吸着までの転動速度や転動方向、吸着位置などのばらつきを要因として、ぶらぶらと揺動する不安定な状態として、回転部材から遊技球が脱落する形態も形成できる。即ち、１の遊技球のみが回転部材に吸着されている場合（当接手段に当接されない場合）であっても、かかる遊技球が脱落され、第２の入球口へ入球させやすくなるという演出を行うことができる。
【０９２４】
遊技機Ｅ１１において、前記当接手段は、先細平板状に形成され、前記回転部材の外面に吸着される第１の遊技球と、その第１の遊技球に吸着される第２の遊技球との間の吸着位置に先端が挿入される高さ位置に略水平な姿勢で配設されることを特徴とする遊技機Ｅ１２。
【０９２５】
遊技機Ｅ１２によれば、遊技機Ｅ１１の奏する効果に加え、当接手段は、先細平板状に形成され、回転部材の外面に吸着される第１の遊技球と、その第１の遊技球に吸着される第２の遊技球との間の吸着位置に先端が挿入される高さ位置に略水平な姿勢で配設されるので、回転部材の外面に第１の遊技球が吸着されると共にその第１の遊技球に第２の遊技球が吸着されている場合には、第１の遊技球および第２の遊技球の吸着をスムーズに解除して、第２の遊技球のみを脱落させやすくできると共に、回転部材の外面に第１の遊技球のみが吸着されている場合には、かかる第１の遊技球へ当接手段が作用することを抑制して、第１の遊技球の吸着を維持しやすくできる。よって、１の遊技球のみが回転部材に吸着され垂下されている場合と、２以上の遊技球が回転部材に吸着され連なって垂下されている場合とでの第２の入球口への入球のしやすさの差をより明確とできる。これにより、遊技球の数やそれらの連なり具合を遊技者に更に着目させることができる。その結果、遊技の興趣の向上を図ることができる。
【０９２６】
＜可変ユニット３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の磁石に第１の遊技球が吸着されると共に前記第１の遊技球に第２の遊技球が磁着された場合に、前記回転部材の磁石と前記第１の遊技球との吸着を解除しやすくする解除手段を備えることを特徴とする遊技機Ｆ１。
【０９２７】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０９２８】
これに対し、遊技機Ｆ１によれば、回転部材の磁石に第１の遊技球が吸着されると共に第１の遊技球に第２の遊技球が磁着された場合に、回転部材の磁石と第１の遊技球との吸着を解除しやすくする解除手段を備えるので、これら第１の遊技球および第２の遊技球の両者が回転部材の回転方向へ送球されることを抑制できる。
【０９２９】
即ち、第１の遊技球のみが回転部材へ向けて転動され、回転部材の外周面（磁石）に吸着された場合には、かかる第１の遊技球を回転部材の回転方向へ送球できる一方、第１の遊技球に加え、第２の遊技球も回転部材へ向けて転動され、第１の遊技球が回転部材の外周面（磁石）に吸着されると共に第１の遊技球に第２の遊技球が吸着された場合には、これら第１の遊技球および第２の遊技球の両者を回転部材の回転方向へ送球できないようにできるので、第１の遊技球が回転部材へ向けて転動する際に、その第１の遊技球の後方に他の遊技球（即ち、第２の遊技球）が転動してきていないかを遊技者に懸念させる（ドキドキさせる）ことができる。その結果、遊技の興趣の向上を図ることができる。
【０９３０】
遊技機Ｆ１において、前記回転部材の外周面に吸着されて前記回転部材の回転方向へ送球された遊技球が入球する第１の入球口と、前記回転部材の外周面に吸着されなかった遊技球が入球する第２の入球口とを備え、少なくとも第１の入球口に遊技球が入球すると遊技者に利益が付与される、又は、前記第１の入球口への入球により遊技者に付与される利益が前記第２の入球口への入球により遊技者に付与される利益よりも高い利益とされることを特徴とする遊技機Ｆ２。
【０９３１】
遊技機Ｆ２によれば、遊技機Ｆ１の奏する効果に加え、回転部材の外周面に吸着されて回転部材の回転方向へ送球された遊技球が入球する第１の入球口と、回転部材の外周面に吸着されなかった遊技球が入球する第２の入球口とを備え、少なくとも第１の入球口に遊技球が入球すると遊技者に利益が付与される、又は、第１の入球口への入球により遊技者に付与される利益が第２の入球口への入球により遊技者に付与される利益よりも高い利益とされるので、遊技の興趣の向上を図ることができる。
【０９３２】
即ち、遊技者は、第１の入球口への入球により利益を得る、又は、第２の入球口への入球の場合よりも高い利益を得ることを期待して、遊技球が回転部材の外周面に吸着して回転部材の回転方向へ送球されることを望み、また、利益が付与される機会をより多く得ることを期待して、より多くの遊技球が回転部材の外周面に吸着して回転部材の回転方向へ送球されることを望む。これに対し、第１の遊技球のみが回転部材の外周面に吸着された場合には、かかる第１の遊技球を回転部材の回転方向（第１の入球口）へ送球できる一方で、回転部材の外周面に吸着された第１の遊技球に第２の遊技球が吸着された場合には、第２の遊技球だけでなく、第１の遊技球も、回転部材の回転方向へ送球されず、両者から第１の入球口への入球の機会が失われることとなる。そのため、第１の遊技球が回転部材へ向けて転動する際に、その第１の遊技球の後方に他の遊技球（即ち、第２の遊技球）が転動してきていないかを遊技者に懸念させやすく（ドキドキさせやすく）でき、その結果、遊技の興趣の向上を図ることができる。
【０９３３】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０９３４】
遊技機Ｆ１又はＦ２において、前記解除手段は、前記回転部材に変位可能に配設される変位部材を備え、前記変位部材は、前記第１の遊技球に吸着された前記第２の遊技球に当接されることで変位されると共にその変位により前記第１の遊技球と前記磁石との間の距離を拡大させることを特徴とする遊技機Ｆ３。
【０９３５】
遊技機Ｆ３によれば、遊技機Ｆ１又はＦ２の奏する効果に加え、解除手段は、回転部材に変位可能に配設される変位部材を備え、変位部材は、第１の遊技球に吸着された第２の遊技球に当接されることで変位されると共にその変位により第１の遊技球と磁石との間の距離を拡大させるので、第１の遊技球に第２の遊技球が吸着されている場合には、かかる第２の遊技球の重さを利用して、磁石と第１の遊技球との吸着を解除する一方、第１の遊技球に第２の遊技球が吸着されていない場合には、磁石と第１の遊技球との吸着が解除されないようにすることができる。また、このような切り替えを、第２の遊技球の重さを利用して行うので、変位部材を変位させるための駆動源を設けることを不要とでき、その分、製品コストの削減を図ることができる。
【０９３６】
なお、変位部材の変位により第１の遊技球と磁石との間の距離を拡大させる形態としては、第１の遊技球のみが変位される形態、磁石のみが変位される形態、第１の遊技球および磁石の両者が変位される形態のいずれであっても良い。
【０９３７】
遊技機Ｆ１又はＦ２において、前記解除手段は、前記回転部材の外周面に凹設され、前記第１の遊技球に吸着された前記第２の遊技球を受け入れる凹部として形成されることを特徴とする遊技機Ｆ４。
【０９３８】
遊技機Ｆ４によれば、遊技機Ｆ１又はＦ２の奏する効果に加え、解除手段は、回転部材の外周面に凹設され、第１の遊技球に吸着された第２の遊技球を受け入れる凹部として形成されるので、第１の遊技球の重力方向下方側に第２の遊技球を近づけることができ、その分、第１の遊技球に作用する第２の遊技球の重さのうちの重力方向成分を増加させやすくできる。よって、第１の遊技球と磁石との吸着を解除しやすくできる。
【０９３９】
即ち、第１の遊技球に第２の遊技球が吸着されている場合には、かかる第２の遊技球の重さを利用して、磁石と第１の遊技球との吸着を解除する一方、第１の遊技球に第２の遊技球が吸着されていない場合には、磁石と第１の遊技球との吸着が解除されないようにすることができる。また、このような切り替えを、第２の遊技球の重さを利用する手段として、回転部材の外周面に凹設された凹部のみで足りるので、変位部材や駆動源を設けることを不要とでき、その分、製品コストの削減を図ることができる。
【０９４０】
遊技機Ａ１からＡ１１，Ｂ１からＢ８，Ｃ１からＣ７，Ｄ１からＤ１３，Ｅ１から１２及びＦ１からＦ４のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０９４１】
遊技機Ａ１からＡ１１，Ｂ１からＢ８，Ｃ１からＣ７，Ｄ１からＤ１３，Ｅ１から１２及びＦ１からＦ４のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０９４２】
遊技機Ａ１からＡ１１，Ｂ１からＢ８，Ｃ１からＣ７，Ｄ１からＤ１３，Ｅ１から１２及びＦ１からＦ４のいずれかにおいて前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０９４３】
１０                          パチンコ機（遊技機）
１３                          遊技盤
２６                          左始動入賞口（第１の入球口）
２７                          右始動入賞口（第１の入球口）
３３１ａ                      受部（転動部材）
３５２                        可変板（変位部材）
３５２ｄ１                    膨出部（板厚部）
３５３ｄ                      第１乱反射部（第１透過部材）
３５３ｆ                      立設部（連結部材）
３５４ｂ                      第２乱反射部（第２透過部材）
３５５                        発光部材（基盤部材）
３５５ａ                      ＬＥＤ（発光手段）
３６９                        ストッパ部（遮断手段）
３７０Ｌ，２３７０Ｌ，３３７０Ｌ，４３７０Ｌ，５３７０Ｌ  回転体（回転部材）
３７０Ｒ，２３７０Ｒ，３３７０Ｒ，４３７０Ｒ，５３７０Ｒ  回転体（回転部材）
３７２Ｒｂ，２３７２Ｒｂ      磁石
３７２Ｌｃ２，２３７２Ｌｃ，３３７２Ｌｃ，５３７２Ｌｃ    溝部（凹部）
３７２Ｒｃ２，２３７２Ｒｃ，３３７２Ｒｃ，５３７２Ｒｃ    溝部（凹部）
４３７２Ｒｃ５                凹設部（凹部）
５３７２Ｒｄ，５３７２Ｌｄ    解除部材（変位部材）
３７３Ｒａ，３７３Ｌａ        回収口（第２の入球口）
３８１ｃ                      第２転動部（転動面）
３８１ｄ                      第３転動部（受取部）
２３８１ｇ                    区画壁
３８２                        Ｖ入賞部材（第１の入球口）
６１３ａ                      案内板（底面部）
６１３ａ１                    当接面
６１３ａ２                    転動面（送球面）
７６１３ｅ                    貫通孔（凹部）
６３１ｂ                      第２貫通孔（第１開口）
６３２ａ                      貫通孔（第２の入球口）
６３２ｂ                      連結孔（第２開口）
６３３ｂ                      第２貫通孔（第１開口）
６４０，８６４０，９６４０，１１６４０                    経路部材（通路部材）
１０６４２ａ                  先端部（当接部材）
８６４４ａ                    可変板（被転動手段）
８６４４ｃ                    規制部材（進路変更手段）
６５２                        可変板（スライド部材）
１１６５２ａ                  凹部（案内部）
６５５                        ソレノイド（駆動手段）
ＳＥ１                        センサ装置（検出部材）
【図１】
2020203214.tif 000003
【図２】
2020203214.tif 000004
【図３】
2020203214.tif 000005
【図４】
2020203214.tif 000006
【図５】
2020203214.tif 000007
【図６】
2020203214.tif 000008
【図７】
2020203214.tif 000009
【図８】
2020203214.tif 000010
【図９】
2020203214.tif 000011
【図１０】
2020203214.tif 000012
【図１１】
2020203214.tif 000013
【図１２】
2020203214.tif 000014
【図１３】
2020203214.tif 000015
【図１４】
2020203214.tif 000016
【図１５】
2020203214.tif 000017
【図１６】
2020203214.tif 000018
【図１７】
2020203214.tif 000019
【図１８】
2020203214.tif 000020
【図１９】
2020203214.tif 000021
【図２０】
2020203214.tif 000022
【図２１】
2020203214.tif 000023
【図２２】
2020203214.tif 000024
【図２３】
2020203214.tif 000025
【図２４】
2020203214.tif 000026
【図２５】
2020203214.tif 000027
【図２６】
2020203214.tif 000028
【図２７】
2020203214.tif 000029
【図２８】
2020203214.tif 000030
【図２９】
2020203214.tif 000031
【図３０】
2020203214.tif 000032
【図３１】
2020203214.tif 000033
【図３２】
2020203214.tif 000034
【図３３】
2020203214.tif 000035
【図３４】
2020203214.tif 000036
【図３５】
2020203214.tif 000037
【図３６】
2020203214.tif 000038
【図３７】
2020203214.tif 000039
【図３８】
2020203214.tif 000040
【図３９】
2020203214.tif 000041
【図４０】
2020203214.tif 000042
【図４１】
2020203214.tif 000043
【図４２】
2020203214.tif 000044
【図４３】
2020203214.tif 000045
【図４４】
2020203214.tif 000046
【図４５】
2020203214.tif 000047
【図４６】
2020203214.tif 000048
【図４７】
2020203214.tif 000049
【図４８】
2020203214.tif 000050
【図４９】
2020203214.tif 000051
【図５０】
2020203214.tif 000052
【図５１】
2020203214.tif 000053
【図５２】
2020203214.tif 000054
【図５３】
2020203214.tif 000055
【図５４】
2020203214.tif 000056
【図５５】
2020203214.tif 000057
【図５６】
2020203214.tif 000058
【図５７】
2020203214.tif 000059
【図５８】
2020203214.tif 000060
【図５９】
2020203214.tif 000061
【図６０】
2020203214.tif 000062
【図６１】
2020203214.tif 000063
【図６２】
2020203214.tif 000064
【図６３】
2020203214.tif 000065
【図６４】
2020203214.tif 000066
【図６５】
2020203214.tif 000067
【図６６】
2020203214.tif 000068
【図６７】
2020203214.tif 000069
【図６８】
2020203214.tif 000070
【図６９】
2020203214.tif 000071
【図７０】
2020203214.tif 000072
【図７１】
2020203214.tif 000073
【図７２】
2020203214.tif 000074
【図７３】
2020203214.tif 000075
【図７４】
2020203214.tif 000076
【図７５】
2020203214.tif 000077
【図７６】
2020203214.tif 000078
【図７７】
2020203214.tif 000079
【図７８】
2020203214.tif 000080
【図７９】
2020203214.tif 000081
【図８０】
2020203214.tif 000082
【図８１】
2020203214.tif 000083
【図８２】
2020203214.tif 000084
【図８３】
2020203214.tif 000085
【図８４】
2020203214.tif 000086
【図８５】
2020203214.tif 000087
【図８６】
2020203214.tif 000088
【図８７】
2020203214.tif 000089
【図８８】
2020203214.tif 000090
【図８９】
2020203214.tif 000091
【図９０】
2020203214.tif 000092
【図９１】
2020203214.tif 000093
【図９２】
2020203214.tif 000094
【図９３】
2020203214.tif 000095
【図９４】
2020203214.tif 000096
【図９５】
2020203214.tif 000097
【図９６】
2020203214.tif 000098
【図９７】
2020203214.tif 000099
【図９８】
2020203214.tif 000100
【図９９】
2020203214.tif 000101
【図１００】
2020203214.tif 000102
【図１０１】
2020203214.tif 000103
【図１０２】
2020203214.tif 000104
【図１０３】
2020203214.tif 000105
【図１０４】
2020203214.tif 000106
【図１０５】
2020203214.tif 000107
【図１０６】
2020203214.tif 000108
【図１０７】
2020203214.tif 000109
【図１０８】
2020203214.tif 000110
【図１０９】
2020203214.tif 000111
【図１１０】
2020203214.tif 000112
【図１１１】
2020203214.tif 000113
【図１１２】
2020203214.tif 000114
【図１１３】
2020203214.tif 000115
【図１１４】
2020203214.tif 000116
【図１１５】
2020203214.tif 000117
【図１１６】
2020203214.tif 000118
【図１１７】
2020203214.tif 000119
【図１１８】
2020203214.tif 000120
【図１１９】
2020203214.tif 000121
【図１２０】
2020203214.tif 000122
【図１２１】
2020203214.tif 000123
【図１２２】
2020203214.tif 000124
【図１２３】
2020203214.tif 000125
【図１２４】
2020203214.tif 000126
【図１２５】
2020203214.tif 000127
【図１２６】
2020203214.tif 000128
【図１２７】
2020203214.tif 000129
【図１２８】
2020203214.tif 000130
【図１２９】
2020203214.tif 000131
【図１３０】
2020203214.tif 000132
【図１３１】
2020203214.tif 000133
【図１３２】
2020203214.tif 000134
【図１３３】
2020203214.tif 000135
【図１３４】
2020203214.tif 000136
【図１３５】
2020203214.tif 000137
【図１３６】
2020203214.tif 000138
【図１３７】
2020203214.tif 000139
【図１３８】
2020203214.tif 000140
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、
前記回転部材の外周面に並設されると共に遊技球が転動される転動面を備え、その転動面が前記回転部材の回転軸よりも重力方向上方に位置することを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（特許文献１）。
【先行技術文献】
【特許文献】
【０００３】
【特許文献１】特開２０１２−２３１８９０号公報
【発明の概要】
【発明が解決しようとする課題】
【０００４】
しかしながら、上述した遊技機では、回転部材と遊技球との間の吸着が解除されるという問題点があった。
【０００５】
本発明は、上記例示した問題点を解決するためになされたものであり、回転部材と遊技球との間の吸着が解除され難くできる遊技機を提供することを目的とする。
【課題を解決するための手段】
【０００６】
この目的を達成するために請求項１記載の遊技機は、回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球するものであり、前記回転部材の外周面に並設されると共に遊技球が転動される転動面を備え、その転動面が前記回転部材の回転軸よりも重力方向上方に位置する。
【０００７】
【０００８】
【発明の効果】
【０００９】
請求項１記載の遊技機によれば、回転部材と遊技球との間の吸着を解除され難くできる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の正面斜視図である。
【図６】遊技盤の分解正面斜視図である。
【図７】遊技盤の分解背面斜視図である。
【図８】可動入球役物装置の正面図である。
【図９】可動入球役物装置の背面図である。
【図１０】可動入球役物装置正面の斜視図である。
【図１１】可動入球役物装置の背面斜視図である。
【図１２】可動入球役物装置の分解正面斜視図である。
【図１３】可動入球役物装置の分解背面斜視図である。
【図１４】センターフレームの分解正面斜視図である。
【図１５】センターフレームの分解背面斜視図である。
【図１６】（ａ）から（ｃ）は、センターフレームの部分拡大背面図である。
【図１７】（ａ）から（ｃ）は、センターフレームの部分拡大正面図である。
【図１８】（ａ）は、第１状態におけるセンターフレームの部分拡大正面図であり、（ｂ）は、第３状態におけるセンターフレームの部分拡大正面図である。
【図１９】（ａ）は、中間部材の正面図であり、（ｂ）は、中間部材の背面図であり、（ｃ）は、図１９（ａ）のＸＩＸｃ−ＸＩＸｃ線における中間部材の断面図である。
【図２０】（ａ）は、中間部材の分解正面斜視図であり、図２０（ｂ）は、中間部材の分解背面斜視図である。
【図２１】（ａ）は、センターフレームおよび中間部材の正面図であり、（ｂ）は、センターフレームおよび中間部材の側面図であり、（ｃ）は、図２１（ａ）のＸＸＩｃ−ＸＸＩｃ線におけるセンターフレームおよび中間部材の部分拡大断面図である。
【図２２】（ａ）から（ｃ）は、センターフレームおよび中間部材の正面図である。
【図２３】（ａ）から（ｃ）は、センターフレームおよび中間部材の部分拡大断面図である。
【図２４】（ａ）から（ｃ）は、センターフレームおよび中間部材の断面図である。
【図２５】（ａ）は、後方部材の正面図であり、（ｂ）は、後方部材の背面図であり、（ｃ）は、図２５（ａ）のＸＸＶｃ−ＸＸＶｃ線における後方部材の断面図である。
【図２６】後方部材の分解正面斜視図である。
【図２７】後方部材の分解背面斜視図である。
【図２８】（ａ）から（ｃ）は、図２５のＸＸＶＩＩＩ−ＸＸＶＩＩＩ線における後方部材の断面図である。
【図２９】（ａ）から（ｃ）は、後方部材の断面図である。
【図３０】（ａ）は、中間部材および後方部材の正面図であり、（ｂ）は、中間部材および後方部材の側面図である。
【図３１】（ａ）は、図３０（ａ）のＸＸＸＩａ−ＸＸＸＩａ線における中間部材および後方部材の断面図であり、（ｂ）は、図３０（ｂ）のＸＸＸＩｂ−ＸＸＸＩｂ線における中間部材および後方部材の断面図である。
【図３２】中間部材および後方部材の断面図である。
【図３３】中間部材および後方部材の断面図である。
【図３４】中間部材および後方部材の断面図である。
【図３５】中間部材および後方部材の断面図である。
【図３６】中間部材および後方部材の断面図である。
【図３７】中間部材および後方部材の断面図である。
【図３８】中間部材および後方部材の断面図である。
【図３９】中間部材および後方部材の断面図である。
【図４０】中間部材および後方部材の断面図である。
【図４１】中間部材および後方部材の断面図である。
【図４２】中間部材および後方部材の断面図である。
【図４３】中間部材および後方部材の断面図である。
【図４４】中間部材および後方部材の断面図である。
【図４５】中間部材および後方部材の断面図である。
【図４６】中間部材および後方部材の断面図である。
【図４７】中間部材および後方部材の断面図である。
【図４８】中間部材および後方部材の断面図である。
【図４９】中間部材および後方部材の断面図である。
【図５０】中間部材および後方部材の断面図である。
【図５１】中間部材および後方部材の断面図である。
【図５２】（ａ）は、背面ベースの正面図であり、（ｂ）は、背面ベースの側面図である。
【図５３】背面ベースの分解正面斜視図である。
【図５４】背面ベースの分解背面斜視図である。
【図５５】（ａ）から（ｃ）は、図５２のＬＶ−ＬＶ線における背面ベースの断面図である。
【図５６】（ａ）は、可変ユニットの正面図であり、（ｂ）は、可変ユニットの上面図である。
【図５７】可変ユニットの本体部の分解正面斜視図である。
【図５８】可変ユニットの本体部の分解背面斜視図である。
【図５９】振分部の上面図である。
【図６０】振分部の上面図である。
【図６１】振分部の上面図である。
【図６２】可変ユニットの上面図である。
【図６３】可変ユニットの上面図である。
【図６４】可変ユニットの上面図である。
【図６５】（ａ）から（ｃ）は、可変ユニットの上面図である。
【図６６】可変ユニットの回転送球部の分解正面斜視図である。
【図６７】可変ユニットの回転送球部の分解背面斜視図である。
【図６８】（ａ）は、回転体の側面図であり、（ｂ）は、回転体の上面図であり、（ｃ）は、図６８（ｂ）のＬＸＶＩＩＩｃ−ＬＸＶＩＩＩｃ線における回転体の断面図であり、（ｄ）は、図６８（ｂ）のＬＸＶＩＩＩｄ−ＬＸＶＩＩＩｄ線における回転体の断面図である。
【図６９】（ａ）から（ｃ）は、図５６（ａ）のＬＸＩＸ−ＬＸＩＸ線における変位ユニットの断面模式図である。
【図７０】（ａ）から（ｃ）は、変位ユニットの部分上面図である。
【図７１】（ａ）は、可変ユニットおよび背面ベースの正面図であり、（ｂ）は、可変ユニットおよび背面ベースの上面図である。
【図７２】（ａ）から（ｃ）は、可変ユニットおよび背面ベースの上面図である。
【図７３】（ａ）から（ｃ）は、図７２（ａ）のＬＸＸＩＩＩ−ＬＸＸＩＩＩ線における可変ユニットおよび背面ベースの断面図である。
【図７４】（ａ）から（ｃ）は、図７１（ｂ）のＬＸＸＩＶ−ＬＸＸＩＶ線における可変ユニットおよび背面ベースの断面図である。
【図７５】（ａ）は、ストッパ部が変位前の状態における可変ユニットおよび背面ベースの断面図であり、（ｂ）は、ストッパ部が変位後の状態における可変ユニットおよび背面ベースの断面図である。
【図７６】可変ユニットおよび背面ベースの上面図である。
【図７７】可変ユニットおよび背面ベースの上面図である。
【図７８】可変ユニットおよび背面ベースの上面図である。
【図７９】（ａ）から（ｃ）は、可変ユニットおよび背面ベースの断面図である。
【図８０】可変ユニットおよび背面ベースの断面図である。
【図８１】（ａ）は、入賞口ユニットの正面図であり、（ｂ）は、入賞口ユニットの背面図である。
【図８２】入賞口ユニットの分解正面斜視図である。
【図８３】入賞口ユニットの分解背面斜視図である。
【図８４】（ａ）は、可変入賞装置の正面図であり、（ｂ）は、可変入賞装置の上面図である。
【図８５】（ａ）は、可変入賞装置の分解正面斜視図であり、（ｂ）は、可変入賞装置の分解背面斜視図である。
【図８６】（ａ）は、入賞口ユニットの正面図であり、（ｂ）は、入賞口ユニットの上面図である。
【図８７】（ａ）及び（ｂ）は、図８６の範囲ＬＸＸＸＶＩＩにおける入賞口ユニットの部分正面図である。
【図８８】（ａ）は、入賞口ユニットの上面図であり、（ｂ）は、図８８（ａ）のＬＸＸＸＶＩＩＩｂ−ＬＸＸＸＶＩＩＩｂ線における入賞口ユニットの断面図であり、図８８（ｃ）は、図８１（ａ）のＬＸＸＸＶＩＩＩｃ−ＬＸＸＸＶＩＩＩｃ線における入賞口ユニットの断面図である。
【図８９】（ａ）から（ｃ）は、入賞口ユニットの断面図である。
【図９０】（ａ）から（ｃ）は、入賞口ユニットの断面図である。
【図９１】（ａ）は、第２実施形態における可変ユニットの正面図であり、（ｂ）は、可変ユニットの上面図であり、（ｃ）は、図９１（ｂ）のＸＣＩｃ−ＸＣＩｃ線における可変ユニットの断面図である。
【図９２】可変ユニットの分解正面斜視図である。
【図９３】可変ユニットの分解背面斜視図である。
【図９４】（ａ）は、磁石の正面図であり、（ｂ）は、磁石の上面図であり、（ｃ）は、磁石の側面図である。
【図９５】（ａ）から（ｃ）は、可変ユニットの上面図である。
【図９６】（ａ）は、図９５（ａ）のＸＣＶＩａ−ＸＣＶＩａ線における可変ユニット２３６０の断面模式図であり、（ｂ）は、図９５（ｂ）のＸＣＶＩｂ−ＸＣＶＩｂ線における可変ユニットの断面模式図であり、（ｃ）は、図９５（ｃ）のＸＣＶＩｃ−ＸＣＶＩｃ線における可変ユニットの断面模式図である。
【図９７】（ａ）は、第３実施形態における回転体の側面図であり、（ｂ）は、回転体の上面図であり、（ｃ）は、図９７（ｂ）のＸＣＶＩＩｃ−ＸＣＶＩＩｃ線における断面図であり、（ｄ）は、図９７（ｂ）のＸＣＶＩＩｄ−ＸＣＶＩＩｄ線における断面図である。
【図９８】（ａ）及び（ｂ）は、可変ユニットの断面図である。
【図９９】（ａ）は、第４実施形態における回転体の側面図であり、（ｂ）は、回転体の上面図であり、（ｃ）は、図９９（ｂ）のＸＣＩＸｃ−ＸＣＩＸｃ線における回転体の断面図であり、（ｄ）は、図９９（ｂ）のＸＣＩＸｄ−ＸＣＩＸｄ線における回転体の断面図である。
【図１００】可変ユニットおよび背面ベースの断面図である。
【図１０１】可変ユニットおよび背面ベースの断面図である。
【図１０２】可変ユニットおよび背面ベースの断面図である。
【図１０３】第５実施形態における回転体の分解斜視正面図である。
【図１０４】（ａ）は、回転体の側面図であり、（ｂ）は、回転体の上面図であり、（ｃ）は、図１０４（ｂ）のＣＩＶｃ−ＣＩＶｃ線における回転体の断面図であり、（ｄ）は、図１０４（ｂ）のＣＩＶｄ−ＣＩＶｄ線における回転体の断面図である。
【図１０５】可変ユニットおよび背面ベースの断面図である。
【図１０６】可変ユニットおよび背面ベースの断面図である。
【図１０７】（ａ）は、第６実施形態における入賞口ユニットの正面図であり、（ｂ）は、入賞口ユニットの背面図である。
【図１０８】入賞口ユニットの分解斜視正面図である。
【図１０９】第７実施形態における入賞口ユニットの正面図である。
【図１１０】入賞口ユニットの分解斜視正面図である。
【図１１１】（ａ）から（ｃ）は、図１０９のＣＸＩ−ＣＸＩ線における入賞口ユニットの断面図である。
【図１１２】第８実施形態における入賞口ユニットの分解斜視正面図である。
【図１１３】（ａ）は、経路部材の正面図であり、（ｂ）は、図１１３（ａ）のＣＸＩＩＩｂ−ＣＸＩＩＩｂ線における経路部材の断面図である。
【図１１４】（ａ）は、経路部材の正面図であり、（ｂ）は、経路部材の断面図である。
【図１１５】（ａ）は、経路部材の正面図であり、（ｂ）は、経路部材の断面図である。
【図１１６】（ａ）は、経路部材の正面図であり、（ｂ）は、経路部材の断面図である。
【図１１７】第９実施形態における入賞口ユニットの正面図である。
【図１１８】入賞口ユニットの分解斜視正面図である。
【図１１９】（ａ）および（ｂ）は、経路部材の正面図である。
【図１２０】（ａ）及び（ｂ）は、経路部材の正面図である。
【図１２１】（ａ）及び（ｂ）は、入賞口ユニットの正面図である。
【図１２２】（ａ）及び（ｂ）は、入賞口ユニットの正面図である。
【図１２３】（ａ）は、第１０実施形態における経路切替部材の上面図であり、（ｂ）は、経路切替部材の正面図であり、（ｃ）は、経路切替部材の分解斜視正面図である。
【図１２４】（ａ）は、経路切替部材および各経路の上面図であり、（ｂ）は、図１２４（ａ）の矢印ＣＸＸＩＶｂ方向視における経路切替部材および各経路の側面図であり、（ｃ）は、図１２４（ａ）の矢印ＣＸＸＩＶｃ方向視における経路切替部材および各経路の側面図である。
【図１２５】（ａ）は、経路切替部材および各経路の上面図であり、（ｂ）は、経路切替部材および各経路の側面図である。
【図１２６】（ａ）は、経路切替部材および各経路の上面図であり、（ｂ）は、経路切替部材および各経路の側面図である。
【図１２７】（ａ）は、経路切替部材および各経路の上面図であり、（ｂ）は、経路切替部材および各経路の側面図である。
【図１２８】（ａ）は、経路切替部材および各経路の上面図であり、（ｂ）は、経路切替部材および各経路の側面図である。
【図１２９】（ａ）は、経路切替部材および各経路の上面図であり、（ｂ）は、経路切替部材および各経路の側面図である。
【図１３０】（ａ）は、経路切替部材および各経路の上面図であり、（ｂ）は、経路切替部材および各経路の側面図である。
【図１３１】第１１実施形態における入賞口ユニットの正面図である。
【図１３２】入賞口ユニットの分解斜視正面図である。
【図１３３】入賞口ユニットの分解斜視背面図である。
【図１３４】（ａ）及び（ｂ）は、図１３１のＣＸＸＸＩＶ−ＣＸＸＸＩＶ線における入賞口ユニットの断面図である。
【図１３５】（ａ）及び（ｂ）は、入賞口ユニットの断面図である。
【図１３６】（ａ）（ｃ）は、入賞口ユニットの断面図である。
【図１３７】（ａ）は、可変板の変位量の時間変化を示すタイムチャートであり、（ｂ）は、第１実施形態における可変板の変位量の時間変化を示すタイムチャートである。
【図１３８】（ａ）は、回転体の側面図であり、（ｂ）は、回転体の上面図であり、（ｃ）は、図１３８（ｂ）のＣＸＸＸＶＩＩＩｃ−ＣＸＸＸＶＩＩＩｃ線における回転体の断面図であり、（ｄ）は、図１３８（ｂ）のＣＸＸＸＶＩＩＩｄ−ＣＸＸＸＶＩＩＩｄ線における回転体の断面図である。
【発明を実施するための形態】
【００１３】
以下、本発明の実施形態について、添付図面を参照して説明する。まず、図１から図９０を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口２６，２７，２８，６３等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された遊技球を遊技盤１３の正面領域まで誘導する発射レール（図示せず）等が取り付けられている。
【００１６】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１７】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１８】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された遊技球が球発射ユニット１１２ａ（図４参照）へと案内される。また、上皿１７の上面には、枠ボタン２２が設けられている。この枠ボタン２２は、例えば、第３図柄表示装置（図示せず）で表示される演出のステージを変更したり、スーパーリーチの演出内容を変更したりする場合などに、遊技者により操作される。
【００１９】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて遊技球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に遊技球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった遊技球を貯留するための下皿５０が上面を開放した略箱状に形成されている。下皿５０の右側には、球を遊技盤１３の正面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には遊技球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で遊技球が発射され、これにより遊技者の操作に対応した飛び量で遊技盤１３の正面へ遊技球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された遊技球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から遊技球が自然落下して排出される。この球抜きレバー５２の操作は、通常、下皿５０の下方に下皿５０から排出された遊技球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、２つの一般入賞口６３、比較的大型の可動入球役物装置３００、その可動入球役物装置３００の左下方位置に配設される左始動入賞口２６、中央位置に配設される中始動入賞口２８、右下方位置に配設される右始動入賞口２７を備え、その周縁部が内枠１２（図１参照）の裏面側に取り付けられる。
【００２６】
ベース板６０は光透過性の樹脂材料からなり、その正面側からベース板６０の後面側に配設された各種構造体を遊技者に視認させることが可能に形成される。
【００２７】
一般入賞口６３、左始動入賞口２６、右始動入賞口２７、中始動入賞口２８、可動入球役物装置３００は、ルータ加工によってベース板６０に形成された貫通穴に配設され、遊技盤１３の正面側からタッピングネジ等により固定されている。
【００２８】
遊技領域内に放り込まれた遊技球は、その流下の過程で無作為に普通入賞口６３に入球したり、左始動入賞口２６、中始動入賞口２８又は右始動入賞口２７に入球したり、あるいは作動時（開放時）の可動入球役物装置３００に入球したりする。
【００２９】
各入賞口に入球した遊技球は遊技盤１３に形成された貫通穴を通じて遊技盤１３の裏側へ回収される。
【００３０】
一方、可動入球役物装置３００内に流入した遊技球は、さらにその内部で流下や転動、上昇等の過程を経て振り分け動作が行われた後に排出され、遊技盤１３の裏側へ回収される。なお、可動入球役物装置３００内での振り分け動作については、別の図面を参照しながら後述する。
【００３１】
可動入球役物装置３００は、特定の条件が満たされた場合（例えば、左始動入賞口２６、中始動入賞口２８又は右始動入賞口２７に遊技球が入球した場合であって、所定の特別図柄が小当たりの態様で停止表示された場合）に作動し、遊技球の流入を可能にする。すなわち可動入球役物装置３００は、遊技領域の上部位置に設けられた羽部３１２（いわゆる羽根部材）を有しており、この羽部３１２は、例えばソレノイド３１７（図１４参照）を用いたリンク機構の働きにより、盤面に沿って所定角度だけ往復回転する。
【００３２】
羽部３１２は、略直立した状態にあり、可動入球役物装置３００への遊技球の流入は常に不能となっている。可動入球役物装置３００が作動すると、羽部３１２がその基端部を中心として遊技領域内の左右方向へ倒れるようにして変位することで可動入球役物装置３００への遊技球の流入を可能にする。羽部３１２は遊技領域内の上部位置、特に遊技球が最初に打ち込まれる位置の近くにあることから、可動入球役物装置３００の作動時に遊技領域内に打ち込まれた遊技球は、上部位置の釘に誘導されて容易に羽部３１２に到達し、そのまま羽部３１２に案内されて可動入球役物装置３００に流入する。
【００３３】
可動入球役物装置３００は、規定の条件が満たされた場合（可動入球役物装置３００の内部に設けられたいずれかの特定領域を遊技球が通過した場合）にも作動し、可動入球役物装置３００への入球を可能にする。なお、可動入球役物装置３００内の特定領域についてはさらに後述する。
【００３４】
また、可動入球役物装置３００内には、後述する可変板３５２（図１２参照）が配置されている。可変板３５２は、遊技球をノーマルルートに誘導するかスペシャルルートに誘導するかの振り分け動作を行う。遊技球がノーマルルートに誘導されれば、その後に大当りとなる確率は低いが、遊技球がスペシャルルートに誘導されれば、遊技球がノーマルルートに誘導された場合と比較してその後に大当りとなる確率が高くなる。
【００３５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００３６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された遊技球が流下する領域）である。
【００３７】
２本のレール６１，６２は、球発射ユニット１１２ａ（図４参照）から発射された遊技球を遊技盤１３上部へ案内するために設けられたものである。内レール６１の先端部分（図２の左上部）には戻り球防止部材６８が取り付けられ、一旦、遊技盤１３の上部へ案内された遊技球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された遊技球は、返しゴム６９に当たって、勢いが減衰されつつ中央部側へ跳ね返される。
【００３８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、左右始動入賞口２６，２７へ入賞したか、中始動入賞口２８へ入賞したかに応じて使い分けられるように構成されている。具体的には、球が、左右始動入賞口２６，２７へ入賞した場合には、第１図柄表示装置３７Ａが作動し、一方で、球が、中始動入賞口２８へ入賞した場合には、第１図柄表示装置３７Ｂが作動するように構成されている。
【００３９】
また、第１図柄表示装置３７Ａ，３７Ｂは、ＬＥＤにより、パチンコ機１０が時短中か通常中であるかを点灯状態により示したり、変動中であるか否かを点灯状態により示したり、停止図柄が小当たりに対応した図柄かを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００４０】
尚、本パチンコ機１０では、第１センサ３１１ｂへ入賞があったことを契機として抽選（可動入球役物装置３００を流下する遊技球が特定領域を通るか否かの抽選）が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１６Ｒ大当たり、７Ｒ大当たり、３Ｒ大当たり、が用意されている。第１図柄表示装置３７Ａ，３７Ｂには、大当たりである場合はその大当たり種別に応じた図柄が示される。
【００４１】
ここで、「１６Ｒ大当たり」とは、最大ラウンド数が１６ラウンドの大当たりのことであり、「７Ｒ大当たり」とは、最大ラウンド数が７ラウンドの大当たりのことであり、「３Ｒ大当たり」とは、最大ラウンド数が３ラウンドの大当たりのことである。
【００４２】
１ラウンドとは、大当たりの賞球個数を区切る単位のことである。本実施形態では、１ラウンドの間は、羽部３１２が傾倒し、第１センサ３１１ｂ（図１４参照）が開放され、３０秒間経過するか、遊技球が１０個第１センサ３１１ｂを通過すると終了となる。第１センサ３１１ｂを遊技球が１個通過することにより１０個の賞球があるので、１ラウンドごとに、約１００個の賞球を得ることができる。
【００４３】
なお、本実施形態では、１ラウンド目は、遊技球がＶ入賞部材３８２（図１０参照）を通過することで終了となるので、１ラウンド目は賞球が無い。即ち、３Ｒ大当たりでは、最大で約２００個の賞球が、７Ｒ大当たりでは、最大で約６００個の賞球が、１６Ｒ大当たりでは、最大で約１５００個の賞球が得られる。
【００４４】
時短状態（時短中）とは、大当たり確率がそのままで第２図柄の当たり確率のみがアップして中始動入賞口２８へ遊技球が入賞し易い遊技の状態のことをいう。一方、パチンコ機１０が通常中とは、時短中でない遊技の状態（第２図柄の当たり確率がアップしていない状態）である。
【００４５】
時短中は、第２図柄の当たり確率がアップするだけではなく、中始動入賞口２８に付随する可変入賞装置６５０の可変板６５２が開放される時間も変更され、通常中と比して長い時間が設定される。可変入賞装置６５０の可変板６５２が開放された状態（開放状態）にある場合は、その可変入賞装置６５０の可変板６５２が閉鎖された状態（閉鎖状態）にある場合と比して、中始動入賞口２８へ遊技球が入賞しやすい状態となる。よって、時短中は、中始動入賞口２８へ遊技球が入賞し易い状態となり、羽部３１２を開放状態にし易くすることができる。
【００４６】
なお、時短中において、中始動入賞口２８に付随する可変入賞装置６５０の可変板６５２の開放時間を変更するのではなく、または、その開放時間を変更することに加えて、１回の当たりで可変入賞装置６５０の可変板６５２が開放する回数を通常中よりも増やす変更を行うものとしてもよい。また、時短中において、第２図柄の当たり確率は変更せず、中始動入賞口２８に付随する可変入賞装置６５０の可変板６５２が開放される時間および１回の当たりで可変入賞装置６５０の可変板６５２が開放する回数の少なくとも一方を変更するものとしてもよい。また、時短中において、中始動入賞口２８に付随する可変入賞装置６５０の可変板６５２が開放される時間や、１回の当たりで可変入賞装置６５０の可変板６５２を開放する回数は変更せず、第２図柄の当たり確率だけを、通常中と比してアップするよう変更するものであってもよい。
【００４７】
遊技領域には、球が入賞することにより５個から１５個の遊技球が賞球として払い出される複数の一般入賞口６３が配設されている。また、遊技領域の中央部分には、可動入球役物装置３００が配設されている。可動入球役物装置３００には、左右始動入賞口２６，２７及び中始動入賞口２８への入賞（始動入賞）をトリガとして、第１図柄表示装置３７Ａ，３７Ｂにおける変動表示と同期させながら、開閉動作する羽部３１２と、スルーゲート６７の遊技球の通過をトリガとして第２図柄を変動表示するＬＥＤで構成される第２図柄表示装置（図示せず）とが設けられている。また、可動入球役物装置３００には、外周を囲むようにして、センターフレーム８６が配設されている。
【００４８】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第２図柄の変動表示後に「×」の図柄が停止表示される。
【００４９】
パチンコ機１０は、第２図柄表示装置における変動表示が所定図柄（本実施形態においては「○」の図柄）で停止した場合に、中始動入賞口２８に付随された可変入賞装置６５０の可変板６５２が所定時間だけ作動状態となる（開放される）よう構成されている。
【００５０】
第２図柄の変動表示にかかる時間は、遊技状態が通常中の場合よりも、時短中の方が短くなるように設定される。これにより、時短中は、第２図柄の変動表示が短い時間で行われるので、当たり抽選を通常中よりも多く行うことができる。よって、当たり抽選において当たりとなる機会が増えるので、中始動入賞口２８の可変入賞装置６５０の可変板６５２が開放状態となる機会を遊技者に多く与えることができる。よって、時短中は、中始動入賞口２８へ遊技球が入賞しやすい状態とすることができる。
【００５１】
なお、時短中において、当たり確率を高める、１回に当たりに対する可変入賞装置６５０の可変板６５２の開放時間や開放回数を増やすなど、その他の方法によっても、時短中に中始動入賞口２８へ遊技球が入賞しやすい状態としている場合は、第２図柄の変動表示にかかる時間を遊技状態にかかわらず一定としてもよい。一方、第２図柄の変動表示にかかる時間を、時短中において通常中よりも短く設定する場合は、当たり確率を遊技状態にかかわらず一定にしてもよいし、また、１回の当たりに対する可変入賞装置６５０の可変板６５２の開放時間や開放回数を遊技状態にかかわらず一定にしてもよい。
【００５２】
スルーゲート６７は、可動入球役物装置３００の左右において遊技盤に組み付けられ、遊技盤に発射された遊技球の一部が通過可能に構成されている。スルーゲート６７を遊技球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００５３】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、可動入球役物装置３００の下方に左右対称に配設されている。
【００５４】
なお、第２図柄の変動表示は、本実施形態のように、第２図柄表示装置において複数のランプの点灯と非点灯を切り換えることにより行うものの他、第１図柄表示装置３７Ａ，３７Ｂ及び可動入球役物装置３００の一部を使用して行うようにしても良い。同様に、第２図柄保留ランプの点灯を可動入球役物装置３００の一部で行うようにしても良い。また、スルーゲート６７の遊技球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可動入球役物装置３００の左右に限定されるものではなく、例えば、可動入球役物装置３００の上方でも良い。また、第１図柄表示装置３７Ａ，３７Ｂにより保留球数が示されるので、第２図柄保留ランプにより点灯表示を行わないものとしてもよい。
【００５５】
可動入球役物装置３００の左右下方には、球が入賞し得る左右始動入賞口２６，２７が配設されている。この左右始動入賞口２６，２７へ遊技球が入賞すると遊技盤１３の裏面側に設けられる左始動入賞口スイッチ２１０ａ、右始動入賞口スイッチ２１０ｂがオンとなり、その左始動入賞口スイッチ２１０ａ、右始動入賞口スイッチ２１０ｂのオンに起因して主制御装置１１０（図４参照）で抽選がなされ、その抽選結果に応じた表示が第１図柄表示装置３７Ａで示されると共に、羽部３１２が所定回数（本実施形態では１回）開放し、所定期間後（本実施形態では０．５秒後）閉鎖される。
【００５６】
一方、左右始動入賞口２６，２７の正面視中央側には、球が入賞し得る中始動入賞口２８が配設されている。この中始動入賞口２８へ遊技球が入賞すると遊技盤１３の裏面側に設けられる中始動入賞口スイッチ（図示せず）がオンとなり、その中始動入賞口スイッチ）のオンに起因して主制御装置１１０（図４参照）で抽選がなされ、その抽選結果に応じた表示が第１図柄表示装置３７Ｂで示されると共に、羽部３１２が所定回数（本実施形態では２回）開放と閉鎖とを繰り返す（開放する期間は０．５秒で、１回目と２回目との間隔は２秒間）。
【００５７】
各始動入賞口２６，２７，２８は、１／１で小当たりとなるように抽選を行っている。そのため、本実施形態において、各始動入賞口２６，２７，２８を遊技球が通過することによる大当たりの抽選は無い。その抽選後、ランダムに選択されたオープニング期間（１〜５秒間）後に、羽部３１２が所定回数の開放と閉鎖とを繰り替えす。
【００５８】
また、左右始動入賞口２６，２７および中始動入賞口２８は、それぞれ、球が入賞すると５個の遊技球が賞球として払い出される入賞口の１つにもなっている。なお、本実施形態においては、左右始動入賞口２６，２７へ遊技球が入賞した場合に払い出される賞球数と中始動入賞口２８へ遊技球が入賞した場合に払い出される賞球数とを同じに構成したが、左右始動入賞口２６，２７へ遊技球が入賞した場合に払い出される賞球数と中始動入賞口２８へ遊技球が入賞した場合に払い出される賞球数とを異なる数、例えば、左右始動入賞口２６，２７へ遊技球が入賞した場合に払い出される賞球数を３個とし、中始動入賞口２８へ遊技球が入賞した場合に払い出される賞球数を５個として構成してもよい。
【００５９】
中始動入賞口２８には可変入賞装置６５０が付随されている。この可変入賞装置６５０の可変板６５２は開閉可能に構成されており、通常は可変入賞装置６５０の可変板６５２が閉鎖状態（縮小状態）となって、球が中始動入賞口２８へ入賞しにくい状態となっている。一方、スルーゲート６７への遊技球の通過を契機として行われる第２図柄の変動表示の結果、「○」の図柄が第２図柄表示装置に表示された場合、可変入賞装置６５０の可変板６５２が開放状態（拡大状態）となり、球が中始動入賞口２８へ入賞しやすい状態となる。
【００６０】
上述した通り、時短中は、通常中と比して第２図柄の当たり確率が高く、また、第２図柄の変動表示にかかる時間も短いので、第２図柄の変動表示において「○」の図柄が表示され易くなって、可変入賞装置６５０の可変板６５２が開放状態（拡大状態）となる回数が増える。更に、時短中は、可変入賞装置６５０の可変板６５２が開放される時間も、通常中より長くなる。よって、時短中は、通常時と比して、中始動入賞口２８へ遊技球が入賞しやすい状態を作ることができる。
【００６１】
大当たりとなった場合に選定される大当たりの種別として１６Ｒ大当たりとなる確率は、中始動入賞口２８へ遊技球が入賞した場合のほうが左右始動入賞口２６，２７へ遊技球が入賞した場合よりも高く設定されている（可動入球役物装置３００に複数個の遊技球をまとめて入球させ易くされている）。一方、左右始動入賞口２６，２７は、中始動入賞口２８にあるような電動役物は有しておらず、球が常時入賞可能な状態となっている。
【００６２】
可動入球役物装置３００の上部には第１センサ３１１ｂが配設されている。パチンコ機１０においては、左右始動入賞口２６，２７又は中始動入賞口２８への入賞後、可動入球役物装置３００に入球した遊技球がＶ入賞部材３８２を通過したことに起因して大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を可動入球役物装置３００の一部に表示させて、大当たりの発生が示される。その後、球が入賞し易い特別遊技状態（大当たり、大当たり遊技）に遊技状態が遷移する。この特別遊技状態として、通常時には閉鎖されている羽部３１２が、所定時間（例えば、３０秒経過するまで、或いは、球が１０個入賞するまで）開放される。
【００６３】
この羽部３１２は、所定時間が経過すると閉鎖され、その閉鎖後、再度、その羽部３１２が所定時間開放される。この羽部３１２の開閉動作は、最高で例えば１５回（初回ラウンドを除く１６ラウンド分）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６４】
なお、上記した形態に特別遊技状態は限定されるものではない。羽部３１２とは別に開閉される大開放口を遊技領域に設け、第１図柄表示装置３７Ａ，３７Ｂにおいて大当たりに対応したＬＥＤが点灯した場合に、羽部３１２が所定時間開放され、その羽部３１２の開放中に、球が第１センサ３１１ｂ内へ入賞することを契機として羽部３１２とは別に設けられた大開放口が所定時間、所定回数開放される遊技状態を特別遊技状態として形成するようにしても良い。また、第１センサ３１１ｂは１つに限るものではなく、１つ若しくは２以上の複数（例えば３つ）を配置しても良く、また配置位置も可動入球役物装置３００の上側に限らず、例えば、左右始動入賞口２６，２７の下方でも良い。
【００６５】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００６６】
遊技盤１３には、アウト口７１が設けられている。遊技領域を流下する遊技球であって、いずれの入賞口２６，２７，２８，６３にも入賞しなかった遊技球は、アウト口７１を通って図示しない球排出路へと案内される。また、可動入球役物装置３００に入球した遊技球も含めて、遊技領域内に打ち込まれた全ての遊技球は遊技盤１３の裏側へ回収される。回収された遊技球は、図示されていないアウト通路アセンブリを通じてパチンコ機１０の裏側から枠外へ排出され、さらに図示しない島設備の補給経路に合流する。
【００６７】
遊技盤１３には、球の落下方向を適宜分散、調整等するために多数の釘が植設されているとともに、風車等の各種部材（役物）とが配設されている。
【００６８】
本実施形態における遊技機の遊技の一例について説明する。本実施形態の遊技の目的は、Ｖ入賞部材３８２に遊技球を通過させて、特別遊技状態へ遊技状態を移行して、賞球を得ることである。そのために、遊技者は、センターフレーム８６の上面部を遊技球が滑り落ちるように遊技球の強さを調整して発射する。これにより、遊技球が多数の釘に当たりながら各始動入賞口２６，２７，２８に入球すると、羽部３１２が開放する。このときに、タイミング良く遊技球を可動入球役物装置３００に入球させることができれば、その後行する遊技球の流下の態様によって遊技球がＶ入賞部材３８２を通過するので、遊技者は遊技球の流下を視認して、大当たりを得ることができるか、はずれとなるかを実際の遊技球の動きを見ながら楽しむことができる。
【００６９】
即ち、大当たりを得る第１条件は、羽部３１２を開放させることであり、第２条件は、可動片１９０ｂが開放した時に遊技球を可動入球役物装置３００に入球させることである。
【００７０】
そのため、遊技球をセンターフレーム８６までは届かせない打ち方（いわゆる「ちょろ打ち」）や、返しゴム６９まで届かせる打ち方（いわゆる「右打ち」）は、本実施形態で大当たりを得るためには、不利となる。
【００７１】
なお、後述するように、本実施形態では、可動入球役物装置３００に遊技球を２個同時に入球させると大当たりを得やすい構造が採用されている。そのため、遊技者は、遊技球をセンターフレーム８６の上端部（三角に尖った頂点部分）へ目がけて発射することで、遊技球を左右にばらけさせ、可動片１９０ｂの開放時に左右から１個ずつ、合わせて２個入球することを狙い、これにより、大当たりを得やすいように遊技を行うことができる。
【００７２】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７４】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７５】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により遊技球の払出を行う払出装置１３３とを備えている。タンク１３０には、遊技ホールの島設備から供給される遊技球が逐次補給され、払出装置１３３により必要個数の遊技球の払い出しが適宜行われる。タンクレール１３１には、当該タンクレール１３１に振動を付加するためのバイブレータ１３４が取り付けられている。
【００７７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７８】
次に、図４を参照して、本パチンコ機１０の電気的構成について説明する。図４は、パチンコ機１０の電気的構成を示すブロック図である。
【００７９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、第１図柄表示装置３７Ａ，３７Ｂにおける表示の設定、第２図柄表示装置における表示結果の抽選といったパチンコ機１０の主要な処理を実行する。
【００８０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００８１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図４参照）によって電源遮断時に実行され、ＲＡＭ２０３に書き込まれた各値の復帰は電源投入時の立ち上げ処理（図４参照）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理が即座に実行される。
【００８３】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、第１センサ３１１ｂの羽部３１２の下辺を軸として左右へ向けて開閉回転駆動するための大開放口ソレノイド２０９ａや可変入賞装置６５０の可変板６５２を駆動するための電動役物ソレノイド２０９ｂ又はモータなどからなる各種ソレノイド・モータ２０９が接続され、ＭＰＵ２０１は、入出力ポート２０５を介してこれらに対し各種コマンドや制御信号を送信する。
【００８４】
各種スイッチ２０８とは異なるスイッチであって、遊技者に与える利益に直接的に関与する各種直接スイッチ２１０は、入出力ポート２０５を介さず、直接ＭＰＵ２０１に接続される。
【００８５】
各種ソレノイド・モータ２０９は、少なくとも、第１センサ３１１ｂの羽部３１２の下辺を軸として左右へ向けて開閉回転駆動するためのソレノイド３１７、可変入賞装置６５０の可変板６５２を開閉駆動するためのソレノイド６５５、回転体３７２Ｒ，３７２Ｌを回転駆動する駆動モータ３７６Ｒ、を備える。
【００８６】
なお、各種直接スイッチ２１０には、図示しない左始動入賞口スイッチ、右始動入賞口スイッチ、中始動入賞口スイッチが含まれる。
【００８７】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８８】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８９】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９０】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９１】
発射制御装置１１２は、主制御装置１１０により遊技球の発射の指示がなされた場合に、操作ハンドル５１の回動操作量に応じた遊技球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで遊技球が発射される。
【００９２】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる７セグ表示器の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００９３】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００９４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、各種ソレノイド・モータ２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９５】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００９６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９７】
次いで、図５から図７を参照して、遊技盤１３の概略構成について説明する。図５は、遊技盤１３の正面斜視図であり、図６は、遊技盤１３の分解正面斜視図であり、図７は、遊技盤１３の分解背面斜視図である。
【００９８】
図５から図７に示すように、遊技盤１３は、透明な可撓性材料の樹脂からなるベース板６０の中央部の開口６０ａの内部に配設される可動入球役物装置３００と、その可動入球役物装置３００の重力方向下側に位置すると共にベース板６０に配設される入賞口ユニット６００と、ベース板６０の背面側に配置される照射ユニット９００と、を主に備える。
【００９９】
可動入球役物装置３００は、正面視におけるベース板６０の中央部に貫通形成される開口６０ａの内部に正面側から挿入される。可動入球役物装置３００は、開口６０ａよりも大きい外形の縁部を備え、その縁部がベース板６０の正面と当接して配設される。これにより、可動入球役物装置３００をベース板６０に対して前後方向に位置決めして配設できる。なお、可動入球役物装置３００の詳細な説明は後述する。
【０１００】
入賞口ユニット６００は、上述した各始動入賞口２６，２７，２８を備えるユニットであり、可動入球役物装置３００の重力方向下側に位置し、ベース板６０に配設される。なお、入賞口ユニット６００の詳細な説明は後述する。
【０１０１】
照射ユニット９００は、正面視略矩形の枠状態から形成されており、その外形が、ベース板６０の正面視における外形よりも小さく形成される。これにより、ベース板６０を介して照射ユニット９００を遊技者が直接視認することを不能とできる。
【０１０２】
また、照射ユニット９００の内部には、ＬＥＤを備えた基盤（図示せず）が配設されており、ＬＥＤから照射される光が正面側（遊技者側）に照射される。上述したように、ベース板６０は、透明な可撓性材料の樹脂で形成されるので、照射ユニット９００のＬＥＤから照射される光をベース板６０を介して遊技者側に照射できる。
【０１０３】
次いで、図８から図９０を参照して、可動入球役物装置３００、入賞口ユニット６００の詳細構成を説明する。まず、図８から図８０を参照して、可動入球役物装置３００について説明する。
【０１０４】
初めに、図８から図１３を参照して、可動入球役物装置３００の全体構成について説明する。図８は、可動入球役物装置３００の正面図であり、図９は、可動入球役物装置３００の背面図である。図１０は、可動入球役物装置３００の正面斜視図であり、図１１は、可動入球役物装置３００の背面斜視図である。図１２は、可動入球役物装置３００の分解正面斜視図であり、図１３は、可動入球役物装置３００の分解背面斜視図である。
【０１０５】
図８から図１３に示すように、可動入球役物装置３００は、正面視略矩形の枠状態に形成されるセンターフレーム３１０と、そのセンターフレーム３１０の背面側の重力方向上側に重ね合される中間部材３３０と、その中間部材３３０の背面側に配設される後方部材３５０と、センターフレーム３１０の背面側に配設される可変ユニット３６０と、その可変ユニット３６０及び後方部材３５０の背面側を覆う様態で配設される背面ベース３９０と、その背面ベース３９０の背面側に配設される制御基板４１０とを主に備えて形成される。
【０１０６】
可動入球役物装置３００は、枠状態のセンターフレーム３１０の内側を通じて背面側に配設される中間部材３３０、後方部材３５０及び可変ユニット３６０を遊技者が視認可能とされる（図８参照）。
【０１０７】
次に、図１４及び図１５を参照して、センターフレーム３１０の詳細な構成を説明する。図１４は、センターフレーム３１０の分解正面斜視図であり、図１５は、センターフレーム３１０の分解背面斜視図である。
【０１０８】
図１４及び図１５に示すように、センターフレーム３１０は、正面視枠状に形成される枠体３１１と、枠体３１１の正面側の重力方向上側に回転可能に軸支される羽部３１２と、枠体３１１の正面側を覆う様態で配設され枠体３１１との間に羽部３１２を介設する上部正面カバー３１３と、羽部３１２を回転させるための駆動力を発生させるソレノイド３１７と、そのソレノイド３１７の駆動力を羽部３１２に伝達する軸部３１５と、ソレノイド３１７を収容する背面カバー３１６と、その背面カバー３１６の背面側に覆設されてソレノイド３１７が背面カバー３１６から抜け出ることを抑制する通気カバー３１８とを主に備えて形成される。
【０１０９】
枠体３１１は、正面視枠状態に形成されると共に、重力方向上側の正面に背面側に向かって凹設される凹部３１１ａと、その凹部３１１ａの重力方向下側の縁部に配設される一対の第１センサ３１１ｂと、その一対の第１センサ３１１ｂの間に形成される上方傾斜部３１１ｃと、重力方向下側の内周面に形成される下降傾斜部３１１ｄと、その下降傾斜部３１１ｄの両端部に遊技球が通過可能な大きさに開口される回収孔３１１ｅと、凹部３１１ａに正面側から背面側に亘って貫通形成される貫通孔３１１ｆとを主に備えて形成される。
【０１１０】
凹部３１１ａは、後述する上部正面カバー３１３との対向間に遊技球が通過可能な間隙を形成するための凹みであり、凹設寸法が遊技球の直径よりも大きく設定される。また、凹部３１１ａは、正面視において左右方向（図８左右方向）両端に向かうに従って重力方向下側（図８下側）に湾曲する三日月形状に形成される。これにより、凹部３１１ａの縁部に流下した遊技球を、その湾曲形状に沿って枠体３１１の外側に転動させつつ流下させることができる。
【０１１１】
上方傾斜部３１１ｃは、枠体３１１の左右方向中央部に位置すると共に、凹部３１１ａの他側の縁部（凹部３１１ａの正面と枠体３１１の正面とを連結する面）に形成される。上方傾斜部３１１ｃは、枠体３１１の中央部から左右方向両端部に向かうに従って重力方向下側に傾斜して形成される。これにより、凹部３１１ａ（枠体３１１）と上部正面カバー３１３との対向間に遊技球が送球されると、送球された遊技球は、上方傾斜部３１１ｃの上面を重力により転動して、上方傾斜部３１１ｃの終端（左右の両端部）から落下する。
【０１１２】
第１センサ３１１ｂは、内部に遊技球が通過可能な大きさの開口の第１検出孔３１１ｂ１が形成される。第１センサ３１１ｂは、第１検出孔３１１ｂ１の内部に遊技球を通過することで遊技球の通過を検知できる。
【０１１３】
第１センサ３１１ｂは、上方傾斜部３１１ｃの左右方向両端部の外側に第１検出孔３１１ｂ１が重力方向に開口する様態で配置されると共に、上方傾斜部３１１ｃの下降傾斜端よりも下方に位置して配設される。よって、上述したように、上方傾斜部３１１ｃを転動する遊技球は、上方傾斜部３１１ｃの終端まで転動して上方傾斜部３１１ｃから落下すると、第１センサ３１１ｂの第１検出孔３１１ｂ１の内部を通過する。これにより、第１センサ３１１ｂで凹部３１１ａと上部正面カバー３１３との対向間に送球された遊技球を検出できる。
【０１１４】
貫通孔３１１ｆは、内部に後述する軸部３１５の回転軸３１５ａが挿通される孔であり、凹部３１１ａの他側に正面から背面に亘って貫通されると共に、その内径が回転軸３１５ａの外径よりも大きく形成される。
【０１１５】
下降傾斜部３１１ｄは、後述する可変ユニット３６０の上部を送球される遊技球が、可変ユニット３６０の正面から落下した際に、その遊技球を受け止めて回収孔３１１ｅに送球する面であり、センターフレーム３１０の他側の内周面に形成される。下降傾斜部３１１ｄは、左右方向略中央位置から外側に向かうに従って重力方向下側に傾斜して形成される。よって、下降傾斜部３１１ｄの上部に送球された遊技球をその傾斜に沿って下降傾斜部３１１ｄの終端位置まで転動させることができる。
【０１１６】
回収孔３１１ｅは、上述したように下降傾斜部３１１ｄに送球される遊技球が次に送球される孔であり、球の外径よりも大きい開口に形成されると共に、下降傾斜部３１１ｄの左右方向両端に形成される。よって、上述したように、下降傾斜部３１１ｄの上部を転動する遊技球は、下降傾斜部３１１ｄの終端まで転動して下降傾斜部３１１ｄから落下すると、回収孔３１１ｅの内部に送球される。
【０１１７】
羽部３１２は、正面視略三角形に形成され、その厚みが遊技球の直径と略同一に設定される。また、羽部３１２は、背面側の他側（重力方向下側）に正面側に向かって円形に凹設される軸支孔３１２ａが形成される。
【０１１８】
軸支孔３１２ａは、後述する軸部３１５の回転軸３１５ａが内嵌される孔であり、回転軸３１５ａの外径と略同一もしくは小さい内径に形成される。これにより、軸部３１５の回転軸３１５ａが回転されると、軸支孔３１２ａを軸として羽部３１２を回転変位させることができる。なお、羽部３１２の動作についての詳しい説明は後述する。
【０１１９】
上部正面カバー３１３は、枠体３１１の正面側に遊技球の流下経路を形成するための板であり、枠体３１１の凹部３１１ａの正面と遊技球の直径よりも大きい隙間を隔てて配設される。これにより、凹部３１１ａと上部正面カバー３１３との対向間に遊技球が流下可能な隙間が形成される。また、上部正面カバー３１３は、透明な板状体で形成されており、遊技者から凹部３１１ａと上部正面カバー３１３との対向間を流下する遊技球を視認可能とできる。
【０１２０】
上部正面カバー３１３は、一側（重力方向上側）が湾曲する半円弧状に形成されると共に、一側端部の背面側に突出する膨出部３１３ａを備える。
【０１２１】
膨出部３１３ａは、上部正面カバー３１３の重力方向上方から流下する遊技球が、凹部３１１ａと上部正面カバー３１３との対向間に侵入することを防止するための突出部であり、一対に配設される羽部３１２の対向間の上部に形成される。また、羽部３１２が第１状態（羽部３１２が回転変位されず、先端部Ａ１を軸支孔３１２ａの重力方向上側に位置する状態）に位置する際には、羽部３１２と膨出部３１３ａとの隙間が遊技球の直径よりも小さく設定されており、遊技盤１３の正面側を流下する遊技球が凹部３１１ａと上部正面カバー３１３との対向間に侵入できない状態とされる（図１７（ａ）参照）。
【０１２２】
ソレノイド３１７は、羽部３１２に駆動力を付与する駆動手段であり、ピストン変位する軸部３１７ａと、その軸部３１７ａの重力方向下側に形成される伝達部３１７ｂとを主に備えて形成される。
【０１２３】
軸部３１７ａは、円柱形状に形成されると共に、一側がソレノイド３１７の内部に挿通される。軸部３１７ａは、その軸方向が重力方向と平行に配設されており、ソレノイド３１７に電力が付与されると、重力方向上側に変位してソレノイド３１７の内部に引き込まれる。即ち、軸部３１７ａは、重力方向にピストン運動することができる。
【０１２４】
伝達部３１７ｂは、軸部３１７ａの他側から内部に開口３１７ｂ１を有したＤ字状に突出して形成される。伝達部３１７ｂの開口３１７ｂ１は、正面側から背面側に亘って開口して形成されており、内部に後述する可変軸３１５ｂが挿入される。よって、軸部３１７ａが重力方向にピストン運動すると、伝達部３１７ｂに挿入された可変軸３１５ｂが重力方向に変位される。
【０１２５】
軸部３１５は、ソレノイド３１７の駆動力を羽部３１２に伝達する軸であり、正面側の一端に配設されて羽部３１２に連結される回転軸３１５ａと、背面側の一端に配設されてソレノイド３１７に係合される可変軸３１５ｂと、回転軸３１５ａ及び可変軸３１５ｂを連結する連結部３１５ｃとを主に備えて形成される。
【０１２６】
回転軸３１５ａは、上述したように、羽部３１２を回転させる駆動力を伝達する軸であり、正面側の一端が枠体３１１の貫通孔３１１ｆの背面側から挿入されて正面側に突出されると共に、枠体３１１の正面側から突出した端部に羽部３１２の軸支孔３１２ａが外嵌される。
【０１２７】
可変軸３１５ｂは、上述したように背面側の端部がソレノイド３１７の伝達部３１７ｂに挿入されており、ソレノイド３１７の駆動により変位される。
【０１２８】
連結部３１５ｃは、回転軸３１５ａと可変軸３１５ｂとを連結する連結部分であり、回転軸３１５ａの背面側の端部と可変軸３１５ｂの正面側の端部とが連結される。回転軸３１５ａと可変軸３１５ｂとは、互いの軸が平行となる様態で連結される。即ち、回転軸３１５ａと可変軸３１５ｂとは、偏心する位置で連結部３１５ｃにより連結される。これにより、可変軸３１５ｂが重力方向に変位されると、その変位が連結部３１５ｃにより回転軸３１５ａに伝達され、回転軸３１５ａが回転変位する。その結果、羽部３１２を回転変位させることができる。
【０１２９】
背面カバー３１６は、内部にソレノイド３１７を配設するための板であり、枠体３１１の重力方向上側の一側の背面を覆設する様態で配設されると共に、背面側にソレノイド３１７を配設する凹設部３１６ａと、その凹設部３１６ａの重力方向下側に開口３１６ｂと、が形成される。
【０１３０】
凹設部３１６ａは、内部にソレノイド３１７を配設するための凹みであり、ソレノイド３１７と対向する位置に凹設される。凹設部３１６ａの凹設深さは、ソレノイド３１７の前後方向の厚み寸法と略同一に設定されており、背面カバー３１６の背面側とソレノイド３１７の背面側とが略一致する位置に配設される。よって、背面カバー３１６の背面側に板状体から形成される通気カバー３１８が覆設されることで、背面カバー３１６からソレノイド３１７が脱落不能とされる。
【０１３１】
開口３１６ｂは、ソレノイド３１７の伝達部３１７ｂに軸部３１５の可変軸３１５ｂを係合させるための開口であり、可変軸３１５ｂの変位領域よりも大きい開口に形成される。これにより、背面カバー３１６の背面側に配設されるソレノイド３１７の駆動力を軸部３１５に伝達することができる。
【０１３２】
次いで、図１６及び図１７を参照して、羽部３１２の変位動作について説明する。図１６の（ａ）から（ｃ）は、センターフレーム３１０の部分拡大背面図であり、図１７の（ａ）から（ｃ）は、センターフレーム３１０の部分拡大正面図である。
【０１３３】
なお、図１６（ａ）及び図１７（ａ）は、羽部３１２の変位前の第１状態が、図１６（ｃ）及び図１７（ｃ）は、羽部３１２の変位後の第３状態が、図１６（ｂ）及び図１７（ｂ）は、第１状態から第３状態への変位途中の中間位置における状態の第２状態が、それぞれ図示される。また、図１７では、羽部３１２の軸支孔３１２ａと反対側の端部を先端部Ａ１として説明する。
【０１３４】
さらに、図１６（ａ）から図１６（ｃ）では、通気カバー３１８が、図１７（ａ）から図１７（ｃ）では、上部正面カバー３１３が、それぞれ透明視された状態が図示される。また、図１６及び図１７では、回転軸３１５ａが破線で図示される。
【０１３５】
図１６（ａ）及び図１７（ａ）に示すように、第１状態ではソレノイド３１７の軸部３１７ａが重力方向下側に突出した状態で配設される。これにより、伝達部３１７ｂの開口３１７ｂ１に挿通される可変軸３１５ｂが回転軸３１５ａよりも重力方向下側に位置した状態とされる。この場合、回転軸３１５ａを外嵌する羽部３１２の先端部Ａ１は、軸支孔３１２ａ（回転軸３１５ａ）の重力方向上側（図１７（ａ）上側）、且つ、一対の羽部３１２の対向間の内側に位置する。
【０１３６】
図１６（ａ）及び図１７（ａ）に示す状態から、ソレノイド３１７に電力が付与されて軸部３１７ａが重力方向上方に変位すると、図１６（ｂ）及び図１７（ｂ）に示す第２状態とされる。
【０１３７】
図１６（ｂ）及び図１７（ｂ）に示すように、第２状態では、軸部３１７ａが重力方向上側に変位してソレノイド３１７の内部に収容される分、軸部３１５の可変軸３１５ｂが、回転軸３１５ａの軸を中心に回転しつつ重力方向上側に変位される。可変軸３１５ｂが回転変位されると、その回転変位が連結部３１５ｃを介して回転軸３１５ａに伝達されて回転軸３１５ａが回転される。これにより、羽部３１２が軸支孔３１２ａを軸に回転変位される。
【０１３８】
第２状態では、羽部３１２の先端部Ａ１は、一対の羽部３１２の対向間の外側に位置すると共に、先端部Ａ１と上部正面カバー３１３の膨出部３１３ａとの隙間が遊技球の外径よりも大きくされる。即ち、第２状態では、枠体３１１の凹部３１１ａと上部正面カバーとの対向間に重力方向上側から流下される遊技球を流入可能とされる。
【０１３９】
なお、第２状態とは、第１状態から第３状態への変位における中間位置である。即ち、羽部３１２の変位は、上述した第１状態の位置と後述する第３状態の位置とを一連の動作として行われる。
【０１４０】
図１６（ｂ）及び図１７（ｂ）に示す状態から、ソレノイド３１７に電力が付与され続けて、軸部３１７ａが重力方向上側にさらに変位すると、図１６（ｃ）及び図１７（ｃ）に示す第３状態とされる。
【０１４１】
図１６（ｂ）及び図１７（ｂ）に示すように、第３状態では、上述した第２状態よりもさらに軸部３１７ａが重力方向上側に変位してソレノイド３１７の内部に収容される。これにより、軸部３１５の可変軸３１５ｂが、回転軸３１５ａの軸を中心にさらに回転しつつ重力方向上側に変位される。可変軸３１５ｂが回転変位されると、上述した第１状態から第２状態への変位と同様に、可変軸３１５ｂの回転変位が連結部３１５ｃを介して回転軸３１５ａに伝達されて回転軸３１５ａが更に回転される。従って、羽部３１２が軸支孔３１２ａを軸に第２状態よりもさらに回転変位される。
【０１４２】
第３状態では、羽部３１２の先端部Ａ１は、一対の羽部３１２の対向間の外側に位置すると共に、先端部Ａ１と軸支孔３１２ａ（回転軸３１５ａ）とを結ぶ仮想線Ｓ１が、重力方向に対して略４５度左右方向外側に傾斜する状態とされる。これにより、遊技盤１３の上方を流下する遊技球を羽部３１２で受け止め可能な領域が拡大されるので、枠体３１１の凹部３１１ａと上部正面カバー３１３との対向間に遊技球を流入させやすくできる。
【０１４３】
次に、図１８を参照して、第１状態および第３状態における遊技盤１３を流下する遊技球について説明する。図１８（ａ）は、第１状態におけるセンターフレーム３１０の部分拡大正面図であり、図１８（ｂ）は、第３状態におけるセンターフレーム３１０の部分拡大正面図である。
【０１４４】
図１８（ａ）に示すように、第１状態では、羽部３１２の先端部Ａ１と上部正面カバー３１３の膨出部３１３ａとの隙間が遊技球の直径よりも小さくされるので、枠体３１１の凹部３１１ａと上部正面カバー３１３との対向間に遊技球が流入不可能とされる。
【０１４５】
よって、センターフレーム３１０の上方から流下する遊技球は、枠体３１１の凹部３１１ａと上部正面カバー３１３との対向間に流入することなく、センターフレーム３１０（可動入球役物装置３００）の左右方向両側を流下する。
【０１４６】
一方、第３状態では、上述したように羽部３１２の先端部Ａ１と軸支孔３１２ａとを結ぶ仮想線Ｓ１は、重力方向に対して略４５度傾斜する様態とされる。よって、図１８（ｂ）に示すように、枠体３１１の凹部３１１ａと上部正面カバー３１３との対向間に遊技球が流入可能とされる。
【０１４７】
従って、センターフレーム３１０の上方から流下して、羽部３１２の上方に衝突する遊技球は、羽部３１２によって枠体３１１の凹部３１１ａと上部正面カバー３１３との対向間に転動して送球される。
【０１４８】
次いで、図１９及び図２０を参照して、中間部材３３０の詳細な構成について説明する。図１９（ａ）は、中間部材３３０の正面図であり、図１９（ｂ）は、中間部材３３０の背面図であり、図１９（ｃ）は、図１９（ａ）のＸＩＸｃ−ＸＩＸｃ線における中間部材３３０の断面図である。図２０（ａ）は、中間部材３３０の分解正面斜視図であり、図２０（ｂ）は、中間部材３３０の分解背面斜視図である。
【０１４９】
図１９及び図２０に示すように、中間部材３３０は、正面視略矩形に形成される本体部３３１と、その本体部３３１の左右方向外側の両側に配設され本体部３３１の内側を照射する装飾基盤３３２とを主に備えて形成される。
【０１５０】
本体部３３１は、センターフレーム３１０の枠体３１１の凹部３１１ａと上部正面カバー３１３との対向間に送球された遊技球を第１センサ３１１ｂの重力方向下側で拾って背面側に送球するための板であり、正面側の略中央位置から突出してその先端が第１検出孔３１１ｂ１（第１センサ３１１ｂ）の重力方向下側に配置される受部３３１ａと、その受部３３１ａの重力方向下側に位置して、受部３３１ａから送球される遊技球を複数の流路に案内する案内部３３１ｂとを主に備えて形成される。
【０１５１】
また、本体部３３１は、透明な可撓性材料から形成される。これにより、本体部３３１の左右方向外側に配設する装飾基盤３３２から照射される光を本体部３３１の内側に照射することができる。
【０１５２】
受部３３１ａは、正面視において重力方向上側（図１９（ａ）上下方向上側）が開放する断面略Ｕ字状に形成される。受部３３１ａの正面側の突出先端は、センターフレーム３１０の枠体３１１の開口内部に挿入されると共に、枠体３１１の第１検出孔３１１ｂ１（第１センサ３１１ｂ）の重力方向下側に位置して配設される。これにより、上述したように、枠体３１１（センターフレーム３１０）の第１検出孔３１１ｂ１を通過する遊技球を受部３３１ａの内面（Ｕ字状の内側部分）に落下させることできる。
【０１５３】
また、受部３３１ａは、重力方向下側の底面が正面側から背面側に向かうに従って下降傾斜して形成される（図１９（ｃ）参照）。これにより、受部３３１ａに落下した遊技球を、その下降傾斜に沿って転動させて本体部３３１の背面側に送球することができる。
【０１５４】
案内部３３１ｂは、受部３３１ａの重力方向下側（図１９（ｂ）上下方向下側）に本体部３３１の背面側から突出して形成される。案内部３３１ｂは、重力方向下側が開放した大小２つのＵ字形状を遊技球の直径よりも大きい所定の間隔を隔てて突設して形成される。
【０１５５】
案内部３３１ｂの小形のＵ字に形成される内側案内部３３１ｂ１は、その上面が左右方向略中央位置から外側に向かって下降傾斜して形成される。これにより、内側案内部３３１ｂ１の上部に送球される遊技球を、内側案内部３３１ｂ１の上面を左右方向に転動させることができる。
【０１５６】
案内部３３１ｂの大形のＵ字に形成される外側案内部３３１ｂ２は、上述したように、内側案内部３３１ｂ１と遊技球の直径よりも大きい間隔を備えて形成される。これにより、内側案内部３３１ｂ１と外側案内部３３１ｂ２との対向間に遊技球を案内することができる。内側案内部３３１ｂ１と外側案内部３３１ｂ２との対向間に案内される遊技球は、その対向間を流下して後述する本体部３８０の第１転動部３８１ａに送球される。
【０１５７】
外側案内部３３１ｂ２の左右方向（図１９（ｂ）左右方向）外側には、本体部３３１の背面側から突出する立設壁３３１ｃが重力方向に延設される。立設壁３３１ｃは、外側案内部３３１ｂ２と遊技球の直径よりも大きい間隔を隔てて形成される。これにより、外側案内部３３１ｂ２の上面に送球されて、外側案内部３３１ｂ２の上面から落下する遊技球を外側案内部３３１ｂ２と立設壁３３１ｃとの対向間に送球して、流下させることができる。
【０１５８】
次に、図２１及び図２３を参照して、センターフレーム３１０から中間部材３３０への遊技球の送球を説明する。図２１（ａ）は、センターフレーム３１０及び中間部材３３０の正面図であり、図２１（ｂ）は、センターフレーム３１０及び中間部材３３０の側面図であり、図２１（ｃ）は、図２１（ａ）のＸＸＩｃ−ＸＸＩｃ線におけるセンターフレーム３１０及び中間部材３３０の部分拡大断面図である。図２２（ａ）から図２２（ｃ）は、センターフレーム３１０及び中間部材３３０の正面図である。図２３（ａ）から図２３（ｃ）は、センターフレーム３１０及び中間部材３３０の部分拡大断面図である。
【０１５９】
なお、図２１から図２３では、センターフレーム３１０及び中間部材３３０が組み合わされた状態が図示される。また、図２２及び図２３では、第３状態（羽部３１２を軸支孔３１２ａを中心に回転させた状態）におけるセンターフレーム３１０が図示され、図２３（ａ）から図２３（ｃ）では、図２１（ｃ）の断面図と対応する断面が図示される。さらに、図２２及び図２３では、球の送球される遷移状態が図示される。
【０１６０】
図２１（ａ）から図２１（ｃ）に示すように、センターフレーム３１０及び中間部材３３０が組み合わされた状態では、中間部材３３０の受部３３１ａの突出先端がセンターフレーム３１０の上部正面カバー３１３の正面と重力方向における位置が略一致する。即ち、受部３３１ａは、第１センサ３１１ｂと重力方向に対向する位置まで突設される。よって、上述したように、第１センサ３１１ｂの内部を通過して流下する遊技球を、受部３３１ａに落下させることができる。
【０１６１】
図２２（ａ）及び図２３（ａ）に示すように、第３状態における羽部３１２では、センターフレームの重力方向上側から流下する遊技球が、羽部３１２と当接して、２の羽部３１２の対向間に送球される。これにより、図２２（ｂ）及び図２３（ｂ）に示すように、球が、枠体３１１の凹部３１１ａと上部正面カバー３１３との対向間に送球される。
【０１６２】
図２２（ｂ）及び図２３（ｂ）に示すように、上部正面カバー３１３と枠体３１１の凹部３１１ａとの対向間に送球される遊技球は、凹部３１１ａの重力方向下側縁部に配設した第１センサ３１１ｂの内側案内部３３１ｂ１の内部を通過して図２２（ｃ）及び図２３（ｃ）に示す受部３３１ａの内側に送球される。
【０１６３】
図２２（ｃ）及び図２３（ｃ）に示すように、第１センサ３１１ｂの内側案内部３３１ｂ１の重力方向下側には、受部３３１ａの湾曲部分（正面視Ｕ字状の湾曲部分）が位置される。これにより、受部３３１ａに落下した遊技球が、反発して跳ね返ることを抑制できる。その結果、受部３３１ａの内側を転動する遊技球の転動速度が遅くなることを抑制できる。
【０１６４】
次に、図２４を参照して、受部３３１ａの上面を転動する遊技球について説明する。図２４（ａ）から図２４（ｃ）は、センターフレーム３１０及び中間部材３３０の断面図である。なお、図２４（ａ）から図２４（ｃ）は、受部３３１ａの上面を転動する遊技球の遷移状態が図示される。また、図２４（ａ）から図２４（ｃ）は、図２１（ｃ）の断面と対応する。
【０１６５】
図２４（ａ）から図２４（ｃ）に示すように、受部３３１ａの上面に送球される遊技球は、基部側（背面側）に向かう下降傾斜により、受部３３１ａの上面を転動して受部３３１ａの基部側に転動する。この際、上述したように、第１センサ３１１ｂの内側案内部３３１ｂ１の重力方向下側には、受部３３１ａの湾曲部分が位置するので、内側案内部３３１ｂ１から流下する遊技球を受部３３１ａの湾曲部分に衝突させることができる。これにより、重力方向に流下する遊技球に、左右方向へ変位を付与することができる。従って、受部３３１ａの上面を流下する遊技球の転動を受部３３１ａの基部に向かう転動だけでなく、左右方向へ転動させることができ、遊技者に遊技球の転動状態を長く見せて遊技者の興趣を向上することができる。
【０１６６】
また、湾曲部分は平坦面よりも剛性が高くなるので、受部３３１ａの上面への遊技球の流下位置を湾曲部分とすることで、受部３３１ａの上面へ遊技球が落下した際に受部３３１ａがその衝撃により破損することを抑制できる。
【０１６７】
次に、図２５から図２７を参照して、後方部材３５０について説明する。図２５（ａ）は、後方部材３５０の正面図であり、図２５（ｂ）は、後方部材３５０の背面図であり、図２５（ｃ）は、図２５（ａ）のＸＸＶｃ−ＸＸＶｃ線における後方部材３５０の断面図である。図２６は、後方部材３５０の分解正面斜視図であり、図２７は、後方部材３５０の分解背面斜視図である。
【０１６８】
図２５から図２７に示すように、後方部材３５０は、正面視略台形の板状体から形成される背面本体部３５１と、その背面本体部３５１の中央部に前後方向に開口する開口３５１ｂの内側に変位可能に配設される可変板３５２と、可変板３５２を間に挟む様態で背面本体部３５１に取着されて可変板３５２の変位に伴ってその内部に遊技球が送球される入賞部材３５３と、入賞部材３５３に取着され入賞部材３５３の内部の遊技球の送球経路を形成する装飾部材３５４と、装飾部材３５４に取着されると共に装飾部材３５４を介して遊技者側に光を照射する発光部材３５５と、可変板３５２に駆動力を付与するソレノイド３５６と、装飾部材３５４との間にソレノイド３５６を介した状態で取着されソレノイド３５６を脱落不能に保持するカバー部材３５７とを主に備えて形成される。
【０１６９】
背面本体部３５１は、正面側に断面Ｕ字状に突出する立設部３５１ａと、立設部３５１ａの内側に形成されると共に正面から背面に亘って開口する開口３５１ｂと、開口３５１ｂの左右方向両外側に位置すると共に後述する可変板３５２の軸部３５２ａを保持する軸受部３５２ｆと、開口３５１ｂの重力方向下側に正面から背面に亘って開口し開口３５１ｂから背面側に送球される遊技球を前方に案内する連結孔３５１ｃと、背面本体部３５１の重力方向下側端部に前方から背面に向かって凹設される第１凹部３５１ｄ及び第２凹部３５１ｅとを主に備えて形成される。
【０１７０】
背面本体部３５１は、中間部材３３０（本体部３３１）の受部３３１ａを転動する（中間部材３３０を送球される）遊技球を、重力方向下側へ流下させる部材であり、中間部材３３０の背面側と遊技球の直径よりも大きい間隔を空けて中間部材３３０に取着される。これにより、中間部材３３０と背面本体部３５１との対向間に遊技球を流下させることができる。
【０１７１】
また、背面本体部３５１は、正面視における外形が中間部材３３０の外形と略同一もしくは小さく形成される。これにより、組み上げた状態の可動入球役物装置３００のセンターフレーム３１０よりも正面視外側に部材が突出することを抑制して、可動入球役物装置３００をベース板６０の開口６０ａに取着する際に前方から可動入球役物装置３００を挿入するのみで配置することができ、可動入球役物装置３００のベース板６０への取り付けを簡易に行うことができる。
【０１７２】
立設部３５１ａは、正面視において下側が開放するＵ字状に形成される。立設部３５１ａは、その対向間の幅寸法が小さい第１立設部３５１ａ１と、その第１立設部３５１ａ１よりも対向間の距離寸法が大きい第２立設部３５１ａ２と、を備える。
【０１７３】
第１立設部３５１ａ１は、左右両側の対向間の距離寸法が中間部材３３０の受部３３１ａの左右両側の対向間の距離寸法と略同一に設定され、左右両側の端部が受部３３１ａの左右両側の端部と前後方向に対向する位置に配設される。また、第１立設部３５１ａ１の上方端部の重力方向の高さ位置は、受部３３１ａの上端一致と略同一に設定される。これにより、中間部材３３０の受部３３１ａの上面を転動して送球される遊技球を、中間部材３３０と背面本体部３５１との対向間に流下させることができると共に、立設部３５１ａの内側に流下させることができる。
【０１７４】
第２立設部３５１ａ２は、第１立設部３５２ａ１の重力方向下側の端部と連結して形成される。第２立設部３５１ａ２の対向間の距離寸法は、開口３５１ｂの長手方向寸法と略同一に設定され、開口３５１ｂの内側に配設される可変板３５２が可変した際に、可変板３５２の長手方向外側を遊技球が流下することを抑制できる。これにより、可変板３５２を変位させた際に、背面本体部と３５１と中間部材３３０との対向間を流下する遊技球を開口３５１ｂに確実に送球させることができる。
【０１７５】
開口３５１ｂは、中間部材３３０及び背面本体部３５１の対向間を流下する遊技球を背面本体部３５１の背面側に送球可能にするための開口であり、正面視横長矩形に形成されると共にその短手方向の幅寸法が遊技球の直径よりも大きく設定される。また、上述したように、開口３５１ｂは、第２立設部３５１ａ２の左右の対向間に形成される。
【０１７６】
連結孔３５１ｃは、開口３５１ｂの内部を通過して背面本体部の背面側に送球された遊技球を後述する入賞部材３５３を介して正面側に送球する孔であり、開口３５１ｂの重力方向下方に位置すると共に、球の直径よりも大きい矩形状に開口して形成される。また、連結孔３５１ｃは、左右方向に並んで２つ並設される。
【０１７７】
第１凹部３５１ｄは、連結孔３５１ｃから背面本体部３５１の正面側に送球された遊技球が、上述した中間部材３３０の内側案内部の上面に案内されて流下する経路であり、背面本体部３５１の重力方向下側端部に位置すると共に、背面側に向かって凹設される。
【０１７８】
また、第１凹部３５１ｄは、中間部材３３０に背面本体部３５１（後方部材３５０）が配置された際に、正面視において中間部材３３０の内側案内部３３１ｂ１と外側案内部３３１ｂ２との対向間に位置して形成される。よって、内側案内部３３１ｂ１と外側案内部３３１ｂ２との対向間を流下する遊技球の流下方向を背面側に変位させることができる。これにより、中間部材３３０と背面本体部３５１との対向間を送球される遊技球が、後述する可変ユニット３６０に流下される際に、重力方向への流下速度を遅くすることができる。従って、可変ユニット３６０に遊技球が送球される際に、可変ユニット３６０と衝突して遊技球が跳ねることを抑制でき、後方部材３５０から可変ユニット３６０への送球を安定させることができる。
【０１７９】
第２凹部３５１ｅは、中間部材３３０及び後方部材３５０の対向間を流下する遊技球が、中間部材３３０の外側案内部３３１ｂ２の上面に案内されて流下する経路であり、第１凹部３５１ｄの左右方向外側に位置すると共に、背面側に向かって凹設される。
【０１８０】
また、第２凹部３５１ｅは、中間部材３３０に背面本体部３５１（後方部材３５０）が配置された際に、正面視において中間部材３３０の外側案内部３３１ｂ２と立設壁３３１ｃとの対向間に位置して形成される。よって、外側案内部３３１ｂ２と立設壁３３１ｃとの対向間を流下する遊技球の流下方向を背面側に変位させることができる。これにより、中間部材３３０と背面本体部３５１との対向間を送球される遊技球が、後述する可変ユニット３６０に流下される際に、重力方向への流下速度を遅くすることができる。従って、可変ユニット３６０に遊技球が送球される際に、可変ユニット３６０と衝突して遊技球が跳ねることを抑制でき、後方部材３５９から可変ユニット３６０への送球を安定させることができる。
【０１８１】
可変板３５２は、上述したように、中間部材３３０と背面本体部３５１（後方部材３５０）との対向間を流下する遊技球を背面本体部３５１の開口３５１ｂの内部に送球するための案内部材であり、背面本体部３５１の開口３５１ｂの内側に回転可能な状態で配設される。
【０１８２】
可変板３５２は、透明な可撓性材料から形成される。また、可変板３５２は、背面本体部３５１の開口３５１ｂの内部に配設されると共に正面視横長矩形の板状体に形成される板部３５２ｄと、板部３５２ｄの長手方向両端から突出して回転可能に軸支される軸部３５２ａと、その軸部３５２ａから径方向外側に突出して可変板３５２が変位する際に背面本体部３５１と係合して可変板３５２の変位量を規制する第１突起３５２ｂと、その第１突起３５２ｂと径方向に異なる方向に突出して、後述する駆動手段のソレノイド３５６の駆動力を伝達する第２突起３５２ｃとを主に備えて形成される。
【０１８３】
板部３５２ｄは、回転変位して中間部材３３０と背面本体部３５１との対向間を流下する遊技球を開口３５１ｂに案内する板状体であり、正面視における外形が開口３５１ｂよりも小さい横長矩形に形成される。
【０１８４】
また、板部３５２ｄは、変位前の状態において中間部材３３０と対向する正面部３５２ｄ２と、回転軸（軸部３５２ａ）と反対側の端部から中間部材３３０側に膨出する膨出部３５２ｄ１とを備える。なお、膨出部３５２ｄ１及び正面部３５２ｄ２の詳しい説明は後述する。
【０１８５】
軸部３５２ａは、板部３５２ｄを回転変位可能に軸支される軸部であり、板部３５２ｄの長手方向両端の重力方向下側の一端から突出形成される。軸部３５２ａは、背面本体部３５１の軸受部３５１ｆの内側に配置され、背面側から後述する入賞部材３５３が配設されることで、背面本体部３５１と入賞部材３５３との間に回転可能に保持される。これにより、可変板３５２は、背面本体部３５１に対して回転変位可能とされる。
【０１８６】
第１突起３５２ｂは、可変板３５２は回転変位した際に、背面本体部３５１と当接して可変板３５２の回転時の変位量を規制する突起であり、左右両端の軸部３５２ａから径方向に突出して形成される。また、両端の軸部３５２ａの第１突起３５２ｂの突出方向は、軸部３５２ａの軸方向視において略同一に設定される。
【０１８７】
さらに、一方の第１突起３５２ｂ（本実施形態では、正面視右側の第１突起３５２ｂ）が、後述するソレノイド３５６の伝達部３５６ａと係合される。これにより、ソレノイド３５６の駆動力を可変板３５２に伝達できる。よって、ソレノイド３５６の駆動力により可変板３５２を軸部３５２ａの軸周りに回転させることができる。
【０１８８】
また、一方の第１突起３５２ｂの軸部３５２ａには、第２突起３５２ｃが軸部３５２ａから径方向に突出して形成される。軸部３５２ａの軸方向視において、第１突起３５２ｂと第２突起３５２ｃとは、軸周りに所定の隙間を有して形成され、その隙間にソレノイド３５６の伝達部３５６ａの先端部が挿入される。これにより、ソレノイド３５６から駆動力が付与されて伝達部３５６ａが変位することで、可変板３５２を軸部２５２ａの軸周りに回転させることができる。なお、可変板３５２の動作の詳しい説明は後述する。
【０１８９】
入賞部材３５３は、可変板３５２が変位して背面本体部３５１の開口３５１ｂの内部に送球された遊技球が流下する経路を形成する部材であり、背面本体部３５１の開口３５１ｂに連結される連結孔３５３ａと、その連結孔３５３ａの内縁に下方に向かって開口する第２検出孔３５３ｂと、第２検出孔３５３ｂと一端が連結されると共に他端が正面側に開口する前側開口３５３ｃと、背面側に形成される第１乱反射部３５３ｄと、ソレノイド３５６の伝達部３５６ａが挿通される貫通孔３５３ｅと、第１乱反射部３５３ｄの縁部から立設する立設壁３５３ｆとを主に備えて形成される。
【０１９０】
連結孔３５３ａは、背面本体部３５１の開口３５１ｂの正面視における外形と略同一の外形に貫通形成されると共に、開口３５１ｂと対向する位置に形成される。これにより、開口３５１ｂの内部に送球される遊技球を連結孔３５３ａの内部に送球させることができる。
【０１９１】
第２検出孔３５３ｂは、球の通過を検知するセンサで形成される孔であり、球の直径よりも大きい内径で形成される。第２検出孔３５３ｂは、連結孔３５３ａの重力方向下側の内縁部に形成されると共に、重力方向に開口して形成される。これにより、連結孔３５３ａの内部に送球される遊技球を第２検出孔３５３ｂを通過させて送球できると共に、第２検出孔３５３ｂを通過する際に、センサによりその球数を検知することで、開口３５１ｂを通過する球数を計測できる。
【０１９２】
前側開口３５３ｃは、第２検出孔３５３ｂに送球される遊技球を、背面本体部３５１の連結孔３５１ｃの内部に遊技球を送球するための孔であり、開口の一端が第２検出孔３５３ｂに連結され、他端が背面本体部３５１の連結孔３５１ｃに背面側から連結される。よって、背面本体部３５１の開口３５１ｂの内部に送球される遊技球を、第２検出孔３５３ｂを介して前側開口３５３ｃの内側を通過させて、背面本体部３５１の連結孔３５１ｃから排出できる。
【０１９３】
第１乱反射部３５３ｄは、後述する発光部材３５５のＬＥＤ３５５ａから照射される光を乱反射させて前方に出射させる乱反射面であり、透明な可撓性材料から形成されると共に複数の凹凸面で形成される。発光部材３５５のＬＥＤ３５５ａから照射される光を複数の凹凸面に入射させることにより、第１乱反射部３５３ｄの正面側から遊技者側に出射される光の進行方向が分散され、第１乱反射部３５３ｄを効率よく光らせることができる。
【０１９４】
貫通孔３５３ｅは、ソレノイド３５６の伝達部３５６ａを背面側から正面側に挿通させる開口であり、正面視において伝達部３５６ａの外形よりも大きい縦長矩形に形成されると共に、ソレノイド３５６の伝達部３５６ａと対向する位置に貫通形成される。
【０１９５】
立設壁３５３ｆは、発光部材３５５のＬＥＤ３５５ａから照射される光が外側に逃げることを抑制する壁であり、その立設高さが装飾部材３５４に当接する位置に設定される。よって、ＬＥＤ３５５ａから第１乱反射部３５３ｄ側に照射される光が、立設壁３５３ｆから外側に逃げることを抑制することができる。
【０１９６】
装飾部材３５４は、正面視略矩形の板状体に形成されると共に、正面視における外形が入賞部材３５３の外形と略同一とされる。装飾部材３５４は、後述する発光部材３５５と対向する面に形成される第２乱反射部３５４ｂと、入賞部材３５３の第１乱反射部３５３ｄと対向する位置に貫通形成される開口３５４ａと、ソレノイド３５６の伝達部３５６ａと対向する位置に貫通形成される貫通孔３５４ｃとを主に備えて形成される。
【０１９７】
開口３５４ａは、発光部材３５５のＬＥＤ３５５ａから発光される光を入賞部材３５３の第１乱反射部３５３ｄに直接照射させるための開口であり、正面視における第１乱反射部３５３ｄの外形と略同一の矩形に開口されると共に、第１乱反射部３５３ｄと対向する位置に形成される。
【０１９８】
第２乱反射部３５４ｂは、背面側に配設される発光部材３５５のＬＥＤ３５５ａから照射される光を乱反射させて前方に出射させる乱反射面であり、透明な可撓性材料から形成されると共に複数の凹凸が形成される。これにより、発光部材３５５のＬＥＤ３５５ａから出射される光を複数の凹凸に入射させることにより、第２乱反射部３５４ｂの正面側から出射される光の進行方向が分散され、第２乱反射部３５４ｂを効率よく発光させることができる。
【０１９９】
貫通孔３５４ｃは、ソレノイド３５６の伝達部３５６ａを背面側から正面側に挿通させる開口であり、正面視において伝達部３５６ａの外形よりも大きい縦長矩形に形成されると共に、ソレノイド３５６の伝達部３５６ａと対向する位置に貫通形成される。
【０２００】
発光部材３５５は、正面側（装飾部材３５４と対向する側）に光を照射する発光手段のＬＥＤ３５５ａが搭載されており、装飾部材３５４の背面側に取着される。これにより、第１乱反射部３５３ｄ及び第２乱反射部３５４ｂに光を照射することができる。
【０２０１】
ソレノイド３５６は、可変板３５２に駆動力を伝達する伝達部３５６ａを備える。ソレノイド３５６は、上述したように、可変板３５２に回転の駆動力を付与する駆動手段であり、電力が付与されることで、伝達部３５６ａが重力方向に変位される。
【０２０２】
伝達部３５６ａは、入賞部材３５３の貫通孔３５３ｅ及び装飾部材３５４の貫通孔３５４ｃの内部を挿通されて、可変板３５２の第１突起３５２ｂ及び第２突起３５２ｃとの間に配置される。よって、伝達部３５６ａが変位すると、可変板３５２が軸部３５２ａの軸周りに回転される。
【０２０３】
次に、図２８及び図２９を参照して、可変板３５２の変位様態を詳しく説明する。図２８（ａ）から図２８（ｃ）は、図２５のＸＸＶＩＩＩ−ＸＸＶＩＩＩ線における後方部材３５０の断面図である。図２９（ａ）から図２９（ｃ）は、後方部材３５０の断面図である。なお、図２８（ａ）及び図２９（ａ）は第１回転状態の可変板３５２が、図２８（ｂ）及び図２９（ｂ）は、第２回転状態の可変板３５２が、図２８（ｃ）及び図２９（ｃ）は、第３回転状態の可変板３５２が、それぞれ図示される。また、図２９（ａ）から図２９（ｃ）は、図２５（ｃ）の断面と対応する。
【０２０４】
図２８（ａ）に示すように、ソレノイド３５６の伝達部３５６ａが重力方向下方に位置する第１回転状態では、伝達部３５６ａが可変板３５２の第２突起３５２ｃの一側と当接すると共に、第２突起３５２ｃの他側と背面本体部３５１の背面側とが当接した状態とされる。即ち、第２突起３５２ｃが、伝達部３５６ａと背面本体部３５１との間に挟持された状態とされる。これにより、可変板３５２が軸部３５２ａの軸周りにぐらついて回転変位することを抑制できる。
【０２０５】
図２９（ａ）に示すように、第１回転状態における可変板３５２は、軸部３５２ａに対して膨出部３５２ｄ１が重力方向上側に位置されると共に、正面部３５２ｄ２が背面本体部３５１の開口３５１ｂを覆う（塞ぐ）様態とされる。なお、この場合、開口３５１ｂの重力方向上側の端面と可変板３５２との最短の距離寸法Ｌ１は、球の直径よりも小さく設定される。これにより、中間部材３３０と背面本体部３５１との対向間に送球される遊技球は、開口３５１ｂの内部に送球されず、可変板３５２の前方を流下様態とされる。
【０２０６】
また、第１回転状態では、正面部３５２ｄ２が軸部３５２ａから離間するに従って前方に傾斜する様態とされると共に、背面本体部３５１の正面の平面上に膨出部３５２ｄ１の先端部分が位置される。
【０２０７】
図２８（ａ）及び図２９（ａ）に示す状態から、ソレノイド３５６に電力が付与されて、伝達部３５６ａが重力方向上方に変位して、伝達部３５６ａが全変位量の半分変位された図２８（ｂ）及び図２９（ｂ）に示す第２回転状態では、伝達部３５６ａが可変板３５２の第１突起３５２ｂと当接して第１突起３５２ｂを軸部３５２ａの軸周りに回転させる。これにより、可変板３５２が軸部３５２ａの軸周りに回転される。
【０２０８】
図２９（ｂ）に示すように、第２回転状態における可変板３５２は、膨出部３５２ｄ１が、軸部３５２ａに対して正面側に位置されると共に、正面部３５２ｄ２の正面側への上方傾斜の傾斜角度が第１回転状態よりも小さくされる。なお、この場合、開口３５１ｂの重力方向上側の端面と可変板３５２との最短の距離寸法Ｌ２は、球の直径よりも小さく設定される。
【０２０９】
図２８（ｂ）及び図２９（ｂ）に示す状態から、ソレノイド３５６に電力が付与され続けて、伝達部３５６ａが、重力方向上方に変位して、伝達部３５６ａが、終端まで変位された図２８（ｃ）及び図２９（ｃ）に示す第３回転状態では、伝達部３５６ａが可変板３５２の第１突起３５２ｂと当接して第１突起３５２ｂを軸部３５２ａの軸周りにさらに回転させる。これにより、可変板３５２が第２回転状態よりもさらに軸部３５２ａの軸周りに回転される。
【０２１０】
また、図２８（ｃ）に示すように、第３回転状態では、伝達部３５６ａと第１突起３５２ｂの一端が当接すると共に、中間部材３３０と第１突起３５２ｂの他端が当接する様態とされる。即ち、第１突起３５２ｂは、背面本体部３５１と伝達部３５６ａとの間に挟まれた状態とされる。これにより、可変板３５２が軸部３５２ａの軸周りにぐらついて回転変位することを抑制できる。
【０２１１】
図２９（ｃ）に示すように、第３回転状態における可変板３５２は、軸部３５２ａに対して膨出部３５２ｄ１が正面側に位置される。この場合、開口３５１ｂの重力方向上側の端面と可変板３５２との最短の距離寸法Ｌ３は、球の直径よりも大きく設定される。これにより、中間部材３３０と背面本体部３５１との対向間に送球される遊技球は、開口３５１ｂの内部に送球される。
【０２１２】
また、第３回転状態では、正面部３５２ｄ２の反対面が、軸部３５２ａから離間するに従って上方に位置する上方傾斜とされる。よって、板部３５２ｄの上方に送球される遊技球を背面本体部３５１の開口３５１ｂの内部に送球することができる。
【０２１３】
よって、第１乱反射部３５３ｄと発光手段との間の距離が、第２乱反射部３５４ｂと発光手段との間の距離よりも大きくされ、可変板３５２と第２乱反射部３５４ｂとの対向間が遊技球の第１の流下経路とされるので、可変板３５２、第１乱反射部３５３ｄおよび第２乱反射部３５４ｂからなるユニットの小型化を図ることができる。即ち、遊技者に視認させる光の態様を異ならせるために形成された可変板３５２および第２乱反射部３５４ｂの間の空間を、遊技球の第１の流下経路とすることで、デッドスペースを有効に活用でき、流下経路のための空間を別途確保する必要がない。よって、その分、ユニットの小型化を図ることができる。
【０２１４】
次いで、図３０及び図３１を参照して、中間部材３３０及び後方部材３５０の詳しい説明をする。図３０（ａ）は、中間部材３３０及び後方部材３５０の正面図であり、図３０（ｂ）は、中間部材３３０及び後方部材３５０の側面図である。図３１（ａ）は、図３０（ａ）のＸＸＸＩａ−ＸＸＸＩａ線における中間部材３３０及び後方部材３５０の断面図であり、図３１（ｂ）は、図３０（ｂ）のＸＸＸＩｂ−ＸＸＸＩｂ線における中間部材３３０及び後方部材３５０の断面図である。
【０２１５】
図３０及び図３１に示すように、ＬＥＤ３５５ａと第２乱反射部３５４ｂとの対向間の距離寸法Ｌ４は、ＬＥＤ３５５ａと第１乱反射部３５３ｄとの対向間の距離寸法Ｌ５よりも小さく設定される（Ｌ４＜Ｌ５）。また、第２乱反射部３５４ｂの光透過方向に、可変板３５２が配設される。
【０２１６】
ここで、遊技者から視認可能な位置に変位可能に配設され変位位置に応じて遊技球の流下経路を切り替える変位部材（可変板３５２）を備えた遊技機が知られている。この場合、透明な可撓性材料から形成される透過部材の正面側に変位部材を配設し、透過部材の背面から光を照射することで、透過部材を透過した光と共に変位部材を遊技者に視認させ、変位部材に着目させるという技術も知られている。しかしながら、従来の上述した技術では、変位部材が光を透過しない非透過性材料から形成されるため、その変位部材の大きさの分、遊技者に視認させる光の領域（面積）が減少され、演出効果が阻害される。
【０２１７】
これを受け、変位部材（可変板３５２）を透明な可撓性材料から形成することで、透過部材に加え、変位部材を透過する光も遊技者に視認可能として、遊技者に視認させる光の領域（面積）を確保する技術を開発した（本出願時において未公知）。しかしながら、変位部材を透明な可撓性材料から形成した場合には、かかる変位部材の位置を遊技者が特定し難いという問題点のあることが判明した。
【０２１８】
これに対し、本実施形態によれば、光を発光可能に形成される１又は複数の発光手段（ＬＥＤ３５５ａ）が発光面を正面側へ向けて搭載される基板部材（発光部材３５５）と、その基板部材の正面側に配設され光透過材料から形成される第１透過部材（第１乱反射部３５３ｄ）および第２透過部材（第２乱反射部３５４ｂ）とを備え、変位部材が透明な可撓性材料から形成されると共に前記第２透過部材の正面側に配設され、第２透過部材と基板部材との間の距離が、第１透過部材と基板部材との間の距離と異なる距離に設定されるので、遊技者に視認させる光の領域（面積）を確保しつつ、変位部材の位置を遊技者に特定させやすくできる。
【０２１９】
即ち、第１透過部材（第１乱反射部３５３ｄ）と第２透過部材（第２乱反射部３５４ｂ）とで発光手段（ＬＥＤ３５５ａ）からの距離が異なるため、第１透過部材および第２透過部材をそれぞれ透過する際の光の拡散の態様を異ならせことができる。よって、第１透過部材を透過して遊技者に視認させる光の態様と、第２透過部材透過して遊技者に視認させる光の態様とを異ならせることができる。その結果、第２透過部材の正面側に配設される変位部材（可変板３５２）の位置を遊技者に特定させやすくできる。
【０２２０】
また、ここで、発光部材３５５と、その発光部材３５５（ＬＥＤ３５５ａ）の光照射側に透明な可撓性材料から形成される第１乱反射部３５３ｄおよび第２乱反射部３５４ｂと、遊技領域を流下する遊技球を第１送球経路ＫＲ１または第２送球経路ＫＲ２のどちらかに案内する可変板３５２と、を備える遊技機では、可変板３５２を遊技者に認識させやすくするために、第２の発光部材を配設して、その第２の発光部材の光の色を変更する、又は、照射角度を変更する等して、可変板３５２の位置を遊技者に視認させやすくする必要があった。そのため、第２の発光部材を備える分、部品点数が多くなり製造工程が複雑化するという問題点があった。
【０２２１】
これに対し、本実施形態では、発光部材３５５（ＬＥＤ３５５ａ）と第２乱反射部３５４ｂとの対向間の距離寸法Ｌ４が、ＬＥＤ３５５ａと第１乱反射部３５３ｄとの対向間の距離寸法Ｌ５と異なる距離寸法に形成されると共に、第２乱反射部３５４ｂの前方に可変板３５２が配設される。これにより、第１乱反射部３５３ｄと第２乱反射部３５４ｂから出射される光の態様（量）を異ならせることができるので、遊技者からの可変板３５２の視認性を向上することができる。
【０２２２】
即ち、発光部材３５５から遠方に配設される第１乱反射部３５３ｄほど、発光部材３５５のＬＥＤ３５５ａの光が外側に拡散する分、透過される光の量が少なくなるところ、第１乱反射部３５３ｄおよび第２乱反射部３５４ｂが、発光手段との対向間の距離がそれぞれ異なる距離に配設されるので、第１乱反射部３５３ｄおよび第２乱反射部３５４ｂを透過する光の明暗を第１乱反射部３５３ｄおよび第２乱反射部３５４ｂで異ならせることができる。よって、遊技者は、光透過側に配設される可変板３５２を光の明暗により認識することができる。
【０２２３】
従って、新たに第２の発光部材を配設することなく、１の発光部材３５５からの発光で可変板３５２とその可変板３５２の周囲とのそれぞれを遊技者に認識させることができる。その結果、新たに第２の発光部材を配設する必要がなく、部品点数が多くなることを抑制して、製造工程を簡素化できる。
【０２２４】
さらに、第１乱反射部３５３ｄ及び第２乱反射部３５４ｂには、背面側に凹凸が形成されるので、ＬＥＤ３５５ａから発光される第１乱反射部３５３ｄおよび第２乱反射部３５４ｂを透過する光を、凹凸により拡散させやすくできる。この場合、第１乱反射部３５３ｄと第２乱反射部３５４ｂとでＬＥＤ３５５ａからの距離が異なるため、第１乱反射部３５３ｄを透過する光の拡散の態様と、第２乱反射部３５４ｂを透過する光の拡散の態様とを異ならせることができる。よって、第１乱反射部３５３ｄを透過して遊技者に視認させる光の態様と、第２乱反射部３５４ｂ透過して遊技者に視認させる光の態様との相違をより大きくできる。その結果、第２乱反射部３５４ｂの正面側に配設される可変板３５２の位置を遊技者に特定させやすくできる。
【０２２５】
また、第１乱反射部３５３ｄに形成される凹凸と第２乱反射部３５４ｂに形成される凹凸とが略同一とされるので、ＬＥＤ３５５ａから光が発光されていない状態では、第１乱反射部３５３ｄと第２乱反射部３５４ｂ（可変板３５２を透過して視認される第２乱反射部３５４ｂ）とを同一の外観として遊技者に視認させることができる。即ち、ＬＥＤ３５５ａの発光後は異なる外観（光の態様）となる第１乱反射部３５３ｄと第２乱反射部３５４ｂとを、ＬＥＤ３５５ａの発光前には同一の外観としておけることで、第１乱反射部３５３ｄと第２乱反射部３５４ｂとの外観（光の態様）が異なる（相違した）ものとなる演出を引き立たせることができる。
【０２２６】
なお、第１乱反射部３５３ｄと第２乱反射部３５４ｂとで凹凸が同一であっても、第１乱反射部３５３ｄと第２乱反射部３５４ｂとでＬＥＤ３５５ａからの距離が異なるため、第１乱反射部３５３ｄおよび第２乱反射部３５４ｂをそれぞれ透過する際の光の拡散の態様を異ならせことができる。即ち、第１乱反射部３５３ｄを透過して遊技者に視認させる光の態様と、第２乱反射部３５４ｂ透過して遊技者に視認させる光の態様とを異ならせることができる。
【０２２７】
さらに、可変板３５２は、第１乱反射部３５３ｄと略面一となる位置に配置可能とされるので、可変板３５２と第１乱反射部３５３ｄとを一体的に視認させ、ＬＥＤ３５５ａから発光され遊技者に視認させる光の領域（面積）をより大きな領域として視認させることができる。
【０２２８】
また、入賞部材３５３の第１乱反射部３５３ｄの縁部には、装飾部材３５４側に立設する立設壁３５３ｆが形成され、その立設壁３５３ｆの下端側の先端面が、装飾部材３５４の第２乱反射部３５４ｂの一端と当接して配設される。これにより、第２乱反射部３５４ｂを透過する発光部材３５５のＬＥＤ３５５ａの光が、第１乱反射部３５３ｄに侵入することを抑制して、第１乱反射部３５３ｄおよび第２乱反射部３５４ｂの光の明暗をより大きくすることができる。
【０２２９】
即ち、発光部材３５５の近傍に配設される第２乱反射部３５４ｂを透過する光のうち、発光部材３５５の遠方に配設される第１乱反射部３５３ｄに向かう光を、立設壁３５３ｆに侵入させることで、第１乱反射部３５３ｄに侵入し難くして、第１乱反射部３５３ｄおよび第２乱反射部３５４ｂの光の明暗をより大きくすることができる。よって、１の発光手段からの発光で可変板３５２とその可変板３５２の周囲とのそれぞれを遊技者に認識させ易くできる。
【０２３０】
言い変えると、第１乱反射部３５３ｄと第２乱反射部３５４ｂとを連結する立設壁３５３ｆを備えるので、第１乱反射部３５３ｄまたは第２乱反射部３５４ｂのうちの一方（ＬＥＤ３５５ａとの間の距離が小さい方）を透過した光が、第１乱反射部３５３ｄまたは第２乱反射部３５４ｂのうちの他方（ＬＥＤ３５５ａとの間の距離が大きい方）とＬＥＤ３５５ａとの間へ侵入することを立設壁３５３ｆｆにより抑制できる。その結果、第１乱反射部３５３ｄと第２乱反射部３５４ｂとで、それらを透過して遊技者に視認させる光の態様（特に、明暗）を異ならせやすくできる。その結果、第２乱反射部３５４ｂの正面側に配設される変位部材の位置を遊技者に特定させやすくできる。
【０２３１】
また、立設壁３５３ｆの背面には、凹凸が非形成とされるので、第１乱反射部３５３ｄおよび第２乱反射部３５４ｂ（可変板３５２を透過して視認される第２乱反射部３５４ｂ）と立設壁３５３ｆとを異なる外観として遊技者に視認させることができる。これにより、立設壁３５３ｆを利用して、第１透過部材と第２乱反射部３５４ｂとの境界を明確とでき、その結果、第２乱反射部３５４ｂの正面側に配設される可変板３５２の位置を遊技者に特定させやすくできる。
【０２３２】
さらに、本実施形態では、第１乱反射部３５３ｄとＬＥＤ３５５ａとの距離が、第２乱反射部３５４ｂとＬＥＤ３５５ａとの距離よりも大きくされ、第１乱反射部３５３ｄが重力方向上側に配置されるので、ＬＥＤ３５５ａが破損することを抑制できる。
【０２３３】
即ち、ＬＥＤ３５５ａとの間の距離が小さい（狭い）側では、ＬＥＤ３５５ａら発生した熱により空間内の温度が高くなり、ＬＥＤ３５５ａの破損するおそれが高くなる。これに対し、ＬＥＤ３５５ａとの間の距離が小さい側（狭い）側における空間内の温度が高くされた空気を、その重力方向上方に位置する空間（即ち、ＬＥＤ３５５ａとの間の距離が大きい（広い）側の空間）へ上昇させて逃がすことができる。その結果、上記距離が小さい（狭い）側におけるＬＥＤ３５５ａの破損を抑制できる。
【０２３４】
また、本実施形態では、第１乱反射部３５３ｄと発光部材３５５（ＬＥＤ３５５ａ）との対向間に装飾部材３５４の開口３５４ａを介する空間が形成される。これにより、発光部材３５５のＬＥＤ３５５ａの光の照射に伴う熱を第１乱反射部３５３ｄとＬＥＤ３５５ａとの対向間に逃がすことができる。従って、発光部材３５５に熱が溜まることを抑止することができる。その結果、発光部材３５５が破損することを抑制できる。
【０２３５】
即ち、第１乱反射部３５３ｄは、第２乱反射部３５４ｂよりも発光部材３５５との対向間の距離寸法が大きく設定されるので、第１乱反射部３５３ｄと発光部材３５５との対向間の空気を移動しやすくできる。これにより、第１乱反射部３５３ｄと発光部材３５５との対向間の空気を移動させて、発光部材３５５の熱を外に逃がすことができる。また、温められる空気は上昇し易いところ、発光部材３５５と対向間の距離が大きくされる第１乱反射部３５３ｄが重力方向上側に配設されるので、発光部材３５５により温められた空気を効率よく外側に排出して、発光部材３５５を効率よく冷却することができる。その結果、発光部材３５５が破損することを抑制できる。
【０２３６】
可変板３５２は膨出部３５２ｄ１を備えるので、可変板３５２を透過する光に陰影をつけて、その光の陰影の変位により可変板３５２が変位したことを遊技者に認識させることができる。
【０２３７】
即ち、膨出部３５２ｄ１は、光透過側に半円状に膨出して形成されるので、可変板３５２から出射される光の進行方向を部分的に変化させることができる。これにより、可変板３５２を透過して遊技者側に出射される光のうち、膨出部３５２ｄ１から出射される光の量を少なくして、可変板を透過する光に陰影をつけることができる。また、膨出部３５２ｄ１は、可変板３５２の軸部３５２ａから遠方の端部に形成されるので、可変板３５２の変位に伴って遊技者側に照射される光の陰影を変位させることができる。その結果、遊技者は、可変板３５２から出射される光の陰影の変位を視認することで、可変板３５２の変位を認識することができる。
【０２３８】
言い変えると、可変板３５２は、基端側が回転可能に軸支された板状体として形成されると共に、先端側に板厚を大きくした膨出部３５２ｄ１が形成されるので、可変板３５２を透過して遊技者に視認される光のうち、膨出部３５２ｄ１を透過して遊技者に視認される光を、膨出部３５２ｄ１を除く他の部分を透過して遊技者に視認される光と異ならせることができる。また、可変板３５２が基端側を中心として回転されるに伴って、先端側（膨出部３５２ｄ１）を透過して視認される光の位置を変位させることができる。即ち、可変板３５２の先端側（膨出部３５２ｄ１）を透過して視認される光の位置が変位されることを利用して、可変板３５２の変位（回転）動作を遊技者に認識させやすくできる。
【０２３９】
さらに、膨出部３５２ｄ１は、その断面が円弧状に湾曲して形成されるので、かかる膨出部３５２ｄ１をレンズとして機能させる（即ち、膨出部３５２ｄ１に入射された光を屈折させて発散または集束させる（本実施形態では、膨出部３５２ｄ１に入射された光を集束させることで、光の強度（明度）が強くされた線上の光として視認させる））ことができる。これにより、可変板３５２を透過して遊技者に視認される光のうち、膨出部３５２ｄ１を透過して遊技者に視認される光と、膨出部３５２ｄ１を除く他の部分を透過して遊技者に視認される光との相違をより明確とすることができる。その結果、可変板３５２の変位（回転）動作を遊技者に認識させやすくできる。
【０２４０】
中間部材３３０の受部３３１ａの基部は、重力方向（図３１（ａ）上下方向）の高さ位置が第１回転状態における可変板３５２の重力方向略中央位置と略同一の高さ位置に設定される。
【０２４１】
第１送球経路ＫＲ１は、中間部材３３０の外側案内部３３１ｂ２の左右方向外側に配置される背面本体部３５１の第２凹部３５１ｅの内側の第３送球経路ＫＲ３と連結される。第２送球経路ＫＲ２は、中間部材３３０の内側案内部３３１ｂ１及び外側案内部３３１ｂ２の対向間に形成される第４送球経路ＫＲ４に連結される。
【０２４２】
次いで、図３２から図４３を参照して第１送球経路ＫＲ１から第４送球経路ＫＲ４を送球される遊技球について説明する。図３２から図３４は、中間部材３３０及び後方部材３５０の断面図である。
【０２４３】
なお、図３２から図３４及び図３８から図４０は、図３１（ａ）の断面と対応し、図３５から図３７及び図４１から図４３は、図３１（ｂ）の断面と対応する。また、図３２から図３４及び図３５から図３７は、第１送球経路ＫＲ１及び第３送球経路ＫＲ３を送球される遊技球の遷移状態が図示され、図３８から図４０及び図４１から図４３では、第２送球経路ＫＲ２及び第４送球経路ＫＲ４を送球される遊技球の遷移状態が図示される。
【０２４４】
図３２及び図３５に示すように、後方部材３５０の可変板３５２が第１回転状態の場合に、中間部材３３０の受部３３１ａの上部を転動して送球される遊技球は、第１送球経路ＫＲ１に送球される。即ち、中間部材３３０の受部３３１ａの上部を転動して送球される遊技球は、中間部材３３０と背面本体部３５１との対向間の隙間に流下される。
【０２４５】
図３２及び図３５に示す状態から、第１送球経路ＫＲ１を流下する遊技球は、中間部材３３０の外側案内部３３１ｂ２の上面に流下し、図３３及び図３６に示すように、外側案内部３３１ｂ２の上面を転動して、第３送球経路ＫＲ３に送球される。なお、上述したように、外側案内部３３１ｂ２は、左右方向中央部から外側に向かうに従って、下降傾斜して形成されるので、正面視において、第１送球経路ＫＲ１の左側を流下する遊技球は左側の第３送球経路ＫＲ３に送球され、第１送球経路ＫＲ１の右側を流下する遊技球は右側の第３送球経路ＫＲ３に送球される。
【０２４６】
図３３及び図３６に示す状態から、第３送球経路ＫＲ３に送球される遊技球は、図３４及び図３７に示すように、第３送球経路ＫＲ３を流下して、後述する背面ベース３９０を介して可変ユニット３６０に送球される。
【０２４７】
図３８及び図４１に示すように、後方部材３５０の可変板３５２が第３回転状態の場合に、中間部材３３０の受部３３１ａの上部を転動して送球される遊技球は、第２送球経路ＫＲ２に送球される。即ち、中間部材３３０の受部３３１ａの上部を転動して送球される遊技球は、後方部材３５０の可変板３５２の上部を転動して、第２送球経路ＫＲ２に送球される。
【０２４８】
図３８及び図４１に示す状態から、第３送球経路ＫＲ３を流下する遊技球は、入賞部材３５３の第２検出孔３５３ｂの内部を通過して、図３９及び図４２に示すように、前側開口３５３ｃから排出され第４送球経路ＫＲ４に送球される。
【０２４９】
この場合、上述したように、中間部材３３０の受部３３１ａの基部は、重力方向（図３１（ａ）上下方向）の高さ位置が第１回転状態における可変板３５２の重力方向略中央位置と略同一の高さ位置に設定されるので、中間部材３３０と背面本体部３５１との対向間を流下する第１送球経路ＫＲ１と背面本体部３５１の開口３５１ｂの内側を送球させる第２送球経路ＫＲ２とを可変板３５２の変位状態で経路を変更する際の中間部材３３０及び後方部材３５０の重力方向の距離寸法を小さくできる。
【０２５０】
即ち、中間部材３３０の受部３３１ａを転動する遊技球を、背面側に配設される可変板３５２で第１送球経路ＫＲ１と第２送球経路ＫＲ２とに振り分ける際に、第３状態において可変板３５２の軸部３５２ａから遠方の端部を受部３３１ａの基部よりも低くすることで、可変板３５２の配設位置を重力方向に高くすることができる。その結果、中間部材３３０及び後方部材３５０の重力方向の距離寸法を小さくすることができる。
【０２５１】
図３９及び図４２に示す状態から、第４送球経路ＫＲ４に送球される遊技球は、図４０及び図４３に示すように、第４送球経路ＫＲ４の中間部材３３０の内側案内部３３１ｂ１の上面を転動して送球され、後述する回転送球部３７０に送球される。なお、上述したように、内側案内部３３１ｂ１は、左右方向中央部から外側に向かうに従って、下降傾斜して形成されるので、正面視において、第２送球経路ＫＲ２の左側を流下する球（左側の第２検出孔３５３ｂを通過して左側の前側開口３５３ｃから排出される球）は左側の第４送球経路ＫＲ４に送球され、第２送球経路ＫＲ２の右側を流下する球（右側の第２検出孔３５３ｂを通過して右側の前側開口３５３ｃから排出される球）は右側の第４送球経路ＫＲ４に送球される。
【０２５２】
次に、図４４から図５１を参照して、中間部材３３０の受部３３１ａを転動して第１送球経路ＫＲ１及び第２送球経路ＫＲ２に送球される遊技球について説明する。図４４及び図４５は、中間部材３３０及び後方部材３５０の断面図である。なお、図４４及び図４５は、図３１（ａ）の断面に対応する。
【０２５３】
図４４及び図４５に示すように、中間部材３３０の受部３３１ａの上面を転動して送球される遊技球は、背面側に転動して可変板３５２と当接して第１送球経路ＫＲ１に送球される。
【０２５４】
この場合、上述したように、第１回転状態における可変板３５２は、正面部３５２ｄ２が、軸部３５２ａから離間するに従って前方に傾倒して配置されるので、受部３３１ａから第１送球経路ＫＲ１に送球される遊技球を、正面部３５２ｄ２に衝突させて下方に流下させやすくできる。
【０２５５】
また、膨出部３５２ｄ１の正面部３５１ｄ２と連結される部分は、受部３３１ａの基端よりも遊技球の半径分上方に位置されるので、球が受部３３１ａを勢いよく転動する際には、球を膨出部３５２ｄ１に衝突させて下方に流下させることができる。この際、比較的送球の勢いが付いた遊技球を、板部３５２ｄから膨出する膨出部３５２ｄ１に衝突させることで、板部３５２ｄの破損を抑制できる。即ち、球の転動速度が比較的速い場合には、膨出する分、剛性の高い膨出部３５２ｄ１と衝突させることで、板部３５２ｄの破損を防ぐことができる。
【０２５６】
次いで、図４６から図５１を参照して可変板３５２が第１回転状態から第３回転状態へ変位する際に、球が中間部材３３０の受部３３１ａの上面を転動して送球される場合について説明する。図４６から図５１は、中間部材３３０及び後方部材３５０の断面図である。なお、図４６から図４８及び図４９から図５１は、図３１（ａ）の断面に対応する。また、図４６から図４８及び図４９から図５１では、可変板３５２が第１回転状態から第３回転状態に変位する際の遊技球の転動状態が図示される。
【０２５７】
ここで、上述したように、第３状態において可変板３５２の軸部３５２ａから遠方の端部を受部３３１ａの基部よりも低くすると、受部３３１ａの基部と変位動作中の可変板３５２との間に遊技球を挟み込んで不具合を起こす可能性があった。
【０２５８】
これに対し、本実施形態では、図４６及び図４９に示すように、中間部材３３０の受部３３１ａの基部が、重力方向（図３１（ａ）上下方向）の高さ位置が第１回転状態における可変板３５２の重力方向略中央位置と略同一の高さ位置に設定されるので、変位途中の可変板３５２が受部３３１ａとの間に遊技球を挟み込んだ際の遊技球と膨出部３５２ｄ１との当接位置を受部３３１ａの基端と遊技球の中心とを連結する仮想線Ｓ２で分割する遊技球の正面側または背面側のどちらか一方とすることができ、球が受部３３１ａの基部と可変板３５２との間に挟まることを抑制できる。
【０２５９】
即ち、図４６から図４８に示すように、仮想線Ｓ２で分割される遊技球の正面側と膨出部３５２ｄ１とが当接する場合には、膨出部３５２ｄ１の正面部３５２ｄ２との連結側が遊技球と衝突する。よって、膨出部３５２ｄ１の湾曲面を利用して、図４８に示すように、球を第１送球経路ＫＲ１に送球することができる。
【０２６０】
一方、図４９から図５１に示すように、仮想線Ｓ２で分割される遊技球の背面側と膨出部３５２ｄ１とが当接する場合には、膨出部３５２ｄ１の軸部３５２ａから離間する側の湾曲面と当接される。これにより、受部３３１ａから落下しようとする遊技球を可変板３５２の変位を利用して、正面側に押し戻すことができる。これにより、可変板３５２を第３回転状態に変位させて、球を第２送球経路ＫＲ２に案内できる。
【０２６１】
次いで、図５２から図５４を参照して、背面ベース３９０の詳細な説明をする。図５２（ａ）は、背面ベース３９０の正面図であり、図５２（ｂ）は、背面ベース３９０の側面図である。図５３は、背面ベース３９０の分解正面斜視図である。図５４は、背面ベース３９０の分解背面斜視図である。
【０２６２】
図５２から図５４に示すように、背面ベース３９０は、背面側に配置される板状体の背面板３９１と、背面板３９１の重力方向下側の一端に配置され背面板３９１との対向間に駆動手段のソレノイド３９７を保持する保持部材３９２と、その保持部材３９２の両端に締結される２の円環部材３９４と、その２の円環部材３９４の対向間の外側に配設されるストッパ部３９６とを主に備えて形成される。
【０２６３】
背面板３９１は、正面視略台形の板状体から形成される。背面板３９１は、上述した後方部材３５０の背面側を覆設する板であり、後方部材３５０の正面視における外形と略同一の外形に形成される。
【０２６４】
ソレノイド３９７は、後述するストッパ部３９６に駆動力を付与する駆動手段であり、ストッパ部３９６に駆動力を伝達する伝達部３９７ａを備える。また、ソレノイド３９７は、２のストッパ部３９６の背面側にそれぞれ配設される。
【０２６５】
伝達部３９７ａは、ソレノイド３９７に電力が供給されることで、重力方向に変位する突起であり、後述するストッパ部３９６の第１係合部３９６ａ及び第２係合部３９６ｂの間に挿入される。
【０２６６】
保持部材３９２は、正面視横長矩形に形成され、長手方向の両端部に正面側に凹設される凹部３９２ａと、凹部３９２ａに正面から背面に亘って貫通形成される開口３９２ｂと、を備えて形成される。
【０２６７】
凹部３９２ａは、内側にソレノイド３９７を挿入する凹みであり、ソレノイド３９７の外形形状に凹設される。よって、凹部３９２ａにソレノイド３９７を挿入した後に保持部材３９２を背面板３９１に取着することで、ソレノイド３９７を脱落不能に保持できる。
【０２６８】
開口３９２ｂは、ソレノイド３９７の伝達部３９７ａを前方に挿通させる開口であり、伝達部３９７ａよりも大きい正面視縦長矩形の開口に形成される。よって、凹部３９２ａの内側にソレノイド３９７を配置すると、ソレノイド３９７の伝達部３９７ａが正面側に突出される。
【０２６９】
円環部材３９４は、第３送球経路ＫＲ３から遊技球が送球される送球部であり、側面視略円環形状に形成され、軸心に貫通する軸支孔３９４ａを備える。軸支孔３９４ａは、後述する軸Ｂ１を回転可能に保持する孔であり、軸Ｂ１の外径よりも大きい内径に形成される。
【０２７０】
軸Ｂ１は、円柱状に形成され、一端が上述したように、円環部材３９４の軸支孔３９４ａに挿入されると共に、他端が後述するストッパ部３９６の軸孔３９６ｃに外嵌される。よって、軸Ｂ１は、ストッパ部３９６の回転変位に伴って、軸支孔３９４ａに対して回転変位することができる。
【０２７１】
ストッパ部３９６は、回転変位することで後述する可変ユニット４６０の送球経路ＫＲ６を送球不能にする送球経路遮断手段であり、側面視略三角形状に形成され、２の円環部材３９４の対向間の外側に配設される。
【０２７２】
また、ストッパ部３９６は、円環部材３９４の軸方向に略円形状に貫通する軸孔３９６ｃと、その軸孔３９６ｃの軸から径方向外側に突出する第１係合部３９６ａ及び第２係合部３９６ｂとを主に備えて形成される。
【０２７３】
第１係合部３９６ａは、上述したソレノイド３９７の伝達部３９７ａと係合して、ソレノイド３９７の駆動力が伝達される突起であり、伝達部３９７ａの重力方向上側に位置して配設される。
【０２７４】
第２係合部３９６ｂは、第１係合部３９６ａと同様に、ソレノイド３９７の伝達部３９７ａと係合して、ソレノイド３９７の駆動力が伝達される突起であり、伝達部材３９７ｂの重力方向下側に位置して配設される。
【０２７５】
なお、第１係合部３９６ａと第２係合部３９６ｂとは、軸孔３９６ｃの軸周りに所定の隙間を備えて形成されており、突出先端側の互いの距離寸法は、ソレノイド３９７の伝達部３９７ａの上下方向寸法よりも大きく設定される。これにより、第１係合部３９６ａと第２係合部３９６ｂとの間にソレノイド３９７の伝達部３９７ａを挿入して、ストッパ部３９６に駆動力を伝達することができる。
【０２７６】
次に、図５５を参照して、ストッパ部３９６の遷移について説明する。図５５（ａ）から図５５（ｃ）は、図５２のＬＶ−ＬＶ線における背面ベース３９０の断面図である。なお、図５５の（ａ）から図５５（ｃ）では、ストッパ部３９６の遷移状態が図示される。また、図５５では、ストッパ部３９６の軸孔３９６ｃから遠方の端部を端部Ａ２の符号を付して説明する。
【０２７７】
図５５（ａ）に示すように、ソレノイド３９７の伝達部３９７ａが下方に位置する第１遮断状態では、伝達部３９７ａが、ストッパ部３９６の第２係合部３９６ｂと当接して、ストッパ部３９６の端部Ａ２が上方に変位する（図５５（ａ）では、軸孔３９６ｃの軸周りに端部Ａ２が右回転する）方向に駆動力が作用される。これにより、端部Ａ２が軸孔３９６ｃよりも重力方向上側に位置される。
【０２７８】
図５５（ａ）に示す状態から、ソレノイド３９７の伝達部３９７ａが上方に変位され、図５５（ｂ）に示す伝達部３９７ａが全変位量の中間位置まで変位される第２遮断状態では、伝達部３９７ａが、ストッパ部３９６の第１係合部３９６ａと当接して、ストッパ部３９６の端部Ａ２が下方に変位する（図５５（ｂ）では、軸孔３９６ｃの軸周りに端部Ａ２が左回転する）方向に駆動力が作用される。これにより、端部Ａ２が、第１遮断状態よりも軸孔３９６ｃと重力方向の高さが近くされる。
【０２７９】
図５５（ｂ）に示す状態から、ソレノイド３９７の伝達部３９７ａが更に上方に変位され、図５５（ｃ）に示す伝達部３９７ａが終端まで変位された第３遮断状態では、伝達部３９７ａが、ストッパ部３９６の第１係合部３９６ａと当接して、ストッパ部３９６の端部Ａ２が下方に変位する（図５５（ｂ）では、軸孔３９６ｃの軸周りに端部Ａ２が左回転する）方向に駆動力が作用される。この場合、端部Ａ２が、軸孔３９６ｃの軸の重力方向の高さと略同一の高さ位置に変位される。
【０２８０】
一方、第３遮断状態から第１遮断状態に変位する際には、ソレノイド３９７の伝達部３９７ａが第２係合部３９６ｂを下方に押し下げることで、先端部Ａ１が軸孔３９６ｃの軸周りに押し上げられる。
【０２８１】
次いで、図５６から図５８を参照して、可変ユニット３６０の本体部３８０について説明する。図５６（ａ）は、可変ユニット３６０の正面図であり、図５６（ｂ）は、可変ユニット３６０の上面図である。図５７は、可変ユニット３６０の本体部３８０の分解正面斜視図である。図５８は、可変ユニット３６０の本体部３８０の分解背面斜視図である。
【０２８２】
可変ユニット３６０は、第３送球経路ＫＲ３及び第４送球経路ＫＲ４から送球された遊技球を正面側に送球する経路を備える本体部３８０と、回転する回転体に遊技球を吸着させて遊技球を送球する回転送球部３７０とを主に備えて形成される。
【０２８３】
本体部３８０は、上述したセンターフレーム３１０の重力方向下側の一側の背面に配置され、センターフレーム３１０の中央開口を通じて遊技者から視認可能とされる（図８参照）。本体部３８０は、上面に遊技球の転動面が形成される上面ベース３８１と、その上面ベース３８１に対向して配設される第１下面ベース３８３と、上面ベース３８１及び第１下面ベース３８３との間に一端が軸支されて変位可能に配置されるＶ入賞部材３８２と、そのＶ入賞部材３８２に駆動力を付与する第１駆動モータＭ１と、その第１駆動モータＭ１の駆動力をＶ入賞部材３８２に伝達する第１伝達手段３８４と、本体部３８０に回転可能に配設される振分部３８９と、その振分部３８９に駆動力を付与する第２駆動モータＭ２と、その第２駆動モータＭ２の駆動力を振分部３８９に伝達する第２伝達手段３８７とを主に備えて形成される。
【０２８４】
上面ベース３８１は、上述したように、第３送球経路ＫＲ３および第４送球経路ＫＲ４から送球される遊技球を送球される転動面を備える板部材であり、上面視略矩形の板状体から形成される。上面ベース３８１は、背面側から正面側に亘って凹設される２の第１転動部３８１ａと、その第１転動部３８１ａの背面側を取り囲んで立設される立設部３８１ｂと、転動部３８１ａの前後方向中央部から分岐して凹設される第２転動部３８１ｃと、その第２転動部３８１ｃの正面側に回転体３７２Ｒ，３７２Ｌとを挟む位置に形成される第３転動部３８１ｄと、その第３転動部３８１ｄと隣り合って形成されると共に第１転動部３８１ａが連結される第４転動部３８１ｅと、第２転動部３８１ｃの基部側の第１転動部３８１ａを挟んだ位置に動重力方向に開口される軸支孔３８１ｆとを主に備えて形成される。
【０２８５】
第１転動部３８１ａは、第４送球経路ＫＲ４を送球される遊技球が送球される送球経路であり、第４送球経路ＫＲ４から遊技球が送球される背面側の端部から正面側に向かって下降傾斜して形成される。これにより、第４送球経路ＫＲ４を送球される遊技球を正面側に送球する第５送球経路ＫＲ５が形成される。
【０２８６】
また、上述したように第４送球経路ＫＲ４は、左右方向に２つに分流されており、第１転動部３８１ａは、２の第４送球経路ＫＲ４の重力方向下側にそれぞれ形成される。これにより、それぞれの第４送球経路ＫＲ４が、それぞれの第５送球経路ＫＲ５と連結される。
【０２８７】
２の第１転動部３８１ａは、それぞれ正面側に延設されると共に、第４転動部３８１ｅと連結される手前で合流して、１の転動面とされる。
【０２８８】
立設部３８１ｂは、第４送球経路ＫＲ４から送球される遊技球を、第１転動部３８１ａに案内する壁であり、立設先端部（重力方向上側端部）が、上述する中間部材３３０の案内部３３０ｂと当接して配設される。これにより、第４送球経路ＫＲ４を流下する遊技球を確実に第１転動部３８１ａの第５送球経路ＫＲ５に送球できる。
【０２８９】
第２転動部３８１ｃは、背面側から正面側にかけて延設される第１転動部３８１ａの略中央位置から、上面ベース３８１の外側に延設される面であり、第１転動部３８１ａよりも下方に形成されると共に、上面ベース３８１の外側に向かうに従って下降傾斜して形成される。よって、第１転動部３８１ａの上部を転動して正面側に送球される遊技球を、後述する振分部３８９に衝突させて第２転動部３８１ｃに送球させることができる。
【０２９０】
また、第２転動部３８１ｃは、上述したように左右方向外側に向かうに従って下降傾斜して形成されるので、第２転動部３８１ｃに送球される遊技球は、第１転動部３８１ａから離間する方向に転動して送球される。即ち、第２転動部３８１ｃにより、球が送球される第６送球経路ＫＲ６が形成される。
【０２９１】
第２転動部３８１ｃは、延設方向と直交する方向の中央位置が凹んだ形状に形成されており、第２転動部３８１ｃを転動する遊技球が揺れ動きにくくされる。これにより、第６送球経路ＫＲ６を送球される遊技球を安定させることができる。
【０２９２】
第３転動部３８１ｄは、後述する回転体３７２Ｒ，３７２Ｌにより送球される遊技球を受ける面であり、回転体３７２Ｒ，３７２Ｌの隣りに形成されると共に、第４転動部３８１ｅ（正面側）に向かって下降傾斜して形成される。よって、回転体３７２Ｒ，３７２Ｌから第３転動部３８１ｄの上面に送球される遊技球は、第３転動部３８１ｄの上面を転動して第４転動部３８１ｅに送球される。即ち、第３転動部３８１ｄにより、第４転動部３８１ｅに遊技球を送球する第７送球経路ＫＲ７が形成される。
【０２９３】
第４転動部３８１ｅは、第３転動部３８１ｄ及び第１転動部３８１ａを転動される遊技球を、正面側に落下させるための傾斜面であり、第３転動部３８１ｄ及び第１転動部３８１ａよりも重力方向において低い位置に形成されると共に、正面側に向かって下降傾斜して形成される。これにより、第３転動部３８１ｄ及び第１転動部３８１ａから送球される遊技球を第４転動部３８１ｅの上面にスムーズに転動させて、第４転動部３８１ｅの正面側に転動させることができる。即ち、第４転動部３８１ｅにより、第１転動部３８１ａ及び第３転動部３８１ｄから送球される遊技球を本体部３８０の正面側に流下させる第８送球経路ＫＲ８が形成される。
【０２９４】
軸支孔３８１ｆは、本体部３８０の両側に形成される２の第２転動部３８１ｃの対向間中間位置に重力方向に貫通して形成される。
【０２９５】
Ｖ入賞部材３８２は、上面ベース３８１の第４転動部３８１ｅから正面側に送球される遊技球の一部をＶ入賞部材３８２の内部に送球する球受部であり、上方に配置される上面ベース３８１側が開放する箱状体に形成される。Ｖ入賞部材３８２は、重力方向下側に突出して形成される軸部３８２ｃと、その軸部３８２ｃを中心に半円形に突出する湾曲部３８２ｂとを主に備えて形成される。
【０２９６】
軸部３８２ｃは、第１駆動モータＭ１からの駆動力を伝達する伝達手段の一部に連結される軸部であり、略箱形状に形成されるＶ入賞部材３８２の底面から重力方向下側に突出して形成される。よって、Ｖ入賞部材３８２は、第１駆動モータＭ１から駆動力が付与されることで、軸部３８２ｃを軸に回転変位できる。
【０２９７】
湾曲部３８２ｂは、Ｖ入賞部材３８２が軸部３８２ｃを軸に回転した際に、本体部３８０の正面側に隙間が形成されることを抑制する突出部であり、Ｖ入賞部材３８２の周方向両側に軸部３８２ｃの軸を中心とする円形に突出して形成される。
【０２９８】
第１下面ベース３８３は、上面ベース３８１の下面に覆設されると共に、正面側の一部が重力方向下側に凹設された凹部３８３ａを備える。
【０２９９】
凹部３８３ａは、上面ベース３８１と第１下面ベース３８３との間からＶ入賞部材３８２を突出させるための開口を形成する凹みであり、Ｖ入賞部材３８２の重力方向の高さ寸法よりも大きい凹設深さに設定される。これにより、上面ベース３８１と第１下面ベース３８３との対向間にＶ入賞部材３８２を配置した際に、凹部３８３ａを介してＶ入賞部材３８２の一部を突出させることができる。
【０３００】
第１伝達手段３８４は、第１駆動モータＭ１に連結される第１ギヤ３８４ａと、Ｖ入賞部材３８２の軸支孔３８１ｆに連結される第２ギヤ３８４ｂとから形成される。また、第１伝達手段３８４は、第１下面ベース３８３と対向して配設されるカバー板３８５に覆設されて保持される。
【０３０１】
第１ギヤ３８４ａは、円形に形成されると共に、外周面にギヤ歯３８４ａ１が刻設される。第２ギヤ３８４ｂは、上面視略扇状に形成される。また、第２ギヤ３８４ｂは、外周面に第１ギヤ３８４ａと歯合するギヤ歯３８４ｂ１が刻設されると共に、ギヤ歯３８４ｂ１の軸側に重力方向に貫通する貫通孔３８４ｂ２が形成される。
【０３０２】
貫通孔３８４ｂ２は、Ｖ入賞部材３８２の軸部３８２ｃに外嵌する孔であり、軸部３８２ｃの直径と略同一の内径または小さい内径に形成される。よって、第１駆動モータＭ１が回転されると、第１ギヤ３８４ａから駆動力が第２ギヤ３８４ｂに伝達され、第２ギヤ３８４ｂの軸部３８２ｃに外嵌される軸部３８２ｃが回転されてＶ入賞部材３８２が回転される。
【０３０３】
振分部３８９は、上面ベース３８１の軸支孔３８１ｆに挿通可能な軸部３８９ａと、軸部３８９ａの基部から径方向外側に扇状に膨出する経路切替部３９０ｂとを主に備えて形成される。また、振分部３８９は、２の第２転動部３８１ｃの間に配設される。
【０３０４】
経路切替部３９０ｂは、振分部３８９の変位に伴って、扇状に膨出した一部が第５送球経路ＫＲ５上に位置される。これにより、第５送球経路ＫＲ５を送球する遊技球を第２転動部３８１ｃに送球させることができる。なお、振分部３８９の詳しい説明は後述する。
【０３０５】
軸部３８９ａは、先端が上面ベース３８１の軸支孔３８１ｆに挿通されると共に、第２伝達手段３８７の一部に連結される。これにより、第２駆動モータＭ２に駆動力が付与されると、伝達手段３８７を介して軸部３８９ａが回転される。
【０３０６】
第２伝達手段３８７は、第２駆動モータＭ２に連結される第１ギヤ３８７ａと、振分部３８９の軸部３８９ａに連結される第２ギヤ３８７ｂとから形成される。また、第２伝達手段３８７は、上面ベース３８１と対向して配設される第２下面ベース３８８に覆設されて保持される。
【０３０７】
第１ギヤ３８７ａは、円形に形成されると共に、外周面にギヤ歯が刻設される。第２ギヤ３８７ｂは、上面視略扇状に形成される。また、第２ギヤ３８７ｂは、外周面に第１ギヤ３８７ａと歯合するギヤ歯３８７ｂ１が刻設されると共に、重力方向に貫通する貫通孔３８７ｂ２が形成される。
【０３０８】
貫通孔３８７ｂ２は、振分部３８９の軸部３８９ａに外嵌する孔であり、軸部３８９ａの直径と略同一の内径または軸部３８９ａの直径よりも小さい内径に形成される。よって、第２駆動モータＭ２が回転されると、駆動力が第１ギヤ３８７ａから第２ギヤ３８７ｂに伝達され、第２ギヤ３８７ｂの軸部３８９ａに外嵌される軸部３８９ａが回転されて振分部３８９が回転される。
【０３０９】
次に、図５９から図６１を参照して、振分部３８９の動作について説明する。図５９から図６１は、振分部３８９の上面図である。なお、図５９から図６１では、第２伝達手段３８７が破線で図示される。また、図５９は、図６０を初期位置として、振分部３８９が軸部３８９ａを軸に左回転された状態が、図６１は、図６０を初期位置として、振分部３８９が軸部３８９ａを軸に右回転された状態が、それぞれ図示される。
【０３１０】
図６０に示すように、第２ギヤ３８７ｂのギヤ歯３８７ｂ１が略中央位置で第１ギヤ３８７ａのギヤ歯と歯合する場合、振分部３８９の経路切替部３８９ｂは、左右方向中央線を中心に左右対称な状態とされる。
【０３１１】
次に、初期位置から、第２伝達手段３８７に回転の駆動力が伝達されて、図５９に示すように、振分部３８９が軸部３８９ａを軸に上面視左回転された状態では、経路切替部３８９ｂが、正面視右側に位置する状態とされる。
【０３１２】
この場合、経路切替部３８９ｂの左側端部と左側の第５送球経路ＫＲ５の左側端部までの距離寸法は、球の直径よりも小さくされる。よって、左側の第５送球経路ＫＲ５を送球される遊技球は、第５送球経路ＫＲ５を通過することができず、第６送球経路ＫＲ６に送球される。一方、振分部３８９の右側端部と右側の第５送球経路ＫＲ５の右側端部までの距離寸法は、球の直径よりも大きくされる。よって、右側の第５送球経路ＫＲ５を送球される遊技球は、第６送球経路ＫＲ６に送球されず第５送球経路ＫＲ５を送球され、第８送球経路ＫＲ８に送球される。
【０３１３】
図６１の状態（図５９と反対に回転した状態）では、経路切替部３８９ｂは、正面視左側に位置する状態とされる。
【０３１４】
この場合、経路切替部３８９ｂの右側端部と右側の第５送球経路ＫＲ５の右側端部までの距離寸法は遊技球の直径よりも小さくされる。よって、右側の第５送球経路ＫＲ５を送球される遊技球は、第５送球経路ＫＲ５を挿通することができず、第６送球経路ＫＲ６に送球される。一方、振分部３８９の左側端部と左側の第５送球経路ＫＲ５の左側端部までの距離寸法は、球の直径よりも大きくされる。よって、左側の第５送球経路ＫＲ５を送球される遊技球は、第６送球経路ＫＲ６に送球されず第５送球経路ＫＲ５を送球され、第８送球経路ＫＲ８に送球される。
【０３１５】
次に、図６２から図６４を参照して、振分部３８９が軸部３８９ａを軸に上面視左回転された状態の際に、２の第５送球経路ＫＲ５を流下する遊技球について説明する。
【０３１６】
図６２から図６４は、可変ユニット３６０の上面図である。なお、図６２から図６４では、流下する遊技球の遷移状態が図示される。
【０３１７】
図６２から図６４に示すように、振分部３８９が軸部３８９ａを軸に上面視左回転された状態では、２の送球経路ＫＲ５に遊技球が送球されると、一方の第５送球経路（図６２から図６４では、右側の第５送球経路ＫＲ５）を通過する遊技球は、経路切替部３８９ｂに干渉することなく第８送球経路ＫＲ８に送球される。
【０３１８】
一方、他方の第５送球経路ＫＲ５（図６２から図６４では、左側の第５送球経路ＫＲ５）を通過する遊技球は、経路切替部３８９ｂと干渉して、第６送球経路ＫＲ６に送球される。
【０３１９】
即ち、本実施形態では、振分部３８９を回転変位させることで、球の流下する経路を切替えることができ、遊技者に複数の遊技球の流下経路を見せることができ、遊技者の興趣を向上できる。
【０３２０】
次に、図６５を参照して、Ｖ入賞部材３８２の駆動を説明する。図６５（ａ）から図６５（ｃ）は、可変ユニット３６０の上面図である。なお、図６５（ａ）から図６５（ｃ）では、第１伝達手段３８４が破線で図示される。また、図６５（ａ）は、図６５（ｂ）を初期位置として、Ｖ入賞部材３８２が軸部３８２ｃを軸に右回転された状態が、図６５（ｃ）は、図６５（ｂ）を初期位置として、Ｖ入賞部材３８２が軸部３８２ｃを軸に左回転された状態が、それぞれ図示される。
【０３２１】
図６５（ａ）から図６５（ｃ）に示すように、Ｖ入賞部材３８２は、第１伝達手段３８４により、第１駆動モータＭ１の駆動力が伝達されると、その先端が軸部３８２ｃを軸に回転され、左右に変位される。
【０３２２】
これにより、第８送球経路ＫＲ８から正面側（図６５（ａ）から図６５（ｃ）下側）に落下する遊技球が、Ｖ入賞部材３８２の内側に入る位置を不規則とすることができるので、遊技者にＶ入賞部材３８２の内側に入るかどうかの期待感を最後まで持たせることができ、遊技者の興趣を向上することができる。
【０３２３】
次に、図６６及び図６７を参照して、可変ユニット３６０の回転送球部３７０について説明する。図６６は、可変ユニット３６０の回転送球部３７０の分解正面斜視図であり、図６７は、可変ユニット３６０の回転送球部３７０の分解背面斜視図である。
【０３２４】
回転送球部３７０は、本体部３８０の左右方向両側に分割して配設されており、両側に分割される回転送球部３７０を本体部３８０に挿通して連結する棒状態の連結棒３７１と、連結棒３７１の軸方向一端側（本体部に対して左右方向左側）に配設される左側回転送球部３７０Ｌと、連結棒３７１の軸方向他端側（本体部３８０に対して左右方向右）に配設される右側回転送球部３７０Ｒとを主に備えて形成される。
【０３２５】
なお、右側回転送球部３７０Ｒと左側回転送球部３７０Ｌとは、右側回転送球部３７０Ｒに駆動手段およびその駆動を伝達する伝達手段が配置されるのみであり、その他の形状は、重力方向の直線を軸心に線対称に形成されるので、左側回転送球部３７０Ｌの詳しい説明を省略する。また、左側回転送球部３７０Ｌの構成には、右側回転送球部３７０Ｒの構成に付与されるＲの符号をＬに変更して図示する。
【０３２６】
右側回転送球部３７０Ｒは、連結棒３７１の軸方向他端側に連結されて連結棒３７１の軸周りに回転可能な回転体３７２Ｒと、回転体３７２Ｒに駆動力を付与する駆動手段の駆動モータ３７６Ｒと、その駆動モータ３７６Ｒの駆動力を回転体に伝達する伝達手段３７７Ｒと、駆動モータ３７６Ｒを取着する内側カバー３７３Ｒと、内側カバー３７３Ｒと対向して配設されると共にその対向間に伝達手段３７７Ｒを脱落不能に保持する外側カバー３７４Ｒとを主に備えて形成される。
【０３２７】
回転体３７２Ｒは、本体部３８０側に配設される第１回転体３７２Ｒａと、その第１回転体３７２Ｒａと連結される第２回転体３７２Ｒｃと、その第２回転体３７２Ｒｃの内部に配設される磁力を有する磁石３７２Ｒｂとを備えて形成される。
【０３２８】
第１回転体３７２Ｒａは、連結棒３７１に連結されて回転する円柱状の回転体であり、軸に開口する貫通孔３７２Ｒａ１を備える。貫通孔３７２Ｒａ１は、連結棒３７１の他端を外嵌する開口であり、連結棒３７１の外形と略同一または連結棒３７１の外形よりも小さい内径に形成される。よって、第１回転体３７２Ｒａは、連結棒３７１を外嵌して連結される。
【０３２９】
第２回転体３７２Ｒｃは、第１回転体３７２Ｒａの外形と略同一の外形の円柱状に形成されると共に、第１回転体３７２Ｒａの同軸上に配設され第１回転体３７２Ｒａに取着される。
【０３３０】
また、第２回転体３７２Ｒｃは、外周面に遊技球を吸着して送球する部分であり、内部に後述する磁石３７２Ｒｂが挿入される凹部３７２Ｒｃ１と、その凹部３７２Ｒｃ１の径方向外側の外周面に凹設される溝部３７２Ｒｃ２とを備えて形成される。
【０３３１】
凹部３７２Ｒｃ１は、第２回転体３７２Ｒｃの第１回転体３７２Ｒａと取着される面に凹設されると共に、磁石３７２Ｒｂの外形と略同一の内形に形成される。よって、回転体３７２Ｒは、第２回転体３７２Ｒｃの凹部３７２Ｒｃ１に磁石３７２Ｒｂを挿入した後に、第２回転体３７２Ｒｃを第１回転体３７２Ｒａに取着することで、内部に磁石３７２Ｒｂを配設した状態で組み上げられる。
【０３３２】
磁石３７２Ｒｂは、円盤形状に形成され、平坦面を径方向外側に向けた状態で、第２回転体３７２Ｒｃの凹部３７２Ｒｃ１に挿入される。
【０３３３】
伝達手段３７７Ｒは、駆動モータ３７６Ｒの駆動力を回転体３７２Ｒに伝達するギヤ列であり、伝達ギヤ３７７Ｒａから３７７Ｒｃで構成される。先頭の伝達ギヤ３７７Ｒａは、駆動モータ３７６Ｒに連結されており、後端の伝達ギヤ３７７Ｒｃは、第２回転体Ｒｃ２に連結される。よって、駆動モータ３７６Ｒが回転されると、その駆動力は、伝達ギヤ３７７Ｒａから伝達ギヤ３７７Ｒｃに伝達されて回転体３７２Ｒが回転される。
【０３３４】
ここで、上述したように、回転体３７２Ｒは、連結棒３７１を連結されるので、左側回転送球部３７０Ｌの回転体３７２Ｌも同様に、連結棒３７１の一端に連結される。これにより、回転体３７２Ｒと回転体３７２Ｌとを同期して回転させることができる。
【０３３５】
内側カバー３７３Ｒは、本体部３８０を転動する遊技球を回収する開口を備えると共に、右側回転送球部３７０Ｒの伝達手段３７７Ｒを配置する板であり、第１回転体３７２Ｒａの軸方向に貫通する回収孔３７３Ｒａと、その回収孔３７３Ｒａの縁部から第１回転体３７２Ｒａの軸方向外側に突出する案内壁３７３Ｒｂと、第２回転体３７２Ｒｃと伝達ギヤ３７７Ｒｃとの軸上に開口される第１開口３７３Ｒｃと、駆動モータ３７６Ｒの軸上に開口される第２開口３７３Ｒｄとを主に備えて形成される。
【０３３６】
回収孔３７３Ｒａは、第５送球経路ＫＲ５を通過する遊技球を挿通させる開口であり、第５送球経路ＫＲ５の端部側に形成されると共に、球の直径よりも大きい内形に形成される。
【０３３７】
案内壁３７３Ｒｂは、回収孔３７３Ｒａの内側を挿通する遊技球を、重力方向下側に流下させる壁部であり、回収孔３７３Ｒａの縁部に突設されると共に、側面視において下側が開放するＵ字状に形成される。よって、連結棒３７１の軸方向外側から、外側カバー３７４Ｒが内側カバー３７３Ｒに覆設されると、案内壁３７３Ｒｂの対向間に遊技球を送球する経路の第６送球経路ＫＲ６を形成できる。
【０３３８】
第１開口３７３Ｒｃは、第２回転体３７２Ｒｃと伝達ギヤ３７７Ｒｃとを連結可能にする開口であり、第２回転体３７２Ｒｃの外径よりも大きい内径の円形に形成される。これにより、内側カバー３７３Ｒの外側に配置される伝達ギヤ３７７Ｒｃと第２回転体３７２Ｒｃとを連結させることができる。
【０３３９】
第２開口３７３Ｒｄは、駆動モータ３７６Ｒと伝達ギヤ３７７Ｒａとを連結可能にする開口であり、駆動モータ３７６Ｒの回転軸よりも大きい外形の円形に形成される。これにより、内側カバー３７３Ｒの外側に配置される伝達ギヤ３７７Ｒａと駆動モータ３７６Ｒとを連結することができる。
【０３４０】
外側カバー３７４Ｒは、内側カバー３７３Ｒの左右方向外側に配置される板部材であり、側面視における外形が内側カバー３７３Ｒと略同一に形成される。また、内側カバー３７３Ｒの外側から外側カバー３７４を覆設することで、上述した第６送球経路ＫＲ６が形成されると共に、外側カバー３７４Ｒと内側カバー３７３Ｒとの対向間に伝達手段３７７Ｒの各伝達ギヤ３７７Ｒａから３７７Ｒｃを回転可能に保持できる。
【０３４１】
次いで、図６８を参照して、回転体３７２Ｒの詳しい説明をする。図６８（ａ）は、回転体３７２Ｒの側面図であり、図６８（ｂ）は、回転体３７２Ｒの上面図であり、図６８（ｃ）は、図６８（ｂ）のＬＸＶＩＩＩｃ−ＬＸＶＩＩＩｃ線における回転体３７２Ｒの断面図であり、図６８（ｄ）は、図６８（ｂ）のＬＸＶＩＩＩｄ−ＬＸＶＩＩＩｄ線における回転体３７２Ｒの断面図である。なお、図６８（ａ）及び図６８（ｂ）では、磁石３７２Ｒｂの外形が破線で図示される。
【０３４２】
図６８に示すように、回転体３７２Ｒの第２回転体３７２Ｒｃに形成される溝部３７２Ｒｃ２は、回転体３７２Ｒの径方向視において略矩形に凹設され、その外形が磁石３７２Ｒｂの外形よりも大きく設定される。また、溝部３７２Ｒｃ２は、回転体３７２Ｒの径方向内側に位置する面が平坦面に形成される。
【０３４３】
次に、図６９及び図７０を参照して、回転体３７２Ｒの回転について説明する。図６９（ａ）から（ｃ）は、図５６（ａ）のＬＸＩＸ−ＬＸＩＸ線における変位ユニット５６０の断面模式図である。図７０（ａ）から（ｃ）は、変位ユニット５６０の部分上面図である。
【０３４４】
なお、図６９（ａ）では、第２回転体３７２Ｒｃの溝部３７２Ｒｃ２が第６送球経路ＫＲ６と隣合う状態が、図６９（ｂ）では第２回転体３７２Ｒｃの溝部３７２Ｒｃ２が上端に位置する状態が、図６９（ｃ）では第２回転体３７２Ｒｃの溝部３７２Ｒｃ２が送球経路ＫＲ７と隣合う状態がそれぞれ図示される。また、図７０（ａ）は図６９（ａ）に、図７０（ｂ）は図６９（ｂ）に、図７０（ｃ）は図６９（ｃ）に、それぞれ対応する状態が図示される。
【０３４５】
図６９（ａ）及び図７０（ａ）に示すように、第６送球経路ＫＲ６の第２転動部３８１ｃは、回転体３７２Ｒの回転軸よりも重力方向上側に配置される。よって、第６送球経路ＫＲ６と第２回転体３７２Ｒｃの溝部３７２Ｒｃ２とが隣合う場合には、溝部３７２Ｒｃ２の径方向内側の平坦面が上方に向かって正面側に傾斜する状態とされる。
【０３４６】
図６９（ａ）及び図７０（ａ）に示す状態から、駆動モータ３７６Ｒから駆動力が付与されると、回転体３７２Ｒは、右方向視（図６９方向視）において軸周りに左回転される。よって、図６９（ｂ）及び図７０（ｂ）に示す状態を介して図６９（ｃ）及び図７０（ｃ）に示す状態が形成される。
【０３４７】
図６９（ｃ）及び図７０（ｃ）に示すように、第７送球経路ＫＲ６の第３転動部３８１ｄ、回転体３７２Ｒの回転軸よりも重力方向上側に配設されると共に、第２転動部３８１ｃよりも上方に形成される。よって、第７送球経路ＫＲ７と第２回転体３７２Ｒｃの溝部３７２Ｒｃ２とが隣合う場合には、溝部３７２Ｒｃ２の径方向内側の平坦面が上方に向かって背面側に傾斜する状態とされる。
【０３４８】
次に、図７１を参照して可変ユニット３６０及び背面ベース３９０を組み合わせた状態を説明する。図７１（ａ）は、可変ユニット３６０及び背面ベース３９０の正面図であり、図７１（ｂ）は、可変ユニット３６０及び背面ベース３９０の上面図である。
【０３４９】
図７１（ａ）及び図７１（ｂ）に示すように、可変ユニット３６０は、背面ベース３９０の重力方向下側の一側に配設される。また、背面ベース３９０の２つの円環部材３９４は、第１転動部３８１ａの左右方向外側に配設される。
【０３５０】
また、円環部材３９４は、上述した第３送球経路ＫＲ３の下方に配設される。詳しく説明すると、第３送球経路ＫＲ３は、略円形に形成される円環部材３９４の第２転動部３９２ｃ側の側面に連結される。よって、第３送球経路ＫＲ３の内部を送球される遊技球は、円環部材３９４の上面に案内されて、正面側の第２転動部３８１ｃに送球することができる。上述したように、第４送球経路ＫＲ４は、第１転動部３８２ａにより形成される第５送球経路に連結される。即ち、第３送球経路ＫＲ３は、第６送球経路ＫＲ６に連結され、第４送球経路ＫＲ４は、第５送球経路ＫＲ５に連結される。
【０３５１】
次に図７２から図７４を参照して、第６送球経路を通過する遊技球について説明する。図７２（ａ）から図７２（ｃ）は、可変ユニット３６０及び背面ベース３９０の上面図であり、図７３（ａ）から図７３（ｃ）は、図７２（ａ）のＬＸＸＩＩＩ−ＬＸＸＩＩＩ線における可変ユニット３６０及び背面ベース３９０の断面図であり、図７４（ａ）から図７４（ｃ）は、図７１（ｂ）のＬＸＸＶＩ−ＬＸＸＶＩ線における可変ユニット３６０及び背面ベース３９０の断面図である。なお、図７２（ａ）から図７２（ｃ）、図７３（ａ）から図７３（ｃ）、図７４（ａ）から図７４（ｃ）では、それぞれ遊技球の遷移状態が図示される。
【０３５２】
図７２（ａ）、図７３（ａ）及び図７４（ａ）に示すように、第３送球経路ＫＲ３から送球される遊技球は、上述したように、円環部材３９４の上面に案内されて、第２転動部３８１ｃの上部に案内される。
【０３５３】
図７２（ｂ）、図７３（ｂ）及び図７４（ｂ）示すように、第２転動部３９２ｃの上部に転動される遊技球は、第２転動部３８１ｃの下降傾斜（図７４（ｂ）参照）によって転動され、第６送球経路ＫＲ６を送球される。
【０３５４】
図７２（ｃ）、図７３（ｃ）及び図７４（ｃ）示すように、第６送球経路ＫＲ６を終端まで送球される遊技球は、内側カバー３７３Ｒに形成される回収孔３７３Ｒａに送球され、内側カバー３７３Ｒと外側カバー３７４Ｒの対向間に形成される通路を流下して回収される。即ち、内側カバー３７３Ｒの回収孔３７３Ｒａは、第６送球経路ＫＲ６の終端に開口されており、回収孔３７３Ｒａの下端面が、第２転動部３８１ｃと略同一の高さもしくは少し低い位置に形成される。よって、第６送球経路ＫＲ６を送球される遊技球をスムーズに回収孔３７３Ｒａの内部に送球できる。
【０３５５】
また、第２転動部３８１ｃは、回転体３７２Ｒの回転軸の方向と略平行な方向へ遊技球を転動させる傾斜面として形成されるので、第２転動部３８１ｃを転動する遊技球の転動方向と、回転体３７２Ｒの回転に伴って送球される遊技球の送球方向とを略直交する方向とすることができる。その結果、遊技球の動きに変化を与えると共に、一度に視認可能な遊技球の数を確保して、遊技者の興趣を向上することができる。
【０３５６】
次に、図７５を参照して、背面ベース３９０のストッパ部３９６が変位された場合の説明をする。図７５（ａ）は、ストッパ部３９６が変位前の状態における可変ユニット３６０及び背面ベース３９０の断面図であり、図７５（ｂ）は、ストッパ部３９６が変位後の状態における可変ユニット３６０及び背面ベース３９０の断面図である。なお、図７５（ａ）及び図７５（ｂ）は、図７３（ａ）の断面と対応する。
【０３５７】
図７５（ａ）に示すように、ストッパ部３９６が変位前の状態では、上述したように、端部Ａ２が、軸孔３９６ｃの軸の重力方向上側に配置される。よって、第６送球経路ＫＲ６と内側カバー３７３Ｒの回収孔３７３Ｒａとが連通状態とされ、第６送球経路ＫＲ６を通過する遊技球を回収孔３７３Ｒａの内側を通過させて回収することができる。
【０３５８】
一方、図７５（ｂ）に示すように、ストッパ部３９６が変位された状態では、上述したように端部Ａ２が、軸孔３９６ｃの軸と重力方向の高さ位置が略同一の高さとされる。よって、第６送球経路ＫＲ６と回収孔３７３Ｒａとの間にストッパ部３９６が介する状態とされ、第６送球経路ＫＲ６と回収孔３７３Ｒａとが遮断された状態とされる。これにより、第６送球経路ＫＲ６を送球される遊技球は、ストッパ部３９６に当接して停止する状態とされる。
【０３５９】
よって、第２転動部３８１ｃにおける遊技球の転動を遮断するストッパ部３９６を備え、回転体３７２Ｒの磁石は、ストッパ部３９６により転動が遮断された遊技球を吸着可能な位置に配設されるので、第２転動部３８１ｃを転動する遊技球が回転体３７２Ｒに直接吸着される形態と、第２転動部３８１ｃを転動する遊技球がストッパ部３９６により遮られた後に回転体３７２Ｒに吸着される形態（即ち、ストッパ部３９６による遮断がなければ回転体３７２Ｒに吸着せずに通過したであろう遊技球がストッパ部３９６により遮断されたことで回転体３７２Ｒへ吸着可能となった形態）とを形成でき、その結果、遊技者の興趣を向上することができる。
【０３６０】
次に、図７６から図７９を参照して、回転体３７２Ｒによって送球される遊技球について説明する。図７６から図７８は、可変ユニット３６０及び背面ベース３９０の上面図であり、図７９（ａ）から図７９（ｃ）は、可変ユニット３６０及び背面ベース３９０の断面図である。
【０３６１】
なお、図７９（ａ）は図６９（ａ）の断面に、図７９（ｂ）は図６９（ｂ）の断面に、図７９（ｃ）は図６９（ｃ）の断面に、それぞれ対応する。また、図７６から図７８及び図７９（ａ）から図７９（ｃ）では、球の遷移状態が図示される。
【０３６２】
図７６及び図７９（ａ）に示すように、第２回転体３７２Ｒｃの溝部３７２Ｒｃ２が第６送球経路ＫＲ６と隣合う状態の際に、第６送球経路ＫＲ６を送球される遊技球は、第２回転体３７２Ｒｃの内部に配設する磁石３７２Ｒｂに吸着される。即ち、第２回転体３７２Ｒｃの溝部３７２Ｒｃ２の内面に遊技球が吸着した状態とされる。
【０３６３】
図７６及び図７９（ａ）に示す状態から、回転体３７２Ｒが回転されると、球が第２回転体３７２Ｒｃの磁石３７２Ｒｂに吸着された状態で回転体３７２Ｒが回転される。
【０３６４】
ここで、回転軸を水平方向へ向けた姿勢で回転可能に形成される略円柱状の回転部材（回転体３７２Ｒ，３７２Ｌ）と、その回転部材に配設され回転部材の外周面に遊技球を吸着させる磁石（３７２Ｒｂ）とを備え、外周面に遊技球が吸着された状態で回転部材が回転されることで、かかる遊技球を回転部材の回転方向へ向けて送球する遊技機が知られている。回転部材へ向けて２球の遊技球が連なって転動されると、先行する遊技球が回転部材の外周面に吸着されると共に、その先行する遊技球に後行する遊技球が吸着される場合がある。この場合、回転部材が回転されると、２球分の重さが作用することで、回転部材と先行する遊技球との間の吸着が解除されるという問題点があった。
【０３６５】
これに対し、本実施形態によれば、回転体３７２Ｒの外周面に並設されると共に遊技球が転動される第２転動部３８１ｃを備え、その第２転動部３８１ｃが回転部材の回転軸よりも重力方向上方に位置するので、例えば、回転体３７２Ｒへ向けて２球の遊技球が連なった状態で第２転動部３８１ｃを転動され、先行する遊技球が回転体３７２Ｒの外周面に吸着されると共に、その先行する遊技球に後行する遊技球が吸着された場合には、先行する遊技球を回転体３７２Ｒの外周面に乗せやすくできる。よって、回転体３７２Ｒと先行する遊技球との間の吸着を解除され難くできる。
【０３６６】
ここで、回転体３７２Ｒの外周面に吸着されて送球された遊技球は、回転体３７２Ｒを挟んで第２転動部３８１ｃと反対側において回転体３７２Ｒの外周面に並設される第３転動部３８１ｄに受け取られるところ、この際に遊技球が第３転動部３８１ｄで跳ねやすく、回転体３７２Ｒの外周面から第３転動部３８１ｄへ遊技球をスムーズに送球することが困難であるという問題点があった。
【０３６７】
これに対し、本実施形態では、第３転動部３８１ｄが回転体３７２Ｒの回転軸よりも重力方向上方に位置するので、遊技球が第３転動部３８１ｄで跳ねることを抑制して、回転体３７２Ｒの外周面から第３転動部３８１ｄへ遊技球をスムーズに送球することができる。即ち、回転体３７２Ｒの回転に伴って重力方向下方への変位成分が大きくなる前に（即ち、水平方向成分が比較的多い段階で）、第３転動部３８１ｄに遊技球を受け取らせることができるので、遊技球が第３転動部３８１ｄで跳ねることを抑制できる。また、第３転動部３８１ｄに遊技球を受け取らせる前に、かかる遊技球の吸着が解除されて、回転体３７２Ｒの外周面から第３転動部３８１ｄへ遊技球が落下することを抑制できる。この点からも、遊技球が第３転動部３８１ｄで跳ねることを抑制できる。
【０３６８】
また、第３転動部３８１ｄは、回転体３７２Ｒから離間する方向へ向けて下降傾斜して形成されるので、回転体３７２Ｒの外周面に吸着されその回転体３７２Ｒの回転に伴って送球される遊技球の送球方向を、第３転動部３８１ｄに受け取られた後行する遊技球の転動方向に近づけることができる。その結果、遊技球が第３転動部３８１ｄで跳ねることを抑制して、回転体３７２Ｒの外周面から第３転動部３８１ｄへ遊技球をスムーズに送球することができる。
【０３６９】
回転体３７２Ｒは、その外周面に凹設される溝部３７２Ｒｃ２を備え、磁石３７２Ｒｂは、溝部３７２Ｒｃ２の内面に遊技球を吸着させる位置に配設されるので、溝部３７２Ｒｃ２の内面（外周面との間の段差）で遊技球を支持することができる。その結果、例えば、回転体３７２Ｒへ向けて２球の遊技球が連なった状態で第２転動部３８１ｃを転動され、先行する遊技球が回転体３７２Ｒの外周面に吸着されると共に、その先行する遊技球に後行する遊技球が吸着された場合に、回転体３７２Ｒと先行する遊技球との間の吸着を解除され難くできる。
【０３７０】
また、溝部３７２Ｒｃ２の凹設深さは、その溝部３７２Ｒｃ２に遊技球が嵌った状態で、溝部３７２Ｒｃ２の底面に遊技球が当接可能となる寸法に設定されると共に、第２転動部３８１ｃ側よりも第３転動部３８１ｄ側が小さな寸法に設定されるので、回転体３７２Ｒの回転に伴って送球される遊技球が回転体３７２Ｒの回転方向にぐらついた際には、遊技球を溝部３７２Ｒｃ２から第３転動部３８１ｄ側へ転動（脱落）させやすくできる。即ち、遊技球の吸着が解除されて第２転動部３８１ｃへ逆戻りすることを抑制できる。
【０３７１】
次に、図７７及び図７９（ｂ）に示す状態を介して、図７８及び図７９（ｃ）に示す第２回転体３７２Ｒｃの溝部３７２Ｒｃ２が第７送球経路ＫＲ７と隣合う位置まで回転されると、溝部３７２Ｒｃ２の内面に吸着した遊技球は、第７送球経路ＫＲ７の第３転動部３８１ｄに引っ掛る。これにより、球は、第２回転体３７２Ｒｃの磁石３７２Ｒｂとの吸着が解除されて、第７送球経路ＫＲ７を送球される。
【０３７２】
ここで、回転体３７２Ｒと遊技球との吸着の解除を回転体の軸よりも重力方向下側ですると、回転体３７２Ｒの軸周りに遊技球の重力が作用しやすくなり、回転体３７２Ｒの回転速度が速くされる恐れがある。
【０３７３】
そのため、回転体３７２Ｒと遊技球との吸着を解除した際に、回転体３７２Ｒが有する運動エネルギーが高くなり、回転体３７２が第３転動部３８１ｄと衝突する際にバウンドするという問題点がある。または、回転体３７２と遊技球とを吸着した状態で、回転体３７２を回転させて回転体３７２Ｒの軸よりも重力方向下側に送球すると、遊技球を回転体３７２で支えることができなくなるために、回転体３７２と遊技球との吸着が解除され、遊技球が第３転動部３８１ｄに落下してバウンドするという問題点がある。
【０３７４】
これに対し、本実施形態では、第３転動部３８１ｄの基部は、回転体３７２の軸よりも重力方向上側に配設されるので、回転体３７２と遊技球との吸着の解除を回転体３７２の軸よりも重力方向上側ですることができる。これにより、回転体３７２と遊技球との吸着が解除された際に、遊技球がバウンドすることを抑制できる。
【０３７５】
また、第３転動部３８１ｄは、第２転動部３８１ｃから第３転動部３８１ｄに向かう方向に従って下降傾斜して形成されるので、回転体３７２の外周面に吸着して送球される遊技球の送球方向と第３転動部３８１ｄの転動方向とを略一致させることができる。よって、回転体３７２の外周面に吸着する遊技球は、回転体３７２の回転変位により回転方向への運動エネルギーを備えているので、第３転動部３８１ｄで回転体３７２と吸着を解除された際に、運動エネルギーが作用する方向へ動き易い。上述したように、回転体３７２の外周面に吸着して送球される遊技球の送球方向と第３転動部３８１ｄの転動方向とが略一致されるので、第３転動部３８１ｄに送球される遊技球を転動させやすくできる。その結果、第３転動部３８１ｄに送球される遊技球を転動させやすくできる。
【０３７６】
なお、第７送球経路ＫＲ７を送球される遊技球は、第３転動部３８１ｄの正面側への下降傾斜により正面側に転動して、第８送球経路ＫＲ８に送球される。
【０３７７】
よって、第６送球経路ＫＲ６を送球される遊技球を、回転体３７２Ｒの回転により第７送球経路ＫＲ７に送球することができる。従って、球の送球経路を複数個形成することができるので、遊技者の興趣を向上することができる。
【０３７８】
次に、図８０を参照して、第２回転体３７２Ｒｃの溝部３７２Ｒｃ２の内面に吸着される遊技球の吸着について詳しく説明する。図８０は、可変ユニット３６０及び背面ベース３９０の断面図である。なお、図８０は、図６９（ａ）の可変ユニット３６０及び背面ベース３９０の断面と対応する。また、図８０では、球が溝部３７２Ｒｃ２の内面に吸着された後に、少し回転された状態が図示される。さらに、図８０では、回転体３７２の回転方向と反対側の溝部３７２Ｒｃ２と第２回転体３７２Ｒｃとの連結部分に端部Ａ３の符号を付して図示される。
【０３７９】
図８０に示すように、回転する回転体の外周面に遊技球を吸着して送球する役物では、溝部３７２Ｒｃ２の内面に吸着した遊技球に、第６送球経路ＫＲ６を後から送球される遊技球が吸着する可能性がある。先行する遊技球に後行する遊技球が吸着すると、溝部３７２Ｒｃ２と先行する遊技球との吸着面に２つの遊技球の重力が作用する。その結果、先行する遊技球に後行する遊技球が吸着した際に先行する遊技球と溝部３７２Ｒｃ２との吸着が解除されるという問題点があった。
【０３８０】
これに対し、本実施形態では、図８０に示すように、溝部３７２Ｒｃ２の内周に吸着される遊技球は、端部Ａ３と当接する状態で送球される。これにより、球に重力方向の力が作用したとしても、端部Ａ３が遊技球を支えることで、球を重力方向に変位し難くでき遊技球が溝部３７２Ｒｃ２から落下することを抑制できる。よって、先行する遊技球に後行する遊技球が吸着した場合にも、先行する遊技球と溝部３７２Ｒｃ２との吸着が解除されること抑制できる。
【０３８１】
また、上述したように、第６送球経路ＫＲ６は、回転体３７２Ｒの回転軸よりも重力方向上側に形成されるので、溝部３７２Ｒｃ２の内面に吸着される遊技球を、端部Ａ３と当接し易くできる。その結果、溝部３７２Ｒｃ２と遊技球との吸着が解除されることを効果的に抑制できる。
【０３８２】
次いで、図８１から図９０を参照して、入賞口ユニット６００について説明する。初めに、図８１から図８３を参照して、入賞口ユニット６００の全体構成について説明する。図８１（ａ）は、入賞口ユニット６００の正面図であり、図８１（ｂ）は、入賞口ユニット６００の背面図である。図８２は、入賞口ユニット６００の分解正面斜視図であり、図８３は、入賞口ユニット６００の分解背面斜視図である。
【０３８３】
図８１から図８３に示すように、入賞口ユニット６００は、複数の入賞口２６，２７，２８を備える化粧板６１０と、化粧板６１０と対向して配設されその対向間に遊技球の流下経路を形成するベース板６３０と、そのベース板６３０との間に遊技球の送球経路を形成する経路部材６４０と、ベース板６３０に配設され、化粧板６１０とベース板６３０との対向間を流下する遊技球を入賞口２６，２７，２８のいずれかに案内する可変入賞装置６５０とを主に備えて形成される。
【０３８４】
化粧板６１０は、左始動入賞口２６を備える左カバー部材６１１と、右始動入賞口２７を備える右カバー部材６１２と、中始動入賞口２８を備える中央カバー部材６１３と、から形成される。
【０３８５】
なお、左カバー部材６１１と右カバー部材６１２とは、中央カバー部材６１３を挟んで対称に形成されており、その詳しい説明は、右カバー部材６１２のみとする。この場合、左始動入賞口２６は、右始動入賞口２７と対応する。
【０３８６】
右カバー部材６１２は、正面視において重力方向下側が半円状に湾曲する板状体から形成され、湾曲軸の近傍に右始動入賞口２７が突出形成される。
【０３８７】
中央カバー部材６１３は、正面視において上側が湾曲した半円形に形成されると共に、左カバー部材６１１と右カバー部材６１２の中央に配置される。中央カバー部材６１３は、湾曲軸の近傍から突出する案内板６１３ａと、湾曲軸を中心とする円弧状に突出する立設壁６１３ｂ，６１３ｃと、その立設壁６１３ｂ，６１３ｃの対向間に形成される中始動入賞口２８と、案内板６１３ａの両隣から突出するカバー側突起６１３ｄとを主に備えて形成される。
【０３８８】
案内板６１３ａは、中始動入賞口２８の内部を挿通される遊技球を後述する、ベース板６３０の貫通孔６３２ａに案内するための突起であり、貫通孔６３２ａより重力方向上側に配置される。また、案内板６１３ａは、突出先端に向かうに従ってその上面が下降傾斜して形成される。これにより、中始動入賞口２８の内部を通過して案内板６１３ａの上面に送球される遊技球を、ベース板６３０の背面側に転動させてベース板６３０の貫通孔６３２ａに送球することができる。
【０３８９】
さらに、案内板６１３ａは、基部側の上面に傾斜角度の大きい当接面６１３ａ１と、先端側の上面に当接面６１３ａ１よりも傾斜角度の小さい転動面６１３ａ２とを備えて形成される。
【０３９０】
当接面６１３ａ１は、中始動入賞口２８の内部に入賞される遊技球と当接させて、貫通孔６３２ａへの遊技球の送球を安定させる面であり、中始動入賞口２８の内部を送球される遊技球の重力方向下端部よりも正面側の外面と当接される。即ち、当接面６１３ａ１は、転動面６１３ａ２との連結部分から基部までの距離寸法が遊技球の半径よりも大きく設定されると共に、重力方向上側への寸法が遊技球の半径よりも大きく設定される。よって、中始動入賞口２８の内部を挿通される遊技球を転動面６１３ａ２に当接させることができる。これにより、中始動入賞口２８に送球される遊技球の重力方向の力の成分を、当接面６１３ａ１とのその衝突による反動で貫通孔６３２ａ側へ作用させることができる。その結果、中始動入賞口２８の内部に送球される遊技球を、ベース板６３０の貫通孔６３２ａにスムーズに案内できる。
【０３９１】
立設壁６１３ｂ，６１３ｃは、中始動入賞口２８を形成する壁部であり、中始動入賞口２８を挟んで対象に形成される。立設壁６１３ｂ，６１３ｃは、湾曲して形成される一側と、中央部に垂下して形成される他側とから形成される。中始動入賞口２８は、立設壁６１３ｂ，６１３ｃの他側の対向間に形成される。
【０３９２】
立設壁６１３ｂ，６１３ｃの一側は、中始動入賞口２８に挿通されず、遊技盤１３を流下する遊技球をアウト口７１に送球させるための遊技球の転動面である。立設壁６１３ｂ，６１３ｃの一側の上面に送球される遊技球を左右方向外側に流下させることができるので、立設壁６１３ｂ，６１３ｃの下側にスペースを形成することができる。
【０３９３】
カバー側突起６１３ｄは、後述する可変入賞装置６５０の可変板６５２の上部を転動する遊技球の速度を遅くするための突起であり、詳しい説明は後述する。
【０３９４】
ベース板６３０は、正面視横長矩形の板状に形成されると共に、化粧板６１０の各カバー部材６１１，６１２，６１３が配設される部分が背面側に向かって凹設される左凹部６３１、中央凹部６３２、右凹部６３３を備えて形成される。
【０３９５】
左凹部６３１は、左カバー部材６１１の左始動入賞口２６と対向する位置に形成される左貫通孔６３１ａと、その左貫通孔６３１ａよりも重力方向下側に位置すると共に、左凹部６３１の端部に貫通形成される第２貫通孔６３１ｂとを備えて形成される。
【０３９６】
左貫通孔６３１ａは、左始動入賞口２６の内部に送球された遊技球が流下する遊技球の経路であり、正面側から背面側に貫通して形成されると共に、内形が遊技球の外形よりも大きく形成される。これにより、左始動入賞口２６に送球される遊技球を、左貫通孔６３１ａを介して回収できる。
【０３９７】
第２貫通孔６３１ｂは、左始動入賞口２６の近傍を通過して流下する遊技球を挿通させる開口であり、左凹部６３１の下端に形成されると共に、後述する経路部材６４０の正面視左側の一端と対向する位置に形成される。これにより、左始動入賞口２６に送球されず、左凹部６３１と左カバー部材６１１との対向間を流下する遊技球を、第２貫通孔６３１ｂを経路部材６４０に送球できる。
【０３９８】
右凹部６３３は、右カバー部材６１２の右始動入賞口２７と対向する位置に形成される右貫通孔６３３ａと、その右貫通孔６３３ａよりも重力方向下側に位置すると共に、左凹部６３１の端部に貫通形成される第２貫通孔６３３ｂとを主に備えて形成される。
【０３９９】
右貫通孔６３３ａは、右始動入賞口２７の内部に送球された遊技球が流下する遊技球の経路であり、正面側から背面側に貫通して形成されると共に、内形が、球の外形よりも大きく形成される。これにより、右始動入賞口２７に送球される遊技球を、右貫通孔６３３ａを介して回収できる。
【０４００】
第２貫通孔６３３ｂは、右始動入賞口２７の近傍を通過して流下する遊技球を挿通させる開口であり、右凹部６３３の下端に形成されると共に、後述する経路部材６４０の正面視右側の他端と対向する位置に形成される。これにより、右始動入賞口２７に送球されず、右凹部６３３と右カバー部材６１２との対向間を流下する遊技球を、第２貫通孔６３３ｂを経路部材６４０に送球できる。
【０４０１】
よって、左右の凹部６３１，６３３と化粧板６１０との対向間に形成される遊技球の流下経路の開口が、左始動入賞口２６及び右始動入賞口２７よりも重力方向上方に位置し、左右の凹部６３１，６３３と化粧板６１０との対向間に形成される遊技球の流下経路の内部に左始動入賞口２６及び右始動入賞口２７が配設されるので、第２貫通孔６３１ｂ，６３３ｂへ流入された遊技球の一部を左始動入賞口２６及び右始動入賞口２７へ入球させることができる。即ち、左始動入賞口２６及び右始動入賞口２７へ入球せずに流下する遊技球を経路部材６４０へ確実に流入させることができる。その結果、第２の入球口へ入球する遊技者の期待を高めて、遊技の興趣の向上を図ることができる。
【０４０２】
中央凹部６３２は、ベース板６３０の左右方向略中央部に貫通形成される貫通孔６３２ａと、その貫通孔６３２ａの両隣に貫通形成される２つの挿通孔６３２ｃと、その挿通孔６３２ｃの上方に開口する連結孔６３２ｂと、貫通孔６３２ａの両隣に位置し中央カバー部材６１３側に突出するベース側突起６３２ｄとを主に備えて形成される。
【０４０３】
貫通孔６３２ａは、案内板６１３ａの上部を転動する遊技球を、内部に挿通させるための開口であり、球の外形よりも大きい開口に形成されると共に、上述したように中央カバー部材６１３の案内板６１３ａよりも重力方向下側に形成される。
【０４０４】
挿通孔６３２ｃは、上述したように貫通孔６３２ａの左右方向両隣に貫通形成される。また、挿通孔６３２ｃは、正面視横長矩形に形成されると共に、貫通孔６３２ａに向かうに従って下降傾斜して形成される。
【０４０５】
連結孔６３２ｂは、後述する、経路部材６４０を送球される遊技球がベース板６３０の正面側に排出される開口であり、挿通孔６３２ｃの外側（貫通孔６３２ａから離間した側）の上方に貫通形成される。
【０４０６】
ベース側突起６３２ｄは、挿通孔６３２ｃの内側を挿通して中央カバー部材６１３側に突出する可変入賞装置６５０の可変板６５２の上部を転動する遊技球の速度を遅くする突起であり、挿通孔６３２ｃの貫通孔６３２ａ側の上方に突出形成される。
【０４０７】
経路部材６４０は、正面視横長矩形に形成されると共に、ベース板６３０側が開放される略箱形状に形成される。経路部材６４０は、第２貫通孔６３１ｂ，６３３ｂと連結孔６３２ｂとを連結する経路を形成するための部材であり、正面視左側に形成されて第２貫通孔６３１ｂとベース板６３０の正面視左側の連結孔６３２ｂとを連結する第１経路６４１と、正面視右側に形成されて第２貫通孔６３３ｂとベース板６３０の正面視右側の連結孔６３２ｂとを連結する第２経路６４２とから形成される。
【０４０８】
経路部材６４０の第１経路６４１及び第２経路６４２は、互いに近づく方向に向かって下降傾斜して形成される。これにより、第２貫通孔６３１ｂから送球される遊技球を第１経路６４１を転動させて連結孔６３２ｂに送球できる。また、第２貫通孔６３３ｂから送球される遊技球を第２経路６４２を転動させて連結孔６３２ｂに送球できる。
【０４０９】
可変入賞装置６５０は、スライド変位可能な可変板６５２を備えて、ベース板６３０の背面側から取着される装置であり、可変板６５２が挿通孔６３２ｃに挿通された状態で配設される。
【０４１０】
次に、図８４及び図８５を参照して、可変入賞装置６５０について説明する。図８４（ａ）は、可変入賞装置６５０の正面図であり、図８４（ｂ）は、可変入賞装置６５０の上面図である。図８５（ａ）は、可変入賞装置６５０の分解正面斜視図であり、図８５（ｂ）は、可変入賞装置６５０の分解背面斜視図である。
【０４１１】
図８４及び図８５に示すように、可変入賞装置６５０は、ベース板６３０に連結される正面ベース６５１と、正面ベース６５１の内部を挿通してスライド変位可能な様態で配置される可変板６５２と、可変板６５２の基端に連結されて駆動手段の駆動力によって回転変位可能な伝達部材６５３と、伝達部材６５３の周囲に配設されるカバー部材６５４と、駆動手段のソレノイド６５５とを主に備えて形成される。
【０４１２】
正面ベース６５１は、正面視略横長矩形に形成されると共に、後述する可変板６５２の先端側が挿入される開口６５１ｂと、ベース板６３０の貫通孔６３２ａに連結される回収孔６５１ａとを主に備えて形成される。
【０４１３】
回収孔６５１ａは、ベース板６３０の貫通孔６３２ａに挿通された遊技球を回収する孔であり、貫通孔６３２ａの背面側に連結される。
【０４１４】
開口６５１ｂは、後述する可変板６５２がスライド変位する際にそのスライドを安定させ得るための開口であり、可変板６５２の正面視における外形よりも少し大きく形成される。
【０４１５】
２枚の可変板６５２は、上述したように上面に遊技球を転動させる板部材であり、先端が開口６５１ｂを介して、ベース板６３０の挿通孔６３２ｃに挿通される。即ち、可変板６５２は、互いが近づく方向に傾斜して形成される。これにより、可変板６５２の上面に遊技球が乗った際に、球を転動させて案内板６１３ａに遊技球を落下させることができる。
【０４１６】
また、可変板６５２は、重力方向に凹設される凹部６５２ａを備える。凹部６５２ａには、後述する伝達部材６５３の回転軸６５３ａが挿入されて、伝達部材６５３の変位が伝達される。これにより、可変板６５２に、駆動力が伝達されて可変板６５２がスライド変位される。
【０４１７】
伝達部材６５３は、板状体に形成されると共に、一端に形成される回転軸６５３ｃがカバー部材６５４に形成される軸孔６５４ａに連結される。また、伝達部材６５３は、回転軸６５３ａの中央部に突出形成される係合部６５３ｂを備え、その係合部６５３ｂがソレノイド６５５の突起６５５ａに係合される。よって、ソレノイド６５５が駆動されると、係合部６５３ｂが押し出され、伝達部材６５３が回転軸６５３ｃを軸に回転変位される。これにより、可変板６５２をスライド変位させることができる。
【０４１８】
よって、中始動入賞口２８の流下経路上の貫通孔６３２ａには、変位動作により貫通孔６３２ａの上流を流下する遊技球を貫通孔６３２ａへ入賞し易くする可変板６５２が配設されるので、左始動入賞口２６及び右始動入賞口２７に入賞せず、左始動入賞口２６及び右始動入賞口２７の近傍を流下して、経路部材６４０の内部に送球される遊技球が、貫通孔６３２ａに入賞する確率を向上することができる。
【０４１９】
また、可変板６５２は、貫通孔６３２ａを挟んだ両側に一対がそれぞれ貫通孔６３２ａへ向けて下降傾斜する姿勢で配設されるので、かかる可変板６５２が突出した状態が形成された場合には、貫通孔６３２ａの左右いずれの側から流下する遊技球に対しても、貫通孔６３２ａへ入球しやすくすることができる。よって、貫通孔６３２ａへ入球することに対する期待をより強く遊技者に持たせることができる。その結果、遊技の興趣の向上を図ることができる。
【０４２０】
ここで、貫通孔６３２ａへ遊技球が入球されやすくする構成として、遊技盤１３から突出する回転軸に基端側を回転可能に軸支させた一対の羽部材を貫通孔６３２ａに配設し、かかる羽部材が開放されることで、遊技球が貫通孔６３２ａへ案内されるもの（所謂チューリップ）が考えられる。しかし、かかる構成では、羽部材が回転（開閉）するためのスペースが遊技領域に必要となる。特に、羽部材が閉じた姿勢を形成するために、貫通孔６３２ａの上方にスペースが必要となる。そのため、上下方向に大型化して、他の部材（例えば、第１の入球口や液晶表示装置）の配設スペースが減少する。
【０４２１】
これに対し、本実施形態によれば、遊技盤１３の正面側へ突出可能かつ背面側へ没入可能に形成される板状の一対の可変板６５２が、貫通孔６３２ａを挟んだ両側に貫通孔６３２ａへ向けて下降傾斜する姿勢で配設されるので、上下方向に小型化を図ることができる。その結果、他の部材（例えば、第１の入球口や液晶表示装置）の配設スペースを確保できる。
【０４２２】
さらに、経路部材６４０の連結孔６３２ｂが、可変板６５２の重力方向上方に配設されるので、突出された可変板６５２を利用して、遊技球を貫通孔６３２ａへ入球しやすくすることができる。よって、貫通孔６３２ａへ入球することに対する期待をより強く遊技者に持たせることができる。その結果、遊技の興趣の向上を図ることができる。
【０４２３】
また、第２貫通孔６３１ｂ及び経路部材６４０と第２貫通孔６３３ｂ及び経路部材６４０とは、それぞれ１組ずつ形成され、２組のうちの一方の組の経路部材６４０の連結孔６３２ｂは、一対の可変板６５２のうちの一方の可変板６５２の重力方向上方に配設されると共に、他方の組の経路部材６４０の連結孔６３２ｂは、他方の可変板６５２の重力方向上方に配設されるので、一対の可変板６５２をそれぞれ利用して、遊技球を貫通孔６３２ａへ更に入球しやすくすることができる。よって、貫通孔６３２ａへ入球することに対する期待をより強く遊技者に持たせることができる。その結果、遊技の興趣の向上を図ることができる。
【０４２４】
なお、第２貫通孔６３１ｂ及び経路部材６４０と第２貫通孔６３３ｂ及び経路部材６４０とは、貫通孔６３２ａを挟んで左右両側に離間して配設される（例えば、貫通孔６３２ａが遊技領域の幅方向中央に位置されると共に、その貫通孔６３２ａを挟んで幅方向に対称に２組が配設される）ことが好ましい。左始動入賞口２６及び右始動入賞口２７に対し、遊技領域の幅方向一側または他側のいずれの側を流下する遊技球も、貫通孔６３２ａへ入球させやすくでき、貫通孔６３２ａへ入球することに対する期待をより強く遊技者に持たせることができるからである。
【０４２５】
また、可変板６５２の貫通孔６３２ａ側の縁部が、貫通孔６３２ａの重力方向下方の縁部と重力方向上方の縁部との間に位置するので、遊技球が遊技領域の幅方向へ送球（変位）される場合に、かかる遊技球を、突出された状態における可変板６５２の貫通孔６３２ａ側の縁部に当接させて、貫通孔６３２ａへ入球しやすくできる。即ち、遊技領域の幅方向一側から送球（変位）される遊技球が、貫通孔６３２ａの前方を通過して、幅方向他側へ送球（変位）される（遊技球が貫通孔６３２ａに入球せずに遊技領域の幅方向に逃げる）ことを抑制できる。
【０４２６】
次に、図８６及び図８７を参照して、入賞口ユニット６００の遊技球の送球経路について説明する。図８６（ａ）は、入賞口ユニット６００の正面図であり、図８６（ｂ）は、入賞口ユニット６００の上面図である。図８７（ａ）及び図８７（ｂ）は、図８６の範囲ＬＸＸＸＶＩＩにおける入賞口ユニット６００の部分正面図である。
【０４２７】
なお、図８７（ａ）では、可変入賞装置６５０の変位前の状態が図示され、図８７（ｂ）では、可変入賞装置６５０の変位後の状態が図示される。また、図８６及び図８７では、化粧板６１０が透明視された状態で図示される。図８６（ａ）では、経路部材６４０が破線で図示される。
【０４２８】
図８６（ａ）及び図８６（ｂ）に示すように、ベース板６３０の背面側に配設され経路部材６４０の第１経路６４１により、第２貫通孔６３１ｂと連結孔６３２ｂとが連結される。一方、経路部材６４０の第２経路６４２により、第２貫通孔６３３ｂと連結孔６３２ｂとが連結される。よって、左始動入賞口２６及び右始動入賞口２７に送球されず、各第２貫通孔６３１ｂ，６３３ｂに送球される遊技球は、経路部材６４０の内部を送球されて連結孔６３２ｂから排出される。
【０４２９】
この場合、図８７（ａ）に示すように、可変入賞装置６５０が駆動前の状態では、可変入賞装置６５０の可変板６５２がベース板６３０の中央凹部６３２よりも背面側に退避された状態となる。よって、連結孔６３２ｂから排出される遊技球は、下方に流下されて遊技盤１３に形成されるアウト口７１により回収される。
【０４３０】
一方、図８７（ｂ）示すように、可変入賞装置６５０が駆動された（可変板がスライド変位された）状態では、可変入賞装置６５０の可変板６５２がベース板６３０の中央凹部６３２よりも正面側に突出した状態とされる。よって、開口６５１ｂから排出される遊技球は、可変板６５２の上面に送球される。
【０４３１】
ここで、第１の入球口と、第２の入球口とを備えた遊技機が知られている。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０４３２】
これに対し、本実施形態によれば、左始動入賞口２６及び右始動入賞口２７に入球されず流下する遊技球の通路を形成する経路部材６４０と、遊技領域が正面側に形成される遊技盤１３と、その遊技盤１３の正面側へ突出可能かつ背面側へ没入可能に形成される板状の可変板６５２とを備え、経路部材６４０を通過した遊技球が、遊技盤１３の正面側へ突出された可変板６５２によって、貫通孔６３２ａへ誘導可能とされるので、左始動入賞口２６及び右始動入賞口２７に遊技球が入球しなかった場合でも、かかる遊技球の流下に注目させ、貫通孔６３２ａへ入球することに対する期待を遊技者に継続して持たせることができる。その結果、遊技の興趣の向上を図ることができる。
【０４３３】
また、可変板６５２が遊技盤１３の正面側へ突出可能かつ背面側へ没入可能に形成されるので、可変板６５２を機能させない状態では、遊技盤１３の背面側に没入させておくことで、その分、遊技盤１３の正面側にスペースを確保（遊技領域を拡大）できる。即ち、遊技領域における遊技球が移動可能な領域を拡大できる。
【０４３４】
なお、経路部材６４０としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０４３５】
また、可変板６５２が遊技盤１３の背面側へ没入された状態であっても、経路部材６４０を通過した遊技球が貫通孔６３２ａへ入球可能とされていることは当然可能である。この場合には、可変板６５２が没入されている状態よりも突出されている状態の方が貫通孔６３２ａへ入球しやすくされることが好ましい。可変板６５２の状態を着目させ、遊技の興趣の向上を図ることができるからである。
【０４３６】
また、上述したように、左始動入賞口２６及び右始動入賞口２７に遊技球が入賞した際に、羽部３１２の開閉により遊技球が可動入球役物装置３００の内部に流入する確率よりも、中始動入賞口２８に遊技球が入賞した際に、羽部３１２の開閉により遊技球が可動入球役物装置３００の内部に流入する確率の方が高く設定されるので、遊技者は、左始動入賞口２６及び右始動入賞口２７に入賞しない遊技球について、中始動入賞口２８に入賞することにさらに期待を持つことができる。その結果、遊技者の興趣を損なうことを抑制できる。
【０４３７】
即ち、左始動入賞口２６及び右始動入賞口２７への入球により遊技者に付与される利益よりも貫通孔６３２ａへの入球により遊技者に付与される利益の方が高い利益とされるので、左始動入賞口２６及び右始動入賞口２７に遊技球が入球しなかった場合でも、かかる遊技球が貫通孔６３２ａへ入球することに対する期待をより強く遊技者に持たせることができる。その結果、遊技の興趣の向上を図ることができる。
【０４３８】
なお、遊技者に付与される利益が高い形態としては、入球に伴い払い出される賞球が多い形態、第３の入球口（凹部３１１ａと上部正面カバー３１３との対向間）への入球を許容・規制する羽部３１２の開放時間が長くされる態様、羽部３１２の開放回数が多くされる態様、羽部３１２の開放範囲が大きくされる態様などが例示される。
【０４３９】
また、ベース板６０は、透明な可撓性材料から形成されるので、ベース板６０の背面側を流下する経路とベース板６０の正面側を流下する経路との２経路が交差する様態を遊技者に視認させることができる。よって、遊技者の興趣が損なわれることを抑制することができる。
【０４４０】
即ち、経路部材６４０は、左始動入賞口２６及び右始動入賞口２７に入球されずに流下する遊技球を受け入れる第２貫通孔６３１ｂ及び第２貫通孔６３３ｂと、その第２貫通孔６３１ｂ及び第２貫通孔６３３ｂから流入された遊技球を遊技領域へ流出させる連結孔６３２ｂとを備え、透明な可撓性材料から形成されるので、第２貫通孔６３１ｂ及び第２貫通孔６３３ｂから流入された遊技球が連結孔６３２ｂ（第２の入球口）へ向けて流下（通過）する態様を遊技者に視認させることができる。その結果、遊技の興趣の向上を図ることができる。
【０４４１】
次に、図８８を参照して、貫通孔６３２ａの周囲の構成について詳しく説明する。図８８（ａ）は、入賞口ユニット６００の上面図であり、図８８（ｂ）は、図８８（ａ）のＬＸＸＸＶＩＩＩｂ−ＬＸＸＸＶＩＩＩｂ線における入賞口ユニット６００の断面図であり、図８８（ｃ）は、図８１（ａ）のＬＸＸＸＶＩＩＩｃ−ＬＸＸＸＶＩＩＩｃ線における入賞口ユニット６００の断面図である。
【０４４２】
図８８（ａ）から図８８（ｃ）に示すように、貫通孔６３２ａの左右方向両端には、挿通孔６３２ｃが開口され、内部に可変入賞装置６５０の可変板６５２が挿入される。この場合、可変板６５２の貫通孔６３２ａ側の端部の高さは、貫通孔６３２ａの重力方向の高さの中間位置にと略同一に設定される。これにより、可変板６５２の貫通孔６３２ａ側の端部と、案内板６１３ａとの高さ距離を確保することができる。その結果、可変板６５２の上部を転動する遊技球が貫通孔６３２ａに送球される際に、案内板６１３ａまでの落下距離を確保することができるので、球を当接面６１３ａ１に当接させた際の衝撃力を確保でき、球を貫通孔６３２ａにスムーズに送球することができる。
【０４４３】
ベース板６３０の中央凹部６３２から突設される６３２ａのベース側突起６３２ｄは、貫通孔６３２ａから外方に向かって突出距離が小さくされる断面略三角形に形成される。中央カバー部材６１３に突設されるカバー側突起６１３ｄも同様に、貫通孔６３２ａから外側に向かって突出距離が小さくされる断面三角形に形成される。また、ベース側突起６３２ｄとカバー側突起６１３ｄとは、前後方向に異なる位置に形成されており、ベース側突起６３２ｄが、カバー側突起６１３ｄよりも貫通孔６３２ａ側に形成される。
【０４４４】
また、貫通孔６３２ａの重力方向下方の縁部から遊技盤の正面側へ張り出す案内板６１３ａを備え、その案内板６１３ａは、貫通孔６３２ａへ向けて下降傾斜して形成されるので、可変板６５２が突出された状態の場合だけでなく、可変板６５２が没入された状態であっても、左始動入賞口２６及び右始動入賞口２７に入球されず流下する（経路部材６４０を通過した）遊技球を、貫通孔６３２ａへ入球しやすくできる。よって、貫通孔６３２ａへ入球することに対する期待をより強く遊技者に持たせることができる。その結果、遊技の興趣の向上を図ることができる。
【０４４５】
次いで、図８９を参照して、中始動入賞口２８を挿通される遊技球について説明する。図８９（ａ）から図８９（ｃ）は、入賞口ユニット６００の断面図である。なお、図８９（ａ）から図８９（ｃ）は、図８８（ｂ）と対応する。また、図８９（ａ）から図８９（ｃ）は、それぞれの遷移状態が図示される。
【０４４６】
図８９（ａ）から図８９（ｃ）に示すように、中始動入賞口２８を挿通される遊技球は、案内板６１３ａの上面に流下された際に、可変入賞装置６５０の可変板６５２の貫通孔７６３２ａ側の端部と当接して貫通孔６３２ａに安定して送球することができる。
【０４４７】
ここで、流下する遊技球を案内板６１３ａで受け止めると衝突した際の衝撃により、球が左右方向にぶれて貫通孔６３２ａに入らない可能性がある。
【０４４８】
これに対し、本実施形態では、可変入賞装置６５０の可変板の貫通孔６３２ａ側の端部の高さ位置を貫通孔６３２ａの重力方向の中間位置と略同一に設定されるので、案内板６１３ａと衝突した衝撃で、球が左右方向にぶれた際に、可変板の側面に当接させて、球を貫通孔６３２ａにスムーズに送球することができる。
【０４４９】
次いで、図９０（ａ）から図９０（ｃ）を参照して、可変入賞装置６５０の可変板６５２の上部を送球される遊技球について説明する。図９０（ａ）から図９０（ｃ）では、入賞口ユニット６００の断面図である。なお、図９０（ａ）から図９０（ｃ）では、図８８（ｃ）と対応する。
【０４５０】
図９０（ａ）から図９０（ｃ）に示すように、経路部材６４０に送球されて、可変入賞装置６５０の可変板６５２の上部に送球される遊技球は、ベース板６３０の連結孔６３２ｂから排出される勢いで前方に転動されつつ、可変板６５２の傾斜により貫通孔６３２ａ側に転動されることで、中央カバー部材６１３のカバー側突起６１３ｄと当接する。これにより、球は、カバー側突起６１３ｄの突起形状により、背面側に案内されつつ可変板６５２の上部を貫通孔６３２ａ側に転動される。
【０４５１】
次に、カバー側突起６１３ｄにより背面側に送球されつつ、貫通孔６３２ａ側に転動する遊技球は、ベース側突起６３２ｄと当接される。これにより、球は、ベース側突起の６３２ｄの突起形状により、正面側に案内されつつ可変板６５２の上部を貫通孔６３２ａ側に転動されて、案内板６１３ａの上部に流下する。
【０４５２】
ここで、可変入賞装置６５０の可変板６５２の上部を転動する遊技球が、カバー側突起６１３ｄ及びベース側突起６３２ｄに当接しない様態であると、球の転動速度が速くなり、案内板６１３ａの上部への遊技球の送球が不安定となり、貫通孔６３２ａへの遊技球の送球が不安定となる恐れがあった。
【０４５３】
これに対し、本実施形態では、可変入賞装置６５０の可変板６５２の上部を転動する遊技球を、カバー側突起６１３ｄ及びベース側突起６３２ｄに当接させることで、球の転動速度を遅くすることができ、貫通孔６３２ａへの遊技球の送球を安定させることができる。
【０４５４】
また、本実施形態では、ベース側突起６３２ｄが、カバー側突起６１３ｄよりも貫通孔６３２ａ側に形成されるので、案内板６１３ａへ落下する遊技球を案内板６１３ａの当接面６１３ａ１に確実に当接させることができる。その結果、貫通孔６３２ａへの遊技球の送球を安定させることができる。
【０４５５】
さらに、案内板６１３ａの上面には、貫通孔６３２ａに近い側に位置する送球面と、その送球面に連設されると共に転動面６１３ａ２よりも貫通孔６３２ａに遠い側に位置する当接面６１３ａ１とが形成され、当接面６１３ａ１の貫通孔６３２ａへ向かう方向への下降傾斜の角度が、送球面の前記貫通孔６３２ａへ向かう方向への下降傾斜の角度よりも大きくされるので、当接面６１３ａ１の下降傾斜を利用して、貫通孔６３２ａへ遊技球をスムーズに入球させることができる。特に、スライド部材が没入された状態であっても、下降傾斜が大きくされている当接面６１３ａ１の傾斜を利用して、第１の入球口に入球されず流下する（通路部材を通過した）遊技球を、貫通孔６３２ａへ入球しやすくできる。
【０４５６】
次に、図９１から図９６を参照して、第２実施形態における可変ユニット２３６０について説明する。なお、上述した第１実施形態と同一の部分には同一の符号を付して、その説明は省略する。
【０４５７】
第１実施形態では、回転体３７２Ｒに配設される磁石３７２Ｒｂが、凹部３７２Ｒｃ１よりも小さく形成される場合を説明したが、第２実施形態における回転体２３７２Ｒに配設される磁石２３７２Ｒｂよりも大きく形成される。なお、上記第１実施形態と同一の部分には、同一の符号を付してその説明は省略する。
【０４５８】
図９１（ａ）は、第２実施形態における可変ユニット２３６０の正面図であり、図９１（ｂ）は、可変ユニット２３６０の上面図であり、図９１（ｃ）は、図９１（ｂ）のＸＣＩｃ−ＸＣＩｃ線における可変ユニット２３６０の断面図である。図９２は、可変ユニット２３６０の分解正面斜視図である。図９３は、可変ユニット２３６０の分解背面斜視図である。なお、図９１（ａ）及び図９１（ｂ）では、磁石２３７２Ｒｂの外形が破線で図示される。
【０４５９】
図９１から図９３に示すように、第２実施形態における回転体２３７２Ｒは、本体部３８０側に配設される第１回転体２３７２Ｒａと、その第１回転体２３７２Ｒａと連結される第２回転体２３７２Ｒｃと、その第２回転体２３７２Ｒｃ及び第１回転体２３７２Ｒａの内部に配設される磁石２３７２Ｒｂとを備えて形成される。
【０４６０】
第１回転体２３７２Ｒａは、連結棒３７１に連結されて回転する円柱状の回転体であり、軸に開口する貫通孔３７２Ｒａ１と、本体側に向かって凹設される凹部２３７２Ｒａ２とを主に備えて形成される。
【０４６１】
凹部２３７２Ｒａ２は、後述する磁石２３７２Ｒｂの本体部３８０側を収容する凹みであり、磁石２３７２Ｒｂの湾曲形状に対応する形状に凹設される。これにより、磁石２３７２Ｒｂを第１回転体２３７２の内側に収容できる。
【０４６２】
ここで、回転体２３７２Ｒの内部に配設する磁石２３７２Ｒｂにより、第２転動部３８１ｃを転動する遊技球は回転体２３７２Ｒの外周面に吸着させずに、回転体２３７２Ｒと遊技球との吸着位置では遊技球を回転体２３７２Ｒの外周面に吸着させるためには、回転体２３７２Ｒの径方向外側に作用する磁石２３７２Ｒｂの磁力を変更する必要がある。即ち、遊技球の転動速度を遅くする部分では、回転体２３７２Ｒの径方向外側に作用する磁力を比較的小さくすると共に、遊技球を回転体２３７２Ｒの外周面に吸着する部分では、回転体２３７２Ｒの径方向外側に作用する磁力を比較的大きくする必要がある。
【０４６３】
そのため、遊技球の転動速度を遅くする部分と回転体２３７２Ｒの外周面に遊技球を吸着する部分とでは、回転体２３７２Ｒの内部に配設する磁石２３７２Ｒｂを磁力の異なる２つの磁石２３７２Ｒｂを配設する、又は、吸着部分のみ径方向外側に突出する磁石２３７２Ｒｂを配設する必要があった。そのために、磁石２３７２Ｒｂを製造するコストが増加するという問題点があった。
【０４６４】
これに対し、第２実施形態によれば、磁石２３７２Ｒｂは、回転体２３７２Ｒの軸に対して径方向外側に同一距離離間する位置に配設され、回転体２３７２Ｒと遊技球との吸着位置には、径方向に凹む溝部２３７２Ｒｃ２が形成されるので、溝部２３７２Ｒｃ２が径方向に凹んで形成される分、吸着位置の外側に作用する磁力を比較的強くすることができる。これにより、磁石２３７２Ｒｂの形状を複雑化することなく、遊技球の転動速度を遅くする部分と遊技球を回転体２３７２Ｒの外周面に吸着する部分とを形成することができるので、製造コストが増加することを抑制できる。
【０４６５】
第２回転体２３７２Ｒｃは、第１回転体２３７２の外径路略同一の外形の円柱状に形成されると共に、第１回転体２３７２Ｒａの同軸上に配設され第１回転体３７２Ｒａに取着される。
【０４６６】
また、第２回転体３７２Ｒｃは、本体部３８０側から外側に向かって凹設される凹部３７２Ｒｃ１と、その凹部３７２Ｒｃ１の径方向外側の外周面に凹設される溝部２３７２Ｒｃ２と、を備えて形成される。
【０４６７】
溝部２３７２Ｒｃ２は、第１回転体３７２Ｒａ側に向かって、径方向の凹設距離が小さく形成される（図９１（ｃ）参照）。これにより、第１回転体２３７２Ｒａの外周面に吸着する遊技球が、回転体２３７２Ｒの外周面を転動されて、溝部２３７２Ｒｃ２の内部に受け入れられる際に、回転体２３７２Ｒから溝部２３７２Ｒｃ２に落下することを抑制できる。その結果、溝部２３７２Ｒｃ２に遊技球を安定して送球できる。なお、回転体２３７２Ｒの遊技球の送球については、後述する。
【０４６８】
次に、図９４を参照して磁石２３７２Ｒｂについて説明する。図９４（ａ）は、磁石２３７２Ｒｂの正面図であり、図９４（ｂ）は、磁石２３７２Ｒｂの上面図であり、図９４（ｃ）は、磁石２３７２Ｒｂの側面図である。
【０４６９】
図９４（ａ）から図９４（ｃ）に示すように、磁石２３７２Ｒｂは、側面視において、第１回転体２３７２Ｒａの回転軸と同軸の湾曲形状に形成される。また、磁石２３７２Ｒｂは、正面視左側（図９４（ａ）左側）に向かって回転体２３７２Ｒの回転方向に湾曲して形成される。
【０４７０】
以上のように構成される回転体２３７２Ｒは、次のように組み上げられる。初めに、磁石２３７２Ｒｂの一側を第１回転体２３７２Ｒａの凹部２３７２Ｒａ２の内側に挿入する。次に、第１回転体２３７２Ｒａの凹部２３７２Ｒａ２から突出した磁石２３７２Ｒｂを、第２回転体２３７２Ｒｃの凹部２３７２Ｒｃ１に挿入しつつ第１回転体２３７２Ｒａと第２回転体２３７２Ｒｃとを締結することで、回転体２３７２Ｒが組み上げられる。
【０４７１】
次に、図９５及び図９６を参照して回転体２３７２Ｒと遊技球との吸着を参照して説明する。図９５（ａ）から図９５（ｃ）は、可変ユニット２３６０の上面図である。図９６（ａ）は、図９５（ａ）のＸＣＶＩａ−ＸＣＶＩａ線における可変ユニット２３６０の断面模式図であり、図９６（ｂ）は、図９５（ｂ）のＸＣＶＩｂ−ＸＣＶＩｂ線における可変ユニット２３６０の断面模式図であり、図９６（ｃ）は、図９５（ｃ）のＸＣＶＩｃ−ＸＣＶＩｃ線における可変ユニット２３６０の断面模式図である。なお、図９５（ａ）から図９５（ｃ）では、球の遷移状態が図示される。また、図９５（ａ）から図９５（ｃ）では、磁石２３７２Ｒｂが破線で図示される。
【０４７２】
図９５（ａ）及び図９６（ａ）に示すように、第１回転体２３７２Ｒａ側の磁石２３７２Ｒｂが、第６送球経路ＫＲ６と隣合う際に、第６送球経路ＫＲ６に遊技球が送球されると、球は、磁石２３７２Ｒｂの磁力により第１回転体２３７２Ｒａの外周面に吸着される。
【０４７３】
図９５（ｂ）及び図９６（ｂ）に示すように、第１回転体２３７２Ｒａの外周面に遊技球が吸着された状態で、回転体２３７２Ｒが軸周りに回転されると、球は、自重により下方に変位しつつ、第６送球経路ＫＲ６を送球される。
【０４７４】
即ち、遊技球の転動を遅くする部分では、回転体２３７２Ｒの回転変位により、磁石２３７２Ｒｂが第２転動部３８１ｃと隣り合う位置に位置する際に、第２転動部３８１ｃを遊技球が転動することで、遊技球の転動を遅くすることができる。また、磁石２３７２Ｒｂは、回転体２３７２Ｒの回転方向の軸周りに屈曲して形成されるので、回転体２３７２Ｒの回転に伴って、磁石２３７２Ｒｂと第２転動部３８１ｃとが隣り合う位置を回転体２３７２Ｒの吸着位置側に変位させることができる。従って、磁石２３７２Ｒｂにより第２転動部３８１ｃを転動する速度を遅くされる遊技球を、回転体２３７２Ｒの回転変位に伴って、吸着位置の径方向外側に転動させることができる。これにより、第２転動部３８１ｃを転動する速度を遅くされた遊技球を、回転体２３７２Ｒに吸着させることができる。
【０４７５】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている。しかしながら、上述した従来の遊技機では、転動面を遊技球が揺れ動きながら転動するため、回転部材が回転され、その回転部材の吸着位置に対面可能なタイミングで遊技球が転動面を転動してきた場合でも、遊技球が吸着位置に吸着されにくいという問題点があった。
【０４７６】
これに対し、第２実施形態によれば、磁石２３７２Ｒｂは、回転体２３７２Ｒの外周面に遊技球が吸着される吸着位置と、吸着位置よりも転動面の上流側となる上流位置とに少なくとも配設されるので、上流位置に配設された磁石２３７２Ｒｂの磁力により、遊技球を回転体２３７２Ｒの外周面側に引き寄せておくことができ、転動面を遊技球が揺れ動きながら転動することを抑制できる。その結果、回転体２３７２Ｒが回転され、その回転体２３７２Ｒの吸着位置に対面可能なタイミングで遊技球が転動面を転動してきた場合に、遊技球を吸着位置へ吸着させやすくできる。
【０４７７】
なお、吸着位置に配設される磁石２３７２Ｒｂと上流位置に配設される磁石２３７２Ｒｂとは別体に形成されるもの（即ち、２個の磁石２３７２Ｒｂ）であっても良く、或いは、一体に形成されるもの（即ち、１個の磁石２３７２Ｒｂ）であっても良い。
【０４７８】
ここで、吸着位置では遊技球を回転体２３７２Ｒの外周面に吸着させる一方、上流位置では遊技球を回転体２３７２Ｒの外周面に吸着させないことが必要である。これを磁石２３７２Ｒｂの磁力の差により達成することは（即ち、吸着位置には磁力が強い磁石２３７２Ｒｂを、上流位置には磁力が弱い磁石２３７２Ｒｂを、それぞれ配設する）、磁力が異なる２種類の磁石２３７２Ｒｂを準備する必要があり、製品コストの増加を招く。
【０４７９】
これに対し、第２実施形態によれば、回転体２３７２Ｒは、その外周面に凹設され吸着位置とされる溝部２３７２Ｒｃ２を備えるので、１の磁石２３７２Ｒｂを回転体２３７２Ｒに埋設することで、溝部２３７２Ｒｃ２を利用して、吸着位置における磁石２３７２Ｒｂから遊技球までの距離（磁石２３７２Ｒｂから溝部２３７２Ｒｃ２の底面までの距離）を、上流位置における磁石２３７２Ｒｂから遊技球までの距離）磁石２３７２Ｒｂから回転体２３７２Ｒの外周面までの距離）よりも小さい寸法に設定できる。即ち、吸着位置では遊技球を回転体２３７２Ｒの外周面に吸着させる一方、上流位置では遊技球を回転体２３７２Ｒの外周面に吸着させないことが可能となる。よって、２種類の磁石２３７２Ｒｂを必要とせず、また、磁石２３７２Ｒｂの形状を複雑化する必要もないので、その分、製品コストの削減を図ることができる。
【０４８０】
また、吸着位置に遊技球が吸着されると、かかる遊技球を溝部２３７２Ｒｃ２によって保持することができる。よって、回転体２３７２Ｒの回転に伴って遊技球が送球される際に、回転体２３７２Ｒの回転方向に遊技球がぐらつくことを抑制でき、その結果、遊技球の吸着が解除されることを抑制できる。
【０４８１】
ここで、回転体２３７２Ｒの軸に沿って遊技球を送球する送球経路ＫＲ５が形成されると、遊技球の転動速度が速い、又は、遊技球が転動面をぐらつくために、遊技球を回転体２３７２Ｒに吸着できないという問題点があった。
【０４８２】
これに対し、本実施形態では、回転体２３７２Ｒの径方向外側には、遊技球を転動させて回転体２３７２Ｒの外周面に送球する第５送球経路ＫＲ５が形成され、その第５送球経路ＫＲ５は、回転体２３７２Ｒの軸方向に延設して形成され、磁石２３７２Ｒｂは、回転体２３７２Ｒと遊技球との吸着位置よりも第５送球経路ＫＲ５の上流側に延設されるので、第５送球経路ＫＲ５を転動する遊技球を回転体２３７２Ｒに配設する磁石２３７２Ｒｂの磁力により、遊技球の転動を遅くすると共に、遊技球の第２転動部３８１ｃのぐらつきを抑制して、遊技球を回転体２３７２Ｒに吸着させることができる。
【０４８３】
即ち、回転体２３７２Ｒに配設される磁石２３７２Ｒｂは、回転体２３７２Ｒと遊技球との吸着位置よりも、第２転動部３８１ｃの上流側に延設されるので、第２転動部３８１ｃに磁石の磁力を作用させることができる。これにより、第１送球面を転動する遊技球を磁石２３７２Ｒｂの作用により、回転体２３７２Ｒの外周面に引張ることで、その送球速度を遅くできると共に、第２転動部３８１ｃをぐらついて転動する遊技球のぐらつきを解消することができる。その結果、回転体２３７２Ｒと遊技球との吸着面に遊技球を吸着させることができる。
【０４８４】
また、第２転動部３８１ｃは、遊技球の転動方向に対する横幅が下流側に向かうに従って回転体２３７２Ｒの外周面と対向して配置される区画壁２３８１ｇが、回転体の外周面に近接される。即ち、第２転動部３８１ｃが下流側に向かって狭くされるので、第２転動部３８１ｃを転動する遊技球が、送球方向に対して左右に揺れ動く場合には、遊技球の転動に伴って揺れを抑制することができる。
【０４８５】
特に、第２実施形態では、回転体２３７２Ｒと遊技球との吸着位置よりも第２転動部３８１ｃの上流側には、回転体２３７２Ｒに配設する磁石２３７２Ｒｂの磁力が作用するので、磁石２３７２Ｒｂの磁力と共に第１送球面を転動する遊技球の揺れ動きを抑制することができるので、比較的短い転動距離で遊技球の揺れを抑制することができる。
【０４８６】
言い変えると、回転体２３７２Ｒの外周面と対向しつつ第２転動部３８１ｃから立設され遊技球の転動領域を区画する区画壁２３８１ｇを備え、回転体２３７２Ｒの外周面と区画壁２３８１ｇとの間の対向間隔は、第２転動部３８１ｃの下流側へ向かうに従って小さい寸法に設定されるので、上流位置における磁石による作用（磁力による引き寄せ）だけでなく、区画壁２３８１ｇによる案内によっても、第２転動部３８１ｃを遊技球が揺れ動きながら転動することを抑制できる。その結果、回転体２３７２Ｒが回転され、その回転体２３７２Ｒの吸着位置に対面可能なタイミングで遊技球が第２転動部３８１ｃを転動してきた場合に、遊技球を吸着位置へ吸着させやすくできる。
【０４８７】
さらに、第２転動部３８１ｃの上流側における溝部２３７２Ｒｃ２の端部は、回転体２３７２Ｒの外周面に連結されるので、遊技球の転動を遅くする部分の磁力により、回転体２３７２Ｒの軸方向に引き込まれる遊技球が、回転体２３７２Ｒの溝部２３７２Ｒｃ２の内側に転動する際に、バウンドすることを抑制できる。その結果、遊技球を溝部２３７２Ｒｃ２の内側にスムーズに吸着させることができる。
【０４８８】
また、第３転動部３８１ｄの回転軸方向に沿った長さ寸法が、回転体２８７２Ｒに配設される磁石の回転軸方向に沿った長さ寸法よりも大きな寸法に設定されるので、回転体２８７２Ｒの吸着位置ではない箇所に遊技球が吸着された状態で（即ち、上流位置における磁石に吸着された状態で）、回転体２８７２Ｒの回転に伴って遊技球が送球される場合でも、かかる遊技球を第３転動部３８１ｄに受け取らせることができる。
【０４８９】
図９５（ｃ）及び図９６（ｃ）に示すように、第１回転体２３７２Ｒａの外側に吸着された遊技球が、第５送球経路ＫＲ５を流下して、第２回転体２３７２Ｒｃの溝部２３７２Ｒｃ２に吸着されると、第１実施形態と同様に、溝部２３７２Ｒｃ２の内部に遊技球を吸着させつつ、回転体２３７２Ｒを回転させることで遊技球を第７送球経路ＫＲ７に遊技球を送球することができる。
【０４９０】
ここで、回転体２３７２Ｒの内側に配設される磁石２３７２Ｒｂが、回転体２３７２Ｒと遊技球との吸着位置よりも回転体２３７２Ｒの軸方向に延設され、第３転動部３８１ｄを転動する遊技球の送球方向が回転体２３７２Ｒの軸方向に沿って形成されるものでは、第３転動部３８１ｄを転動する遊技球が、回転体２３７２Ｒに配設される磁石２３７２Ｒｂの磁力の影響を受ける恐れがある。
【０４９１】
これに対し、第２実施形態によれば、回転体２３７２Ｒの径方向外側には、回転体２３７２Ｒを挟んで第２転動部３８１ｃと反対側に回転体２３７２Ｒと吸着する遊技球を離脱させると共に、遊技球を転動させて送球する第３転動部３８１ｄが形成され、その第３転動部３８１ｄは、第２転動部３８１ｃから第３転動部３８１ｄの方向に向かって下降傾斜して形成されるので、第３転動部３８１ｄにより、回転体２３７２Ｒとの吸着を解除された遊技球が、再び回転体２３７２Ｒに吸着されることを抑制できる。
【０４９２】
即ち、第３転動部３８１ｄにおける遊技球の送球方向が、回転体２３７２Ｒから径方向外側に離間する方向に形成される。これにより、第３転動部３８１ｄに送球された遊技球が、回転体２３７２Ｒの外周に再び吸着される又は、磁石２３７２Ｒｂの磁力が作用され、第３転動部３８１ｄを転動する速度が遅くされることを抑制できる。
【０４９３】
また、第３転動部３８１ｄは、回転体２３７２Ｒの軸方向の寸法よりも大きく形成されると共に、回転体２３７２Ｒと対向する位置に配設されるので、回転体２３７２Ｒの吸着位置以外の外周面に遊技球が吸着して、第３転動部３８１ｄに送球された場合に、第３転動部３８１ｄにより回転体２３７２Ｒと遊技球との吸着を解除して、遊技球を第３転動部３８１ｄに送球することができる。
【０４９４】
また、磁石２３７２Ｒｂは、上流位置に配設される部分の少なくとも一部が、吸着位置に配設される部分よりも回転体２３７２Ｒの回転方向前方側に配設されるので、吸着位置へ向けて第２転動部３８１ｃを転動する遊技球に対して、上流位置における磁石２３７２Ｒｂの磁力を遊技球に作用させやすくできる。即ち、遊技球を回転体２３７２Ｒの外周面側に引き寄せておき、第２転動部３８１ｃを遊技球が揺れ動きながら転動することを抑制できる。その結果、回転体２３７２Ｒが回転され、その回転体２３７２Ｒの吸着位置に対面可能なタイミングで遊技球が第２転動部３８１ｃを転動してきた場合に、遊技球を吸着位置へ吸着させやすくできる。
【０４９５】
さらに、溝部２３７２Ｒｃ２の底面は、上流位置側へ向けて上昇傾斜されると共に回転体２３７２Ｒの外周面に滑らかに連なり、少なくとも上流位置側において、溝部２３７２Ｒｃ２の底面に遊技球が当接可能に形成されるので、上流位置における磁石２３７２Ｒｂにより回転体２３７２Ｒの外周面側に引き寄せられた遊技球が、吸着位置における磁石２３７２Ｒｂにより溝部２３７２Ｒｃ２に嵌り込む際には、かかる遊技球の溝部２３７２Ｒｃ２への嵌り込みをスムーズに行わせることができる。即ち、遊技球が跳ねる（バウンドされる）ことを抑制して、遊技球を吸着位置（溝部２３７２Ｒｃ２）に吸着させやすくできる。
【０４９６】
次いで、図９７及び図９８を参照して、第３実施形態について説明する。なお、上述した各実施形態と同一の部分には同一の符号を付して、その説明は省略する。
【０４９７】
上記第１実施形態では回転体３７２Ｒの溝部３７２Ｒｃ２の径方向内側の面が径方向と直交する平面に形成される場合を説明したが、第３実施形態の溝部３３７２Ｒａ２は、径方向内側の面が径方向と直交する方向に対して傾斜して形成される場合を説明する。
【０４９８】
図９７（ａ）は、第３実施形態における回転体３３７２Ｒの側面図であり、図９７（ｂ）は、回転体３３７２の上面図であり、図９７（ｃ）は、図９７（ｂ）のＸＣＶＩＩｃ−ＸＣＶＩＩｃ線における断面図であり、図９７（ｄ）は、図９７（ｂ）のＸＣＶＩＩｄ−ＸＣＶＩＩｄ線における断面図である。図９８（ａ）及び図９８（ｂ）は、可変ユニット３６０の断面図である。なお、図９８（ａ）の断面は、図６９（ａ）の断面と対応し、図９８（ｂ）の断面は図６９（ｂ）の断面と対応する。
【０４９９】
図９７（ａ）から（ｄ）に示すように、第３実施形態における回転体３３７２Ｒは、本体部３８０側に配設される第１回転体３７２Ｒａと、その第１回転体３７２Ｒａと連結される第２回転体３３７２Ｒｃと、その第２回転体３３７２Ｒｃの内部に配設され第２回転体３３７２Ｒｃの外側に磁力を作用させる磁石３７２Ｒｂとを主に備えて形成される。
【０５００】
第２回転体３３７２Ｒｃは、第１回転体３７２Ｒａの外径と略同一の外径の円柱状に形成されると共に、第１回転体３７２Ｒａの同軸上に配設され第１回転体３７２Ｒａに取着される。
【０５０１】
第２回転体３７２Ｒｃは、外周面に遊技球を吸着して送球する送球部材であり、内部に磁石３７２Ｒｂが挿入される凹部３３７２Ｒｃ１と、その凹部３３７２Ｒｃ１の径方向外側の外周面に凹設される溝部３３７２Ｒｃ２とを主に備えて形成される。
【０５０２】
凹部３３７２Ｒｃ１は、第１回転体３７２Ｒａが取着される面に凹設されると共に、磁石３７２Ｒｂの外径と略同一の深さで凹設される。また、凹部３３７２Ｒｃ１は、側面視略矩形に凹設されると共に、２の対向する内面のうちの一方の対向する面が、後述する溝部３３７２Ｒｃ２の凹設先端面と平行に形成される。
【０５０３】
溝部３３７２Ｒｃ２は、第２回転体３３７２Ｒｃの径方向視略矩形に凹設されると共に、第２回転体３３７２Ｒｃを軸方向視した断面が略三角形に形成される。即ち、溝部３３７２Ｒｃ２は、第２回転体３３７２Ｒｃの回転方向側の凹設先端面が第２回転体３３７２Ｒｃの外周面に連結して形成される。
【０５０４】
上述したように、第２回転体３３７２Ｒｃの凹部３３７２Ｒｃ１は、溝部３３７２Ｒｃ２の凹設先端面と平行の内面を有して形成される。これにより、溝部３３７２Ｒｃ２の内部に配設される磁石３７２Ｒｂは、回転体３３７２Ｒの回転方向側の端部が径方向外側に部分的に位置する状態で配設される（図９７（ｃ）参照）。
【０５０５】
次に、図９８を参照して回転体３３７２Ｒの回転変位について説明する。図９８（ａ）及び（ｂ）に示すように、回転体３３７２Ｒの溝部３３７２Ｒｃ２が、第６送球経路ＫＲ６と隣合う位置に位置する際に、第６送球経路ＫＲ６を遊技球が送球されると、第１実施系と同様に回転体の内部に配設する磁石３７２Ｒｂにより、遊技球は、溝部３３７２Ｒｃ２に吸着される（図９８（ａ）参照）。
【０５０６】
図９８（ａ）に示す、遊技球を回転体３３７２Ｒに吸着した状態で回転体３３７２Ｒを連結棒３７１の軸を中心に回転変位すると、図９８（ｂ）に示すように、遊技球が回転体３３７２Ｒの溝部３３７２Ｒｃ２に吸着された状態で送球される。
【０５０７】
第３実施形態では、上述したように、溝部３３７２Ｒｃ２の第２回転体３３７２Ｒｃの回転方向側の凹設先端面が第２回転体３３７２Ｒｃの外周面に連結して形成されるので、遊技球を回転体３３７２Ｒの回転方向に外れやすくできる。
【０５０８】
即ち、溝部３３７２Ｒｃ２の回転方向側に階段状の段差が形成されないことで、溝部３３７２Ｒｃ２に吸着する遊技球を回転方向側に変位しやすくできる。これにより、回転体の溝部３３７２Ｒｃ２に吸着した遊技球が、遊技機本体の揺れなどにより、吸着が解除される際に、遊技球を後の送球経路の第７送球経路側に落下しやすくできる。その結果、回転体３３７２Ｒと遊技球との吸着が解除された際に、遊技球が第６送球経路に戻ることを抑制して、回転体３３７２Ｒの遊技球の送球を安定させることができる。
【０５０９】
また、この場合、回転体３３７２Ｒの各回転体３３７２Ｒａ，３３７２Ｒｃは、円柱形状に形成されるので、その外周面に沿って遊技球を第７送球経路ＫＲ７に送球することができる。これにより、回転体３３７２Ｒと遊技球との吸着が解除されて、遊技球を第７送球経路ＫＲ７に落下させる際に遊技球が自由落下する距離を小さくできるので、遊技球が第７送球経路ＫＲ７の第３転動部３８１ｄに落下する際の衝撃を小さくすることができる。その結果、遊技球が第３転動部３８１ｄとの衝突によって、跳ね上がることを抑制することができ、遊技球の送球を安定させることができる。
【０５１０】
さらに、第３実施形態では、磁石３７２Ｒｂの回転体３３７２Ｒの回転方向側の端部が径方向外側に部分的に位置する状態で配設されるので、その分、回転体３３７２Ｒの外側に作用する磁石の磁力を強くすることができる。その結果、回転体３３７２Ｒと遊技球との吸着が解除されることを抑制することができ、遊技球の送球をさらに安定させることができる。
【０５１１】
次いで、図９９から図１０１を参照して、第４実施形態における回転体４３７２Ｒについて説明する。なお、上述した各実施形態と同一の部分には同一の符号を付して、その説明は省略する。
【０５１２】
上記第１実施形態では、回転体３７２Ｒの溝部３７２Ｒｃ２に吸着した先行の遊技球に後から送球された後行の遊技球が吸着した際に、先行の遊技球が溝部３７２Ｒｃ２から脱落することを防止できる場合を説明したが、第４実施形態では回転体４３７２Ｒの溝部３７２Ｒｃ２に吸着した先行の遊技球に後から送球された後行の遊技球が吸着した際に、先行の遊技球および後行の遊技球が溝部３７２Ｒｃ２から脱落する場合を説明する。
【０５１３】
初めに、図９９を参照して、第４実施形態における回転体４３７２Ｒについて説明をする。図９９（ａ）は、第４実施形態における回転体４３７２Ｒの側面図であり、図９９（ｂ）は、回転体４３７２Ｒの上面図であり、図９９（ｃ）は、図９９（ｂ）のＸＣＩＸｃ−ＸＣＩＸｃ線における回転体４３７２Ｒの断面図であり、図９９（ｄ）は、図９９（ｂ）のＸＣＩＸｄ−ＸＣＩＸｄ線における回転体４３７２Ｒの断面図である。
【０５１４】
回転体４３７２Ｒは、本体部３８０側に配設される第１回転体３７２Ｒａと、その第１回転体３７２Ｒａと連結される第２回転体４３７２Ｒｃと、その第２回転体４３７２Ｒｃの内部に配設されると共に磁力を有する磁石３７２Ｒｂとを備えて形成される。
【０５１５】
第２回転体４３７２Ｒｃは、第１回転体３７２Ｒａの外形と略同一の外形の円柱状に形成されると共に、第１回転体３７２Ｒａの同軸上に配設され第１回転体３７２Ｒａに取着される。
【０５１６】
また、第２回転体４３７２Ｒｃは、外周面に遊技球を吸着して送球する部分であり、内部に後述する磁石３７２Ｒｂが挿入される凹部３７２Ｒｃ１と、その凹部３７２Ｒｃ１の径方向外側の外周面に凹設される溝部３７２Ｒｃ２と、その溝部３７２Ｒｃ２と所定の間隔を隔てた外周面に凹設される凹設部４３７２Ｒｃ５とを主に備えて形成される。
【０５１７】
凹設部４３７２Ｒｃ５は、回転体４３７２Ｒの径方外側に中心が位置する湾曲面（球面）として形成されると共に、湾曲面を形成する球体の半径は、遊技球の半径よりも大きい寸法に設定される。
【０５１８】
なお、第４実施形態において、溝部３７２Ｒｃ２と凹設部４３７２Ｒｃ５との間の所定の間隔は、回転体４３７２Ｒの回転方向と反対方向に、先行する遊技に後行する遊技球が吸着した際に、後行する遊技球が回転体４３７２Ｒの径方向外側端面（凹設部４３７２Ｒｃ５を除く外周面）と当接しない距離に設定される。
【０５１９】
次いで、図１００から図１０２を参照して、回転体４３７２Ｒに２球の遊技球が吸着した場合の説明をする。図１００から図１０２は、可変ユニット３６０及び背面ベース３９０の断面図である。
【０５２０】
なお、図１００から図１０２は、図６９（ａ）の可変ユニット３６０及び背面ベース３９０の断面に対応する。また、図１００から図１０２では、回転体４３７２Ｒが回転された際の遷移状態が順に図示される。
【０５２１】
図１００に示すように、第６送球経路ＫＲ６に遊技球が２球連続して送球される（後行する遊技球が先行する遊技球に連なって送球される）と、先行する遊技球は、溝部３７２Ｒｃ２の内周面に配設された磁石３７２Ｒｂの磁力により吸着され、溝部３７２Ｒｃ２の内面に吸着される。この場合、磁石３７２Ｒｂの磁力により、先行する遊技球が磁性を帯びるため、後行する遊技球が先行する遊技球に連なって送球されると、後行する遊技球が先行する遊技球に吸着される。
【０５２２】
また、図１００に示すように、後行する遊技球が、先行する遊技球に吸着して、第２転動部３８１ｃから持ち上げられる前には、後行する遊技球は、第２転動部３８１ｃに支持されているため凹設部４３７２Ｒｃ５の内側に案内されず、回転体４３７２Ｒの外周面よりも外側に位置される。
【０５２３】
図１０１に示すように、図１００の位置から回転体４３７２Ｒが回転されると、後行する遊技球が第２転動部３８１ｃから持ち上げられる。この場合、後行する遊技球は、自重により、先行する遊技球の外周面との吸着位置を変位させる。
【０５２４】
従って、後行する遊技球は、第２転動部３８１ｃから持ち上げられると、凹設部４３７２Ｒｃ５の内側に変位するので、後行する遊技球の重さをより先行する遊技球に作用させやすくできる。その結果、図１０２に示すように先行する遊技球と溝部３７２Ｒｃ２の内側との吸着を解除させやすくできる。
【０５２５】
また、上述したように後行する遊技球は、第２転動部３８１ｃから持ち上げられると、凹設部４３７２Ｒｃ５の内側に変位する。この場合、後行する遊技球の荷重をその持ち上げられた際の変位に伴って、先行する遊技球に作用させることができる。その結果、図１０２に示すように、先行する遊技球と溝部３７２Ｒｃ２内側との吸着を解除させやすくできる。
【０５２６】
先行する遊技球と溝部３７２Ｒｃ２の内側との吸着が解除された状態で、図１０１の位置から更に回転体４３７０が回転されると、先行する遊技球および後行する遊技球とが、第２転動部３８１ｃに落下される。なお、回転体５３７２Ｒから脱落した先行および後行する遊技球は、第２転動部３８１ｃの上面に落下し、第２転動部３８１ｃを転動する。従って、回転体５３７２Ｒから脱落した先行および後行する遊技球は、第２転動部３８１ｃを転動して、内側カバー３７３Ｒに形成される回収孔３７３Ｒａの内部に案内されて回収される。
【０５２７】
以上のように、第４実施形態では回転体４３７２Ｒの外周面に２球が吸着されると、その２球とも回転体４３７２Ｒの外周面から脱落させることができる。即ち、回転体４３７２Ｒの外周面に吸着されて第７送球経路ＫＲ７に遊技球が送球されると遊技者に有利となるところ、２球が吸着して送球された場合には遊技者にとって不利な状況とすることができるので、１球のみ吸着されるか２球目が吸着されるかで結果に相違を生じさせ、第６送球経路ＫＲ６を転動する遊技球を遊技者により注目をさせることができる。
【０５２８】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０５２９】
これに対し、第４実施形態によれば、回転体４３７２Ｒの磁石３７２Ｒｂに先行する遊技球が吸着されると共に先行する遊技球に後行する遊技球が磁着された場合に、回転体４３７２Ｒの磁石３７２Ｒｂと先行する遊技球との吸着を解除しやすくする解除手段を備えるので、これら先行する遊技球および後行する遊技球の両者が回転体４３７２Ｒの回転方向へ送球されることを抑制できる。
【０５３０】
即ち、先行する遊技球のみが回転体４３７２Ｒへ向けて転動され、回転体４３７２Ｒの外周面（磁石３７２Ｒｂ）に吸着された場合には、かかる先行する遊技球を回転体４３７２Ｒの回転方向へ送球できる一方、先行する遊技球に加え、後行する遊技球も回転体４３７２Ｒへ向けて転動され、先行する遊技球が回転体４３７２Ｒの外周面（磁石３７２Ｒｂ）に吸着されると共に先行する遊技球に後行する遊技球が吸着された場合には、これら先行する遊技球および後行する遊技球の両者を回転体４３７２Ｒの回転方向へ送球できないようにできるので、先行する遊技球が第２転動部３８１ｃ（第６送球経路ＫＲ６）を回転体４３７２Ｒへ向けて転動する際に、その先行する遊技球の後方に他の遊技球（即ち、後行する遊技球）が転動してきていないかを遊技者に懸念させる（ドキドキさせる）ことができる。その結果、遊技の興趣の向上を図ることができる。
【０５３１】
ここで、第４実施形態では、回転体４３７２Ｒの外周面に吸着されて回転体４３７２Ｒの回転方向へ送球された遊技球が入球するＶ入賞部材３８２と、回転体４３７２Ｒの外周面に吸着されなかった遊技球が入球する回収孔３７３Ｒａとを備え、少なくともＶ入賞部材３８２に遊技球が入球すると遊技者に利益が付与される、又は、Ｖ入賞部材３８２への入球により遊技者に付与される利益が回収孔３７３Ｒａへの入球により遊技者に付与される利益よりも高い利益とされるので、この点からも遊技の興趣の向上を図ることができる。
【０５３２】
即ち、遊技者は、Ｖ入賞部材３８２への入球により利益を得る、又は、回収孔３７３Ｒａへの入球の場合よりも高い利益を得ることを期待して、遊技球が回転体４３７２Ｒの外周面に吸着して回転体４３７２Ｒの回転方向へ送球されることを望み、また、利益が付与される機会をより多く得ることを期待して、より多くの遊技球が回転体４３７２Ｒの外周面に吸着して回転体４３７２Ｒの回転方向へ送球されることを望む。これに対し、先行する遊技球のみが回転体４３７２Ｒの外周面に吸着された場合には、かかる先行する遊技球を回転体４３７２Ｒの回転方向（Ｖ入賞部材３８２）へ送球できる一方で、回転体４３７２Ｒの外周面に吸着された先行する遊技球に後行する遊技球が吸着された場合には、後行する遊技球だけでなく、先行する遊技球も、回転体４３７２Ｒの回転方向へ送球されず、両者からＶ入賞部材３８２への入球の機会が失われることとなる。そのため、先行する遊技球が回転体４３７２Ｒへ向けて転動する際に、その先行する遊技球の後方に他の遊技球（即ち、後行する遊技球）が転動してきていないかを遊技者に懸念させやすく（ドキドキさせやすく）でき、その結果、遊技の興趣の向上を図ることができる。
【０５３３】
なお、遊技者に付与される利益が高い形態としては、入球に伴い払い出される賞球が多い形態、開閉可能に形成される羽部３１２の開閉により第３の入球口（凹部３１１ａと上部正面カバー３１３との対向間）への入球を許容・規制する羽部３１２の開放時間が長くされる態様、羽部３１２の開放回数が多くされる態様、羽部３１２の開放範囲が大きくされる態様などが例示される。
【０５３４】
また、解除手段は、回転体４３７２Ｒの外周面に凹設され、先行する遊技球に吸着された後行する遊技球を受け入れる凹設部４３７２Ｒｃ５として形成されるので、先行する遊技球の重力方向下方側に後行する遊技球を近づけることができ、その分、先行する遊技球に作用する後行する遊技球の重さのうちの重力方向成分を増加させやすくできる。よって、先行する遊技球と磁石３７２Ｒｂとの吸着を解除しやすくできる。
【０５３５】
即ち、先行する遊技球に後行する遊技球が吸着されている場合には、かかる後行する遊技球の重さを利用して、磁石３７２Ｒｂと先行する遊技球との吸着を解除する一方、先行する遊技球に後行する遊技球が吸着されていない場合には、磁石３７２Ｒｂと先行する遊技球との吸着が解除されないようにすることができる。また、このような切り替えを、後行する遊技球の重さを利用する手段、即ち、回転体４３７２Ｒの外周面に凹設された凹設部４３７２Ｒｃ５のみで達成できるので、切り替えのための変位部材や駆動源を設けることを不要とでき、その分、製品コストの削減を図ることができる。
【０５３６】
次いで、図１０３から図１０６を参照して、第５実施形態における回転体５３７２Ｒについて説明する。なお、上述した各実施形態と同一の部分には同一の符号を付して、その説明は省略する。
【０５３７】
上記第１実施形態では、回転体３７２Ｒの溝部３７２Ｒｃ２に吸着した先行の遊技球に後から送球された後行の遊技球が吸着した際に、先行の遊技球が溝部３７２Ｒｃ２から脱落することを防止できる場合を説明したが、第５実施形態では回転体５３７２Ｒの溝部５３７２Ｒｃ２に吸着した先行の遊技球に後から送球された後行の遊技球が吸着した際に、先行の遊技球および後行の遊技球が溝部５３７２Ｒｃ２から脱落する場合を説明する。
【０５３８】
なお、第５実施形態では、第１実施形態と同様に、右側回転送球部３７０Ｒと左側回転送球部３７０Ｌとは、右側回転送球部３７０Ｒに駆動手段およびその駆動を伝達する伝達手段が配置されるのみであり、その他の形状は、可変ユニット３６０の左右方向中央を中心に線対称に形成されるので、左側回転送球部３７０Ｌの回転体５３７２Ｌについての詳しい説明を省略する。
【０５３９】
図１０３は、第５実施形態における回転体５３７２Ｒの分解斜視正面図であり、図１０４（ａ）は、回転体５３７２Ｒの側面図であり、図１０４（ｂ）は、回転体５３７２Ｒの上面図であり、図１０４（ｃ）は、図１０４（ｂ）のＣＩＶｃ−ＣＩＶｃ線における回転体５３７２Ｒの断面図であり、図１０４（ｄ）は、図１０４（ｂ）のＣＩＶｄ−ＣＩＶｄ線における回転体５３７２Ｒの断面図である。
【０５４０】
図１０３及び図１０４に示すように、第５実施形態における回転体５３７２Ｒは、本体部３８０側に配設される第１回転体３７２Ｒａと、その第１回転体３７２Ｒａと連結される第２回転体５３７２Ｒｃと、その第２回転体５３７２Ｒｃの内部に配設される磁力を有する磁石３７２Ｒｂと、第２回転体５３７２Ｒｃの外縁に沿って配設される解除部材５３７２Ｒｄとを主に備えて形成される。
【０５４１】
第２回転体５３７２Ｒｃは、第１回転体３７２Ｒａの外径と略同一の外径の円柱状に形成されると共に、その軸が第１回転体３７２Ｒａの同軸上に配設され、第１回転体３７２Ｒａに取着される。
【０５４２】
また、第２回転体５３７２Ｒｃは、外周面に径方向内側に向かって凹設される溝部５３７２Ｒｃ２と、その溝部５３７２Ｒｃ２の径方向内側に形成されると共に、回転体５３７２Ｒｃの側面に凹設される凹部３７２Ｒｃ１と、その凹部３７２Ｒｃ１及び溝部５３７２Ｒｃ２の対向間および溝部５３７２Ｒｃ２と隣合う部分に切欠き形成される凹設部５３７２Ｒｃ３とを備えて形成される。
【０５４３】
溝部５３７２Ｒｃ２は、回転体３７２Ｒの径方向視において略矩形の外形に形成され、その外形が磁石３７２Ｒｂの外形よりも大きく設定される。また、溝部５３７２Ｒｃ２は、回転体３７２Ｒの径方向内側に位置する面が平坦面に形成されると共に、上述したように部分的に凹設部５３７２Ｒｃ３により切欠き形成される。
【０５４４】
凹設部５３７２Ｒｃ３は、後述する解除部材５３７２Ｒｄを回転体５３７２Ｒに切欠き形成した内側に収容する空間であり、その凹設形状が、解除部材５３７２Ｒｄの外形と略同一に形成される。
【０５４５】
解除部材５３７２Ｒｄは、外形が回転体５３７２Ｒの径方向視略Ｃ字状に形成される。解除部材５３７２Ｒｄは、溝部５３７２Ｒｃ２の内側に配置される解除部５３７２Ｒｄ１と、回転体５３７２Ｒの外周面に沿って配置される押圧部５３７２Ｒｄ２と、解除部５３７２Ｒｄ１及び押圧部５３７２Ｒｄ２との間に位置すると共に回転体５３７２Ｒの軸方向に貫通形成される貫通孔５３７２Ｒｄ３とを主に備えて形成される。
【０５４６】
解除部５３７２Ｒｄ１は、溝部５３７２Ｒｃ２の内側に切欠き形成された凹設部５３７２Ｒｃ３の内側に配置されると共に、回転体５３７２Ｒの外周側における面が溝部５３７２Ｒｃ２の平坦面と面一に配置される。これにより、溝部５３７２Ｒｃ２の内側に送球した遊技球を凹部３７２Ｒｃ１の内側に配置される磁石３７２Ｒｂの磁力で吸着することができる。
【０５４７】
押圧部５３７２Ｒｄ２は、回転体５３７２Ｒの外周面よりも径方向外側に突出して形成されると共に、その突出先端面が外側に凸となる湾曲形状に形成される。また、押圧部５３７２の突出先端面における曲面の半径は、回転体５３７２Ｒの半径よりも小さい寸法に設定される。よって、押圧部５３７２Ｒｄ２を回転体５３７２Ｒの径方向外側に突出させやすくできる。
【０５４８】
また、解除部材５３７２Ｒｄが変位されていない（押圧部５３７２Ｒｄ２が回転体５３７２Ｒに対して径方向内側に変位されていない）状態において、押圧部５３７２Ｒｄ２は、回転体５３２７Ｒの周方向における両端部が、回転体５３７２Ｒの外周面と連なる位置に設定される。即ち、回転体５３７２Ｒの凹設部５３７２Ｒｃ３と押圧部５３７２Ｒｄ２との間に径方向における段差をなくすことができる。その結果、遊技球が第２転動部３８１ｃを転動した際に、回転体５３７２Ｒの凹設部５３７２Ｒｃ３と押圧部５３７２Ｒｄ２との段差に遊技球が乗って回転体５３７２Ｒの回転により第３転動部３８１ｄに送球されることを抑制できる。
【０５４９】
貫通孔５３７２Ｒｄ３は、軸棒ＪＢ１が内側に挿入される貫通孔である。軸棒ＪＢは、解除部材５３７２Ｒｄを回転可能に保持する軸であり、解除部材５３７２Ｒｄの貫通孔５３７２Ｒｄ３に挿入されると共に、第２回転体５３７２Ｒｃの側面に凹設された軸孔５３７２Ｒｃ４の内側に一端が挿入されて他側が第１回転体３７２Ｒａの側面に挟持される。これにより、軸棒ＪＢ１は、組み上げられた回転体５３７２Ｒから脱落することを防止できると共に、解除部材５３７２Ｒｄを回転可能に軸支できる。
【０５５０】
次いで、図１０５及び図１０６を参照して、回転体５３７２Ｒの解除部材５３７２Ｒｄの動作について説明する。図１０５及び図１０６は、可変ユニット３６０及び背面ベース３９０の断面図である。
【０５５１】
なお、図１０５及び図１０６は、図６９の可変ユニット３６０及び背面ベース３９０の断面に対応する。また、図１０６では、図１０５に示す位置から回転体５３７２Ｒが少し回転された状態が図示される。
【０５５２】
図１０５に示すように、第６送球経路ＫＲ６に連続して遊技球が２球送球された際に、先行する遊技球が溝部５３７２Ｒｃ２の内面に吸着されると、先行する遊技球が磁石３７２Ｒｂの磁力により磁性を帯びて後行する遊技球をその外周面に吸着させる。
【０５５３】
先行する遊技球の外周面に後行する遊技球を吸着した状態で、回転体５３７２Ｒが回転されると、先行する遊技球は、回転体５３７２Ｒの外周面に吸着された状態で、上方に持ち上げられる。この際、後行する遊技球は、先行する遊技球との吸着位置を変位させ、回転体５３７２Ｒの外周面側に変位される。
【０５５４】
ここで、回転体５３７２Ｒに配設される解除部材５３７２Ｒｄの押圧部５３７２Ｒｄ２は、後行する遊技球が先行する遊技球に吸着して第２転動部３８１ｃから持ち上げられる際に後行する遊技球の外周面に突出先端が当接する形状に形成される。
【０５５５】
次いで、図１０６に示すように、図１０５の位置から回転体５３７２Ｒが回転されて、後行する遊技球が第２転動部３８１ｃから離間する（持ち上げられる）と、後行する遊技球の自重により、解除部材５３７２Ｒｄの押圧部５３７２Ｒｄ２が回転体５３７２Ｒの径方向内側に押圧される。
【０５５６】
この押圧部５３７２Ｒｄ２の変位により、解除部材５３７２Ｒｄが、貫通孔５３７２Ｒｄ３を軸心に回転変位される。よって、貫通孔５３７２Ｒｄ３を挟んで押圧部５３７２Ｒｄ２と反対側に形成される解除部５３７２Ｒｄ１が、回転体５３７２Ｒの径方向外側に変位される。
【０５５７】
これにより、溝部５３７２Ｒｃ２の内面に吸着された先行する遊技球が、解除部５３７２Ｒｄ１の変位に伴って溝部５３７２Ｒｃ２の内側から外側に押し出される。従って、先行する遊技球は、回転体５３７２Ｒから径方向外側に離間する位置に変位されるので、その分、回転体５３７２Ｒの内側に配設される磁石３７２Ｒｂから離間される。その結果、先行する遊技球を溝部５３７２Ｒｃ２の内面に吸着する磁力が弱められて、先行する遊技球が、回転体５３７２Ｒの外周面（溝部５３７２Ｒｃ２）から脱落する。
【０５５８】
この場合、上述したように、回転体５３７２Ｒに配設される解除部材５３７２Ｒｄの押圧部５３７２Ｒｄ２は、後行する遊技球が先行する遊技球に吸着して第２転動部３８１ｃから持ち上げられる際に後行する遊技球の外周面に突出先端が当接する形状に形成されるので、後行の遊技球が持ち上げられた際に、後行する遊技球が回転体５３７２Ｒに対して径方向内側へ変位する自重による力を最大とすることができる。
【０５５９】
その結果、後行する遊技球が先行する遊技球に吸着して第２転動部３８１ｃから持ち上げられた際に、解除部材５３７２Ｒｄを変位させやすくでき、先行する遊技球を回転体５３７２Ｒ（溝部５３７２Ｒｃ２）から脱落しやすくできる。
【０５６０】
なお、回転体５３７２Ｒから脱落した先行および後行する遊技球は、第２転動部３８１ｃの上面に落下し、第２転動部３８１ｃを転動する。従って、回転体５３７２Ｒから脱落した先行および後行する遊技球は、第２転動部３８１ｃを転動して、内側カバー３７３Ｒに形成される回収孔３７３Ｒａの内部に案内されて回収される。
【０５６１】
以上のように、第５実施形態では回転体５３７２Ｒの外周面に２球が吸着されると、回転体５３７２Ｒの外周面から脱落させることができる。即ち、回転体５３７２Ｒの外周面に吸着されて第７送球経路ＫＲ７に遊技球が送球されると遊技者に有利となるところ、２球が吸着された場合には遊技者にとって不利な状況とすることができるので、１球のみ吸着されるか２球が吸着されるかで結果に相違を生じさせ、第６送球経路ＫＲ６を転動する遊技球を遊技者により注目をさせることができる。
【０５６２】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０５６３】
これに対し、第５実施形態によれば、回転体５３７２Ｒの磁石３７２Ｒｂに先行する遊技球が吸着されると共に先行する遊技球に後行する遊技球が磁着された場合に、回転体５３７２Ｒの磁石３７２Ｒｂと先行する遊技球との吸着を解除しやすくする解除手段を備えるので、これら先行する遊技球および後行する遊技球の両者が回転体５３７２Ｒの回転方向へ送球されることを抑制できる。
【０５６４】
即ち、先行する遊技球のみが回転体５３７２Ｒへ向けて転動され、回転体５３７２Ｒの外周面（磁石３７２Ｒｂ）に吸着された場合には、かかる先行する遊技球を回転体５３７２Ｒの回転方向へ送球できる一方、先行する遊技球に加え、後行する遊技球も回転体５３７２Ｒへ向けて転動され、先行する遊技球が回転体５３７２Ｒの外周面（磁石３７２Ｒｂ）に吸着されると共に先行する遊技球に後行する遊技球が吸着された場合には、これら先行する遊技球および後行する遊技球の両者を回転体５３７２Ｒの回転方向へ送球できないようにできるので、先行する遊技球が回転体５３７２Ｒへ向けて転動する際に、その先行する遊技球の後方に他の遊技球（即ち、後行する遊技球）が転動してきていないかを遊技者に懸念させる（ドキドキさせる）ことができる。その結果、遊技の興趣の向上を図ることができる。
【０５６５】
ここで、第５実施形態では、回転体５３７２Ｒの外周面に吸着されて回転体５３７２Ｒの回転方向へ送球された遊技球が入球するＶ入賞部材３８２と、回転体５３７２Ｒの外周面に吸着されなかった遊技球が入球する回収孔３７３Ｒａとを備え、少なくともＶ入賞部材３８２に遊技球が入球すると遊技者に利益が付与される、又は、Ｖ入賞部材３８２への入球により遊技者に付与される利益が回収孔３７３Ｒａへの入球により遊技者に付与される利益よりも高い利益とされるので、この点からも遊技の興趣の向上を図ることができる。
【０５６６】
即ち、遊技者は、Ｖ入賞部材３８２への入球により利益を得る、又は、回収孔３７３Ｒａへの入球の場合よりも高い利益を得ることを期待して、遊技球が回転体５３７２Ｒの外周面に吸着して回転体５３７２Ｒの回転方向へ送球されることを望み、また、利益が付与される機会をより多く得ることを期待して、より多くの遊技球が回転体５３７２Ｒの外周面に吸着して回転体５３７２Ｒの回転方向へ送球されることを望む。これに対し、先行する遊技球のみが回転体５３７２Ｒの外周面に吸着された場合には、かかる先行する遊技球を回転体５３７２Ｒの回転方向（Ｖ入賞部材３８２）へ送球できる一方で、回転体５３７２Ｒの外周面に吸着された先行する遊技球に後行する遊技球が吸着された場合には、後行する遊技球だけでなく、先行する遊技球も、回転体５３７２Ｒの回転方向へ送球されず、両者からＶ入賞部材３８２への入球の機会が失われることとなる。そのため、先行する遊技球が回転体５３７２Ｒへ向けて転動する際に、その先行する遊技球の後方に他の遊技球（即ち、後行する遊技球）が転動してきていないかを遊技者に懸念させやすく（ドキドキさせやすく）でき、その結果、遊技の興趣の向上を図ることができる。
【０５６７】
なお、遊技者に付与される利益が高い形態としては、第４実施形態と同様であるので、その説明は省略する。
【０５６８】
解除手段は、回転体５３７２Ｒに変位可能に配設される解除部材５３７２Ｒｄを備え、解除部材５３７２Ｒｄは、先行する遊技球に吸着された後行する遊技球に当接されることで変位されると共にその変位により先行する遊技球と磁石３７２Ｒｂとの間の距離を拡大させるので、先行する遊技球に後行する遊技球が吸着されている場合には、かかる後行する遊技球の重さを利用して、磁石３７２Ｒｂと先行する遊技球との吸着を解除する一方、先行する遊技球に後行する遊技球が吸着されていない場合には、磁石３７２Ｒｂと先行する遊技球との吸着が解除されないようにすることができる。また、このような切り替えを、後行する遊技球の重さを利用して行うので、解除部材５３７２Ｒｄを変位させるための駆動源を設けることを不要とでき、その分、製品コストの削減を図ることができる。
【０５６９】
即ち、第５実施形態によれば、解除部材５３７２Ｒｄの切り替えをする付勢部材（例えば、ねじりバネ等）を配置する必要がない。例えば、解除部材５３７２Ｒｄの解除部５３７２Ｒｄ１が溝部５３７２Ｒｃ２よりも径方向外側に張り出し状態とされた場合でも、その溝部５３７２Ｒｃ２の内側に遊技球（先行する遊技球）を吸着する吸着動作により押圧して、解除部５３７２Ｒｄ１を回転体５３７２Ｒの径方向内側に変位させることができる。その結果、押圧部５３７２Ｒｄ２の突出先端を回転体５３７２Ｒの径方向外側に張り出し変位させることができる。よって、解除部材５３７２Ｒｄを変位させるための駆動源を設けることを不要とでき、その分、製品コストの削減を図ることができる。
【０５７０】
次いで、図１０７及び図１０８を参照して、第６実施形態における入賞口ユニット６６００について説明する。なお、上述した各実施形態と同一の部分には同一の符号を付して、その説明は省略する。
【０５７１】
上記第１実施形態では、ベース板６３０の左右に形成される第２貫通孔６３１ｂ，６３３ｂの内部に送球される遊技球が、そのままベース板６３０の背面に配設される経路部材６４０の内側に送球される場合を説明したが、第６実施形態では、ベース板６３０の左右に形成される第２貫通孔６３１ｂ，６３３ｂの内部に送球される遊技球が、ベース板６３０の背面に配設される経路部材６４０の内側に送球される前に、遊技球の通過を検出するセンサ装置ＳＥ１を通過する場合を説明する。
【０５７２】
図１０７（ａ）は、第６実施形態における入賞口ユニット６６００の正面図であり、図１０７（ｂ）は、入賞口ユニット６６００の背面図である。図１０８は、入賞口ユニット６６００の分解斜視正面図である。
【０５７３】
図１０７及び図１０８に示すように、第６実施形態の入賞口ユニット６６００には、ベース板６３０及び経路部材６４０の対向間にセンサ装置ＳＥ１が介設される。また、センサ装置ＳＥ１は、第２貫通孔６３１ｂ，６３３ｂの背面側の位置にそれぞれ配設される。
【０５７４】
センサ装置ＳＥ１は、遊技球の外径よりも大きく貫通形成される開口ＳＥ１ａが形成され、その開口ＳＥ１ａを前後方向に開口した状態でベース板６３０及び経路部材６４０の対向間に介節される。センサ装置ＳＥ１は、開口ＳＥ１ａの内側を遊技球を通過させることにより、その遊技球の通過を検知することができる。
【０５７５】
なお、入賞口ユニット６６００の内部を流下する遊技球は、左右で反対となるのみであるので、以下の説明では、遊技盤１３の左側を流下する遊技球についてのみ説明し、遊技盤１３の右側を流下する遊技球についての説明は省略する。
【０５７６】
次いで、遊技球が入賞口ユニット６６００の内部を流下した際の説明をする。遊技盤１３の遊技領域を流下する遊技球が、左側入賞口２６の近傍を流下して左凹部６３１及び左カバー部材６１１との対向間に流下すると、左凹部６３１の底面に案内されて第２貫通孔６３１ｂの内側に送球される。
【０５７７】
この場合、上述したように第２貫通孔６３１ｂの背面側には、センサ装置ＳＥ１が配設されるので、左凹部６３１及び左カバー部材６１１の対向間に流下した遊技球は、センサ装置ＳＥ１により検出された後に、経路部材６４０の内側に送球される。即ち、第６実施形態では、経路部材６４０の内側に送球される遊技球を検知することができる。
【０５７８】
よって、センサ装置ＳＥ１が遊技球を検知した後、所定の時間の経過後に可変入賞装置６５０の可変板６５２を正面側に突出させるように制御することで、経路部材６４０を通過する遊技球を可変板６５２の上部へ送球させやすくできる。その結果、経路部材６４０を通過する遊技球を貫通孔６３２ａに送球しやすくできる。
【０５７９】
例えば、上述した所定の時間を、遊技球が経路部材６４０の第１経路６４１を一端から他端まで転動する時間と略同一に設定することで、遊技球が、可変入賞装置６５０の可変板６５２の上部に送球されやすくできる。その結果、左側入賞口２６に入賞せず流下する遊技球に再び貫通孔６３２ａに入賞する可能性を与え易くできる。その結果、遊技者に遊技球の流下を下流側まで注目させることができ、遊技者に遊技球を注目させる時間を長くすることができる。
【０５８０】
このように、本実施形態によれば、経路部材６４０を流下する遊技球を検出するセンサ装置ＳＥ１と、可変板６５２を駆動する駆動手段とを備え、検出部材により遊技球が検出された場合に可変板６５２が駆動手段の駆動により遊技盤の正面側へ突出されるので、貫通孔６３２ａへ遊技球を入球しやすくできる。よって、左始動入賞口２６及び右始動入賞口２７に遊技球が入球しなかった場合でも、かかる遊技球の流下に注目させ、貫通孔６３２ａへ入球することに対する期待を遊技者に継続して持たせることができる。その結果、遊技の興趣の向上を図ることができる。
【０５８１】
なお、センサ装置ＳＥ１による遊技球の検出と、駆動手段による駆動（可変板６５２の突出）とは、同時に行われても良く、或いは、検出の後、所定時間の経過後に、駆動を開始しても良い。但し、後者の場合は、可変板６５２の突出位置に遊技球が到達する前に駆動（可変板６５２の突出動作）が完了していることが好ましい。遊技球を貫通孔６３２ａへ導く（入球させやすくする）可変板６５２の機能を確実に発揮させられるからである。
【０５８２】
また、例えば、センサ装置ＳＥ１を通過する遊技球の球数により、可変入賞装置６５０の可変板６５２が正面側に突出するように設定してもよい。この場合、左側入賞口２６に入らず近傍を流下する遊技球が所定の球数連続した際に、貫通孔６３２ａに入賞する可能性を遊技者に与えることができる。よって、遊技球を左側入賞口２６を狙って遊技盤１３の遊技領域に打出すことの価値を高めることができる。従って、遊技球を所定の箇所に狙った遊技盤１３の遊技領域への打出し動作を遊技者にさせることができるので、遊技球の流下する経路を遊技者に注目させやすくできる。その結果、遊技者に、より有利となる遊技盤１３の遊技領域への遊技球の打出し位置を探させることができ、遊技者に興趣を与えやすくできる。
【０５８３】
例えば、センサ装置ＳＥ１を５球の遊技球が通過した際に、可変入賞装置６５０の可変板６５２が正面側に突出するように設定する。この場合、左側入賞口２６に入らず近傍を流下する遊技球が５球連続した際に、少なくとも１球が貫通孔６３２ａに入賞する可能性を遊技者に与えることができる。
【０５８４】
この場合、センサ装置ＳＥ１に３球の遊技球（所定の球数よりも少ない球数）が通過した際に、４球目の遊技球が左側入賞口２６に遊技球が入賞した場合には、センサ装置ＳＥ１を通過した球数の集計をリセットしてもよい。これにより、入賞口２６及び貫通孔６３２ａに連続して遊技球が入賞することを抑制できる。よって、入賞口２６及び貫通孔６３２ａに遊技球が入賞した際に開放する羽部３１２が、連続して開放することを抑制できる。その結果、遊技者が有利ととなる羽部３１２の開放のタイミングを分散することができるので、遊技者の興趣が低下することを抑制できる。
【０５８５】
次いで、図１０９から図１１１を参照して、第７実施形態における入賞口ユニット７６００について説明する。なお、上述した各実施形態と同一の部分には同一の符号を付して、その説明は省略する。
【０５８６】
上記第１実施形態では、可変入賞装置６５０の可変板６５２が後方に位置した状態とされていると、貫通孔６３２ａに遊技球が入賞する可能性が低くされる場合を説明したが、第７実施形態では、可変入賞装置６５０の可変板６５２が後方に位置した状態とされる場合でも、遊技球が２球連なる場合には貫通孔６３２ａに入賞しやすく形成される。なお、可変板６５２が後方に位置した状態とは、可変板６５２が遊技盤１３の背面側に没入した状態である。
【０５８７】
初めに、図１０９及び図１１０を参照して、第７実施形態における入賞口ユニット７６００について説明する。図１０９は、第７実施形態における入賞口ユニット７６００の正面図である。図１１０は、入賞口ユニット７６００の分解斜視正面図である。
【０５８８】
図１０９及び図１１０に示すように、第７実施形態における入賞口ユニット７６００は、複数の入賞口２６，２７，２８を備える化粧板７６１０と、化粧板７６１０と対向して配設されその対向間に遊技球の流下経路を形成するベース板６３０と、そのベース板６３０との間に遊技球の送球経路を形成する経路部材６４０と、ベース板６３０に配設され、化粧板７６１０とベース板６３０との対向間を流下する遊技球を貫通孔６３２ａに案内する可変入賞装置６５０とを主に備えて形成される。
【０５８９】
化粧板７６１０は、左始動入賞口２６を備える左カバー部材６１１と、右始動入賞口２７を備える右カバー部材６１２と、中始動入賞口２８を備える中央カバー部材７６１３と、から形成される。
【０５９０】
中央カバー部材７６１３は、正面視において横長矩形の板状体から形成されると共に、左カバー部材６１１と右カバー部材６１２の中央に配置される。中央カバー部材７６１３には、正面側から背面側に亘って貫通される貫通孔７６１３ｅが形成される。
【０５９１】
貫通孔７６１３ｅは、中央カバー部材７６１３と対向して配設されるベース板６３０に形成される２つの連結孔６３２ｂのそれぞれの前方に形成される。連結孔６３２ｂは、正面視において左右方向（図１０９左右方向）に開口する幅寸法が、遊技球の外径よりも少し大きく形成されており、内部を遊技球が通過可能に形成される。
【０５９２】
また、貫通孔７６１３ｅは、その中心位置が連結孔６３２ｂの左右方向中央位置からベース板６３０に対して左右方向外側にずれた位置に形成されると共に、ベース板６３０側の内縁部の一部が連結孔６３２ｂの左右方向中央位置と前後方向に重なる位置に形成される。
【０５９３】
さらに、貫通孔７６１３ｅは、背面側から正面側に向かって凸の湾曲状（球状）に凹設される（即ち、貫通孔６３２ａから離間する方向へ向かうに従って凹設深さが深くされる）と共に、正面側における孔の内径が遊技球の外径よりも小さく設定される。即ち、貫通孔７６１３ｅの内部を遊技球が挿通しない大きさで貫通形成される。
【０５９４】
次いで、図１１１を参照して、入賞口ユニット７６００を流下する遊技球について説明する。図１１１（ａ）から図１１１（ｃ）は、図１０９のＣＸＩ−ＣＸＩ線における入賞口ユニット７６００の断面図である。
【０５９５】
図１１１（ａ）に示すように、経路部材６４０の内部を遊技球が２球連続して送球され、先行する遊技球が、連結孔６３２ｂの内部から中央カバー部材７６１３側に送球される。この場合、上述したように、貫通孔７６１３ｅは、その中心位置が連結孔６３２ｂの左右方向中央位置からベース板６３０に対して左右方向外側にずれた位置に形成されると共に、ベース板６３０側の内縁部の一部が連結孔６３２ｂの左右方向中央位置と前後方向に重なる位置に形成されるので、先行する遊技球は、貫通孔７６１３ｅの中心から左右に少しずれた位置に送球される。
【０５９６】
これにより、先行する遊技球は、図１１１（ｂ）に示すように、貫通孔７６１３ｅの内縁部に案内されて、貫通孔７６１３ｅの中心位置に左右方向（図１１１（ｂ）左右方向）の位置が変位される。また、この際に、貫通孔７６１３ｅは、中央カバー部材７６１３の背面側から正面側に向かって凸の湾曲状に（即ち、連結孔６３２ｂ側が開放された凹部として）凹設されるので、先行する遊技球をその内縁部に留めやすくできる。
【０５９７】
次に、先行する遊技球に連なって後行する遊技球が連結孔６３２ｂの内部から中央カバー部材７６１３側に送球されると、先行する遊技球が中央カバー部材７６１３に形成される貫通孔７６１３ｅの内縁部に案内されて、ベース板６３０に対して左右方向外側に変位された分、後行する遊技球を先行する遊技球のベース板６３０に対して中央側の球面に衝突させることができる。
【０５９８】
よって、後行する遊技球を先行する遊技球のベース板６３０の左右方向中央側の曲面（球面）に衝突させることができるので、その衝突により後行する遊技球に生じる反発力をベース板６３０の左右方向中央側（貫通孔６３２ａ側）に向けることができる。その結果、図１１１に示すように、後行する遊技球をベース板６３０の左右方向中央側（貫通孔６３２ａ側）に送球して、貫通孔６３２ａに入賞させることができる。
【０５９９】
なお、先行する遊技球は、自重により貫通孔７６１３ｅの内側から脱落すると共に、下方に流下して遊技盤１３に形成されるアウト口７１から回収される。
【０６００】
このように、第７実施形態では、左右の始動入賞口２６，２７に入賞せずにその近傍を流下する遊技球が２球以上あった場合に、経路部材６４０の内側を連続して通過させることで、後行する遊技球を貫通孔６３２ａに入賞させやすくできる。
【０６０１】
即ち、第１の入球口と、第２の入球口とを備えた遊技機が知られている。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０６０２】
これに対し、第７実施形態によれば、左右の始動入賞口２６，２７に入球されず流下する遊技球の通路を形成する経路部材６４０と、経路部材６４０を２球の遊技球が通過する場合には、２球よりも少ない数である１球の遊技球が経路部材６４０を通過する場合よりも、貫通孔６３２ａへ遊技球が入球しやすくする変更手段（貫通孔７６１３ｅ）とを備えるので、左右の始動入賞口２６，２７に遊技球が入球しなかった場合でも、かかる遊技球の流下に注目させ、貫通孔６３２ａへ入球することに対する期待を遊技者に継続して持たせることができる。特に、経路部材６４０を通過する遊技球の数によって貫通孔６３２ａへの入球のしやすさが変更される（始動入賞口２６，２７に入らず、その近傍を流下する遊技球が２球以上あった場合に、遊技者に有利な状況を演出することができる）ので、左右の始動入賞口２６，２７への入球に漏れた遊技球の数にも遊技者に着目させることができる。その結果、遊技の興趣の向上を図ることができる。
【０６０３】
なお、経路部材６４０としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０６０４】
また、変更手段は、経路部材６４０を通過する又は経路部材６４０から流出する先行する遊技球の流下を規制する規制手段を備え、その規制手段は、先行する遊技球に対し後行する遊技球が連続（連なる）する場合に、流下を規制された先行する遊技球に後行する遊技球を当接（衝突）させて、後行する遊技球の流下方向を貫通孔６３２ａへ向かわせるように形成されるので、遊技の興趣の向上を図ることができる。即ち、先行する遊技球のみが流下する場合よりも、先行する遊技球および後行する遊技球が流下する場合の方が貫通孔６３２ａに入球しやすくできる（経路部材６４０を通過する遊技球の数によって貫通孔６３２ａへの入球のしやすさを変更できる）ので、左右の始動入賞口２６，２７への入球に漏れた遊技球の数にも遊技者に着目させることができる。その結果、遊技の興趣の向上を図ることができる。
【０６０５】
さらに、規制手段は、経路部材６４０の出口に対面する壁面に凹設される貫通孔７６１３ｅとして形成されるので、経路部材６４０の出口から流出した先行する遊技球を貫通孔７６１３ｅに受け入れて、先行する遊技球の流下を一時的に規制することができる（即ち、後行する遊技球が衝突できるように先行する遊技球を一時的に保持できる）一方で、先行する遊技球の流下の規制の解除は、先行する遊技球がその自重により貫通孔７６１３ｅから脱落（流下）することで行うことができる。よって、規制手段の形状のみで先行する遊技球の流下の規制（保持）及び規制の解除を行うことができ、これらを切り替える（規制を解除する）ための動作機構を不要とできるので、構造を簡素化して、製品コストの削減を図ることができる。
【０６０６】
また、経路部材６４０の出口から流出した遊技球を貫通孔６３２ａへ案内する部材（例えば、貫通孔６３２ａへ向けて下降傾斜された転動面を備え、その転動面で遊技球を転動させることで、貫通孔６３２ａへ遊技球を入球させやすくする可変板６５２）が存在しない（可変板６５２が、貫通孔６３２ａへ案内可能な位置と案内不能は位置との間で変位可能に形成され、案内不能な位置に変位された）状態であっても、貫通孔７６１３ｅを利用して、後行する遊技球を貫通孔６３２ａへ入球させることができる。
【０６０７】
さらに、連結孔６３２ｂは、遊技球が転動する底面と、その底面の幅方向両側に対向して立設される側壁面とを備え、側壁面の対向間隔が遊技球の直径と略同等の寸法に設定されるので、経路部材６４０の出口から流出される遊技球の軌跡を略一定としやすくでき、かかる遊技球を規制手段（貫通孔７６１３ｅ）に確実に受け入れさせることができる。
【０６０８】
また、貫通孔７６１３ｅは、貫通孔６３２ａから離間する方向へ向かうに従って凹設深さが深くされるので、その貫通孔７６１３ｅへ受け入れた遊技球を凹設深さが深くされる方向（即ち、貫通孔６３２ａから離間する側）へ位置ずれさせて保持することができる。よって、貫通孔７６１３ｅに保持された先行する遊技球へ後行する遊技球が当接（衝突）した際には、かかる後行する遊技球を貫通孔６３２ａへ向かわせて入球しやすくできる。
【０６０９】
さらに、出没可能に形成され突出されることで経路部材６４０の出口と貫通孔７６１３ｅとの間であって重力方向下方となる位置に配設される可変板６５２を備え、可変板６５２は、突出された状態では、遊技球を前記貫通孔６３２ａへ誘導可能に形成されるので、貫通孔７６１３ｅに保持された先行する遊技球を、突出された可変板６５２を利用して、貫通孔６３２ａへ入球させることができる。即ち、先行する遊技球が貫通孔７６１３ｅから脱落（落下）されると、かかる先行する遊技球を、可変板６５２により受け止め、可変板６５２によって、貫通孔６３２ａへ誘導させることができる。その結果、先行する遊技球を貫通孔６３２ａへ入球させることができる。
【０６１０】
次いで、図１１２から図１１６を参照して、第８実施形態における入賞口ユニット８６００について説明をする。なお、上述した各実施形態と同一の部分には同一の符号を付して、その説明は省略する。
【０６１１】
上記第１実施形態では、可変入賞装置６５０の可変板６５２が後方に位置した状態において、貫通孔６３２ａに遊技球が入賞する可能性が低くされる場合を説明したが、第８実施形態では、可変入賞装置６５０の可変板６５２が後方に位置した状態においても、遊技球が２球連なって経路部材８６４０を送球された際に貫通孔６３２ａに入賞させやすくされる。
【０６１２】
図１１２は、第８実施形態における入賞口ユニット８６００の分解斜視正面図である。図１１３（ａ）は、経路部材８６４０の正面図であり、図１１３（ｂ）は、図１１３（ａ）のＣＸＩＩＩｂ−ＣＸＩＩＩｂ線における経路部材８６４０の断面図である。
【０６１３】
なお、図１１３では、経路部材８６４０に形成される収容部８６４３が省略されて図示される。また、図１１３では、経路部材８６４０の正面側に配設されるベース板６３０の連結孔６３２ｂ及び第２連結孔８６３２ｅが２点鎖線で図示される。
【０６１４】
図１１２及び図１１３に示すように、第８実施形態における入賞口ユニット８６００は、複数の入賞口２６，２７，２８を備える化粧板６１０と、化粧板６１０と対向して配設されその対向間に遊技球の流下経路を形成するベース板６３０と、そのベース板６３０との間に遊技球の送球経路を形成する経路部材８６４０と、ベース板８６３０に配設され、化粧板６１０とベース板６３０との対向間を流下する遊技球を入賞口２６，２７，２８のいずれかに案内する可変入賞装置６５０とを主に備えて形成される。
【０６１５】
第８実施形態におけるベース板８６３０には、２つの連結孔６３２ｂの中間位置に前後方向に貫通する第２連結孔８６３２ｅが形成される。第２連結孔８６３２ｅは、その開口の大きさが遊技球の直径よりも大きく形成され、遊技球が内部を通過可能とされる。
【０６１６】
経路部材８６４０は、正面視横長矩形に形成されると共に、ベース板８６３０側が開放される略箱形状に形成される。経路部材８６４０は、ベース板８６３０に形成される左右の第２貫通孔６３１ｂ，６３３ｂと連結孔６３２ｂ又は第２連結孔８６３２ｅとを連結する経路を形成するための部材であり、正面視左側に形成されて第２貫通孔６３１ｂ及びベース板６３０の正面視左側の連結孔６３２ｂ又は第２連結孔８６３２ｅを連結する第１経路８６４１と、正面視右側に形成されて第２貫通孔６３３ｂ及びベース板６３０の正面視右側の連結孔６３２ｂ又は第２連結孔８６３２ｅを連結する第２経路８６４２とから形成される。
【０６１７】
また、経路部材８６４０は、第１経路８６４１及び第２経路８６４２のそれぞれの経路途中に、第１経路８６４１を転動する遊技球をベース板８６３０の前方に送球する経路を連結孔６３２ｂ又は第２連結孔８６３２ｅに切り替える経路切替部材８６４４が配設される。
【０６１８】
経路切替部材８６４４は、経路部材８６４０の下面側に連続して形成される箱状の収容部８６４３の内部に収容される（図１１２参照）。また、収容部８６４３は、正面側（ベース板８６３０側）が開放した形状に形成される。これにより、化粧板６１０及びベース板８６３０を透明材量から形成することで、経路切替部材８６４４の経路の切替を遊技者から視認できる。その結果、遊技球の転動を注目させやすくでき、遊技者に興趣を与え易くできる。
【０６１９】
次いで、図１１３を参照して、経路切替部材８６４４の詳細な説明をする。なお、第１経路８６４１及び第２経路８６４２の経路上に形成されるそれぞれの経路切替部材８６４４は、左右対称に形成されるので、左側の経路切替部材８６４４のみを説明して、右側の経路切替部材８６４４の説明は省略する。
【０６２０】
経路切替部材８６４４は、第１経路８６４１の底面（遊技球が転動する面）と同一平面上に配置される可変板８６４４ａと、可変板８６４４ａの下方に一端が配置されると共に、中央部が収容部８６４３に回転可能に軸支される伝達部材８６４４ｂと、その伝達部材８６４４ｂの他端の上部に配置されると共に、中央部が収容部８６４３に軸支される規制部材８６４４ｃとを主に備えて形成される。
【０６２１】
可変板８６４４ａは、上面視矩形に形成されると共に一定の板厚を備える板部材から形成される。また、可変板８６４４ａは、その上面が第１経路８６４１の底面の一部を形成している（経路部材８６４０の底面と同一平面上に配置される）。即ち、可変板８６４４ａは、経路部材８６４０の底面と同様に経路部材８６４０の左右方向外側から左右方向中央側に向けて下降傾斜する姿勢で配置される。これにより、第１経路８６４１に送球された遊技球を下方に流下させることができる。
【０６２２】
可変板８６４４ａは、一端側に前後方向に貫通する貫通孔８６４４ａ２と、他端側の下面から円弧状に突出する当接板８６４４ａ１とを主に備えて形成される。
【０６２３】
貫通孔８６４４ａ２は、図示しない円柱状の棒部材が内部に挿通される。よって、その棒部材が収容部８６４３に取着されることで、可変板８６４４ａを回転可能な状態で経路部材８６４０に軸支することができる。また、可変板８６４４ａと収容部８６４３との間には、図示しない付勢ばねが配設されており、可変板８６４４ａは、通常の状態時において、その上面が経路部材８６４０の底面と面一な位置に配置される。
【０６２４】
伝達部材８６４４ｂは、角柱状に形成されており、一端側が可変板８６４４ａの当接板８６４４ａ１と当接して配置され、他端側が後述する規制部材８６４４ｃの他端側の底面に当接して配置される。
【０６２５】
また、伝達部材８６４４ｂは、中央位置を軸心に回転可能に収容部８６４３に配設されており、可変板８６４４ａが変位されることにより変位できる。
【０６２６】
規制部材８６４４ｃは、一方に延設される角柱状に形成されると共に、一端側と他端側とのそれぞれの上面から上方に突出する第１突起８６４４ｃ１及び第２突起８６４４ｃ２を備えて形成される。また、規制部材８６４４ｃは、その中間位置で回転可能な状態で収容部８６４３に配設される。これにより、規制部材８６４４ｃは、変位することで第１突起８６４４ｃ１及び第２突起８６４４ｃ２の位置を変位させることができる。
【０６２７】
第１突起８６４４ｃ１は、経路部材８６４０の第１経路８６４１に重力方向に貫通して形成される貫通孔の内部を挿通可能に配設される。また、第１突起８６４４ｃ１は、通常状態（可変板８６４４ａが変位前（第１経路８６４１と面一）の状態）において、図示しない付勢ばねにより、その先端が第１経路８６４１よりも上方に配置される。
【０６２８】
さらに、第１突起８６４１ｃ１の突出位置は、第１経路８６４１の下流（経路部材８６０の中央部）側の連結孔６３２ｂの側面と前後方向に重なる位置とされると共に、第１経路８６４１の前後方向中央位置とされる。これにより、第１経路８６４１を転動する遊技球を第１突起８６４１ｃ１に当接させて連結孔６３２ｂを挿通してベース板８６３０の前方に送球することができる。
【０６２９】
なお、第１突起８６４４ｃ１との先端面と対向する経路部材８６４０の内周面との距離寸法は、遊技球の外径よりも小さく設定されており、第１経路８６４１を流下する遊技球が第１突起８６４４ｃ１を乗り越えることが防止される。
【０６３０】
第２突起８６４４ｃ２は、経路部材８６４０の第１経路８６４１に切欠き形成される切欠き部分の内周面を通過可能に配設される。また、第２突起８６４４ｃ２は、通常の状態（可変板８６４４ａが変位前（第１経路８６４１と面一）の状態）において、その先端が第１経路８６４１と面一の状態で配置される。よって、通常の状態では、第１経路８６４１を転動する遊技球が第２突起８６４４ｃ２によって阻害されることを抑制できる。
【０６３１】
一方、規制部材８６４４ｃが変位されて、第２突起が８６４４ｃ２が、第１経路８６４１の上方へ配置されると、第２突起８６４４ｃ２の先端面が第１経路８６４１と面一に配置される。
【０６３２】
これにより、第１経路８６４１を転動する遊技球は、第２突起８６４４ｃ２に規制されず下方に流下でき、第２連結孔８６３２ｅを通過してベース板８６３０の前方に送球される。
【０６３３】
この場合、第２突起８６４４ｃ２の突出位置は、連結孔６３２ｂの背面側に設定されると共に、前後方向位置が、連結孔６３２ｂ側の端部に設定される。これにより、連結孔の一端と第２突起８６４４ｃ２との対向間の距離寸法を遊技球の外径よりも小さくして、第１経路８６４１を転動する遊技球が連結孔６３２ｂを挿通することを抑制できる。
【０６３４】
次いで、図１１４を参照して第１経路８６４１に遊技球が１球送球された際の遊技球の流下について説明する。図１１４（ａ）は、経路部材８６４０の正面図であり、図１１４（ｂ）は、経路部材８６４０の断面図である。
【０６３５】
なお、図１１４では、経路部材８６４０に形成される収容部８６４３が省略されて図示される。また、図１１４では、経路部材８６４０の正面側に配設されるベース板６３０の連結孔６３２ｂ及び第２連結孔８６３２ｅが２点鎖線で図示される。さらに、図１１４（ｂ）の断面図は、図１１２（ｂ）の断面図と対応する。
【０６３６】
図１１４に示すように、貫通孔６３１ｂ（図１１２参照）から経路部材８６４０へ１球の遊技球が送球されると、遊技球が第１経路８６４１の傾斜によって転動して連結孔６３２ｂ側に転動される。
【０６３７】
転動する遊技球は、第１経路８６４１から可変板８６４４ａの上部を転動して、連結孔６３２ｂ側に転動され、連結孔６３２ｂの背面側に突出する第１突起８６４４ｃ１に当接して、連結孔６３２ｂ側に送球される。即ち、第１経路８６４１内に１球の遊技球が送球された場合には、その遊技球を連結孔６３２ｂを通過させてベース板８６３０の前方に送球することができる。
【０６３８】
次いで、図１１５及び図１１６を参照して第１経路８６４１に２球の遊技球が連続して流下された場合の説明をする。図１１５（ａ）及び図１１６（ａ）は、経路部材８６４０の正面図であり、図１１５（ｂ）及び図１１６（ｂ）は、経路部材８６４０の断面図である。
【０６３９】
なお、図１１５及び図１１６では、経路部材８６４０に形成される収容部８６４３が省略されて図示される。また、図１１５では、経路部材８６４０の正面側に配設されるベース板６３０の連結孔６３２ｂ及び第２連結孔８６３２ｅが２点鎖線で図示される。さらに、図１１５（ｂ）及び図１１６（ｂ）の断面図は、図１１２（ｂ）の断面図と対応する。
【０６４０】
図１１５に示すように、通孔６３１ｂ（図１１２参照）から経路部材８６４０へ２球の遊技球が連続して送球されると、遊技球が第１経路８６４１の傾斜によって転動して連結孔６３２ｂ側に転動される。
【０６４１】
転動する遊技球は、第１経路８６４１から可変板８６４４ａの上部を転動する。この際に、可変板８６４４ａに取着される付勢ばねの付勢力よりも、転動する遊技球の重力の方が大きくされる。その結果、可変板８６４４ａに２球の遊技球が乗った際に、可変板８６４４ａを変位させることができる。
【０６４２】
可変板８６４４ａが変位されると、可変板８６４４ａの変位に伴って、可変板８６４４ａに形成される当接板８６４４ａ１が下方に変位される。従って、当接板８６４４ａ１の先端に当接される伝達部材８６４４ｂの一端が下方に変位され、伝達部材８６４４ｂが回転される。この伝達部材８６４４ｂの回転変位により、伝達部材８６４４ｂの他側が上方に変位され、その伝達部材８６４４ｂの他側の上方に配置される規制部材８６４４ｃの一側が上方に変位される。その結果、規制部材８６４４ｃの第１突起８６４４ｃ１が下方に変位すると共に、第２突起８６４４ｃ２が上方に変位される。
【０６４３】
第２突起８６４４ｃ２が上方に突出した状態では、上述したように遊技球が第１経路８６４１を転動して、第２連結孔８６３２ｅの背面側まで転動可能とされる。よって、２球の遊技球のうち、先行する遊技球を第２連結孔８６３２ｅからベース板８６３０の正面側に送球することができる。
【０６４４】
次に、図１１６に示すように、先行する遊技球が可変板８６４４ａの上部から、可変板８６４４ａよりも連結孔６３２ｂ側の第１経路８６４１に乗ると、可変板８６４４ａに取着される付勢ばねの付勢力が遊技球の重力よりも大きくなり、第２突起８６４４ｃ２を上方に位置した状態が解除され第１突起８６４４ｃ１を上方に位置する状態へと変位する。
【０６４５】
この場合、先行する遊技球は、第１突起８６４４ｃ１よりも、第２連結孔８６３２ｅ側の位置に転動しているので、上述したように第２連結孔８６３２ｅを通過させてベース板８６３０の前方に送球することができる。
【０６４６】
一方、後行する遊技球は、可変板８６４４ａの上部に位置されるので、第１突起８６４４ｃ１に当接して、連結孔６３２ｂ側に送球される。即ち、後行する遊技球は、連結孔６３２ｂを通過してベース板８６３０の前方に送球される。
【０６４７】
このように、遊技球を案内する案内手段は、経路部材８６４０を通過する遊技球が転動される可変板８６４４ａと、その可変板８６４４ａに連動可能に連結されると共に第１位置（図１１３（ａ）に示す位置）と第２位置（図１１５（ａ）に示す位置）との間で変位可能に形成され経路部材８６４０を通過する遊技球の進路を変更させる規制部材８６４４ｃとを備え、規制部材８６４４ｃが第２位置に変位された状態での遊技球の進路が、第１位置に変位された状態での遊技球の進路よりも貫通孔６３２ａへ入球しやすい進路とされ、可変板８６４４ａを第１の数の遊技球が転動する場合には、規制部材８６４４ｃが第２位置に変位されると共に、可変板８６４４ａを第１の数（本実施形態では、２球）よりも少ない第２の数（本実施形態では、１球）の遊技球が転動する場合には、規制部材８６４４ｃが第１位置に変位されるので、遊技の興趣の向上を図ることができる。
【０６４８】
即ち、第２の数の遊技球が流下する場合よりも、その第２の数よりも多い数である第１の数の遊技球が流下する場合の方が貫通孔６３２ａに入球しやすくできる（経路部材８６４０を通過する遊技球の数によって貫通孔６３２ａへの入球のしやすさを変更できる）ので、第１の入球口（左右の始動入賞口２６，２７）への入球に漏れた遊技球の数にも遊技者に着目させることができる。その結果、遊技の興趣の向上を図ることができる。
【０６４９】
また、規制部材８６４４ｃが前記可変板８６４４ａよりも下流側に配設されるので、所定の遊技球の行方（進路）を、その所定の遊技球に後行する遊技球の数および連なり具合と関係付けることができ、その結果、遊技の興趣の向上を図ることができる。即ち、後行する遊技球が連なっている場合（即ち、本実施形態では、３球以上の遊技球が連なっている場合）には、可変板８６４４ａを転動する遊技球の数が第１の数を維持している間は、規制部材８６４４ｃを第２位置に維持して、規制部材８６４４ｃに到達した各遊技球を貫通孔６３２ａへ入球しやすくできる一方、後行する遊技球の連なりが分断され、可変板８６４４ａを転動する遊技球の数が第２の数以下となった場合には、規制部材８６４４ｃを第１位置に変位させて、規制部材８６４４ｃに到達した各遊技球を上述した場合（規制部材８６４４ｃが第２位置に変位された場合）よりも貫通孔６３２ａへ入球し難くできる。よって、後行する遊技球の数およびその連なり具合にも遊技者に着目させることができる。その結果、遊技の興趣の向上を図ることができる。
【０６５０】
次いで、図１１７から図１２２を参照して第９実施形態における入賞口ユニット９６００について説明する。なお、上述した各実施形態と同一の部分には同一の符号を付して、その説明は省略する。
【０６５１】
上記第１実施形態では、可変入賞装置６５０の可変板６５２が後方に位置した状態において、貫通孔６３２ａに遊技球が入賞する可能性が低くされる場合を説明したが、第９実施形態では、可変入賞装置６５０の可変板６５２が後方に位置した状態においても、打遊技球が複数個経路部材９６４０を送球された際に、貫通孔６３２ａに入賞させやすくされる。
【０６５２】
図１１７は、第９実施形態における入賞口ユニット９６００の正面図であり、図１１８は、入賞口ユニット９６００の分解斜視正面図である。なお、図１１７では、化粧板６１０の図示が省略されると共に、背面側に配設される経路部材９６４０の外形が鎖線で図示される。
【０６５３】
図１１７及び図１１８に示すように、第９実施形態における入賞口ユニット９６００は、複数の入賞口２６，２７，２８を備える化粧板６１０と、化粧板６１０と対向して配設されその対向間に遊技球の流下経路を形成するベース板９６３０と、そのベース板９６３０との間に遊技球の送球経路を形成する経路部材９６４０と、ベース板９６３０に配設され、化粧板６１０とベース板９６３０との対向間を流下する遊技球を貫通孔６３２ａに案内する可変入賞装置６５０とを主に備えて形成される。
【０６５４】
第９実施形態におけるベース板９６３０には、２つの連結孔６３２ｂの中間位置に前後方向に貫通する第２連結孔８６３２ｅが形成される。また、第２連結孔８６３２ｅは、連結孔６３２ｂよりも下方に配置される。
【０６５５】
経路部材９６４０は、正面視横長矩形に形成されると共に、ベース板８６３０側が開放される略箱形状に形成される。経路部材８６４０は、ベース板８６３０に形成される第２貫通孔６３１ｂ，６３３ｂと連結孔６３２ｂ又は第２連結孔８６３２ｅを連結する経路を形成するための部材である。
【０６５６】
経路部材９６４０は、正面視左側に形成されて第２貫通孔６３１ｂ及びベース板９６３０の正面視左側の連結孔６３２ｂを連結する第１経路９６４１と、その第１経路９６４１の下側に形成され、第１経路９６４１及び第２連結孔８６３２ｅとを連結する第３経路９６４５と、正面視右側に形成されて第２貫通孔６３３ｂ及びベース板９６３０の正面視右側の連結孔６３２ｂを連結する第２経路９６４２と、その第２経路９６４２の下側に形成され、第２経路９６４２及び第２連結孔８６３２ｅを連結する第４経路９６４６とを主に備えて形成される。
【０６５７】
また、経路部材９６４０は、第１経路９６４１及び第２経路９６４２のそれぞれの経路途中に、第１経路９６４１又は第２経路９６４２を転動する遊技球の転動経路を第３経路又は９６４５第４経路９６４６に切り替える経路切替部材９６４４が配設される。
【０６５８】
次いで、図１１９を参照して経路部材９６４０について説明する。図１１９（ａ）及び図１１９（ｂ）は、経路部材９６４０の正面図である。なお、図１１９では、経路部材９６４０の前方に配置されるベース板９６３０の第２貫通孔６３１ｂ，６３３ｂと、連結孔６３２ｂと、第２連結孔８６３２ｅとが２点鎖線で図示される。
【０６５９】
図１１９に示すように、経路部材９６４０に配設される経路切替部材９６４４は、板状体から形成される可変板９６４４ａから構成される。可変板９６４４ａは、一端側（遊技球の転動方向終端側（連結孔６３２ｂ側））が回転可能な状態で経路部材９６４０に配設（軸支）されると共に、経路部材９６４０との間に図示しない付勢ばねが配置され、他端側が上方に付勢された状態で配置される。
【０６６０】
また、可変板９６４４ａは、その上面が第１経路９６４１又は第２経路９６４２の転動面と同一平面に位置する状態で配設される（図１１９（ａ）参照）。さらに、可変板９４４ａは、上面を転動する遊技球から付勢ばねの付勢力よりも大きい力が作用されると、回転され他端側を第３経路９６４５又は第４経路９６４６へ下降傾斜させた姿勢に変位できる（図１１９（ｂ）参照）。
【０６６１】
次いで、図１２０を参照して、経路部材９６４０に１球の遊技球が送球された場合の説明をする。図１２０（ａ）及び図１２０（ｂ）は、経路部材９６４０の正面図である。なお、図１２０では、経路部材９６４０の前方に配置されるベース板９６３０の第２貫通孔６３１ｂ，６３３ｂと、連結孔６３２ｂと、第２連結孔８６３２ｅとが２点鎖線で図示される。また、図１２０（ａ）及び図１２０（ｂ）では、経路部材９６４０の内側を遊技球が転動する際の遷移状態が順に図示される。
【０６６２】
さらに、以下では、第２貫通孔６３１ｂ，６３３ｂから送球される遊技球の転動は、転動方向が反対であるのみであるので、左側を転動する遊技球のみ説明をして、右側を転動する遊技球についての説明は省略する。
【０６６３】
図１２０（ａ）及び図１２０（ｂ）に示すように、第２貫通孔６３１ｂから経路部材９６４０の内側に送球される遊技球が、１球の場合は、第１経路９６４１及び可変板９６４４ａ上を転動して連結孔６３２ｂへ送球される。即ち、経路部材９６４０に１球の遊技球が送球された場合には、その遊技球を連結孔６３２ｂを通過させてベース板９６３０の正面側に送球することができる。
【０６６４】
次いで、図１２１及び図１２２を参照して、経路部材９６４０に２球の遊技球が送球された場合の説明をする。図１２１（ａ）及び図１２１（ｂ）は、入賞口ユニット９６００の正面図であり、図１２２（ａ）及び図１２２（ｂ）は、入賞口ユニット９６００の正面図である。なお、図１２１及び図１２２では、経路部材９６４０の前方に配置されるベース板９６３０の第２貫通孔６３１ｂ，６３３ｂと、連結孔６３２ｂと、第２連結孔８６３２ｅとが２点鎖線で図示される。また、図１２１から図１２２では、経路部材９６４０の内側を遊技球が転動する際の遷移状態が順に図示される。
【０６６５】
図１２２（ａ）及び図１２２（ｂ）に示すように、第２貫通孔６３１ｂから経路部材９６４０の内側に送球される遊技球が、２球以上送球されると、２球の遊技球が第１経路９６４１から可変板９６４４ａの上面へ転動された際に、可変板９６４４ａの他端側が下方に回転変位する。
【０６６６】
即ち、可変板９６４４ａを付勢する付勢力は、１球の遊技球が可変板９６４４ａの上面に作用させる荷重よりも大きく設定されると共に、２球の遊技球が上面に作用させる荷重よりも小さく設定される。これにより、可変板９６４４ａの上面を２球の遊技球が転動する場合にのみ、可変板９６４４ａを変位させることができる。
【０６６７】
可変板９６４４ａが変位されると、上述したように可変板９６４４ａの他端側が第３経路９６４５の上面に変位されて、遊技球を第３経路９６４５に送球することができる。
【０６６８】
図１２２（ａ）に示すように２球の遊技球が、第３経路９６４５に送球されると、可変板９６４４ａの上面にかかる荷重がなくなるため、付勢力により可変板９６４４ａが変位して他端側が上方へ（遊技球が送球される前の位置へ）変位する。
【０６６９】
これにより、図１２２（ｂ）に示すように、第３経路９６４５に送球された遊技球を第２連結孔８６３２側に送球可能な状態となる。その結果、２球の遊技球は、第３経路９６４５を転動して第２連結孔８６３２からベース板９６３０の正面側に送球される。
【０６７０】
即ち、経路部材９６４０に２球連続して遊技球が送球されると、２球とも第２連結孔８６３２を通過させてベース板９６３０の正面側に送球することができる。
【０６７１】
よって、第９実施形態では、左始動入賞口２６に入賞せず、その近傍を流下する遊技球が２球以上連続した場合に、２球とも入賞する可能性を与えることができる。その結果、遊技者に興趣を与え易くできる。
【０６７２】
次いで、図１２３から図１３０を参照して第１０実施形態における経路切替部材１０６７０について説明する。なお、上述した各実施形態と同一の部分には同一の符号を付して、その説明は省略する。
【０６７３】
上記第９実施形態では、第１経路９６４１と第３経路９６４５との経路の切り換えを遊技球の荷重で行う場合を説明したが、第１０実施形態では、第２経路１０６４２と第３経路１０６４３との経路の切替を経路切替部材１０６７０の変位と磁力とにより行う場合を説明する。
【０６７４】
初めに、図１２３を参照して経路切替部材１０６７０の構成について詳細な説明をする。図１２３（ａ）は、第１０実施形態における経路切替部材１０６７０の上面図であり、図１２３（ｂ）は、経路切替部材１０６７０の正面図であり、図１２３（ｃ）は、経路切替部材１０６７０の分解斜視正面図である。
【０６７５】
図１２３に示すように、経路切替部材１０６７０は、円柱状に形成されるベース部材１０６７１と、そのベース部材１０６７１の内部に配設される複数の磁石１０６７２とを主に備えて形成される。
【０６７６】
ベース部材１０６７１は、重力方向下側に配置されると共に、内部が凹設される下側ベース部材１０６７１ｂと、その下側ベース部材１０６７１ｂの上部に配置される上側ベース部材１０６７１ａとを主に備えて形成される。
【０６７７】
下側ベース部材１０６７１ｂは、その外周面に径方向内側に向かって凹設される溝部１０６７１ｂ１と、その溝部１０６７１ｂ１の内側に上面側から軸方向に凹設される凹部１０６７１ｂ２と、軸心に貫通形成される貫通孔１０６７１ｂ３とを主に備えて形成される。
【０６７８】
溝部１０６７１ｂ１は、下側ベース部材１０６７１ｂの外周面に周方向等間隔に複数箇所（本実施形態では、４箇所）に形成される。溝部１０６７１ｂ１は、後述する磁石１０６７２の磁力により遊技球をその内面に吸着する面であり、遊技球の外形よりも小さい幅で凹設される。
【０６７９】
凹部１０６７１ｂ２は、内部に後述する磁石１０６７２を収容する孔であり、磁石１０６７２の外形よりも大きい形状に凹設される。これにより、磁石１０６７２を内部に収容することができる。
【０６８０】
貫通孔１０６７１ｂ３は、後述する磁石１０６７２と共に図示しない駆動モータの軸が内嵌される孔である。貫通孔１０６７１ｂ３に駆動モータの軸が連結（内嵌）されることで、駆動モータの駆動力により経路切替部材１０６７０を回転させることができる。
【０６８１】
上側ベース部材１０６７１ａは、下側ベース部材１０６７１ｂの外径と略同一の外径に形成され、下側ベース部材１０６７１ｂの上部を覆って配置されることで、凹部１０６７１ｂ２に収容した磁石１０６７２が抜け出ることを防止できる。
【０６８２】
また、上側ベース部材１０６７１ａの軸心には貫通孔１０６７１ａ１が貫通形成される。貫通孔１０６７１ａ１と貫通孔１０６７１ｂ３とに駆動モータの軸が内嵌されることで、経路切替部材１０６７０の回転を安定させることができる。
【０６８３】
磁石１０６７２は、溝部１０６７１ｂ１の内側に形成される凹部１０６７１ｂ２に収容されることで、溝部１０６７１ｂ１の外周面に磁力を作用させることができる。これにより、経路切替部材１０６７０（溝部１０６７１ｂ１）の外周面に遊技球を吸着することができる。
【０６８４】
次いで、図１２４を参照して、経路切替部材１０６７０が配置された経路について説明をする。図１２４（ａ）は、経路切替部材１０６７０及び各経路１０６４１，１０６４２，１０６４５の上面図である。図１２４（ｂ）は、図１２４（ａ）の矢印ＣＸＸＩＶｂ方向視における経路切替部材１０６７０及び各経路１０６４１，１０６４２，１０６４５の側面図である。図１２４（ｃ）は、図１２４（ａ）の矢印ＣＸＸＩＶｃ方向視における経路切替部材１０６７０及び各経路１０６４１，１０６４２，１０６４５の側面図である。図１２４（ｄ）は、図１２４（ａ）の矢印ＣＸＸＩＶｄ方向視における経路切替部材１０６７０及び各経路１０６４１，１０６４２，１０６４５の側面図である。
【０６８５】
なお、図１２４（ａ）から図１２４（ｄ）では、各経路１０６４１，１０６４２，１０６４５が模式的に図示される。また、図１２４（ｄ）では、第２経路１０６４２及び第３経路１０６４５が鎖線で図示される。
【０６８６】
図１２４（ａ）から図１２４（ｄ）に示すように、第１経路１０６４１は、経路切替部材１０６７０の外周面に沿って湾曲して形成される。また、第１経路１０６４１は、溝部１０６７１ｂ１の上下方向（図１２３（ｂ）上下方向）中央位置から遊技球の略半径分下方に底面が位置して形成される。第１経路１０６４１の底面は、経路切替部材１０６７０側に向かって傾斜して形成されると共に、その転動方向の両端から重力方向上側に立設される壁部が形成される。これにより、第１経路１０６４１に送球された遊技球を経路切替部材１０６７０側に転動させることができる。
【０６８７】
また、第１経路１０６４１に立設される壁部は、経路切替部材１０６７０の外周面に沿う位置で非形成とされる。これにより、第１経路１０６４１を転動する遊技球を経路切替部材１０６７０の外周面に形成される溝部１０６４１ａ１の内面に吸着させることができる。
【０６８８】
なお、第１経路１０６４１の上流側は、入賞口ユニット６００のベース板６３０に貫通形成される第２貫通孔６３１ｂ，６３３ｂの背面側に連結される。よって、第２貫通孔６３１ｂ，６３３ｂの内部に送球された遊技球を第１経路１０６４１を転動させることで経路切替部材１０６７０に案内することができる。
【０６８９】
第２経路１０６４２は、第２経路１０６４２の始端側が経路切替部材１０６７０の周方向に第１経路１０６４１の終端側と所定の間隔を隔てて配置されると共に、経路切替部材１０６７０の外周面に沿って形成される。第２経路１０６４２及び第１経路１０６４１は、経路切替部材１０６７０の軸方向に同一の位置に形成される。
【０６９０】
なお、第２経路１０６４２が第１経路１０６４１よりも高い位置に形成されていても良く、この場合、後述するように後行する遊技球が先行する遊技球に吸着して先行する遊技球に垂下した際に、その吸着面にかかる後行する遊技球の荷重を作用させ難くできる。
【０６９１】
第３経路１０６４５は、第２経路１０６４２の重力方向下側（図１２４（ｄ）下側）に形成される。また、第３経路１０６４５の始端側は、第２経路１０６４２よりも経路切替部材１０６７０の周方向に延設して形成される。即ち、第３経路１０６４５はの始端側は、第２経路１０６４２の始端側よりも、第１経路１０６４１の終端側に近接される。
【０６９２】
なお、第２経路１０６４２の下流側（終端側）は、連結孔６３２ｂの背面側に連結され、第３経路の下流側（終端側）は、第２連結孔８６３２ｅに連結される。即ち、第２経路１０６４２よりも、第３経路１０６４５に送球される遊技球の方が貫通孔６３２ａに入賞する可能性を高くすることができる。
【０６９３】
また、経路切替部材１０６７０は、上述したように駆動モータに連結されており、駆動モータの駆動により回転変位される。経路切替部材１０６７０の回転方向は、上面視（図１２４（ａ）方向視）において左周りに回転される。
【０６９４】
次いで、図１２５及び図１２６を参照して、第１経路１０６４１に１球の遊技球が送球された場合の説明をする。図１２５（ａ）は、経路切替部材１０６７０及び各経路１０６４１，１０６４２，１０６４５の上面図であり、図１２５（ｂ）は、経路切替部材１０６７０及び各経路１０６４１，１０６４２，１０６４５の側面図である。図１２６（ａ）は、経路切替部材１０６７０及び各経路１０６４１，１０６４２，１０６４５の上面図であり、図１２６（ｂ）は、経路切替部材１０６７０及び各経路１０６４１，１０６４２，１０６４５の側面図である。
【０６９５】
なお、図１２５（ｂ）は、図１２４（ｂ）と対応し、図１２６（ｂ）は、図１２４（ｄ）と対応する。
【０６９６】
図１２５及び図１２６に示すように、第１経路１０６４１に遊技球が送球されると、遊技球は、第１経路１０６４１を転動して、経路切替部材１０６７０の外周面に沿って転動される。この場合、上述したように、経路切替部材１０６７０には、その外周面に溝部１０６７１ｂ１が形成されており、内部に配設される磁石１０６７２によりその外周面に遊技球を吸着可能に形成されるので、第１経路１０６４１を転動する遊技球を溝部１０６７１ｂ１の内面に吸着することができる。
【０６９７】
上述したように、経路切替部材１０６７０は、駆動モータにより回転変位されるので、溝部１０６７１ｂ１に遊技球を吸着させた状態で経路切替部材１０６７０を回転させることで、遊技球を第２経路１０６４２に送球することができる。
【０６９８】
なお、溝部１０６７１ｂ１に吸着された状態で第２経路１０６４２に運ばれた遊技球は、第２経路１０６４２の側面に形成される立設壁に当接することにより、溝部１０６７１ｂ１から脱落される。
【０６９９】
以上のように、第１経路１０６４１に遊技球が１球転動された場合は、遊技球を第２経路１０６４２に送球することができる。
【０７００】
なお、第１経路１０６４１を転動する遊技球が、溝部１０６７１ｂ１に吸着されなかった場合には、第１経路１０６４１の終端側および第２経路１０６４２の始端側の間に形成される隙間に遊技球が送球されて所定の回収経路に送球される。
【０７０１】
次いで、図１２７から図１３０を参照して、第１経路１０６４１に２球の遊技球が連続して送球（落下）された場合の説明をする。図１２７（ａ）、図１２８（ａ）、図１２９（ａ）及び図１３０（ａ）は、経路切替部材１０６７０及び各経路１０６４１，１０６４２，１０６４５の上面図であり、図１２７（ｂ）、図１２８（ｂ）、図１２９（ｂ）及び図１３０（ｂ）は、経路切替部材１０６７０及び各経路１０６４１，１０６４２，１０６４５の側面図である。
【０７０２】
なお、図１２７（ｂ）は図１２４（ｂ）と、図１２８（ｂ）は図１２４（ｃ）と、図１２９（ｂ）は図１２４（ｃ）と、図１３０（ｂ）は図１２４（ｃ）とそれぞれに対応する。また、図１２７から図１３０は、２球の遊技球が送球される遷移状態が順に図示される。
【０７０３】
初めに、図１２７（ａ）及び図１２７（ｂ）に示すように、第１経路１０６４１に２球の遊技球が連続して送球されると、先行する遊技球が、経路切替部材１０６７０の溝部１０６７１ｂ１の内面に吸着される。これにより、吸着された遊技球（先行する遊技球）が磁性を帯び、この先行する遊技球の外周面に後行する遊技球が吸着される。
【０７０４】
図１２８（ａ）及び図１２８（ｂ）に示すように、溝部１０６７１ｂ１の内側に先行する遊技球が吸着された状態で経路切替部材１０６７０が回転して、先行する遊技球が第１経路１０６４１及び第２経路１０６４２の隙間に位置されると、後行する遊技球が先行する遊技球の下側に宙づりにされた（吊り下げられた）状態とされる。
【０７０５】
図１２９（ａ）及び図１３０（ｂ）に示すように、後行する遊技球が先行する遊技球の下側に宙づりにされた状態で、経路切替部材１０６７０がさらに回転されると、先行する遊技球と後行する遊技球との間に、第２経路１０６４２の底面を形成する板の第１経路１０６４１側に形成される先端部１０６４２ａが差し込まれる。
【０７０６】
先端部１０６４２ａは、先細平板状に形成され、経路切替部材１０６７０の下面に吸着される遊技球（先行する遊技球）と、その遊技球に吸着されて下側に吊り下げられた遊技球（後行する遊技球）との間の吸着位置に先端が挿入される高さ位置に略水平な姿勢で配設されるので、経路切替部材１０６７０の下面に先行する遊技球が吸着されると共にそのの先行する遊技球に後行する遊技球が吸着されている場合には、これら遊技球どうしの吸着をスムーズに解除して、後行する遊技球（下側に吊り下げられた遊技球）のみを脱落させやすくできる。
【０７０７】
これにより、図１３０（ａ）及び図１３０（ｂ）に示すように、後行する遊技球は、先行する遊技球の外周面から脱落される。よって、先行する遊技球は第１経路１０６４１に、後行する遊技球は第２経路１０６４２に、それぞれ送球することができる。即ち、第１経路１０６４１に遊技球が連続して送球された場合に、１球は有利な経路に送球することができる。その結果、遊技者に興趣を与えることができる。
【０７０８】
このように、遊技球を案内する案内手段は、回転可能に形成される経路切替部材１０６７０と、その経路切替部材１０６７０に配設され遊技球を経路切替部材１０６７０の外面に垂下状態で吸着させる磁石１０６７２と、その磁石１０６７２によって経路切替部材１０６７０の外面に吸着された遊技球の経路切替部材１０６７０の回転に伴う軌跡上に位置することで遊技球に当接して経路切替部材１０６７０から遊技球を脱落させる先端部１０６４２ａとを備え、先端部１０６４２ａは、経路切替部材１０６７０の外面に吸着される１球目の（先行する）遊技球よりも重力方向下方に位置すると共に、経路切替部材１０６７０の外面に吸着されて送球される遊技球よりも、先端部１０６４２ａの当接により経路切替部材１０６７０から脱落された遊技球の方が、貫通孔６３２ａへ遊技球が入球しやすくされるので、遊技の興趣の向上を図ることができる。
【０７０９】
即ち、経路切替部材１０６７０の外面に１の遊技球のみが吸着される場合よりも、経路切替部材１０６７０の外面に吸着される遊技球に、１（又は２以上）の遊技球が更に吸着されている場合の方が、貫通孔６３２ａに入球しやすくできる（通路部材を通過する遊技球の数によって貫通孔６３２ａへの入球のしやすさを変更できる）ので、左右の始動入賞口２６，２７への入球に漏れた遊技球の数にも遊技者に着目させることができる。その結果、遊技の興趣の向上を図ることができる。
【０７１０】
特に、第１０実施形態では、複数の遊技球が経路切替部材１０６７０へ向けて転動される場合であっても、遊技球が連なっている場合には、経路切替部材１０６７０に先行する遊技球を吸着させると共にその先行する遊技球に後行する遊技球を吸着させやすく、少なくとも後行する遊技球を貫通孔６３２ａへ入球させやすくできる一方、遊技球どうしが所定の間隔を隔てている場合には、経路切替部材１０６７０に先行する遊技球を吸着させられるが、その先行する遊技球に後行する遊技球を吸着させられず、後行の遊技球も経路切替部材１０６７０（先行する遊技球とは別の磁石１０６７２）に吸着されることとなる。即ち、先行および後行の両者ともに貫通孔６３２ａへは入球され難くされる。よって、遊技球の数だけでなく、それらの連なり具合にも遊技者に着目させることができる。その結果、遊技の興趣の向上を図ることができる。
【０７１１】
また、第１０実施形態によれば、経路切替部材１０６７０の外面に垂下状態で遊技球を吸着させ、その垂下状態のままで遊技球を経路切替部材１０６７０の回転に伴って送球するので、吸着までの転動速度や転動方向、吸着位置などのばらつきを要因として、ぶらぶらと揺動する不安定な状態として、経路切替部材１０６７０から遊技球が脱落する形態も形成できる。即ち、１の遊技球のみが経路切替部材１０６７０に吸着されている場合（先端部１０６４２ａに当接されない場合）であっても、かかる遊技球が脱落され、貫通孔６３２ａへ入球させやすくなるという演出を行うことができる。
【０７１２】
さらに、経路切替部材１０６７０に遊技球が１球のみ吸着されている場合には、かかる遊技球へ先端部１０６４２ａが作用することを抑制して、その遊技球の吸着を維持しやすくできる。即ち、遊技球の経路切替部材１０６７０の外面への吸着状体が不安定であっても、遊技球が第２経路１０６４２の入口まで送球された際に、第３経路１０６４３に阻害されずに第２経路１０６４２に入れることができる。
【０７１３】
よって、１の遊技球のみが経路切替部材１０６７０に吸着され垂下されている（吊り下げられている）場合と、２以上の遊技球が経路切替部材１０６７０に吸着され連なって垂下されている場合とでの貫通孔６３２ａへの入球のしやすさの差をより明確とできる。これにより、遊技球の数やそれらの連なり具合を遊技者に更に着目させることができる。その結果、遊技の興趣の向上を図ることができる。
【０７１４】
次いで、図１３１から図１３７を参照して、第１１実施形態における可変入賞装置１１６５０について説明する。なお、上述した各実施形態と同一の部分には同一の符号を付して、その説明は省略する。
【０７１５】
上記第１実施形態では、連結孔６３２ｂと挿通孔６３２ｃとが離間して形成される場合を説明したが、第１１実施形態では、連結孔１１６３２ｂと挿通孔１１６３２ｃとが連結して形成される。
【０７１６】
初めに、図１３１から図１３３を参照して、第１１実施形態における入賞口ユニット１１６００の構成について説明する。図１３１は、第１１実施形態における入賞口ユニット１１６００の正面図である。図１３２は、入賞口ユニット１１６００の分解斜視正面図である。図１３３は、入賞口ユニット１１６００の分解斜視背面図である。なお、図１３１では、化粧板６１０の図示が省略されると共に、経路部材１１６４０の外形が鎖線で図示される。
【０７１７】
図１３１から図１３３に示すように、第１１実施形態における入賞口ユニット１１６００は、複数の入賞口２６，２７，２８を備える化粧板６１０と、化粧板６１０と対向して配設されその対向間に遊技球の流下経路を形成するベース板１１６３０と、そのベース板１１６３０との間に遊技球の送球経路を形成する経路部材１１６４０と、ベース板１１６３０に配設され、化粧板６１０とベース板１１６３０との対向間を流下する遊技球を貫通孔６３２ａに案内する可変入賞装置１１６５０とを主に備えて形成される。
【０７１８】
ベース板１１６３０の中央凹部６３２は、ベース板６３０の左右方向略中央部に貫通形成される貫通孔６３２ａと、その貫通孔６３２ａの両隣に貫通形成される２つの挿通孔１１６３２ｃと、その挿通孔１１６３２ｃの上方に連続して形成される連結孔１１６３２ｂとを主に備えて形成される。
【０７１９】
挿通孔１１６３２ｃは、後述する可変入賞装置１１６５０の可変板１１６５２が挿入される開口であり、正面視横長矩形に形成されると共に、貫通孔６３２ａに向かうに従って下降傾斜して形成される。
【０７２０】
連結孔１１６３２ｂは、後述する、経路部材１１６４０を送球される遊技球がベース板１１６３０の正面側に排出される開口であり、挿通孔１１６３２ｃの外側（貫通孔６３２ａから離間した側）の上部から連続して貫通形成される。
【０７２１】
経路部材１１６４０は、正面視横長矩形に形成されると共に、ベース板６３０側が開放される略箱形状に形成される。経路部材１１６４０は、第２貫通孔６３１ｂ，６３３ｂと連結孔１１６３２ｂとを連結する経路を形成するための部材であり、正面視左側に形成されて第２貫通孔６３１ｂとベース板６３０の正面視左側の連結孔１１６３２ｂとを連結する第１経路１１６４１と、正面視右側に形成されて第２貫通孔６３３ｂとベース板１１６３０の正面視右側の連結孔１１６３２ｂとを連結する第２経路１１６４２とから形成される。
【０７２２】
また、第１経路１１６４１及び第２経路１１６４２の左右方向中央側の底面には上下方向に切り欠かれた凹欠部１１６４７が形成される。凹欠部１１６４７の内側には、可変入賞装置１１６５０の可変板１１６５２が配置される。これにより、第１経路１１６４１及び第２経路１１６４２を転動する遊技球を、連結孔１１６３２ｂを通過させる前に可変板１１６５２の上部に送球することができる。
【０７２３】
可変入賞装置１１６５０の可変板１１６５２には、その先端側の上面に左右方向に延びる凹部１１６５２ａが前後方向に複数個が並設された状態で形成される。凹部１１６５２ａは、直線状に形成され、貫通孔６３２ａから遠い側と、貫通孔６３２ａから近い側とで、異なる方向に延設される。貫通孔６３２ａから遠い側の凹部１１６５２ａは、左右方向とに平行に形成される。一方、貫通孔６３２ａから近い側に形成される凹部１１６５２ａは、貫通孔６３２ａに向かう側ほど正面側に近づく方向に傾斜して形成される。
【０７２４】
次いで、図１３４を参照して、可変入賞装置１１６５０の変位について説明する。図１３４（ａ）及び図１３４（ｂ）は、図１３１のＣＸＸＸＩＶ−ＣＸＸＸＩＶ線における入賞口ユニット１１６００の断面図である。なお、図１３４（ａ）は変位前の、図１３４（ｂ）は変位後の、可変入賞装置１１６５０がそれぞれ図示される。また、図１３１では、化粧板６１０の図示を省略したが、図１３４では、化粧板６１０が図示される。
【０７２５】
図１３４（ａ）及び図１３４（ｂ）に示すように、変位前の可変入賞装置１１６５０の可変板１１６５２は、凹部１１６５２ａが第１経路１１６４１の端部と隣り合う位置に配置される。一方、変位後の可変入賞装置１１６５０の可変板１１６５２は、凹部１１６５２ａが、ベース板１１６３０の正面側に突出した位置に配置される。
【０７２６】
次いで、図１３５（ａ）及び図１３５（ｂ）を参照して、可変板１１６５２の上部に遊技球が乗った状態で、可変入賞装置１１６５０の可変板１１６５２が正面側に張出された場合の説明をする。
【０７２７】
図１３５（ａ）及び図１３５（ｂ）は、入賞口ユニット１１６００の断面図である。なお、図１３５（ａ）は図１３４（ａ）に、図１３５（ｂ）は図１３４（ｂ）に、それぞれ対応する。また、以下では、左右方向左側の遊技球の転動のみを説明し、右側の説明は省略する。
【０７２８】
図１３５（ａ）及び図１３５（ｂ）に示すように、背面側に退避した状態の可変板１１６５２の上部に遊技球が送球された際、可変板１１６５２が正面側に張りだした状態に変位されると、可変板１１６５２の変位に伴って、遊技球を前方に変位させることができる。
【０７２９】
この場合、可変板１１６５２の上面には、凹部１１６５２ａが形成されるので、可変板１１６５２と遊技球との摩擦力を大きくすることができるので、可変板１１６５２が変位した際に、遊技球が回転してその位置に留まることを抑制できる。従って、可変板１１６５２の変位に伴って遊技球を前方に変位させることができる。
【０７３０】
上述したように、可変板１１６５２の変位に伴って遊技球を正面側（ベース板１１６３０の正面側）に変位させることができるので、第１実施形態よりも遊技球を貫通孔６３２ａに入賞させやすくすることができる。
【０７３１】
即ち、可変板１１６５２が、経路部材１１６４０の連結孔６３２ｂに連なる底面（転動面）を形成するので、可変板１１６５２が突出さていない（即ち、没入された）状態であっても、遊技球を可変板１１６５２上に位置させることができ、その分、遊技球が可変板１１６５２上に位置する時間を確保できる。よって、経路部材１１６４０を通過した遊技球を、貫通孔６３２ａへ入球しやすくでき、貫通孔６３２ａへ入球することに対する期待をより強く遊技者に持たせることができる。その結果、遊技の興趣の向上を図ることができる。
【０７３２】
可変板１１６５２の経路部材１１６４０の底面を形成する上面には、その上面に位置する遊技球を貫通孔６３２ａへ向けて案内する凹部１１６５２ａが形成されるので、経路部材１１６４０を通過して没入状態にある可変板１１６５２の上面に遊技球が位置した状態から、かかる可変板１１６５２を突出させる際には、凹部１１６５２ａの作用により遊技球を貫通孔６３２ａへ向けて案内しつつ、突出させることができるので、遊技球を貫通孔６３２ａへ入球しやすくできる。
【０７３３】
なお、凹部１１６５２ａとしては、可変板１１６５２の突出方向先端へ向かうに従って貫通孔６３２ａに近接する方向へ延設されると共に上面に凸設または凹設される凸条や凹溝（又はこれらの組み合せ）が例示される。凸条や凹溝の断面形状は任意であり、矩形断面、多角形断面、円弧状断面（又はこれらを組み合わせた形状の断面）が例示される。
【０７３４】
次いで、図１３６（ａ）から図１３６（ｃ）を参照して、可変板１１６５２の上部に遊技球が乗った状態で、可変入賞装置１１６５０の可変板１１６５２が背面側に退避された場合の説明をする。
【０７３５】
図１３６（ａ）から図１３６（ｃ）は、入賞口ユニット１１６００の断面図である。なお図１３６（ａ）は図１３４（ｂ）に、図１３６（ｃ）は図１３４（ａ）に、それぞれ対応し、図１３６（ｂ）は、図１３６（ａ）及び図１３６（ｃ）の中間の位置が図示される。
【０７３６】
図１３６（ａ）から図１３６（ｃ）に示すように、可変板１１６５２の内側部分を遊技球が転動している際に、可変板１１６５２が背面側に変位されると、可変板１１６５２の内側部分に形成される凹部１１６５２ａの傾斜面により、遊技球を貫通孔６３２ａ側に変位させることができる。
【０７３７】
従って、可変板１１６５２の変位に伴って、遊技球を貫通孔６３２ａ側に変位させることができるので、貫通孔６３２ａに遊技球が入賞しやすくすることができる。
【０７３８】
次いで、図１３７を参照して可変板１１６５２が変位した際に、遊技球が可変板１１６５２から作用を受けることのできる時間について説明する。
【０７３９】
図１３７（ａ）は、可変板１１６５２の変位量の時間変化を示すタイムチャートであり、図１３７（ｂ）は、第１実施形態における可変板６５２の変位量の時間変化を示すタイムチャートである。
【０７４０】
なお、横軸において、「ｔ０」は、可変板１１６５２及び可変板６５２が、没入した状態から突出（正面側への前身）方向へのスライド変位を開始する時間であり、「ｔ５」は、没入（背面側への後退）方向へのスライド変位が完了して没入状態とされる時間を示す。また、縦軸において、「開放位置」は、可変板１１６５２及び可変板６５２が最大の突出位置までスライド変位されたことを示す。
【０７４１】
本実施形態では、上述したように、可変板１１６５２が経路部材１１６４０の転動面の一部を形成するので、可変板１１６５２が突出方向へのスライド変位を開始する際に、その可変板１１６５２上に遊技球が存在すれば（載っていれば）、その遊技球は可変板１１６５２から作用を受ける（貫通孔６３２ａに入球しやすくされる）ことができる。即ち、可変板１１６５２からの作用を遊技球へ図１３７（ａ）における時間ｔ０から与えることができる。なお、時間ｔ４は、時間ｔ３よりも時間ｔ０からの経過時間が短い時間とされる。
【０７４２】
また、上述したように、可変板１１６５２の上面には、複数の凹部１１６５２ａが形成されているので、可変板１１６５２が没入方向へスライド変位されている状態であっても、その可変板１１６５２の上面に遊技球が存在すれば（載っていれば）、その遊技球は可変板１１６５２（凹部１１６５２ａ）から作用を受ける（貫通孔６３２ａに入球しやすくされる）ことができる。即ち、図１３７（ａ）における時間ｔ３までの間、可変板１１６５２からの作用を遊技球へ与えることができる。
【０７４３】
一方、第１実施形態における可変板６５２では、遊技球は、可変板６５２が没入（後退）された状態にあると、かかる可変板６５２から作用を受ける（貫通孔６３２ａに入球しやすくされる）ことができず、可変板６５２の突出量が所定量（上面に遊技球が載れる突出量）に達した後、可変板６５２から作用を受けることができる。即ち、図１３７（ｂ）における時間ｔ２以降でなければ、可変板６５２からの作用を受けることができない。
【０７４４】
また、第１実施形態における可変板６５２のように、上面が閉滑面として形成されていると、可変板１１６５２が没入方向へスライド変位されている状態であると、その可変板６５２の上面に遊技球が存在していても（載っていても）、その遊技球は可変板６５２（上面）から作用を受ける（貫通孔６３２ａに入球しやすくされる）ことができない。この場合、遊技球は、可変板６５２の上面を転動することで、貫通孔６３２ａに入球しやすくされる。即ち、その転動の時間を確保する必要がある分、図１３７（ｂ）における時間ｔ４までの間しか、可変板６５２からの作用を遊技球を与えることができない。
【０７４５】
このように、本実施形態によれば、遊技球が可変板１１６５２から作用を受けることのできる時間を、第１実施形態の場合よりも長くできる（ｔ４−ｔ２＜ｔ３−ｔ０）。その結果、遊技球を貫通孔６３２ａに入球しやすくすることができる。
【０７４６】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０７４７】
上記各実施形態において、１の実施形態の一部または全部を他の１又は複数の実施形態の一部または全部と入れ替えて又は組み合わせて、遊技機を構成しても良い。
【０７４８】
上記第１実施形態では、回転体３７２Ｒの溝部３７２Ｒｃ２の径方向内側の面が径方向と直交する平面に形成される場合を説明したが、必ずしもこれに限られるものではなく、溝部の径方向内側の面が径方向と直交する方向に対して傾斜して形成されていてもよい。
【０７４９】
上記第１及び第３実施形態では、回転体３７２Ｒ，３３７２Ｒの径方向視において、磁石３７２Ｒｂの外形は、第２回転体３７２Ｒｃ，３３７２Ｒｃの溝部３７２Ｒｃ２，３３７２Ｒｃ２よりも小さく形成される場合を説明したが、必ずしもこれに限られるものでなく、磁石３７２Ｒｂの外径は、第２回転体３７２Ｒｃ，３３７２Ｒｃの溝部３７２Ｒｃ２，３３７２Ｒｃ２よりも大きく形成されても良い。この場合、遊技球が溝部３７２Ｒｃ２に吸着される範囲を増加することができるので、遊技球が回転体３７２Ｒ，３３７２Ｒの外周面により吸着しやすい状態とすることができる。
【０７５０】
上記第１から第４実施形態では、回転体３７２Ｒ，２３７２Ｒ，３３７２Ｒ，４３７２Ｒの内部に磁石３７２Ｒｂ，２３７２Ｒｂが配設される場合を説明したが、必ずしもこれに限られるものではなく、磁石３７２Ｒｂ，２３７２Ｒｂは、回転体３７２Ｒ，２３７２Ｒ，３３７２Ｒ，４３７２Ｒの外周面と略一致する位置に配置されても良い。即ち、磁石３７２Ｒｂ，２３７２Ｒｂを露出した状態で配設しても良い。
【０７５１】
なお、磁石３７２Ｒｂ，２３７２Ｒｂの外周面は、第２回転体３７２Ｒｃ，２３７２Ｒｃ，３３７２Ｒｃ，４３７２Ｒｃの溝部３７２Ｒｃ２，２３７２Ｒｃ２，３３７２Ｒｃの凹設先端面と略一致して配設されることが好ましい。この場合、回転体３７２Ｒ，２３７２Ｒ，３３７２Ｒ，４３７２Ｒの回転により、第６送球経路ＫＲ６に送球された遊技球を磁石３７２Ｒｂ，２３７２Ｒｂに直接吸着して、第７送球経路ＫＲ７に送球することができる。よって、磁石３７２Ｒｂ，２３７２Ｒｂの吸着面を店舗の店員または遊技者に視認させることができるので、磁石が破損した場合には、店舗の店員または遊技者が即座に認識でき、パチンコ機１０の故障に即座に対応できる。
【０７５２】
上記第１から第３実施形態では、回転体３７２Ｒ，２３７２Ｒ，３３７２Ｒは、溝部３７２Ｒｃ２，２３７２Ｒｃ２，３３７２ｃが、第６送球経路ＫＲ６と隣合う位置に配設される際に、第６送球経路ＫＲ６を流下する遊技球が吸着される場合を説明したが、必ずしもこれに限られるものではない。例えば、ストッパ部３９６を変位させた状態として、第６送球経路を流下する遊技球を停止させて、その停止した遊技球を、回転体３７２Ｒ，２３７２Ｒ，３３７２Ｒを回転させて吸着させてもよい。この場合、ストッパ部３９６の変位により、回転体３７２Ｒ，２３７２Ｒ，３３７２Ｒと遊技球とが吸着する場合を形成することができるので、遊技者に回転体３７２Ｒ，２３７２Ｒ，３３７２Ｒの回転だけでなくストッパ部３９６の変位を見せることができる。これにより、遊技者に複数の送球形態を視認させることができるので、遊技者に興趣を与えることができる。
【０７５３】
上記第１実施形態では、入賞口ユニット６００に、可変板６５２が前後方向にスライド変位する可変入賞装置６５０が配設される場合を説明したが、必ずしもこれに限られるものではなく、可変板６５２が、一端を軸に回転変位するものであってもよい。この場合、遊技者側から可変板６５２の変位を視認しやすくできるので、遊技者は、可変板６５２の動きに合わせて遊技球を遊技領域に打出す動作といった遊技を行いやすくなる。よって、遊技者に興趣を与えることができる。
【０７５４】
上記第１実施形態では、経路部材６４０の重力方向下側に、可変入賞装置６５０の可変板６５２が配設される場合を説明したが、必ずしもこれに限られるものではない。例えば、可変入賞装置６５０の可変板６５２が、経路部材６４０の下端面の一部となるように形成してもよい。
【０７５５】
即ち、経路部材６４０の第１経路６４１及び第２経路６４２の一部が可変板６５２の上面となるように形成しても良い。この場合、可変板の６５２をその上面に遊技球が乗った状態でスライド変位させると、そのスライド変位に合わせて、遊技球を前方に変位させることができる。よって、スライド変位に合わせて、遊技球を貫通孔６３２ａに近づけることができるので、遊技球が貫通孔６３２ａに入賞（入球）する確率を高めることができる。なお、可変板６５２がスライド変位する際に、その上面に乗った遊技球が滑らないように、可変板６５２の上端面には、凹凸をつけて摩擦抵抗を増加することが好ましい。
【０７５６】
上記第９実施形態では、可変板９６４４ａが第２連結孔８６３２から離間する方向に向かって下降傾斜する場合を説明したが、必ずしもこれに限られるものではない。例えば、可変板９６６４４ａが、第２連結孔８６３２に近づく方向に向かって下降傾斜しても良い。
【０７５７】
この場合、第３経路９６４５及び第４経路９６４６に送球される遊技球を第２連結孔８６３２にスムーズに送球することができる。即ち、可変板９６４４ａの上を転動する遊技球の転動方向を第２連結孔８６３２ｅに向かう方向とすることができる。
【０７５８】
また、可変板９６４４ａの傾倒する方向が、入賞口ユニット９６００の背面側に向かって下降傾斜する構成でもよく、入賞口ユニット９６００の正面側に向かって下降傾斜する構成でもよい。
【０７５９】
上記第５実施形態では、回転体５３７２Ｒに配設した解除部材５３７２Ｒｄを変位させた際に、解除部材５３７２Ｒｄの一部を回転体５３７２Ｒの径方向外側に変位させることで、先行する遊技球と回転体５３７２Ｒとの吸着を解除する場合を説明したが、必ずしもこれに限られるものではない。
【０７６０】
図１３８を参照して説明する。図１３８（ａ）は、回転体１３５７２Ｒの側面図であり、図１３８（ｂ）は、回転体１３５７２Ｒの上面図であり、図１３８（ｃ）は、図１３８（ｂ）のＣＸＸＸＶＩＩＩｃ−ＣＸＸＸＶＩＩＩｃ線における回転体１３５７２Ｒの断面図であり、図１３８（ｄ）は、図１３８（ｂ）のＣＸＸＸＶＩＩＩｄ−ＣＸＸＸＶＩＩＩｄ線における回転体１３５７２Ｒの断面図である。
【０７６１】
図１３８に示すように、解除部材１３５７２Ｒｄを一端を軸に回転可能な状態で回転体１３５７２Ｒに配設すると共に、解除部材１３５７２Ｒｄに磁石３７２Ｒｂを配置する。
【０７６２】
解除部材１３５７２Ｒｄは、回転体１３５７２Ｒの外周面に凹設される溝部３７２Ｒｃ２の内周部分に延設して形成されると共に、その一部が回転体１３５７２Ｒの外周面よりも径方向外側に突出される押圧部５３７２Ｒｄ２を備える。
【０７６３】
磁石３７２ｂは、溝部３７２Ｒｃ２の径方向内側に位置すると共に、解除部材１３５７２Ｒｄの溝部３７２Ｒｃ２の内周部分に延設された部分に取着される。
【０７６４】
よって、押圧部５３７２Ｒｄ２が後行する遊技球により押圧された際に、磁石３７２Ｒｄが、回転体１３５７２Ｒの径方向内側に変位できる。その結果、回転体１３５７２Ｒの外周面に作用する磁石３７２Ｒｂの磁力が弱まるので、回転体１３５７２に吸着する先行する遊技球を脱落させることができる。
【０７６５】
上記第１実施形態では、溝部３７２Ｒｃ２の凹設深さが溝部３７２Ｒｃ２遊技球が嵌った状態で溝部３７２Ｒｃ２の底面に遊技球が当接される場合を説明したが、必ずしもこれに限られるものではない。例えば、溝部３７２Ｒｃ２の凹設深さは、その溝部３７２Ｒｃ２に遊技球が嵌った状態で、溝部３７２Ｒｃ２の底面に遊技球が非当接となる寸法に設定されてもよい。この場合、溝部３７２Ｒｃ２の内縁（溝部３７２Ｒｃ２の内面と回転体３７２Ｒの外周面との稜線）を遊技球に当接させることができる。よって、回転体３７２Ｒの回転に伴って遊技球が送球される際に、回転体３７２Ｒの回転方向に遊技球がぐらつくことを抑制でき、その結果、遊技球の吸着が解除されることを抑制できる。
【０７６６】
特に、回転体３７２Ｒの回転に伴って遊技球が送球される際には、遊技球（溝部３７２Ｒｃ２）が、重力方向最上方位置を通過する前後で、遊技球に作用する重力の垂直方向成分の方向が逆転するため、その逆転の反作用により遊技球が回転体３７２Ｒの回転方向にぐらつきやすい。これに対し、本実施形態によれば、溝部３７２Ｒｃ２の内縁（溝部３７２Ｒｃ２の内面と回転体３７２Ｒの外周面との稜線）を遊技球に当接させることができる、即ち、回転体３７２Ｒの回転方向の両側から遊技球を溝部３７２Ｒｃ２の内縁により挟み込むことができるので、回転体３７２Ｒの回転方向に遊技球がぐらつくことを抑制でき、その結果、遊技球の吸着が解除されることを抑制できる。
【０７６７】
上記第１実施形態では、第１乱反射部３５３ｄと第２乱反射部３５４ｂとのそれぞれの背面側に、複数のＬＥＤ３５５ａがそれぞれ配置される場合を説明したが、必ずしもこれに限られるものではない。例えば、第１乱反射部３５３ｄと第２乱反射部３５４ｂとを跨ぐ位置に１のＬＥＤ３５５ａが配置されていても良い。この場合、ＬＥＤ３５５ａの個数を少なくすることができるので、製造コストが高くなることを抑制できる。
【０７６８】
上記第１０実施形態では、経路切替部材１０６７０の外面に２球の遊技球が吸着（垂下）される場合を説明したが、必ずしもこれに限られるものではない。例えば、経路切替部材１０６７０の外面に３球の遊技球が吸着（垂下）されても良い。
【０７６９】
この場合、第２経路１０６４２の先端部１０６４２ａの上下方向位置を第１経路１０６４１よりも遊技球の直径分下方に位置して配置することで、先行する２球の遊技球を第２経路１０６４２に送球して、後行する１球の遊技球を第３経路に送球することができる。また、第２経路１０６４２の先端部１０６４２ａの上下方向位置を第１経路１０６４１と略同一とすることで、先行する１球の遊技球を第２経路１０６４２に送球して、後行する２球の遊技球を第３経路１０６４３へ送球することができる。即ち、複数の遊技球が経路切替部材１０６７０の外面に吸着（垂下）した際に、第２経路１０６４２に送球する球数を任意に設定することができ、設計の自由度を高めることができる。
【０７７０】
上記第１０実施形態では、経路切替部材１０６７０の外面に２球の遊技球が吸着（垂下）した際に、遊技球との間に先端部１０６４２ａを差し込んで分断する場合を説明したが必ずしもこれに限られるものではない。例えば、先行する遊技球に垂下する後行する遊技球の外面に当接する当接部材を当接させて、先行する遊技球と共に後行する遊技球を落下させてもよい。
【０７７１】
なお、先行する遊技球と共に後行する遊技球を落下させるための形状としては、経路切替部材１０６７０に形成する溝部１０６７１ｂ１の下端側を下側ベース部材１０６７１ｂ（経路切替部材１０６７０）の下面側に連結させて、溝部１０６７１ｂ１の下面と経路切替部材１０６７０の外周面との段差をなくすことが好ましい。経路切替部材１０６７０に形成する溝部１０６７１ｂ１の下端側を下側ベース部材１０６７１ｂ（経路切替部材１０６７０）の下面側に連結させることで、経路切替部材１０６７０の外面に吸着した先行する遊技球に後行する遊技球が吸着（垂下）した際に、先行する遊技球が溝部１０６７１ｂ１の下端面と当接することがなくなるので、先行する遊技球を下方に変位しやすくできる。よって、先行する遊技球と共に後行する遊技球を経路切替部材１０６７０の外面から落下させることができる。
【０７７２】
また、溝部１０６７１ｂ１を、下側ベース部材１０６７１ｂ（経路切替部材１０６７０）の外周面と同一の周面上に形成してもよい。この場合、経路切替部材１０６７０の外面に吸着した先行する遊技球に後行する遊技球が吸着（垂下）した際に、先行する遊技球が溝部１０６７１ｂ１の下端面と当接することがなくなるので、先行する遊技球を下方に変位しやすくできる。よって、先行する遊技球と共に後行する遊技球を経路切替部材１０６７０の外面から落下させることができる。
【０７７３】
さらに、溝部１０６７１ｂ１の内面（先行する遊技球が吸着する面）を重力方向下側に向けて径方向内側に傾斜させてもよい。溝部１０６７１ｂ１の内面（先行する遊技球が吸着する面）が重力方向下側に向けて径方向内側に傾斜することで、経路切替部材１０６７０の外面に吸着した先行する遊技球に後行する遊技球が吸着（垂下）した際に、先行する遊技球が下方に変位しやすくできる。よって、先行する遊技球と共に後行する遊技球を経路切替部材１０６７０の外面から落下させることができる。
【０７７４】
上記第１０実施形態では、経路切替部材１０６７０の外周面に遊技球が２球吸着される場合を説明したが、必ずしもこれに限られるものではない。例えば、３球の遊技球が吸着された場合には、その荷重により、先行する遊技球と経路切替部材１０６７０との吸着が解除されるように設定しても良い。または、先行する１球目の遊技球は、第２経路１０６４２に、２球目の遊技球は第３経路１０６４３に、３球目の遊技球は、回収口に送球するものであっても良い。
【０７７５】
上記第１から第３実施形態では、回転体３７２Ｒ，２３７２Ｒ，３３７２Ｒの外面に沿って延設される第２転動部３８１ｃが回転体３７２Ｒ，２３７２Ｒ，３３７２Ｒの軸よりも上方に形成される場合を説明したが、必ずしもこれに限られるものではない。例えば、第２転動部３８１ｃが回転体３７２Ｒ，２３７２Ｒ，３３７２Ｒの軸よりも下方に形成されても良い。この場合、先行する遊技球が回転体３７２Ｒ，２３７２Ｒ，３３７２Ｒの外面に吸着して、先行する遊技球に後行する遊技球が吸着した際に、先行する遊技球と回転体３７２Ｒ，２３７２Ｒ，３３７２Ｒの外面との吸着を解除しやすくできる。
【０７７６】
上記第１から第３実施形態では、回転体３７２Ｒ，２３７２Ｒ，３３７２Ｒに形成される溝部３７２Ｒｃ２，２３７２Ｒｃ２，３３７２Ｒｃ２が、凹設して形成される場合を説明したが、必ずしもこれに限られるものではない。例えば、溝部３７２Ｒｃ２，２３７２Ｒｃ２，３３７２Ｒｃ２が、回転体３７２Ｒ，２３７２Ｒ，３３７２Ｒの外周面と同一周面に形成されてもよい。
【０７７７】
この場合、先行する遊技球が回転体３７２Ｒ，２３７２Ｒ，３３７２Ｒの外面に吸着して、先行する遊技球に後行する遊技球が吸着した際に、先行する遊技球と回転体３７２Ｒ，２３７２Ｒ，３３７２Ｒの外面との吸着を解除しやすくできる。
【０７７８】
また、溝部３７２Ｒｃ２，２３７２Ｒｃ２，３３７２Ｒｃ２が、回転体３７２Ｒ，２３７２Ｒ，３３７２Ｒの外周面から突出して形成されてもよい。この場合、先行する遊技球が回転体３７２Ｒ，２３７２Ｒ，３３７２Ｒの外面に吸着して、先行する遊技球に後行する遊技球が吸着した際に、先行する遊技球を溝部３７２Ｒｃ２，２３７２Ｒｃ２，３３７２Ｒｃ２から移動させやすくできる。先行する遊技球と回転体３７２Ｒ，２３７２Ｒ，３３７２Ｒの外面との吸着を解除しやすくできる。
【０７７９】
上記第７実施形態では、貫通孔７６１３ｅが、中央カバー部材７６１３の背面から正面へ貫通形成される場合を説明したが必ずしもこれに限られるものではなく、中央カバー部材７６１３の背面に凹設されたものでも良い。また、凹設でなく、中央カバー部材７６１３の背面側から突出された部位で遊技球を保持するものでも良い。
【０７８０】
なお、この場合、先行する遊技球に後行する遊技球を衝突させた際に、後行する遊技球が、貫通孔６３２ａ側に反発するために、中央カバー部材７６１３とベース板６３０との対向間の間隔を２球の遊技球の直径寸法と略同一に設定するとすることが好ましい。
【０７８１】
上記第７実施形態では、連結孔６３２ｂの幅を遊技球の直径と略同一に設定したが必ずしもこれに限られるものではない。例えば、連結孔６３２ｂの幅を遊技球直径よりも十分に大きい寸法（例えば、遊技球２個分の直径寸法）に設定しても良い。
【０７８２】
この場合、貫通孔６３２ａと離間する側の貫通孔７６１３ｅの内縁部が、貫通孔６３２ａと離間する側の連結孔６３２ｂの側面と遊技球の半径分までの間でベース板６３０の左右方向にずれた位置に形成されることが好ましい。これによれば、貫通孔７６１３ｅの内縁部に送球される先行する遊技球に後行する遊技球を衝突させた際に、後行する遊技球を貫通孔６３２ａ側に反発させやすくできる。
【０７８３】
上記第７実施形態では、連結孔６３２ｂの左右方向における対向間の幅を遊技球の直径と略同一に設定する場合を説明したが必ずしもこれに限られるものではない。例えば、遊技球の直径よりも大きい値（例えば、遊技球の直径の１．２倍）に設定するしても良い。この場合、連結孔６３２ｂから遊技球を排出しやすくできるので、連結孔６３２ｂに遊技球が詰まることを抑制できる。
【０７８４】
この場合、貫通孔６３２ａと近接する側の貫通孔７６１３ｅの内縁部が、貫通孔６３２ａと近接する側の連結孔６３２ｂの側面と遊技球の半径分までの間でベース板６３０の左右方向にずれた位置に形成されることが好ましい。これによれば、貫通孔７６１３ｅの内縁部に送球される先行する遊技球に後行する遊技球を衝突させた際に、後行する遊技球を貫通孔６３２ａ側に反発させやすくできる。
【０７８５】
上記第７実施形態では、貫通孔７６１３ｅが略円形に形成される場合を説明したが、必ずしもこれに限られるものではない。例えば、貫通孔７６１３ｅがベース板６３０の左右方向に長い長穴状に形成されると共に、左右方向外側に向かって短手方向の幅寸法が大きく形成されるものであってもよい。この場合、連結孔６３２ｂから送球される遊技球を貫通孔７６１３ｅの内縁形状により左右方向に変位しやすくできる。よって、貫通孔７６１３ｅの配置に自由度を持たせることができるので、設計の自由度を向上できる。
【０７８６】
上記第８，９実施形態では、可変板８６４４ｂａ，９６４４ａの上部に乗る遊技球の球数が２球に設定されたが、必ずしもこれに限られるものではなく、例えば、可変板８６４４ｂａ，９６４４ａの板の長さを長くして２球の遊技球が上部に乗る場合と、３球の遊技球が上部に乗る場合とで、可変板８６４４ｂａ，９６４４ａの動作を切り替えても良い。即ち、可変板８６４４ｂａ，９６４４ａの動作を任意で設定できるので、設計の自由度を向上できる。
【０７８７】
上記第２実施形態では、磁石２３７２Ｒｂが、回転体２３７２Ｒの軸方向に螺旋状に曲がって形成される場合を説明したが、必ずしもこれに限られるものではない。例えば、直線状に形成される磁石でもよい。
【０７８８】
この場合、磁石２３７２Ｒｂを、第２転動部３８１ｃの上流側に向かうに従って回転体２３７２Ｒの回転方向に傾斜して配置することが好ましい。その結果、第２転動部３８１ｃを転動する遊技球を回転体２３７２Ｒの外周面に吸着させやすくできる。
【０７８９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７９０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７９１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７９２】
以下に、本発明の遊技機に加えて上述した実施形態に含まれる各種発明の概念を示す。
【０７９３】
＜可動入球役物装置３００を一例とする発明の概念について＞
遊技者から視認可能な位置に変位可能に配設され変位位置に応じて遊技球の流下経路を切り替える変位部材を備えた遊技機において、光を発光可能に形成される１又は複数の発光手段が発光面を正面側へ向けて搭載される基板部材と、その基板部材の正面側に配設され光透過材料から形成される第１透過部材および第２透過部材とを備え、前記変位部材が光透過性材料から形成されると共に前記第２透過部材の正面側に配設され、前記第２透過部材と前記基板部材との間の距離が、前記第１透過部材と前記基板部材との間の距離と異なる距離に設定されることを特徴とする遊技機Ａ１。
【０７９４】
ここで、遊技者から視認可能な位置に変位可能に配設され変位位置に応じて遊技球の流下経路を切り替える変位部材を備えた遊技機が知られている（特開平８−１３１６１２号公報）。この場合、光透過性材料から形成される透過部材の正面側に変位部材を配設し、透過部材の背面から光を照射することで、透過部材を透過した光と共に変位部材を遊技者に視認させ、変位部材に着目させるという技術も知られている。しかしながら、従来の上述した技術では、変位部材が光を透過しない非透過性材料から形成されるため、その変位部材の大きさの分、遊技者に視認させる光の領域（面積）が減少され、演出効果が阻害される。
【０７９５】
これを受け、本願出願人は、変位部材を光透過性材料から形成することで、透過部材に加え、変位部材を透過する光も遊技者に視認可能として、遊技者に視認させる光の領域（面積）を確保する技術を開発した（本出願時において未公知）。しかしながら、変位部材を光透過性材料から形成した場合には、かかる変位部材の位置を遊技者が特定し難いという問題点のあることが判明した。
【０７９６】
これに対し、遊技機Ａ１によれば、光を発光可能に形成される１又は複数の発光手段が発光面を正面側へ向けて搭載される基板部材と、その基板部材の正面側に配設され光透過材料から形成される第１透過部材および第２透過部材とを備え、変位部材が光透過性材料から形成されると共に第２透過部材の正面側に配設され、第２透過部材と基板部材との間の距離が、第１透過部材と基板部材との間の距離と異なる距離に設定されるので、遊技者に視認させる光の領域（面積）を確保しつつ、変位部材の位置を遊技者に特定させやすくできる。即ち、第１透過部材と第２透過部材とで発光手段からの距離が異なるため、第１透過部材および第２透過部材をそれぞれ透過する際の光の拡散の態様を異ならせことができる。よって、第１透過部材を透過して遊技者に視認させる光の態様と、第２透過部材透過して遊技者に視認させる光の態様とを異ならせることができる。その結果、第２透過部材の正面側に配設される変位部材の位置を遊技者に特定させやすくできる。
【０７９７】
なお、基板部材に複数の発光手段が搭載される場合、基板部材の領域のうちの第１透過部材と対面する第１の領域および第２透過部材と対面する第２の領域の両方に発光手段が搭載されている必要はなく、第１又は第２の領域のうちの少なくとも一方の領域に搭載されていれば足りる。また、第１の領域および第２の領域の両方の領域に重なる位置に発光手段が搭載されていても良い。
【０７９８】
遊技機Ａ１において、前記第１透過部材および第２透過部材には、正面または背面の少なくとも一方に凹凸が形成されることを特徴とする遊技機Ａ２。
【０７９９】
遊技機Ａ２によれば、遊技機Ａ１の奏する効果に加え、第１透過部材および第２透過部材には、正面または背面の少なくとも一方に凹凸が形成されるので、発光手段から発光される第１透過部材および第２透過部材を透過する光を、凹凸により拡散させやすくできる。この場合、第１透過部材と第２透過部材とで発光手段からの距離が異なるため、第１透過部材を透過する光の拡散の態様と、第２透過部材を透過する光の拡散の態様とを異ならせることができる。よって、第１透過部材を透過して遊技者に視認させる光の態様と、第２透過部材透過して遊技者に視認させる光の態様との相違をより大きくできる。その結果、第２透過部材の正面側に配設される変位部材の位置を遊技者に特定させやすくできる。
【０８００】
遊技機Ａ２において、前記第１透過部材に形成される凹凸と、前記第２透過部材に形成される凹凸とが略同一とされることを特徴とする遊技機Ａ３。
【０８０１】
遊技機Ａ３によれば、遊技機Ａ２の奏する効果に加え、第１透過部材に形成される凹凸と、第２透過部材に形成される凹凸とが略同一とされるので、発光手段から光が発光されていない状態では、第１透過部材と第２透過部材（変位部材を透過して視認される第２透過部材）とを同一の外観として遊技者に視認させることができる。即ち、発光手段の発光後は異なる外観（光の態様）となる第１透過部材と第２透過部材とを、発光手段の発光前には同一の外観としておけることで、第１透過部材と第２透過部材との外観（光の態様）が異なる（相違した）ものとなる演出を引き立たせることができる。
【０８０２】
なお、第１透過部材と第２透過部材とで凹凸が同一であっても、第１透過部材と第２透過部材とで発光手段からの距離が異なるため、第１透過部材および第２透過部材をそれぞれ透過する際の光の拡散の態様を異ならせことができる。即ち、第１透過部材を透過して遊技者に視認させる光の態様と、第２透過部材透過して遊技者に視認させる光の態様とを異ならせることができる。
【０８０３】
遊技機Ａ１からＡ３のいずれかにおいて、前記第１透過部材と前記第２透過部材とを連結する連結部材を備えることを特徴とする遊技機Ａ４。
【０８０４】
遊技機Ａ４によれば、遊技機Ａ１からＡ３のいずれかの奏する効果に加え、第１透過部材と第２透過部材とを連結する連結部材を備えるので、第１透過部材または第２透過部材のうちの一方（発光手段との間の距離が小さい方）を透過した光が、第１透過部材または第２透過部材のうちの他方（発光手段との間の距離が大きい方）と発光手段との間へ侵入することを連結部材により抑制できる。その結果、第１透過部材と第２透過部材とで、それらを透過して遊技者に視認させる光の態様（特に、明暗）を異ならせやすくできる。その結果、第２透過部材の正面側に配設される変位部材の位置を遊技者に特定させやすくできる。
【０８０５】
遊技機Ａ４において、前記第１透過部材および第２透過部材には、正面または背面の少なくとも一方に凹凸が形成され、前記連結部材の正面または背面には、凹凸が非形成とされることを特徴とする遊技機Ａ５。
【０８０６】
遊技機Ａ５によれば、遊技機Ａ４の奏する効果に加え、第１透過部材および第２透過部材には、正面または背面の少なくとも一方に凹凸が形成され、連結部材の正面または背面には、凹凸が非形成とされるので、第１透過部材および第２透過部材（変位部材を透過して視認される第２透過部材）と連結部材とを異なる外観として遊技者に視認させることができる。これにより、連結部材を利用して、第１透過部材と第２透過部材との境界を明確とでき、その結果、第２透過部材の正面側に配設される変位部材の位置を遊技者に特定させやすくできる。
【０８０７】
遊技機Ａ１からＡ５のいずれかにおいて、前記第１透過部材または第２透過部材のうちの一方と前記発光手段との間の距離が、前記第１透過部材または第２透過部材のうちの他方と前記発光手段との間の距離よりも大きくされ、前記一方が前記他方よりも重力方向上方に位置することを特徴とする遊技機Ａ６。
【０８０８】
遊技機Ａ６によれば、遊技機Ａ１からＡ５のいずれかの奏する効果に加え、第１透過部材または第２透過部材のうちの一方と発光手段との間の距離が、第１透過部材または第２透過部材のうちの他方と発光手段との間の距離よりも大きくされ、一方が他方よりも重力方向上方に位置するので、発光手段が破損することを抑制できる。
【０８０９】
即ち、発光手段との間の距離が小さい（狭い）側では、発光手段との間の距離が大きい（広い）側と比較して、空間が狭くなる分、発光手段から発生した熱により空間内の温度が高くなり、発光手段の破損するおそれが高くなる。これに対し、遊技機Ａ６によれば、発光手段との間の距離が小さい側（狭い）側における空間内の温度が高くされた空気を、その重力方向上方に位置する空間（即ち、発光手段との間の距離が大きい（広い）側の空間）へ上昇させて逃がすことができる。その結果、上記距離が小さい（狭い）側における発光手段の破損を抑制できる。
【０８１０】
遊技機Ａ６において、前記第１透過部材と前記発光手段との間の距離が、前記第２透過部材と前記発光手段との間の距離よりも大きくされ、前記変位部材と前記第２透過部材との対向間が遊技球の第１の流下経路とされることを特徴とする遊技機Ａ７。
【０８１１】
遊技機Ａ７によれば、遊技機Ａ６の奏する効果に加え、第１透過部材と発光手段との間の距離が、第２透過部材と発光手段との間の距離よりも大きくされ、変位部材と第２透過部材との対向間が遊技球の第１の流下経路とされるので、変位部材、第１透過部材および第２透過部材からなるユニットの小型化を図ることができる。即ち、遊技者に視認させる光の態様を異ならせるために形成された変位部材および第２透過部材の間の空間を、遊技球の第１の流下経路とすることで、デッドスペースを有効に活用でき、流下経路のための空間を別途確保する必要がない。よって、その分、ユニットの小型化を図ることができる。
【０８１２】
遊技機Ａ１からＡ７のいずれかにおいて、前記変位部材は、基端側が回転可能に軸支された板状体として形成されると共に、先端側に板厚を大きくした板厚部が形成されることを特徴とする遊技機Ａ８。
【０８１３】
遊技機Ａ５によれば、遊技機Ａ１からＡ７のいずれかの奏する効果に加え、変位部材は、基端側が回転可能に軸支された板状体として形成されると共に、先端側に板厚を大きくした板厚部が形成されるので、変位部材を透過して遊技者に視認される光のうち、板厚部を透過して遊技者に視認される光を、板厚部を除く他の部分を透過して遊技者に視認される光と異ならせることができる。また、変位部材が基端側を中心として回転されるに伴って、先端側（板厚部）を透過して視認される光の位置を変位させることができる。即ち、変位部材の先端側（板厚部）を透過して視認される光の位置が変位されることを利用して、変位部材の変位（回転）動作を遊技者に認識させやすくできる。
【０８１４】
遊技機Ａ８において、前記板厚部の正面または背面の少なくとも一方が断面円弧状に湾曲して形成されることを特徴とする遊技機Ａ９。
【０８１５】
遊技機Ａ９によれば、遊技機Ａ８の奏する効果に加え、板厚部の正面または背面の少なくとも一方が断面円弧状に湾曲して形成されるので、かかる板厚部をレンズとして機能させる（即ち、板厚部に入射された光を屈折させて発散または集束させる）ことができる。これにより、変位部材を透過して遊技者に視認される光のうち、板厚部を透過して遊技者に視認される光と、板厚部を除く他の部分を透過して遊技者に視認される光との相違をより明確とすることができる。その結果、変位部材の変位（回転）動作を遊技者に認識させやすくできる。
【０８１６】
遊技機Ａ８又はＡ９において、前記変位部材が前記第１透過部材と略面一となる位置に配置可能に形成されることを特徴とする遊技機Ａ１０。
【０８１７】
遊技機Ａ１０によれば、遊技機Ａ８又はＡ９の奏する効果に加え、変位部材が第１透過部材と略面一となる位置に配置可能に形成されるので、変位部材と第１透過部材とを一体的に視認させ、発光手段から発光され遊技者に視認させる光の領域（面積）をより大きな領域として視認させることができる。
【０８１８】
遊技機Ａ１０において、前記変位部材の正面へ向けて下降傾斜され遊技球が転動される転動部材を備え、その転動部材の下流端における高さ位置が、前記第１透過部材と略面一となる位置に配置された前記変位部材の板厚部における高さ位置よりも遊技球の半径分だけ低くされることを特徴とする遊技機Ａ１１。
【０８１９】
遊技機Ａ１１によれば、遊技機Ａ１０の奏する効果に加え、変位部材の正面へ向けて下降傾斜され遊技球が転動される転動部材を備え、その転動部材の下流端における高さ位置が、第１透過部材と略面一となる位置に配置された変位部材の板厚部における高さ位置よりも遊技球の半径分だけ低くされるので、転動部を転動して下流端から変位部材の正面へ向けて送球された遊技球を、板厚が大きくされることで強度が比較的高くされた変位部材の板厚部へ衝突させることができる。これにより、変位部材の破損を抑制できる。
【０８２０】
＜可変ユニット３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の外周面に並設されると共に遊技球が転動される転動面を備え、その転動面が前記回転部材の回転軸よりも重力方向上方に位置することを特徴とする遊技機Ｂ１。
【０８２１】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。回転部材へ向けて２球の遊技球が連なって転動されると、先行する遊技球が回転部材の外周面に吸着されると共に、その先行する遊技球に後行する遊技球が吸着される場合がある。この場合、回転部材が回転されると、２球分の重さが作用することで、回転部材と先行する遊技球との間の吸着が解除されるという問題点があった。
【０８２２】
これに対し、遊技機Ｂ１によれば、回転部材の外周面に並設されると共に遊技球が転動される転動面を備え、その転動面が回転部材の回転軸よりも重力方向上方に位置するので、例えば、回転部材へ向けて２球の遊技球が連なった状態で転動面を転動され、先行する遊技球が回転部材の外周面に吸着されると共に、その先行する遊技球に後行する遊技球が吸着された場合には、先行する遊技球を回転部材の外周面に載せやすくできる。よって、回転部材と先行する遊技球との間の吸着を解除され難くできる。
【０８２３】
遊技機Ｂ１において、前記回転部材を挟んで前記転動面と反対側において前記回転部材の外周面に並設されると共に前記回転部材の外周面に吸着されて送球された遊技球を受け取る受取面を備え、その受取面が前記回転部材の回転軸よりも重力方向上方に位置することを特徴とする遊技機Ｂ２。
【０８２４】
ここで、回転部材の外周面に吸着されて送球された遊技球は、回転部材を挟んで転動面と反対側において回転部材の外周面に並設される受取面に受け取られるところ、この際に遊技球が受取面で跳ねやすく、回転部材の外周面から受取面へ遊技球をスムーズに送球することが困難であるという問題点があった。
【０８２５】
これに対し、遊技機Ｂ２によれば、遊技機Ｂ１の奏する効果に加え、受取面が回転部材の回転軸よりも重力方向上方に位置するので、遊技球が受取面で跳ねることを抑制して、回転部材の外周面から受取面へ遊技球をスムーズに送球することができる。即ち、遊技機Ｂ２によれば、回転部材の回転に伴って重力方向下方への変位成分が大きくなる前に（即ち、水平方向成分が比較的多い段階で）、受取面に遊技球を受け取らせることができるので、遊技球が受取面で跳ねることを抑制できる。また、受取面に遊技球を受け取らせる前に、かかる遊技球の吸着が解除されて、回転部材の外周面から受取面へ遊技球が落下することを抑制できる。この点からも、遊技球が受取面で跳ねることを抑制できる。
【０８２６】
遊技機Ｂ２において、前記受取面は、前記回転部材から離間する方向へ向けて下降傾斜して形成されることを特徴とする遊技機Ｂ３。
【０８２７】
遊技機Ｂ３によれば、遊技機Ｂ２の奏する効果に加え、受取面は、回転部材から離間する方向へ向けて下降傾斜して形成されるので、回転部材の外周面に吸着されその回転部材の回転に伴って送球される遊技球の送球方向を、受取面に受け取られた後の遊技球の転動方向に近づけることができる。その結果、遊技球が受取面で跳ねることを抑制して、回転部材の外周面から受取面へ遊技球をスムーズに送球することができる。
【０８２８】
遊技機Ｂ１からＢ３のいずれかにおいて、前記回転部材は、その外周面に凹設される凹部を備え、前記磁石は、前記凹部の内面に前記遊技球を吸着させる位置に配設されることを特徴とする遊技機Ｂ４。
【０８２９】
遊技機Ｂ４によれば、遊技機Ｂ１からＢ３のいずれかの奏する効果に加え、回転部材は、その外周面に凹設される凹部を備え、磁石は、凹部の内面に遊技球を吸着させる位置に配設されるので、凹部の内面（外周面との間の段差）で遊技球を支持することができる。その結果、例えば、回転部材へ向けて２球の遊技球が連なった状態で転動面を転動され、先行する遊技球が回転部材の外周面に吸着されると共に、その先行する遊技球に後行する遊技球が吸着された場合に、回転部材と先行する遊技球との間の吸着を解除され難くできる。
【０８３０】
遊技機Ｂ４において、前記凹部の凹設深さは、その凹部に遊技球が嵌った状態で、凹部の底面に遊技球が非当接となる寸法に設定されることを特徴とする遊技機Ｂ５。
【０８３１】
遊技機Ｂ５によれば、遊技機Ｂ４の奏する効果に加え、凹部の凹設深さは、その凹部に遊技球が嵌った状態で、凹部の底面に遊技球が非当接となる寸法に設定されるので、凹部の内縁（凹部の内面と回転部材の外周面との稜線）を遊技球に当接させることができる。よって、回転部材の回転に伴って遊技球が送球される際に、回転部材の回転方向に遊技球がぐらつくことを抑制でき、その結果、遊技球の吸着が解除されることを抑制できる。
【０８３２】
特に、回転部材の回転に伴って遊技球が送球される際には、遊技球（凹部）が、重力方向最上方位置を通過する前後で、遊技球に作用する重力の垂直方向成分の方向が逆転するため、その逆転の反作用により遊技球が回転部材の回転方向にぐらつきやすい。これに対し、遊技機Ｂ５によれば、凹部の内縁（凹部の内面と回転部材の外周面との稜線）を遊技球に当接させることができる、即ち、回転部材の回転方向の両側から遊技球を凹部の内縁により挟み込むことができるので、回転部材の回転方向に遊技球がぐらつくことを抑制でき、その結果、遊技球の吸着が解除されることを抑制できる。
【０８３３】
遊技機Ｂ４において、前記回転部材を挟んで前記転動面と反対側において前記回転部材の外周面に並設されると共に前記回転部材の外周面に吸着されて送球された遊技球を受け取る受取面を備え、前記凹部の凹設深さは、その凹部に遊技球が嵌った状態で、凹部の底面に遊技球が当接可能となる寸法に設定されると共に、前記転動面側よりも前記受取面側が小さな寸法に設定されることを特徴とする遊技機Ｂ６。
【０８３４】
遊技機Ｂ６によれば、遊技機Ｂ４の奏する効果に加え、凹部の凹設深さは、その凹部に遊技球が嵌った状態で、凹部の底面に遊技球が当接可能となる寸法に設定されると共に、転動面側よりも受取面側が小さな寸法に設定されるので、回転部材の回転に伴って送球される遊技球が回転部材の回転方向にぐらついた際には、遊技球を凹部から受取面側へ転動（脱落）させやすくできる。即ち、遊技球の吸着が解除されて転動面へ逆戻りすることを抑制できる。
【０８３５】
遊技機Ｂ１からＢ６のいずれかにおいて、前記転動面は、前記回転部材の回転軸の方向と略平行な方向へ遊技球を転動させる傾斜面として形成されることを特徴とする遊技機Ｂ７。
【０８３６】
遊技機Ｂ７によれば、遊技機Ｂ１からＢ６のいずれかの奏する効果に加え、転動面は、回転部材の回転軸の方向と略平行な方向へ遊技球を転動させる傾斜面として形成されるので、転動面を転動する遊技球の転動方向と、回転部材の回転に伴って送球される遊技球の送球方向とを略直交する方向とすることができる。その結果、遊技球の動きに変化を与えると共に、一度に視認可能な遊技球の数を確保して、遊技者の興趣を向上することができる。
【０８３７】
遊技機Ｂ７において、前記転動面における遊技球の転動を遮断する遮断手段を備え、前記回転部材の磁石は、前記遮断手段により転動が遮断された遊技球に吸着可能な位置に配設されることを特徴とする遊技機Ｂ８。
【０８３８】
遊技機Ｂ８によれば、遊技機Ｂ７の奏する効果に加え、転動面における遊技球の転動を遮断する遮断手段を備え、回転部材の磁石は、遮断手段により転動が遮断された遊技球を吸着可能な位置に配設されるので、転動面を転動する遊技球が回転部材に直接吸着される形態と、転動面を転動する遊技球が遮断手段により遮られた後に回転部材に吸着される形態（即ち、遮断手段による遮断がなければ回転部材に吸着せずに通過したであろう遊技球が遮断手段により遮断されたことで回転部材へ吸着可能となった形態）とを形成でき、その結果、遊技者の興趣を向上することができる。
【０８３９】
＜可変ユニット２３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の外周面に並設されると共に前記回転部材の回転軸の方向と略平行な方向へ遊技球を転動させる転動面を備え、前記磁石は、前記回転部材の外周面に遊技球が吸着される吸着位置と、その吸着位置よりも前記転動面の上流側となる上流位置とに少なくとも配設されることを特徴とする遊技機Ｃ１。
【０８４０】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。しかしながら、上述した従来の遊技機では、転動面を遊技球が揺れ動きながら転動するため、回転部材が回転され、その回転部材の吸着位置に対面可能なタイミングで遊技球が転動面を転動してきた場合でも、遊技球が吸着位置に吸着されにくいという問題点があった。
【０８４１】
これに対し、遊技機Ｃ１によれば、磁石は、回転部材の外周面に遊技球が吸着される吸着位置と、吸着位置よりも転動面の上流側となる上流位置とに少なくとも配設されるので、上流位置に配設された磁石の磁力により、遊技球を回転部材の外周面側に引き寄せておくことができ、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８４２】
なお、吸着位置に配設される磁石と上流位置に配設される磁石とは別体に形成されるもの（即ち、２個の磁石）であっても良く、或いは、一体に形成されるもの（即ち、１個の磁石）であっても良い。
【０８４３】
遊技機Ｃ１において、前記回転部材は、その外周面に凹設され前記吸着位置とされる凹部を備えることを特徴とする遊技機Ｃ２。
【０８４４】
ここで、吸着位置では遊技球を回転部材の外周面に吸着させる一方、上流位置では遊技球を回転部材の外周面に吸着させないことが必要である。これを磁石の磁力の差により達成することは（即ち、吸着位置には磁力が強い磁石を、上流位置には磁力が弱い磁石を、それぞれ配設する）、磁力が異なる２種類の磁石を準備する必要があり、製品コストの増加を招く。
【０８４５】
これに対し、遊技機Ｃ２によれば、遊技機Ｃ１の奏する効果に加え、回転部材は、その外周面に凹設され吸着位置とされる凹部を備えるので、１の磁石を回転部材に埋設することで、凹部を利用して、吸着位置における磁石から遊技球までの距離（磁石から凹部の底面までの距離）を、上流位置における磁石から遊技球までの距離）磁石から回転部材の外周面までの距離）よりも小さい寸法に設定できる。即ち、吸着位置では遊技球を回転部材の外周面に吸着させる一方、上流位置では遊技球を回転部材の外周面に吸着させないことが可能となる。よって、２種類の磁石を必要とせず、また、磁石の形状を複雑化する必要もないので、その分、製品コストの削減を図ることができる。
【０８４６】
また、吸着位置に遊技球が吸着されると、かかる遊技球を凹部によって保持することができる。よって、回転部材の回転に伴って遊技球が送球される際に、回転部材の回転方向に遊技球がぐらつくことを抑制でき、その結果、遊技球の吸着が解除されることを抑制できる。
【０８４７】
なお、この場合、凹部の凹設深さは、その凹部に遊技球が嵌った状態で、凹部の底面に遊技球が非当接となる寸法に設定されることが好ましい。凹部の内縁（凹部の内面と回転部材の外周面との稜線）を遊技球に当接させ、遊技球のがたつきを抑制しやすくできるからである。但し、凹部の凹設深さは、その凹部に遊技球が嵌った状態で、凹部の底面に遊技球が当接される寸法であっても良い。
【０８４８】
遊技機Ｃ１又はＣ２において、前記磁石は、前記上流位置に配設される部分の少なくとも一部が、前記吸着位置に配設される部分よりも前記回転部材の回転方向前方側に配設されることを特徴とする遊技機Ｃ３。
【０８４９】
遊技機Ｃ３によれば、遊技機Ｃ１又はＣ２の奏する効果に加え、磁石は、上流位置に配設される部分の少なくとも一部が、吸着位置に配設される部分よりも回転部材の回転方向前方側に配設されるので、吸着位置へ向けて転動面を転動する遊技球に対して、上流位置における磁石の磁力を遊技球に作用させやすくできる。即ち、遊技球を回転部材の外周面側に引き寄せておき、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８５０】
遊技機Ｃ２又はＣ３において、前記凹部の底面は、前記上流位置側へ向けて上昇傾斜されると共に前記回転部材の外周面に滑らかに連なり、少なくとも前記上流位置側において、凹部の底面に遊技球が当接可能に形成されることを特徴とする遊技機Ｃ４。
【０８５１】
遊技機Ｃ４によれば、遊技機Ｃ２又はＣ３の奏する効果に加え、凹部の底面は、上流位置側へ向けて上昇傾斜されると共に回転部材の外周面に滑らかに連なり、少なくとも上流位置側において、凹部の底面に遊技球が当接可能に形成されるので、上流位置における磁石により回転部材の外周面側に引き寄せられた遊技球が、吸着位置における磁石により凹部に嵌り込む際には、かかる遊技球の凹部への嵌り込みをスムーズに行わせることができる。即ち、遊技球が跳ねる（バウンドされる）ことを抑制して、遊技球を吸着位置（凹部）に吸着させやすくできる。
【０８５２】
遊技機Ｃ１からＣ４のいずれかにおいて、前記回転部材の外周面と対向しつつ前記転動面から立設され遊技球の転動領域を区画する区画壁を備え、前記回転部材の外周面と前記区画壁との間の対向間隔は、前記転動面の下流側へ向かうに従って小さい寸法に設定されることを特徴とする遊技機Ｃ５。
【０８５３】
遊技機Ｃ５によれば、遊技機Ｃ１からＣ４のいずれかの奏する効果に加え、回転部材の外周面と対向しつつ転動面から立設され遊技球の転動領域を区画する区画壁を備え、回転部材の外周面と区画壁との間の対向間隔は、転動面の下流側へ向かうに従って小さい寸法に設定されるので、上流位置における磁石による作用（磁力による引き寄せ）だけでなく、区画壁による案内によっても、転動面を遊技球が揺れ動きながら転動することを抑制できる。その結果、回転部材が回転され、その回転部材の吸着位置に対面可能なタイミングで遊技球が転動面を転動してきた場合に、遊技球を吸着位置へ吸着させやすくできる。
【０８５４】
遊技機Ｃ１からＣ５のいずれかにおいて、前記回転部材を挟んで前記転動面と反対側において前記回転部材の外周面に並設されると共に前記回転部材の外周面に吸着されて送球された遊技球を受け取る受取面を備え、その受取面は、前記回転部材の外周面から離間する方向へ向けて下降傾斜して形成されることを特徴とする遊技機Ｃ６。
【０８５５】
遊技機Ｃ６によれば、遊技機Ｃ１からＣ５のいずれかの奏する効果に加え、回転部材を挟んで転動面と反対側において回転部材の外周面に並設されると共に回転部材の外周面に吸着されて送球された遊技球を受け取る受取面を備え、その受取面は、回転部材の外周面から離間する方向へ向けて下降傾斜して形成されるので、回転部材の外周面（吸着位置）に吸着されて送球された遊技球が受取面に受け取られると、その受取面の下降傾斜によって遊技球を転動させて、かかる遊技球を回転部材の外周面から速やかに引き離すことができる。即ち、上流位置における磁石に遊技球が吸着される、或いは、磁力の作用を受けることで、受取面における遊技球の転動が滞ることを抑制できる。
【０８５６】
遊技機Ｃ６において、前記受取面は、前記回転軸方向に沿った長さ寸法が、前記回転部材に配設される磁石の前記回転軸方向に沿った長さ寸法よりも大きな寸法に設定されることを特徴とする遊技機Ｃ７。
【０８５７】
遊技機Ｃ７によれば、遊技機Ｃ６の奏する効果に加え、受取面は、回転軸方向に沿った長さ寸法が、回転部材に配設される磁石の回転軸方向に沿った長さ寸法よりも大きな寸法に設定されるので、回転部材の吸着位置ではない箇所に遊技球が吸着された状態で（即ち、上流位置における磁石に吸着された状態で）、回転部材の回転に伴って遊技球が送球される場合でも、かかる遊技球を受取面に受け取らせることができる。
【０８５８】
＜入賞口ユニット６００を一例とする発明の概念について＞
第１の入球口と、その第１の入球口よりも遊技領域の下流側に配設される第２の入球口とを備えた遊技機において、前記第１の入球口に入球されず流下する遊技球の通路を形成する通路部材と、前記遊技領域が正面側に形成される遊技盤と、その遊技盤の正面側へ突出可能かつ背面側へ没入可能に形成される板状のスライド部材とを備え、前記通路部材を通過した遊技球が、前記遊技盤の正面側へ突出されたスライド部材によって、前記第２の入球口へ誘導可能とされることを特徴とする遊技機Ｄ１。
【０８５９】
ここで、第１の入球口と、第２の入球口とを備えた遊技機が知られている（例えば、特開２００５−０１３４９６号公報）。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０８６０】
これに対し、遊技機Ｄ１によれば、第１の入球口に入球されず流下する遊技球の通路を形成する通路部材と、遊技領域が正面側に形成される遊技盤と、その遊技盤の正面側へ突出可能かつ背面側へ没入可能に形成される板状のスライド部材とを備え、通路部材を通過した遊技球が、遊技盤の正面側へ突出されたスライド部材によって、第２の入球口へ誘導可能とされるので、第１の入球口に遊技球が入球しなかった場合でも、かかる遊技球の流下に注目させ、第２の入球口へ入球することに対する期待を遊技者に継続して持たせることができる。その結果、遊技の興趣の向上を図ることができる。
【０８６１】
また、スライド部材が遊技盤の正面側へ突出可能かつ背面側へ没入可能に形成されるので、スライド部材を機能させない状態では、遊技盤の背面側に没入させておくことで、その分、遊技盤の正面側にスペースを確保（遊技領域を拡大）できる。即ち、遊技領域における遊技球が移動可能な領域を拡大できる。
【０８６２】
なお、通路部材としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０８６３】
また、スライド部材が遊技盤の背面側へ没入された状態であっても、通路部材を通過した遊技球が第２の入球口へ入球可能とされていることは当然可能である。この場合には、スライド部材が没入されている状態よりも突出されている状態の方が第２の入球口へ入球しやすくされることが好ましい。スライド部材の状態を着目させ、遊技の興趣の向上を図ることができるからである。
【０８６４】
遊技機Ｄ１において、前記第１の入球口への入球により遊技者に付与される利益よりも前記第２の入球口への入球により遊技者に付与される利益の方が高い利益とされることを特徴とする遊技機Ｄ２。
【０８６５】
遊技機Ｄ２によれば、遊技機Ｄ１の奏する効果に加え、第１の入球口への入球により遊技者に付与される利益よりも第２の入球口への入球により遊技者に付与される利益の方が高い利益とされるので、第１の入球口に遊技球が入球しなかった場合でも、かかる遊技球が第２の入球口へ入球することに対する期待をより強く遊技者に持たせることができる。その結果、遊技の興趣の向上を図ることができる。
【０８６６】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０８６７】
遊技機Ｄ１又はＤ２において、前記通路部材は、前記第１の入球口に入球されずに流下する遊技球を受け入れる第１開口と、その第１開口から流入された遊技球を遊技領域へ流出させる第２開口とを備え、光透過性材料から形成されることを特徴とする遊技機Ｄ３。
【０８６８】
遊技機Ｄ３によれば、遊技機Ｄ１又はＤ２の奏する効果に加え、通路部材は、第１の入球口に入球されずに流下する遊技球を受け入れる第１開口と、その第１開口から流入された遊技球を遊技領域へ流出させる第２開口とを備え、光透過性材料から形成されるので、第１開口から流入された遊技球が第２開口（第２の入球口）へ向けて流下（通過）する態様を遊技者に視認させることができる。その結果、遊技の興趣の向上を図ることができる。
【０８６９】
遊技機Ｄ１からＤ３において、前記スライド部材は、前記第２の入球口を挟んだ両側に一対がそれぞれ前記第２の入球口へ向けて下降傾斜する姿勢で配設されることを特徴とする遊技機Ｄ４。
【０８７０】
遊技機Ｄ４によれば、スライド部材は、第２の入球口を挟んだ両側に一対がそれぞれ第２の入球口へ向けて下降傾斜する姿勢で配設されるので、かかるスライド部材が突出した状態が形成された場合には、第２の入球口の左右いずれの側から流下する遊技球に対しても、第２の入球口へ入球しやすくすることができる。よって、第２の入球口へ入球することに対する期待をより強く遊技者に持たせることができる。その結果、遊技の興趣の向上を図ることができる。
【０８７１】
ここで、第２の入球口へ遊技球が入球されやすくする構成として、遊技盤から突出する回転軸に基端側を回転可能に軸支させた一対の羽部材を第２の入球口に配設し、かかる羽部材が開放されることで、遊技球が第２の入球口へ案内されるもの（所謂チューリップ）が考えられる。しかし、かかる構成では、羽部材が回転（開閉）するためのスペースが遊技領域に必要となる。特に、羽部材が閉じた姿勢を形成するために、第２の入球口の上方にスペースが必要となる。そのため、上下方向に大型化して、他の部材（例えば、第１の入球口や液晶表示装置）の配設スペースが減少する。
【０８７２】
これに対し、遊技機Ｄ４によれば、遊技機Ｄ１からＤ３のいずれかの奏する効果に加え、遊技盤の正面側へ突出可能かつ背面側へ没入可能に形成される板状の一対のスライド部材が、第２の入球口を挟んだ両側に第２の入球口へ向けて下降傾斜する姿勢で配設されるので、上下方向に小型化を図ることができる。その結果、他の部材（例えば、第１の入球口や液晶表示装置）の配設スペースを確保できる。
【０８７３】
遊技機Ｄ４において、前記通路部材の第２開口が、前記スライド部材の重力方向上方に配設されることを特徴とする遊技機Ｄ５。
【０８７４】
遊技機Ｄ５によれば、遊技機Ｄ４の奏する効果に加え、通路部材の第２開口が、スライド部材の重力方向上方に配設されるので、突出されたスライド部材を利用して、遊技球を第２の入球口へ入球しやすくすることができる。よって、第２の入球口へ入球することに対する期待をより強く遊技者に持たせることができる。その結果、遊技の興趣の向上を図ることができる。
【０８７５】
遊技機Ｄ５において、前記第１の入球口および前記通路部材からなる組を２組備え、前記２組のうちの一方の組の通路部材の第２開口は、前記一対のスライド部材のうちの一方のスライド部材の重力方向上方に配設されると共に、他方の組の通路部材の第２開口は、他方のスライド部材の重力方向上方に配設されることを特徴とする遊技機Ｄ６。
【０８７６】
遊技機Ｄ６によれば、遊技機Ｄ５の奏する効果に加え、第１の入球口および通路部材からなる組を２組備え、２組のうちの一方の組の通路部材の第２開口は、一対のスライド部材のうちの一方のスライド部材の重力方向上方に配設されると共に、他方の組の通路部材の第２開口は、他方のスライド部材の重力方向上方に配設されるので、一対のスライド部材をそれぞれ利用して、遊技球を第２の入球口へ更に入球しやすくすることができる。よって、第２の入球口へ入球することに対する期待をより強く遊技者に持たせることができる。その結果、遊技の興趣の向上を図ることができる。
【０８７７】
なお、第１の入球口および通路部材からなる２組は、第２の入球口を挟んで左右両側に離間して配設される（例えば、第２の入球口が遊技領域の幅方向中央に位置されると共に、その第２の入球口を挟んで幅方向に対称に２組が配設される）ことが好ましい。第２の始動口に対し、遊技領域の幅方向一側または他側のいずれの側を流下する遊技球も、第２の入球口へ入球させやすくでき、第２の入球口へ入球することに対する期待をより強く遊技者に持たせることができるからである。
【０８７８】
遊技機Ｄ６において、前記スライド部材の前記第２の入球口側の縁部が、前記第２の入球口の重力方向下方の縁部と重力方向上方の縁部との間に位置することを特徴とする遊技機Ｄ７。
【０８７９】
遊技機Ｄ７によれば、遊技機Ｄ６の奏する効果に加え、スライド部材の第２の入球口側の縁部が、第２の入球口の重力方向下方の縁部と重力方向上方の縁部との間に位置するので、遊技球が遊技領域の幅方向へ送球（変位）される場合に、かかる遊技球を、突出された状態におけるスライド部材の第２の入球口側の縁部に当接させて、第２の入球口へ入球しやすくできる。即ち、遊技領域の幅方向一側から送球（変位）される遊技球が、第２の入球口を通過して、幅方向他側へ送球（変位）される（遊技球が第２の入球口に入球せずに遊技領域の幅方向に逃げる）ことを抑制できる。
【０８８０】
遊技機Ｄ４からＤ７のいずれかにおいて、前記第２の入球口の重力方向下方の縁部から前記遊技盤の正面側へ張り出す底面部を備え、その底面部は、前記第２の入球口へ向けて下降傾斜して形成されることを特徴とする遊技機Ｄ８。
【０８８１】
遊技機Ｄ８によれば、遊技機Ｄ４からＤ７のいずれかの奏する効果に加え、第２の入球口の重力方向下方の縁部から遊技盤の正面側へ張り出す底面部を備え、その底面部は、第２の入球口へ向けて下降傾斜して形成されるので、スライド部材が突出された状態の場合だけでなく、スライド部材が没入された状態であっても、第１の入球口に入球されず流下する（通路部材を通過した）遊技球を、第２の入球口へ入球しやすくできる。よって、第２の入球口へ入球することに対する期待をより強く遊技者に持たせることができる。その結果、遊技の興趣の向上を図ることができる。
【０８８２】
遊技機Ｄ８において、前記底面部の上面には、前記第２の入球口に近い側に位置する送球面と、その送球面に連設されると共に前記送球部よりも前記第２の入球口に遠い側に位置する当接面とが形成され、前記当接面の前記第２の入球口へ向かう方向への下降傾斜の角度が、前記送球面の前記第２の入球口へ向かう方向への下降傾斜の角度よりも大きくされることを特徴とする遊技機Ｄ９。
【０８８３】
遊技機Ｄ９によれば、遊技機Ｄ８の奏する効果に加え、底面部の上面には、第２の入球口に近い側に位置する送球面と、その送球面に連設されると共に送球部よりも第２の入球口に遠い側に位置する当接面とが形成され、当接面の第２の入球口へ向かう方向への下降傾斜の角度が、送球面の第２の入球口へ向かう方向への下降傾斜の角度よりも大きくされるので、当接面の下降傾斜を利用して、第２の入球口へ遊技球をスムーズに入球させることができる。特に、スライド部材が没入された状態であっても、下降傾斜が大きくされている当接面の傾斜を利用して、第１の入球口に入球されず流下する（通路部材を通過した）遊技球を、第２の入球口へ入球しやすくできる。
【０８８４】
遊技機Ｄ３において、前記通路部材の第１開口が、前記第１の入球口よりも重力方向上方に位置し、前記通路部材の内部に前記第１の入球口が配設されることを特徴とする遊技機Ｄ１０。
【０８８５】
遊技機Ｄ１０によれば、遊技機Ｄ３の奏する効果に加え、通路部材の第１開口が、第１の入球口よりも重力方向上方に位置し、通路部材の内部に第１の入球口が配設されるので、通路部材の第１開口へ流入された遊技球の一部を第１の入球口へ入球させることができる。即ち、第１の入球口へ入球せずに流下する遊技球を通路部材へ確実に流入させることができる。その結果、第２の入球口へ入球する遊技者の期待を高めて、遊技の興趣の向上を図ることができる。
【０８８６】
遊技機Ｄ１からＤ１０のいずれかにおいて、前記通路部材を流下する遊技球を検出する検出手段と、前記スライド部材を駆動する駆動手段とを備え、前記検出手段により遊技球が検出された場合に前記スライド部材が前記駆動手段の駆動により前記遊技盤の正面側へ突出されることを特徴とする遊技機Ｄ１１。
【０８８７】
遊技機Ｄ１１によれば、遊技機Ｄ１からＤ１０の奏する効果に加え、通路部材を流下する遊技球を検出する検出手段と、スライド部材を駆動する駆動手段とを備え、検出手段により遊技球が検出された場合にスライド部材が駆動手段の駆動により遊技盤の正面側へ突出されるので、第２の入球口へ遊技球を入球しやすくできる。よって、第１の入球口に遊技球が入球しなかった場合でも、かかる遊技球の流下に注目させ、第２の入球口へ入球することに対する期待を遊技者に継続して持たせることができる。その結果、遊技の興趣の向上を図ることができる。
【０８８８】
なお、検出手段による遊技球の検出と、駆動手段による駆動（スライド部材の突出）とは、同時に行われても良く、或いは、検出の後、所定時間の経過後に、駆動を開始しても良い。但し、後者の場合は、スライド部材の突出位置に遊技球が到達する前に駆動（スライド部材の突出動作）が完了していることが好ましい。遊技球を第２の入球口へ導く（入球させやすくする）スライド部材の機能を確実に発揮させられるからである。
【０８８９】
遊技機Ｄ１からＤ４のいずれかにおいて、前記スライド部材が、前記通路部材の前記第２開口に連なる底面を形成することを特徴とする遊技機Ｄ１２。
【０８９０】
遊技機Ｄ１２によれば、遊技機Ｄ１からＤ４のいずれかの奏する効果に加え、スライド部材が、通路部材の第２開口に連なる底面（転動面）を形成するので、スライド部材が突出さていない（即ち、没入された）状態であっても、遊技球をスライド部材上に位置させることができ、その分、遊技球がスライド部材上に位置する時間を確保できる。よって、通路部材を通過した遊技球を、第２の入球口へ入球しやすくでき、第２の入球口へ入球することに対する期待をより強く遊技者に持たせることができる。その結果、遊技の興趣の向上を図ることができる。
【０８９１】
遊技機Ｄ１２において、前記スライド部材の前記通路部材の底面を形成する上面には、前記上面に位置する遊技球を前記第２の入球口へ向けて案内する案内部が形成されることを特徴とする遊技機Ｄ１３。
【０８９２】
遊技機Ｄ１３によれば、遊技機Ｄ１２の奏する効果に加え、スライド部材の通路部材の底面を形成する上面には、その上面に位置する遊技球を第２の入球口へ向けて案内する案内部が形成されるので、通路部材を通過して没入状態にあるスライド部材の上面に遊技球が位置した状態から、かかるスライド部材を突出させる際には、案内部の作用により遊技球を第２の入球口へ向けて案内しつつ、突出させることができるので、遊技球を第２の入球口へ入球しやすくできる。
【０８９３】
なお、案内部としては、スライド部材の突出方向先端へ向かうに従って第２の入球口に近接する方向へ延設されると共に上面に凸設または凹設される凸条や凹溝（又はこれらの組み合せ）が例示される。凸条や凹溝の断面形状は任意であり、矩形断面、多角形断面、円弧状断面（又はこれらを組み合わせた形状の断面）が例示される。
【０８９４】
＜入賞口ユニット６００を一例とする発明の概念について＞
第１の入球口と、その第１の入球口よりも遊技領域の下流側に配設される第２の入球口とを備えた遊技機において、前記第１の入球口に入球されず流下する遊技球の通路を形成する通路部材と、前記通路部材を第１の数の遊技球が通過する場合には、前記第１の数よりも少ない数である第２の数の遊技球が前記通路部材を通過する場合よりも、前記第２の入球口へ遊技球が入球しやすくする変更手段とを備えることを特徴とする遊技機Ｅ１。
【０８９５】
ここで、第１の入球口と、第２の入球口とを備えた遊技機が知られている（例えば、特開２００５−０１３４９６号公報）。この場合、第１の入球口に入球されなかった遊技球は、第２の入球口に入球されることはなく、アウト口から回収されるのみである。そのため、遊技者は、第１の入球口を狙って打ち出した遊技球が、第１の入球口に入球しなかった場合、かかる遊技球のその後の行方（流下する遊技球）に期待を持つことができない。そのため、遊技者に十分な興趣を与えることができないという問題点があった。
【０８９６】
これに対し、遊技機Ｅ１によれば、第１の入球口に入球されず流下する遊技球の通路を形成する通路部材と、通路部材を第１の数の遊技球が通過する場合には、第１の数よりも少ない数である第２の数の遊技球が通路部材を通過する場合よりも、第２の入球口へ遊技球が入球しやすくする変更手段とを備えるので、第１の入球口に遊技球が入球しなかった場合でも、かかる遊技球の流下に注目させ、第２の入球口へ入球することに対する期待を遊技者に継続して持たせることができる。特に、通路部材を通過する遊技球の数によって第２の入球口への入球のしやすさが変更されるので、第１の入球口への入球に漏れた遊技球の数にも遊技者に着目させることができる。その結果、遊技の興趣の向上を図ることができる。
【０８９７】
なお、通路部材としては、例えば、遊技球が通過可能な閉じた通路として形成されるもの、遊技球の流下方向を規定する１又は複数の釘により形成されるもの、遊技球が転動可能な傾斜面（開放した通路）として形成されるものなどが例示される。
【０８９８】
また、第１の数は、１以上の整数であり、第２の数は、２以上の整数であって、かつ、第１の数よりも大きい数である。例えば、第１の数が１である場合には、第２の数は、２以上の数であり、第１の数が２である場合には、第２の数は、３以上の数である。
【０８９９】
遊技機Ｅ１において、前記第１の入球口への入球により遊技者に付与される利益よりも前記第２の入球口への入球により遊技者に付与される利益の方が高い利益とされることを特徴とする遊技機Ｅ２。
【０９００】
遊技機Ｅ１において、第２の入球口への入球により遊技者に付与される利益よりも第１の入球口への入球により遊技者に付与される利益の方が高い利益とされることを特徴とする遊技機Ｅ３。
【０９０１】
遊技機Ｅ２によれば、遊技機Ｅ１の奏する効果に加え、第１の入球口への入球により遊技者に付与される利益よりも第２の入球口への入球により遊技者に付与される利益の方が高い利益とされるので、第１の入球口に遊技球が入球しなかった場合でも、かかる遊技球が第２の入球口へ入球することに対する期待をより強く遊技者に持たせることができる。その結果、遊技の興趣の向上を図ることができる。
【０９０２】
一方、遊技機Ｅ３によれば、遊技機Ｅ１の奏する効果に加え、第２の入球口への入球により遊技者に付与される利益よりも第１の入球口への入球により遊技者に付与される利益の方が高い利益とされるので、通常は、第１の入球口を狙って遊技球を打ち出すところ、かかる第１の入球口への入球に漏れた遊技球を、第２の入球口へ入球可能として、救済することができる。特に、通路部材を通過する遊技球の数が所定数よりも多い場合（第２の数よりも第１の数である場合）に、第２の入球口へ入球しやすくされるので、第１の入球口へ入球することに対する期待と、第１の入球口への入球に漏れる（即ち、第２の入球口へ入球しやすくなる）ことに対する期待との相反する期待を遊技者に持たせることができる。その結果、遊技の興趣の向上を図ることができる。
【０９０３】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０９０４】
遊技機Ｅ１からＥ３のいずれかにおいて、前記変更手段は、前記通路部材を通過する又は前記通路部材から流出する第１の遊技球の流下を規制する規制手段を備え、その規制手段は、前記第１の遊技球に対し第２の遊技球が後行する場合に、流下を規制された前記第１の遊技球に前記第２の遊技球を当接させて、前記第２の遊技球の流下方向を前記第２の入球口へ向かわせるように形成されることを特徴とする遊技機Ｅ４。
【０９０５】
遊技機Ｅ４によれば、遊技機Ｅ１からＥ３のいずれかの奏する効果に加え、変更手段は、通路部材を通過する又は通路部材から流出する第１の遊技球の流下を規制する規制手段を備え、その規制手段は、第１の遊技球に対し第２の遊技球が後行する場合に、流下を規制された第１の遊技球に第２の遊技球を当接（衝突）させて、第２の遊技球の流下方向を第２の入球口へ向かわせるように形成されるので、遊技の興趣の向上を図ることができる。即ち、第１の遊技球のみが流下する場合よりも、第１の遊技球および第２の遊技球が流下する場合の方が第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９０６】
遊技機Ｅ４において、前記規制手段は、前記通路部材の出口に対面する壁面に凹設される凹部として形成されることを特徴とする遊技機Ｅ５。
【０９０７】
遊技機Ｅ５によれば、遊技機Ｅ４の奏する効果に加え、規制手段は、通路部材の出口に対面する壁面に凹設される凹部として形成されるので、通路部材の出口から流出した第１の遊技球を凹部に受け入れて、第１の遊技球の流下を一時的に規制することができる（即ち、後行する第２の遊技球が衝突できるように第１の遊技球を一時的に保持できる）一方で、第１の遊技球の流下の規制の解除は、第１の遊技球がその自重により凹部から脱落（流下）することで行うことができる。よって、規制手段の形状のみで第１の遊技球の流下の規制（保持）及び規制の解除を行うことができ、これらを切り替える（規制を解除する）ための動作機構を不要とできるので、構造を簡素化して、製品コストの削減を図ることができる。
【０９０８】
また、遊技機Ｅ４によれば、通路部材の出口から流出した遊技球を第２の入球口へ案内する部材（例えば、第２の入球口へ向けて下降傾斜された転動面を備え、その転動面で遊技球を転動させることで、第２の入球口へ遊技球を入球させやすくする部材）が存在しない（案内する部材が、第２の入球口へ案内可能な位置と案内不能は位置との間で変位可能に形成され、案内不能な位置に変位された）状態であっても、凹部を利用して、第２の遊技球を第２の入球口へ入球させることができる。
【０９０９】
遊技機Ｅ５において、前記通路部材の出口は、遊技球が転動する底面と、その底面の幅方向両側に対向して立設される側壁面とを備え、前記側辺面の対向間隔が遊技球の直径と略同等の寸法に設定されることを特徴とする遊技機Ｅ６。
【０９１０】
遊技機Ｅ６によれば、遊技機Ｅ５の奏する効果に加え、通路部材の出口は、遊技球が転動する底面と、その底面の幅方向両側に対向して立設される側壁面とを備え、側壁面の対向間隔が遊技球の直径と略同等の寸法に設定されるので、通路部材の出口から流出される遊技球の軌跡を略一定としやすくでき、かかる遊技球を規制手段（凹部）に確実に受け入れさせることができる。
【０９１１】
遊技機Ｅ５又はＥ６において、前記凹部は、前記第２の入球口から離間する方向へ向かうに従って凹設深さが深くされることを特徴とする遊技機Ｅ７。
【０９１２】
遊技機Ｅ７によれば、遊技機Ｅ５又はＥ６の奏する効果に加え、凹部は、第２の入球口から離間する方向へ向かうに従って凹設深さが深くされるので、その凹部へ受け入れた遊技球を凹設深さが深くされる方向（即ち、第２の入球口から離間する側）へ位置ずれさせて保持することができる。よって、凹部に保持された第１の遊技球へ第２の遊技球が当接（衝突）した際には、かかる第２の遊技球を第２の入球口へ向かわせて入球しやすくできる。
【０９１３】
遊技機Ｅ５からＥ７のいずれかにおいて、出没可能に形成され突出されることで前記通路部材の出口と前記凹部との間であって重力方向下方となる位置に配設されるスライド部材を備え、前記スライド部材は、突出された状態では、遊技球を前記第２の入球口へ誘導可能に形成されることを特徴とする遊技機Ｅ８。
【０９１４】
遊技機Ｅ８によれば、遊技機Ｅ５からＥ７のいずれかにおいて、出没可能に形成され突出されることで通路部材の出口と凹部との間であって重力方向下方となる位置に配設されるスライド部材を備え、スライド部材は、突出された状態では、遊技球を第２の入球口へ誘導可能に形成されるので、凹部に保持された第１の遊技球を、突出されたスライド部材を利用して、第２の入球口へ入球させることができる。即ち、第１の遊技球が凹部から脱落（落下）されると、かかる第１の遊技球を、スライド部材により受け止め、スライド部材によって、第２の入球口へ誘導させることができる。その結果、第１の遊技球を第２の入球口へ入球させることができる。
【０９１５】
遊技機Ｅ１からＥ３のいずれかにおいて、前記変更手段は、前記通路部材を通過する遊技球が転動される被転動手段と、その被転動手段に連動可能に連結されると共に第１位置と第２位置との間で変位可能に形成され前記通路部材を通過する遊技球の進路を変更させる進路変更手段とを備え、前記進路変更手段が前記第２位置に変位された状態での遊技球の進路が、前記第１位置に変位された状態での遊技球の進路よりも前記第２の入球口へ入球しやすい進路とされ、前記被転動手段を第１の数の遊技球が転動する場合には、前記進路変更手段が第２位置に変位されると共に、前記被転動手段を前記第１の数よりも少ない第２の数の遊技球が転動する場合には、前記進路変更手段が第１位置に変位されることを特徴とする遊技機Ｅ９。
【０９１６】
遊技機Ｅ９によれば、遊技機Ｅ１からＥ３のいずれかの奏する効果に加え、変更手段は、通路部材を通過する遊技球が転動される被転動手段と、その被転動手段に連動可能に連結されると共に第１位置と第２位置との間で変位可能に形成され通路部材を通過する遊技球の進路を変更させる進路変更手段とを備え、進路変更手段が第２位置に変位された状態での遊技球の進路が、第１位置に変位された状態での遊技球の進路よりも第２の入球口へ入球しやすい進路とされ、被転動手段を第１の数の遊技球が転動する場合には、進路変更手段が第２位置に変位されると共に、被転動手段を第１の数よりも少ない第２の数の遊技球が転動する場合には、進路変更手段が第１位置に変位されるので、遊技の興趣の向上を図ることができる。
【０９１７】
即ち、第２の数の遊技球が流下する場合よりも、その第２の数よりも多い数である第１の数の遊技球が流下する場合の方が第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９１８】
遊技機Ｅ９において、前記進路変更手段が前記被転動手段よりも下流側に配設されることを特徴とする遊技機Ｅ１０。
【０９１９】
遊技機Ｅ１０によれば、遊技機Ｅ９の奏する効果に加え、進路変更手段が被転動手段よりも下流側に配設されるので、所定の遊技球の行方（進路）を、その所定の遊技球に後行する遊技球の数および連なり具合と関係付けることができ、その結果、遊技の興趣の向上を図ることができる。即ち、後行する遊技球が連なっている場合には、被転動手段を転動する遊技球の数が第１の数を維持している間は、進路変更手段を第２位置に維持して、進路変更手段に到達した各遊技球を第２の入球口へ入球しやすくできる一方、後行する遊技球の連なりが分断され、被転動手段を転動する遊技球の数が第２の数以下となった場合には、進路変更手段を第１位置に変位させて、進路変更手段に到達した各遊技球を上述した場合（進路変更手段が第２位置に変位された場合）よりも第２の入球口へ入球し難くできる。よって、後行する遊技球の数およびその連なり具合にも遊技者に着目させることができる。その結果、遊技の興趣の向上を図ることができる。
【０９２０】
遊技機Ｅ１からＥ３のいずれかにおいて、前記変更手段は、回転可能に形成される回転部材と、その回転部材の外面側に配設され遊技球を前記回転部材の外面に垂下状態で吸着させる磁石と、その磁石によって前記回転部材の外面に吸着された遊技球の前記回転部材の回転に伴う軌跡上に位置することで前記遊技球に当接して前記回転部材から遊技球を脱落させる当接手段とを備え、前記当接手段は、前記回転部材の外面に吸着される遊技球よりも重力方向下方に位置すると共に、前記回転部材の外面に吸着されて送球される遊技球よりも、前記当接手段の当接により前記回転部材から脱落された遊技球の方が、前記第２の入球口へ遊技球が入球しやすくされることを特徴とする遊技機Ｅ１１。
【０９２１】
遊技機Ｅ１１によれば、遊技機Ｅ１からＥ３のいずれかの奏する効果に加え、変更手段は、回転可能に形成される回転部材と、その回転部材の外面側に配設され遊技球を回転部材の外面に垂下状態で吸着させる磁石と、その磁石によって回転部材の外面に吸着された遊技球の回転部材の回転に伴う軌跡上に位置することで遊技球に当接して回転部材から遊技球を脱落させる当接手段とを備え、当接手段は、回転部材の外面に吸着される遊技球よりも重力方向下方に位置すると共に、回転部材の外面に吸着されて送球される遊技球よりも、当接手段の当接により回転部材から脱落された遊技球の方が、第２の入球口へ遊技球が入球しやすくされるので、遊技の興趣の向上を図ることができる。即ち、回転部材の外面に１の遊技球のみが吸着される場合よりも、回転部材の外面に吸着される遊技球に、１又は２以上の遊技球が更に吸着されている場合の方が、第２の入球口に入球しやすくできる（通路部材を通過する遊技球の数によって第２の入球口への入球のしやすさを変更できる）ので、第１の入球口への入球に漏れた遊技球の数にも遊技者に着目させることができる。その結果、遊技の興趣の向上を図ることができる。
【０９２２】
特に、遊技機Ｅ１１によれば、複数の遊技球が回転部材へ向けて転動される場合であっても、遊技球が連なっている場合には、回転部材に先行する遊技球を吸着させると共にその先行する遊技球に後行する遊技球を吸着させやすく、少なくとも後行する遊技球を第２の入球口へ入球させやすくできる一方、遊技球どうしが所定の間隔を隔てている場合には、回転部材に先行する遊技球を吸着させられるが、その先行する遊技球に後行する遊技球を吸着させられず、後行の遊技球も回転部材に吸着されることとなる。即ち、先行および後行の両者ともに第２の入球口へは入球され難くされる。よって、遊技球の数だけでなく、それらの連なり具合にも遊技者に着目させることができる。その結果、遊技の興趣の向上を図ることができる。
【０９２３】
また、遊技機Ｅ１１によれば、回転部材の外面に垂下状態で遊技球を吸着させ、その垂下状態のままで遊技球を回転部材の回転に伴って送球するので、吸着までの転動速度や転動方向、吸着位置などのばらつきを要因として、ぶらぶらと揺動する不安定な状態として、回転部材から遊技球が脱落する形態も形成できる。即ち、１の遊技球のみが回転部材に吸着されている場合（当接手段に当接されない場合）であっても、かかる遊技球が脱落され、第２の入球口へ入球させやすくなるという演出を行うことができる。
【０９２４】
遊技機Ｅ１１において、前記当接手段は、先細平板状に形成され、前記回転部材の外面に吸着される第１の遊技球と、その第１の遊技球に吸着される第２の遊技球との間の吸着位置に先端が挿入される高さ位置に略水平な姿勢で配設されることを特徴とする遊技機Ｅ１２。
【０９２５】
遊技機Ｅ１２によれば、遊技機Ｅ１１の奏する効果に加え、当接手段は、先細平板状に形成され、回転部材の外面に吸着される第１の遊技球と、その第１の遊技球に吸着される第２の遊技球との間の吸着位置に先端が挿入される高さ位置に略水平な姿勢で配設されるので、回転部材の外面に第１の遊技球が吸着されると共にその第１の遊技球に第２の遊技球が吸着されている場合には、第１の遊技球および第２の遊技球の吸着をスムーズに解除して、第２の遊技球のみを脱落させやすくできると共に、回転部材の外面に第１の遊技球のみが吸着されている場合には、かかる第１の遊技球へ当接手段が作用することを抑制して、第１の遊技球の吸着を維持しやすくできる。よって、１の遊技球のみが回転部材に吸着され垂下されている場合と、２以上の遊技球が回転部材に吸着され連なって垂下されている場合とでの第２の入球口への入球のしやすさの差をより明確とできる。これにより、遊技球の数やそれらの連なり具合を遊技者に更に着目させることができる。その結果、遊技の興趣の向上を図ることができる。
【０９２６】
＜可変ユニット３６０を一例とする発明の概念について＞
回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球する遊技機において、前記回転部材の磁石に第１の遊技球が吸着されると共に前記第１の遊技球に第２の遊技球が磁着された場合に、前記回転部材の磁石と前記第１の遊技球との吸着を解除しやすくする解除手段を備えることを特徴とする遊技機Ｆ１。
【０９２７】
ここで、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特開２０１２−２３１８９０号公報）。この場合、回転部材へ向けて２球の遊技球が連なって転動されると、先行する遊技球（第１の遊技球）が回転部材の外周面に吸着されると共に、その先行する遊技球（第１の遊技球）に後行する遊技球（第２の遊技球）が吸着されると、これら先行する遊技球および後行する遊技球の両者が回転部材の回転方向へ送球される。しかしながら、このような遊技機では、遊技者に遊技の興趣を十分に付与できないという問題点があった。
【０９２８】
これに対し、遊技機Ｆ１によれば、回転部材の磁石に第１の遊技球が吸着されると共に第１の遊技球に第２の遊技球が磁着された場合に、回転部材の磁石と第１の遊技球との吸着を解除しやすくする解除手段を備えるので、これら第１の遊技球および第２の遊技球の両者が回転部材の回転方向へ送球されることを抑制できる。
【０９２９】
即ち、第１の遊技球のみが回転部材へ向けて転動され、回転部材の外周面（磁石）に吸着された場合には、かかる第１の遊技球を回転部材の回転方向へ送球できる一方、第１の遊技球に加え、第２の遊技球も回転部材へ向けて転動され、第１の遊技球が回転部材の外周面（磁石）に吸着されると共に第１の遊技球に第２の遊技球が吸着された場合には、これら第１の遊技球および第２の遊技球の両者を回転部材の回転方向へ送球できないようにできるので、第１の遊技球が回転部材へ向けて転動する際に、その第１の遊技球の後方に他の遊技球（即ち、第２の遊技球）が転動してきていないかを遊技者に懸念させる（ドキドキさせる）ことができる。その結果、遊技の興趣の向上を図ることができる。
【０９３０】
遊技機Ｆ１において、前記回転部材の外周面に吸着されて前記回転部材の回転方向へ送球された遊技球が入球する第１の入球口と、前記回転部材の外周面に吸着されなかった遊技球が入球する第２の入球口とを備え、少なくとも第１の入球口に遊技球が入球すると遊技者に利益が付与される、又は、前記第１の入球口への入球により遊技者に付与される利益が前記第２の入球口への入球により遊技者に付与される利益よりも高い利益とされることを特徴とする遊技機Ｆ２。
【０９３１】
遊技機Ｆ２によれば、遊技機Ｆ１の奏する効果に加え、回転部材の外周面に吸着されて回転部材の回転方向へ送球された遊技球が入球する第１の入球口と、回転部材の外周面に吸着されなかった遊技球が入球する第２の入球口とを備え、少なくとも第１の入球口に遊技球が入球すると遊技者に利益が付与される、又は、第１の入球口への入球により遊技者に付与される利益が第２の入球口への入球により遊技者に付与される利益よりも高い利益とされるので、遊技の興趣の向上を図ることができる。
【０９３２】
即ち、遊技者は、第１の入球口への入球により利益を得る、又は、第２の入球口への入球の場合よりも高い利益を得ることを期待して、遊技球が回転部材の外周面に吸着して回転部材の回転方向へ送球されることを望み、また、利益が付与される機会をより多く得ることを期待して、より多くの遊技球が回転部材の外周面に吸着して回転部材の回転方向へ送球されることを望む。これに対し、第１の遊技球のみが回転部材の外周面に吸着された場合には、かかる第１の遊技球を回転部材の回転方向（第１の入球口）へ送球できる一方で、回転部材の外周面に吸着された第１の遊技球に第２の遊技球が吸着された場合には、第２の遊技球だけでなく、第１の遊技球も、回転部材の回転方向へ送球されず、両者から第１の入球口への入球の機会が失われることとなる。そのため、第１の遊技球が回転部材へ向けて転動する際に、その第１の遊技球の後方に他の遊技球（即ち、第２の遊技球）が転動してきていないかを遊技者に懸念させやすく（ドキドキさせやすく）でき、その結果、遊技の興趣の向上を図ることができる。
【０９３３】
なお、遊技者に付与される利益が高い形態としては、入球に伴い払い出される賞球が多い形態、開閉可能に形成されその開閉により第３の入球口への入球を許容・規制する可動翼片の開放時間が長くされる態様、前記可動翼片の開放回数が多くされる態様、前記可動翼片の開放範囲が大きくされる態様などが例示される。
【０９３４】
遊技機Ｆ１又はＦ２において、前記解除手段は、前記回転部材に変位可能に配設される変位部材を備え、前記変位部材は、前記第１の遊技球に吸着された前記第２の遊技球に当接されることで変位されると共にその変位により前記第１の遊技球と前記磁石との間の距離を拡大させることを特徴とする遊技機Ｆ３。
【０９３５】
遊技機Ｆ３によれば、遊技機Ｆ１又はＦ２の奏する効果に加え、解除手段は、回転部材に変位可能に配設される変位部材を備え、変位部材は、第１の遊技球に吸着された第２の遊技球に当接されることで変位されると共にその変位により第１の遊技球と磁石との間の距離を拡大させるので、第１の遊技球に第２の遊技球が吸着されている場合には、かかる第２の遊技球の重さを利用して、磁石と第１の遊技球との吸着を解除する一方、第１の遊技球に第２の遊技球が吸着されていない場合には、磁石と第１の遊技球との吸着が解除されないようにすることができる。また、このような切り替えを、第２の遊技球の重さを利用して行うので、変位部材を変位させるための駆動源を設けることを不要とでき、その分、製品コストの削減を図ることができる。
【０９３６】
なお、変位部材の変位により第１の遊技球と磁石との間の距離を拡大させる形態としては、第１の遊技球のみが変位される形態、磁石のみが変位される形態、第１の遊技球および磁石の両者が変位される形態のいずれであっても良い。
【０９３７】
遊技機Ｆ１又はＦ２において、前記解除手段は、前記回転部材の外周面に凹設され、前記第１の遊技球に吸着された前記第２の遊技球を受け入れる凹部として形成されることを特徴とする遊技機Ｆ４。
【０９３８】
遊技機Ｆ４によれば、遊技機Ｆ１又はＦ２の奏する効果に加え、解除手段は、回転部材の外周面に凹設され、第１の遊技球に吸着された第２の遊技球を受け入れる凹部として形成されるので、第１の遊技球の重力方向下方側に第２の遊技球を近づけることができ、その分、第１の遊技球に作用する第２の遊技球の重さのうちの重力方向成分を増加させやすくできる。よって、第１の遊技球と磁石との吸着を解除しやすくできる。
【０９３９】
即ち、第１の遊技球に第２の遊技球が吸着されている場合には、かかる第２の遊技球の重さを利用して、磁石と第１の遊技球との吸着を解除する一方、第１の遊技球に第２の遊技球が吸着されていない場合には、磁石と第１の遊技球との吸着が解除されないようにすることができる。また、このような切り替えを、第２の遊技球の重さを利用する手段として、回転部材の外周面に凹設された凹部のみで足りるので、変位部材や駆動源を設けることを不要とでき、その分、製品コストの削減を図ることができる。
【０９４０】
遊技機Ａ１からＡ１１，Ｂ１からＢ８，Ｃ１からＣ７，Ｄ１からＤ１３，Ｅ１から１２及びＦ１からＦ４のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０９４１】
遊技機Ａ１からＡ１１，Ｂ１からＢ８，Ｃ１からＣ７，Ｄ１からＤ１３，Ｅ１から１２及びＦ１からＦ４のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０９４２】
遊技機Ａ１からＡ１１，Ｂ１からＢ８，Ｃ１からＣ７，Ｄ１からＤ１３，Ｅ１から１２及びＦ１からＦ４のいずれかにおいて前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、回転軸を水平方向へ向けた姿勢で回転可能に形成される略円柱状の回転部材と、その回転部材に配設され回転部材の外周面に遊技球を吸着させる磁石とを備え、外周面に遊技球が吸着された状態で回転部材が回転されることで、かかる遊技球を回転部材の回転方向へ向けて送球する遊技機が知られている（例えば、特許文献１：特開２０１２−２３１８９０号公報）。
しかしながら、上述した遊技機では、回転部材と遊技球との間の吸着が解除されるという問題点があった。
本技術的思想は、上記例示した問題点を解決するためになされたものであり、回転部材と遊技球との間の吸着が解除され難くできる遊技機を提供することを目的とする。
＜手段＞
この目的を達成するために技術的思想１の遊技機は、回転軸を水平方向へ向けた姿勢で回転可能に形成される略円柱状の回転部材と、その回転部材に配設され前記回転部材の外周面に遊技球を吸着させる磁石とを備え、前記外周面に遊技球が吸着された状態で前記回転部材が回転されることで、前記吸着された遊技球を前記回転部材の回転方向へ向けて送球するものであり、前記回転部材の外周面に並設されると共に遊技球が転動される転動面を備え、その転動面が前記回転部材の回転軸よりも重力方向上方に位置する。
技術的思想２の遊技機は、技術的思想１記載の遊技機において、前記回転部材を挟んで前記転動面と反対側において前記回転部材の外周面に並設されると共に前記回転部材の外周面に吸着されて送球された遊技球を受け取る受取面を備え、その受取面が前記回転部材の回転軸よりも重力方向上方に位置する。
技術的思想３の遊技機は、技術的思想１又は２に記載の遊技機において、前記受取面は、前記回転部材から離間する方向へ向けて下降傾斜して形成される。
＜効果＞
技術的思想１記載の遊技機によれば、回転部材と遊技球との間の吸着を解除され難くできる。
技術的思想２記載の遊技機によれば、技術的思想１記載の遊技機の奏する効果に加え、遊技球が受取面で跳ねることを抑制できる。
技術的思想３記載の遊技機によれば、技術的思想２記載の遊技機の奏する効果に加え、受取面へ遊技球をスムーズに送球することができる。
【符号の説明】
【０９４３】
１０                          パチンコ機（遊技機）
１３                          遊技盤
２６                          左始動入賞口（第１の入球口）
２７                          右始動入賞口（第１の入球口）
３３１ａ                      受部（転動部材）
３５２                        可変板（変位部材）
３５２ｄ１                    膨出部（板厚部）
３５３ｄ                      第１乱反射部（第１透過部材）
３５３ｆ                      立設部（連結部材）
３５４ｂ                      第２乱反射部（第２透過部材）
３５５                        発光部材（基盤部材）
３５５ａ                      ＬＥＤ（発光手段）
３６９                        ストッパ部（遮断手段）
３７０Ｌ，２３７０Ｌ，３３７０Ｌ，４３７０Ｌ，５３７０Ｌ  回転体（回転部材）
３７０Ｒ，２３７０Ｒ，３３７０Ｒ，４３７０Ｒ，５３７０Ｒ  回転体（回転部材）
３７２Ｒｂ，２３７２Ｒｂ      磁石
３７２Ｌｃ２，２３７２Ｌｃ，３３７２Ｌｃ，５３７２Ｌｃ    溝部（凹部）
３７２Ｒｃ２，２３７２Ｒｃ，３３７２Ｒｃ，５３７２Ｒｃ    溝部（凹部）
４３７２Ｒｃ５                凹設部（凹部）
５３７２Ｒｄ，５３７２Ｌｄ    解除部材（変位部材）
３７３Ｒａ，３７３Ｌａ        回収口（第２の入球口）
３８１ｃ                      第２転動部（転動面）
３８１ｄ                      第３転動部（受取部）
２３８１ｇ                    区画壁
３８２                        Ｖ入賞部材（第１の入球口）
６１３ａ                      案内板（底面部）
６１３ａ１                    当接面
６１３ａ２                    転動面（送球面）
７６１３ｅ                    貫通孔（凹部）
６３１ｂ                      第２貫通孔（第１開口）
６３２ａ                      貫通孔（第２の入球口）
６３２ｂ                      連結孔（第２開口）
６３３ｂ                      第２貫通孔（第１開口）
６４０，８６４０，９６４０，１１６４０                    経路部材（通路部材）
１０６４２ａ                  先端部（当接部材）
８６４４ａ                    可変板（被転動手段）
８６４４ｃ                    規制部材（進路変更手段）
６５２                        可変板（スライド部材）
１１６５２ａ                  凹部（案内部）
６５５                        ソレノイド（駆動手段）
ＳＥ１                        センサ装置（検出部材）